(57)【要約】【課題】映像を投影することが可能な投影装置で発生した熱を効率よく放出すること。【解決手段】プロジェクタを囲うように配置されたカバー部材には、上方に向けて開放した第１の開口及び第２の開口が形成されている。また、カバー部材の内部には、上方とは異なる方向に開放した第３の開口及び第４の開口が形成されている。第１の開口と第３の開口とは連通しており、これにより第１の空間が形成される一方、第２の開口と第４の開口とは連通しており、これにより第２の空間が形成されている。そして、このような第３の開口と第４の開口との間にプロジェクタが配置されている。【選択図】図２５５
2018196832.tif 000002
【特許請求の範囲】
【請求項１】
映像を投影することが可能なプロジェクタと、
前記プロジェクタを囲うように配置されたカバー部材と、
前記プロジェクタにより投影された映像を表示可能なスクリーンと、を備え、
前記カバー部材には、第１の開口が形成されており、
前記カバー部材の内部において、前記第１の開口から連通して第１の空間が形成されており、
前記第１の空間は、前記カバー部材の内部に形成された第２の開口により開放しており、
前記プロジェクタは、前記第２の開口により開放された先に配置されており、
前記第１の空間にファンが配設されている、
ことを特徴とする遊技機。
【請求項２】
前記カバー部材には、第３の開口が形成されており、
前記カバー部材の内部において、前記第３の開口から連通して第２の空間が形成されており、
前記第２の空間は、前記カバー部材の内部に形成された第４の開口により開放しており、
前記第１の開口と前記第２の開口とが連通する一方、前記第３の開口と前記第４の開口とが連通しており、
前記プロジェクタは、前記第２の開口と前記第４の開口との間に配置されている、
ことを特徴とする請求項１に記載の遊技機。
【請求項３】
前記第１の開口及び前記第３の開口は、上方に向けて開放しており、
前記第２の開口及び前記第４の開口は、上方とは異なる方向に向けて開放している、
ことを特徴とする請求項２に記載の遊技機。
【発明の詳細な説明】
【技術分野】
【０００１】
本発明は、遊技機に関する。
【背景技術】
【０００２】
従来、プロジェクタ等の投影装置により投影された映像をスクリーンに表示することにより演出を行うことが可能な遊技機が知られている（特許文献１参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【先行技術文献】
【特許文献】
【０００３】
【特許文献１】特開２０１２−１４７８２８号公報
【発明の概要】
【発明が解決しようとする課題】
【０００４】
しかしながら、投影装置は、液晶表示装置等と比較して、発熱しやすく、高温になりやすいため、発生した熱を放出しないと正常に機能しなくなってしまうという問題があった。
【０００５】
本発明は、上記のような問題点に鑑みてなされたものであり、映像を投影することが可能な投影装置で発生した熱を効率よく放出することが可能な遊技機を提供することを目的とする。
【課題を解決するための手段】
【０００６】
上記目的を達成するため、本発明は、以下の遊技機を提供する。
（Ｉ）  映像を投影することが可能なプロジェクタと、
前記プロジェクタを囲うように配置されたカバー部材と、
前記プロジェクタにより投影された映像を表示可能なスクリーンと、を備え、
前記カバー部材には、第１の開口が形成されており、
前記カバー部材の内部において、前記第１の開口から連通して第１の空間が形成されており、
前記第１の空間は、前記カバー部材の内部に形成された第２の開口により開放しており、
前記プロジェクタは、前記第２の開口により開放された先に配置されており、
前記第１の空間にファンが配設されている、
ことを特徴とする遊技機。
（ＩＩ）  前記（Ｉ）の遊技機であって、
前記カバー部材には、第３の開口が形成されており、
前記カバー部材の内部において、前記第３の開口から連通して第２の空間が形成されており、
前記第２の空間は、前記カバー部材の内部に形成された第４の開口により開放しており、
前記第１の開口と前記第２の開口とが連通する一方、前記第３の開口と前記第４の開口とが連通しており、
前記プロジェクタは、前記第２の開口と前記第４の開口との間に配置されている、
ことを特徴とする。
（ＩＩＩ）  前記（ＩＩ）の遊技機であって、
前記第１の開口及び前記第３の開口は、上方に向けて開放しており、
前記第２の開口及び前記第４の開口は、上方とは異なる方向に向けて開放している、
ことを特徴とする。
【０００７】
（１）  映像を投影することが可能なプロジェクタ（例えば、プロジェクタ機構Ｂ２）と、
前記プロジェクタを囲うように配置されたカバー部材（例えば、プロジェクタカバーＢ１及びブラインドＢ５００）と、
前記プロジェクタにより投影された映像を表示可能なスクリーン（例えば、固定スクリーン機構Ｄ、フロントスクリーン機構Ｅ１、リールスクリーン機構Ｆ１）と、
前面に開口を有する本体部（例えば、キャビネットＧ）と、
前記本体部に対して開閉可能に取り付けられ、前記スクリーンを視認可能な表示領域（例えば、上側表示窓ＵＤ１）が設けられた開閉扉（例えば、上ドア機構ＵＤ）と、を備え、
前記カバー部材（例えば、プロジェクタカバーＢ１）には、上方に向けて開放した第１の開口（例えば、２つある開口Ｂ４００のうちの右側の開口Ｂ４００）及び第２の開口（例えば、２つある開口Ｂ４００のうちの左側の開口Ｂ４００）が形成されており、
前記カバー部材の内部において、前記第１の開口から連通して第１の空間（例えば、２つある空間Ｐのうちの右側の空間Ｐ）が形成される一方、前記第２の開口から連通して第２の空間（例えば、２つある空間Ｐのうちの左側の空間Ｐ）が形成されており、
前記第１の空間は、前記カバー部材の内部に形成された第３の開口（例えば、２つある開口Ｂ５１０のうちの右側の開口Ｂ５１０）により、上方とは異なる方向（例えば、左方向）に開放している一方、前記第２の空間は、前記カバー部材の内部に形成された第４の開口（例えば、２つある開口Ｂ５１０のうちの左側の開口Ｂ５１０）により、上方とは異なる方向（例えば、右方向）に開放しており、
前記第１の開口（例えば、右側の開口Ｂ４００）と前記第３の開口（例えば、右側の開口Ｂ５１０）とが連通する一方、前記第２の開口（例えば、左側の開口Ｂ４００）と前記第４の開口（例えば、左側の開口Ｂ５１０）とが連通しており、
前記プロジェクタは、前記第３の開口（例えば、右側の開口Ｂ５１０）と前記第４の開口（例えば、左側の開口Ｂ５１０）との間に配置されている、
ことを特徴とする遊技機。
【０００８】
（１）の発明によれば、プロジェクタを囲うように配置されたカバー部材には、上方に向けて開放した第１の開口及び第２の開口が形成されている。また、カバー部材の内部には、上方とは異なる方向に開放した第３の開口及び第４の開口が形成されている。第１の開口と第３の開口とは連通しており、これにより第１の空間が形成される一方、第２の開口と第４の開口とは連通しており、これにより第２の空間が形成されている。そして、このような第３の開口と第４の開口との間にプロジェクタが配置されている。これにより、カバー部材の外部から第１の開口を介して流入した空気は、第１の空間及び第３の開口を経由して、プロジェクタを通過した後、第４の開口及び第２の空間を経由して、第２の開口を介してカバー部材の外部に放出される。当該空気は、プロジェクタを通過する際、プロジェクタで発生した熱を吸収することにより温められるところ、温度の高い空気は上方に向かう性質を有する。そのため、プロジェクタを通過した空気は、第２の空間内を上昇し、第２の空間の上方に形成された第２の開口からスムーズに排出されることとなる。その結果、このような空気の流れを通じて、プロジェクタで発生した熱を効率よく放出することが可能となり、プロジェクタの冷却効率を高めることができる。
【０００９】
（２）  前記（１）の遊技機であって、
前記プロジェクタは、第１の通気口（例えば、吸気口Ｂ２２Ａ）及び第２の通気口（例えば、排気口Ｂ２２Ｅ）と、前記第１の通気口と前記第２の通気口との間に配置されたファン（例えば、吸気用ファン２４４Ａ・２４４Ｂ）とを備え、
前記第１の通気口（例えば、吸気口Ｂ２２Ａ）と前記第３の開口（例えば、右側の開口Ｂ５１０）とが対向する一方、前記第２の通気口（例えば、排気口Ｂ２２Ｅ）と前記第４の開口（例えば、左側の開口Ｂ５１０）とが対向するように、前記プロジェクタが配置されている、
ことを特徴とする。
【００１０】
（２）の発明によれば、プロジェクタには、第１の通気口と第２の通気口とが設けられるとともに、第１の通気口と第２の通気口との間にファンが備えられており、第１の通気口が第３の開口と対向し第２の通気口が第４の開口と対向するようにプロジェクタが配置されるため、ファンによって強制的に吸気することにより、上記のような空気の流れをスムーズに作り出すことができる。
【００１１】
（３）  前記（１）又は（２）の遊技機であって、
前記本体部の上面（例えば、キャビネットＧの上面壁Ｇ４）には、前記第１の開口及び前記第２の開口のそれぞれの上方に、第５の開口（例えば、２つある開口Ｇ４１のうちの右側の開口Ｇ４１）及び第６の開口（例えば、２つある開口Ｇ４１のうちの左側の開口Ｇ４１）が形成されており、
前記プロジェクタは、前記スクリーンの上方に配置されるように、前記本体部に収容されている、
ことを特徴とする。
【００１２】
（３）の発明によれば、本体部の上面には、カバー部材の第１の開口及び第２の開口のそれぞれの上方に、第５の開口及び第６の開口が形成されている。これにより、本体部の第５の開口を介して遊技機の外部上方から遊技機の内部に空気を取り入れ、カバー部材の第１の開口を介してこの空気をカバー部材の内部に流入させた後、プロジェクタを通過した空気を、カバー部材の第２の開口及び本体部の第６の開口を介して遊技機の外部上方に放出することができる。このように、（３）の発明では、プロジェクタを通過して温められた空気の排出先が遊技機の外部上方となっているが、仮に、当該空気を遊技機の背面から排出することとすれば、遊技店に設置される島設備に熱がこもってしまい、遊技機の制御に悪影響を招来してしまうことが懸念される。また、遊技機の側面から空気を排出することとすれば、温められた空気が隣の遊技機に取り込まれることになり、隣接する遊技機間で温かい空気の悪循環が生じてしまう結果として、プロジェクタの冷却効率を高めることができないと考えられる。さらに、遊技機の前方に空気を排出することとすれば、遊技者の顔に熱風が吹き付けられてしまう恐れがある。この点、（３）の発明によれば、このような問題を生じさせることなく、プロジェクタで発生した熱を放出するための空気の流れを作り出すことができる。
【００１３】
また、（３）の発明によれば、プロジェクタは、スクリーンの上方に配置されるように本体部に収容され、プロジェクタの配置位置が本体部の上面に近くなっている。従って、本体部の上面に形成された第５の開口及び第６の開口とプロジェクタとの距離も短く、それに伴い、第５の開口及び第６の開口とプロジェクタとの間に存在する部材や装置の数は比較的少なくなっている。そのため、第５の開口から取り入れた空気をプロジェクタを経由して第６の開口から排出するような流路を設計するに当たって、途中に存在する部材や装置を避けるために複雑な迂回経路を作る必要がなく、比較的容易に空気流路の設計を行うことができる。
【発明の効果】
【００１４】
本発明によれば、映像を投影することが可能な投影装置で発生した熱を効率よく放出することができる。
【図面の簡単な説明】
【００１５】
【図１】遊技機の斜視図である。
【図２】遊技機の斜視図である。
【図３】遊技機の正面図である。
【図４】遊技機の筐体内部の概略配置図である。
【図５】遊技機の分解斜視図である。
【図６】遊技機の分解斜視図である。
【図７】ミラー機構の分解斜視図である。
【図８】プロジェクタ機構とミラー機構との位置関係を示す説明図である。
【図９】ミラー機構の取付け状態を示す説明図である。
【図１０】表示ユニットの縦断面図である。
【図１１】フロントスクリーン機構の斜視図である。
【図１２】フロントスクリーン機構の斜視図である。
【図１３】表示ユニットの正面図である。
【図１４】表示ユニットの斜視図である。
【図１５】表示ユニットの分解斜視図である。
【図１６】表示ユニットの分解斜視図である。
【図１７】操作用開口部の状態を示す説明図である。
【図１８】表示ユニットの斜視図である。
【図１９】固定スクリーン機構への照射状態を示す説明図である。
【図２０】フロントスクリーン機構への照射状態を示す説明図である。
【図２１】リアスクリーン機構への照射状態を示す説明図である。
【図２２】フロントスクリーン機構の分解斜視図である。
【図２３】スクリーン筐体の右側板を取り外した状態を示す説明図である。
【図２４】右フロントスクリーン駆動機構の斜視図である。
【図２５】右フロントスクリーン駆動機構の作動状態を示す説明図である。
【図２６】右フロントスクリーン駆動機構の作動過程を示す説明図である。
【図２７】右フロントスクリーン駆動機構の作動過程を示す説明図である。
【図２８】右フロントスクリーン駆動機構の作動過程を示す説明図である。
【図２９】遊技機の斜視図である。
【図３０】遊技機の斜視図である。
【図３１】遊技機の正面図である。
【図３２】上ドア機構及び下ドア機構を開いた状態のときの、遊技機の正面図である。
【図３３】遊技機の分解斜視図である。
【図３４】遊技機の分解斜視図である。
【図３５】ミラー機構の分解斜視図である。
【図３６】プロジェクタ機構とミラー機構との位置関係を示す説明図である。
【図３７】ミラー機構の取付け状態を示す説明図である。
【図３８】表示ユニットの縦断面図である。
【図３９】プロジェクタ機構の斜視図である。
【図４０】表示ユニットをキャビネットに装着したときの斜視図である。
【図４１】表示ユニットの筐体内に収容される機能部品を省略した、図４０におけるＺ−Ｚ線矢視概略部分断面図であって、遊技機が島設備に設置される際に遊技機の上方に配される、島設備の固定板部材についても表した図である。
【図４２】プロジェクタ機構の斜視図である。
【図４３】表示ユニットの正面図である。
【図４４】表示ユニットの斜視図である。
【図４５】表示ユニットの分解斜視図である。
【図４６】表示ユニットの分解斜視図である。
【図４７】操作用開口部の状態を示す説明図である。
【図４８】表示ユニットの斜視図である。
【図４９】表示ユニット及びキャビネットの斜視断面図である。
【図５０】固定スクリーン機構への照射状態を示す説明図である。
【図５１】フロントスクリーン機構への照射状態を示す説明図である。
【図５２】リールスクリーン機構への照射状態を示す説明図である。
【図５３】フロントスクリーン機構の動作範囲とリールスクリーン機構の動作範囲を示す説明図である。
【図５４】フロントスクリーン機構の分解斜視図である。
【図５５】スクリーン筐体の右側板を取り外した状態を示す説明図である。
【図５６】右フロントスクリーン駆動機構の斜視図である。
【図５７】右フロントスクリーン駆動機構の作動状態を示す説明図である。
【図５８】右フロントスクリーン駆動機構の作動過程を示す説明図である。
【図５９】右フロントスクリーン駆動機構の作動過程を示す説明図である。
【図６０】右フロントスクリーン駆動機構の作動過程を示す説明図である。
【図６１】フロントスクリーン機構及びフロントスクリーン駆動機構の斜視図である。
【図６２】リールスクリーン機構、リールスクリーン駆動機構、及び可動体ベースの斜視図である。
【図６３】リールスクリーン機構、及びリールスクリーン駆動機構の斜視図である。
【図６４】センサ機構を説明するための斜視図である。
【図６５】センサ機構の検出状態を示す説明図である。
【図６６】センサ機構の検出状態を示す説明図である。
【図６７】センサ機構の検出状態を示す説明図である。
【図６８】フロントスクリーン機構の動作に係るシーケンス図である。
【図６９】フロントスクリーン機構をフロント待機位置からフロント露出位置に駆動させる際の、フロントスクリーン駆動機構の駆動モータの制御シーケンスについて説明する図である。
【図７０】リールスクリーン機構の動作に係るシーケンス図である。
【図７１】リールスクリーン機構をリール待機位置からリール露出位置に駆動させる際の、リールスクリーン駆動機構の駆動モータの制御シーケンスについて説明する図である。
【図７２】原点復帰動作に係る、フロントスクリーン機構及びリールスクリーン機構の駆動手順ついて説明する図である。
【図７３Ａ】キャビネット及びメダル補給口の斜視図である。
【図７３Ｂ】キャビネット、メダル補給口及びメダル補給機構の斜視図である。
【図７４】メダル補給機構の斜視図である。
【図７５】メダル補給機構の分解斜視図である。
【図７６】背面壁、メダル補給口、メダル補給機構、及び、スケーラ装置の配置を示す説明図である。
【図７７】下ドア機構を開いた状態の遊技機の正面図である。
【図７８】キャビネットの下部空間の斜視図である。
【図７９】キャビネットの下部空間の斜視図である。
【図８０】キャビネットの下部空間の断面図である。
【図８１】コインガードの正面図・上面図・右側面図である。
【図８２】下ドア機構を開いた状態の遊技機の正面図である。
【図８３】ホッパガイド機構が底面板に取付けられた状態の説明図である。
【図８４】ホッパガイド機構の上面図及び正面図である。
【図８５】ホッパ機構ＨＰの斜視図である。
【図８６】ホッパ機構ＨＰを正常に取り付ける際の説明図である。
【図８７】ホッパ機構ＨＰを正常に取り付ける際の説明図である。
【図８８】ホッパ機構ＨＰを誤進入させた場合の説明図である。
【図８９】キャビネットの内部の詳細図である。
【図９０】キャビネットの下部空間の斜視図である。
【図９１】板金の説明図である。
【図９２】板金の説明図である。
【図９３】上ドア機構及び下ドラ機構を開けた状態のキャビネットの正面図である。
【図９４】上ドア機構及び下ドラ機構を開けた状態のキャビネットの側面図である。
【図９５】下ドラ機構を開けた状態のキャビネットの斜視図である。
【図９６】上部扉ロック機構の説明図である。
【図９７】ロック状態にある上部扉ロック機構の説明図である。
【図９８】下ドア機構をキャビネットから取り外した状態の遊技機の斜視図である。
【図９９】下ドア機構を開いた状態の遊技機の斜視図である。
【図１００】キャビネットの下部空間の詳細図である。
【図１０１】スピーカＤＤ２５と電源装置と対向させた状態の側面図である。
【図１０２】上ドア機構の斜視図である。
【図１０３】最大ＢＥＴボタンの操作部と係止部の分解図である。
【図１０４】第２台座部に固定された最大ＢＥＴボタンをキャビネット内部から見た図である。
【図１０５】第２台座部の断面図である。
【図１０６】操作部の分解図である。
【図１０７】遊技機の正面図である。
【図１０８】下ドア機構を開いた状態の遊技機の正面図である。
【図１０９】下ドア機構の背面斜視図である。
【図１１０】下部扉ＤＤ１、リールユニットＲＵ、主制御基板ＭＳの分解図である。
【図１１１】リールユニットへの主制御基板の取り付け説明図である。
【図１１２】下ドア機構へのリールユニットの取り付け説明図である。
【図１１３】リール装置の分解斜視図である。
【図１１４】リールユニットの分解斜視図である。
【図１１５】モータ取付板、リールインデックス、及び、センサ部の斜視図である。
【図１１６】検知片と、検知状態との関係を示す説明図である。
【図１１７】モータ取付板、及び、センサ部の斜視図である。
【図１１８】モータ取付板、及び、センサ部の分解斜視図である。
【図１１９】モータ取付板、及び、センサ部の分解斜視図である。
【図１２０】モータ取付板に対する台座部材の取り付け位置を示す説明図である。
【図１２１】台座部材に対するセンサの取り付け位置を示す説明図である。
【図１２２】上ドア機構が開いた状態の遊技機の上面図である。
【図１２３】上ドア機構をキャビネットから取り外した状態の遊技機の斜視図である。
【図１２４】上側ヒンジ機構の説明図である。
【図１２５】上ドア機構の斜視図である。
【図１２６】上ドア機構の分解斜視図である。
【図１２７】装飾ユニットの分解斜視図である。
【図１２８】照射光装置と装飾ユニットとの位置関係を示す説明図である。
【図１２９】装飾ユニットの断面図である。
【図１３０】上ドア機構の内部構成を示す正面図である。
【図１３１】上ドア機構の斜視図である。
【図１３２】上ドア機構の要部拡大斜視図である。
【図１３３】上ドア機構の要部拡大断面図である。
【図１３４】左パネル機構の斜視図である。
【図１３５】左パネル機構の斜視図である。
【図１３６】左パネル機構の分解斜視図である。
【図１３７】左パネル機構の分解斜視図である。
【図１３８】左パネル機構の一部分解斜視図である。
【図１３９】左パネル機構の断面図である。
【図１４０】左導光板の導光構造を示す説明図である。
【図１４１】パネルベースと、トップレンズカバと、左上パネル機構の斜視図である。
【図１４２】左上パネル機構の斜視図である。
【図１４３】左上パネル機構の斜視図である。
【図１４４】トップレンズカバと、左上パネル機構の斜視図である。
【図１４５】パチスロの機能フローを示す図である。
【図１４６】主制御回路の構成例を示すブロック図である。
【図１４７】副制御回路の構成例を示すブロック図である。
【図１４８】サブ制御装置の分解斜視図である。
【図１４９】ベース部材の斜視図である。
【図１５０】カバー部材を底面側から見た斜視図である。
【図１５１】サブ制御装置の正面図である。
【図１５２Ａ】サブ制御装置の上面図である。
【図１５２Ｂ】サブ制御装置の底面図である。
【図１５３】ベース側接着部の斜視図である。
【図１５４】ベース側接着部の正面図である。
【図１５５】ベース側接着部を後方から見た斜視図である。
【図１５６】ベース側接着部の右側面図である。
【図１５７】ベース側接着部の上面図である。
【図１５８】カバー側接着部の斜視図である。
【図１５９】カバー側接着部の右側面図である。
【図１６０】カバー側接着部を下方から見た斜視図である。
【図１６１】カバー側接着部を下方から見た斜視図である。
【図１６２】カバー側接着部の底面図である。
【図１６３】ベース部材とカバー部材との位置合わせをしている際の様子を示す図である。
【図１６４】ベース部材とカバー部材とを螺合した状態におけるベース側接着部及びカバー側接着部の底面図である。
【図１６５】図１５２Ａに示すサブ制御装置の矢視Ａ−Ａに沿う断面図である。
【図１６６】表示ユニットの斜視図である。
【図１６７】スクリーン装置の分解斜視図である。
【図１６８】スクリーン装置の分解斜視図である。
【図１６９】スクリーン装置の分解斜視図である。
【図１７０】フロントスクリーン機構の分解斜視図である。
【図１７１】フロントスクリーン支持台の正面図である。
【図１７２】図１７１に示すフロントスクリーン支持台の矢視Ｂ−Ｂに沿う断面図である。
【図１７３】図１７２に示すフロントスクリーン支持台にフロントスクリーン部材を粘着させた状態を示す図である。
【図１７４】図１７１に示すフロントスクリーン支持台の矢視Ｃ−Ｃに沿う断面図である。
【図１７５】図１７４に示すフロントスクリーン支持台にフロントスクリーン部材を粘着させた状態を示す図である。
【図１７６】フロントスクリーン支持台の背面図である。
【図１７７】図１７６に示すフロントスクリーン支持台の矢視Ｄ−Ｄに沿う断面図である。
【図１７８】図１７６に示すフロントスクリーン支持台の矢視Ｅ−Ｅに沿う断面図である。
【図１７９】スクリーン筐体の右側板及び左側板を取り外した状態を示す説明図である。
【図１８０】右フロントスクリーン駆動機構の斜視図である。
【図１８１】右フロントスクリーン駆動機構のクランクギアを取り外した状態を示す説明図である。
【図１８２】右フロントスクリーン駆動機構のクランクギアの平面図である。
【図１８３】右フロントスクリーン機構及び左フロントスクリーン駆動機構の斜視図である。
【図１８４】右フロントスクリーン駆動機構のクランクギアの右側面図である。
【図１８５】右フロントスクリーン駆動機構の中間ギアの右側面図である。
【図１８６】フロントスクリーン機構がフロント露出位置に配置されている場合における右フロントスクリーン駆動機構のクランクギア及び中間ギアの右側面図である。
【図１８７】右側板の右側面図である。
【図１８８】フロントスクリーン機構がフロント露出位置に配置されている場合におけるスクリーン装置の右側面図である。
【図１８９】フロントスクリーン機構がフロント露出位置に配置されている場合における右フロントスクリーン駆動機構のクランクギアの左側面図である。
【図１９０】クランクギアとクランク部材とを組み付ける前の状態におけるクランクギアを示す図である。
【図１９１】クランクギアとクランク部材とを組み付ける前の状態におけるクランク部材を示す図である。
【図１９２】右側板にクランクギアを取り付けた状態を示す右側面図である。
【図１９３】図１９２に示す右側板及びクランクギアに中間ギアを取り付けた状態を示す図である。
【図１９４】リール待機位置に配置されている場合におけるリールスクリーン機構の斜視図である。
【図１９５】リール露出位置に配置されている場合におけるリールスクリーン機構の斜視図である。
【図１９６】リールスクリーン機構、リールスクリーン駆動機構、及び、可動体ベースの斜視図である。
【図１９７】リールスクリーン機構及びリールスクリーン駆動機構の斜視図である。
【図１９８】リールスクリーン機構がリール待機位置に配置されている場合におけるアーム部材及び可動体ベースを示す斜視図である。
【図１９９】リールスクリーン機構及びアーム部材の右側面図である。
【図２００】リールスクリーン機構及びアーム部材の底面図である。
【図２０１】リールスクリーン機構及びアーム部材を下方から見た斜視図である。
【図２０２】右可動体ベースの斜視図である。
【図２０３】図１９８に示すアーム部材及び可動体ベースの位置を上下方向に僅かにずらした状態を示す図である。
【図２０４】可動体ベースにおける基準面近傍の上面図である。
【図２０５】図２０４に示す可動体ベースの矢視Ｆ−Ｆに沿う断面図である。
【図２０６】緩衝部材設置部を右側から見た図である。
【図２０７】図２０６に示す緩衝部材設置部に緩衝部材を設置した状態を示す図である。
【図２０８】図２０４に示す可動体ベースの矢視Ｇ−Ｇに沿う断面においてアーム部材と緩衝部材とが当接している状態を示す図である。
【図２０９】フロントスクリーン機構がフロント露出位置に配置されている場合におけるフロントスクリーン機構及び底板を示す斜視図である。
【図２１０】フロントスクリーン支持台の斜視図である。
【図２１１】図２１０に示すフロントスクリーン支持台に形成された突起の部分拡大図である。
【図２１２】底板の斜視図である。
【図２１３】図２０９に示すフロントスクリーン機構及び底板の位置を上下方向に僅かにずらした状態を示す図である。
【図２１４】底板を斜め下方から見た図である。
【図２１５】底板の上面図である。
【図２１６】図２１５に示す底板の矢視Ｈ−Ｈに沿う断面における緩衝部材設置部の部分拡大図である。
【図２１７】図２１４に示す底板に形成された緩衝部材設置部に緩衝部材用カバーを取り付けた状態を示す図である。
【図２１８】緩衝部材用カバーの斜視図である。
【図２１９】図２１８に示す緩衝部材用カバーに緩衝部材を載置した状態を示す図である。
【図２２０】図２１５に示す底板の矢視Ｈ−Ｈに沿う断面においてフロントスクリーン支持台と緩衝部材とが当接している状態を示す図である。
【図２２１】図２１５に示す底板の矢視Ｉ−Ｉに沿う断面において緩衝部材及び緩衝部材用カバーが設置されている状態を示す図である。
【図２２２】図１９７に示す円弧状ギアの右側面図である。
【図２２３】図２２２に示す円弧状ギアの斜視図である。
【図２２４】右フロントスクリーン駆動機構のクランク部材の左側面図である。
【図２２５】図２２４に示すクランク部材の斜視図である。
【図２２６】フロントスクリーン機構がフロント露出位置に配置され、リールスクリーン機構がリール待機位置に配置されている場合におけるスクリーン装置の断面の斜視図である。
【図２２７】フロントスクリーン機構がフロント露出位置に配置され、リールスクリーン機構がリール待機位置に配置されている場合における円弧状ギア及びクランク部材の断面の右側面図である。
【図２２８】リールスクリーン機構がリール露出位置に配置され、フロントスクリーン機構がフロント待機位置に配置されている場合におけるスクリーン装置の断面の斜視図である。
【図２２９】リールスクリーン機構がリール露出位置に配置され、フロントスクリーン機構がフロント待機位置に配置されている場合における円弧状ギア及びクランク部材の断面の右側面図である。
【図２３０】照射光装置の分解斜視図である。
【図２３１】プロジェクタ機構の回路構成を示すブロック図である。
【図２３２】プロジェクタ機構の分解斜視図である。
【図２３３】プロジェクタ機構を固定するための上側台座及び下側台座の分解斜視図である。
【図２３４】上側台座と下側台座とを連結した状態の平面図である。
【図２３５】上側台座の位置決め方法を説明するための図である。
【図２３６】図２３４に示す上側台座及び下側台座の矢視Ｊ−Ｊに沿う断面図である。
【図２３７】下側台座の姿勢調整方法を説明するための図である。
【図２３８】プロジェクタ機構と調整用ＰＣとの接続形態を示す図である。
【図２３９】プロジェクタカバーの上壁部を取り外した状態を示す斜視図である。
【図２４０】プロジェクタカバーと中継板と上側台座とを連結した状態の平面図である。
【図２４１】図２４０に示すプロジェクタカバー、中継板、及び上側台座の矢視Ｋ−Ｋに沿う断面図である。
【図２４２】図２４０に示す状態からプロジェクタカバーを取り外した状態を示す斜視図である。
【図２４３】中継板及び緩衝部材を示す分解斜視図である。
【図２４４】上側台座及び下側台座の斜視図である。
【図２４５】上側台座及び下側台座の平面図である。
【図２４６】上側台座及び下側台座を斜め前方から見た図である。
【図２４７】上側台座及び下側台座を斜め後方から見た図である。
【図２４８】プロジェクタ機構の内部構成要素を収容するケースの斜視図である。
【図２４９】下側台座にケースを取り付けた状態を示す斜視図である。
【図２５０】プロジェクタカバーの上壁部を取り外した状態を示す斜視図である。
【図２５１】上壁部を取り外した状態のプロジェクタカバーの平面図である。
【図２５２】図２５１に示すプロジェクタカバーの矢視Ｌ−Ｌに沿う断面図と、プロジェクタカバーに取り付けられる中継板の斜視図とを分解して示す図である。
【図２５３】上壁部を取り外した状態のプロジェクタカバーを斜め上方から見た図である。
【図２５４】上壁部を取り外した状態のプロジェクタカバーの正面図である。
【図２５５】図２５４に示すプロジェクタカバーの矢視Ｍ−Ｍに沿う断面図である。
【図２５６】ブラインドの斜視図である。
【図２５７】プロジェクタカバーの上壁部を取り外した状態の照射光装置の平面図である。
【図２５８】図２５７に示す照射光装置の矢視Ｎ−Ｎに沿う断面図である。
【図２５９】図２５７に示す照射光装置の矢視Ｎ−Ｎに沿う断面の右側面図である。
【図２６０】吸気用ファン及び排気用ファンの配置位置について説明するための図である。
【図２６１】プロジェクタカバーの内部において形成され得る空気流路を示す図である。
【図２６２】パチンコ遊技機の外観を示す斜視図である。
【図２６３】パチンコ遊技機の分解斜視図である。
【図２６４】パチンコ遊技機の装飾ユニット及びフレーム部材を前方から示す分解斜視図である。
【図２６５】パチンコ遊技機の外観を示す斜視図である。
【図２６６】パチンコ遊技機の分解斜視図である。
【発明を実施するための形態】
【００１６】
（第１実施形態）
以下、図面を参照して、本発明の第１実施形態について説明する。
遊技機は、いわゆるパチスロ機である。遊技機は、コイン、メダル、遊技球又はトークンなどの他、遊技者に付与された又は付与される、遊技価値の情報を記憶したカードなどの遊技媒体を用いて遊技する遊技機であるが、以下ではメダルを用いるものとして説明する。
【００１７】
尚、以後の説明において、遊技機１から遊技者に向かう側（方向）を遊技機１の前側（前方向）と称し、前側とは逆側を後側（後方向、奥行方向）と称し、遊技者から見て右側及び左側を遊技機１の右側（右方向）及び左側（左方向）とそれぞれ称する。また、前側及び後側を含む方向は、前後方向又は厚み方向と称し、右側及び左側を含む方向は、左右方向又は幅方向と称する。前後方向（厚み方向）及び左右方向（幅方向）に直交する方向を上下方向又は高さ方向と称する。
【００１８】
図１及び図２に示すように、遊技機１の外観は、矩形箱状の筐体２により構成されている。筐体２は、前面側に矩形状の開口を有するキャビネット２１と、キャビネット２１の前面上部に配置された上ドア機構ＵＤと、キャビネット２１の前面下部に配置された下ドア機構ＤＤとを有している。キャビネット２１は、遊技に用いられる機器（例えばリール（又は、ドラムともいう）など）を収容する。図３にも示すように、上ドア機構ＵＤ及び下ドア機構ＤＤは、キャビネット２１の開口の形状及び大きさに対応するように形成されている。上ドア機構ＵＤ及び下ドア機構ＤＤは、キャビネット２１における開口の上部及び下部を閉塞可能に設けられている。上ドア機構ＵＤは、上側表示窓ＵＤ１を中央部に有している。上側表示窓ＵＤ１には、光を透過する透明パネルＵＤ１１が設けられている。
【００１９】
（表示ユニットＡ）
図４に示すように、上ドア機構ＵＤの後側におけるキャビネット２１の内部には、表示ユニットＡが設けられている。図５に示すように、表示ユニットＡは、キャビネット２１内の中間支持板２１１上に着脱可能に設けられている。尚、中間支持板２１１は、キャビネット２１内の上部空間と下部空間との仕切り壁として機能している。表示ユニットＡは、映像を含む照射光を出射する照射光装置Ｂと、照射光装置Ｂからの照射光が照射されることにより映像を出現させるスクリーン装置Ｃとを有した所謂プロジェクションマッピング装置である。
【００２０】
ここで、プロジェクションマッピング装置は、建造物や自然物などの立体物の表面に映像を投影するためのものであって、例えば、後述のスクリーンである役物に対して、その位置（投影距離や角度など）や形状に基づいて生成される、演出情報に応じた映像を投影することにより、高度で、かつ迫力のある演出を可能とする。
【００２１】
（表示ユニットＡ：照射光装置Ｂ）
図６に示すように、照射光装置Ｂは、照射光を前方に出射するプロジェクタ機構Ｂ２と、プロジェクタ機構Ｂ２の前方に配置され、プロジェクタ機構Ｂ２からの照射光を斜め下後方に配置されたスクリーン装置Ｃ方向に反射するミラー機構Ｂ３と、プロジェクタ機構Ｂ２及びミラー機構Ｂ３を収容したプロジェクタカバーＢ１とを有している。
【００２２】
（表示ユニットＡ：照射光装置Ｂ：プロジェクタ機構Ｂ２）
プロジェクタ機構Ｂ２は、キャビネット２１内の後部に配置されている。プロジェクタ機構Ｂ２は、水平配置された平板状のベース部材Ｂ２２を有している。ベース部材Ｂ２２の下面には、レンズ機構Ｂ２１及び図示しない光源が設けられている。レンズ機構Ｂ２１は、光源から出射された照射光を前方のミラー機構Ｂ３に向けて出射するように配置されている。
【００２３】
また、ベース部材Ｂ２２の下面には、排熱機構Ｂ２３・Ｂ２４が設けられている。排熱機構Ｂ２３・Ｂ２４は、レンズ機構Ｂ２１及び光源の右側及び左側にそれぞれ配置されている。排熱機構Ｂ２３・Ｂ２４は、空気を流通させるダクトと空気を送出するファンとを有しており、空気を後方に吹き出すことによって、照射光を生成する際に発生する熱を強制的に後方に流動させるようになっている。図２に示すように、排熱機構Ｂ２３・Ｂ２４における空気の流動方向には、キャビネット２１の通気穴２１ａが配置されている。これにより、排熱機構Ｂ２３・Ｂ２４は、プロジェクタ機構Ｂ２の熱を空気と共に通気穴２１ａを介して機外に強制的に排出することが可能になっている。
【００２４】
（表示ユニットＡ：照射光装置Ｂ：ミラー機構Ｂ３）
図６に示すように、プロジェクタ機構Ｂ２の前方（照射光の出射方向）には、ミラー機構Ｂ３が配置されている。図７に示すように、ミラー機構Ｂ３は、ミラーホルダＢ３１と、ミラーホルダＢ３１に収容された光学ミラーＢ３２と、光学ミラーＢ３２の両端部をミラーホルダＢ３１に固定するミラーストッパＢ３３・Ｂ３４とを有している。図８にも示すように、ミラーホルダＢ３１は、前面が長方形状の板状に形成されている。ミラーホルダＢ３１の各コーナー部には、角度調整穴Ｂ３１１が形成されていると共に、角度調整穴Ｂ３１１を中心にして凹部Ｂ３１２が前面に形成されている。また、上下方向の角度調整穴Ｂ３１１・Ｂ３１１間には、取付け穴Ｂ３１４・Ｂ３１４が上下対称に形成されている。
【００２５】
一方、また、ミラーホルダＢ３１の後面には、ミラー保持部Ｂ３１３が形成されている。ミラー保持部Ｂ３１３は、中央部に形成されており、角度調整穴Ｂ３１１及び取付け穴Ｂ３１４に重複しないサイズで形成されている。ミラー保持部Ｂ３１３の左側及び右側には、ミラーストッパＢ３３・Ｂ３４がそれぞれ設けられている。ミラーストッパＢ３３・Ｂ３４は、角度調整穴Ｂ３３１・Ｂ３４１と、取付け穴Ｂ３３４・Ｂ３４４とをそれぞれ有している。ミラーストッパＢ３３・Ｂ３４における角度調整穴Ｂ３３１・Ｂ３４１及び取付け穴Ｂ３３４・Ｂ３４４は、ミラーホルダＢ３１における角度調整穴Ｂ３１１・Ｂ３１１及び取付け穴Ｂ３１４・Ｂ３１４に対応するように配置されている。
【００２６】
ミラーストッパＢ３３・Ｂ３４は、一部がミラー保持部Ｂ３１３と重複するように形成されている。これにより、ミラーストッパＢ３３・Ｂ３４は、ミラー保持部Ｂ３１３に嵌合された光学ミラーＢ３２の左右方向の両辺部に当接し、取付け穴Ｂ３１４・Ｂ３３４・Ｂ３４４によりミラーホルダＢ３１にネジ締結されることによって、光学ミラーＢ３２をミラーホルダＢ３１に保持させている。
【００２７】
図９に示すように、上記のように構成されたミラー機構Ｂ３は、プロジェクタカバーＢ１におけるリフレクタ保持部Ｂ１１の内側面に設けられている。リフレクタ保持部Ｂ１１は、プロジェクタカバーＢ１の前面中央部に形成されており、上ドア機構ＵＤを開いたときに前側に露出するように配置されている。リフレクタ保持部Ｂ１１は、角度調整穴Ｂ１１１を有している。角度調整穴Ｂ１１１は、ミラー機構Ｂ３の角度調整穴Ｂ３１１に対応した位置に形成されている。
【００２８】
リフレクタ保持部Ｂ１１の角度調整穴Ｂ１１１には、図示しないネジが前面側から挿通されており、このネジは、ミラーホルダＢ３１の角度調整穴Ｂ３１１を貫通する。そして、ミラーストッパＢ３３・Ｂ３４の角度調整穴Ｂ３３１・Ｂ３４１は、ネジが螺合可能なネジ穴として形成されており、ミラーホルダＢ３１の角度調整穴Ｂ３１１を貫通したネジは、ミラーストッパＢ３３・Ｂ３４の角度調整穴Ｂ３３１・Ｂ３４１に螺合される。
【００２９】
そして、上記ネジが角度調整穴Ｂ３３１・Ｂ３４１との螺合が緩む方向に回転されると、リフレクタ保持部Ｂ１１とミラーストッパＢ３３・Ｂ３４との距離が広がることとなる。一方、上記ネジが角度調整穴Ｂ３３１・Ｂ３４１との螺合が締まる方向に回転されると、リフレクタ保持部Ｂ１１とミラーストッパＢ３３・Ｂ３４との距離が縮まることとなる。
【００３０】
上記のように、取付け穴Ｂ３１４・Ｂ３３４・Ｂ３４４を介してミラーホルダＢ３１とミラーストッパＢ３３・Ｂ３４とがネジ締結されており、これにより、ミラーホルダＢ３１とミラーストッパＢ３３・Ｂ３４との間に光学ミラーＢ３２が挟持されている。このように、ミラーホルダＢ３１と光学ミラーＢ３２とミラーストッパＢ３３・Ｂ３４とは、ミラー機構Ｂ３として一体化されており、ネジの回転によりリフレクタ保持部Ｂ１１とミラーストッパＢ３３・Ｂ３４との距離を変化させることにより、リフレクタ保持部Ｂ１１とミラー機構Ｂ３との距離を増減することができる。そして、角度調整穴Ｂ３１１・３３１・Ｂ３４１がミラー機構Ｂ３のコーナー部に対応して４方向に配置されているため、各角度調整穴Ｂ３１１・３３１・Ｂ３４１の配置位置におけるリフレクタ保持部Ｂ１１とミラー機構Ｂ３との距離を増減させることによって、プロジェクタ機構Ｂ２から出射された照射光の進行方向に対する光学ミラーＢ３２の反射角度を微調整することを可能にしている。
【００３１】
また、リフレクタ保持部Ｂ１１とミラーホルダＢ３１との間には、図示しないバネが設けられている。バネは、後端面がミラーホルダＢ３１の凹部Ｂ３１２に当接されており、前端面がリフレクタ保持部Ｂ１１の内壁面（後壁面）に当接されることによって、リフレクタ保持部Ｂ１１とミラーホルダＢ３１とで挟持されている。そして、リフレクタ保持部Ｂ１１の角度調整穴Ｂ１１１から挿通されたネジが当該バネを貫通している。これにより、ネジの回転に伴ってリフレクタ保持部Ｂ１１とミラー機構Ｂ３との距離が広がっても、バネの付勢力により、ネジ頭部がリフレクタ保持部Ｂ１１の角度調整穴Ｂ１１１に当接することとなり、ネジ頭部が角度調整穴Ｂ１１１から飛び出してリフレクタ保持部Ｂ１１とネジとの位置関係が崩れてしまうことを防止することができる。
【００３２】
（表示ユニットＡ：照射光装置Ｂ：プロジェクタカバーＢ１）
図１０に示すように、上記のように構成されたプロジェクタ機構Ｂ２及びミラー機構Ｂ３は、プロジェクタカバーＢ１に収容されている。プロジェクタカバーＢ１は、水平配置された上壁部Ｂ１２と、上壁部Ｂ１２の前側に配置されたリフレクタ保持部Ｂ１１と、上壁部Ｂ１２の左右方向において左右対称に配置された側壁部Ｂ１３・Ｂ１３とを有している。上壁部Ｂ１２は、前部が図５のキャビネット２１よりも前方に突出されている。上壁部Ｂ１２の前辺中央部には、リフレクタ保持部Ｂ１１が前方に突出した形態に形成されており、突出により形成された空間部に上述のミラー機構Ｂ３を角度調整可能に保持している。
【００３３】
また、側壁部Ｂ１３・Ｂ１３は、下端部から水平方向に突出された突出部Ｂ１３１を有している。突出部Ｂ１３１は、前部側の第１突出部Ｂ１３１ａと、後部側の第２突出部Ｂ１３１ｂとを有している。第１突出部Ｂ１３１ａは、プロジェクタカバーＢ１がキャビネット２１に装着されたときに、キャビネット２１の開口部に対応する位置に形成されており、キャビネット２１の開口部の幅よりも僅かに小さな幅に設定されている。一方、第２突出部Ｂ１３１ｂは、プロジェクタカバーＢ１がキャビネット２１に装着されたときに、キャビネット２１の開口部から後方の空間部に対応する位置に形成されており、後方の空間部の幅よりも僅かに小さな幅に設定されている。即ち、各側壁部Ｂ１３・Ｂ１３は、第１突出部Ｂ１３１ａの幅よりも第２突出部Ｂ１３１ｂの幅が広く形成されている。これにより、プロジェクタカバーＢ１は、キャビネット２１における内部空間の大部分を覆うことが可能になっている。
【００３４】
プロジェクタカバーＢ１の下面側には、複数の孔Ｂ１５１を有した多孔板Ｂ１５が設けられている。多孔板Ｂ１５は、金属（例えば、ステンレス、鉄、鋼、アルミ等）製の板に打ち抜き加工を施すことにより複数の孔を開けたパンチングメタルである。複数の孔Ｂ１５１は、多孔板Ｂ１５の全面において略均等に分散して形成されている。多孔板Ｂ１５は、多孔板Ｂ１５の全面において空気を流通可能にしており、プロジェクタ機構Ｂ２の排熱機構Ｂ２３・Ｂ２４による吸引により下側から上側への空気の流動を可能にしている。孔Ｂ１５１のサイズ及び個数は、外部からプロジェクタカバーＢ１内を目視できない程度に設定されている。孔Ｂ１５１は、丸、四角、六角形等の形状に形成されており、孔径は、３〜５ｍｍ程度となっている。
【００３５】
多孔板Ｂ１５は、プロジェクタカバーＢ１の第１突出部Ｂ１３１ａ及び第２突出部Ｂ１３１ｂを下側位置から覆うように形成されている。図１２に示すように、多孔板Ｂ１５は、前部側の上側部Ｂ１５ａと、中部側の傾斜部Ｂ１５ｂと、後部側の下側部Ｂ１５ｃとを有している。上側部Ｂ１５ａは、水平配置されている。傾斜部Ｂ１５ｂは、上側部Ｂ１５ａの後辺から斜め下後方に曲折されることにより形成されている。下側部Ｂ１５ｃは、傾斜部Ｂ１５ｂの後辺から水平方向に曲折されることにより形成されている。
【００３６】
多孔板Ｂ１５の上側部Ｂ１５ａは、プロジェクタカバーＢ１の側壁部Ｂ１３・Ｂ１３に取付けられている。これにより、多孔板Ｂ１５は、プロジェクタカバーＢ１の前部を上側部Ｂ１５ａで下側から覆い、プロジェクタカバーＢ１の中部から後部にかけて傾斜部Ｂ１５ｂ及び下側部Ｂ１５ｃで下側から覆うように配置されている。図１０に示すように、多孔板Ｂ１５の下方には、スクリーン装置Ｃにおけるフロントスクリーン機構Ｅ１が配置されている。
【００３７】
詳細は後述するが、フロントスクリーン機構Ｅ１は、照射光による映像の出現を禁止する待機姿勢となる上側に配置されたフロント待機位置と、照射光による映像の出現を許可する露出姿勢となる下側に配置されたフロント露出位置との間を回動可能にされており、待機姿勢におけるフロントスクリーン機構Ｅ１は、多孔板Ｂ１５の傾斜部Ｂ１５ｂに略平行に近接した傾斜姿勢にされている。一方、フロントスクリーン機構Ｅ１が露出姿勢となったときには、多孔板Ｂ１５の下方に大きな空間部が出現し、この空間部に存在する空気が流動抵抗のない状態で多孔板Ｂ１５に到達し、複数の孔Ｂ１５１を通過することによって、スクリーン装置Ｃ内への空気の流入を容易にして冷却効率を高めることを可能にしている。
【００３８】
また、多孔板Ｂ１５は、プロジェクタカバーＢ１の下面を覆うように設けられることによって、例えば図１３に示すように、前側に位置した遊技者の目線位置がスクリーン装置Ｃの上下方向及び左右方向の中心部の水平線上に存在し、この目線位置から照射光装置Ｂを見上げる状態になったとしても、多孔板Ｂ１５により照射光装置Ｂの内部を目視されないようにしている。
【００３９】
（表示ユニットＡ：スクリーン装置Ｃ）
図１４に示すように、上記のように構成された照射光装置Ｂは、スクリーン装置Ｃの上面にネジ締結により連結されている。これにより、表示ユニットＡは、照射光装置Ｂとスクリーン装置Ｃとをユニット化して一体的に取り扱うことが可能になっている。
【００４０】
（表示ユニットＡ：スクリーン装置Ｃ：スクリーン筐体Ｃ１０）
スクリーン装置Ｃは、箱形形状のスクリーン筐体Ｃ１０を有している。図１５にも示すように、スクリーン筐体Ｃ１０は、水平配置された底板Ｃ１と、底板Ｃ１の右端部に立設された右側板Ｃ２と、底板Ｃ１の左端部に立設された左側板Ｃ３と、底板Ｃ１の後端部に立設された背板Ｃ４とを有している。これにより、底板Ｃ１に対して右側板Ｃ２と左側板Ｃ３と背板Ｃ４とがネジ締結により連結されることによって、遊技者が位置する前面側と、照射光装置Ｂが位置する上面側とが開放された箱形形状のスクリーン筐体Ｃ１０が形成されている。
【００４１】
スクリーン筐体Ｃ１０を構成する底板Ｃ１と右側板Ｃ２と左側板Ｃ３と背板Ｃ４とは、それぞれが独立して所定形状に形成されており、固定スクリーン機構Ｄ等の所定の機能部品が取付け可能にされている。これにより、スクリーン装置Ｃのユニット全体として共通化を図れない場合でも、底板Ｃ１と右側板Ｃ２と左側板Ｃ３と背板Ｃ４との板部材単位で共通化することが可能になっている。また、板部材毎の部分的な変更が可能であるため、遊技機１の機種毎に容易に仕様変更することが可能になっている。
【００４２】
（表示ユニットＡ：スクリーン装置Ｃ：スクリーン筐体Ｃ１０：底板Ｃ１）
具体的に説明すると、スクリーン筐体Ｃ１０の底板Ｃ１は、上面視が長方形の平板形状に形成されている。底板Ｃ１の上面には、中央部に配置された中央載置部Ｃ１１と、中央載置部Ｃ１１を中心として左右方向に配置された右載置部Ｃ１２及び左載置部Ｃ１３とを有している。これらの載置部Ｃ１１・Ｃ１２・Ｃ１３は、凹状に形成されている。中央載置部Ｃ１１は、固定スクリーン機構Ｄの下端部が嵌合されることによって、固定スクリーン機構Ｄを位置決め可能に載置している。右載置部Ｃ１２及び左載置部Ｃ１３は、右可動体ベースＣ５及び左可動体ベースＣ６の下端部がそれぞれ嵌合されることによって、右可動体ベースＣ５及び左可動体ベースＣ６をそれぞれ位置決め可能に載置している。
【００４３】
また、底板Ｃ１の前辺部Ｃ１４は、下方に曲折されることによって、先端部が底板Ｃ１の下面よりも下方に位置されている。前辺部Ｃ１４には、複数の貫通穴Ｃ１４１が形成されている。図５に示すように、前辺部Ｃ１４は、表示ユニットＡがキャビネット２１の中間支持板２１１に載置されながら組み込まれる際に、中間支持板２１１の前面に当接することによって、キャビネット２１内の後方への位置決めを行うことを可能にしている。そして、表示ユニットＡは、前辺部Ｃ１４の貫通穴Ｃ１４１を介してキャビネット２１の前面にネジ締結されることによって、キャビネット２１の前面側からの表示ユニットＡの組み込み作業及び据え付け作業を行うことが可能になっている。
【００４４】
（表示ユニットＡ：スクリーン装置Ｃ：スクリーン筐体Ｃ１０：右側板Ｃ２、左側板Ｃ３）
図１５及び図１６に示すように、スクリーン筐体Ｃ１０の右側板Ｃ２及び左側板Ｃ３は、操作用開口部Ｃ２１・Ｃ３１を有している。操作用開口部Ｃ２１・Ｃ３１は、取っ手として形成されており、操作用開口部Ｃ２１・Ｃ３１に手を引っかけることによって表示ユニットＡを持ち運ぶことができるようになっている。操作用開口部Ｃ２１・Ｃ３１は、フロントスクリーン駆動機構Ｅ２のクランクギアＥ２１・Ｅ２１の側方に配置されている。操作用開口部Ｃ２１・Ｃ３１は、水平方向に長手方向を一致させた長方形状に形成されている。操作用開口部Ｃ２１・Ｃ３１の開口面積は、クランクギアＥ２１・Ｅ２１を外部から人手により操作することができる程度に設定されている。
【００４５】
これにより、表示ユニットＡをキャビネット２１に組み込んだ後に、待機位置のフロントスクリーン機構Ｅ１を手動で移動させる場合は、先ず、上ドア機構ＵＤが開放されたキャビネット２１の前面側から表示ユニットＡを取り出す。具体的には、キャビネット２１の前面側に位置した作業者がキャビネット２１に対する表示ユニットＡのネジ締結を解除してネジを取り外す。そして、キャビネット２１内に手を伸ばして表示ユニットＡの操作用開口部Ｃ２１・Ｃ３１を両手で把持し、表示ユニットＡをキャビネット２１外に取り出す。この後、例えば図１７に示すように、取り外した表示ユニットＡの一方の操作用開口部Ｃ２１からスクリーン装置Ｃ内に手を伸ばし、操作用開口部Ｃ２１から水平方向に見えるクランクギアＥ２１を回転させることによって、ロック状態のフロントスクリーン機構Ｅ１を待機位置から容易に移動させることができる。フロントスクリーン機構Ｅ１のロック状態については後述する。待機位置からの移動によりロック状態が解除されると、フロントスクリーン機構Ｅ１を所望の位置に素早く回動させることができる。
【００４６】
なお、上ドア機構ＵＤを開けた状態で、キャビネット２１の開口の前方から、キャビネット２１の側面壁２１２とスクリーン装置Ｃの右側板Ｃ２との間のスペース内に手を伸ばし、操作用開口部Ｃ２１からクランクギアＥ２１を操作することによって、クランクギアＥ２１を回転させることができる。この場合には、表示ユニットＡをキャビネット２１外に取り外さなくても、フロントスクリーン機構Ｅ１のロック状態を解除することができる。
【００４７】
また、右側板Ｃ２には、モータ収容部Ｃ２２が形成されている。モータ収容部Ｃ２２は、リールスクリーン駆動機構Ｆ２の駆動モータＦ２１を収容している。
【００４８】
（表示ユニットＡ：スクリーン装置Ｃ：スクリーン筐体Ｃ１０：背板Ｃ４）
図１８に示すように、スクリーン筐体Ｃ１０の背板Ｃ４は、平板状に形成されており、背面に中継基板ＣＫが設けられている。中継基板ＣＫは、表示ユニットＡにおける複数の信号線を集合して表示ユニットＡ外との配線を一箇所で行うことを可能にしている。中継基板ＣＫは、背板Ｃ４の背面に設けられることによって、キャビネット２１の背面壁２１３の前方に配置された状態にされている。即ち、中継基板ＣＫは、キャビネット２１の背面壁２１３とスクリーン筐体Ｃ１０の背板Ｃ４との隙間に配置されている。中継基板ＣＫの下方には、図５に示すように、表示ユニットＡを支持する中間支持板２１１の貫通穴２１１１が配置されており、中継基板ＣＫの信号線が挿通されている。
【００４９】
これにより、中継基板は、スクリーン装置Ｃの外部に配置されることによって、配線作業が容易化されていると共に、スクリーン装置Ｃ内に中継基板ＣＫ用の設置スペースを確保することを不要にし、スクリーン装置Ｃ内の設計の自由度を拡大させている。
【００５０】
また、図１８に示すように、背板Ｃ４には、操作用開口部Ｃ４１が形成されている。操作用開口部Ｃ４１は、右側下部に配置されており、フロントスクリーン駆動機構Ｅ２の中間ギアＥ２３に対向されている。操作用開口部Ｃ４１は、中間ギアＥ２３を手動で操作可能なサイズに形成されている。これにより、表示ユニットＡをキャビネット２１に組み込んだ後に、待機位置のフロントスクリーン機構Ｅ１を手動で移動させる場合は、先ず、表示ユニットＡをキャビネット２１から取り外す。この後、操作用開口部Ｃ４１からスクリーン装置Ｃ内に手を伸ばし、操作用開口部Ｃ４１から水平方向に見える中間ギアＥ２３を回転させることによって、ロック状態のフロントスクリーン機構Ｅ１を待機位置から容易に移動させることができる。
【００５１】
（表示ユニットＡ：スクリーン装置Ｃ：スクリーン機構）
スクリーン筐体Ｃ１０の内部には、照射光装置Ｂからの照射光の照射により映像を出現させる複数のスクリーン機構が照射対象を切替え可能に設けられている。具体的には、複数のスクリーン機構として固定スクリーン機構Ｄとフロントスクリーン機構Ｅ１とリールスクリーン機構Ｆ１とが設けられている。各スクリーン機構Ｄ・Ｅ１・Ｆ１の詳細な構造は後述する。
【００５２】
（表示ユニットＡ：スクリーン装置Ｃ：スクリーン位置関係）
図１９に示すように、固定スクリーン機構Ｄは、照射光の照射方向に存在する固定露出位置に固定状態で設けられている。図２０に示すように、フロントスクリーン機構Ｅ１は、フロント露出位置とフロント待機位置との間を回動可能に設けられている。固定露出位置とフロント露出位置との位置関係は、フロント露出位置が照射光の照射方向であって且つ固定露出位置よりも前方に存在するように設定されている。これにより、フロントスクリーン機構Ｅ１がフロント露出位置に移動した場合は、フロントスクリーン機構Ｅ１が固定スクリーン機構Ｄを前方から覆い隠した状態にすることによって、照射光による映像をフロントスクリーン機構Ｅ１だけに出現可能にしている。フロントスクリーン機構Ｅ１がフロント待機位置に移動した場合は、固定スクリーン機構Ｄを露出させることによって、照射光による映像を固定スクリーン機構Ｄに出現可能にしている。
【００５３】
また、図２１に示すように、リールスクリーン機構Ｆ１は、リール露出位置とリール待機位置との間を回動可能に設けられている。リール露出位置と固定露出位置との位置関係は、リール露出位置が照射光の照射方向であって且つ固定露出位置よりも前方に存在するように設定されている。これにより、リールスクリーン機構Ｆ１がリール露出位置に移動した場合は、リールスクリーン機構Ｆ１が固定スクリーン機構Ｄを前方から覆い隠した状態にすることによって、照射光による映像をリールスクリーン機構Ｆ１だけに出現可能にしている。リールスクリーン機構Ｆ１がリール待機位置に移動した場合は、固定スクリーン機構Ｄを露出させることによって、照射光による映像を固定スクリーン機構Ｄに出現可能にしている。
【００５４】
フロント待機位置とリール待機位置との位置関係は、フロント待機位置に存在するフロントスクリーン機構Ｅ１とリール待機位置に存在するリールスクリーン機構Ｆ１とが干渉しないように設定されている。即ち、フロント待機位置は、固定スクリーン機構Ｄの上方に配置されている一方、リール待機位置は、固定スクリーン機構Ｄの後方に配置されている。これにより、フロントスクリーン機構Ｅ１の回動距離がリールスクリーン機構Ｆ１の回動距離よりも短くされている。
【００５５】
フロントスクリーン機構Ｅ１とリールスクリーン機構Ｆ１とは、回動による作動領域の重複が最小限になるように、フロントスクリーン機構Ｅ１の回動中心軸とリールスクリーン機構Ｆ１の回動中心軸とが相違されている。具体的には、フロントスクリーン機構Ｅ１の回動中心軸は、リールスクリーン機構Ｆ１の回動中心軸よりもフロント待機位置方向となる上方に設定されている。これにより、フロントスクリーン機構Ｅ１の移動が最小限に設定されている。
【００５６】
また、フロントスクリーン機構Ｅ１とリールスクリーン機構Ｆ１とは、少なくとも一方のスクリーン機構Ｅ１・Ｆ１が待機位置に存在することを条件として回動可能にされている。これにより、スクリーン機構Ｅ１・Ｆ１同士の回動時における干渉が防止されている。
【００５７】
（表示ユニットＡ：スクリーン装置Ｃ：固定スクリーン機構Ｄ）
図１５及び図１６に示すように、固定スクリーン機構Ｄは、スクリーン筐体Ｃ１０の底板Ｃ１上にネジ締結により固定されている。固定スクリーン機構Ｄは、正面反射部Ｄ１と右面反射部Ｄ２と左面反射部Ｄ３と下面反射部Ｄ４とを有している。これらの反射部Ｄ１〜Ｄ４の反射面は、照射光装置Ｂからの照射光の光軸に対してそれぞれ異なる角度に設定されている。
【００５８】
尚、固定スクリーン機構Ｄは、照射光の光軸に対して複数の異なる角度の反射面を有する構成であれば、例えば２面や３面、５面の反射部を有してもよいし、或いは、光軸に対して連続的に異なる角度となる、曲率中心点が前面側に位置する湾曲状や円弧状の反射面の反射部を備えていてもよい。
【００５９】
上記の正面反射部Ｄ１は、反射面が前側の遊技者に対して対向配置されており、固定スクリーン機構Ｄの前方上部に配置された照射光装置Ｂからの反射光の大部分を前方に反射するように設定されている。右面反射部Ｄ２及び左面反射部Ｄ３は、正面反射部Ｄ１の右辺部及び左辺部に接合されており、正面反射部Ｄ１を中心として左右対称に配置されている。右面反射部Ｄ２及び左面反射部Ｄ３は、正面反射部Ｄ１における左右方向の幅よりも前端部間の幅が拡大するように配置されている。これにより、右面反射部Ｄ２及び左面反射部Ｄ３は、反射面に対する照射光の反射方向が正面反射部Ｄ１方向に向い易くなることによって、照射光による映像を出現させながら照射光の一部を正面反射部Ｄ１方向に反射するようになっている。また、下面反射部Ｄ４についても、反射面に対する照射光の反射方向が正面反射部Ｄ１方向に向い易くなることによって、照射光による映像を出現させながら照射光の一部を正面反射部Ｄ１方向に反射するようになっている。
【００６０】
上記の固定スクリーン機構Ｄは、反射面の明度が後述のフロントスクリーン機構Ｅ１及びリールスクリーン機構Ｆ１の各反射面の明度よりも低く設定されている。即ち、固定スクリーン機構Ｄは、照射光が反射面を反射する光量が、フロントスクリーン機構Ｅ１及びリールスクリーン機構Ｆ１の反射面を反射する光量よりも少なくされている。これにより、固定スクリーン機構Ｄは、反射部Ｄ１〜Ｄ４の乱反射による光の混合による白ぼけが防止されている。尚、固定スクリーン機構Ｄは、正面反射部Ｄ１の明度よりも他の反射部Ｄ２・Ｄ３・Ｄ４の明度が低くされていてもよい。この場合には、他の反射部Ｄ２・Ｄ３・Ｄ４における照射光の正面反射部Ｄ１への反射を低減できるため、正面反射部Ｄ１において映像を強く出現させながら白ぼけを低減することができる。
【００６１】
なお、明度としては、Ｌ＊ａ＊ｂ＊表色系（Ｌ＊ａ＊ｂ＊色空間）やＬ＊ｕ＊ｖ＊表色系（Ｌ＊ｕ＊ｖ＊色空間）におけるBrightnessを採用することができるが、白を基準として、その他の色を相対値で表すことができるのであれば、どのように定義することも可能である。
【００６２】
固定スクリーン機構Ｄの反射面の明度と、フロントスクリーン機構Ｅ１及びリールスクリーン機構Ｆ１の反射面の明度とは、固定スクリーン機構Ｄの反射面の明度が、フロントスクリーン機構Ｅ１及びリールスクリーン機構Ｆ１の反射面の明度よりも低ければ特に限定されない。例えば、固定スクリーン機構Ｄの反射面の明度を、フロントスクリーン機構Ｅ１及びリールスクリーン機構Ｆ１の反射面の明度よりも、５〜２５％（又は１０〜２０％）程度低い値とすればよい。
【００６３】
固定スクリーン機構Ｄの反射面の明度を、フロントスクリーン機構Ｅ１及びリールスクリーン機構Ｆ１の反射面の明度よりも低くするためには、固定スクリーン機構Ｄの基材に塗布する塗料の色を、フロントスクリーン機構Ｅ１及びリールスクリーン機構Ｆ１の基材に塗布する塗料の色よりも、黒くすればよい。例えば、フロントスクリーン機構Ｅ１及びリールスクリーン機構Ｆ１の基材に塗布する塗料として白色のものを使用し、固定スクリーン機構Ｄの基材に塗布する塗料としては、フロントスクリーン機構Ｅ１及びリールスクリーン機構Ｆ１の基材に塗布する塗料に対して黒色顔料が添加されたものを使用すればよい。
【００６４】
このような塗料において、白色顔料（例えば、酸化チタン）と黒色顔料（例えば、カーボンブラック）との割合を異ならせることによって、スクリーン機構の反射面の明度を変化させることができる。例えば、フロントスクリーン機構Ｅ１及びリールスクリーン機構Ｆ１の基材に塗布する塗料には、白色顔料と黒色顔料とのうち白色顔料のみが含まれ、固定スクリーン機構Ｄの基材に塗布する塗料には、白色顔料と黒色顔料の双方が含まれるようにしてもよい。また、フロントスクリーン機構Ｅ１及びリールスクリーン機構Ｆ１の基材に塗布する塗料よりも、固定スクリーン機構Ｄに塗布する塗料の方が、白色顔料に対する黒色顔料の割合が（例えば、５〜２５％（又は１０〜２０％）程度）高くなるようにしてもよい。なお、これらのスクリーン機構の基材に塗布する塗料としては、従来公知のスクリーン用塗料を適宜採用することができ、スクリーンの型（例えば、拡散型や反射型）に応じて調整することができる。
【００６５】
なお、固定スクリーン機構Ｄの基材に塗布する塗料に黒色顔料を含ませるのではなく、固定スクリーン機構Ｄの基材を成形する前に、当該基材の材料となる樹脂中に黒色顔料を分散させることにより、基材自体に色を付け、基材自体の明度を低くしてもよい。
【００６６】
また、光の乱反射を防止するという観点からは、周囲壁（底板Ｃ１、右側板Ｃ２、左側板Ｃ３、及び、背板Ｃ４）等、スクリーン筐体Ｃ１０を構成する部材やスクリーン筐体Ｃ１０の内部に配置された他の部材（スクリーン以外の部材）の明度も低くすることが望ましい。それらの部材の明度は、固定スクリーン機構Ｄの反射面の明度よりも低いことが望ましく、例えば、周囲壁については、スクリーンとして映像が投影されることを考慮する必要がないため、明度は低ければ低いほど望ましい。すなわち、周囲壁の色は、黒に近いほど望ましい。
【００６７】
（表示ユニットＡ：スクリーン装置Ｃ：フロントスクリーン機構Ｅ１）
図２２に示すように、フロントスクリーン機構Ｅ１は、投影面Ｅ１１ａを全面に有した長方形状のフロントスクリーン部材Ｅ１１と、第１模様面Ｅ１２ａ等の模様を両面に有したフロントスクリーン支持台Ｅ１２とを有している。フロントスクリーン部材Ｅ１１は、薄板状の平面パネルにスクリーン塗料を塗布することにより形成されている。これにより、フロントスクリーン部材Ｅ１１は、投影面Ｅ１１ａが平坦状に形成されることによって、照射光の照射時に歪みの無い映像を出現させるようになっている。
【００６８】
一方、フロントスクリーン支持台Ｅ１２は、フロントスクリーン部材Ｅ１１を保持する保持凹部Ｅ１２１を有している。保持凹部Ｅ１２１は、フロントスクリーン部材Ｅ１１の投影面Ｅ１１ａに対して僅かに拡大した状態で相似する開口形状を有しており、フロントスクリーン部材Ｅ１１全体を収容している。また、保持凹部Ｅ１２１は、深さが深部と浅部との２段階に設定されている。浅部は、フロントスクリーン支持台Ｅ１２の周縁部に形成された段部Ｅ１２１ａと、中心部を通過する短手方向の両端にかけて直線状に形成された段部Ｅ１２１ｂとで実現されている。
【００６９】
これにより、保持凹部Ｅ１２１に収容されたフロントスクリーン部材Ｅ１１は、周縁部の段部Ｅ１２１ａと中心部を通過する直線状の段部Ｅ１２１ｂとに当接及び支持され、残りの深部部分から離隔された状態にされている。この結果、深部部分におけるフロントスクリーン支持台Ｅ１２の変形が、フロントスクリーン部材Ｅ１１を変形させて投影面Ｅ１１ａに歪みを引き起こすことが防止されている。
【００７０】
また、フロントスクリーン支持台Ｅ１２は、投影面Ｅ１１ａの周囲の一部領域に第１模様面Ｅ１２ａを有している。第１模様面Ｅ１２ａは、フロントスクリーン機構Ｅ１がフロント露出位置に位置されたときに、前方の遊技者から目視可能にされている。さらに、フロントスクリーン支持台Ｅ１２は、第１模様面Ｅ１２ａとは反対側の面全体に第２模様面Ｅ１２ｂを有している。第２模様面Ｅ１２ｂは、フロントスクリーン機構Ｅ１がフロント待機位置に位置されたときに、前方の遊技者から目視可能にされている。これらの第１模様面Ｅ１２ａ及び第２模様面Ｅ１２ｂは、例えば遊技の演出に関連した模様が凹凸により立体的に形成されている。
【００７１】
上記のように構成されたフロントスクリーン部材Ｅ１１とフロントスクリーン支持台Ｅ１２とは、別個に形成された後に、接着剤で接着されることにより一体化されている。これにより、フロントスクリーン機構Ｅ１は、フロントスクリーン支持台Ｅ１２に模様等を形成する際の成形収縮等によりひけが発生することがあっても、このひけがフロントスクリーン部材Ｅ１１から機械的に分離した状態で発生するため、フロントスクリーン部材Ｅ１１における投影面Ｅ１１ａのひけによる歪みの発生を防止することが可能になっている。
【００７２】
なお、フロントスクリーン部材Ｅ１１とフロントスクリーン支持台Ｅ１２との固着方法としては、接着剤での接着に限らず、ネジ締結等の任意の方法を採用することができる。
【００７３】
フロントスクリーン部材Ｅ１１を構成する平面パネル、及び、フロントスクリーン支持台Ｅ１２は、それぞれ射出成形により作製される。フロントスクリーン部材Ｅ１１を構成する平面パネル、及び、フロントスクリーン支持台Ｅ１２の材料としては、射出成形を行った場合にひけが発生し得る熱可塑性樹脂（例えば、ＡＢＳ樹脂等）を適宜採用することができる。
【００７４】
（表示ユニットＡ：スクリーン装置Ｃ：フロントスクリーン駆動機構Ｅ２）
上記のフロントスクリーン機構Ｅ１は、フロントスクリーン駆動機構Ｅ２の駆動力により回動可能にされている。図１５及び図１６に示すように、フロントスクリーン駆動機構Ｅ２は、フロントスクリーン機構Ｅ１の左端部下面に連結された左フロントスクリーン駆動機構Ｅ２Ａと、フロントスクリーン機構Ｅ１の右端部下面に連結された右フロントスクリーン駆動機構Ｅ２Ｂとを有している。
【００７５】
図２３及び図２４に示すように、右フロントスクリーン駆動機構Ｅ２Ｂは、クランク部材Ｅ２２とクランクギアＥ２１と中間ギアＥ２３とモータ軸ギアＥ２４と駆動モータＥ２５とを有している。右フロントスクリーン駆動機構Ｅ２Ｂにおけるクランク部材Ｅ２２は、上端部（一端部）がフロントスクリーン機構Ｅ１の右端部下面に連結されている。図２５に示すように、クランク部材Ｅ２２は、中間位置Ｅ２２ａにおいて図１５の右可動体ベースＣ５に回転自在に軸支されている。これにより、クランク部材Ｅ２２は、中間位置Ｅ２２ａを回転中心として上端部及び下端部（他端部）を回動可能にしている。
【００７６】
クランク部材Ｅ２２は、中間位置Ｅ２２ａから上端部側の上側領域と、中間位置Ｅ２２ａから下端部側の下側領域とを有している。図２５のようにクランク部材Ｅ２２を側面視したとき、上側領域における中心線（中間位置Ｅ２２ａと、クランク部材Ｅ２２の上端辺における中点とを通過する直線）は、待機姿勢において上下方向となるように設定されている。一方、下側領域における中心線（中間位置Ｅ２２ａと、クランク部材Ｅ２２の下端辺における中点とを通過する直線）は、待機姿勢において下側が上側よりも前側に傾斜するように設定されている。
【００７７】
クランク部材Ｅ２２の下側領域には、スライド溝Ｅ２２ｂが形成されている。スライド溝Ｅ２２ｂは、溝壁面Ｅ２２ｂ１が側面視Ｕ字形状となるように形成されている。該Ｕ字は、２つの直線部と、該２つの直線部の端部同士を結んだ曲線部とから構成されている。２つの直線部は、平行に形成されており、スライド溝Ｅ２２ｂは、溝壁面Ｅ２２ｂ１の上記直線部に相当する面が下側領域の中心線に平行に設定されている。スライド溝Ｅ２２ｂには、スライド部材Ｅ２６が移動自在に係合されている。スライド溝Ｅ２２ｂの溝幅（上記２つの直線部間の距離）は、スライド部材Ｅ２６の部材幅にほぼ一致されており、移動時において摺動するように設定されている。即ち、スライド部材Ｅ２６は、常時、スライド溝Ｅ２２ｂの溝壁面Ｅ２２ｂ１に当接状態にされている。また、スライド溝Ｅ２２ｂの上端部は、フロントスクリーン機構Ｅ１が待機姿勢である場合において、スライド部材Ｅ２６が上端面（上記曲線部に相当する面）に当接するように設定されている。一方、スライド溝Ｅ２２ｂの下端部は、スライド部材Ｅ２６の一部を露出可能に開放状態にされている。
【００７８】
上記のスライド部材Ｅ２６は、クランクギアＥ２１の偏心位置Ｅ２１ｂに回転自在に軸支されている。クランクギアＥ２１の回転中心位置Ｅ２１ａは、図２４の右可動体ベースＣ５に回転自在に軸支されている。クランクギアＥ２１の回転中心位置Ｅ２１ａは、フロントスクリーン機構Ｅ１が待機姿勢又は露出姿勢である場合において、回転中心位置Ｅ２１ａと偏心位置Ｅ２１ｂとを結ぶ線分が、クランク部材Ｅ２２における中間位置Ｅ２２ａとスライド部材Ｅ２６の中心点とを結ぶ線分に対して直交する関係を有するように設定されている。
【００７９】
これにより、フロントスクリーン機構Ｅ１が待機姿勢又は露出姿勢である場合においては、クランク部材Ｅ２２の下側領域を回動させる方向に力が働いても、この力の全成分の付与方向に回転中心位置Ｅ２１ａが存在し、固定端として作用するため、スライド部材Ｅ２６が移動することはない。この結果、クランク部材Ｅ２２の中間位置Ｅ２２ａとクランクギアＥ２１の回転中心位置Ｅ２１ａとを固定端とし、スライド部材Ｅ２６を自由端とする０自由度の三節リンクによるトラス構造が形成されるため、フロントスクリーン機構Ｅ１を手で押した場合でも、クランク部材Ｅ２２及びクランクギアＥ２１が強固なブレーキとして作用することによって、フロントスクリーン機構Ｅ１が動くことはない。
【００８０】
上記のクランクギアＥ２１には、中間ギアＥ２３が噛合されている。中間ギアＥ２３には、モータ軸ギアＥ２４が噛合されている。モータ軸ギアＥ２４は、駆動モータＥ２５の駆動軸が接続されている。これにより、右フロントスクリーン駆動機構Ｅ２Ｂは、駆動モータＥ２５の回転駆動力をモータ軸ギアＥ２４及び中間ギアＥ２３を介してクランクギアＥ２１に伝達可能にされている。
【００８１】
ここで、クランクギアＥ２１に付与された回転駆動力の全成分は、スライド部材Ｅ２６の旋回軌跡の接線方向に一致する。また、図２６及び図２８に示すように、フロントスクリーン機構Ｅ１が待機姿勢又は露出姿勢である場合において、回転中心位置Ｅ２１ａと偏心位置Ｅ２１ｂとを結ぶ線分が、クランク部材Ｅ２２における中間位置Ｅ２２ａとスライド部材Ｅ２６の中心点とを結ぶ線分に対して直交する関係を有するように設定されているため、旋回軌跡の接線方向がクランク部材Ｅ２２のスライド溝Ｅ２２ｂの溝壁面に平行となっている。これにより、フロントスクリーン機構Ｅ１が待機姿勢又は露出姿勢である場合において、クランクギアＥ２１に回転駆動力が付与されると、スライド部材Ｅ２６の移動方向（接線方向）に反力となる溝壁面が存在しないため、クランクギアＥ２１が容易に回転を開始する。
【００８２】
クランクギアＥ２１に回転駆動力が付与された場合は、偏心位置Ｅ２１ｂに設けられたスライド部材Ｅ２６がスライド溝Ｅ２２ｂとの摺動によりスライド溝Ｅ２２ｂに沿って移動自在にされているため、クランク部材Ｅ２２の中間位置Ｅ２２ａとクランクギアＥ２１の回転中心位置Ｅ２１ａとを固定端とし、スライド部材Ｅ２６を溝壁面に沿って移動自在の自由端にした１自由度の二節リンクが形成される。そして、スライド部材Ｅ２６が回動すると、スライド部材Ｅ２６が係合されたスライド溝Ｅ２２ｂを備えたクランク部材Ｅ２２が中間位置Ｅ２２ａを支点として回動し、クランク部材Ｅ２２の上側領域を回動させることになる。この結果、フロントスクリーン機構Ｅ１がフロント待機位置及びフロント露出位置間を移動することになる。
【００８３】
また、フロントスクリーン機構Ｅ１の移動速度は、フロントスクリーン機構Ｅ１が待機姿勢又は露出姿勢である場合において停止状態０であり、徐々に増速し、待機姿勢及び露出姿勢間の中間姿勢（図２７）において最大速度となった後、徐々に減速し、露出姿勢及び待機姿勢になったときに停止状態０になる。これにより、クランクギアＥ２１の角加速度が小さな状態（慣性モーメント）で回動を開始及び停止させることができるため、クランクギアＥ２１に必要なトルクを小さくすることが可能になり、結果として駆動機構（中間ギアＥ２３、モータ軸ギアＥ２４、駆動モータＥ２５）の過負荷による故障や消耗を低減することが可能になっている。
【００８４】
図１５に示すように、上記のように構成された右フロントスクリーン駆動機構Ｅ２Ｂは、モータ軸ギアＥ２４と駆動モータＥ２５とを除いて、左フロントスクリーン駆動機構Ｅ２Ａと同一構成とされている。そして、左フロントスクリーン駆動機構Ｅ２Ａと右フロントスクリーン駆動機構Ｅ２Ｂとは、左右対称に配置されている。左フロントスクリーン駆動機構Ｅ２ＡのクランクギアＥ２１と右フロントスクリーン駆動機構Ｅ２ＢのクランクギアＥ２１とは、シャフト部材Ｅ３を介して連結され、駆動モータＥ２５の回転駆動力が均等に付与されるようになっている。
【００８５】
（表示ユニットＡ：スクリーン装置Ｃ：リールスクリーン機構Ｆ１）
図１５及び図１６に示すように、リールスクリーン機構Ｆ１は、湾曲形状の平板からなるリールスクリーン部Ｆ１１と、リールスクリーン部Ｆ１１の左端に接続された左リールスクリーン支持部Ｆ１２と、リールスクリーン部Ｆ１１の右端に接続された右リールスクリーン支持部Ｆ１３とを有している。
【００８６】
リールスクリーン部Ｆ１１は、回動方向に近似した形状に湾曲されており、回動中心側である裏面に模様が形成されている。この裏面の模様は、リールスクリーン機構Ｆ１がリール待機位置に位置されたときに、前方の遊技者から目視可能にされている。また、リールスクリーン部Ｆ１１の表面は、周縁部に模様が形成されていると共に、周縁部の内周領域が投影面とされている。投影面は、リールスクリーン機構Ｆ１がリール露出位置に位置されたときに、照射光の照射により映像を出現可能になっている。
【００８７】
左右のリールスクリーン支持部Ｆ１２・Ｆ１３の一端部は、リールスクリーン部Ｆ１１に接続されている。一方、リールスクリーン支持部Ｆ１２・Ｆ１３の他端部は、図示しない突出部をそれぞれ有している。突出部は、各リールスクリーン支持部Ｆ１２・Ｆ１３の外側に水平方向に突出されており、リールスクリーン駆動機構Ｆ２に連結されることによって、リールスクリーン機構Ｆ１の回動中心軸とされている。
【００８８】
（第２実施形態）
以下、図面を参照して、本発明の第２実施形態について説明する。
遊技機は、いわゆるパチスロ機である。遊技機は、コイン、メダル、遊技球又はトークンなどの他、遊技者に付与された又は付与される、遊技価値の情報を記憶したカードなどの遊技媒体を用いて遊技する遊技機であるが、以下ではメダルを用いるものとして説明する。
【００８９】
尚、以後の説明において、遊技機１から遊技者に向かう側（方向）を遊技機１の前側（前方向）と称し、前側とは逆側を後側（後方向、奥行方向）と称し、遊技者から見て右側及び左側を遊技機１の右側（右方向）及び左側（左方向）とそれぞれ称する。また、前側及び後側を含む方向は、前後方向又は厚み方向と称し、右側及び左側を含む方向は、左右方向又は幅方向と称する。前後方向（厚み方向）及び左右方向（幅方向）に直交する方向を上下方向又は高さ方向と称する。
【００９０】
図２９及び図３０に示すように、遊技機１の外観は、矩形箱状の筐体２により構成されている。筐体２は、前面側に矩形状の開口を有する金属製のキャビネットＧと、キャビネットＧの前面上部に配置された上ドア機構ＵＤと、キャビネットＧの前面下部に配置された下ドア機構ＤＤとを有している。
【００９１】
また、キャビネットＧの上面壁Ｇ４には、左右方向に関して所定間隔隔てて、上下方向に貫通する２つの開口Ｇ４１が形成されている。そして、この２つの開口Ｇ４１それぞれを塞ぐように木製の板部材Ｇ４２が上面壁Ｇ４に取り付けられている。
【００９２】
図３１にも示すように、上ドア機構ＵＤ及び下ドア機構ＤＤは、キャビネットＧの開口の形状及び大きさに対応するように形成されている。上ドア機構ＵＤ及び下ドア機構ＤＤは、キャビネットＧにおける開口の上部及び下部を閉塞可能に設けられている。上ドア機構ＵＤは、上側表示窓ＵＤ１を中央部に有している。上側表示窓ＵＤ１には、光を透過する透明パネルＵＤ１１が設けられている。
【００９３】
図３２に示すように、キャビネットＧ内は、中間支持板Ｇ１により上部空間と下部空間とに仕切られている。即ち、中間支持板Ｇ１は、キャビネットＧ内を上部空間と下部空間とに仕切る仕切板として機能している。上部空間は、キャビネットＧ内の上ドア機構ＵＤの後側となる空間であり、表示ユニットＡ等が収容される。また、下部空間は、キャビネットＧ内の下ドア機構ＤＤの後側となる空間であり、リールユニットＲＵや、遊技機１全体の動作を司る主制御基板ＭＳ等が収容される。
【００９４】
（表示ユニットＡ）
図３３に示すように、表示ユニットＡは、キャビネットＧ内の中間支持板Ｇ１上に交換可能に載置される。表示ユニットＡは、映像を含む照射光を出射する照射光装置Ｂと、照射光装置Ｂからの照射光が照射されることにより映像を出現させるスクリーン装置Ｃとを有した所謂プロジェクションマッピング装置である。
【００９５】
ここで、プロジェクションマッピング装置は、建造物や自然物などの立体物の表面に映像を投影するためのものであって、例えば、後述のスクリーンである役物に対して、その位置（投影距離や角度など）や形状に基づいて生成される、演出情報に応じた映像を投影することにより、高度で、かつ迫力のある演出を可能とする。
【００９６】
この表示ユニットＡは、前方に開口が形成された筐体Ａ１を有する。この筐体Ａ１は、照射光装置ＢのプロジェクタカバーＢ１、及び、スクリーン装置Ｃのスクリーン筐体Ｃ１０とで構成されている。詳細は後述するが、スクリーン筐体Ｃ１０は、底板Ｃ１、右側板Ｃ２、左側板Ｃ３、及び背板Ｃ４を有した箱方形状をなしている。そして、プロジェクタカバーＢ１は、スクリーン筐体Ｃ１０の上面に交換可能に取り付けられる。
【００９７】
（表示ユニットＡ：照射光装置Ｂ）
図３４に示すように、照射光装置Ｂは、照射光を前方に出射するプロジェクタ機構Ｂ２と、プロジェクタ機構Ｂ２の前方に配置され、プロジェクタ機構Ｂ２からの照射光を斜め下後方に配置されたスクリーン装置Ｃ方向に反射するミラー機構Ｂ３と、プロジェクタ機構Ｂ２及びミラー機構Ｂ３を収容したプロジェクタカバーＢ１とを有している。
【００９８】
（表示ユニットＡ：照射光装置Ｂ：プロジェクタ機構Ｂ２）
プロジェクタ機構Ｂ２は、キャビネットＧ内の後部に配置されている。プロジェクタ機構Ｂ２は、水平配置された平板状のベース部材Ｂ２２を有している。ベース部材Ｂ２２の下面には、レンズ機構Ｂ２１及び図示しない光源が設けられている。レンズ機構Ｂ２１は、光源から出射された照射光を前方のミラー機構Ｂ３に向けて出射するように配置されている。
【００９９】
また、ベース部材Ｂ２２の下面には、排熱機構Ｂ２３・Ｂ２４が設けられている。排熱機構Ｂ２３・Ｂ２４は、レンズ機構Ｂ２１及び光源の右側及び左側にそれぞれ配置されている。排熱機構Ｂ２３・Ｂ２４は、空気を流通させるダクトと空気を送出するファンとを有しており、空気を後方に吹き出すことによって、照射光を生成する際に発生する熱を強制的に後方に流動させるようになっている。図３０に示すように、排熱機構Ｂ２３・Ｂ２４における空気の流動方向には、キャビネットＧの通気穴Ｇ３ａが配置されている。これにより、排熱機構Ｂ２３・Ｂ２４は、プロジェクタ機構Ｂ２の熱を空気と共に通気穴Ｇ３ａを介して機外に強制的に排出することが可能になっている。
【０１００】
（表示ユニットＡ：照射光装置Ｂ：ミラー機構Ｂ３）
図３４に示すように、プロジェクタ機構Ｂ２の前方（照射光の出射方向）には、ミラー機構Ｂ３が配置されている。図３５に示すように、ミラー機構Ｂ３は、ミラーホルダＢ３１と、ミラーホルダＢ３１に収容された光学ミラーＢ３２と、光学ミラーＢ３２の両端部をミラーホルダＢ３１に固定するミラーストッパＢ３３・Ｂ３４とを有している。図３６にも示すように、ミラーホルダＢ３１は、前面が長方形状の板状に形成されている。ミラーホルダＢ３１の各コーナー部には、角度調整穴Ｂ３１１が形成されていると共に、角度調整穴Ｂ３１１を中心にして凹部Ｂ３１２が前面に形成されている。また、上下方向の角度調整穴Ｂ３１１・Ｂ３１１間には、取付け穴Ｂ３１４・Ｂ３１４が上下対称に形成されている。
【０１０１】
一方、また、ミラーホルダＢ３１の後面には、ミラー保持部Ｂ３１３が形成されている。ミラー保持部Ｂ３１３は、中央部に形成されており、角度調整穴Ｂ３１１及び取付け穴Ｂ３１４に重複しないサイズで形成されている。ミラー保持部Ｂ３１３の左側及び右側には、ミラーストッパＢ３３・Ｂ３４がそれぞれ設けられている。ミラーストッパＢ３３・Ｂ３４は、角度調整穴Ｂ３３１・Ｂ３４１と、取付け穴Ｂ３３４・Ｂ３４４とをそれぞれ有している。ミラーストッパＢ３３・Ｂ３４における角度調整穴Ｂ３３１・Ｂ３４１及び取付け穴Ｂ３３４・Ｂ３４４は、ミラーホルダＢ３１における角度調整穴Ｂ３１１・Ｂ３１１及び取付け穴Ｂ３１４・Ｂ３１４に対応するように配置されている。
【０１０２】
ミラーストッパＢ３３・Ｂ３４は、一部がミラー保持部Ｂ３１３と重複するように形成されている。これにより、ミラーストッパＢ３３・Ｂ３４は、ミラー保持部Ｂ３１３に嵌合された光学ミラーＢ３２の左右方向の両辺部に当接し、取付け穴Ｂ３１４・Ｂ３３４・Ｂ３４４によりミラーホルダＢ３１にネジ締結されることによって、光学ミラーＢ３２をミラーホルダＢ３１に保持させている。
【０１０３】
図３７に示すように、上記のように構成されたミラー機構Ｂ３は、プロジェクタカバーＢ１におけるリフレクタ保持部Ｂ１１の内側面に設けられている。リフレクタ保持部Ｂ１１は、プロジェクタカバーＢ１の前面中央部に形成されており、上ドア機構ＵＤを開いたときに前側に露出するように配置されている。リフレクタ保持部Ｂ１１は、角度調整穴Ｂ１１１を有している。角度調整穴Ｂ１１１は、ミラー機構Ｂ３の角度調整穴Ｂ３１１に対応した位置に形成されている。
【０１０４】
リフレクタ保持部Ｂ１１の角度調整穴Ｂ１１１には、図示しないネジが前面側から挿通されており、このネジは、ミラーホルダＢ３１の角度調整穴Ｂ３１１を貫通する。そして、ミラーストッパＢ３３・Ｂ３４の角度調整穴Ｂ３３１・Ｂ３４１は、ネジが螺合可能なネジ穴として形成されており、ミラーホルダＢ３１の角度調整穴Ｂ３１１を貫通したネジは、ミラーストッパＢ３３・Ｂ３４の角度調整穴Ｂ３３１・Ｂ３４１に螺合される。
【０１０５】
そして、上記ネジが角度調整穴Ｂ３３１・Ｂ３４１との螺合が緩む方向に回転されると、リフレクタ保持部Ｂ１１とミラーストッパＢ３３・Ｂ３４との距離が広がることとなる。一方、上記ネジが角度調整穴Ｂ３３１・Ｂ３４１との螺合が締まる方向に回転されると、リフレクタ保持部Ｂ１１とミラーストッパＢ３３・Ｂ３４との距離が縮まることとなる。
【０１０６】
上記のように、取付け穴Ｂ３１４・Ｂ３３４・Ｂ３４４を介してミラーホルダＢ３１とミラーストッパＢ３３・Ｂ３４とがネジ締結されており、これにより、ミラーホルダＢ３１とミラーストッパＢ３３・Ｂ３４との間に光学ミラーＢ３２が挟持されている。このように、ミラーホルダＢ３１と光学ミラーＢ３２とミラーストッパＢ３３・Ｂ３４とは、ミラー機構Ｂ３として一体化されており、ネジの回転によりリフレクタ保持部Ｂ１１とミラーストッパＢ３３・Ｂ３４との距離を変化させることにより、リフレクタ保持部Ｂ１１とミラー機構Ｂ３との距離を増減することができる。そして、角度調整穴Ｂ３１１・３３１・Ｂ３４１がミラー機構Ｂ３のコーナー部に対応して４方向に配置されているため、各角度調整穴Ｂ３１１・３３１・Ｂ３４１の配置位置におけるリフレクタ保持部Ｂ１１とミラー機構Ｂ３との距離を増減させることによって、プロジェクタ機構Ｂ２から出射された照射光の進行方向に対する光学ミラーＢ３２の反射角度を微調整することを可能にしている。
【０１０７】
また、リフレクタ保持部Ｂ１１とミラーホルダＢ３１との間には、図示しないバネが設けられている。バネは、後端面がミラーホルダＢ３１の凹部Ｂ３１２に当接されており、前端面がリフレクタ保持部Ｂ１１の内壁面（後壁面）に当接されることによって、リフレクタ保持部Ｂ１１とミラーホルダＢ３１とで挟持されている。そして、リフレクタ保持部Ｂ１１の角度調整穴Ｂ１１１から挿通されたネジが当該バネを貫通している。これにより、ネジの回転に伴ってリフレクタ保持部Ｂ１１とミラー機構Ｂ３との距離が広がっても、バネの付勢力により、ネジ頭部がリフレクタ保持部Ｂ１１の角度調整穴Ｂ１１１に当接することとなり、ネジ頭部が角度調整穴Ｂ１１１から飛び出してリフレクタ保持部Ｂ１１とネジとの位置関係が崩れてしまうことを防止することができる。
【０１０８】
（表示ユニットＡ：照射光装置Ｂ：プロジェクタカバーＢ１）
図３８に示すように、上記のように構成されたプロジェクタ機構Ｂ２及びミラー機構Ｂ３は、プロジェクタカバーＢ１に収容されている。なお、プロジェクタ機構Ｂ２の下面Ｂ２ａは、その前部に、後方から前方に向けて上方に傾斜する傾斜面Ｂ２ａ１を有している。図３９に示すように、プロジェクタカバーＢ１は、水平配置された上壁部Ｂ１２と、上壁部Ｂ１２の前側に配置されたリフレクタ保持部Ｂ１１と、上壁部Ｂ１２の左右方向において左右対称に配置された側壁部Ｂ１３・Ｂ１３とを有している。上壁部Ｂ１２は、前部がキャビネットＧよりも前方に突出されている（図３３参照）。上壁部Ｂ１２の前部の中央部には、リフレクタ保持部Ｂ１１が前方に突出した形態に形成されており、突出により形成された空間部に上述のミラー機構Ｂ３を角度調整可能に保持している。
【０１０９】
また、側壁部Ｂ１３・Ｂ１３は、下端部から左右水平方向に突出された突出部Ｂ１３１を有している。突出部Ｂ１３１は、前部側の第１突出部Ｂ１３１ａと、後部側の第２突出部Ｂ１３１ｂとを有している。第１突出部Ｂ１３１ａは、プロジェクタカバーＢ１がキャビネットＧに装着されたときに、キャビネットＧの開口部に対応する位置に形成されている。各側壁部Ｂ１３・Ｂ１３から突出された第１突出部Ｂ１３１ａの先端同士の左右方向に関する距離は、キャビネットＧの開口部の左右方向に関する幅よりも僅かに短い距離に設定されている。一方、第２突出部Ｂ１３１ｂは、プロジェクタカバーＢ１がキャビネットＧに装着されたときに、キャビネットＧの開口部から後方の空間部に対応する位置に形成されている。各側壁部Ｂ１３・Ｂ１３から突出された第２突出部Ｂ１３１ｂの先端同士の左右方向に関する距離は、キャビネットＧの後方の空間部の左右方向に関する幅よりも僅かに短い距離に設定されている。即ち、各側壁部Ｂ１３・Ｂ１３は、第１突出部Ｂ１３１ａの先端同士の左右方向に関する距離よりも、第２突出部Ｂ１３１ｂの先端同士の左右方向に関する距離が広くなるように形成されている。これにより、プロジェクタカバーＢ１は、キャビネットＧにおける内部空間の大部分を覆うことが可能になっている。
【０１１０】
また、第２突出部Ｂ１３１ｂの先端部には、上下方向に貫通するネジ穴Ｂ１３１Ｃが形成されている。プロジェクタカバーＢ１を右側板Ｃ２，左側板Ｃ３（図３３参照）に対して固定する際には、ネジがこのネジ穴Ｂ１３１Ｃを介して右側板Ｃ２，左側板Ｃ３にねじ込まれる。また、各側壁部Ｂ１３・Ｂ１３の下端部から水平方向に突出部Ｂ１３１が突出されることで、プロジェクタカバーＢ１の両側端部には、この突出部Ｂ１３１と側壁部Ｂ１３とで、その前端から凹部Ｂ１３２が後方に向けて連続して形成される。
【０１１１】
図４０に示すように、表示ユニットＡをキャビネットＧに装着したときに、この凹部Ｂ１３２とキャビネットＧとで空間ＢＳが画定される。また、プロジェクタカバーＢ１の上壁部Ｂ１２及び側壁部Ｂ１３の形状は、各側壁部Ｂ１３の下端部と、この下端部から突出された第２突出部Ｂ１３１ｂの先端部との間の距離が、第２突出部Ｂ１３１ｂの後方部よりも前方部の方が大きくなるように構成されている（図３９参照）。これにより、空間ＢＳの前方空間は後方空間に比べて大きな空間となる。また、表示ユニットＡをキャビネットＧに装着したときにおいて、キャビネットＧの上面壁Ｇ４に形成された開口Ｇ４１と、空間ＢＳの前方空間とは、上面視において少なくとも一部が重なる。この空間ＢＳは、島設備に遊技機１を設置固定するための作業空間として利用される。
【０１１２】
図４１に示すように、島設備に遊技機を設置固定する際において、キャビネットＧの上面壁Ｇ４の上方には、島設備の固定板部材ＯＣが配される。そして、空間ＢＳは、上面壁Ｇ４に取り付けられた板部材Ｇ４２から島設備の固定板部材ＯＣに至る釘をキャビネットＧ内から打ち込むことが可能な空間である。
【０１１３】
以上のように、プロジェクタカバーＢ１の上壁部Ｂ１２と、キャビネットＧの上面壁Ｇ４との間に殆ど隙間がない状態で、表示ユニットＡがキャビネットＧ内に収容される場合においても、表示ユニットＡとキャビネットＧとの間には、島設備に設置固定の作業をするための空間ＢＳが確保されることになる。これにより、上ドア機構ＵＤが開放されたキャビネットＧの前面側から、作業者がこの空間ＢＳを利用して釘打ち作業を行うことが可能となり、その結果として、表示ユニットＡが損傷することを防止しつつ、表示ユニットＡをキャビネットＧに収容した状態で遊技機１を島設備の固定板部材ＯＣに釘止めすることが可能となる。
【０１１４】
また、遊技機１と固定板部材ＯＣとを釘止めする釘は、金属製のキャビネットＧではなく、キャビネットよりも軟らかい木製の板部材Ｇ４２に対して打ち込まれることになるため、容易に遊技機１を島設備に設置することが可能となる。
【０１１５】
変形例として、板部材Ｇ４２の材料は、木に限定されるものではなく、キャビネットＧよりも軟らかい軟質部材であれば、種々の材料を採用することができる。また、遊技機１の島設備への固定方法は釘止めに限らず、ネジ止めなどの種々の固定方法を採用することができる。
【０１１６】
（表示ユニットＡ：照射光装置Ｂ：多孔板Ｂ１５）
図４２に示すように、プロジェクタカバーＢ１の下面側には、複数の孔Ｂ１５１を有した多孔板Ｂ１５が設けられている。多孔板Ｂ１５は、金属（例えば、ステンレス、鉄、鋼、アルミ等）製の板に打ち抜き加工を施すことにより複数の孔を開けたパンチングメタルである。複数の孔Ｂ１５１は、多孔板Ｂ１５の全面において略均等に分散して形成されている。多孔板Ｂ１５は、多孔板Ｂ１５の全面において空気を流通可能にしており、プロジェクタ機構Ｂ２の排熱機構Ｂ２３・Ｂ２４による吸引により下側から上側への空気の流動を可能にしている。孔Ｂ１５１のサイズ及び個数は、外部からプロジェクタカバーＢ１内を目視できない程度に設定されている。孔Ｂ１５１は、丸、四角、六角形等の形状に形成されており、孔径は、３〜５ｍｍ程度となっている。
【０１１７】
多孔板Ｂ１５は、プロジェクタカバーＢ１の第１突出部Ｂ１３１ａ及び第２突出部Ｂ１３１ｂを下側位置から覆うように形成されている。多孔板Ｂ１５は、前部側の上側部Ｂ１５ａと、中部側の傾斜部Ｂ１５ｂと、後部側の下側部Ｂ１５ｃとを有している。上側部Ｂ１５ａは、水平配置されている。傾斜部Ｂ１５ｂは、上側部Ｂ１５ａの後辺から斜め下後方に曲折されることにより形成されている。下側部Ｂ１５ｃは、傾斜部Ｂ１５ｂの後辺から水平方向に曲折されることにより形成されている。
【０１１８】
多孔板Ｂ１５の上側部Ｂ１５ａは、プロジェクタカバーＢ１の側壁部Ｂ１３・Ｂ１３に取付けられている。これにより、多孔板Ｂ１５は、プロジェクタカバーＢ１の前部を上側部Ｂ１５ａで下側から覆い、プロジェクタカバーＢ１の中部から後部にかけて傾斜部Ｂ１５ｂ及び下側部Ｂ１５ｃで下側から覆うように配置されている。また、傾斜部Ｂ１５ｂは、上面視において、プロジェクタ機構Ｂ２の下面Ｂ２ａにおける傾斜面Ｂ２ａ１を囲むように配置されている。そして、図３８に示すように、傾斜部Ｂ１５ｂの傾斜角度（水平面に対する傾斜角度）は、傾斜面Ｂ２ａ１の傾斜角度と略同じにされている。多孔板Ｂ１５の下方には、スクリーン装置Ｃにおけるフロントスクリーン機構Ｅ１が配置されている。
【０１１９】
詳細は後述するが、フロントスクリーン機構Ｅ１は、照射光による映像の出現を禁止する待機姿勢となる上側に配置されたフロント待機位置と、照射光による映像の出現を許可する露出姿勢となる下側に配置されたフロント露出位置との間を回動可能にされており、待機姿勢におけるフロントスクリーン機構Ｅ１は、多孔板Ｂ１５の傾斜部Ｂ１５ｂに略平行に近接した傾斜姿勢にされている。一方、フロントスクリーン機構Ｅ１が露出姿勢となったときには、多孔板Ｂ１５の下方に大きな空間部が出現し、この空間部に存在する空気が流動抵抗のない状態で多孔板Ｂ１５に到達し、複数の孔Ｂ１５１を通過することによって、スクリーン装置Ｃ内への空気の流入を容易にして冷却効率を高めることを可能にしている。
【０１２０】
また、多孔板Ｂ１５は、プロジェクタカバーＢ１の下面を覆うように設けられることによって、例えば図４３に示すように、前側に位置した遊技者の目線位置がスクリーン装置Ｃの上下方向及び左右方向の中心部の水平線上に存在し、この目線位置から照射光装置Ｂを見上げる状態になったとしても、多孔板Ｂ１５により照射光装置Ｂの内部を目視されないようにしている。
【０１２１】
（表示ユニットＡ：スクリーン装置Ｃ）
図４４に示すように、上記のように構成された照射光装置Ｂは、スクリーン装置Ｃの上面にネジ締結により連結されている。例えば、上述したように、プロジェクタカバーＢ１の突出部Ｂ１３１に形成されたネジ穴Ｂ１３１Ｃを介して、スクリーン装置Ｃの右側板Ｃ２及び左側板Ｃ３の上面にネジがねじ込まれている。これにより、表示ユニットＡは、照射光装置Ｂとスクリーン装置Ｃとをユニット化して一体的に取り扱うことが可能になっている。
【０１２２】
（表示ユニットＡ：スクリーン装置Ｃ：スクリーン機構）
スクリーン筐体Ｃ１０の内部には、照射光装置Ｂからの照射光の照射により映像を出現させる複数のスクリーン機構が照射対象を切替え可能に設けられている。具体的には、図４５に示すように、複数のスクリーン機構として固定スクリーン機構Ｄとフロントスクリーン機構Ｅ１とリールスクリーン機構Ｆ１とが設けられている。固定スクリーン機構Ｄ、フロントスクリーン機構Ｅ１、及びリールスクリーン機構Ｆ１それぞれの投影面は、映像表現を多様化するために、互いに異なる形状をなしている。また、フロントスクリーン機構Ｅ１及びリールスクリーン機構Ｆ１は可動式のスクリーンであり、それぞれ、フロントスクリーン駆動機構Ｅ２及びリールスクリーン駆動機構Ｆ２により駆動される。なお、フロントスクリーン機構Ｅ１とリールスクリーン機構Ｆ１とでは、フロントスクリーン機構Ｅ１の方が大型で重い。このため、フロントスクリーン機構Ｅ１を駆動させる際には、リールスクリーン機構Ｆ１を駆動させる際よりも大きな駆動力を要する。各スクリーン機構Ｄ・Ｅ１・Ｆ１、及び各スクリーン駆動機構Ｅ２・Ｆ２の詳細な構造は後述する。
【０１２３】
（表示ユニットＡ：スクリーン装置Ｃ：スクリーン筐体Ｃ１０）
スクリーン装置Ｃは、上述したように、箱形形状のスクリーン筐体Ｃ１０を有している。図４５にも示すように、スクリーン筐体Ｃ１０は、水平配置された底板Ｃ１と、底板Ｃ１の右端部に立設された右側板Ｃ２と、底板Ｃ１の左端部に立設された左側板Ｃ３と、底板Ｃ１の後端部に立設された背板Ｃ４とを有している。これにより、底板Ｃ１に対して右側板Ｃ２と左側板Ｃ３と背板Ｃ４とがネジ締結により連結されることによって、遊技者が位置する前面側と、照射光装置Ｂが位置する上面側とが開放された箱形形状のスクリーン筐体Ｃ１０が形成されている。
【０１２４】
スクリーン筐体Ｃ１０を構成する底板Ｃ１と右側板Ｃ２と左側板Ｃ３と背板Ｃ４とは、それぞれが別個に所定形状に成型されており、固定スクリーン機構Ｄ等の所定の機能部品が位置決め配置可能にされている。これにより、スクリーン装置Ｃのユニット全体として共通化を図れない場合でも、底板Ｃ１と右側板Ｃ２と左側板Ｃ３と背板Ｃ４との板部材単位で共通化することが可能になっている。また、板部材毎の部分的な交換が可能であるため、遊技機１の機種毎に容易に仕様変更することが可能になっている。各板部材に対して位置決め配置される機能部品については、後で詳細に説明する。
【０１２５】
（表示ユニットＡ：スクリーン装置Ｃ：スクリーン筐体Ｃ１０：底板Ｃ１）
スクリーン筐体Ｃ１０の底板Ｃ１は、上面視が長方形の平板形状に形成されている。底板Ｃ１の上面には、中央部に配置された中央載置部Ｃ１１と、中央載置部Ｃ１１を中心として左右方向に配置された右載置部Ｃ１２及び左載置部Ｃ１３とを有している。これらの載置部Ｃ１１・Ｃ１２・Ｃ１３は、凹状に形成されている。中央載置部Ｃ１１は、固定スクリーン機構Ｄの下端部が嵌合されることによって、固定スクリーン機構Ｄを位置決め可能に載置している。右載置部Ｃ１２は、右可動体ベースＣ５の下端部が嵌合されことによって、右可動体ベースＣ５を位置決め可能に載置している。左載置部Ｃ１３は、左可動体ベースＣ６の下端部が嵌合されことによって、左可動体ベースＣ６を位置決め可能に載置している。なお、右可動体ベースＣ５及び左可動体ベースＣ６それぞれの、左右方向内側の側面には、模様が凹凸により立体的に形成されている。即ち、右可動体ベースＣ５及び左可動体ベースＣ６は装飾部材としても機能する。以上のように、底板Ｃ１には、固定スクリーン機構Ｄ、右可動体ベースＣ５及び左可動体ベースＣ６が位置決め配置可能にされている。
【０１２６】
また、底板Ｃ１の前辺部Ｃ１４は、下方に曲折されることによって、先端部が底板Ｃ１の下面よりも下方に位置されている。前辺部Ｃ１４には、複数の貫通穴Ｃ１４１が形成されている。前辺部Ｃ１４は、表示ユニットＡがキャビネットＧの中間支持板Ｇ１（図３３参照）に載置されながら組み込まれる際に、中間支持板Ｇ１の前面に当接することによって、キャビネットＧ内の後方への位置決めを行うことを可能にしている。そして、表示ユニットＡは、前辺部Ｃ１４の貫通穴Ｃ１４１を介してキャビネットＧの前面にネジ締結されることによって、キャビネットＧの前面側からの表示ユニットＡの組み込み作業及び据え付け作業を行うことが可能になっている。
【０１２７】
（表示ユニットＡ：スクリーン装置Ｃ：スクリーン筐体Ｃ１０：右側板Ｃ２、左側板Ｃ３）
図４５及び図４６に示すように、スクリーン筐体Ｃ１０の右側板Ｃ２及び左側板Ｃ３は、操作用開口部Ｃ２１・Ｃ３１を有している。操作用開口部Ｃ２１・Ｃ３１は、取っ手として形成されており、操作用開口部Ｃ２１・Ｃ３１に手を引っかけることによって表示ユニットＡを持ち運ぶことができるようになっている。操作用開口部Ｃ２１・Ｃ３１は、フロントスクリーン駆動機構Ｅ２のクランクギアＥ２１・Ｅ２１の側方に配置されている。操作用開口部Ｃ２１・Ｃ３１は、水平方向に長手方向を一致させた長方形状に形成されている。操作用開口部Ｃ２１・Ｃ３１の開口面積は、クランクギアＥ２１・Ｅ２１を外部から人手により操作することができる程度に設定されている。
【０１２８】
これにより、表示ユニットＡをキャビネットＧに組み込んだ後に、待機位置のフロントスクリーン機構Ｅ１を手動で移動させる場合は、先ず、上ドア機構ＵＤが開放されたキャビネットＧの前面側から表示ユニットＡを取り出す。具体的には、キャビネットＧの前面側に位置した作業者がキャビネットＧに対する表示ユニットＡのネジ締結を解除してネジを取り外す。そして、キャビネットＧ内に手を伸ばして表示ユニットＡの操作用開口部Ｃ２１・Ｃ３１を両手で把持し、表示ユニットＡをキャビネットＧ外に取り出す。この後、例えば図４７に示すように、取り外した表示ユニットＡの一方の操作用開口部Ｃ２１からスクリーン装置Ｃ内に手を伸ばし、操作用開口部Ｃ２１から水平方向に見えるクランクギアＥ２１を回転させることによって、ロック状態のフロントスクリーン機構Ｅ１を待機位置から容易に移動させることができる。フロントスクリーン機構Ｅ１のロック状態については後述する。待機位置からの移動によりロック状態が解除されると、フロントスクリーン機構Ｅ１を所望の位置に素早く回動させることができる。
【０１２９】
なお、上ドア機構ＵＤを開けた状態で、キャビネットＧの開口の前方から、キャビネットＧの側面壁Ｇ２とスクリーン装置Ｃの右側板Ｃ２との間のスペース内に手を伸ばし、操作用開口部Ｃ２１からクランクギアＥ２１を操作することによって、クランクギアＥ２１を回転させることができる。この場合には、表示ユニットＡをキャビネットＧ外に取り外さなくても、フロントスクリーン機構Ｅ１のロック状態を解除することができる。
【０１３０】
また、右側板Ｃ２には、モータ収容部Ｃ２２が形成されている。このモータ収容部Ｃ２２により、リールスクリーン駆動機構Ｆ２の駆動モータＦ２４が位置決め配置される。また、右側板Ｃ２及び左側板Ｃ３それぞれには、フロントスクリーン駆動機構Ｅ２におけるクランクギアＥ２１のギア軸Ｅ２１ａを回動自在に支持する第１支持部Ｃ２３、及び、フロントスクリーン駆動機構Ｅ２における中間ギアＥ２３のギア軸となるシャフト部材Ｅ３を回転自在に支持する第２支持部Ｃ２４が形成されている。以上のように、フロントスクリーン駆動機構Ｅ２及びリールスクリーン駆動機構Ｆ２は、右側板Ｃ２及び左側板Ｃ３により位置決め配置される。なお、フロントスクリーン駆動機構Ｅ２の右フロントスクリーン駆動機構Ｅ２Ｂと、リールスクリーン駆動機構Ｆ２とは、左右方向に関して、右可動体ベースＣ５と右側板Ｃ２との間に配置される。また、左フロントスクリーン駆動機構Ｅ２Ａは、左右方向に関して、左可動体ベースＣ６と左側板Ｃ３との間に配置される。
【０１３１】
（表示ユニットＡ：スクリーン装置Ｃ：スクリーン筐体Ｃ１０：背板Ｃ４）
図４８に示すように、スクリーン筐体Ｃ１０の背板Ｃ４は、平板状に形成されており、その背面の下部には、中継基板ＣＫを位置決め配置するための凹部ＣＯが形成されている。中継基板ＣＫは、表示ユニットＡにおける各種機能部品（例えば、プロジェクタ機構Ｂ２など）と、表示ユニットＡ以外の各種機能部品（主制御基板ＭＳなど）との配線（不図示）を中継するための中継基板である。
【０１３２】
背板Ｃ４には、操作用開口部Ｃ４１が形成されている。操作用開口部Ｃ４１は、右側下部に配置されており、フロントスクリーン駆動機構Ｅ２の中間ギアＥ２３に対向されている。操作用開口部Ｃ４１は、中間ギアＥ２３を手動で操作可能なサイズに形成されている。これにより、表示ユニットＡをキャビネットＧに組み込んだ後に、待機位置のフロントスクリーン機構Ｅ１を手動で移動させる場合は、先ず、表示ユニットＡをキャビネットＧから取り外す。この後、操作用開口部Ｃ４１からスクリーン装置Ｃ内に手を伸ばし、操作用開口部Ｃ４１から水平方向に見える中間ギアＥ２３を回転させることによって、ロック状態のフロントスクリーン機構Ｅ１を待機位置から容易に移動させることができる。
【０１３３】
また、背板Ｃ４は、右側板Ｃ２及び左側板Ｃ３それぞれの後方端よりも前方に配置されている。これにより、図４９に示すように、表示ユニットＡをキャビネットＧの中間支持板Ｇ１に載置した際には、キャビネットＧの背面壁Ｇ３、並びに、スクリーン装置Ｃの右側板Ｃ２、左側板Ｃ３及び背板Ｃ４により空間ＧＳが画定されることになる。即ち、背面壁Ｇ３と背板Ｃ４との間には隙間が確保される。これにより、中継基板ＣＫを背板Ｃ４の背面に設けたとしても、この空間ＧＳにより中継基板ＣＫがキャビネットＧの背面壁Ｇ３に干渉することを防止することができる。
【０１３４】
また、中間支持板Ｇ１における、空間ＧＳに面する位置には貫通穴Ｇ１１が形成されている。この貫通穴Ｇ１１は、その開口が、上面視において中継基板ＣＫを囲むように形成されている。そして、中継基板ＣＫは、キャビネットＧの下部空間に収容される機器（主制御基板ＭＳ等）からの配線が接続されるコネクタＣＫ１を、貫通穴Ｇ１１に臨ませるように配設している。これにより、表示ユニットＡの中継基板ＣＫと、キャビネットＧの下部空間に収容される機器との電気的な接続は、下部空間に収容される機器からの配線を、貫通穴Ｇ１１に挿通させてコネクタＣＫ１に接続することで行うことが可能となる。
【０１３５】
このように中継基板ＣＫは、スクリーン装置Ｃの外側に配置されることによって、配線作業が容易化されていると共に、スクリーン装置Ｃ内に中継基板ＣＫ用の設置スペースを確保することを不要にし、スクリーン装置Ｃ内の設計の自由度を拡大させている。また、中継基板ＣＫから発生する熱を、キャビネットＧの背面壁Ｇ３に形成された通気穴Ｇ３ａを介して機外に排出することが容易となる。
【０１３６】
また、キャビネットＧの上部空間に配置される中継基板ＣＫと、キャビネットＧの下部空間に収容された機器とを接続する配線は、中間支持板Ｇ１の後方部に形成された貫通穴Ｇ１１を通ることになるため、キャビネットＧ内の各種機器の後方に配線を配することが容易となる。その結果として、配線の取り回しの自由度を高めることができる。
【０１３７】
なお、中継基板ＣＫは、キャビネットＧ内の後方部に配置されることになるため、中継基板ＣＫに対して光が届きにくく、その結果、中継基板ＣＫのコネクタＣＫ１への配線の接続作業が困難となる場合もあり得る。そこで、キャビネットＧの下部空間に収容された機器からの配線の中継基板ＣＫへの接続を容易にするために、中継基板ＣＫのコネクタＣＫ１が、貫通穴Ｇ１１を通って中間支持板Ｇ１よりも下方に突出するように構成されていてもよい。また、コネクタＣＫ１の色を、光の反射率が高い色（例えば、白色）にしていてもよい。
【０１３８】
以上説明したように、固定スクリーン機構Ｄ、右可動体ベースＣ５及び左可動体ベースＣ６は底板Ｃ１に位置決め配置されている。リールスクリーン駆動機構Ｆ２の駆動モータＦ２４は右側板Ｃ２に位置決め配置され、フロントスクリーン駆動機構Ｅ２のギア軸Ｅ２１ａ、及びシャフト部材Ｅ３は右側板Ｃ２及び左側板Ｃ３に位置決め配置されている。そして、中継基板ＣＫは背板Ｃ４に対して位置決め配置されている。以上のように、固定スクリーン機構Ｄ、駆動機構Ｆ２・Ｅ２、及び中継基板ＣＫはそれぞれ、底板Ｃ１、側板Ｃ２・Ｃ３、背板Ｃ４のうちの一つの板に位置決め配置されており、且つ互いに異なる板に位置決め配置されている。従って、表示ユニットＡ全体では、機種間で共通化が図れない場合でも、板単位では、機種間で共通化を図ることができる。その結果として、機種毎にそれぞれ表示ユニットを製造する場合と比べて、安価に表示ユニットを製造することが可能となる。
【０１３９】
また、スクリーン筐体Ｃ１０の各板Ｃ１〜Ｃ４は、ネジ締結により連結されているため、ネジを緩めることで、各板Ｃ１〜Ｃ４同士の連結を解除することができる。つまり、スクリーン筐体Ｃ１０は、各板Ｃ１〜Ｃ４を交換可能に組み立てられている。これにより、表示ユニットの機能部品を板単位で交換することが可能となるため、表示ユニットＡの交換対象外の機能部品を再利用しつつ、表示ユニットＡの仕様を変更することが可能となる。
【０１４０】
また、図４５及び図４６に示すように、右可動体ベースＣ５は、右フロントスクリーン駆動機構Ｅ２Ｂ及びリールスクリーン駆動機構Ｆ２より左内側に配置される。また、左可動体ベースＣ６は、左フロントスクリーン駆動機構Ｅ２Ａよりも右内側に配置される。その結果として、装飾部材である、右可動体ベースＣ５及び左可動体ベースＣ６により、これら駆動機構Ｅ２・Ｆ２を遊技者から目視し難くすることができる。その結果、遊技機１の美観を向上させることができる。また、底板Ｃ１には右可動体ベースＣ５及び左可動体ベースＣ６を配置するための凹部が形成されているため、これらを容易に底板Ｃ１に位置決め配置することが可能となる。
【０１４１】
（表示ユニットＡ：スクリーン装置Ｃ：スクリーン位置関係）
図５０に示すように、固定スクリーン機構Ｄは、照射光の照射方向に存在する固定露出位置に固定状態で設けられている。図５１に示すように、フロントスクリーン機構Ｅ１は、フロント露出位置とフロント待機位置との間を回動可能に設けられている。固定露出位置とフロント露出位置との位置関係は、フロント露出位置が照射光の照射方向であって且つ固定露出位置よりも前方に存在するように設定されている。これにより、フロントスクリーン機構Ｅ１がフロント露出位置に移動した場合は、フロントスクリーン機構Ｅ１が固定スクリーン機構Ｄを前方から覆い隠した状態にすることによって、照射光による映像をフロントスクリーン機構Ｅ１だけに出現可能にしている。フロントスクリーン機構Ｅ１がフロント待機位置に移動した場合は、固定スクリーン機構Ｄを露出させることによって、照射光による映像を固定スクリーン機構Ｄに出現可能にしている。つまり、フロントスクリーン機構Ｅ１がフロント露出位置に配置されると、フロントスクリーン機構Ｅ１がプロジェクタ機構Ｂ２の投影対象となる。これに対して、フロントスクリーン機構Ｅ１がフロント待機位置に配置されると、固定スクリーン機構Ｄがプロジェクタ機構Ｂ２の投影対象となる。
【０１４２】
図５２に示すように、リールスクリーン機構Ｆ１は、リール露出位置とリール待機位置との間を回動可能に設けられている。リール露出位置と固定露出位置との位置関係は、リール露出位置が照射光の照射方向であって且つ固定露出位置よりも前方に存在するように設定されている。これにより、リールスクリーン機構Ｆ１がリール露出位置に移動した場合は、リールスクリーン機構Ｆ１が固定スクリーン機構Ｄを前方から覆い隠した状態にすることによって、照射光による映像をリールスクリーン機構Ｆ１だけに出現可能にしている。リールスクリーン機構Ｆ１がリール待機位置に移動した場合は、固定スクリーン機構Ｄを露出させることによって、照射光による映像を固定スクリーン機構Ｄに出現可能にしている。つまり、リールスクリーン機構Ｆ１がリール露出位置に配置されると、リールスクリーン機構Ｆ１がプロジェクタ機構Ｂ２の投影対象となる。これに対して、リールスクリーン機構Ｆ１がフロント待機位置に配置されると、固定スクリーン機構Ｄがプロジェクタ機構Ｂ２の投影対象となる。
【０１４３】
図５３に示すように、フロントスクリーン機構Ｅ１の回動中心軸ＦＧの軸方向、及び、リールスクリーン機構Ｆ１の回動中心軸ＲＧの軸方向は、左右方向と一致する。そして、フロントスクリーン機構Ｅ１及びリールスクリーン機構Ｆ１それぞれの、回動による動作範囲は、一部が互いに重複している。従って、この動作範囲が重複する重複範囲に、フロントスクリーン機構Ｅ１及びリールスクリーン機構Ｆ１のうちの一方のスクリーンが配置されているときに、他方のスクリーンを回動させると接触することになる。
【０１４４】
フロント待機位置とリール待機位置との位置関係は、フロント待機位置に存在するフロントスクリーン機構Ｅ１とリール待機位置に存在するリールスクリーン機構Ｆ１とが干渉しないように設定されている。即ち、フロント待機位置は、固定スクリーン機構Ｄの上方に配置されている一方、リール待機位置は、固定スクリーン機構Ｄの後方に配置されている。これにより、フロントスクリーン機構Ｅ１の回動距離がリールスクリーン機構Ｆ１の回動距離よりも短くされている。
【０１４５】
また、フロント待機位置は、リールスクリーン機構Ｆ１の動作範囲外に配置されており、リール待機位置は、フロントスクリーン機構Ｅ１の動作範囲外に配置されている。つまり、フロント待機位置及びリール待機位置それぞれは、動作範囲における重複範囲を除いた範囲に配置されている。
【０１４６】
これに対して、フロント露出位置は、リールスクリーン機構Ｆ１の動作範囲内に配置されており、リール露出位置は、フロントスクリーン機構Ｅ１の動作範囲内に配置されている。つまり、フロント露出位置及びリール露出位置それぞれは、動作範囲における重複範囲に配置されている。これにより、フロントスクリーン機構Ｅ１がフロント露出位置に配置されているときには、リールスクリーン機構Ｆ１をリール露出位置に配置することはできない。また、リールスクリーン機構Ｆ１がリール露出位置に配置されているときには、フロントスクリーン機構Ｅ１をフロント露出位置に配置することはできない。
【０１４７】
フロントスクリーン機構Ｅ１及びリールスクリーン機構Ｆ１それぞれの、回動による動作範囲の重複が最小限になるように、フロントスクリーン機構Ｅ１の回動中心軸ＦＧとリールスクリーン機構Ｆ１の回動中心軸ＲＧとが相違されている。具体的には、フロントスクリーン機構Ｅ１の回動中心軸ＦＧは、リールスクリーン機構Ｆ１の回動中心軸ＲＧよりもフロント待機位置方向となる上方に設定されている。詳細には、回動中心軸ＦＧはフロント露出位置に配置されたフロントスクリーン機構Ｅ１の中心位置よりも上方に配置されている。これにより、フロントスクリーン機構Ｅ１と回動中心軸ＦＧとの距離を短くすることができるため、フロントスクリーン機構Ｅ１における、フロント待機位置とフロント露出位置との間の動作範囲を小さくすることができる。このように動作範囲を小さくすることで、表示ユニットＡ内の限られたスペースにおいてもフロントスクリーン機構Ｅ１を大型化することが可能となる。なお、回動中心軸ＦＧ及び回動中心軸ＲＧは共に、固定スクリーン機構Ｄの後端位置よりも前方に配置されている。
【０１４８】
また、フロントスクリーン機構Ｅ１とリールスクリーン機構Ｆ１とは、一方のスクリーン機構Ｅ１・Ｆ１が待機位置に存在することを条件として回動可能にされている。これにより、スクリーン機構Ｅ１・Ｆ１同士の回動時における干渉が防止されている。フロントスクリーン機構Ｅ１とリールスクリーン機構Ｆ１との動作の詳細については後述する。
【０１４９】
（表示ユニットＡ：スクリーン装置Ｃ：固定スクリーン機構Ｄ）
図４５及び図４６に示すように、固定スクリーン機構Ｄは、スクリーン筐体Ｃ１０の底板Ｃ１上にネジ締結により固定されている。固定スクリーン機構Ｄは、正面反射部Ｄ１と右面反射部Ｄ２と左面反射部Ｄ３と下面反射部Ｄ４とを有している。これらの反射部Ｄ１〜Ｄ４の反射面は、照射光装置Ｂからの照射光が投影される投影面であり、照射光装置Ｂからの照射光の光軸に対してそれぞれ異なる角度に設定されている。
【０１５０】
尚、固定スクリーン機構Ｄは、照射光の光軸に対して複数の異なる角度の反射面を有する構成であれば、例えば２面や３面、５面の反射部を有してもよいし、或いは、光軸に対して連続的に異なる角度となる、曲率中心点が前面側に位置する湾曲状や円弧状の反射面の反射部を備えていてもよい。
【０１５１】
上記の正面反射部Ｄ１は、反射面が前側の遊技者に対して対向配置されており、固定スクリーン機構Ｄの前方上部に配置された照射光装置Ｂからの反射光の大部分を前方に反射するように設定されている。右面反射部Ｄ２及び左面反射部Ｄ３は、正面反射部Ｄ１の右辺部及び左辺部に接合されており、正面反射部Ｄ１を中心として左右対称に配置されている。右面反射部Ｄ２及び左面反射部Ｄ３は、正面反射部Ｄ１における左右方向の幅よりも前端部間の幅が拡大するように配置されている。これにより、右面反射部Ｄ２及び左面反射部Ｄ３は、反射面に対する照射光の反射方向が正面反射部Ｄ１方向に向い易くなることによって、照射光による映像を出現させながら照射光の一部を正面反射部Ｄ１方向に反射するようになっている。また、下面反射部Ｄ４についても、反射面に対する照射光の反射方向が正面反射部Ｄ１方向に向い易くなることによって、照射光による映像を出現させながら照射光の一部を正面反射部Ｄ１方向に反射するようになっている。
【０１５２】
上記の固定スクリーン機構Ｄは、反射面の明度が後述のフロントスクリーン機構Ｅ１及びリールスクリーン機構Ｆ１の各反射面の明度よりも低く設定されている。即ち、固定スクリーン機構Ｄは、照射光が反射面を反射する光量が、フロントスクリーン機構Ｅ１及びリールスクリーン機構Ｆ１の反射面を反射する光量よりも少なくされている。これにより、固定スクリーン機構Ｄは、反射部Ｄ１〜Ｄ４の乱反射による光の混合による白ぼけが防止されている。尚、固定スクリーン機構Ｄは、正面反射部Ｄ１の明度よりも他の反射部Ｄ２・Ｄ３・Ｄ４の明度が低くされていてもよい。この場合には、他の反射部Ｄ２・Ｄ３・Ｄ４における照射光の正面反射部Ｄ１への反射を低減できるため、正面反射部Ｄ１において映像を強く出現させながら白ぼけを低減することができる。
【０１５３】
なお、明度としては、Ｌ＊ａ＊ｂ＊表色系（Ｌ＊ａ＊ｂ＊色空間）やＬ＊ｕ＊ｖ＊表色系（Ｌ＊ｕ＊ｖ＊色空間）におけるBrightnessを採用することができるが、白を基準として、その他の色を相対値で表すことができるのであれば、どのように定義することも可能である。
【０１５４】
固定スクリーン機構Ｄの反射面の明度と、フロントスクリーン機構Ｅ１及びリールスクリーン機構Ｆ１の反射面の明度とは、固定スクリーン機構Ｄの反射面の明度が、フロントスクリーン機構Ｅ１及びリールスクリーン機構Ｆ１の反射面の明度よりも低ければ特に限定されない。例えば、固定スクリーン機構Ｄの反射面の明度を、フロントスクリーン機構Ｅ１及びリールスクリーン機構Ｆ１の反射面の明度よりも、５〜２５％（又は１０〜２０％）程度低い値とすればよい。
【０１５５】
固定スクリーン機構Ｄの反射面の明度を、フロントスクリーン機構Ｅ１及びリールスクリーン機構Ｆ１の反射面の明度よりも低くするためには、固定スクリーン機構Ｄの基材に塗布する塗料の色を、フロントスクリーン機構Ｅ１及びリールスクリーン機構Ｆ１の基材に塗布する塗料の色よりも、黒くすればよい。例えば、フロントスクリーン機構Ｅ１及びリールスクリーン機構Ｆ１の基材に塗布する塗料として白色のものを使用し、固定スクリーン機構Ｄの基材に塗布する塗料としては、フロントスクリーン機構Ｅ１及びリールスクリーン機構Ｆ１の基材に塗布する塗料に対して黒色顔料が添加されたものを使用すればよい。
【０１５６】
このような塗料において、白色顔料（例えば、酸化チタン）と黒色顔料（例えば、カーボンブラック）との割合を異ならせることによって、スクリーン機構の反射面の明度を変化させることができる。例えば、フロントスクリーン機構Ｅ１及びリールスクリーン機構Ｆ１の基材に塗布する塗料には、白色顔料と黒色顔料とのうち白色顔料のみが含まれ、固定スクリーン機構Ｄの基材に塗布する塗料には、白色顔料と黒色顔料の双方が含まれるようにしてもよい。また、フロントスクリーン機構Ｅ１及びリールスクリーン機構Ｆ１の基材に塗布する塗料よりも、固定スクリーン機構Ｄに塗布する塗料の方が、白色顔料に対する黒色顔料の割合が（例えば、５〜２５％（又は１０〜２０％）程度）高くなるようにしてもよい。なお、これらのスクリーン機構の基材に塗布する塗料としては、従来公知のスクリーン用塗料を適宜採用することができ、スクリーンの型（例えば、拡散型や反射型）に応じて調整することができる。
【０１５７】
なお、固定スクリーン機構Ｄの基材に塗布する塗料に黒色顔料を含ませるのではなく、固定スクリーン機構Ｄの基材を成形する前に、当該基材の材料となる樹脂中に黒色顔料を分散させることにより、基材自体に色を付け、基材自体の明度を低くしてもよい。
【０１５８】
また、光の乱反射を防止するという観点からは、周囲壁（底板Ｃ１、右側板Ｃ２、左側板Ｃ３、及び、背板Ｃ４）等、スクリーン筐体Ｃ１０を構成する部材やスクリーン筐体Ｃ１０の内部に配置された他の部材（スクリーン以外の部材）の明度も低くすることが望ましい。それらの部材の明度は、固定スクリーン機構Ｄの反射面の明度よりも低いことが望ましく、例えば、周囲壁については、スクリーンとして映像が投影されることを考慮する必要がないため、明度は低ければ低いほど望ましい。すなわち、周囲壁の色は、黒に近いほど望ましい。
【０１５９】
（表示ユニットＡ：スクリーン装置Ｃ：フロントスクリーン機構Ｅ１）
図５４に示すように、フロントスクリーン機構Ｅ１は、投影面Ｅ１１ａを全面に有した長方形状のフロントスクリーン部材Ｅ１１と、第１模様面Ｅ１２ａ等の模様を両面に有したフロントスクリーン支持台Ｅ１２とを有している。フロントスクリーン部材Ｅ１１は、薄板状の平面パネルにスクリーン塗料を塗布することにより形成されている。これにより、フロントスクリーン部材Ｅ１１は、投影面Ｅ１１ａが平坦状に形成されている。
【０１６０】
一方、フロントスクリーン支持台Ｅ１２は、フロントスクリーン部材Ｅ１１を保持する保持凹部Ｅ１２１を有している。保持凹部Ｅ１２１は、フロントスクリーン部材Ｅ１１の投影面Ｅ１１ａに対して僅かに拡大した状態で相似する開口形状を有しており、フロントスクリーン部材Ｅ１１全体を収容している。また、保持凹部Ｅ１２１は、深さが深部と浅部との２段階に設定されている。浅部は、フロントスクリーン支持台Ｅ１２の周縁部に形成された段部Ｅ１２１ａと、中心部を通過する短手方向の両端にかけて直線状に形成された段部Ｅ１２１ｂとで実現されている。
【０１６１】
これにより、保持凹部Ｅ１２１に収容されたフロントスクリーン部材Ｅ１１は、周縁部の段部Ｅ１２１ａと中心部を通過する直線状の段部Ｅ１２１ｂとに当接及び支持され、残りの深部部分から離隔された状態にされている。この結果、深部部分におけるフロントスクリーン支持台Ｅ１２の変形が、フロントスクリーン部材Ｅ１１を変形させて投影面Ｅ１１ａに歪みを引き起こすことが防止されている。
【０１６２】
また、フロントスクリーン支持台Ｅ１２は、投影面Ｅ１１ａの周囲の一部領域に第１模様面Ｅ１２ａを有している。第１模様面Ｅ１２ａは、フロントスクリーン機構Ｅ１がフロント露出位置に位置されたときに、前方の遊技者から目視可能にされている。さらに、フロントスクリーン支持台Ｅ１２は、第１模様面Ｅ１２ａとは反対側の面全体に第２模様面Ｅ１２ｂを有している。第２模様面Ｅ１２ｂは、フロントスクリーン機構Ｅ１がフロント待機位置に位置されたときに、前方の遊技者から目視可能にされている。これらの第１模様面Ｅ１２ａ及び第２模様面Ｅ１２ｂは、例えば遊技の演出に関連した模様が凹凸により立体的に形成されている。
【０１６３】
上記のように構成されたフロントスクリーン部材Ｅ１１とフロントスクリーン支持台Ｅ１２とは、別個に形成された後に、接着剤で接着されることにより一体化されている。これにより、フロントスクリーン機構Ｅ１は、フロントスクリーン支持台Ｅ１２に模様等を形成する際の成形収縮等によりひけが発生することがあっても、このひけがフロントスクリーン部材Ｅ１１から機械的に分離した状態で発生するため、フロントスクリーン部材Ｅ１１における投影面Ｅ１１ａのひけによる歪みの発生を防止することが可能になっている。
【０１６４】
なお、フロントスクリーン部材Ｅ１１とフロントスクリーン支持台Ｅ１２との固着方法としては、接着剤での接着に限らず、ネジ締結等の任意の方法を採用することができる。
【０１６５】
フロントスクリーン部材Ｅ１１を構成する平面パネル、及び、フロントスクリーン支持台Ｅ１２は、それぞれ射出成形により作製される。フロントスクリーン部材Ｅ１１を構成する平面パネル、及び、フロントスクリーン支持台Ｅ１２の材料としては、射出成形を行った場合にひけが発生し得る熱可塑性樹脂（例えば、ＡＢＳ樹脂等）を適宜採用することができる。
【０１６６】
（表示ユニットＡ：スクリーン装置Ｃ：フロントスクリーン駆動機構Ｅ２）
上記のフロントスクリーン機構Ｅ１は、フロントスクリーン駆動機構Ｅ２の駆動力により回動可能にされている。図４５及び図４６に示すように、フロントスクリーン駆動機構Ｅ２は、フロントスクリーン機構Ｅ１の左端部下面に連結された左フロントスクリーン駆動機構Ｅ２Ａと、フロントスクリーン機構Ｅ１の右端部下面に連結された右フロントスクリーン駆動機構Ｅ２Ｂとを有している。
【０１６７】
図５３に示すように、フロントスクリーン機構Ｅ１がフロント待機位置に配置されたとき（待機姿勢のとき）において、フロントスクリーン機構Ｅ１が、後方の端部から前方の端部に向けて上り傾斜となるように、構成されている。このフロントスクリーン機構Ｅ１の傾斜は、多孔板Ｂ１５の傾斜部Ｂ１５ｂ、及び、プロジェクタ機構Ｂ２の下面Ｂ２ａにおける傾斜面Ｂ２ａ１と略平行である。
【０１６８】
以上のように、フロント待機位置に配置されたときにフロントスクリーン機構Ｅ１の姿勢を、その後方の端部から前方の端部に向けて上り傾斜となる傾斜姿勢にすることで、水平面と平行な姿勢とした場合と比べて、照射光装置Ｂにより照射された照射光がフロントスクリーン機構Ｅ１により妨げられることを抑制することができる。これにより、フロント待機位置に配置されたときのフロントスクリーン機構Ｅ１の上下方向位置を、固定スクリーン機構Ｄに対して近づけることができる。その結果として、表示ユニットＡの限られたスペース内においても、フロントスクリーン機構Ｅ１を大型化することができる。加えて、上述したように、プロジェクタ機構Ｂ２の下面Ｂ２ａは傾斜面Ｂ２ａ１を有しているため、フロント待機位置に配置されたときのフロントスクリーン機構Ｅ１の上下方向位置を、プロジェクタ機構Ｂ２に対して近づけることができる。その結果として、フロントスクリーン機構Ｅ１を更に大型化することができる。
【０１６９】
図５５及び図５６に示すように、右フロントスクリーン駆動機構Ｅ２Ｂは、クランク部材Ｅ２２とクランクギアＥ２１と中間ギアＥ２３とモータ軸ギアＥ２４と駆動モータＥ２５とを有している。右フロントスクリーン駆動機構Ｅ２Ｂにおけるクランク部材Ｅ２２は、その上端部（一端部）が、フロントスクリーン機構Ｅ１の右端部背面において、フロント露出位置に配置されたとき（露出姿勢のとき）に上部となる位置に連結されている。
【０１７０】
図５７に示すように、クランク部材Ｅ２２は、中間位置Ｅ２２ａにおいて、右可動体ベースＣ５（図４５参照）に回動自在に軸支されている。これにより、クランク部材Ｅ２２は、中間位置Ｅ２２ａを回動中心として上端部及び下端部（他端部）を回動可能にしている。なお、この中間位置Ｅ２２ａは、フロントスクリーン機構Ｅ１の回動中心軸ＦＧと一致する。
【０１７１】
なお、上述したように、フロントスクリーン機構Ｅ１の回動中心軸ＦＧは、フロント露出位置に配置されたフロントスクリーン機構Ｅ１の中心位置よりも上方に配置されている。また、クランク部材Ｅ２２は、その上端部（一端部）が、フロントスクリーン機構Ｅ１の右端部背面において、フロント露出位置に配置されたとき（露出姿勢のとき）に上部となる位置に連結されている。以上の構成により、フロントスクリーン機構Ｅ１における、フロント待機位置とフロント露出位置との間の動作範囲を小さくすることができるため、フロントスクリーン機構Ｅ１を大型化することが可能となる。
【０１７２】
クランク部材Ｅ２２は、中間位置Ｅ２２ａから上端部側の上側領域と、中間位置Ｅ２２ａから下端部側の下側領域とを有している。図５７のようにクランク部材Ｅ２２を側面視したとき、上側領域における中心線（中間位置Ｅ２２ａと、クランク部材Ｅ２２の上端辺における中点とを通過する直線）は、待機姿勢において上下方向となるように設定されている。一方、下側領域における中心線（中間位置Ｅ２２ａと、クランク部材Ｅ２２の下端辺における中点とを通過する直線）は、待機姿勢において下側が上側よりも前側に傾斜するように設定されている。
【０１７３】
クランク部材Ｅ２２の下側領域には、スライド溝Ｅ２２ｂが形成されている。スライド溝Ｅ２２ｂは、溝壁面Ｅ２２ｂ１が側面視Ｕ字形状となるように形成されている。該Ｕ字は、２つの直線部と、該２つの直線部の端部同士を結んだ曲線部とから構成されている。２つの直線部は、平行に形成されており、スライド溝Ｅ２２ｂは、溝壁面Ｅ２２ｂ１の上記直線部に相当する面が下側領域の中心線に平行に設定されている。スライド溝Ｅ２２ｂには、スライド部材Ｅ２６が移動自在に係合されている。スライド溝Ｅ２２ｂの溝幅（上記２つの直線部間の距離）は、スライド部材Ｅ２６の部材幅にほぼ一致されており、移動時において摺動するように設定されている。即ち、スライド部材Ｅ２６は、常時、スライド溝Ｅ２２ｂの溝壁面Ｅ２２ｂ１に当接状態にされている。また、スライド溝Ｅ２２ｂの上端部は、フロントスクリーン機構Ｅ１が待機姿勢である場合において、スライド部材Ｅ２６が上端面（上記曲線部に相当する面）に当接するように設定されている。一方、スライド溝Ｅ２２ｂの下端部は、スライド部材Ｅ２６の一部を露出可能に開放状態にされている。
【０１７４】
上記のスライド部材Ｅ２６は、クランクギアＥ２１の偏心位置Ｅ２１ｂに回転自在に軸支されている。クランクギアＥ２１のギア軸Ｅ２１ａは、図５５に示すように、右可動体ベースＣ５、及び右側板Ｃ２の第１支持部Ｃ２３に回転自在に軸支されている。クランクギアＥ２１のギア軸Ｅ２１ａは、フロントスクリーン機構Ｅ１が待機姿勢又は露出姿勢である場合において、ギア軸Ｅ２１ａと偏心位置Ｅ２１ｂとを結ぶ線分が、クランク部材Ｅ２２における中間位置Ｅ２２ａとスライド部材Ｅ２６の中心点とを結ぶ線分に対して直交する関係を有するように設定されている。
【０１７５】
これにより、フロントスクリーン機構Ｅ１が待機姿勢又は露出姿勢である場合においては、クランク部材Ｅ２２の下側領域を回動させる方向に力が働いても、この力の全成分の付与方向にギア軸Ｅ２１ａが存在し、固定端として作用するため、スライド部材Ｅ２６が移動することはない。この結果、クランク部材Ｅ２２の中間位置Ｅ２２ａとクランクギアＥ２１のギア軸Ｅ２１ａとを固定端とし、スライド部材Ｅ２６を自由端とする０自由度の三節リンクによるトラス構造が形成されるため、フロントスクリーン機構Ｅ１を手で押した場合でも、クランク部材Ｅ２２及びクランクギアＥ２１が強固なブレーキとして作用することによって、フロントスクリーン機構Ｅ１が動くことはない。
【０１７６】
上記のクランクギアＥ２１には、中間ギアＥ２３が噛合されている。この中間ギアＥ２３は、右可動体ベースＣ５、及び右側板Ｃ２の第２支持部Ｃ２４に回動自在に軸支されている。この中間ギアＥ２３には、モータ軸ギアＥ２４が噛合されている。モータ軸ギアＥ２４は、駆動モータＥ２５の駆動軸が接続されている。これにより、右フロントスクリーン駆動機構Ｅ２Ｂは、駆動モータＥ２５の回転駆動力をモータ軸ギアＥ２４及び中間ギアＥ２３を介してクランクギアＥ２１に伝達可能にされている。
【０１７７】
ここで、クランクギアＥ２１に付与された回転駆動力の全成分は、スライド部材Ｅ２６の旋回軌跡の接線方向に一致する。また、図５８及び図６０に示すように、フロントスクリーン機構Ｅ１が待機姿勢又は露出姿勢である場合において、ギア軸Ｅ２１ａと偏心位置Ｅ２１ｂとを結ぶ線分が、クランク部材Ｅ２２における中間位置Ｅ２２ａとスライド部材Ｅ２６の中心点とを結ぶ線分に対して直交する関係を有するように設定されているため、旋回軌跡の接線方向がクランク部材Ｅ２２のスライド溝Ｅ２２ｂの溝壁面に平行となっている。これにより、フロントスクリーン機構Ｅ１が待機姿勢又は露出姿勢である場合において、クランクギアＥ２１に回転駆動力が付与されると、スライド部材Ｅ２６の移動方向（接線方向）に反力となる溝壁面が存在しないため、クランクギアＥ２１が容易に回転を開始する。
【０１７８】
クランクギアＥ２１に回転駆動力が付与された場合は、偏心位置Ｅ２１ｂに設けられたスライド部材Ｅ２６がスライド溝Ｅ２２ｂとの摺動によりスライド溝Ｅ２２ｂに沿って移動自在にされているため、クランク部材Ｅ２２の中間位置Ｅ２２ａとクランクギアＥ２１のギア軸Ｅ２１ａとを固定端とし、スライド部材Ｅ２６を溝壁面に沿って移動自在の自由端にした１自由度の二節リンクが形成される。そして、スライド部材Ｅ２６が回動すると、スライド部材Ｅ２６が係合されたスライド溝Ｅ２２ｂを備えたクランク部材Ｅ２２が中間位置Ｅ２２ａを支点として回動し、クランク部材Ｅ２２の上側領域を回動させることになる。この結果、フロントスクリーン機構Ｅ１がフロント待機位置及びフロント露出位置間を移動することになる。
【０１７９】
なお、駆動モータＦ２４は、ステッピングモータであり、中継基板ＣＫを介して主制御基板ＭＳ（図３２参照）に電気的に接続されており、この主制御基板ＭＳの制御により駆動される。
【０１８０】
また、フロントスクリーン機構Ｅ１の移動速度は、フロントスクリーン機構Ｅ１が待機姿勢又は露出姿勢である場合において停止状態０であり、徐々に増速し、待機姿勢及び露出姿勢間の中間姿勢（図５９参照）において最大速度となった後、徐々に減速し、露出姿勢及び待機姿勢になったときに停止状態０になる。これにより、クランクギアＥ２１の角加速度が小さな状態（慣性モーメント）で回動を開始及び停止させることができるため、クランクギアＥ２１に必要なトルクを小さくすることが可能になり、結果として駆動機構（中間ギアＥ２３、モータ軸ギアＥ２４、駆動モータＥ２５）の過負荷による故障や消耗を低減することが可能になっている。
【０１８１】
図６１に示すように、上記のように構成された右フロントスクリーン駆動機構Ｅ２Ｂは、モータ軸ギアＥ２４と駆動モータＥ２５とを除いて、左フロントスクリーン駆動機構Ｅ２Ａと同一構成とされている。そして、左フロントスクリーン駆動機構Ｅ２Ａと右フロントスクリーン駆動機構Ｅ２Ｂとは、左右対称に配置されている。
【０１８２】
そして、左フロントスクリーン駆動機構Ｅ２Ａの中間ギアＥ２３と右フロントスクリーン駆動機構Ｅ２Ｂの中間ギアＥ２３とは、シャフト部材Ｅ３を介して連結されている。
【０１８３】
詳細には、シャフト部材Ｅ３は、左右方向に延在しており、その両端部に、左フロントスクリーン駆動機構Ｅ２Ａ及び右フロントスクリーン駆動機構Ｅ２Ｂそれぞれの中間ギアＥ２３が連結されている。また、シャフト部材Ｅ３は、固定スクリーン機構Ｄの後方における、背板Ｃ４と固定スクリーン機構Ｄとで挟まれた空間に配置されている（図５３参照）。
【０１８４】
以上の構成において、駆動モータＥ２５が駆動されると、モータ軸ギアＥ２４が回動される。このモータ軸ギアＥ２４の回動に伴い、左フロントスクリーン駆動機構Ｅ２Ａ及び右フロントスクリーン駆動機構Ｅ２Ｂそれぞれの中間ギアＥ２３・Ｅ２３、及びシャフト部材Ｅ３が一体となって回動する。そして、この中間ギアＥ２３・Ｅ２３の回動に連動して、クランクギアＥ２１・Ｅ２１が回動されることで、フロントスクリーン機構Ｅ１が回動中心軸ＦＧ中心に回動して、フロント待機位置とフロント露出位置との間を移動することになる。
【０１８５】
以上のように、左フロントスクリーン駆動機構Ｅ２Ａ及び右フロントスクリーン駆動機構Ｅ２Ｂそれぞれの中間ギアＥ２３・Ｅ２３をシャフト部材Ｅ３により連結することで、駆動モータＥ２５の回転駆動力を、２つのクランク部材Ｅ２２に均等に伝達することが可能となる。従って、これら中間ギアＥ２３・Ｅ２３がシャフト部材Ｅ３により連結されていない場合と比べて、２つのクランク部材Ｅ２２の一方に、駆動負荷が集中することを防止することができる。また、駆動モータＥ２５は、固定スクリーン機構Ｄの右方に配置された右フロントスクリーン駆動機構Ｅ２Ｂに設けられているため、固定スクリーン機構Ｄの配置を阻害することがない。
【０１８６】
加えて、シャフト部材Ｅ３を、フロントスクリーン機構Ｅ１の回動軸として用いていない。このため、シャフト部材Ｅ３の配置の自由度が高まり、シャフト部材Ｅ３を固定スクリーン機構Ｄ等の別役物の配置を阻害しないように配置させることが可能となる。その結果として、フロントスクリーン機構Ｅ１の回動範囲や大きさを所望の程度に維持しつつ、別役物の配置の自由度を高めることができる。
【０１８７】
また、シャフト部材Ｅ３が固定スクリーン機構Ｄよりも後方に配置されるため、固定スクリーン機構Ｄに投影される光がシャフト部材Ｅ３により阻害されることはない。また、フロントスクリーン機構Ｅ１の回動中心軸ＦＧは固定スクリーン機構Ｄの後端位置よりも前方に配置されているため、固定スクリーン機構Ｄの後端位置よりも後方に配置されている場合と比べて、フロントスクリーン機構Ｅ１と回動中心軸ＦＧとの間の長さ（クランク部材Ｅ２２の長さ）を短くすることができる。このため、キャビネットＧ内のスペースが限られており表示ユニットＡを大型化することができないときでも、フロントスクリーン機構Ｅ１の大きさを所望の程度に維持することができる。
【０１８８】
（表示ユニットＡ：スクリーン装置Ｃ：リールスクリーン機構Ｆ１）
図５２に示すように、リールスクリーン機構Ｆ１は、湾曲形状の平板からなる。リールスクリーン機構Ｆ１は、回動方向に近似した形状に湾曲された、側面視円弧状の形状をなしている。リールスクリーン機構Ｆ１の表面は、周縁部に模様が形成されていると共に、周縁部の内周領域が投影面Ｆ１ａとされている。この投影面Ｆ１ａは、リールスクリーン機構Ｆ１がリール露出位置に配置されたときに、プロジェクタ機構Ｂ２からの光の照射方向上流側に凸となる円弧面である。また、リールスクリーン機構Ｆ１における、回動中心側である裏面には模様が形成されている。この裏面の模様は、リールスクリーン機構Ｆ１がリール待機位置に位置されたときに、前方の遊技者から目視可能にされている。
【０１８９】
リールスクリーン機構Ｆ１は、リールスクリーン駆動機構Ｆ２の駆動力により、リール待機位置とリール露出位置との間で回動可能にされている。そして、リールスクリーン機構Ｆ１がリール露出位置に位置されたときに、その投影面Ｆ１ａは、照射光の照射により映像を出現可能になっている。
【０１９０】
（表示ユニットＡ：スクリーン装置Ｃ：リールスクリーン駆動機構Ｆ２）
図６２及び図６３に示すように、リールスクリーン駆動機構Ｆ２は、２つのアーム部材Ｆ２１・Ｆ２１、円弧状ギアＦ２２、モータ軸ギアＦ２３、及び駆動モータＦ２４を有している。２つのアーム部材Ｆ２１・Ｆ２１は、その一端部がリールスクリーン機構Ｆ１の右端部背面及び左端部背面それぞれに連結されている。また、２つのアーム部材Ｆ２１・Ｆ２１の他端部の外側面には、左右方向外側に向けて突出する支持軸Ｆ２１ａ・Ｆ２１ａが形成されている。これら支持軸Ｆ２１ａ・Ｆ２１ａは、右可動体ベースＣ５及び左可動体ベースＣ６にそれぞれ回動自在に支持されている。これにより、２つのアーム部材Ｆ２１は、支持軸Ｆ２１ａ・Ｆ２１ａを回動中心として回動可能となる。なお、これら支持軸Ｆ２１ａ・Ｆ２１ａは、リールスクリーン機構Ｆ１の回動中心軸ＲＧと一致する。
【０１９１】
円弧状ギアＦ２２は、２つの支持軸Ｆ２１ａ・Ｆ２１ａのうちの右側に配置される支持軸Ｆ２１ａの先端部に固定されている。この円弧状ギアＦ２２には、モータ軸ギアＦ２３が噛合されている。モータ軸ギアＦ２３は、駆動モータＦ２４の駆動軸が接続されている。なお、駆動モータＦ２４は、ステッピングモータであり、中継基板ＣＫを介して主制御基板ＭＳ（図３２参照）に電気的に接続されており、この主制御基板ＭＳの制御により駆動される。
【０１９２】
以上の構成において、主制御基板ＭＳによる制御の下、駆動モータＥ２５が駆動するとと、モータ軸ギアＥ２４が回動する。このモータ軸ギアＥ２４の回動に伴い、円弧状ギアＦ２２が回動する。そして、この円弧状ギアＦ２２の回動に連動して、アーム部材Ｆ２１が回動されることで、リールスクリーン機構Ｆ１が回動中心軸ＲＧ中心に回動して、リール待機位置とリール露出位置との間を動作することになる。
【０１９３】
（表示ユニットＡ：スクリーン装置Ｃ：センサ機構ＣＳ）
上述したように、フロントスクリーン機構Ｅ１及びリールスクリーン機構Ｆ１それぞれの動作範囲は、互いに一部が重複している（図５３参照）。また、フロントスクリーン機構Ｅ１は及びリールスクリーン機構Ｆ１は、それぞれ異なる駆動機構により駆動される。つまり、フロントスクリーン機構Ｅ１及びリールスクリーン機構Ｆ１それぞれの駆動は連動（同期）していない。このためスクリーン機構Ｅ１・Ｆ１同士の干渉（接触）を防ぐには、スクリーン機構Ｅ１・Ｆ１それぞれの位置を把握しておく必要がある。そこで、本実施形態では、主制御基板ＭＳ（図３２参照）は、フロント待機位置を原点位置として、この原点位置からの駆動モータＥ２５のステップ数に基づいて、フロントスクリーン機構Ｅ１の位置を把握している。同様にして、リール待機位置を原点位置として、この原点位置からの駆動モータＦ２４のステップ数に基づいて、リールスクリーン機構Ｆ１の位置を把握している。
【０１９４】
しかしながら、フロントスクリーン機構Ｅ１やリールスクリーン機構Ｆ１の動作が正常に行われていない場合や、電源遮断中に手動でフロントスクリーン機構Ｅ１やリールスクリーン機構Ｆ１が動かされてしまった場合には、主制御基板ＭＳは、フロントスクリーン機構Ｅ１及びリールスクリーン機構Ｆ１の正確な位置を把握することができない。このような状況でフロントスクリーン機構Ｅ１及びリールスクリーン機構Ｆ１を動作させると、これらが干渉し合う可能性がある。
【０１９５】
そこで、図６４〜図６７に示すように、スクリーン装置Ｃは、フロントスクリーン機構Ｅ１及びリールスクリーン機構Ｆ１それぞれの位置を検出するためのセンサ機構ＣＳを備えている。そして、主制御基板ＭＳは、センサ機構ＣＳからの検出結果に基づき、これらスクリーン機構Ｅ１・Ｆ１を原点位置（待機位置）に復帰させる復帰動作を実行する。
【０１９６】
なお、右フロントスクリーン駆動機構Ｅ２Ｂにおけるクランク部材Ｅ２２には、上側領域に遮光部Ｅ２２ｄ、下側領域に遮光部Ｅ２２ｅがそれぞれ形成されている。また、リールスクリーン機構Ｆ１の右端部裏面には、遮光部Ｆ１ｂが形成されている。
【０１９７】
センサ機構ＣＳは、３つのセンサＣＳ１〜ＣＳ３を有している。これらのセンサＣＳ１〜ＣＳ３は、透過型の光学センサであり、図６４に示すように、略Ｕ字状に形成されている。Ｕ字状の開放側の一方の端部は光を発光する発光部であり、他方の端部は光を受光する受光部である。そして、これらのセンサＣＳ１〜ＣＳ３は、発光部から発光された光を受光部が受光した場合に、主制御基板ＭＳにＬｏｗ信号を出力し、発光部から発光された光が遮断され受光部が受光できない場合に、主制御基板ＭＳにＨｉ信号を出力するよう構成されている。
【０１９８】
センサＣＳ１は、フロントスクリーン機構Ｅ１がフロント待機位置に存在するか否かを検出するためのセンサである。このセンサＣＳ１は、クランク部材Ｅ２２における遮光部Ｅ２２ｄの回動軌跡上に固定配置されている。詳細には、センサＣＳ１は、フロントスクリーン機構Ｅ１がフロント待機位置に存在するとき（図６５参照）には、発光部と受光部とで遮光部Ｅ２２ｄを挟み、且つ、フロントスクリーン機構Ｅ１がフロント待機位置に存在しないとき（図６６参照）には、発光部と受光部とで遮光部Ｅ２２ｄを挟まない位置に固定配置されている。従って、センサＣＳ１は、フロントスクリーン機構Ｅ１がフロント待機位置に存在するときはＨｉ信号を、フロント待機位置に存在しないときはＬｏｗ信号をそれぞれ主制御基板ＭＳに出力することになる。
【０１９９】
センサＣＳ２は、フロントスクリーン機構Ｅ１がフロント露出位置に存在するか否かを検出するためのセンサである。このセンサＣＳ２は、クランク部材Ｅ２２における遮光部Ｅ２２ｅの回動軌跡上に固定配置されている。詳細には、センサＣＳ２は、フロントスクリーン機構Ｅ１がフロント露出位置に存在するとき（図６６参照）には発光部と受光部とで遮光部Ｅ２２ｅを挟み、且つ、フロントスクリーン機構Ｅ１がフロント露出位置に存在しないとき（図６５参照）には発光部と受光部とで遮光部Ｅ２２ｅを挟まない位置に固定配置されている。従って、センサＣＳ２は、フロントスクリーン機構Ｅ１がフロント露出位置に存在するときはＨｉ信号を、フロント露出位置に存在しないときはＬｏｗ信号をそれぞれ主制御基板ＭＳに出力することになる。
【０２００】
センサＣＳ３は、リールスクリーン機構Ｆ１がリール待機位置に存在するか否かを検出するためのセンサである。このセンサＣＳ３は、リールスクリーン機構Ｆ１における遮光部Ｆ１ｂの回動軌跡上に固定配置されている。詳細には、センサＣＳ２は、リールスクリーン機構Ｆ１がリール待機位置に存在するとき（図６５参照）には発光部と受光部とで遮光部Ｆ１ｂを挟み、且つ、リールスクリーン機構Ｆ１がリール待機位置に存在しないとき（図６７参照）には発光部と受光部とで遮光部Ｆ１ｂを挟まない位置に固定配置されている。従って、センサＣＳ３は、リールスクリーン機構Ｆ１がリール待機位置に存在するときはＨｉ信号を、リール待機位置に存在しないときはＬｏｗ信号をそれぞれ主制御基板ＭＳに出力することになる。
【０２０１】
以上の構成において、センサＣＳ１及びセンサＣＳ２からの検出信号は、フロントスクリーン機構Ｅ１が、フロント待機位置、フロント露出位置、及びこれらの間の位置である中間位置の何れに配置されているかを示している。また、センサＣＳ３からの検出信号は、リールスクリーン機構Ｆ１が、リール待機位置、及びリール待機位置以外の位置の何れに配置されているかを示している。
【０２０２】
また、上述したように、フロント待機位置及びリール待機位置それぞれは、スクリーン機構Ｅ１・Ｆ１の動作範囲における重複範囲に配置されているため、フロントスクリーン機構Ｅ１がフロント露出位置に配置されているときには、リールスクリーン機構Ｆ１をリール露出位置に配置することはできない。このため、センサＣＳ２が、フロントスクリーンがフロント露出位置に存在することを検出している場合には、リールスクリーン機構Ｆ１がリール露出位置に存在しないことを示している。
【０２０３】
（フロントスクリーン機構Ｅ１の動作制御）
次に、原点復帰動作について説明するに先立って、フロントスクリーン機構Ｅ１及びリールスクリーン機構Ｆ１それぞれの正常時における動作制御について説明する。主制御基板ＭＳは、駆動モータＥ２５を制御することで、フロントスクリーン機構Ｅ１をフロント待機位置とフロント露出位置との間で回動動作させる。このフロントスクリーン機構Ｅ１の回動動作は、リールスクリーン機構Ｆ１がリール待機位置に存在していることを条件にして実行される。
【０２０４】
先に少し触れたように、主制御基板ＭＳは、フロント待機位置を原点位置とし、この原点位置からの駆動モータＥ２５のステップ数で、フロントスクリーン機構Ｅ１の位置を把握する。例えば、図６８に示すように、ステップ数が２１０のとき、フロントスクリーン機構Ｅ１はフロント露出位置にあると把握することができる。なお、本実施形態では、ステップ数が２０−２１のときに、センサＣＳ１の検出信号がＨｉ信号とＬｏｗ信号との間で切り換り、ステップ数が１９０−１９１のときに、センサＣＳ２の検出信号がＨｉ信号とＬｏｗ信号との間で切り換る。
【０２０５】
また、主制御基板ＭＳは、駆動モータＥ２５のモータ回転方向やパルス幅を制御することで、フロントスクリーン機構Ｅ１の回動方向や回動速度を制御している。以下、駆動モータＥ２５において、フロントスクリーン機構Ｅ１をフロント待機位置からフロント露出位置へ移動させるモータ回転方向を＋方向、フロントスクリーン機構Ｅ１をフロント露出位置からフロント待機位置へ移動させるモータ回転方向を−方向とする。
【０２０６】
図６９には、フロントスクリーン機構Ｅ１をフロント待機位置からフロント露出位置へ回動動作させる際の、駆動モータＥ２５の制御シーケンスの一例を示している。この制御シーケンスでは、まず、駆動モータＥ２５を、直前の励磁相から相を更新せずに１００ｍｓのパルス幅分で励磁（手順１）した後に、駆動モータＥ２５を＋方向に２．２ｍｓのパルス幅で２１０ステップ数駆動させる（手順２）。これにより、フロントスクリーン機構Ｅ１はフロント待機位置からフロント露出位置へ回動する。この後、駆動モータＥ２５を、直前の励磁相から相を更新せずに１００ｍｓのパルス幅分で励磁する（手順３）。以上が、フロント待機位置からフロント露出位置へ回動動作させる際の制御シーケンスとなる。なお、フロントスクリーン機構Ｅ１をフロント待機位置からフロント露出位置へ回動動作させる際の制御シーケンスは、図６９の制御シーケンスにおける、手順２に係る駆動モータＥ２５のモータ回転方向を−方向にしたシーケンスにすればよい。
【０２０７】
（リールスクリーン機構Ｆ１の動作制御）
次に、リールスクリーン機構Ｆ１についての正常時の動作制御について説明する。主制御基板ＭＳは、駆動モータＦ２４を制御することで、リールスクリーン機構Ｆ１をリール待機位置とリール露出位置との間で回動動作させる。このリールスクリーン機構Ｆ１の回動動作は、フロントスクリーン機構Ｅ１がフロント待機位置に存在していることを条件にして実行される。
【０２０８】
図７０に示すように、主制御基板ＭＳは、リール待機位置を原点位置とし、この原点位置からの駆動モータＦ２４のステップ数で、リールスクリーン機構Ｆ１の位置を把握する。例えば、ステップ数が１４０のとき、リールスクリーン機構Ｆ１はリール露出位置にあると把握することができる。なお、本実施形態では、ステップ数が１−２のときに、センサＣＳ３の検出信号がＨｉ信号とＬｏｗ信号との間で切り換る。
【０２０９】
また、主制御基板ＭＳは、駆動モータＦ２４のモータ回転方向やパルス幅を制御することで、リールスクリーン機構Ｆ１の回動方向や回動速度を制御している。以下、駆動モータＦ２４において、リールスクリーン機構Ｆ１をリール待機位置からリール露出位置へ移動させるモータ回転方向を＋方向、リールスクリーン機構Ｆ１をリール露出位置からリール待機位置へ移動させるモータ回転方向を−方向とする。
【０２１０】
図７１には、リールスクリーン機構Ｆ１をリール待機位置からリール露出位置へ回動動作させる際の、駆動モータＦ２４の制御シーケンスの一例を示している。この制御シーケンスでは、まず、駆動モータＦ２４を、直前の励磁相から相を更新せずに１００ｍｓのパルス幅分で励磁（手順１）した後に、駆動モータＦ２４を＋方向に４ｍｓのパルス幅で８ステップ数駆動させる（手順２）。これにより、リールスクリーン機構Ｆ１のリール待機位置からリール露出位置への回動が開始され、且つ、リールスクリーン機構Ｆ１の回動速度が加速される。この後、駆動モータＦ２４を＋方向に３ｍｓのパルス幅で１２２ステップ数駆動する（手順３）。その後、駆動モータＦ２４を＋方向に５ｍｓのパルス幅で１２２ステップ数駆動する（手順４）。これにより、リールスクリーン機構Ｆ１の回動速度が減速される。そして、駆動モータＦ２４を、直前の励磁相から相を更新せずに１００ｍｓのパルス幅分で励磁する（手順５）。以上が、リール待機位置からリール露出位置へ回動動作させる際の制御シーケンスとなる。なお、リールスクリーン機構Ｆ１をリール待機位置からリール露出位置へ回動動作させる際の制御シーケンスは、図７１の制御シーケンスにおける、手順２〜４に係る駆動モータＥ２５のモータ回転方向を−方向にしたシーケンスにすればよい。
【０２１１】
以上のように、主制御基板ＭＳは、リールスクリーン機構Ｆ１がリール待機位置に配置されていることを条件にしてフロントスクリーン機構Ｅ１を駆動し、フロントスクリーン機構Ｅ１がフロント待機位置に配置されていることを条件にしてリールスクリーン機構Ｆ１を駆動するため、スクリーン機構同士の回動時における干渉を防止することができる。
【０２１２】
（フロントスクリーン機構Ｅ１及びリールスクリーン機構Ｆ１の原点復帰動作）
次に、フロントスクリーン機構Ｅ１及びリールスクリーン機構Ｆ１の原点復帰動作について説明する。この原点復帰動作時は、電源遮断状態から復旧したときなどの所定の契機で実行される。
【０２１３】
ここで、センサＣＳ１の検出信号がＨｉ信号からＬｏｗ信号に切り換るのは、フロントスクリーン機構Ｅ１が原点位置から駆動モータＥ２５が数ステップだけ＋方向に駆動された時点（図６８参照）であるため、センサＣＳ１の検出信号がＨｉ信号であったとしても、フロントスクリーン機構Ｅ１の位置が原点位置とは一致しない場合もある。同様にして、センサＣＳ３の検出信号がＨｉ信号であったとしても、リールスクリーン機構Ｆ１の位置が原点位置とは一致しない場合もある。そこで、本実施形態では、センサＣＳ１の検出信号がＨｉ信号であったとしてもフロントスクリーン機構Ｅ１に係る原点復帰動作を行い、センサＣＳ３の検出信号がＨｉ信号であったとしてもリールスクリーン機構Ｆ１に係る原点復帰動作を行うように構成されている。
【０２１４】
また、主制御基板ＭＳは、原点復帰動作において、駆動モータＦ２４及び駆動モータＥ２５を駆動して、動作１〜４の４種類の基本動作を実行可能にされている。動作１及び２はフロントスクリーン機構Ｅ１に係る動作であり、動作３及び４はリールスクリーン機構Ｆ１に係る動作である。
【０２１５】
動作１は、センサＣＳ１から出力される検出信号がＨｉ信号のときに実行される動作である。詳細には、動作１は、駆動モータＥ２５を＋方向に３０〜４０ステップ数程度駆動させる動作である。これにより、センサＣＳ１から出力される検出信号を確実にＨｉ信号からＬｏｗ信号に切り換えることができる。
【０２１６】
動作２は、センサＣＳ１から出力される検出信号がＬｏｗ信号のときに実行される動作である。詳細には、動作２は、駆動モータＥ２５を−方向に駆動し、センサＣＳ１から出力される信号がＬｏｗ信号からＨｉ信号に切り換わってから２０ステップ数駆動して停止させる動作である。先に少し触れたように、フロント待機位置を原点位置とした際において駆動モータＥ２５のステップ数が２０−２１のときに、センサＣＳ１の検出信号がＨｉ信号とＬｏｗ信号との間で切り換るため、この動作２を行うことで、フロントスクリーン機構Ｅ１を確実に原点位置に復帰させることができる。
【０２１７】
動作３は、センサＣＳ３から出力される検出信号がＨｉ信号のときに実行される動作である。詳細には、駆動モータＦ２４を＋方向に１０〜２０ステップ数程度駆動させる動作である。これにより、センサＣＳ３から出力される検出信号を確実にＨｉ信号からＬｏｗ信号に切り換えることができる。
【０２１８】
動作４は、センサＣＳ３から出力される検出信号がＬｏｗ信号のときに実行される動作である。詳細には、動作４は、駆動モータＦ２４を−方向に駆動し、センサＣＳ３から出力される信号がＬｏｗ信号からＨｉ信号に切り換わってから１ステップ数駆動して停止させる動作である。先に少し触れたように、リール待機位置を原点位置とした際において駆動モータＦ２４のステップ数が１−２のときに、センサＣＳ３の検出信号がＨｉ信号とＬｏｗ信号との間で切り換るため、この動作４を行うことで、リールスクリーン機構Ｆ１を確実に原点位置に復帰させることができる。
【０２１９】
図７２に示すように、センサ機構ＣＳは、３つのセンサＣＳ１〜ＣＳ３を有しているため、これらセンサＣＳ１〜ＣＳ３の検出状態の組み合わせは全部で８種類ある。ここで、フロントスクリーン機構Ｅ１が同時にフロント待機位置及びフロント露出位置に配置されることはないため、この８種類のセンサ状態うち、センサＣＳ１及びセンサＣＳ２が共にＨｉ信号を出力している２種類のセンサ状態（状態１及び状態２）は、センサＣＳ１及びセンサＣＳ２の故障等の異常が発生していることになる。従って、主制御基板ＭＳは、センサＣＳ１及びセンサＣＳ２が共にＨｉ信号を出力している場合には、異常が発生していると判断し、スピーカやモニター等により音声や映像で異常報知する。
【０２２０】
主制御基板ＭＳのメモリには、センサ機構ＣＳの８種類のセンサ状態うち、上記２種類のセンサ状態を除く６種類のセンサ状態（状態３〜８）に応じた、フロントスクリーン機構Ｅ１及びリールスクリーン機構Ｆ１についての６種類の駆動手順が記憶されている。この６種類の駆動手順は、スクリーン機構同士が極力干渉しないように決められている。以下、６種類のセンサ状態それぞれに係る駆動手順について説明する。
【０２２１】
センサＣＳ１及びセンサＣＳ３がＨｉ信号を出力し、センサＣＳ２がＬｏｗ信号を出力するセンサ状態（状態３）のときは、フロントスクリーン機構Ｅ１及びリールスクリーン機構Ｆ１は共に、他方のスクリーン機構の動作範囲外に配置されている。従って、状態３に係る駆動手順では、主制御基板ＭＳは、まず、動作１及び動作２を続けて行うことで、フロントスクリーン機構Ｅ１を原点位置に復帰させる。その後、動作３及び動作４を続けて行うことで、リールスクリーン機構Ｆ１を原点位置に復帰させる。
【０２２２】
センサＣＳ１がＨｉ信号を出力し、センサＣＳ２及びセンサＣＳ３がＬｏｗ信号を出力するセンサ状態（状態４）のときは、フロントスクリーン機構Ｅ１はリールスクリーン機構Ｆ１の動作範囲外に配置されており、リールスクリーン機構は、リール露出位置、又はリール露出位置とリール待機位置との間の中間位置に配置されている。ここで、リールスクリーン機構Ｆ１の動作範囲は、フロントスクリーン機構Ｅ１の動作範囲外となるとリール待機位置側の範囲（非重複範囲）と、フロントスクリーン機構Ｅ１の動作範囲内となるとリール露出位置側の範囲（重複範囲）との２つの範囲に分けられる。この重複範囲と非重複範囲との境界は、リール露出位置とリール待機位置との間に存在する。このため、リールスクリーン機構Ｆ１が中間位置に配置されている際には、リールスクリーン機構Ｆ１がフロントスクリーン機構Ｅ１の動作範囲内となる重複範囲内に配置されている可能性がある。従って、この状態４に係る駆動手順では、主制御基板ＭＳは、まず、動作４を行うことで、リールスクリーン機構Ｆ１を原点位置に復帰させる。その後、動作１及び動作２を続けて行うことで、フロントスクリーン機構Ｅ１を原点位置に復帰させる。
【０２２３】
センサＣＳ２及びセンサＣＳ３がＨｉ信号を出力し、センサＣＳ１がＬｏｗ信号を出力するセンサ状態（状態５）のときは、フロントスクリーン機構Ｅ１はリールスクリーン機構Ｆ１の動作範囲内に配置されており、且つ、リールスクリーン機構Ｆ１はフロントスクリーン機構Ｅ１の動作範囲外に配置されている。従って、状態５に係る駆動手順では、主制御基板ＭＳは、まず、動作２を行うことで、フロントスクリーン機構Ｅ１を原点位置に復帰させる。その後、動作３及び動作４を続けて行うことで、リールスクリーン機構Ｆ１を原点位置に復帰させる。
【０２２４】
センサＣＳ２がＨｉ信号を出力し、センサＣＳ１及びセンサＣＳ３がＬｏｗ信号を出力するセンサ状態（状態６）のときは、フロントスクリーン機構Ｅ１はフロント露出位置に配置されており、且つ、リールスクリーン機構Ｆ１は中間位置に配置されている。この状態６では、上述の状態４と同様に、リールスクリーン機構Ｆ１が、フロントスクリーン機構Ｅ１の動作範囲内に配置されている可能性がある。従って、状態６に係る駆動手順では、主制御基板ＭＳは、まず、動作４を行うことで、リールスクリーン機構Ｆ１を原点位置に復帰させる。その後、動作２を行うことで、フロントスクリーン機構Ｅ１を原点位置に復帰させる。
【０２２５】
センサＣＳ３がＨｉ信号を出力し、センサＣＳ１及びセンサＣＳ２がＬｏｗ信号を出力するセンサ状態（状態７）のときは、フロントスクリーン機構Ｅ１が中間位置に配置されており、且つ、リールスクリーン機構Ｆ１はフロントスクリーン機構Ｅ１の動作範囲外に配置されている。従って、状態７に係る駆動手順では、主制御基板ＭＳは、まず、動作２を行うことで、フロントスクリーン機構Ｅ１を原点位置に復帰させる。その後、動作３及び動作４を続けて行うことで、リールスクリーン機構Ｆ１を原点位置に復帰させる。
【０２２６】
センサＣＳ１〜３がＬｏｗ信号を出力するセンサ状態（状態８）のときは、フロントスクリーン機構Ｅ１が中間位置に配置され、リールスクリーン機構Ｆ１は中間位置又はリール露出位置に配置されている。ここで、フロントスクリーン機構Ｅ１の動作範囲についても、リールスクリーン機構Ｆ１の動作範囲外となるとフロント待機位置側の範囲（非重複範囲）と、リールスクリーン機構Ｆ１の動作範囲内となるフロント露出位置側の範囲（重複範囲）との２つの範囲に分けられる。この重複範囲と非重複範囲との境界は、フロント露出位置とフロント待機位置との間に存在する。従って、状態８では、フロントスクリーン機構Ｅ１は、リールスクリーン機構Ｆ１の動作範囲内に配置されている可能性がある。このため、フロントスクリーン機構Ｅ１及びリールスクリーン機構Ｆ１それぞれが、互いの動作範囲内に配置されている可能性がある。その結果として、フロントスクリーン機構Ｅ１及びリールスクリーン機構Ｆ１のうち何れか一方のスクリーン機構を駆動させた場合、他方のスクリーン機構が干渉により移動する可能性がある。そのため、復帰動作開始時のセンサＣＳ１〜３の検出結果のみに基づいてフロントスクリーン機構Ｅ１及びリールスクリーン機構Ｆ１を駆動させて復帰動作を行った場合、何れか一方のスクリーン機構を原点位置に復帰させることができない可能性がある。
【０２２７】
そこで、状態８に係る駆動手順では、主制御基板ＭＳは、まず、動作２を行うことで、フロントスクリーン機構Ｅ１を原点位置に復帰させる。その後、主制御基板ＭＳは、センサＣＳ３の検出信号がＨi信号であるかＬｏｗ信号であるかを判断する。そして、センサＣＳ３の検出信号がＬｏｗ信号の場合には、動作４を行うことで、リールスクリーン機構Ｆ１を原点位置に復帰させる。これに対して、センサＣＳ３の検出信号がＨｉ信号の場合には、動作３及び４を続けて行うことで、リールスクリーン機構Ｆ１を原点位置に復帰させる。
【０２２８】
以上のように、センサ機構ＣＳのセンサ状態が状態３〜７のときには、それぞれの状態に応じた駆動手順に従ってフロントスクリーン機構Ｅ１及びリールスクリーン機構Ｆ１を駆動させることで、スクリーン機構同士が干渉することなくそれぞれの原点位置に復帰させることができる。また、センサ機構ＣＳのセンサ状態が状態８のときには、フロントスクリーン機構Ｅ１を原点位置に復帰させた後、センサＣＳ３の検出信号に応じた駆動手順でリールスクリーン機構Ｆ１を原点位置に復帰させるため、フロントスクリーン機構Ｅ１及びリールスクリーン機構Ｆ１それぞれを原点位置に確実に復帰させることができる。その結果として、復帰動作以降の処理においてフロントスクリーン機構Ｅ１及びリールスクリーン機構Ｆ１を適切に駆動させることで、スクリーン機構同士が干渉することを確実に防止することができる。
【０２２９】
変形例として、センサ機構ＣＳのセンサ状態が状態３のときにおいて、主制御基板ＭＳは、動作３及び動作４を続けて行うことで、リールスクリーン機構Ｆ１を原点位置に復帰させた後、動作１及び動作２を続けて行うことで、フロントスクリーン機構Ｅ１を原点位置に復帰させてもよい。
【０２３０】
また、センサ機構ＣＳのセンサ状態が状態８のときにおいて、主制御基板ＭＳは、まず、動作４を行うことで、リールスクリーン機構Ｆ１を原点位置に復帰させる。その後、主制御基板ＭＳは、センサＣＳ１の検出信号がＨi信号であるかＬｏｗ信号であるかを判断する。そして、センサＣＳ１の検出信号がＬｏｗ信号の場合には、動作２を行うことで、フロントスクリーン機構Ｅ１を原点位置に復帰させる。これに対して、センサＣＳ１の検出信号がＨｉ信号の場合には、動作１及び２を続けて行うことで、フロントスクリーン機構Ｅ１を原点位置に復帰させてもよい。
【０２３１】
また、センサＣＳ１〜３は、透過型の光センサに限らず、接触式センサ等の種々のセンサを採用することができる。また、センサ機構ＣＳは、必ずしも３つのセンサＣＳ１〜３を有している必要はなく、フロントスクリーン機構Ｅ１がフロント待機位置に存在するか否かの検出、フロントスクリーン機構Ｅ１がフロント露出位置に存在するか否かの検出、及び、リールスクリーン機構Ｆ１がリール待機位置に存在するか否かの検出を行うことが可能であるならば、１つのセンサで構成されていてもよい。
【０２３２】
（キャビネットＧ）
（キャビネットＧ：メダル補給機構ＭＨ）
図７３Ａに示すように、キャビネットＧの背面壁Ｇ３には、筐体２の内部と外部との雰囲気を導通させる補給用開口Ｇ３１が開口されている。補給用開口Ｇ３１は、背面壁Ｇ３の中央部に配置されている。遊技機１が設置される設置島に自動循環補給装置（図示せず）が敷設される場合、自動循環補給装置の補給路となるメダル補給口Ｐが補給用開口Ｇ３１に挿通された状態で螺子止め固定される。
【０２３３】
図７３Ｂに示すように、補給用開口Ｇ３１に挿通されたメダル補給口Ｐは、ホッパ機構ＨＰの上方まで至る。これにより、自動循環補給装置からのメダルをホッパ機構ＨＰに供給することができる。
【０２３４】
図７３Ｂに示すように、メダル補給口Ｐが挿通される補給用開口Ｇ３１には、筐体２の内部側にメダル補給機構ＭＨが設けられている。メダル補給機構ＭＨは、補給用開口Ｇ３１の開閉を行うものである。即ち、補給用開口Ｇ３１に自動循環補給装置のメダル補給口Ｐを挿通させる場合には、メダル補給機構ＭＨによって補給用開口Ｇ３１が解放状態にされる。また、補給用開口Ｇ３１に自動循環補給装置のメダル補給口Ｐを挿通させない場合には、メダル補給機構ＭＨによって補給用開口Ｇ３１が遮蔽状態とされる。以下、具体的に、メダル補給機構ＭＨについて説明する。
【０２３５】
図７４及び図７５に示すように、メダル補給機構ＭＨは、遮蔽部材ＭＨ１と、ガイド部材ＭＨ２とを有している。遮蔽部材ＭＨ１は、ガイド部材ＭＨ２によって垂直方向へ摺動可能にされ、補給用開口Ｇ３１を遮蔽した遮蔽状態と、補給用開口Ｇ３１が露出された解放状態とを切替えることが出来るようになっている。
【０２３６】
遮蔽部材ＭＨ１は、平板部ＭＨ１１と、突出部ＭＨ１２とを有している。平板部ＭＨ１１は、筐体２のキャビネットＧ内側から補給用開口Ｇ３１を遮蔽可能な長方形の平板状に形成されている。平板部ＭＨ１１は、上部に螺子孔ＭＨ１３を有し、下部に螺子孔ＭＨ１４を有している。これにより、遮蔽部材ＭＨ１は、補給用開口Ｇ３１を遮蔽した遮蔽状態で背面壁Ｇ３に対して螺子止め固定が可能にされている。突出部ＭＨ１２は、平板部ＭＨ１１の上縁中央からキャビネットＧ内側方向へ垂直に突出するように形成されている。
【０２３７】
ガイド部材ＭＨ２は、補給用開口Ｇ３１を遮蔽した遮蔽状態の遮蔽部材ＭＨ１の縁部に沿って矩形環状に形成されている。ガイド部材ＭＨ２は、遮蔽部材ＭＨ１を挟持するように背面壁Ｇ３に螺子止め固定される。具体的に、ガイド部材ＭＨ２は、上縁部ＭＨ２１と、２つの側縁部ＭＨ２２・ＭＨ２２と、下縁部ＭＨ２３とを有している。
【０２３８】
上縁部ＭＨ２１は、遮蔽状態での遮蔽部材ＭＨ１の上縁外側に沿って形成される。即ち、上縁部ＭＨ２１は、遮蔽状態での遮蔽部材ＭＨ１の上方に隣接し、遮蔽部材ＭＨ１の垂直上方向への移動を規制するようになっている。２つの側縁部ＭＨ２２・ＭＨ２２は、上縁部ＭＨ２１の両端を夫々の一方端とし、当該一方端から垂直下方向へ遮蔽状態での遮蔽部材ＭＨ１の側縁に沿って形成されている。即ち、２つの側縁部ＭＨ２２・ＭＨ２２は、遮蔽状態での遮蔽部材ＭＨ１の側方に隣接し、遮蔽部材ＭＨ１の当該側方への移動を規制するようになっている。
【０２３９】
下縁部２３は、２つの側縁部ＭＨ２２・ＭＨ２２の他方端同士を接続するように形成されている。下縁部２３には、保持部ＭＨ２３ａと、ガイド溝ＭＨ２３ｂと、螺子孔ＭＨ２３ｃとが形成されている。保持部ＭＨ２３ａは、下縁部２３の上面中央に形成された切欠であり、遮蔽部材ＭＨ１の突出部ＭＨ１２の幅よりも大きい幅に形成される。これにより、遮蔽状態の遮蔽部材ＭＨ１を鉛直下方向へ摺動させたときに、遮蔽部材ＭＨ１の突出部ＭＨ１２が、保持部ＭＨ２３ａによって支持される。即ち、遮蔽部材ＭＨ１が、補給用開口Ｇ３１を露出する開放状態で保持されることになる。また、保持部ＭＨ２３ａは、突出部ＭＨ１２の突出長さよりも厚みが薄く形成されている。従って、遮蔽部材ＭＨ１の突出部ＭＨ１２は、保持部ＭＨ２３ａよりも突出しているため、突出部ＭＨ１２を掴み易く、開放状態から遮蔽状態へ容易に移行することが可能となる。
【０２４０】
ガイド溝ＭＨ２３ｂは、背面壁Ｇ３側に形成された遮蔽部材ＭＨ１に係合する溝であり、遮蔽部材ＭＨ１が垂直方向へ摺動される。螺子孔ＭＨ２３ｃは、遮蔽状態であるとき螺子孔ＭＨ１４と螺子止め固定可能とされる位置であり、開放状態であるとき螺子孔ＭＨ１３と螺子止め固定可能とされる位置に形成されている。
【０２４１】
図７６に示すように、補給用開口Ｇ３１には、メダル補給口Ｐが斜めに挿通されるようになっている。このようなメダル補給口Ｐの上方に、スケーラ装置ＳＫが配設されている。スケーラ装置ＳＫは、液晶表示パネル面に配置されるタッチセンサパネルに入力された位置情報を処理するスケーラ基板ＳＫ１と、スケーラ基板ＳＫ１が設置されるスケーラ基板ケースＳＫ２とを有している。スケーラ基板ケースＳＫ２は、斜め方向に傾斜するメダル補給口Ｐを囲うように形成された凹状板を底面とする支持部材である。スケーラ基板ＳＫ１は、このようなスケーラ基板ケースＳＫ２上に、傾斜して設けられている。
【０２４２】
（ホッパ機構ＨＰ）
図７７に示すように、キャビネットＧの下部空間の下側には、ホッパ機構ＨＰと、オーバーフローバケットＯＦが配設されている。
【０２４３】
ホッパ機構ＨＰは、キャビネットＧにおける底面板Ｇ９１の中央部に取り付けられている。このホッパ機構ＨＰは、多量のメダルを収容可能で、それらを１枚ずつ排出可能な構造を有する。ホッパ機構ＨＰは、貯留されたメダルが所定の枚数を超えたとき、又は、精算ボタンが押圧されてメダルの精算を行うときに、メダルを払い出す。ホッパ機構ＨＰによって払い出されたメダルは、メダル払出口ＤＤ１４から排出される。
【０２４４】
オーバーフローバケットＯＦは、ホッパ機構ＨＰから溢れ出たメダルを収納する。このオーバーフローバケットＯＦは、キャビネットＧ内部を正面から見て、ホッパ機構ＨＰの右側に配置されている。オーバーフローバケットＯＦは、キャビネットＧの底面板Ｇ９１に係合されており、底面板Ｇ９１に対して着脱可能に構成されている。
【０２４５】
（ホッパ機構ＨＰの構成）
ホッパ機構ＨＰは、図７８に示すように、メダルを多数貯留するバケットＨＰ１と、バケットＨＰ１が取り付けられるベース部材ＨＰ２と、ベース部材ＨＰ２の内部に収容される払出ユニット（図示せず）を備えている。
【０２４６】
払出ユニットは、メダルを一定姿勢にして１枚ずつ払出す機能を有しており、バケットＨＰ１に集積されたメダルを回転しながら順次払出すコインディスクを有している。ベース部材ＨＰ２は、メダル払出口ＤＤ１４を有している。バケットＨＰ１に集積されたメダル払出ユニットのコインディスクが駆動することにより、１枚ずつメダル払出口ＤＤ１４から排出される。
【０２４７】
バケットＨＰ１は、図７８に示すように、水平面に対して略垂直な壁面から形成された上端開口部ＨＰ１１と、上端開口部ＨＰ１１に連続して所定の角度で傾斜する傾斜側壁部ＨＰ１２とを有している。上端開口部ＨＰ１１は、平面形状が略矩形に形成されている。上端開口部ＨＰ１１の手前の角部には、バケットＨＰ１から溢れるメダルを、バケットＨＰ１の外部へ導く排出ガイドＨＰ１３が設けられている。この排出ガイドＨＰ１３は、バケットＨＰ１の内部側から外部側に向かうに連れて低くなるように傾斜した傾斜面を有している。排出ガイドＨＰ１３によって導かれたメダルは、オーバーフローバケットＯＦに貯留される。
【０２４８】
セレクタＤＤ１５に導かれて排出ガイドＨＰ１３に衝突したメダルは、弾んでバケットＨＰ１の傾斜側壁部ＨＰ１２へ向う。このとき、バケットＨＰ１に貯留されるメダルの量が一定量に達していない場合は、メダルが傾斜側壁部ＨＰ１２に沿ってバケットＨＰ１内を移動する。これにより、メダルをバケットＨＰ１に均一に収容することができる。
【０２４９】
一方、バケットＨＰ１に貯留されるメダルの量が一定量に達している場合は、メダルが排出ガイドＨＰ１３の傾斜面に衝突して弾み、バケットＨＰ１内に貯留されたメダルに衝突して排出ガイドＨＰ１３の傾斜面に戻る。そして、メダルは、自重により排出ガイドＨＰ１３の傾斜面上を移動してオーバーフローバケットＯＦ側に向かう。
【０２５０】
また、ホッパ機構ＨＰの両側面には、ホッパ機構ＨＰの底面から連続して張り出されたガイド片ＨＰ２１・ＨＰ２２が設けられている。また、ホッパ機構ＨＰの背面には、後述するキャビネットＧのコネクタＧ８１に接続されるコネクタＨＰ４１が設けられている。
【０２５１】
（オーバーフローバケットＯＦの構成）
オーバーフローバケットＯＦは、図７８に示すように、収納庫本体ＯＦ１と、メダルガイドＯＦ２とを備えている。
【０２５２】
収納庫本体ＯＦ１は、上面が開口された長方形の箱状に形成されている。メダルガイドＯＦ２は、収納庫本体ＯＦ１に着脱可能に構成されている。このメダルガイドＯＦ２は、排出ガイドＨＰ１３からオーバーフローバケットＯＦに導かれたメダルを、収納庫本体ＯＦ１に案内し、メダルが収納庫本体ＯＦ１の片方の側面側に偏ることを防止する。
【０２５３】
（コインガードＨＰ３０）
本遊技機では、図７９に示すように、ホッパ機構ＨＰのバケットＨＰ１の上方には、外部から受け入れたメダルを排出するメダル補給機構ＭＨ（補給口に相当）が設けられている。
【０２５４】
ここで、メダル補給機構ＭＨとホッパ機構ＨＰ（ホッパー装置に相当）のバケットＨＰ１との間には、高さ方向に所定の距離がある。メダル補給機構ＭＨからメダルが、ホッパ機構ＨＰに補給される場合、高さ方向に所定の距離があるため、メダルが落下して、バケットＨＰ１に貯まったメダルに衝突して、その勢いにより外側に弾き出されてしまう場合がある。この場合、多くは、ホッパ機構ＨＰの上端開口部ＨＰ１１に衝突してバケットＨＰ１内に留まる。しかし、稀に、メダルが上端開口部ＨＰ１１を飛び越えて、バケットＨＰ１の外に飛び出してしまう場合がある。
【０２５５】
メダルが、バケットＨＰ１の外に飛び出してしまった場合、メダルが底面板Ｇ９１の電源装置ＤＥがある側や、オーバーフローバケットＯＦがある側に落下した場合には、下ドア機構ＤＤを開けて、回収すればよい。しかし、メダルが、ホッパ機構ＨＰとキャビネットＧの背面壁Ｇ３と間に落下した場合は、ホッパ機構ＨＰを取り外す必要がはり手間がかかる。
更に、ホッパ機構ＨＰとキャビネットＧの背面壁Ｇ３と間には、コネクタにより電気的に接続されているため、金属製のメダルがコネクタの金属部分等に触れた場合には、故障の原因になってしまう。
【０２５６】
そこで、図７９及び図８０に示すように、メダル補給機構ＭＨとホッパ機構ＨＰのバケットＨＰ１との間には、キャビネットＧの背面壁Ｇ３（筐体の背面に相当）とホッパ機構ＨＰのバケットＨＰ１との間の隙間ＨＰＧ（図８０参照）を埋めるように、キャビネットＧの背面壁Ｇ３からバケットＨＰ１の縁に架けてコインガードＨＰ３０（メダルこぼれ防止部材に相当）が設けられている。
【０２５７】
コインガードＨＰ３０は、図７８及び図８１に示すように、上端開口部ＨＰ１１の奥側の角部に設けられており、上面視Ｌ字形状をしている。Ｌ字形状をしたコインガードＨＰ３０は、キャビネットＧの背面壁Ｇ３に対向する第１ガード部ＨＰ３０１及びオーバーフローバケットＯＦに対向する第２ガード部ＨＰ３０２から形成されている。このように、第１ガード部ＨＰ３０１は、キャビネットＧの背面壁Ｇ３とホッパ機構ＨＰのバケットＨＰ１との間の隙間ＨＰＧにメダルが落下するのを防いでおり、第２ガード部ＨＰ３０２は、オーバーフローバケットＯＦ（補助収納庫に相当）側にメダルが落下するのを防いでいる。
【０２５８】
また、図８０及び図８１に示すように、コインガードＨＰ３０の第１ガード部ＨＰ３０１及び第２ガード部ＨＰ３０２は、キャビネットＧの背面壁Ｇ３側から、バケットＨＰ１側に向かって落ち込むように傾斜した傾斜面ＨＰ３０１ａを有している。また、図８１に示すように、コインガードＨＰ３０の正面には、キャビネットＧの背面壁Ｇ３に螺合される２つの螺子孔ＨＰ３０１ｃ・ＨＰ３０１ｄが形成されている。
【０２５９】
上記構成によれば、キャビネットＧの背面壁Ｇ３とホッパ機構ＨＰのバケットＨＰ１との間の隙間ＨＰＧを埋めるようにコインガードＨＰ３０が設けられているため、メダル補給機構ＭＨから受け入れたメダルが、バケットＨＰ１から溢れそうになったとしても、キャビネットＧの背面壁Ｇ３とホッパ機構ＨＰのバケットＨＰ１との間の隙間ＨＰＧに入り込むことを防止することができる。これにより、溢れたメダルがキャビネットＧの背面壁Ｇ３とホッパ機構ＨＰのバケットＨＰ１との間の隙間ＨＰＧに溜って、コネクタや電子機器や可動部材に干渉する不具合を防止することができる。
【０２６０】
また、コインガードＨＰ３０をＬ字形状にすることにより、オーバーフローバケットＯＦとバケットＨＰ１との間にも第２ガード部ＨＰ３０２を配置することができる。これにより、メダルがオーバーフローバケットＯＦとホッパ機構ＨＰとの間に溢れ落ちることを防止することができる。
【０２６１】
また、コインガードＨＰ３０は、傾斜面ＨＰ３０１ａ・ＨＰ３０１ｂを有している。これにより、コインガードＨＰ３０にメダルが乗った場合であっても、バケットＨＰ１側に傾斜しているため、メダルが自重によりバケットＨＰ１側に滑り落ち、メダルをホッパ機構ＨＰに正常に貯留することができる。
【０２６２】
（ホッパガイド機構ＨＧ）
ホッパガイド機構ＨＧを構成する基板ＨＧ１は、図８２及び図８３に示すように、キャビネットＧの底面板Ｇ９１の中心部に、ねじで位置決めされている。図８４に示すように、基板ＨＧ１は、中央が開口ＨＧ１１の枠体で、基板ＨＧ１の両側部は垂直方向に折れて形成されたガイドレールＨＧ１２・ＨＧ１３が形成されている。また、図８３に示すように、基板ＨＧ１の手前側には、ホッパ機構ＨＰの底部に設けられた係止部材（図示せず）に係止するロック部材ＨＧ１４がねじで固定され、基板ＨＧ１の奥には、キャビネットＧ側のコネクタＧ８１（筐体側コネクタに相当）が配置されている。
【０２６３】
なお、ガイドレールＨＧ１２・ＨＧ１３には、ホッパ機構ＨＰのガイド片ＨＰ２１・ＨＰ２２が案内されることにより、ホッパ機構ＨＰの背面に設けられたコネクタＨＰ４１（図８５参照）が、コネクタＧ８１（ホッパー側コネクタに相当）に接続される。
【０２６４】
ガイドレールＨＧ１２・ＨＧ１３は、図８４に示すように、下部位ＨＧ１２３・ＨＧ１３３、側面ＨＧ１２２・ＨＧ１３２、上部位ＨＧ１２１・ＨＧ１３１によりコの字状に形成されている。また、ガイドレールＨＧ１２・ＨＧ１３の上部位ＨＧ１２１・ＨＧ１３１の上方には垂直方向に突出した突出部ＨＧ１２４・ＨＧ１３４が形成されている。なお、突出部ＨＧ１２４・ＨＧ１３４、上部位ＨＧ１２１・ＨＧ１３１、側面ＨＧ１２２・ＨＧ１３２、下部位ＨＧ１２３・ＨＧ１３３、及び、基板ＨＧ１は、一枚の板を折り曲げて一体的に形成されている。
【０２６５】
上部位ＨＧ１２１・ＨＧ１３１は、図８４に示すように、手前側の部分がテーパー形状に形成されている。
【０２６６】
突出部ＨＧ１２４・ＨＧ１３４は、上部位ＨＧ１２１・ＨＧ１３１において、キャビネットＧ側のコネクタＧ８１より手前に配置されるように形成されている。また、突出部ＨＧ１２４・ＨＧ１３４は、上部位ＨＧ１２１・ＨＧ１３１よりも奥行方向の長さが短く、上部位ＨＧ１２１・ＨＧ１３１の奥側に配置されている。
【０２６７】
また、図８４に示すように、基板ＨＧ１の裏面には、底面板Ｇ９１に当接し、コネクタＧ８１の台座となる、台座板ＨＧ１５１・ＨＧ１５２・ＨＧ１５３が形成されている。なお、台座板ＨＧ１５１・ＨＧ１５２・ＨＧ１５３も、基板ＨＧ１と一体的に折り曲げられて形成されている。
【０２６８】
また、図８４に示すように、基板ＨＧ１の手前側（ガイドレールＨＧ１２・ＨＧ１３の手前側）には、平面状のスペースＨＧ１７が設けられている。
【０２６９】
図８６及び図８７に示すように、ホッパ機構ＨＰの側面に設けられた一対のガイド片ＨＰ２１・ＨＰ２２が、それぞれガイドレールＨＧ１２・ＨＧ１３の下部位ＨＧ１２３・ＨＧ１３３と、上部位ＨＧ１２１・ＨＧ１３１との間に挟み込まれて係合した状態で、キャビネットＧの奥側に摺動されることにより、ホッパ機構ＨＰの背面に設けられたコネクタＨＰ４１が、コネクタＧ８１に接続される。
【０２７０】
一方、図８８に示すように、例えば、ホッパ機構ＨＰの側面に設けられた一対のガイド片ＨＰ２１・ＨＰ２２が、ガイドレールＨＧ１２・ＨＧ１３の下部位ＨＧ１２３・ＨＧ１３３と、上部位ＨＧ１２１・ＨＧ１３１との間に挟み込まれず、上部位ＨＧ１２１・ＨＧ１３１の上方に間違って置かれ、このままホッパ機構ＨＰを、キャビネットＧの奥側に摺動させると、ガイド片ＨＰ２１・ＨＰ２２が、突出部ＨＧ１２４・ＨＧ１３４に当接し、ホッパ機構ＨＰが、突出部ＨＧ１２４・ＨＧ１３４よりも奥側に摺動するのを規制する。また、ガイド片ＨＰ２１・ＨＰ２２が、突出部ＨＧ１２４・ＨＧ１３４に当接した状態のホッパ機構ＨＰは、図８８に示すように、下ドア機構ＤＤを閉じたときの下ドア機構ＤＤの裏面（図８８の２点鎖線ＤＤＢ参照）が配置されるポジションにはみ出し、仮に下ドア機構ＤＤが閉じられた場合、ホッパ機構ＨＰに当接する。
【０２７１】
上記構成によれば、キャビネットＧ側のコネクタＧ８１にホッパ機構ＨＰのコネクタＨＰ４１を電気的に接続するために、ホッパ機構ＨＰをホッパガイド機構ＨＧにスライド設置する際に、ホッパ機構ＨＰの両側面に設けられた一対のガイド片ＨＰ２１・ＨＰ２２が、ガイドレールＨＧ１２・ＨＧ１３に係合されず、誤ってガイドレールＨＧ１２・ＨＧ１３の上方にズレて摺動された場合に、ガイド片ＨＰ２１・ＨＰ２２が、ガイドレールＨＧ１２・ＨＧ１３の上方、且つ、コネクタＧ８１より前方側に設けられた突出部ＨＧ１２４・ＨＧ１３４に当接することにより、ホッパ機構ＨＰが誤った位置で摺動され、コネクタＧ８１にホッパ機構ＨＰが接触するのを防止することができる。即ち、ホッパ機構ＨＰをキャビネットＧの内部に正常にスライド設置することが可能となる。
これにより、ホッパ機構ＨＰが誤った位置でスライド設置され、ホッパ機構ＨＰのコネクタＨＰ４１がコネクタＧ８１に間違った位置で接触し、コネクタＧ８１及びコネクタＨＰ４１が破損するのを防止することができる。
【０２７２】
また、ホッパ機構ＨＰをキャビネットＧの底部にスライド設置する際に、ホッパ機構ＨＰの両側面に設けられた一対のガイド片ＨＰ２１・ＨＰ２２が、ガイドレールＨＧ１２・ＨＧ１３の上部位ＨＧ１２１・ＨＧ１３１と下部位ＨＧ１２３・ＨＧ１３３との間に、挟まれず、誤ってガイドレールＨＧ１２・ＨＧ１３の上部位ＨＧ１２１・ＨＧ１３１の上方にズレて摺動された場合に、ガイド片ＨＰ２１・ＨＰ２２が、ガイドレールＨＧ１２・ＨＧ１３の上部位ＨＧ１２１・ＨＧ１３１の上方に設けられた突出部ＨＧ１２４・ＨＧ１３４に接触することにより、ホッパ機構ＨＰが誤った位置でスライド設置されるのを防止することができる。即ち、ホッパ機構ＨＰをキャビネットＧの内部に正常にスライド設置することが可能となる。
【０２７３】
また、ガイドレールＨＧ１２・ＨＧ１３の上部位ＨＧ１２１・ＨＧ１３１の一部がテーパー形状になっているため、ホッパ機構ＨＰをガイドレールＨＧ１２・ＨＧ１３に案内させる際に、ガイドレールＨＧ１２・ＨＧ１３の上部位ＨＧ１２１・ＨＧ１３１が、ホッパ機構ＨＰに接触するのを防止することができる。
【０２７４】
また、一対のガイドレールＨＧ１２・ＨＧ１３の下部位ＨＧ１２３・ＨＧ１３３、上部位ＨＧ１２１・ＨＧ１３１、及び、突出部ＨＧ１２４・ＨＧ１３４を一枚の板により作出することにより、製造工程の簡易化を図ることができる。
【０２７５】
また、突出部ＨＧ１２４・ＨＧ１３４は、キャビネットＧの奥側にあるため、ホッパ機構ＨＰを、ガイドレールＨＧ１２・ＨＧ１３に案内させる準備段階として、ガイドレールＨＧ１２・ＨＧ１３周辺に仮置きする際に邪魔にならないようにすることができる。
【０２７６】
また、基板ＨＧ１の手前（ガイドレールＨＧ１２・ＨＧ１３の手前）に設けられた平面状のスペースＨＧ１７に、ホッパ機構ＨＰのガイド片ＨＰ２１・ＨＰ２２をガイドレールＨＧ１２・ＨＧ１３に案内させる前の準備段階として、ホッパ機構ＨＰを仮置きすることができる。これにより、手際よく、ホッパ機構ＨＰをホッパガイド機構ＨＧにスライド設置することができる。
【０２７７】
（板金ＢＫ）
図８９及び図９０に示すように、キャビネットＧ（筐体に相当）の上部空間（筐体上部に相当）には、表示ユニットＡ（演出装置に相当）が設けられている。また、キャビネットＧの下部空間（筐体下部に相当）の底部には、電源装置ＤＥ及びホッパ機構ＨＰ（ホッパー装置に相当）が設けらており、電源装置ＤＥ及びホッパ機構ＨＰの背面側（キャビネットＧの背面壁Ｇ３側）に、サブ制御装置ＳＳ（制御手段に相当）が設けられている。即ち、ホッパ機構ＨＰは、サブ制御装置ＳＳよりも手前側に配置されている。ホッパ機構ＨＰとサブ制御装置ＳＳとの間には、板金ＢＫが設置されている。また、サブ制御装置ＳＳと中間支持板Ｇ１との間には、サブ中継装置ＳＮが設けられている。ホッパ機構ＨＰのバケットＨＰ１の上方には、外部から金属製のメダルが補給されるメダル補給機構ＭＨ（補給口に相当）が設けられており、メダル補給機構ＭＨから、ホッパ機構ＨＰにメダルが投下される。
【０２７８】
板金ＢＫは、図９０に示すように、ホッパ機構ＨＰのバケットＨＰ１の左手奥側の角部上方に配置されている。また、板金ＢＫは、サブ制御装置ＳＳに対向する第１対向面ＢＫ１と、電源装置ＤＥに対向する第２対向面ＢＫ２と、サブ制御装置ＳＳの底面とバケットＨＰ１の上面の間に配置された第３対向面ＢＫ３と、第３対向面ＢＫ３から突出し、板金ＢＫをキャビネットＧの背面壁Ｇ３にねじにより固定する支持面ＢＫ４と、メダル補給機構ＭＨに対応する第４対向面ＢＫ７と、板金ＢＫをキャビネットＧの背面壁Ｇ３にねじにより固定する支持面ＢＫ７と、を有している。具体的には、図９１及び図９２に示すように、板金ＢＫは一枚の板が折り曲げられて形成されており、サブ制御装置ＳＳの底面に当接する四角形状の第３対向面ＢＫ３、第３対向面ＢＫ３の背面壁Ｇ３側に下方向に９０°折り曲げられた四角形状の支持面ＢＫ４、第３対向面ＢＫ３の電源装置ＤＥ側に下方向に９０°折り曲げられた四角形状の支持面ＢＫ５、第３対向面ＢＫ３の手前側に上方向に９０°折り曲げられた四角形状の第１対向面ＢＫ１（正面視右上には四角形状の切欠きＢＫ１２が形成されている）、第１対向面ＢＫ１の電源装置ＤＥに手前方向に９０°折り曲げられた四角形状の第２対向面ＢＫ２、第１対向面ＢＫ１のメダル補給機構ＭＨに背面壁Ｇ３側に９０°折り曲げられた四角形状の第４対向面ＢＫ６、第４対向面ＢＫ６の背面壁Ｇ３にメダル補給機構ＭＨの方向に９０°折り曲げられた四角形状の支持面ＢＫ７を形成している。板金ＢＫは、支持面ＢＫ４に形成された螺子穴ＢＫ４１、及び、支持面ＢＫ７に形成された螺子穴ＢＫ７１を介して、対応する背面壁Ｇ３に螺合されている。これにより、サブ制御装置ＳＳは、キャビネットＧの背面壁Ｇ３と板金ＢＫの第１対向面ＢＫ１とによって挟み込まれた配置をしていることになる。なお、板金ＢＫは、金属製で、同様に金属製の背面壁Ｇ３に、支持面ＢＫ４を介して固定されていてもよい。
【０２７９】
本実施形態では、板金ＢＫは、サブ制御装置ＳＳとは当接していない。即ち、支持面ＢＫ４及び第１対向面ＢＫ１は、サブ制御装置ＳＳとは当接していない。なお、板金ＢＫは、サブ制御装置ＳＳの底部に直接取り付けられていてもよい。また、中間支持板Ｇ１の下面に着脱自在に取付けられた薄板状のサブ中継装置ＳＮと、キャビネットＧの背面壁Ｇ３に着脱自在に取付けられた薄板状のサブ制御装置ＳＳとは、側面視でＬ字を逆さまにしたような状態で配置されている。
【０２８０】
上記構成によれば、サブ制御装置ＳＳとホッパ機構ＨＰとの間に板金ＢＫを設けているため、例え、メダルがホッパ機構ＨＰに投下されサブ制御装置ＳＳ側へ飛び出したとしても、板金ＢＫによってメダルがサブ制御装置ＳＳに物理的に接触することを防止することができる。また、サブ制御装置ＳＳとホッパ機構ＨＰとの間に板金ＢＫを設けているため、ホッパ機構ＨＰにおける金属製のメダル同士の接触による輻射（電磁場）の影響も板金ＢＫによって防止することができる。
また、サブ制御装置ＳＳは、キャビネットＧの下部空間の奥側に設けられ、背面壁Ｇ３と板金ＢＫによって挟みこまれているため、サブ制御装置ＳＳは、板金ＢＫを外さなければ、キャビネットＧから外すことができない。これにより、サブ制御装置ＳＳに対するセキュリティ性を高めている。
【０２８１】
また、メダルが、メダル補給機構ＭＨからホッパ機構ＨＰに投下されるため、メダルがホッパ機構ＨＰにおいて弾かれる機会が多くなり、弾かれる距離も大きくなるが、サブ制御装置ＳＳとホッパ機構ＨＰとの間に板金ＢＫを設けているため、例え、メダルがホッパ機構ＨＰに投下されてサブ制御装置ＳＳ側へ大きく飛び出したとしても、板金ＢＫによってメダルがサブ制御装置ＳＳに物理的に接触することを防止することができる。また、サブ制御装置ＳＳとホッパ機構ＨＰとの間に板金ＢＫを設けているため、メダルの投下による金属製のメダル同士の接触による輻射（電磁場）の影響も板金ＢＫによって防止することができる。
【０２８２】
（下ドア機構ＤＤ）
（下部扉ロック機構、及び、上部扉ロック機構）
図９３に示すように、キャビネットＧ及び下ドア機構ＤＤ（下部扉に相当）の右端部に下部扉ロック機構Ｇ５１を有している。また、キャビネットＧ及び上ドア機構ＤＵ（上部扉に相当）の右端部に上部扉ロック機構Ｇ５２を有している。下部扉ロック機構Ｇ５１は、キャビネットＧの下部空間（筐体下部に相当）に対する閉鎖状態を維持するように施錠する役割を果たす。また、上部扉ロック機構Ｇ５２は、キャビネットＧの上部空間（筐体上部に相当）に対する閉鎖状態を維持するように施錠する役割を果たす。
【０２８３】
（下部扉ロック機構Ｇ５１）
下部扉ロック機構Ｇ５１は、図９４に示すように、下ドア機構ＤＤの裏面壁における右端部に固定された被係止部Ｇ５１１と、キャビネットＧの右端部に固定された係止部Ｇ５１２と、シリンダー錠Ｇ５１３とを有している。
【０２８４】
被係止部Ｇ５１１は、凹形状をした枠Ｇ５１１ｃの両端に亘って形成された棒状の、２つの被係止棒Ｇ５１１ａ・Ｇ５１１ｂを上部及び下部に有している。
【０２８５】
係止部Ｇ５１２は、長尺の筒Ｇ５１２２と、筒Ｇ５１２２の中を上下方向に摺動自在に配置された長尺の係止板Ｇ５１２１を有している。
【０２８６】
係止板Ｇ５１２１は、被係止棒Ｇ５１１ａ・Ｇ５１１ｂに係止する爪形状をした爪部Ｇ５１２１ａ・Ｇ５１２１ｂを有している。爪部Ｇ５１２１ａ・Ｇ５１２１ｂは、係止板Ｇ５１２１の摺動に伴い、筒Ｇ５１２２の中を上下方向に摺動することにより、筒Ｇ５１２２に設けられた開口部Ｇ５１２２ａ・Ｇ５１２２ｂに挿入された被係止棒Ｇ５１１ａ・Ｇ５１１ｂに対して係止したり、係止が解除されたりする。また、係止板Ｇ５１２１は、上方向に付勢されるバネを有している。
【０２８７】
爪部Ｇ５１２１ａ・Ｇ５１２１ｂは、係止板Ｇ５１２１が下ドア機構ＤＤをロックする高さ位置であるときに被係止棒Ｇ５１１ａ・Ｇ５１１ｂに対して係止する一方、係止板Ｇ５１２１が下ドア機構ＤＤをロックする高さ位置からロックを解除する高さ位置に下降されたときに、被係止棒Ｇ５１１ａ・Ｇ５１１ｂに対する係止が解除されるように設定されている。また、爪部Ｇ５１２１ａ・Ｇ５１２１ｂは、先端面が斜め下方向に傾斜されており、被係止棒Ｇ５１１ａ・Ｇ５１１ｂとの当接により押下げられるようになっている。
【０２８８】
係止部Ｇ５１２は、図示しないが、中部において引下げ部を有している。引下げ部は、シリンダー錠Ｇ５１３に鍵が挿入され、回転されるのに伴い、係止板Ｇ５１２１を下方に引き下げ可能にしている。これにより、係止板Ｇ５１２１の引き下げに従って下降することによって、爪部Ｇ５１２１ａ・Ｇ５１２１ｂと被係止棒Ｇ５１１ａ・Ｇ５１１ｂとの係止が解除可能にされている。
【０２８９】
（上部扉ロック機構Ｇ５２）
上部扉ロック機構Ｇ５２は、図９４に示すように、上ドア機構ＤＵの裏面壁における右端部に固定された被係止部Ｇ５２１と、キャビネットＧの右端部に固定された係止部Ｇ５２２とを有している。
【０２９０】
被係止部Ｇ５２１は、凹形状をした枠Ｇ５２１ｃの両端に亘って形成された棒状の、２つの被係止棒Ｇ５２１ａ・Ｇ５２１ｂを上部及び下部に有している。
【０２９１】
係止部Ｇ５２２は、長尺の筒Ｇ５２２２（施錠筒に相当）と、筒Ｇ５２２２の中を上下方向に摺動自在に配置された長尺の係止板Ｇ５２２１（係止部材に相当）を有している。
【０２９２】
係止板Ｇ５２２１は、被係止棒Ｇ５２１ａ・Ｇ５２１ｂに係止する爪形状をした爪部Ｇ５２２１ａ・Ｇ５２２１ｂ（係止部に相当）を有している。爪部Ｇ５２２１ａ・Ｇ５２２１ｂは、係止板Ｇ５２２１の摺動に伴い、筒Ｇ５２２２の中を上下方向に摺動することにより、筒Ｇ５２２２に設けられた開口部Ｇ５２２２ａ・Ｇ５２２２ｂに挿入された被係止棒Ｇ５２１ａ・Ｇ５２１ｂに対して係止したり、係止が解除されたりする（図９７参照）。
【０２９３】
爪部Ｇ５２２１ａ・Ｇ５２２１ｂは、係止板Ｇ５２２１が上ドア機構ＤＵをロックする高さ位置であるときに被係止棒Ｇ５２１ａ・Ｇ５２１ｂに対して係止する一方、係止板Ｇ５２２１が上ドア機構ＤＵをロックする高さ位置からロックを解除する高さ位置に下降されたときに、被係止棒Ｇ５２１ａ・Ｇ５２１ｂに対する係止が解除されるように設定されている。また、爪部Ｇ５２２１ａ・Ｇ５２２１ｂは、図９６に示すように、先端面が斜め下方向に傾斜されており、被係止棒Ｇ５２１ａ・Ｇ５２１ｂとの当接により押下げられるようになっている。
【０２９４】
係止部Ｇ５２２の筒Ｇ５２２２には、図９５に示すように、上ドア機構ＤＵの下方に開口部Ｇ５２２２ｃが形成されており、係止板Ｇ５２２１に設けられて突起部Ｇ５２２１ｃが、開口部Ｇ５２２２ｃを介してキャビネットＧの内部側に突出している。この突起部Ｇ５２２１ｃを下方に引き下げることにより、係止板Ｇ５２２１が下降し、これに伴い爪部Ｇ５２２１ａ・Ｇ５２２１ｂと被係止棒Ｇ５２１ａ・Ｇ５２１ｂとの係止が解除可能にされている。
【０２９５】
ここで、突起部Ｇ５２２１ｃは、上方にスライドされ、係止板Ｇ５２２１が上ドア機構ＤＵをロックする高さ位置である状態のときに、突起部Ｇ５２２１ｃが下ドア機構ＤＤの上部ＤＤＵ（図９３参照）に当接するように配置される。
【０２９６】
上記構成によれば、下ドア機構ＤＤが閉まった状態では、下ドア機構ＤＤの上部ＤＤＵが突起部Ｇ５２２１ｃに物理的に干渉することにより、係止板Ｇ５２２１が摺動するのを制止し、爪部Ｇ５２２１ａ・Ｇ５２２１ｂと被係止棒Ｇ５２１ａ・Ｇ５２１ｂとの係止を解除できないようにすることができ、上ドア機構ＤＵの開放をできないように施錠することが可能となる。
【０２９７】
一方、下ドア機構ＤＤが開いた状態では、下ドア機構ＤＤの上部ＤＤＵの突起部Ｇ５２２１ｃに対する物理的な干渉が解除されるため、係止板Ｇ５２２１が筒Ｇ５２２２の中を摺動可能となり、爪部Ｇ５２２１ａ・Ｇ５２２１ｂの被係止棒Ｇ５２１ａ・Ｇ５２１ｂに対する係止が解除され、上ドア機構ＤＵのキャビネットＧに対する施錠を解除することができる。
【０２９８】
これにより、上ドア機構ＤＵの施錠を解除するには、先に、下部扉ロック機構Ｇ５１によって下ドア機構ＤＤの施錠を解除する手順を必要とするこができる。即ち、上ドア機構ＤＵを開けるには、下部扉ロック機構Ｇ５１の施錠解除をして、下ドア機構ＤＤを開けた後、上部扉ロック機構Ｇ５２の施錠解除の手順が必要となりキャビネットＧの上部空間に対するセキュリティを高めることができる。また、キャビネットＧの上部空間に対しては、キャビネットＧの下部空間よりもセキュリティを高めることができ、キャビネットＧの下部空間に対しては、キャビネットＧの上部空間に比べて、スムーズにアクセスができる場所にすることができる。
【０２９９】
また、下ドア機構ＤＤの施錠を解除するためには、鍵によってシリンダー錠Ｇ５１３を開錠する必要がある。遊技機１の管理者にとって、鍵は、コンパクトで持ち運びに適しているため、管理し易いという利点がある。
【０３００】
また、係止板Ｇ５２２１の摺動により、爪部Ｇ５２２１ａ・Ｇ５２２１ｂが、被係止棒Ｇ５２１ａ・Ｇ５２１ｂに引っ掛かったり、引っ掛かりが解除されたりする。これにより、係止板Ｇ５２２１の摺動に連動させた、上ドア機構ＤＵのキャビネットＧの上部空間に対する施錠が可能となる。
【０３０１】
また、上部扉ロック機構Ｇ５２は、軸支された端部とは反対側の端部に設けられ、上ドア機構ＤＵが開閉される側に配置されるため、上部扉ロック機構Ｇ５２を開錠するために、下ドア機構ＤＤを大きく開けなくて済む。これにより、上ドア機構ＤＵを開錠するために、不必要にキャビネットＧの下部空間を、外部に晒さずに済み、セキュリティ性を高めることができる。
【０３０２】
なお、図９８に示すように、下ドア機構ＤＤとキャビネットＧとの間に、下ドア機構ＤＤが閉まる方向に所定のトルクがかかるワンウェイヒンジＤＤ５４を採用している。これにより、下ドア機構ＤＤを閉める際にはトルクがかかり、急激な負荷をかけずに静かに下ドア機構ＤＤをキャビネットＧに対して閉めることができる。これにより、下ドア機構ＤＤによって物理的に干渉される突出部Ｂ１３１に対して、急激な負荷をかけることを防止することができる。
【０３０３】
（電源装置ＤＥとスピーカＤＤ２５Ｌとの関係性）
図９９に示すように、下ドア機構ＤＤの下部扉ＤＤ１（扉に相当）の背面側（キャビネットＧ（筐体に相当）の下部空間側）の下部には、スピーカＤＤ２５Ｌ（音響装置に相当）が設けられている。一方、キャビネットＧの下部空間（筐体内部に相当）には、電源装置ＤＥ（電源装置に相当）が設けられている。スピーカＤＤ２５Ｌと電源装置ＤＥとは、下ドア機構ＤＤがキャビネットＧに対して閉まっている状態の時に、対向するように配置されている（図１０１参照）。
【０３０４】
電源装置ＤＥは、キャビネットＧ内部を正面から見て、ホッパ機構ＨＰの左側に配置されている。電源装置ＤＥは、外部から供給された交流電圧の電力を各部で必要な直流電圧の電力に変換して、変換した電力を遊技機１を構成する各機器に供給する役割を果たす。
【０３０５】
電源装置ＤＥの前面側には、図１００に示すように、遊技機１を構成する機器に電力を供給するかしないか（ＯＮ／ＯＦＦ）を切り替える電源スイッチＤＥ１が設けられている。また、電源スイッチＤＥ１の両横には、上下方向に２本のスライドレールＤＥ３が設けられている。そして、スイッチカバーＤＥ２が、スライドレールＤＥ３を、上下方向に摺動自在となっている。これにより、スイッチカバーＤＥ２をスライドレールＤＥ３に沿って下方向に摺動（スライド）させると、図９９に示すように、スイッチカバーＤＥ２が電源スイッチＤＥ１を覆う（スイッチカバーＤＥ２の閉状態）。一方、スイッチカバーＤＥ２をスライドレールＤＥ３に沿って上方向に摺動（スライド）させると、図１００に示すように、電源スイッチＤＥ１が露出する（スイッチカバーＤＥ２の開状態）。このようにスイッチカバーＤＥ２を設けることにより、外部から電源スイッチＤＥ１に直接アクセスできないようにして、セキュリティ性を高めている。
【０３０６】
また、スイッチカバーＤＥ２は、図１０１に示すように、上方から下方に突出するように傾斜した傾斜面ＤＥ２ａを有している。
【０３０７】
一方、スピーカＤＤ２５Ｌの背面側（電源装置ＤＥと対向する面側）には、図１０１に示すように、電源装置ＤＥ側に突出した凸部ＤＤ２５Ｌ１（係合部に相当）が形成されており、凸部ＤＤ２５Ｌ１には、下方から上方に突出するように傾斜した傾斜面ＤＤ２５Ｌａを有している。
【０３０８】
スピーカＤＤ２５Ｌにおいて、凸部ＤＤ２５Ｌ１は、下ドア機構ＤＤがキャビネットＧに対して閉まっている状態の時に、スイッチカバーＤＥ２が閉状態にあるときのスイッチカバーＤＥ２の上方（摺動経路）に割り込み、スイッチカバーＤＥ２が上方向に摺動することを規制する位置に形成されている。
【０３０９】
上記構成によれば、下ドア機構ＤＤを閉じることにより、下部扉ＤＤ１の背面に設けられたスピーカＤＤ２５Ｌの凸部ＤＤ２５Ｌ１が、スイッチカバーＤＥ２の摺動経路（移動経路）に割り込み、スイッチカバーＤＥ２が開状態になることを規制することができる。一方、下ドア機構ＤＤを開けることにより、下部扉ＤＤ１の背面に設けられたスピーカＤＤ２５Ｌの凸部ＤＤ２５Ｌ１のスイッチカバーＤＥ２に対する規制が解除されるため、スイッチカバーＤＥ２を上方に摺動させ、電源スイッチＤＥ１の操作が不可能な閉状態から、電源スイッチＤＥ１の操作が可能な開状態に切り替えることが可能になる。
これにより、下ドア機構ＤＤを開けた状態での電源スイッチＤＥ１の操作性を担保しつつ、電源装置ＤＥに対する不正操作を防止してセキュリティ性を高めることができる。
【０３１０】
また、スイッチカバーＤＥ２を上下スライドさせることにより、開状態と閉状態とに切り替えることができる。これにより、下ドア機構ＤＤを開けた状態での電源スイッチＤＥ１に対するアクセスを容易にすることができる。
【０３１１】
また、スピーカＤＤ２５Ｌに設けた凸部ＤＤ２５Ｌ１が凸形状をしていることにより、電源装置ＤＥ側に突き出た分だけスピーカＤＤ２５Ｌ自体の容積を大きくすることができ、音質の向上を同時に図ることができる。
【０３１２】
また、スイッチカバーＤＥ２が閉状態にあるとき、下ドア機構ＤＤが閉められると、スイッチカバーＤＥ２の傾斜面ＤＥ２ａと、凸部ＤＤ２５Ｌ１の傾斜面ＤＤ２５Ｌａが対向した位置に配置され、スイッチカバーＤＥ２の摺動を規制することができる。
一方、スイッチカバーＤＥ２が開状態にあるときに、下ドア機構ＤＤが閉められると、スイッチカバーＤＥ２が閉状態の位置から上方にズレた位置にあるため、凸部ＤＤ２５Ｌ１の傾斜面ＤＤ２５Ｌａが、スイッチカバーＤＥ２の傾斜面ＤＥ２ａに当接して押し込むため、スイッチカバーＤＥ２が下方に摺動して閉状態の位置に移動することになる。
これにより、例え、スイッチカバーＤＥ２を閉状態にすることを忘れて、開状態のまま、下ドア機構ＤＤを閉めたとしても、凸部ＤＤ２５Ｌ１の傾斜面ＤＤ２５Ｌａが、スイッチカバーＤＥ２の傾斜面ＤＥ２ａに当接して押し込むため、下ドア機構ＤＤを閉める動作に連動して、スイッチカバーＤＥ２を摺動させて閉状態の位置に移動させることが可能となる。
【０３１３】
（最大ＢＥＴボタンＤＤ８）
最大ＢＥＴボタンＤＤ８（ボタンユニットに相当）は、第２台座部ＤＤ２ｂ（台座部に相当）に配置されている。第２台座部ＤＤ２ｂには、図１０２に示すように、開口部ＤＤ２ｂａが形成されている。開口部ＤＤ２ｂａは、図１０５に示すように、所定の深さがあり、開口部ＤＤ２ｂａを囲うように側壁部ＤＤ２ｂｃを有し、側壁部ＤＤ２ｂｃの底部にはフランジＤＤ２ｂｂが形成されている。最大ＢＥＴボタンＤＤ８は、図１０２に示すように、操作部ＤＤ８１及び係止部ＤＤ８２によって構成されている。
【０３１４】
（操作部ＤＤ８１）
操作部ＤＤ８１は、図１０６に示すように、第１部材ＤＤ８１２と、ボタンベースＤＤ８１１と、スプリングＤＤ８１３（弾性部材に相当）と、フォトセンサＤＤ８１４と、第２部材ＤＤ８１５と、ボタンベースカバーＤＤ８１６とを有している。
【０３１５】
第１部材ＤＤ８１２は、ボタン基部ＤＤ８１２３と、ボタンカバー部ＤＤ８１２１と、ボタンシートＤＤ８１２２とを有している。第１部材ＤＤ８１２は、図１０６に示すように、下方（Ａ方向）に向かって押し下げ可能に配置される。
【０３１６】
ボタンカバー部ＤＤ８１２１は、ボタン基部ＤＤ８１２３の上側に配置される。このボタンカバー部ＤＤ８１２１は、ボタン基部ＤＤ８１２３の縁に係合して固定される。ボタンカバー部ＤＤ８１２１は、遊技者が直接押圧される面を構成するカバーとしての機能を有する。
【０３１７】
ボタンシートＤＤ８１２２は、ボタン基部ＤＤ８１２３とボタンカバー部ＤＤ８１２１との間に配置されている。ボタンシートＤＤ８１２２は、平面板状の光透過性の樹脂シートからなり、配光性を有している。
【０３１８】
ボタン基部ＤＤ８１２３は、ボタンベースＤＤ８１１の上側に配置される。このボタン基部ＤＤ８１２３は、下側に円柱形状の２本の摺動部ＤＤ８１２４ａ・ＤＤ８１２４ｂを有している。摺動部ＤＤ８１２４ａ・ＤＤ８１２４ｂの下方側には、円筒形状の螺子穴が形成されている。また、２本の摺動部ＤＤ８１２４ａ・ＤＤ８１２４ｂの間には、スプリングＤＤ８１３を保持するスプリング保持部ＤＤ８１２４ｃが形成されている。スプリング保持部ＤＤ８１２４ｃは、スプリングＤＤ８１３の内径寸法と略同寸法に形成されている。
【０３１９】
ボタン基部ＤＤ８１２３と、ボタンベースＤＤ８１１との間には、第１部材ＤＤ８１２を下方（Ａ方向）に向かって押し下げする力に対し反発する弾性力を備えたスプリングＤＤ８１３が設けられている。スプリングＤＤ８１３は、円筒形状に形成されたコイルばねにより形成されている。スプリングＤＤ８１３一方端は、スプリング保持部ＤＤ８１２４ｃの外周に配置され、保持される。また、スプリングＤＤ８１３もう一方端は、ボタンベースＤＤ８１１の低部に当接している。このため、スプリングＤＤ８１３は、遊技者が第１部材ＤＤ８１２のボタンカバー部ＤＤ８１２１を下方（Ａ方向）に向かって押し下げる力に対して反発する。
【０３２０】
ボタンベースＤＤ８１１は、上面が開口された長方形状の箱状に形成されている。ボタンベースＤＤ８１１の低部には、２つの貫通孔ＤＤ８１１ａ・ＤＤ８１１ｂが形成されている。貫通孔ＤＤ８１１ａ・ＤＤ８１１ｂは、上下方向に開口しており、それぞれ２つの摺動部ＤＤ８１２４ａ・ＤＤ８１２４ｂを摺動可能にしている。したがって、貫通孔ＤＤ８１１ａ・ＤＤ８１１ｂの外形寸法は、摺動部ＤＤ８１２４ａ・ＤＤ８１２４ｂの内径寸法よりも大きい寸法に形成されている。また、ボタンベースＤＤ８１１の外周縁には、外方向に突出したフランジＤＤ８１１１が形成されている。フランジＤＤ８１１１は、第２台座部ＤＤ２ｂに設けられた開口部ＤＤ２ｂａのフランジＤＤ２ｂｂの上面に当接する（図１０５参照）。従って、フランジＤＤ８１１１は、開口部ＤＤ２ｂａの外形よりも大きい形状をしており、操作部ＤＤ８１を、開口部ＤＤ２ｂａの上方から挿入した場合には、ボタンベースＤＤ８１１の底部及び４つの側面を含む部分は、開口部ＤＤ２ｂａを通過するが、フランジＤＤ８１１１部分は、開口部ＤＤ２ｂａのフランジＤＤ２ｂｂの上面に当接することにより、規制される。
【０３２１】
また、ボタンベースＤＤ８１１は、ボタンベースＤＤ８１１の側面から延伸された側面部ＤＤ８１１３に、水平方向に張り出した制止板ＤＤ８１１２が設けられている。また、側面部ＤＤ８１１３には、２つの連通孔ＤＤ８１６ａ・ＤＤ８１６ｂが形成されている。なお、ボタンカバー部ＤＤ８１２１の底面部分の形状及び面積とフランジＤＤ８１１１を含むボタンベースＤＤ８１１の上面部分の形状及び面積とは同じである。即ち、ボタンカバー部ＤＤ８１２１とボタンベースＤＤ８１１とは上下方向にぴったり重なる形状をしている。
【０３２２】
第２部材ＤＤ８１５は、ボタンベースＤＤ８１１の下方（Ａ方向）に配置される。第２部材ＤＤ８１５には、円筒形状の螺子穴ＤＤ８１５ａ・ＤＤ８１５ｂが形成されている。そして、ボタン基部ＤＤ８１２３の摺動部ＤＤ８１２４ａ・ＤＤ８１２４ｂが、貫通孔ＤＤ８１１ａ・ＤＤ８１１ｂを通って、摺動部ＤＤ８１２４ａ・ＤＤ８１２４ｂの下方側が貫通孔ＤＤ８１１ａ・ＤＤ８１１ｂから延出した状態で、摺動部ＤＤ８１２４ａ・ＤＤ８１２４ｂの下方側形成された螺子穴と、第２部材ＤＤ８１５に形成された螺子穴ＤＤ８１５ａ・ＤＤ８１５ｂとが、螺子ＤＤ８１５２ａ・ＤＤ８１５２ｂによって螺合されている。これにより、第２部材ＤＤ８１５は、２つの貫通孔ＤＤ８１１ａ・ＤＤ８１１ｂから延出した２つの摺動部ＤＤ８１２４ａ・ＤＤ８１２４ｂの間に取付けられた状態になる。なお、第２部材ＤＤ８１５は、貫通孔ＤＤ８１１ａ・ＤＤ８１１ｂより大きい形状をしている。
【０３２３】
また、第２部材ＤＤ８１５において、螺子穴ＤＤ８１５ａと螺子穴ＤＤ８１５ｂとの間には、上下方向に張り出した薄板状の遮光片ＤＤ８１５１が設けられている。
【０３２４】
第２部材ＤＤ８１５の下方（Ａ方向）には、発光部ＤＤ８１４ａと受光部ＤＤ８１４ｂとが、水平方向に、所定の間隔を空けて対向しているフォトセンサＤＤ８１４が設けられている。この所定の間隔は、遮光片ＤＤ８１５１の水平方向の厚みよりも大きく設定されている。フォトセンサＤＤ８１４の背面には、送信コネクタが設けられており、外部のコネクタＤＤ８５によって接続される。
【０３２５】
ボタンベースカバーＤＤ８１６は、ボタンベースＤＤ８１１の低部側、及び、側面部ＤＤ８１１３に対向する側が開口した箱状に形成されている。ボタンベースカバーＤＤ８１６の上方には、爪形状の係止部ＤＤ８１６１・ＤＤ８１６２が形成され、爪形状の係止部ＤＤ８１６１・ＤＤ８１６２が、ボタンベースＤＤ８１１の低部に設けられた被係止部ＤＤ８１１３ａ・ＤＤ８１１３ｂに係止されることにより、ボタンベースカバーＤＤ８１６は、ボタンベースＤＤ８１１の低部に固定される。また、ボタンベースカバーＤＤ８１６には、２つの螺子穴ＤＤ８１６３ａ・ＤＤ８１６３ｂが形成されている。
【０３２６】
遊技者が第１部材ＤＤ８１２を下方（Ａ方向）に向かって押し圧することにより、第２部材ＤＤ８１５も下方（Ａ方向）に向かって移動する。第２部材ＤＤ８１５が移動することにより、遮光片ＤＤ８１５１が、発光部ＤＤ８１４ａと受光部ＤＤ８１４ｂとの間に割り込み、発光部ＤＤ８１４ａから受光部ＤＤ８１４ｂに対して発光される光を遮断する。これにより、遊技者が最大ＢＥＴボタンＤＤ８の操作を行ったことが検知される。
【０３２７】
そして、遊技者が第１部材ＤＤ８１２を下方（Ａ方向）に向かって押し圧するのをやめると、スプリングＤＤ８１３の反発力によりボタン基部ＤＤ８１２３が上方に向かって移動する（第１部材ＤＤ８１２が初期位置に復帰する）。なお、スプリングＤＤ８１３の反発力によりボタン基部ＤＤ８１２３が上方に向かって移動すると、第２部材ＤＤ８１５の上面部が制止板ＤＤ８１１２の下面に当接し、第２部材ＤＤ８１５及び第１部材ＤＤ８１２が上方に戻り過ぎることを規制する。
【０３２８】
これにより、第２部材ＤＤ８１５が上方に移動することにより、発光部ＤＤ８１４ａと受光部ＤＤ８１４ｂとの間に割り込んでいた遮光片ＤＤ８１５１も上方に移動し、発光部ＤＤ８１４ａから受光部ＤＤ８１４ｂに対して発光される光の遮断が解除される。これにより、遊技者が最大ＢＥＴボタンＤＤ８の操作を行っていないことが検知される。
【０３２９】
上記構成によれば、第２部材ＤＤ８１５が、ボタンベースＤＤ８１１に設けられた貫通孔ＤＤ８１１ａ・ＤＤ８１１ｂより大きい形状をしており、貫通孔ＤＤ８１１ａ・ＤＤ８１１ｂから延出した第１部材ＤＤ８１２の摺動部ＤＤ８１２４ａ・ＤＤ８１２４ｂに取付けられている。これにより、第２部材ＤＤ８１５が、第１部材ＤＤ８１２の摺動部ＤＤ８１２４ａ・ＤＤ８１２４ｂが貫通孔ＤＤ８１１ａ・ＤＤ８１１ｂから抜けるのを規制し、最大ＢＥＴボタンＤＤ８の不正な取外しを防止することができる。
【０３３０】
また、遮光片ＤＤ８１５１は、遊技者による第１部材ＤＤ８１２の押圧に連動して、２つの摺動部ＤＤ８１２４ａ・ＤＤ８１２４ｂがボタンベースＤＤ８１１の２つの貫通孔ＤＤ８１１ａ・ＤＤ８１１ｂを摺動し、２つの貫通孔ＤＤ８１１ａ・ＤＤ８１１ｂから延出した２つの摺動部ＤＤ８１２４ａ・ＤＤ８１２４ｂの間に取付けられた第２部材ＤＤ８１５の中間部分に設けられた遮光片ＤＤ８１５１が、発光部ＤＤ８１４ａと受光部ＤＤ８１４ｂとの間を横切り遮断することができる。
【０３３１】
（係止部ＤＤ８２）
係止部ＤＤ８２は、図１０３に示すように、箱形状をしており、係止部ＤＤ８２の上面に形成された開口部ＤＤ８２１、及び、コネクタＤＤ８５を操作部ＤＤ８１の背面に接続するために、係止部ＤＤ８２の背面に形成された開口部ＤＤ８２２を有している。
【０３３２】
係止部ＤＤ８２の開口部ＤＤ８２１の外周縁には、外方向に向かって張り出したフランジＤＤ８２３が形成されており、更に、フランジＤＤ８２３の外には、フランジＤＤ８２３を囲うように、垂直方向に張り出した囲み枠ＤＤ８２４が形成されている。フランジＤＤ８２３は、開口部ＤＤ２ｂａのフランジＤＤ２ｂｂの下面に当接する（図１０５参照）。従って、フランジＤＤ８２３は、開口部ＤＤ２ｂａの外形よりも大きい形状をしており、係止部ＤＤ８２を、開口部ＤＤ２ｂａの下方から押し当てた場合には、フランジＤＤ８２３部分が、フランジＤＤ２ｂｂの下面に当接することにより、規制される。
【０３３３】
係止部ＤＤ８２の内壁側には、操作部ＤＤ８１を格納する際に操作部ＤＤ８１を位置決めする係止片ＤＤ８２５が形成されている。また、係止部ＤＤ８２の背面に形成された開口部ＤＤ８２２の両脇に設けられた連通孔ＤＤ８２６ａ・ＤＤ８２６ｂが形成されている。
【０３３４】
操作部ＤＤ８１を、開口部ＤＤ２ｂａに上方から挿入し、フランジＤＤ８１１１部分を、フランジＤＤ２ｂｂの上面に当接させた状態で、開口部ＤＤ２ｂａの下方から、係止部ＤＤ８２を操作部ＤＤ８１に装着させつつ、フランジＤＤ８２３を、開口部ＤＤ２ｂａのフランジＤＤ２ｂｂの下面に当接させる。そして、２つの螺子ＤＤ８３ａ・ＤＤ８３ｂをそれぞれ、連通孔ＤＤ８２６ａ・ＤＤ８２６ｂ、及び、連通孔ＤＤ８１６ａ・ＤＤ８１６ｂを介して、螺子穴ＤＤ８１６３ａ・ＤＤ８１６３ｂに螺合している（図１０４参照）。
【０３３５】
上記構成によれば、２つの螺子ＤＤ８３ａ・ＤＤ８３ｂをそれぞれ、連通孔ＤＤ８２６ａ・ＤＤ８２６ｂ、及び、連通孔ＤＤ８１６ａ・ＤＤ８１６ｂを介して、螺子穴ＤＤ８１６３ａ・ＤＤ８１６３ｂに螺合することによって、操作部ＤＤ８１と係止部ＤＤ８２とを開口部ＤＤ２ｂａを介して第２台座部ＤＤ２ｂに固定することができる。また、操作部ＤＤ８１は開口部ＤＤ２ｂａより大きいフランジＤＤ８１１１を有するため、最大ＢＥＴボタンＤＤ８が、開口部ＤＤ２ｂａの外側からキャビネットＧの内部側に落ち込んでしまうことを防止することができる。また、係止部ＤＤ８２も開口部ＤＤ２ｂａより大きいフランジＤＤ８２３を有するため、最大ＢＥＴボタンＤＤ８が、開口部ＤＤ２ｂａの内側からキャビネットＧの外部に出てしまうことを防止することができる。これにより、最大ＢＥＴボタンＤＤ８を第２台座部ＤＤ２ｂに対して固定することができる。
【０３３６】
また、ボタンカバー部ＤＤ８１２１とボタンベースＤＤ８１１とは上下方向にぴったり重なる形状をしているため、上方からボタンカバー部ＤＤ８１２１を見たときに、ボタンベースＤＤ８１１がボタンカバー部ＤＤ８１２１によって隠されて、外部に、遊技者が押圧するボタンカバー部ＤＤ８１２１のみを見せることができる。これにより、最大ＢＥＴボタンＤＤ８の外観をシンプルにすることができ、遊技機１の外観のデザイン性を高めることができる。
また、ボタンカバー部ＤＤ８１２１の底面の形状がボタンベースＤＤ８１１の上面の形状よりも小さいものに比べて、ボタンベースＤＤ８１１が有する貫通孔ＤＤ８１１ａ・ＤＤ８１１ｂの隙間からの不正な侵入を防止し易い構造にすることができる。
【０３３７】
（下ドア機構ＤＤ：リール装置Ｍ１）
（下ドア機構ＤＤ）
下ドア機構ＤＤには、図１０７に示すように、上部の略中央部に、矩形状の開口部として形成されたメイン表示窓ＤＤ４が設けられている。メイン表示窓ＤＤ４の裏面側には、キャビネットＧの内部側から取り付けられたリールユニットＲＵが装着されている。さらに、リールユニットＲＵの背面には、主制御基板ＭＳが取り付けられている。
【０３３８】
リールユニットＲＵは、複数種類の図柄が各々の外周面に描かれた３個のリールＲＬ（左リール），ＲＣ（中リール），ＲＲ（右リール）を主体に構成されている。これらのリールＲＬ，ＲＣ，ＲＲは、それぞれが縦方向に一定の速度で回転できるように並列状態（横一列）に配設される。リールＲＬ，ＲＣ，ＲＲは、メイン表示窓ＤＤ４を通じて、各リールＲＬ，ＲＣ，ＲＲの動作や各リールＲＬ，ＲＣ，ＲＲ上に描かれている図柄が視認可能となる。
【０３３９】
メイン表示窓ＤＤ４には、その表面部に、矩形状のアクリル板などからなる透明パネルＤＤ４１が取り付け固定されており、遊技者などがリールユニットＲＵに触れることができないようになっている。メイン表示窓ＤＤ４の下方には、略水平面の第１，第２，第３台座部ＤＤ２ａ，ＤＤ２ｂ，ＤＤ２ｃが形成されている。メイン表示窓ＤＤ４の右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【０３４０】
メイン表示窓ＤＤ４の左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【０３４１】
メイン表示窓ＤＤ４の前面側に位置する第３台座部ＤＤ２ｃには、液晶表示装置ＤＤ２０が設けられている。液晶表示装置ＤＤ２０は、液晶表示パネル（液晶パネル）のパネル面にタッチ式の位置入力装置としてのタッチセンサパネルが配されてなる、いわゆるタッチパネルとなっている。尚、タッチセンサパネルとしては、例えば、人体の一部（指先など）や静電ペンなどの接触を検知して、その検知信号を出力する静電容量方式のものであってもよく、又は、ペン先などの堅い物質の接触を検知して、その検知信号を出力する方式のもの、あるいは、その他の方式のものや構造のもの（インセル構造など）であってもよい。
【０３４２】
液晶表示装置ＤＤ２０は、ＳＵＩ（スマート・ユーザ・インターフェイス）として機能するもので、その表示画面上に、例えば、遊技の進行に伴って遊技回数などの遊技情報が表示されるとともに、遊技者による選択又は入力を求めるためのメッセージや入力キーなどが表示される。
【０３４３】
尚、液晶表示装置ＤＤ２０においては、その表示画面上に、例えば、遊技の進行に伴って、遊技に関する演出に応じた内容（演出情報）を表示することも可能である。また、液晶表示装置ＤＤ２０としては、例えば、演出役物としての機能を有するアタッチメントや、専用のアタッチメントとして、ジョグダイヤル又はプッシュボタンなどを装着できるようにしてもよい。また、液晶表示装置ＤＤ２０は、その機能を、後述する表示ユニットＡなどに振り分けることにより、省略することもできる。
【０３４４】
最大ＢＥＴボタンＤＤ８の前面側には、遊技者の操作によりリールＲＬ，ＲＣ，ＲＲを回転駆動させるとともに、メイン表示窓ＤＤ４内で図柄の変動表示を開始させるスタートレバーＤＤ６が設けられている。スタートレバーＤＤ６は、所定の角度範囲で傾動自在に取り付けられる。
【０３４５】
スタートレバーＤＤ６の右側で、液晶表示装置ＤＤ２０の前面側には、遊技者の押下操作（停止操作）により３個のリールＲＬ，ＲＣ，ＲＲの回転をそれぞれ停止させるための３個のストップボタンＤＤ７Ｌ，ＤＤ７Ｃ，ＤＤ７Ｒが設けられている。
【０３４６】
最大ＢＥＴボタンＤＤ８の左側には、Ｃ／ＰボタンＤＤ１３が設けられている。Ｃ／ＰボタンＤＤ１３は、遊技者がゲームで獲得したメダルのクレジット／払出しを押しボタン操作で切り換えるものである。このＣ／ＰボタンＤＤ１３の切り換えにより払出しが選択されている状態（非クレジット状態）においては、下ドア機構ＤＤの下部側のコインガードプレート部に設けたメダル払出口ＤＤ１４（キャンセルシュート）からメダルが払出され、払出されたメダルは、メダル受け部ＤＤ１５に溜められる。
【０３４７】
スタートレバーＤＤ６、及び、ストップボタンＤＤ７Ｌ，ＤＤ７Ｃ，ＤＤ７Ｒの下部側には、腰部パネルＤＤ１８（腰部導光板）が配置されている。腰部パネルＤＤ１８は、アクリル板などを使用した化粧用パネルとして構成される。腰部パネルＤＤ１８には、遊技機１の機種を表す名称や種々の模様などが印刷により描かれている。
【０３４８】
また、メダル払出口ＤＤ１４の左側にはスピーカＤＤ２５Ｌが、右側にはスピーカＤＤ２５Ｒが、それぞれ設けられている。スピーカＤＤ２５Ｌ，ＤＤ２５Ｒは、遊技者に遊技に関する種々の情報を声や音楽などの音により報知する。また、メイン表示窓ＤＤ４の左側及び右側には、第１サブ表示装置ＤＤ１９Ｌ及び第２サブ表示装置ＤＤ１９Ｒがそれぞれ配置されている。これらのサブ表示装置ＤＤ１９Ｌ・ＤＤ１９Ｒは、例えば入賞成立時のメダルの払出枚数やクレジットされている残メダル枚数を表示する。通常は、遊技機１にクレジットされるメダルの最大枚数は５０枚であるため、５０以下のクレジット枚数が表示される。尚、最大枚数の５０枚のメダルがクレジシットされている状態では、投入されたメダルはそのままメダル払出口ＤＤ１４より払出される。また、サブ表示装置ＤＤ１９Ｌ・ＤＤ１９Ｒは、タッチパネルを前面に備えていてもよい。
【０３４９】
（下部扉ＤＤ１、リールユニットＲＵ、及び、主制御基板ＭＳの関係性）
図１０８に示すように、遊技機１の下ドア機構ＤＤは、下部扉ＤＤ１と、リールユニットＲＵと、主制御基板ＭＳとを含む構成である。
【０３５０】
下部扉ＤＤ１（扉に相当）は、図１０９に示すように、キャビネットＧ（筐体に相当）に対して開閉自在に設けられている。また、リールユニットＲＵ（図柄表示手段に相当）は、図１１０に示すように、下部扉ＤＤ１の背面側（キャビネットＧの内部側（下部空間側））に、着脱可能に設けられている。更に、主制御基板ＭＳは、図１１０に示すように、リールユニットＲＵの背面側（キャビネットＧの内部側（下部空間側））に、着脱可能に設けられている。
【０３５１】
なお、主制御基板ＭＳは、スタートレバーＤＤ６、及び、ストップボタンＤＤ７Ｌ，ＤＤ７Ｃ，ＤＤ７Ｒ（指令手段に相当）等により出力された指令信号に基づいて、リールユニットＲＵのリールＲＬ，ＲＣ，ＲＲの回転を停止させることにより、リールＲＬ，ＲＣ，ＲＲに配された図柄を停止表示させる制御手段に相当する。
【０３５２】
上記のような、下部扉ＤＤ１、リールユニットＲＵ、及び、主制御基板ＭＳの位置的関係性によって、下部扉ＤＤ１、リールユニットＲＵ、及び、主制御基板ＭＳを一体化することにより、遊技機１の組み立て・部品交換・分解する際の作業を容易に行うことができる。
【０３５３】
また、主制御基板ＭＳは、遊技を制御する重要な構成であり、不正な取外しを防止する対策が必要であるが、主制御基板ＭＳは、リールユニットＲＵと一体化されているため、取外し難い構成にすることができる。
【０３５４】
また、主制御基板ＭＳは、下部扉ＤＤ１の内部側に設けられたリールユニットＲＵの背面に設けられている。これにより、主制御基板ＭＳは、下部扉ＤＤ１及びリールユニットＲＵの厚み分だけ、下部扉ＤＤ１から遠いキャビネットＧの奥側に配置することができる。このため、下部扉ＤＤ１と主制御基板ＭＳとの間に物理的な距離を確保することができ、例え下部扉ＤＤ１の隙間から不正侵入された場合であっても、主制御基板ＭＳへの到達が困難になり、セキュリティ性を向上させることができる。
【０３５５】
また、下部扉ＤＤ１、リールユニットＲＵ、及び、主制御基板ＭＳは、一体化されているため、遊技機１の仕様を変更する場合、下部扉ＤＤ１の外装の変更、リールユニットＲＵのリールＲＬ，ＲＣ，ＲＲの図柄の変更、及び、遊技内容の変更を、まとめて行うことができる。
【０３５６】
具体的に、図１１１を参照して、リールユニットＲＵに対する主制御基板ＭＳの取り付けについて説明する。図１１１に示すように、リールユニットＲＵは、後方に基板接面部ＲＵ９ａを有している。基板接面部ＲＵ９ａは、リールユニットＲＵの背面側において上下方向中央に、左右方向へ延在する平面部である。当該平面部は法線方向が前後方向へ略一致する。また、リールユニットＲＵは、基板接面部ＲＵ９ａの中央右よりの上方に、上側平面部ＲＵ９ｂを有している。上側平面部ＲＵ９ｂは、基板接面部ＲＵ９ａと面方向が一致する平面部であり、左上部に螺子孔を有している。また、リールユニットＲＵは、基板接面部ＲＵ９ａの下方に、基板接面部ＲＵ９ａと左右方向長さが略一致する載置部ＲＵ９ｃを有している。載置部ＲＵ９ｃは、基板接面部ＲＵ９ａ、及び、上側平面部ＲＵ９ｂと面方向が一致する壁面部と、壁面部の下部から水平後ろ方向へ屈曲して延長された底面部と、底面部の後端から屈曲して上後方へ傾斜を持って延長された傾斜部とを有している。載置部ＲＵ９ｃは、左右方向の両端部に螺子孔を有している。また、リールユニットＲＵは、基板接面部ＲＵ９ａ、及び、上側平面部ＲＵ９ｂと面方向が一致する平面部を有している。
【０３５７】
主制御基板ＭＳは、載置部ＲＵ９ｃの底面部に載置されて、基板接面部ＲＵ９ａ、上側平面部ＲＵ９ｂ、載置部ＲＵ９ｃの壁面部、及び、その他面方向が一致する平面部に面接触された状態に位置決めされる。そして、その状態で、主制御基板ＭＳに形成されている貫通孔を介して、上側平面部ＲＵ９ｂ及び載置部ＲＵ９ｃの螺子孔に螺合され螺子締結されることになる。これにより、主制御基板ＭＳは、同一面上に配設された基板接面部ＲＵ９ａ、上側平面部ＲＵ９ｂ、及び、載置部ＲＵ９ｃに安定的に取り付けられる。
【０３５８】
次に、具体的に、図１１２を参照して、下部扉ＤＤ１に対するリールユニットＲＵの取り付けについて説明する。図１１２に示すように、リールユニットＲＵは、左方向端部に、リールヒンジＲＵ２１を有している。リールヒンジＲＵ２１は、平面視コの字形状の平板部材であり平面の法線方向が前後方向に略一致している。リールヒンジＲＵ２１は、左上端部から下方向へ形成された上側ヒンジＲＵ２１ａを有している。また、リールヒンジＲＵ２１は、左下端部から下方向へ形成された下側ヒンジＲＵ２１ｂを有している。上側ヒンジＲＵ２１ａと下側ヒンジＲＵ２１ｂとは中心軸が一致するように形成されている。
【０３５９】
下部扉ＤＤ１の内部側左上部には、上端から中央部まで延在するリールヒンジベースＤＤ１８を有している。リールヒンジベースＤＤ１８は、上側ヒンジＲＵ２１ａ及び下側ヒンジＲＵ２１ｂに対応する位置に上側ヒンジベースＤＤＲ１８ａ及び上側ヒンジベースＤＤＲ１８ｂを有している。上側ヒンジベースＤＤＲ１８ａ及び下側ヒンジベースＤＤＲ１８ｂは、上側ヒンジＲＵ２１ａ及び下側ヒンジＲＵ２１ｂを夫々差込可能にされており、差込状態においてリールユニットＲＵを、上側ヒンジＲＵ２１ａ及び下側ヒンジＲＵ２１ｂを中心として回動可能に支持する。
【０３６０】
リールユニットＲＵは、右上端部に、右方向に突出する右上ロック部ＲＵ２２を有している。また、リールユニットＲＵは、下端部略中央から下方向へ突出する下ロック部ＲＵ２３を有している。右上ロック部ＲＵ２２及び下ロック部ＲＵ２３は、下部扉ＤＤ１の内壁面に当接した状態でロック可能にされている。即ち、リールユニットＲＵを下部扉ＤＤ１方向へ回動させて当接させたときに、右上ロック部ＲＵ２２及び下ロック部ＲＵ２３が下部扉ＤＤ１に係合した状態で当接した状態となる。右上ロック部ＲＵ２２及び下ロック部ＲＵ２３が下部扉ＤＤ１にロックされることで、リールユニットＲＵを回動不可状態に維持することができる。右上ロック部ＲＵ２２及び下ロック部ＲＵ２３には、後面側につまみ部材が回動可能に設けられている。右上ロック部ＲＵ２２及び下ロック部ＲＵ２３が下部扉ＤＤ１に係合させた状態でつまみ部材を回動させることで、リールユニットＲＵが回動可能な状態と、ロック状態と、を切り替えることができるようになっている。尚、リールユニットＲＵは、ロック状態で、下部扉ＤＤ１に施錠可能にされていてもよい。また、主制御基板ＭＳは、リールユニットＲＵに施錠可能にされていてもよい。
【０３６１】
（下ドア機構ＤＤ：リール装置ＲＵ）
図１１３に示すように、リール装置ＲＵは、３つのリールユニットＲＵ１と、リールベースＲＵ２と、リールカバーＲＵ３とを有している。３つのリールユニットＲＵ１は、左右方向に並列状態（横一列）に配置される。左側のリールユニットＲＵ１はリールＲＬを有し、中央のリールユニットＲＵ１はリールＲＣを有し、右側のリールユニットＲＵ１はリールＲＲを有している。各リールユニットＲＵ１は、リールベースＲＵ２によって夫々独立して支持される。リールベースＲＵ２は、開放面を有した箱状に形成され、各リールユニット１を一部露出した状態で収容する。リールベースＲＵ２は、この開放面を覆うようにリールカバーＲＵ３がネジ締結により取り付けられる。リールカバーＲＵ３がリールベースＲＵ２に取り付けられた状態において、各リールユニットＲＵ１におけるリールＲＬ，ＲＣ，ＲＲの中央部から上部に至る外周面が、リールベースＲＵ２から露出された状態となる。これにより、リールＲＬ，ＲＣ，ＲＲの各々の外周面に描かれた図柄が視認可能となる。
【０３６２】
また、リールユニットＲＵ１は、リールの軸を支持し、リールの駆動力となるモータが取り付けられる支持板であるモータ取付板ＲＵ１１を有している。モータ取付板ＲＵ１１は、リールユニットＲＵ１の右側に配置され、リールを回転可能に支持する。即ち、隣接するリールユニットＲＵ１の間に挟まれるように配置されることになる。モータ取付板ＲＵ１１は、前方部分を形成する前方部ＲＵ１１ａを有している。前方部ＲＵ１１ａは、側面視略弓形形状に形成されており、側面視において前記リールと略同一形状に形成されている。なお、弓形とは、円弧と、当該円弧の端部同士を結んだ弦とで囲まれた図形である。
【０３６３】
具体的に、モータ取付板ＲＵ１１は、側面視略弓形形状の前方部ＲＵ１１ａと、側面視において該弓形を規定する円弧の両端部から後方に向かって連続的に形成された形状（例えば、側面視略矩形状）の後方部ＲＵ１１ｂとにより構成されている。なお、モータ取付板ＲＵ１１は、リールを直接支持するものであってもよいし、他の部材を介してリールを間接的に支持するものであってもよい。
【０３６４】
側面視においてリールと略同一形状に形成されたモータ取付板ＲＵ１１の前方部分は、対向するリールの前方部分と略同一の大きさであり、両者は重なり合っていることが望ましい。すなわち、一方の側面から見たときには、モータ取付板ＲＵ１１の前方部分がリールによって略完全に覆われており、他方の側面から見たときには、支持板の前方部分によって当該部分に対向するリールの部分が略完全に覆われていることが望ましい。これにより、モータ取付板ＲＵ１１に対して仕切板としての機能を付与することと、遊技機の美観を維持することとを、バランスよく実現することができる。
【０３６５】
（下ドア機構ＤＤ：リール装置ＲＵ：リールユニットＲＵ１）
図１１４を用いて、リールユニットＲＵ１について説明する。尚、３つのリールユニットＲＵ１は、夫々同様の構成を有しているため、右側のリールユニットＲＵ１のみについて説明を行う。
【０３６６】
図１１４に示すように、リールユニットＲＵ１のモータ取付板ＲＵ１１には、リールインデックスＲＵ１１１と、センサ部ＲＵ１１２と、モータ駆動部ＲＵ１１３と、駆動制御基板ＲＵ１１４とが配設されている。リールインデックスＲＵ１１１は、モータ取付板ＲＵ１１の中央部に配置されている。センサ部ＲＵ１１２は、リールインデックスＲＵ１１１の後方に配置されている。モータ駆動部ＲＵ１１３は、リールインデックスＲＵ１１１の上方に配置されている。
【０３６７】
リールＲＲは、リールドラムＲＲ１を有している。リールドラムＲＲ１は、筒形形状に形成され、複数の図柄が配されたリール帯ＲＲ２が巻回され固定される。リールドラムＲＲ１は、この筒状部の左側（モータ取付板ＲＵ１１と反対側）の面に、中心から放射状、及び、外周円よりも小さい同心円に、剛性を高めるためのフレームが配設されている。このフレームは、中央部が右方向（筒状内部側）に窪んだ形状となっている。リールドラムＲＲ１には、中心軸を同じとする回転ギアＲＲ３が筒状内部の左側（フレーム側）に配置されている。即ち、リールドラムＲＲ１の内部において、回転ギアＲＲ３の右側（モータ取付板ＲＵ１１）に、リールインデックスＲＵ１１１、センサ部ＲＵ１１２、及び、モータ駆動部ＲＵ１１３が配置されることになる。また、リールドラムＲＲ１には、筒状内部の径方向内壁面には、停止表示されたリールＲＲに配された図柄を背後から照明するバックライトＲＲ４が配置されている。
【０３６８】
モータ駆動部ＲＵ１１３は、ステッピングモータと、回転ギアＲＲ３に歯合する駆動ギアとを有し、リールＲＲを回転させるためのステッピングモータからの動力が回転ギアＲＲ３によって伝達される。ステッピングモータは、駆動制御基板ＲＵ１１４から供給される駆動パルスの数だけ回転される。即ち、駆動制御基板ＲＵ１１４から供給される駆動パルスの数によって、基準位置からリールＲＲがどれだけ回転されたか（変位の程度）を特定することができる。モータ駆動部ＲＵ１１３は、主制御基板ＭＳからの制御信号に従い、駆動制御基板ＲＵ１１４によって回転の開始及び停止の制御が行われる。具体的には、遊技者によるスタートレバーＤＤ６等の開始指令手段への操作に応じて開始指令信号が主制御基板ＭＳへ送信される。主制御基板ＭＳは、開始指令信号を検出したことを契機として、開始制御信号を駆動制御基板ＲＵ１１４へ送信する。駆動制御基板ＲＵ１１４は、開始制御信号を検出したことを契機として、モータ駆動部ＲＵ１１３を駆動し、リールＲＲが回転される。これにより、リールＲＲに配された図柄が変動表示される。また、遊技者による停止ボタンＤＤ７Ｒ等の停止指令手段への操作に応じて停止指令信号が主制御基板ＭＳへ送信される。主制御基板ＭＳは、停止指令信号を検出したことを契機として、停止制御信号を駆動制御基板ＲＵ１１４へ送信する。駆動制御基板ＲＵ１１４は、停止制御信号を検出したことを契機として、モータ駆動部ＲＵ１１３を駆動し、リールＲＲが停止される。これにより、リールＲＲに配された図柄が停止表示される。
【０３６９】
（下ドア機構ＤＤ：リール装置ＲＵ：リールユニットＲＵ１：リールインデックスＲＵ１１１）
リールインデックスＲＵ１１１は、リールシャフトＲＵ１１１１と、検知片ＲＵ１１１２と、接続板ＲＵ１１１３とを有している。リールシャフトＲＵ１１１１は、リールインデックスＲＵ１１１において、左右方向を中心軸として回転自在にされている。リールシャフトＲＵ１１１１は、左側の端部において回転ギアＲＲ３の回転軸に接続固定可能であり、回転ギアＲＲ３の回転に伴って回転されるようになっている。即ち、モータ駆動部ＲＵ１１３によってリールＲＲが回転されることで、リールシャフトＲＵ１１１１が回転されることになる。検知片ＲＵ１１１２は、側面視において、円弧状の外周辺と円弧状の内周辺とによって囲まれた図形の形状に形成されている。本実施形態では、検知片ＲＵ１１１２の外周辺及び内周辺の円弧の角度は夫々１８０度に設定されており、中央に同心円の開口を有した円板を中心点を通る線で切断した形状にされている。検知片ＲＵ１１１２の内周辺内側には、当該内周辺に沿うように、円板状の接続板ＲＵ１１１３が接続されている。接続板ＲＵ１１１３は、中心に円状の孔が設けられており、リールシャフトＲＵ１１１１が挿入され固定されている。このように、リールインデックスＲＵ１１１は、リールシャフトＲＵ１１１１を介して回転ギアＲＲ３に接続される。従って、リールインデックスＲＵ１１１と、回転ギアＲＲ３とは別部材で夫々形成されている。尚、回転ギアＲＲ３には、摺動性の高い素材を用いることが好ましい。また、リールインデックスＲＵ１１１における検知片ＲＵ１１１２には、帯電防止機能に優れた素材を用いることが好ましい。
【０３７０】
これにより、図１１５に示すように、検知片ＲＵ１１１２は、リールシャフトＲＵ１１１１（リールＲＲ）の回転に伴って、リールシャフトＲＵ１１１１の回転軸を中心に、図中矢印で示されるように、円周ＲＵＤに沿って回転されるようになっている。センサ部ＲＵ１１２は、この円周ＲＵＤ上の図中星印で示される検知点ＲＵＰが検知位置となるようにモータ取付板ＲＵ１１に配設されている。即ち、検知片ＲＵ１１１２が、検知点ＲＵＰに存在するか否かがセンサ部ＲＵ１１２によって検知される。
【０３７１】
図１１６を参照して、検知片ＲＵ１１１２と、検知状態との関係を説明する。以下において、リールＲＲの回転が継続され続けているものとする。先ず、ステップＳＲＵ１においては、検知片ＲＵ１１１２の一端が検知点ＲＵＰに達し（オンエッジ）、センサ部ＲＵ１１２によって検知片ＲＵ１１１２の検出が開始される。このとき、主制御基板ＭＳは、検知片ＲＵ１１１２が検知されていない状態から検知されている状態に変化したことで、リールＲＲの基準位置（第１基準位置）を検出する。その後、検知片ＲＵ１１１２が検知点ＲＵＰに存在し続けている間は、センサ部ＲＵ１１２によって検知片ＲＵ１１１２が検知された状態が継続される（ＳＲＵ２）。そして、検知片ＲＵ１１１２の他端が検知点ＲＵＰに達し（オフエッジ）、センサ部ＲＵ１１２による検知片ＲＵ１１１２の検出が終了される（ＳＲＵ３）。このとき、主制御基板ＭＳは、検知片ＲＵ１１１２が検知されている状態から検知されていない状態に変化したことで、リールＲＲの基準位置（第２基準位置）を検出する。即ち、検知片ＲＵ１１１２は、リールＲＲの位置が第１基準位置となった後第２基準位置となるまでの間、センサ部ＲＵ１１２によって継続的に検知される。その後、再度、検知片ＲＵ１１１２の一端が検知点ＲＵＰに達するまで、センサ部ＲＵ１１２によって検知片ＲＵ１１１２が検知されない状態が継続される（ＳＲＵ４）。
【０３７２】
このように、リールＲＲが半周する毎に第１基準位置及び第２基準位置が交互に検出され、検出された第１基準位置、又は、第２基準位置に基づいて、リールＲＲの位置が特定される。具体的に、主制御基板ＭＳは、直前に検出した基準位置（第１基準位置、又は、第２基準位置）に対して、主制御基板ＭＳの制御に基づいて駆動制御基板ＲＵ１１４から供給される駆動パルスの数に対応する変位を付加することで、リールＲＲの位置を特定する。このように、主制御基板ＭＳは、センサ部ＲＵ１１２による検知片ＲＵ１１１２の検知に基づいてリールＲＲが基準位置（第１基準位置、又は、第２基準位置）に至ったか否かを特定する基準位置特定手段として機能する。また、主制御基板ＭＳ、及び、駆動制御基板ＲＵ１１４は、回転に伴うリールＲＲの基準位置（第１基準位置、又は、第２基準位置）からの変位の程度を特定するリール位置特定手段として機能する。
【０３７３】
上述のように、検知片ＲＵ１１１２は、円弧状の外周辺と円弧状の内周辺とによって囲まれた図形の形状に形成されており、円弧の角度が夫々１８０度に設定されている。そのため、リールＲＲにおける第１基準位置及び前記第２基準位置が、リールＲＲの中心軸を通る直線上に中心軸を挟んで対向配置されていることになる。
【０３７４】
このように、センサ部ＲＵ１１２によって検知片ＲＵ１１１２が検知されていない状態から、センサ部ＲＵ１１２によって検知片ＲＵ１１１２が検知されている状態に変化したことを検出することで、リールＲＲの第１基準位置を特定することができる。また、このように、センサ部ＲＵ１１２によって検知片ＲＵ１１１２が検知されている状態から、センサ部ＲＵ１１２によって検知片ＲＵ１１１２が検知されていない状態に変化したことを検出することで、リールＲＲの第２基準位置を特定することができる。このように、リールＲＲが１回転する間に２回のリールの基準位置を検出することが可能であり、センサを２つ設けた場合と同様の効果が得られる。
【０３７５】
尚、検知片が回転する円周経路上において、第１基準位置に対応する位置から円周経路上に沿って第２基準位置に対応する位置に至る領域を含み、第２基準位置に対応する位置から円周経路上に沿って第１基準位置に対応する位置に至る領域を含まない形状を有していれば、検知片の形状は限定されない。
【０３７６】
（下ドア機構ＤＤ：リール装置ＲＵ：リールユニットＲＵ１：センサ部ＲＵ１１２）
図１１７に示すように、モータ取付板ＲＵ１１の左側面（リール取り付け側面）を底面として、センサ部ＲＵ１１２が載置されるように螺子締結されている。センサ部ＲＵ１１２は、センサＲＵ１１２１と、台座部材ＲＵ１１２２とを有している。センサＲＵ１１２１は、リールＲＲの回転に伴って所定の円周に沿って回転する検知片ＲＵ１１１２を検出する透過型センサである。センサＲＵ１１２１は、中央が窪んだ断面凹状に形成されており、窪み方向とリールインデックスＲＵ１１１のリールシャフトＲＵ１１１１の中心軸が直交するように設けられている。センサＲＵ１１２１は、リールインデックスＲＵ１１１の検知片ＲＵ１１１２の回転面の縁部がセンサＲＵ１１２１の窪み内側空間を通過するように、モータ取付板ＲＵ１１に、台座部材ＲＵ１１２２を介して取り付けられている。
【０３７７】
図１１８、及び、図１１９に示すように、台座部材ＲＵ１１２２は、上下に長手方向を有する台座ベース部ＲＵ１１２２ｇと、台座ベース部ＲＵ１１２２ｇの中央から左方向へ突出する台座柱部ＲＵ１１２２ｈとを有している。台座ベース部ＲＵ１１２２ｇは、長方形状の平板の上下方向に半円を延長させた形状を有している。台座ベース部ＲＵ１１２２ｇは、上下位置に、左右方向へ貫通する螺子孔ＲＵ１１２２ａ・ＲＵ１１２２ｂが開口されている。また、台座ベース部ＲＵ１１２２ｇは、長方形状部において、前側が凹状に形成されており、この凹側縁部中央に右方向へ突出する突出部ＲＵ１１２２ｊを有している。また、台座ベース部ＲＵ１１２２ｇは、長方形状部において、後側が凸状に形成されており、この凸側縁部中央に右方向へ円柱形状に突出する突出部ＲＵ１１２２ｋを有している。
【０３７８】
台座柱部ＲＵ１１２２ｈは、左方向端部に上下に長手方向を有する平面を有し、当該平面の上下位置に螺子孔ＲＵ１１２２ｃ・ＲＵ１１２２ｄを有している。また、台座柱部ＲＵ１１２２ｈは、左方向端部の平面が上下方向中央部から前方向へ突出されている。台座柱部ＲＵ１１２２ｈは、この突出箇所において前後方向に並列され左方向へ円柱形状に突出する突出部ＲＵ１１２２ｅ・ＲＵ１１２２ｆを有している。
【０３７９】
（モータ取付板ＲＵ１１への台座部材ＲＵ１１２２の取り付け）
モータ取付板ＲＵ１１は、台座部材ＲＵ１１２２における突出部ＲＵ１１２２ｆ・ＲＵ１１２２ｇに対応する位置に嵌合孔ＲＵ１１ｅ・ＲＵ１１ｆが形成されている。嵌合孔ＲＵ１１ｅ・ＲＵ１１ｆに、突出部ＲＵ１１２２ｊ・ＲＵ１１２２ｋが夫々嵌挿されることにより、モータ取付板ＲＵ１１に対する台座部材ＲＵ１１２２の位置決めが行われる。また、モータ取付板ＲＵ１１は、台座部材ＲＵ１１２２における螺子孔ＲＵ１１２２ａ・ＲＵ１１２２ｂに対応する位置に螺子孔ＲＵ１１ｃ・ＲＵ１１ｄが形成されている。台座部材ＲＵ１１２２側から右方向へ、螺子ＲＵ１１２４ａを螺子孔ＲＵ１１２２ａと螺子孔ＲＵ１１ｃとに螺合させ、螺子ＲＵ１１２４ｂを螺子孔ＲＵ１１２２ｂと螺子孔ＲＵ１１ｄとに螺合させることで、モータ取付板ＲＵ１１に対して台座部材ＲＵ１１２２が螺子締結される。
【０３８０】
ここで、図１２０を参照して、モータ取付板ＲＵ１１に対する台座部材ＲＵ１１２２の取り付け位置に関して説明する。図１２０に示すように、モータ取付板ＲＵ１１において、螺子孔ＲＵ１１ｃと、螺子孔ＲＵ１１ｄとが、直線ＲＵＤＡ上に配置されている。そして、直線ＲＵＤＡに略垂直な直線ＲＵＤＢ上の２点に、嵌合孔ＲＵ１１ｅと、嵌合孔ＲＵ１１ｆとが配置されている。また、嵌合孔ＲＵ１１ｅと、嵌合孔ＲＵ１１ｆとは、直線ＲＵＤＡを境として互いに反対側に位置している。直線ＲＵＤＢは、螺子孔ＲＵ１１ｃと、螺子孔ＲＵ１１ｄとを結ぶ線分を二等分した中心を通過する直線である。ここで、嵌合孔ＲＵ１１ｆは、直線ＲＵＤＢ方向へ長手方向を有している。これにより、台座部材ＲＵ１１２２において２つの位置決め突起部を成形する上での間隔の誤差を許容することができる。また、嵌合孔ＲＵ１１ｆの長手方向は、センサＲＵ１１２１の検知位置における検知片ＲＵ１１１２の回転の接線方向と略垂直にされる。これにより、長手方向を有する嵌合孔ＲＵ１１ｆにおいて台座部材ＲＵ１１２２との位置ずれが生じたとしても、センサＲＵ１１２１による基準位置の誤検知を防止することが可能となっている。
【０３８１】
（台座部材ＲＵ１１２２へのセンサＲＵ１１２１の取り付け）
センサＲＵ１１２１は、台座部材ＲＵ１１２２の左方向端部の平面に係合し、この台座部材ＲＵ１１２２の左方向端部の平面と形状が略等しい平面を有している。即ち、センサＲＵ１１２１の右方向端部に位置する当該平面は、上下に長手方向を有し、上下方向中央部から前方向へ突出されている。台座柱部ＲＵ１１２２ｈは、この突出箇所において前後方向に並列される嵌合孔ＲＵ１１２４ｅ・ＲＵ１１２４ｆが形成されている。また、当該平面の上下位置に、左右方向へ貫通する螺子孔ＲＵ１１２１ａ・ＲＵ１１２１ｂが開口されている。螺子孔ＲＵ１１２１ｂは、上下に長手方向を有する長穴状に形成されている。嵌合孔ＲＵ１１２４ｅ・ＲＵ１１２４ｆは、台座部材ＲＵ１１２２の突出部ＲＵ１１２２ｅ・ＲＵ１１２２ｆに対応する位置に配設されており、夫々嵌挿されることにより、台座部材ＲＵ１１２２に対するセンサＲＵ１１２１の位置決めが行われる。また、センサＲＵ１１２１は、センサＲＵ１１２１側から右方向へ、螺子ＲＵ１１２３ａを螺子孔ＲＵ１１２１ａと螺子孔ＲＵ１１２２ｃとに螺合させ、螺子ＲＵ１１２３ｂを螺子孔ＲＵ１１２１ｂと螺子孔ＲＵ１１２２ｄとに螺合させることで、台座部材ＲＵ１１２２に対してセンサＲＵ１１２１が螺子締結される。
【０３８２】
ここで、図１２１を参照して、台座部材ＲＵ１１２２に対するセンサＲＵ１１２１の取り付け位置に関して説明する。図１２１に示すように、台座部材ＲＵ１１２２において、螺子孔ＲＵ１１２２ｃと、螺子孔ＲＵ１１２２ｄとが、直線ＲＵＤＣ上に配置されている。そして、直線ＲＵＤＣに略垂直な直線ＲＵＤＤ上の２点に、突出部ＲＵ１１２２ｅと、突出部ＲＵ１１２２ｆとが配置されている。また、突出部ＲＵ１１２２ｅと、突出部ＲＵ１１２２ｆとは、直線ＲＵＤＣよりもセンサＲＵ１１２１が検知片ＲＵ１１１２を検出する側に位置している。直線ＲＵＤＤは、螺子孔ＲＵ１１２２ｃと、螺子孔ＲＵ１１２２ｄとを結ぶ線分を二等分した中心を通過する直線である。ここで、螺子孔ＲＵ１１２２ｄと共に螺子締結されるセンサＲＵ１１２１の螺子孔ＲＵ１１２２ｂは、直線ＲＵＤＣ方向へ長手方向を有している。これにより、センサＲＵ１１２１において２つの螺子止め箇所を成形する上での間隔の誤差を許容することができる。
【０３８３】
（上ドア機構ＤＵ）
図１２２に示すように、キャビネットＧ（筐体に相当）は、左端部において上ドア機構ＤＵ（扉に相当）を回転自在に軸支している。上ドア機構ＤＵとキャビネットＧとは、上側ヒンジ機構ＵＨにより連結されており、上側ヒンジ機構ＵＨは、図１２３及び図１２４に示すように、上ドア機構ＵＤの左端部に取付けられたスライド部材ＵＨ１と、キャビネットＧの上部空間の左端部に取付けられた軸部材ＵＨ２とを有している。
【０３８４】
スライド部材ＵＨ１は、図１２４に示すように、一枚の板が３か所で折り曲げられ、溝ＵＨ１１を形成している。この溝ＵＨ１１には、上方（Ｕ方向）から、軸受機構ＵＨ１２、位置決め部ＵＨ１４、係合凸部ＵＨ１５、軸受機構ＵＨ１３、係合凸部ＵＨ１６が設けられている。
【０３８５】
軸受機構ＵＨ１２・ＵＨ１３は、長方体形状をしており、螺子によりスライド部材ＵＨ１に取付けらえている。軸受機構ＵＨ１２・ＵＨ１３の底部には、後述する軸部ＵＨ２１・ＵＨ２２に重合して係合される軸受部ＵＨ１２１・ＵＨ１３１が形成されている。軸受部ＵＨ１２１・ＵＨ１３１は、軸受機構ＵＨ１２・ＵＨ１３の底部において略円形状に開口されており、この開口の周縁から上方に向けて経口が小さくなった形状をしている。なお、軸受部ＵＨ１２１・ＵＨ１３１の開口の中心を溝ＵＨ１１に沿って上方に向いた方向を軸線ＵＨ１２１Ａと定義する。
【０３８６】
位置決め部ＵＨ１４は、後述する軸部材ＵＨ２の支持部ＵＨ２５の湾曲面と当接して、軸部ＵＨ２１の軸受部ＵＨ１２１に対する位置決めができるように、湾曲形状をしている。
【０３８７】
係合凸部ＵＨ１５・ＵＨ１６は、溝ＵＨ１１から水平方向に突出した薄板形状をしている。係合凸部ＵＨ１５・ＵＨ１６は、後述する係合凹部ＵＨ２３・ＵＨ２４に係合する役割を果たす。
【０３８８】
軸部材ＵＨ２は、一枚の板を折り曲げて形成されている。軸部材ＵＨ２には、上方から、支持部ＵＨ２５の上面から突出した軸部ＵＨ２１と、支持部ＵＨ２５と、係合凹部ＵＨ２３と、支持部ＵＨ２６の上面から突出した軸部ＵＨ２２と、支持部ＵＨ２６と、係合凹部ＵＨ２４が設けられている。
【０３８９】
軸部ＵＨ２１・ＵＨ２２は、円錐形状をしている。軸部ＵＨ２１・ＵＨ２２は、軸受部ＵＨ１２１・ＵＨ１３１に重合して係合する役割を果たす。
【０３９０】
支持部ＵＨ２５・ＵＨ２６は、軸部材ＵＨ２に設けられており、上面に軸部ＵＨ２１・ＵＨ２２を設けている。また、支持部ＵＨ２５の側面は湾曲形状をしており、位置決め部ＵＨ１４の湾曲面と当接することにより、軸部ＵＨ２１の軸受部ＵＨ１２１に対する位置決めができる。
【０３９１】
支持部ＵＨ２５・ＵＨ２６の側面から延長された係合板ＵＨ２７・ＵＨ２８には、横長に開かれた係合凹部ＵＨ２３・ＵＨ２４が形成されている。係合凹部ＵＨ２３・ＵＨ２４は、係合凸部ＵＨ１５・ＵＨ１６と係合する役割を果たす。
【０３９２】
そして、上ドア機構ＤＵのスライド部材ＵＨ１の軸受部ＵＨ１２１・ＵＨ１３１を、キャビネットＧの軸部材ＵＨ２の軸部ＵＨ２１・ＵＨ２２に、上方から下方に被せるようにスライドさせて重合させ係合することにより、上ドア機構ＤＵをキャビネットＧに取付けることが可能となる。このとき係合凸部ＵＨ１５・ＵＨ１６と係合凹部ＵＨ２３・ＵＨ２４とが係合しないように、上ドア機構ＤＵは、キャビネットＧに対して９０°に開いた状態で取付作業を行うことが望ましい。
【０３９３】
ここで、本実施形態では、係合凸部ＵＨ１５・ＵＨ１６はキャビネットＧ側に突出しているが、この突出高さは、上ドア機構ＤＵが、キャビネットＧに対して６０°に開いた状態（図１２２参照）で、係合凸部ＵＨ１５・ＵＨ１６の係合凹部ＵＨ２３・ＵＨ２４に対する係合が解除される高さである。これにより、上ドア機構ＤＵを、キャビネットＧに対して６０°に開いた時に、上ドア機構ＤＵのスライド部材ＵＨ１の軸受部ＵＨ１２１・ＵＨ１３１を、キャビネットＧの軸部材ＵＨ２の軸部ＵＨ２１から、軸線ＵＨ１２１Ａの上方にスライドさせることにより、係合凸部ＵＨ１５・ＵＨ１６の係合凹部ＵＨ２３・ＵＨ２４に対する規制が解除された状態で、上ドア機構ＤＵを上方にスライドさせて、キャビネットＧから取り外すことが可能となる。
【０３９４】
なお、係合凸部ＵＨ１５・ＵＨ１６の突出高さを、本実施形態よりも低くすれば、上ドア機構ＤＵをキャビネットＧに対して６０°よりも小さい角度で、係合凸部ＵＨ１５・ＵＨ１６の係合凹部ＵＨ２３・ＵＨ２４に対する規制を解除することができ、上ドア機構ＤＵを上方にスライドさせて、キャビネットＧから取り外すことが可能となる。一方、係合凸部ＵＨ１５・ＵＨ１６の突出高さを、本実施形態よりも高くすれば、上ドア機構ＤＵをキャビネットＧに対して６０°よりも大きい角度で、係合凸部ＵＨ１５・ＵＨ１６の係合凹部ＵＨ２３・ＵＨ２４に対する規制を解除することができ、上ドア機構ＤＵを上方にスライドさせて、キャビネットＧから取り外すことが可能となる。
【０３９５】
上記構成によれば、上ドア機構ＤＵがキャビネットＧに対して所定の角度（本実施形態では６０°）に開くまでは、係合凸部ＵＨ１５・ＵＨ１６が係合凹部ＵＨ２３・ＵＨ２４に係合し、軸受部ＵＨ１２１・ＵＨ１３１が軸線ＵＨ１２１Ａに沿ってスライドするのを規制する。これにより、軸部ＵＨ２１・ＵＨ２２と軸受部ＵＨ１２１・ＵＨ１３１との重合が解除されるのを規制し、上ドア機構ＤＵがキャビネットＧから取り外されるのをロックすることができる。
一方、上ドア機構ＤＵがキャビネットＧに対して所定の角度以上に開くと、係合凸部ＵＨ１５・ＵＨ１６の係合凹部ＵＨ２３・ＵＨ２４に対する係合が解除され、軸受部ＵＨ１２１・ＵＨ１３１が軸線ＵＨ１２１Ａに沿ってスライド可能となる。これにより、軸部ＵＨ２１・ＵＨ２２と軸受部ＵＨ１２１・ＵＨ１３１との重合が解除され、上ドア機構ＤＵをキャビネットＧから取り外すことができるようになる。
即ち、上ドア機構ＤＵをキャビネットＧに対して所定の角度以上に開放した場合にだけ、上ドア機構ＤＵをキャビネットＧから取り外すことが可能となる。
また、上ドア機構ＤＵを開放状態（９０°の開放）まで開かなくても、上ドア機構ＤＵをキャビネットＧから取り外すことができる。
【０３９６】
図１２５に示すように、上ドア機構ＵＤは、上述の表示ユニットＡの映像を前方に透過させる上側表示窓ＵＤ１の上側及び左右側の各領域を発光させる機構を備えている。具体的には、上側表示窓ＵＤ１の上方に配置されたトップパネル機構ＨＡと、上側表示窓ＵＤ１の左上方向に配置された左上パネル機構ＨＢと、上側表示窓ＵＤ１の右上方向に配置された右上パネル機構ＨＣと、上側表示窓ＵＤ１の左方向上部に配置された左横パネル機構ＨＤと、上側表示窓ＵＤ１の右方向上部に配置された右横パネル機構ＨＥと、上側表示窓ＵＤ１の左方向下部に配置された左前パネル機構ＨＦと、上側表示窓ＵＤ１の右方向下部に配置された右前パネル機構ＨＧとを有している。各パネル機構ＨＡ・ＨＢ・ＨＣ・ＨＤ・ＨＥ・ＨＦ・ＨＧの詳細は後述する。
【０３９７】
図１２６に示すように、上ドア機構ＵＤの骨格を成すパネルベースＨＨを有している。パネルベースＨＨの前面側には、上述のパネル機構ＨＡ・ＨＢ・ＨＣ・ＨＤ・ＨＥ・ＨＦ・ＨＧが設けられている。一方、パネルベースＨＨの裏面側には、上ドア鍵受部材ＨＫと上ドアヒンジ部材ＨＭとセンターフレームＨＬとが設けられている。上ドア鍵受部材ＨＫは、パネルベースＨＨの右辺部にネジ締結されている。上ドアヒンジ部材ＨＭは、パネルベースＨＨの左辺部にネジ締結されている。センターフレームＨＬは、水平配置されており、右端部及び左端部がそれぞれ上ドア鍵受部材ＨＫ及び上ドアヒンジ部材ＨＭの下端部に接続されている。上ドア鍵受部材ＨＫ、上ドアヒンジ部材ＨＭ及びセンターフレームＨＬには、透明パネルＵＤ１１が設けられている。透明パネルＵＤ１１は、後方からネジ締結により取付け可能にされている。
【０３９８】
（上ドア機構ＵＤ：トップパネル機構ＨＡ：装飾ユニットＨＡ１）
図１２７に示すように、トップパネル機構ＨＡは、上ドア機構ＵＤの上部を発光させながら装飾する装飾ユニットＨＡ１を有している。装飾ユニットＨＡ１は、上側表示窓ＵＤ１よりも前方に突出された装飾凸部を形成している。装飾ユニットＨＡ１は、光を拡散させて装飾凸部表面から均一に放出させるシームレス構造のトップレンズ導光板ＨＡ１４を備えている。これにより、複数の部品を接合して装飾ユニットＨＡ１の導光板とした場合は、部品間の導光片の繋ぎ目部分に負荷が集中することになるが、シームレス構造のトップレンズ導光板ＨＡ１４であれば、負荷が一部分に集中するという事態を回避することができる。この結果、シームレス構造のトップレンズ導光板ＨＡ１４を備えた装飾ユニットＨＡ１により形成された装飾凸部は、全体として大きな剛性及び強度を有するため、遊技機の前方に位置する遊技者等から外力が付与された場合でも、変形や破損を起こし難いものになっている。
【０３９９】
装飾ユニットＨＡ１は、パネルベースＨＨに接続された後端部が上ドア機構ＵＤの左右方向の幅に略一致されており、パネルベースＨＨの左右方向の両端部から前端側にかけて左右方向の幅が減少され、前端中央部に頂点を有した形状に形成されている。即ち、装飾ユニットＨＡ１は、パネルベースＨＨ側を底辺とする略二等辺三角形状の形態を有している。
【０４００】
これにより、装飾ユニットＨＡ１は、パネルベースＨＨから遠ざかる前端部に近づくに従って曲げモーメントが増大することになっても、前端部側の左右方向の幅を減少させて重量を減少させることによって、剛性及び強度が高められている。この結果、装飾ユニットＨＡ１は、前側領域が大きな剛性及び強度を有するため、前方に位置する遊技者との接触等により外力が付与された場合でも、変形や破損を起こし難いものになっている。
【０４０１】
装飾ユニットＨＡ１は、トップレンズカバーＨＡ１１とトップデザインシートカバーＨＡ１２とデザインシートＨＡ１３とトップレンズ導光板ＨＡ１４とトップレンズ導光板ベースＨＡ１５とを上側からこの順に配置した状態で有している。また、装飾ユニットＨＡ１は、トップレンズ左ＬＥＤ基板ＨＡ１７とトップレンズ右ＬＥＤ基板ＨＡ１８とを有している。トップレンズ左ＬＥＤ基板ＨＡ１７及びトップレンズ右ＬＥＤ基板ＨＡ１８は、装飾ユニットＨＡ１の後端部における左側部及び右側部にそれぞれ配置されている。トップレンズ左ＬＥＤ基板ＨＡ１７及びトップレンズ右ＬＥＤ基板ＨＡ１８は、複数のＬＥＤＨＡ１７ａ・ＨＡ１８ａを左右方向に等間隔で有しており、これらのＬＥＤＨＡ１７ａ・ＨＡ１８ａから光を前方に出射するように設置されている。
【０４０２】
トップレンズカバーＨＡ１１は、装飾ユニットＨＡ１の上面壁を構成しており、光を透過可能に形成されている。トップレンズ導光板ＨＡ１４は、トップレンズ左ＬＥＤ基板ＨＡ１７及びトップレンズ右ＬＥＤ基板ＨＡ１８からの光を後端面から取り込んで前端面から均一に放出するように形成されており、デザインシートＨＡ１３のデザインをトップデザインシートカバーＨＡ１２を介してトップレンズカバーＨＡ１１に表示させるようになっている。トップレンズ導光板ベースＨＡ１５は、装飾ユニットＨＡ１の下面壁を構成しており、光を透過させないように形成されている。
【０４０３】
装飾ユニットＨＡ１は、トップレンズ導光板ベースＨＡ１５とトップレンズカバーＨＡ１１とで中空部を形成し、この中空部にトップデザインシートカバーＨＡ１２とデザインシートＨＡ１３とトップレンズ導光板ＨＡ１４とを収容している。これにより、トップレンズ導光板ベースＨＡ１５やトップレンズカバーＨＡ１１、トップレンズ導光板ＨＡ１４等を単純に積層して板状に形成した場合よりも、断面二次モーメントの大きな剛性の高い形態にされている。
【０４０４】
さらに、トップレンズ導光板ベースＨＡ１５には、開口部ＨＡ１５ａが形成されている。開口部ＨＡ１５ａは、後述のトップレンズ中ＬＥＤ基板ＨＡ４１１に対向配置されている。開口部ＨＡ１５ａには、トップレンズ中ＬＥＤ基板隠し部材ＨＡ１６が設けられており、トップレンズ中ＬＥＤ基板隠し部材ＨＡ１６は、トップレンズ中ＬＥＤ基板ＨＡ４１１のリフレクタとして機能していると共に、開口部ＨＡ１５ａの開閉窓として機能している。尚、トップレンズ中ＬＥＤ基板隠し部材ＨＡ１６は、トップレンズ中ＬＥＤ基板ＨＡ４１１からの光の一部を透過するように形成されていてもよい。
【０４０５】
図１２８に示すように、装飾ユニットＨＡ１は、前側領域が下方に湾曲されている。これにより、装飾ユニットＨＡ１は、上ドア機構ＵＤの前側上方と前方とに光を透過してデザインを目視可能にされている。また、トップレンズ導光板ＨＡ１４の下面は、光を反射するリフレクタとされている。これにより、装飾ユニットＨＡ１は、トップレンズ左ＬＥＤ基板ＨＡ１７及びトップレンズ右ＬＥＤ基板ＨＡ１８からの光が、下方に湾曲された前側領域を進行する際に、光の一部を裏面のリフレクタで反射角度を前側斜め下方向に変化させることを可能にしている。
【０４０６】
装飾ユニットＨＡ１の後方には、照射光装置Ｂが配置されている。ここで、装飾ユニットＨＡ１の後方は、装飾ユニットＨＡ１が前方に突出されているため、突出された分だけ大きなスペースが確保されている。これにより、装飾ユニットＨＡ１は、大きなスペースに設けられる上述のミラーによる光反射型の照射光装置Ｂについて、ミラーの配置の自由度を拡大することができる。さらに、装飾ユニットＨＡ１は、剛性及び強度が高いため、照射光装置Ｂを十分に保護することが可能になっている。
【０４０７】
図１２９に示すように、装飾ユニットＨＡ１におけるトップレンズカバーＨＡ１１は、下方に湾曲された前側領域が水平方向に配置された装飾ユニット支持機構ＨＩにより支持されている。装飾ユニット支持機構ＨＩは、トップレンズカバーＨＡ１１の裏面から後方に水平方向に突出された水平突出部ＨＡ１１ａと、パネルベースＨＨの前面から前方に水平方向に突出された水平突出部ＨＨ１と、水平突出部ＨＡ１１ａ・ＨＨ１同士をネジ締結した連結ネジＨＨ２とを左右方向に複数組み有している。
【０４０８】
これにより、装飾ユニットＨＡ１は、下方に湾曲された前側領域の裏面が、水平配置された装飾ユニット支持機構ＨＩを介してパネルベースＨＨに連結されることによって、前側領域の裏面が装飾ユニット支持機構ＨＩにより水平方向に支持された状態になる。従って、装飾ユニットＨＡ１は、前側領域が前後方向に大きな剛性及び強度を有する構造にされている。
【０４０９】
（上ドア機構ＵＤ：トップパネル機構ＨＡ：左端発光機構ＨＡ２、右端発光機構ＨＡ３）
図１３０に示すように、トップパネル機構ＨＡは、上ドア機構ＵＤの左端領域を面状に発光させる左端発光機構ＨＡ２と、上ドア機構ＵＤの右端領域を面状に発光させる右端発光機構ＨＡ３とを有している。具体的に説明すると、左端発光機構ＨＡ２は、左上スピーカ装置ＵＤ２の左後方に配置されている。左端発光機構ＨＡ２は、左ＬＥＤ基板ＨＡ２１を有している。左ＬＥＤ基板ＨＡ２１は、基板表面が前側を向くように設定されている。左ＬＥＤ基板ＨＡ２１の基板表面には、２個のＬＥＤＨＡ２２が配置されている。これらのＬＥＤＨＡ２２は、基板表面の法線方向に光を出射するように設定されており、左上スピーカ装置ＵＤ２の左側の領域（上ドア機構ＵＤの左端領域）を所定以上の光強度で発光させるようになっている。
【０４１０】
一方、右端発光機構ＨＡ３は、右上スピーカ装置ＵＤ３の右後方に配置されている。右端発光機構ＨＡ３は、右ＬＥＤ基板ＨＡ３１を有している。右ＬＥＤ基板ＨＡ３１は、基板表面が前側を向くように設定されている。右ＬＥＤ基板ＨＡ３１の基板表面には、２個のＬＥＤＨＡ３２が配置されている。これらのＬＥＤＨＡ３２は、基板表面の法線方向に光を出射するように設定されており、右上スピーカ装置ＵＤ３の右側の領域（上ドア機構ＵＤの右端領域）を所定以上の光強度で発光させるようになっている。
【０４１１】
（上ドア機構ＵＤ：トップパネル機構ＨＡ：中央発光機構ＨＡ４）
トップパネル機構ＨＡは、さらに中央発光機構ＨＡ４を有している。中央発光機構ＨＡ４は、左端発光機構ＨＡ２及び右端発光機構ＨＡ３間である上ドア機構ＵＤの中央側に配置されている。中央発光機構ＨＡ４は、左端発光機構ＨＡ２及び右端発光機構ＨＡ３では所定以上の光強度で発光させることが困難な領域を発光させるように構成されている。
【０４１２】
具体的に説明すると、中央発光機構ＨＡ４は、左端領域側の左周辺領域及び右端領域側の右周辺領域を発光させる第１照光機構ＨＡ４１と、装飾ユニットＨＡ１の前端部を発光させる第２照光機構ＨＡ４２と、装飾ユニットＨＡ１の下側部を発光させる第３照光機構ＨＡ４３とを有している。尚、本実施形態においては、第１照光機構ＨＡ４１が左端領域側の左周辺領域及び右端領域側の右周辺領域の両領域を発光させる構成について説明するが、これに限定されるものではなく、第１照光機構ＨＡ４１が左端領域側の左周辺領域及び右端領域側の右周辺領域の少なくとも一方の領域を発光させる構成にされててもよい。
【０４１３】
（上ドア機構ＵＤ：トップパネル機構ＨＡ：中央発光機構ＨＡ４：第１照光機構ＨＡ４１）
図１３１にも示すように、第１照光機構ＨＡ４１は、装飾ユニットＨＡ１における略中央部の下側に配置されたトップレンズ中ＬＥＤ基板ＨＡ４１１を有している。中央発光機構ＨＡ４は、トップレンズ中ＬＥＤ基板ＨＡ４１１から出射された光を導光機構により左周辺領域及び右周辺領域に導光することによって、左端発光機構ＨＡ２や右端発光機構ＨＡ３では導光し難い領域においても、所定以上の光強度で発光させることができるように構成されている。即ち、第１照光機構ＨＡ４１は、トップレンズ中ＬＥＤ基板ＨＡ４１１の上面に設けられた複数の上側光源となるＬＥＤＨＡ４１１１と、トップレンズ中ＬＥＤ基板ＨＡ４１１の下面及び側面を覆うように配置されたトップレンズ中リフレクタＨＡ４１２とを有している。尚、トップレンズ中ＬＥＤ基板ＨＡ４１１の上面は、図１２７の装飾ユニットＨＡ１のトップレンズ中ＬＥＤ基板隠し部材ＨＡ１６により覆われており、このトップレンズ中ＬＥＤ基板隠し部材ＨＡ１６がＬＥＤＨＡ４１１１の光を反射するリフレクタとして機能している。
【０４１４】
トップレンズ中ＬＥＤ基板ＨＡ４１１の上面には、ＬＥＤＨＡ４１１１からの光を左右の上側導光領域に導光して面状に発光させる透光性の左導光レンズＨＡ４１３と透光性の右導光レンズＨＡ４１４とをトップレンズ中ＬＥＤ基板ＨＡ４１１を中心として左右対称に配置した構成の上側導光機構が設けられている。具体的に説明すると、トップレンズ中ＬＥＤ基板ＨＡ４１１の左端部上面には、水平配置された左導光レンズＨＡ４１３の右端部が配置されており、この右端部の端面からＬＥＤＨＡ４１１１の光を入射可能にされている。左導光レンズＨＡ４１３は、左端部が左上スピーカ装置ＵＤ２の上方に位置されており、中部から左端部にかけて光を上方に出射することによって、上ドア機構ＵＤの左端領域から中心側の上側導光領域を発光させるようになっている。
【０４１５】
一方、トップレンズ中ＬＥＤ基板ＨＡ４１１の右端部上面には、水平配置された右導光レンズＨＡ４１４の左端部が配置されており、この左端部の端面からＬＥＤＨＡ４１１１の光を入射可能にされている。右導光レンズＨＡ４１４は、右端部が右上スピーカ装置ＵＤ３の上方に位置されており、中部から右端部にかけて光を上方に出射することによって、上ドア機構ＵＤの右端領域から中心側の領域（上側導光領域）を発光させるようになっている。
【０４１６】
図１３２に示すように、トップレンズ中ＬＥＤ基板ＨＡ４１１の下面には、下側光源からの光を下側導光領域に導光して面状に発光させる下側導光機構が設けられている。具体的に説明すると、トップレンズ中ＬＥＤ基板ＨＡ４１１の下面には、下側光源となるＬＥＤＨＡ４１１２が複数設けられている。トップレンズ中ＬＥＤ基板ＨＡ４１１の右端部下面には、水平配置された透光性の右ダウンライトレンズＨＡ４１５の左端部が配置されており、この左端部の端面からＬＥＤＨＡ４１１２の光を入射可能にされている。右ダウンライトレンズＨＡ４１５は、右端部が右上スピーカ装置ＵＤ３の上方に位置されており、中部から右端部にかけて光を下方に出射することによって、上ドア機構ＵＤの左端領域から中心側の下側導光領域を発光させるようになっている。即ち、右ダウンライトレンズＨＡ４１５は、パネルベースＨＨの右上スピーカ装置ＵＤ３の前方領域である下側導光領域ＨＡ５ｄ（図１２５参照）周辺を照射し、非透光性の下側導光領域ＨＡ５ｄ周辺の部材がリフレクタとして機能されることで発光される。また、下側導光機構は、右ダウンライトレンズＨＡ４１５と同一構成の図示しない左ダウンライトレンズを有している。左ダウンライトレンズ及び右ダウンライトレンズＨＡ４１５は、トップレンズ中ＬＥＤ基板ＨＡ４１１を中心として左右対称に配置されている。
【０４１７】
（上ドア機構ＵＤ：トップパネル機構ＨＡ：中央発光機構ＨＡ４：第２照光機構ＨＡ４２）
図１３１に示すように、第２照光機構ＨＡ４２は、トップレンズ中ＬＥＤ基板ＨＡ４１１の下方に配置された中央レンズ上ＬＥＤ基板ＨＡ４２１を有している。中央レンズ上ＬＥＤＨＡ４２１の上面には、複数のＬＥＤＨＡ４２１１が設けられている。ＬＥＤＨＡ４２１１の下面は、中央レンズリフレクタＨＡ４２２により覆われている。
【０４１８】
図１３３に示すように、中央レンズ上ＬＥＤ基板ＨＡ４２１の上面は、トップレンズ導光板ベースＨＡ１５により覆われている。また、中央レンズ上ＬＥＤ基板ＨＡ４２１の下方には、透光性のセンターレンズＡ４２３が配置されている。センターレンズＡ４２３は、上端部がトップレンズ導光板ベースＨＡ１５とパネルベースＨＨとの隙間から中央レンズ上ＬＥＤ基板ＨＡ４２１が露出するように設けられており、上端部の端面からＬＥＤＨＡ４２１１の光を入射し、トップレンズ導光板ベースＨＡ１５の下端部に沿うように形成及び配置された下端面から出射するようになっている。
【０４１９】
（上ドア機構ＵＤ：トップパネル機構ＨＡ：中央発光機構ＨＡ４：第３照光機構ＨＡ４３）
第３照光機構ＨＡ４３は、中央レンズ上ＬＥＤ基板ＨＡ４２１の後側に配置された中央下ＬＥＤ基板ＨＡ４３１を有している。中央下ＬＥＤ基板ＨＡ４３１は、前面の法線方向が前方向に略一致するように設けられている。中央下ＬＥＤ基板ＨＡ４３１の前面には、複数のＬＥＤＨＡ４３１１が設けられている。中央下ＬＥＤ基板ＨＡ４３１の前方には、透光性の中央下レンズＨＡ４３２が配置されている。中央下レンズＨＡ４３２は、パネルベースＨＨの下方に設けられており、ＬＥＤＨＡ４３１１の光を装飾ユニットＨＡ１における下側領域を発光させるようになっている。
【０４２０】
（上ドア機構ＵＤ：左横パネル機構ＨＤ・右横パネル機構ＨＥ・左前パネル機構ＨＦ・右前パネル機構ＨＧ）
以下、左横パネル機構ＨＤ及び左前パネル機構ＨＦを一体とした機構を左パネル機構ＨＪとし、右横パネル機構ＨＥ及び右前パネル機構ＨＧを一体とした機構を右パネル機構ＨＫとして説明する。左パネル機構ＨＪ及び右パネル機構ＨＫは、演出装置としてのスクリーン機構Ｄ前面の側方に配置される発光ユニットとして機能する。左パネル機構ＨＪと右パネル機構Ｋとは、スクリーン機構Ｄを挟んで左右対称で同様に構成されるため、左パネル機構ＨＪについてのみ説明を行う。
【０４２１】
図１３４及び図１３５に示すように、左パネル機構ＨＪは、仕切り部材として機能する仕切り機構ＨＪ２と、側面透光部材として機能する左上側面レンズＨＪ３と、前面透光部材として機能する左下レンズＨＪ４と、内側導光部材ＨＪ５とを有している。左パネル機構ＨＪは、後述する光源装置としての左ＬＥＤ基板ＨＪ１を有しており、左ＬＥＤ基板ＨＪ１からの光が、左上側面レンズＨＪ３、左下レンズＨＪ４、及び、左導光板ＨＪ５から外部へ出射されるように構成される。
【０４２２】
具体的に、図１３６及び図１３７に示すように、左パネル機構ＨＪは、左上側面レンズＨＪ３と、左下レンズＨＪ４と、仕切り機構ＨＪ２として機能する仕切り板ＨＪ２１及び左ＬＥＤ基板ケースＨＪ２２と、左ＬＥＤ基板ＨＪ１と、内側導光部材ＨＪ５として機能する左導光板ＨＪ５１及び左ＬＥＤ基板カバーＨＪ５２とを有している。
【０４２３】
左ＬＥＤ基板ＨＪ１は、基板表面の法線方向が前方向に略一致するように設定されている。左ＬＥＤ基板ＨＪ１の前側表面には、４個のＬＥＤＨＪ１１と、６個のＬＥＤＨＪ１２とが配置されている。これらのＬＥＤＨＪ１１・ＬＥＤＨＪ１２は、基板表面の法線方向（前方向）に光を出射するように設定されている。また、ＬＥＤＨＪ１１・ＬＥＤＨＪ１２が配置された表面とは反対側の左ＬＥＤ基板ＨＪ１の表面には、６個のＬＥＤＨＪ１３が配置されている。これらのＬＥＤＨＪ１３は、基板表面の法線方向（後方向）に光を出射するように設定されている。
【０４２４】
左ＬＥＤ基板ＨＪ１は、上下方向に長手方向を有する平板状に形成されていると共に、上端領域が右方向へ幅広に形成されている。ＬＥＤＨＪ１２は、この長手方向の左縁部に沿うように、上端から中央に掛けて略均等に１列に配設される。また、ＬＥＤＨＪ１１は、中央部から左下端部へ傾きを持った直線上に、２個の組が当該組よりも広い間隔を有して１列に配設される。また、ＬＥＤＨＪ１３は、ＬＥＤＨＪ１１及びＬＥＤＨＪ１２とは反対側の面の右縁部に沿うように、中央領域上端から下端に掛けて略均等に１列に配設される。
【０４２５】
左ＬＥＤ基板ケースＨＪ２２は、正面視が左ＬＥＤ基板ＨＪ１と略同形状に形成された左ＬＥＤ基板ＨＪ１を前側から収容するケースである。左ＬＥＤ基板ケースＨＪ２２には、ＬＥＤＨＪ１１からの前方向への光を通過させるための貫通孔ＨＪ２２１が、各ＬＥＤＨＪ１１に対応する位置に夫々形成されている。また、左ＬＥＤ基板ケースＨＪ２２には、ＬＥＤＨＪ１２からの前方向への光を通過させるための貫通孔ＨＪ２２２が、各ＬＥＤＨＪ１２に対応する位置に夫々形成されている。即ち、４個の貫通孔ＨＪ２２１が一直線上に配置されていると共に、６個の貫通孔ＨＪ２２２が一直線上に配置されている。これら４個の貫通孔ＨＪ２２１が形成される平面領域ＨＪ２２ａと、６個の貫通孔ＨＪ２２２が形成される平面領域ＨＪ２２ｂとは、左ＬＥＤ基板ケースＨＪ２２の表面の中央左端から上端へ到る屈曲線によって区分される。平面領域ＨＪ２２ａは、平面領域ＨＪ２２ｂよりも前方向へ高く設定され、段差ＨＪ２２ｃが形成されている。
【０４２６】
図１３８に示すように、仕切り板ＨＪ２１は、側面視で頂点を前端に有する山形の形状を有している。具体的に、仕切り板ＨＪ２１は、平面領域ＨＪ２２ｂを底面とする略角錐形状に形成されている。仕切り板ＨＪ２１は、平面領域ＨＪ２２ｂ側の底面と、左側面とが開放されている。また、仕切り板ＨＪ２１の上側壁面は、平面領域ＨＪ２２ｂの上縁から前方へ左右方向の幅が減少されながら下方向へ傾斜を持って頂点へ到達するように形成されている。また、仕切り板ＨＪ２１の右側壁面は、前方へ上下方向の幅が減少されながら左方向へ傾斜を持って頂点へ到達するように形成されている。このように、仕切り板ＨＪ２１の右側壁面は、段差ＨＪ２２ｃから延長されるように形成されている。即ち、仕切り板ＨＪ２１と段差ＨＪ２２ｃとは、左ＬＥＤ基板ＨＪ１から前方向へ照射される光をＬＥＤＨＪ１１とＬＥＤＨＪ１２との夫々に区分することができるようになっている。
【０４２７】
左上側面レンズＨＪ３は、周縁形状が仕切り板ＨＪ２１の開放された左側面に略一致する略三角形の平板状に形成されている。即ち、仕切り板ＨＪ２１と、左上側面レンズＨＪ３と、左ＬＥＤ基板ＨＪ１とで、ＬＥＤＨＪ１２から光が照射される内部空間ＨＪ２３を形成している。左上側面レンズＨＪ３は、光を透過可能な素材で形成されており、筐体２の左側面の一部を構成している。
【０４２８】
図１３９に示すように、ＬＥＤＨＪ１２の前方向に、仕切り板ＨＪ２１の右側壁面が存在している。従って、ＬＥＤＨＪ１２から照射される光の一部は、仕切り板ＨＪ２１によって反射される。仕切り板ＨＪ２１の右側壁面は傾斜を有しているため、少なくとも左方向への成分を有した光へ反射されることになる。このように、仕切り板ＨＪ２１によって反射された光は左上側面レンズＨＪ３へ到達する。左上側面レンズＨＪ３は、内壁面が、内側に頂点を有する四角錐をマトリクス状に配列したように装飾が施されている。これにより、左上側面レンズＨＪ３へ到達した光は、乱屈折されて外部へ透過されることになる。このように、仕切り板ＨＪ２１と段差ＨＪ２２ｃとを有する仕切り機構ＨＪ２は、前方向への光を２つに区分し、一方に区分された光を側面方向へ導光することができる。また、左上側面レンズＨＪ３は、仕切り構造ＨＪ２によって導光された一方に区分された光を透過させることができる。仕切り板ＨＪ２１は、反射率を高くするための白色であることが好ましいがこれに限定されない。
【０４２９】
左下レンズＨＪ４は、左ＬＥＤ基板ケースＨＪ２２の平面領域ＨＪ２２ａとで内部空間ＨＪ４１を形成するように、左ＬＥＤ基板ケースＨＪ２２の前方に配置される。左下レンズＨＪ４は、透光性の素材で形成されており、筐体２の左側面の一部を構成している。
【０４３０】
図１３９に示すように、ＬＥＤＨＪ１１の前方向に、左下レンズＨＪ４の前側壁面が存在している。従って、ＬＥＤＨＪ１１から照射される光は、左下レンズＨＪ４に到達する。左下レンズＨＪ４は、内壁面が側面視断面がジグザグ形状に装飾が施されている。これにより、左下レンズＨＪ４へ到達した光は、乱屈折されて外部へ透過されることになる。このように、左下レンズＨＪ４は、仕切り構造ＨＪ２によって他方に区分された光を透過させることができる。尚、左上側面レンズＨＪ３や左下レンズＨＪ４の内壁面の装飾構造はこれに限定されず、入射された光を乱屈折させて外部へ出射させるものであればよい。
【０４３１】
図１４０に示すように、左導光板ＨＪ５１は、光入射部ＨＪ５１１と、光路部ＨＪ５１２と、発光部ＨＪ５１３とを有している。左導光板ＨＪ５１は、透光素材により形成されている。光入射部ＨＪ５１１は、上下に長手方向を有する平板状に形成されている。光入射部ＨＪ５１１には、上下の２箇所に窪みを有しており、当該窪みそれぞれの左右方向中央に、上下方向に延在する断面凸状の突出部ＨＪ５１１ａを有している。また、光入射部ＨＪ５１１には、突出部ＨＪ５１１ａの左側に隣接して延在する貫通孔ＨＪ５１１ｂを有している。左ＬＥＤ基板カバーＨＪ５２は、左導光板ＨＪ５１の光入射部ＨＪ５１１の後側面に係合する形状を有している。左ＬＥＤ基板カバーＨＪ５２は、左右方向中央に、上下方向に延在する断面凸状の突出部ＨＪ５２ａを有しており、貫通孔ＨＪ５１１ｂに嵌合されている。左ＬＥＤ基板カバーＨＪ５２は、非透光素材により形成されている。
【０４３２】
突出部ＨＪ５１１ａは、左ＬＥＤ基板ＨＪ１に配列されたＬＥＤＨＪ１３に対向して設けられている。ＬＥＤＨＪ１３からの光は、突出部ＨＪ５１１ａの前側から入射される。左導光板ＨＪ５１は、突出部ＨＪ５１１ａへの入射光の進行方向に、右方向へ入射面が略４５度傾斜された傾斜面ＨＪ５１１ｃを有している。傾斜面ＨＪ５１１ｃは、左ＬＥＤ基板カバーＨＪ５２に接触するように配設されるため、突出部ＨＪ５１１ａへ入射された光は、傾斜面ＨＪ５１１ｃで反射された後に右方向へ進行される。右方向へ進行された光は、光路部ＨＪ５１２を通過し、発光部ＨＪ５１３に至る。光路部ＨＪ５１２は、光入射部ＨＪ５１１の右端部から後方向へ屈曲されるように形成されている。光路部ＨＪ５１２は、法線方向が右前方向となるように設定されている。発光部ＨＪ５１３は、光路部ＨＪ５１２の右端部から屈曲されるように形成されている。発光部ＨＪ５１３は、法線方向が右前方向となるように設定されている。また、発光部ＨＪ５１３は、右端部において正面視断面がジグザグ形状に装飾されている。これにより、発光部ＨＪ５１３の右端部に到達した光が乱屈折され、スクリーン機構Ｄ等の前面部等へ照射されることになる。
【０４３３】
（上ドア機構ＵＤ：左上パネル機構ＨＢ・右上パネル機構ＨＣ）
以下、左上パネル機構ＨＢと右上パネル機構ＨＣとは、を挟んで左右対称で同様に構成されるため、左上パネル機構ＨＢについてのみ説明を行う。
【０４３４】
図１４１に示すように、左上パネル機構ＨＢは、パネルベースＨＨの左上端部と、トップパネル機構ＨＡのトップレンズカバーＨＡ１１の左後端部とに形成された略三角形状の隙間に嵌め込まれるように配置される。左上パネル機構ＨＢは、上面視が左前角部に直角を有する略直角三角形状を有し、後端から前端にかけて左右方向の幅が拡大されている上面部ＨＢ１を有している。パネルベースＨＨの左上端部には、後方からタイトねじＨＨ４が螺合可能にされている。タイトねじＨＨ４は、パネルベースＨＨの前方まで突出し、左上パネル機構ＨＢに嵌合することが可能にされている。
【０４３５】
図１４２に示すように、左上パネル機構ＨＢは、後端部に嵌合部ＨＢ１１を有しており、タイトねじＨＨ４が嵌合される。また、左上パネル機構ＨＢは左前端部から下方向へ立ち下げられたように形成されたフレーム部ＨＢ２を有している。フレーム部ＨＢ２は、下端部に、後方へ突出し下方へ屈曲される規制部ＨＢ２１を有している。規制部ＨＢ２１は、パネルベースＨＨに左上パネル機構ＨＢを取り付けた際、フレーム部ＨＢ２に係合するパネルベースＨＨの嵌め込み部ＨＨ３の後方位置まで延在することになる。即ち、規制部ＨＢ２１が嵌め込み部ＨＨ３の後方位置に存在しているため、前方方向への移動が規制されることになる。フレーム部ＨＢ２は、内壁面が、内側へ突出する三角錐形状が配列されたような装飾が施されており、後方からの光源からの光を乱屈折可能にしている。
【０４３６】
図１４３及び図１４４に示すように、左上パネル機構ＨＢは、係止片ＨＢ１２・ＨＢ１３・ＨＢ１４を有している。係止片ＨＢ１２・ＨＢ１３・ＨＢ１４は、嵌め込み部ＨＨ３よりも前方側のトップレンズカバーＨＡ１１の隣接箇所に配置され、嵌合部ＨＢ１１の嵌め込み方向と異なる方向であり当該配置箇所からトップレンズカバーＨＡ１１へ向かう方向へ突出するように形成されている。具体的に、係止片ＨＢ１２は、嵌合部ＨＢ１１右縁部の後端領域に位置し、嵌合部ＨＢ１１の嵌め込み方向と略垂直の右方向へ突出している。係止片ＨＢ１３は、嵌合部ＨＢ１１右縁部の略中央に位置し、嵌合部ＨＢ１１の嵌め込み方向と略４５度の角度で右後方向へ突出している。係止片ＨＢ１４は、嵌合部ＨＢ１１右縁部の前端部に位置し、嵌合部ＨＢ１１の嵌め込み方向と略垂直の右方向へ突出している。係止片ＨＢ１２・ＨＢ１３・ＨＢ１４は、上面部ＨＢ１の外表面よりも下位置から突出されている。
【０４３７】
一方、トップレンズカバーＨＡ１１には、係止片ＨＢ１２・ＨＢ１３・ＨＢ１４に係合した形状の切欠部ＨＡ１１１・ＨＡ１１２・ＨＡ１１３が形成されている。切欠部ＨＡ１１１・ＨＡ１１２・ＨＡ１１３は、トップレンズカバーＨＡ１１の内壁面に形成された切欠である。この切欠部ＨＡ１１１・ＨＡ１１２・ＨＡ１１３に、係止片ＨＢ１２・ＨＢ１３・ＨＢ１４が係合された状態でトップレンズカバーＨＡ１１に隣接させ、嵌合部ＨＢ１１に、パネルベースＨＨを介してタイトねじＨＨ４を嵌合させることで、左上パネル機構ＨＢは、パネルベースＨＨとトップレンズカバーＨＡ１１により水平方向への移動が規制されることになる。また、規制部ＨＢ２１により左上パネル機構ＨＢの前方への移動が規制されることになる。
【０４３８】
以上、本発明の実施形態に係る遊技機１について説明した。上述した実施形態に係る遊技機１は、以下の特徴を備えている。
（１−１）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたピン受け部（スライド溝Ｅ２２ｂ）に対して、前記ピン受け部（スライド溝Ｅ２２ｂ）の内部を移動可能なピン（スライド部材Ｅ２６）を介して、動力源（駆動モータＥ２５）から発生した駆動力を伝達する駆動力伝達機構（クランクギアＥ２１）と、を備え、
前記アーム（クランク部材Ｅ２２）は、前記ピン（スライド部材Ｅ２６）が前記ピン受け部（スライド溝Ｅ２２ｂ）の内部を移動することにより前記ピン（スライド部材Ｅ２６）を介して前記ピン受け部（スライド溝Ｅ２２ｂ）に駆動力が伝達されることと連動して動作を行う一方、前記表示手段（フロントスクリーン機構Ｅ１）は、前記アーム（クランク部材Ｅ２２）の動作に連動して第１の位置（フロント待機位置）と第２の位置（フロント露出位置）との間で動作を行い、
前記ピン受け部（スライド溝Ｅ２２ｂ）は、前記表示手段（フロントスクリーン機構Ｅ１）が前記第１の位置（フロント待機位置）から前記第２の位置（フロント露出位置）に向けて動作を開始する際に前記ピン（スライド部材Ｅ２６）を介して前記ピン受け部（スライド溝Ｅ２２ｂ）に駆動力が伝達されず、前記表示手段（フロントスクリーン機構Ｅ１）が前記第２の位置（フロント露出位置）から前記第１の位置（フロント待機位置）に向けて動作を開始する際に前記ピン（スライド部材Ｅ２６）を介して前記ピン受け部（スライド溝Ｅ２２ｂ）に駆動力が伝達されない方向に沿って形成されている。
【０４３９】
（１−２）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたスライド溝（スライド溝Ｅ２２ｂ）に対して、前記スライド溝（スライド溝Ｅ２２ｂ）の内部を摺動可能なスライド部材（スライド部材Ｅ２６）を介して、モータ（駆動モータＥ２５）から発生した駆動力を伝達するギア（クランクギアＥ２１）と、を備え、
前記アーム（クランク部材Ｅ２２）は、前記スライド部材（スライド部材Ｅ２６）が前記スライド溝（スライド溝Ｅ２２ｂ）の内部を摺動することにより前記スライド部材（スライド部材Ｅ２６）を介して前記スライド溝（スライド溝Ｅ２２ｂ）に駆動力が伝達されることと連動して動作を行う一方、前記表示手段（フロントスクリーン機構Ｅ１）は、前記アーム（クランク部材Ｅ２２）の動作に連動して第１の位置（フロント待機位置）と第２の位置（フロント露出位置）との間で動作を行い、
前記スライド溝（スライド溝Ｅ２２ｂ）は、前記表示手段（フロントスクリーン機構Ｅ１）が前記第１の位置（フロント待機位置）から前記第２の位置（フロント露出位置）に向けて動作を開始する時点における前記スライド部材（スライド部材Ｅ２６）の移動方向、及び、前記表示手段（フロントスクリーン機構Ｅ１）が前記第２の位置（フロント露出位置）から前記第１の位置（フロント待機位置）に向けて動作を開始する時点における前記スライド部材（スライド部材Ｅ２６）の移動方向と略平行となるように、溝壁面（溝壁面Ｅ２２ｂ１）が形成されている。
【０４４０】
上述した実施形態に係る遊技機１によれば、スライド溝Ｅ２２ｂは、フロントスクリーン機構Ｅ１がフロント待機位置からフロント露出位置に向けて動作を開始する時点におけるスライド部材Ｅ２６の移動方向、及び、フロントスクリーン機構Ｅ１がフロント露出位置からフロント待機位置に向けて動作を開始する時点におけるスライド部材Ｅ２６の移動方向と略平行となるように、溝壁面Ｅ２２ｂ１が形成されている。そのため、フロントスクリーン機構Ｅ１がフロント待機位置からフロント露出位置に向けて動作を開始する際にスライド部材Ｅ２６を介してスライド溝Ｅ２２ｂに駆動力が伝達されず、フロントスクリーン機構Ｅ１がフロント露出位置からフロント待機位置に向けて動作を開始する際にスライド部材を介してスライド溝Ｅ２２ｂに駆動力が伝達されない。
【０４４１】
従って、フロントスクリーン機構Ｅ１がフロント待機位置からフロント露出位置に向けて動作を開始する際、及び、フロントスクリーン機構Ｅ１がフロント露出位置からフロント待機位置に向けて動作を開始する際、フロントスクリーン機構Ｅ１の動作を緩やかなものとすることができる。これにより、フロントスクリーン機構Ｅ１の駆動を滑らかに行うことが可能となり、フロントスクリーン機構Ｅ１や駆動モータＥ２５に対する負荷を軽減することができる。その結果、フロントスクリーン機構Ｅ１や駆動モータＥ２５が損傷してしまうことを防止することができる。また、パルスの出力を工夫しなくても、フロントスクリーン機構Ｅ１の駆動を滑らかに行うことができるため、複雑な励磁制御を行う必要がなく、フロントスクリーン機構Ｅ１の駆動に係る制御負荷を低く抑えることができる。
【０４４２】
また、フロントスクリーン機構Ｅ１の駆動を滑らかに行うために励磁制御を行う必要がある場合には、フロントスクリーン機構Ｅ１のサイズを変更した場合等に、励磁制御の設計も変更する必要があり、非常に手間がかかる。この点、上述した実施形態に係る遊技機１によれば、励磁制御を行わなくてもフロントスクリーン機構Ｅ１の駆動を滑らかに行うことができるため、このような手間が発生することがなく、フロントスクリーン機構Ｅ１のサイズ等の仕様の変更に容易に対応することができる。
【０４４３】
上述した実施形態では、フロントスクリーン機構Ｅ１がフロント待機位置からフロント露出位置に向けて動作を開始する際にスライド部材Ｅ２６を介してスライド溝Ｅ２２ｂに駆動力が伝達されず、フロントスクリーン機構Ｅ１がフロント露出位置からフロント待機位置に向けて動作を開始する際にスライド部材を介してスライド溝Ｅ２２ｂに駆動力が伝達されないこととして説明した。すなわち、フロントスクリーン機構Ｅ１がフロント待機位置からフロント露出位置に向けて動作を開始する際、及び、フロントスクリーン機構Ｅ１がフロント露出位置からフロント待機位置に向けて動作を開始する際の双方で、スライド溝Ｅ２２ｂに駆動力が伝達されないこととして説明した。しかし、本発明においては、フロントスクリーン機構がフロント待機位置からフロント露出位置に向けて動作を開始する際、及び、フロントスクリーン機構がフロント露出位置からフロント待機位置に向けて動作を開始する際の一方でのみ、スライド溝に駆動力が伝達されないこととしてもよい。
【０４４４】
ここで、表示手段が第１の位置にある場合におけるピンの位置（ピン受け部を基準とした相対的な位置）を第１所定位置と表記し、表示手段が第２の位置にある場合におけるピンの位置（ピン受け部を基準とした相対的な位置）を第２所定位置と表記する。この場合、ピン受け部における第１所定位置は、表示手段が第１の位置から第２の位置に向けて動作を開始する時点におけるピンの移動方向（ピン受け部とは無関係に、実際にピンが移動しようとする方向）に沿って形成されており、ピン受け部における第２所定位置は、表示手段が第２の位置から第１の位置に向けて動作を開始する時点におけるピンの移動方向（ピン受け部とは無関係に、実際にピンが移動しようとする方向）に沿って形成されていることとしてもよい。第１所定位置と第２所定位置とは、同じ位置であっても異なる位置であってもよい。
【０４４５】
さらに、駆動力伝達機構は、動力源から発生した駆動力に応じて第１の直線を軸として回動する駆動力伝達体（例えば、ギア）を備え、ピンは、駆動力伝達体に固定されていてもよい。そして、ピン受け部における第１所定位置は、第１所定位置にあるピン、及び、第１の直線と駆動力伝達体との交点（例えば、ギアの中心）を結ぶ直線と垂直な方向に形成されており、ピン受け部における第２所定位置は、第２所定位置にあるピン、及び、第１の直線と駆動力伝達体との交点（例えば、ギアの中心）を結ぶ直線と垂直な方向に形成されていてもよい。
【０４４６】
これにより、ピン受け部における第１所定位置の方向は、表示手段が第１の位置から第２の位置に向けて動作を開始する際にピンが移動しようとする方向（駆動力伝達体と同心の円であって、駆動力伝達体の中心と第１所定位置にあるピンとの距離を半径とする円の接線方向）と一致し、ピン受け部における第２所定位置は、表示手段が第２の位置から第１の位置に向けて動作を開始する際にピンが移動しようとする方向（駆動力伝達体と同心の円であって、駆動力伝達体の中心と第２所定位置にあるピンとの距離を半径とする円の接線方向）と一致する。従って、表示手段が第１の位置から第２の位置に向けて動作を開始する際にピンを介してピン受け部に駆動力が伝達されず、表示手段が第２の位置から第１の位置に向けて動作を開始する際にピンを介してピン受け部に駆動力が伝達されない。これにより、表示手段が第１の位置及び第２の位置付近にあるとき、表示手段の動作を緩やかなものとすることができる。
【０４４７】
前記駆動機構によって駆動される対象は、特に限定されず、前記駆動機構は、以下の駆動機構であってもよい。
【０４４８】
可動体を駆動するための駆動機構であって、
前記可動体に連結されたアームと、
前記アームに形成されたピン受け部に対して、前記ピン受け部の内部を移動可能なピンを介して、動力源から発生した駆動力を伝達する駆動力伝達機構と、を備え、
前記アームは、前記ピンが前記ピン受け部の内部を移動することにより前記ピンを介して前記ピン受け部に駆動力が伝達されることと連動して動作を行う一方、前記可動体は、前記アームの動作に連動して第１の位置と第２の位置との間で動作を行い、
前記ピン受け部は、前記可動体が前記第１の位置から前記第２の位置に向けて動作を開始する際に前記ピンを介して前記ピン受け部に駆動力が伝達されず、前記可動体が前記第２の位置から前記第１の位置に向けて動作を開始する際に前記ピンを介して前記ピン受け部に駆動力が伝達されない方向に沿って形成されている、
ことを特徴とする駆動機構。
【０４４９】
可動体を駆動するための駆動機構であって、
前記可動体に連結されたアームと、
前記アームに形成されたピン受け部に対して、前記ピン受け部の内部を移動可能なピンを介して、動力源から発生した駆動力を伝達する駆動力伝達機構と、を備え、
前記アームは、前記ピンが前記ピン受け部の内部を移動することにより前記ピンを介して前記ピン受け部に駆動力が伝達されることと連動して動作を行う一方、前記可動体は、前記アームの動作に連動して第１の位置と第２の位置との間で動作を行い、
前記ピン受け部は、前記可動体が前記第１の位置から前記第２の位置に向けて動作を開始する時点における前記ピンの移動方向、及び、前記可動体が前記第２の位置から前記第１の位置に向けて動作を開始する時点における前記ピンの移動方向に沿って形成されている、
ことを特徴とする駆動機構。
【０４５０】
（２−１）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたピン受け部（スライド溝Ｅ２２ｂ）に対して、前記ピン受け部（スライド溝Ｅ２２ｂ）の内部を移動可能なピン（スライド部材Ｅ２６）を介して、動力源（駆動モータＥ２５）から発生した駆動力を伝達する駆動力伝達体（クランクギアＥ２１）と、を備え、
前記駆動力伝達体（クランクギアＥ２１）は、動力源（駆動モータＥ２５）から発生した駆動力に応じて、第１の直線を軸として回動し、
前記ピン（スライド部材Ｅ２６）は、前記駆動力伝達体（クランクギアＥ２１）に固定されており、
前記アーム（クランク部材Ｅ２２）は、前記駆動力伝達体（クランクギアＥ２１）の回動に伴って前記ピン（スライド部材Ｅ２６）が前記ピン受け部（スライド溝Ｅ２２ｂ）の内部を移動することにより前記ピン（スライド部材Ｅ２６）を介して前記ピン受け部（スライド溝Ｅ２２ｂ）に駆動力が伝達されることと連動して回動する一方、前記表示手段（フロントスクリーン機構Ｅ１）は、前記アーム（クランク部材Ｅ２２）の回動に連動して第１の位置（フロント待機位置）と第２の位置（フロント露出位置）との間で回動し、
前記表示手段（フロントスクリーン機構Ｅ１）が前記第１の位置（フロント待機位置）にある場合における前記ピン（スライド部材Ｅ２６）、及び、前記第１の直線と前記駆動力伝達体（クランクギアＥ２１）との交点を結ぶ直線（クランクギアＥ２１の回転中心位置Ｅ２１ａと偏心位置Ｅ２１ｂとを結ぶ直線）の方向は、前記表示手段（フロントスクリーン機構Ｅ１）が前記第１の位置（フロント待機位置）にある場合において前記動力源（駆動モータＥ２５）から発生した駆動力に依らずに前記表示手段（フロントスクリーン機構Ｅ１）を回動させるための力を前記表示手段（フロントスクリーン機構Ｅ１）又は前記アーム（クランク部材Ｅ２２）に対して加えたときに前記ピン（スライド部材Ｅ２６）に対して加わる力の方向であり、
前記表示手段（フロントスクリーン機構Ｅ１）が前記第２の位置（フロント露出位置）にある場合における前記ピン（スライド部材Ｅ２６）、及び、前記第１の直線と前記駆動力伝達体（クランクギアＥ２１）との交点を結ぶ直線（クランクギアＥ２１の回転中心位置Ｅ２１ａと偏心位置Ｅ２１ｂとを結ぶ直線）の方向は、前記表示手段（フロントスクリーン機構Ｅ１）が前記第２の位置（フロント露出位置）にある場合において前記動力源（駆動モータＥ２５）から発生した駆動力に依らずに前記表示手段（フロントスクリーン機構Ｅ１）を回動させるための力を前記表示手段（フロントスクリーン機構Ｅ１）又は前記アーム（クランク部材Ｅ２２）に対して加えたときに前記ピン（スライド部材Ｅ２６）に対して加わる力の方向である。
【０４５１】
（２−２）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたスライド溝（スライド溝Ｅ２２ｂ）に対して、前記スライド溝（スライド溝Ｅ２２ｂ）の内部を摺動可能なスライド部材（スライド部材Ｅ２６）を介して、モータ（駆動モータＥ２５）から発生した駆動力を伝達するギア（クランクギアＥ２１）と、を備え、
前記ギア（クランクギアＥ２１）は、モータ（駆動モータＥ２５）から発生した駆動力に応じて回動し、
前記スライド部材（スライド部材Ｅ２６）は、前記ギア（クランクギアＥ２１）に固定されており、
前記アーム（クランク部材Ｅ２２）は、前記ギア（クランクギアＥ２１）の回動に伴って前記スライド部材（スライド部材Ｅ２６）が前記スライド溝（スライド溝Ｅ２２ｂ）の内部を摺動することにより前記スライド部材（スライド部材Ｅ２６）を介して前記スライド溝（スライド溝Ｅ２２ｂ）に駆動力が伝達されることと連動して回動する一方、前記表示手段（フロントスクリーン機構Ｅ１）は、前記アーム（クランク部材Ｅ２２）の回動に連動して第１の位置（フロント待機位置）と第２の位置（フロント露出位置）との間で回動し、
前記表示手段（フロントスクリーン機構Ｅ１）が前記第１の位置（フロント待機位置）にある場合、及び、前記表示手段（フロントスクリーン機構Ｅ１）が前記第２の位置（フロント露出位置）にある場合に、前記ギア（クランクギアＥ２１）の回動中心及び前記スライド部材（スライド部材Ｅ２６）を結ぶ直線（クランクギアＥ２１の回転中心位置Ｅ２１ａと偏心位置Ｅ２１ｂとを結ぶ直線）と、前記アーム（クランク部材Ｅ２２）の回動中心及び前記スライド部材（スライド部材Ｅ２６）を結ぶ直線（クランク部材Ｅ２２の中間位置Ｅ２２ａとクランクギアＥ２１の偏心位置Ｅ２１ｂとを結ぶ直線）とが、略直交する。
【０４５２】
（３−１）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）と、
前記駆動機構（フロントスクリーン駆動機構Ｅ２）を内部に収容する収容部（スクリーン筐体Ｃ１０）と、を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたピン受け部（スライド溝Ｅ２２ｂ）に対して、前記ピン受け部（スライド溝Ｅ２２ｂ）の内部を移動可能なピン（スライド部材Ｅ２６）を介して、動力源（駆動モータＥ２５）から発生した駆動力を伝達する駆動力伝達体（クランクギアＥ２１）と、を備え、
前記駆動力伝達体（クランクギアＥ２１）は、動力源（駆動モータＥ２５）から発生した駆動力に応じて、第１の直線を軸として回動し、
前記ピン（スライド部材Ｅ２６）は、前記駆動力伝達体（クランクギアＥ２１）に固定されており、
前記アーム（クランク部材Ｅ２２）は、前記駆動力伝達体（クランクギアＥ２１）の回動に伴って前記ピン（スライド部材Ｅ２６）が前記ピン受け部（スライド溝Ｅ２２ｂ）の内部を移動することにより前記ピン（スライド部材Ｅ２６）を介して前記ピン受け部（スライド溝Ｅ２２ｂ）に駆動力が伝達されることと連動して回動する一方、前記表示手段（フロントスクリーン機構Ｅ１）は、前記アーム（クランク部材Ｅ２２）の回動に連動して第１の位置（フロント待機位置）と第２の位置（フロント露出位置）との間で回動し、
前記表示手段（フロントスクリーン機構Ｅ１）が前記第１の位置（フロント待機位置）にある場合における前記ピン（スライド部材Ｅ２６）、及び、前記第１の直線と前記駆動力伝達体（クランクギアＥ２１）との交点を結ぶ直線（クランクギアＥ２１の回転中心位置Ｅ２１ａと偏心位置Ｅ２１ｂとを結ぶ直線）の方向は、前記表示手段（フロントスクリーン機構Ｅ１）が前記第１の位置（フロント待機位置）にある場合において前記動力源（駆動モータＥ２５）から発生した駆動力に依らずに前記表示手段（フロントスクリーン機構Ｅ１）を回動させるための力を前記表示手段（フロントスクリーン機構Ｅ１）又は前記アーム（クランク部材Ｅ２２）に対して加えたときに前記ピン（スライド部材Ｅ２６）に対して加わる力の方向であり、
前記表示手段（フロントスクリーン機構Ｅ１）が前記第２の位置（フロント露出位置）にある場合における前記ピン（スライド部材Ｅ２６）、及び、前記第１の直線と前記駆動力伝達体（クランクギアＥ２１）との交点を結ぶ直線（クランクギアＥ２１の回転中心位置Ｅ２１ａと偏心位置Ｅ２１ｂとを結ぶ直線）の方向は、前記表示手段（フロントスクリーン機構Ｅ１）が前記第２の位置（フロント露出位置）にある場合において前記動力源（駆動モータＥ２５）から発生した駆動力に依らずに前記表示手段（フロントスクリーン機構Ｅ１）を回動させるための力を前記表示手段（フロントスクリーン機構Ｅ１）又は前記アーム（クランク部材Ｅ２２）に対して加えたときに前記ピン（スライド部材Ｅ２６）に対して加わる力の方向であり、
前記収容部（スクリーン筐体Ｃ１０）には、前記駆動力伝達体（クランクギアＥ２１）を手動で回動させることが可能な位置に開口（操作用開口部Ｃ２１・Ｃ３１）が設けられている。
【０４５３】
（３−２）  投影手段（プロジェクタ機構Ｂ２）により投影された映像を表示可能な表示面を有する表示手段（フロントスクリーン機構Ｅ１）を駆動するための駆動機構（フロントスクリーン駆動機構Ｅ２）と、
前記駆動機構（フロントスクリーン駆動機構Ｅ２）を内部に収容する駆動機構用筐体（スクリーン筐体Ｃ１０）と、
前記駆動機構用筐体（スクリーン筐体Ｃ１０）を収容する本体部（キャビネットＧ）と、
前記本体部（キャビネットＧ）に対して開閉可能に取り付けられた開閉扉（上ドア機構ＵＤ及び下ドア機構ＤＤ）と、を備え、
前記駆動機構（フロントスクリーン駆動機構Ｅ２）は、
前記表示手段（フロントスクリーン機構Ｅ１）に連結されたアーム（クランク部材Ｅ２２）と、
前記アーム（クランク部材Ｅ２２）に形成されたスライド溝（スライド溝Ｅ２２ｂ）に対して、前記スライド溝（スライド溝Ｅ２２ｂ）の内部を摺動可能なスライド部材（スライド部材Ｅ２６）を介して、モータ（駆動モータＥ２５）から発生した駆動力を伝達するギア（クランクギアＥ２１）と、を備え、
前記ギア（クランクギアＥ２１）は、モータ（駆動モータＥ２５）から発生した駆動力に応じて回動し、
前記スライド部材（スライド部材Ｅ２６）は、前記ギア（クランクギアＥ２１）に固定されており、
前記アーム（クランク部材Ｅ２２）は、前記ギア（クランクギアＥ２１）の回動に伴って前記スライド部材（スライド部材Ｅ２６）が前記スライド溝（スライド溝Ｅ２２ｂ）の内部を摺動することにより前記スライド部材（スライド部材Ｅ２６）を介して前記スライド溝（スライド溝Ｅ２２ｂ）に駆動力が伝達されることと連動して回動する一方、前記表示手段（フロントスクリーン機構Ｅ１）は、前記アーム（クランク部材Ｅ２２）の回動に連動して第１の位置（フロント待機位置）と第２の位置（フロント露出位置）との間で回動し、
前記表示手段（フロントスクリーン機構Ｅ１）が前記第１の位置（フロント待機位置）にある場合、及び、前記表示手段（フロントスクリーン機構Ｅ１）が前記第２の位置（フロント露出位置）にある場合に、前記ギア（クランクギアＥ２１）の回動中心及び前記スライド部材（スライド部材Ｅ２６）を結ぶ直線（クランクギアＥ２１の回転中心位置Ｅ２１ａと偏心位置Ｅ２１ｂとを結ぶ直線）と、前記アーム（クランク部材Ｅ２２）の回動中心及び前記スライド部材（スライド部材Ｅ２６）を結ぶ直線（クランク部材Ｅ２２の中間位置Ｅ２２ａとクランクギアＥ２１の偏心位置Ｅ２１ｂとを結ぶ直線）とが、略直交し、
前記駆動機構用筐体（スクリーン筐体Ｃ１０）には、前記ギア（クランクギアＥ２１）を手動で回動させることが可能な位置に開口（操作用開口部Ｃ２１・Ｃ３１）が設けられている。
【０４５４】
（３−３）  前記開口（操作用開口部Ｃ２１・Ｃ３１）は、前記駆動機構用筐体（スクリーン筐体Ｃ１０）の一の側面（右側板Ｃ２）に設けられた第１の開口（操作用開口部Ｃ２１）と、前記駆動機構用筐体（スクリーン筐体Ｃ１０）の側面のうち前記一の側面（右側板Ｃ２）と対向する側面（左側板Ｃ３）に設けられた第２の開口（操作用開口部Ｃ３１）とを備え、
前記第１の開口（操作用開口部Ｃ２１）と前記第２の開口（操作用開口部Ｃ３１）とは、略同一の大きさ且つ略同一の形状に形成されている。
【０４５５】
上述した実施形態に係る遊技機１によれば、フロントスクリーン機構Ｅ１がフロント待機位置にある場合、及び、フロントスクリーン機構Ｅ１がフロント露出位置にある場合に、クランクギアＥ２１の回転中心位置Ｅ２１ａと偏心位置Ｅ２１ｂとを結ぶ直線と、クランク部材Ｅ２２の中間位置Ｅ２２ａとクランクギアＥ２１の偏心位置Ｅ２１ｂとを結ぶ直線とが、略直交する。
【０４５６】
これにより、フロントスクリーン機構Ｅ１がフロント待機位置又はフロント露出位置にある場合において、駆動モータＥ２５から発生した駆動力に依らずに（手動で）フロントスクリーン機構Ｅ１を回動させるための力をフロントスクリーン機構Ｅ１又はクランク部材Ｅ２２に対して加えたとき、スライド部材Ｅ２６に対して加わる力の方向は、クランクギアＥ２１の回転中心位置Ｅ２１ａと偏心位置Ｅ２１ｂとを結ぶ直線の方向と一致する。従って、スライド部材Ｅ２６に対して加わる力は、クランクギアＥ２１を回動させる力に変換されない（力の作用する方向が、クランクギアＥ２１の回転中心位置Ｅ２１ａと偏心位置Ｅ２１ｂとを結ぶ直線の方向から少しでもずれていれば、クランクギアＥ２１を回動させる力に変換される）。そのため、フロントスクリーン機構Ｅ１がフロント待機位置又はフロント露出位置にある場合に、フロントスクリーン機構Ｅ１又はクランク部材Ｅ２２を手で動かすことによりフロントスクリーン機構Ｅ１を回動させようとしても、フロントスクリーン機構Ｅ１は回動しない。その結果、フロントスクリーン機構Ｅ１を取り扱う者がフロントスクリーン機構Ｅ１に直接触れてフロントスクリーン機構Ｅ１を強引に動かしてしまうことを防止することができる。
【０４５７】
また、上述した実施形態に係る遊技機１によれば、フロントスクリーン機構Ｅ１がフロント待機位置又はフロント露出位置にある場合にフロントスクリーン機構Ｅ１が手動で回動しないようにすることを実現するに当たり、フロントスクリーン機構Ｅ１の回動をロックさせるための部材等を別途追加する必要がなく、コストが増大してしまうことを防止することができる。
【０４５８】
さらに、上述した実施形態に係る遊技機１によれば、フロントスクリーン駆動機構Ｅ２は、スクリーン筐体Ｃ１０の内部に収容されており、スクリーン筐体Ｃ１０には、クランクギアＥ２１を手動で回動させることが可能な位置に操作用開口部Ｃ２１・Ｃ３１が設けられている。そのため、フロントスクリーン機構Ｅ１を取り扱う者は、操作用開口部Ｃ２１・Ｃ３１からクランクギアＥ２１を手動で回動させることにより、フロントスクリーン機構Ｅ１を回動させることができる。従って、フロントスクリーン機構Ｅ１に直接触れてフロントスクリーン機構Ｅ１を回動させることはできないものの、フロントスクリーン機構Ｅ１を回動させるための手段が別途担保されているため、利便性が低下してしまうことを防止することができる。また、クランクギアＥ２１を手動で回動させることを介してフロントスクリーン機構Ｅ１を回動させる場合、フロントスクリーン機構Ｅ１に直接触れられるわけではないため、フロントスクリーン機構Ｅ１に大きな負荷がかかることによりフロントスクリーン機構Ｅ１が損傷してしまう虞を低減することができる。
【０４５９】
また、上述した実施形態に係る遊技機１によれば、スクリーン筐体Ｃ１０には、一対の側面にそれぞれ略同一の大きさ且つ略同一の形状の開口（操作用開口部Ｃ２１・Ｃ３１）が設けられており、当該２つの開口に手を引っかけることによってスクリーン筐体Ｃ１０を持ち運ぶことができるようになっている。このように、操作用開口部Ｃ２１・Ｃ３１は、取っ手として形成されており、上述した実施形態に係る遊技機１によれば、取っ手としての開口からクランクギアＥ２１を手動で回動させることにより、フロントスクリーン機構Ｅ１を回動させることができる。
【０４６０】
上述した実施形態では、フロントスクリーン機構Ｅ１がフロント待機位置又はフロント露出位置にある場合において、駆動モータＥ２５から発生した駆動力に依らずに（手動で）フロントスクリーン機構Ｅ１を回動させるための力をフロントスクリーン機構Ｅ１又はクランク部材Ｅ２２に対して加えたとき、スライド部材Ｅ２６に対して加わる力の方向は、クランクギアＥ２１の回転中心位置Ｅ２１ａと偏心位置Ｅ２１ｂとを結ぶ直線の方向と一致することとして説明した。すなわち、フロントスクリーン機構Ｅ１がフロント待機位置にある場合とフロント露出位置にある場合との双方で、フロントスクリーン機構Ｅ１が手動で回動しない（ロックされている）こととして説明した。しかし、本発明においては、フロントスクリーン機構がフロント待機位置にある場合とフロント露出位置にある場合とのうち一方でのみ、フロントスクリーン機構が手動で回動しない（ロックされている）こととしてもよい。
【０４６１】
前記駆動機構によって駆動される対象は、特に限定されず、前記駆動機構は、以下の駆動機構であってもよい。
【０４６２】
可動体を駆動するための駆動機構であって、
前記可動体に連結されたアームと、
前記アームに形成されたピン受け部に対して、前記ピン受け部の内部を移動可能なピンを介して、動力源から発生した駆動力を伝達する駆動力伝達体と、を備え、
前記駆動力伝達体は、動力源から発生した駆動力に応じて、第１の直線を軸として回動し、
前記ピンは、前記駆動力伝達体に固定されており、
前記アームは、前記駆動力伝達体の回動に伴って前記ピンが前記ピン受け部の内部を移動することにより前記ピンを介して前記ピン受け部に駆動力が伝達されることと連動して回動する一方、前記可動体は、前記アームの回動に連動して第１の位置と第２の位置との間で回動し、
前記可動体が前記第１の位置にある場合における前記ピン、及び、前記第１の直線と前記駆動力伝達体との交点を結ぶ直線の方向は、前記可動体が前記第１の位置にある場合において前記動力源から発生した駆動力に依らずに前記可動体を回動させるための力を前記可動体又は前記アームに対して加えたときに前記ピンに対して加わる力の方向であり、
前記可動体が前記第２の位置にある場合における前記ピン、及び、前記第１の直線と前記駆動力伝達体との交点を結ぶ直線の方向は、前記可動体が前記第２の位置にある場合において前記動力源から発生した駆動力に依らずに前記可動体を回動させるための力を前記可動体又は前記アームに対して加えたときに前記ピンに対して加わる力の方向である、
ことを特徴とする駆動機構。
【０４６３】
可動体を駆動するための駆動機構であって、
前記可動体に連結されたアームと、
前記アームに形成されたピン受け部に対して、前記ピン受け部の内部を移動可能なピンを介して、動力源から発生した駆動力を伝達する駆動力伝達体と、を備え、
前記駆動力伝達体は、動力源から発生した駆動力に応じて、第１の直線を軸として回動し、
前記ピンは、前記駆動力伝達体に固定されており、
前記アームは、前記駆動力伝達体の回動に伴って前記ピンが前記ピン受け部の内部を移動することにより前記ピンを介して前記ピン受け部に駆動力が伝達されることと連動して、第２の直線を軸として回動する一方、前記可動体は、前記アームの回動に連動して第１の位置と第２の位置との間で回動し、
前記可動体が前記第１の位置にある場合、及び、前記可動体が前記第２の位置にある場合に、前記第１の直線と前記駆動力伝達体との交点及び前記ピンを結ぶ直線と、前記第２の直線と前記アームとの交点及び前記ピンを結ぶ直線とが、直交する、
ことを特徴とする駆動機構。
【０４６４】
なお、第１の直線と第２の直線とは平行であってもよく、その場合、第１の直線の方向（第２の直線の方向）から見た図（例えば、駆動機構の側面図）において、第１の直線と駆動力伝達体との交点及びピンを結ぶ直線（例えば、ギアの中心とピンとを結ぶ直線）と、第２の直線とアームとの交点及びピンを結ぶ直線（例えば、アームの回転中心とピンとを結ぶ直線）とが、直交していればよい。
【０４６５】
（４−１）  映像を表示するための表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられ、前記表示ユニット（表示ユニットＡ）により表示される映像を視認可能な表示領域（上側表示窓ＵＤ１）が設けられた開閉扉（上ドア機構ＵＤ）と、を備え、
前記表示ユニット（表示ユニットＡ）は、
映像を投影することが可能なプロジェクタ（プロジェクタ機構Ｂ２）と、
前記プロジェクタ（プロジェクタ機構Ｂ２）から照射された光を後方に反射させる反射ミラー（ミラー機構Ｂ３）と、
前記反射ミラー（ミラー機構Ｂ３）により反射された光に基づいて前記プロジェクタ（プロジェクタ機構Ｂ２）により投影された映像を表示可能な表示面を有する第１スクリーン（フロントスクリーン機構Ｅ１）と、
前記反射ミラー（ミラー機構Ｂ３）により反射された光に基づいて前記プロジェクタ（プロジェクタ機構Ｂ２）により投影された映像を表示可能な表示面を有し、前記第１スクリーン（フロントスクリーン機構Ｅ１）とは異なる第２スクリーン（固定スクリーン機構Ｄ）と、
前記第１スクリーン（フロントスクリーン機構Ｅ１）及び前記第２スクリーン（固定スクリーン機構Ｄ）を収容するスクリーン用筐体（スクリーン筐体Ｃ１０）と、を備え、
前記プロジェクタ（プロジェクタ機構Ｂ２）、前記反射ミラー（ミラー機構Ｂ３）、前記第１スクリーン（フロントスクリーン機構Ｅ１）、前記第２スクリーン（固定スクリーン機構Ｄ）、及び、前記スクリーン用筐体（スクリーン筐体Ｃ１０）がユニット化されることにより構成されており、
前記第１スクリーン（フロントスクリーン機構Ｅ１）は、駆動機構（フロントスクリーン駆動機構Ｅ２）により駆動されることにより、第１の位置（フロント待機位置）と第２の位置（フロント露出位置）との間で動作を行い、
前記第２スクリーン（固定スクリーン機構Ｄ）は、前記第２の位置（フロント露出位置）の背後に配置されており、前記第１スクリーン（フロントスクリーン機構Ｅ１）が前記第２の位置（フロント露出位置）にある場合、前記プロジェクタ（プロジェクタ機構Ｂ２）により投影された映像が前記第１スクリーン（フロントスクリーン機構Ｅ１）に表示される一方、前記第１スクリーン（フロントスクリーン機構Ｅ１）が前記第１の位置（フロント待機位置）にある場合、前記プロジェクタ（プロジェクタ機構Ｂ２）により投影された映像が前記第２スクリーン（固定スクリーン機構Ｄ）に表示され、
前記第１スクリーン（フロントスクリーン機構Ｅ１）と前記第２スクリーン（固定スクリーン機構Ｄ）とでは、前記第２スクリーン（固定スクリーン機構Ｄ）の方が明度が低い。
【０４６６】
上述した実施形態に係る遊技機１によれば、フロントスクリーン機構Ｅ１及び固定スクリーン機構Ｄという２つのスクリーンが、スクリーン筐体Ｃ１０に収容されている。フロントスクリーン機構Ｅ１は、フロントスクリーン駆動機構Ｅ２により駆動されることにより、フロント待機位置とフロント露出位置との間で動作を行うところ、固定スクリーン機構Ｄは、フロント露出位置の背後に配置されており、フロントスクリーン機構Ｅ１がフロント露出位置にある場合、プロジェクタ機構Ｂ２により投影された映像がフロントスクリーン機構Ｅ１に表示される一方、フロントスクリーン機構Ｅ１がフロント待機位置にある場合、プロジェクタ機構Ｂ２により投影された映像が固定スクリーン機構Ｄに表示される。
【０４６７】
従って、プロジェクタ機構Ｂ２により投影された映像がフロントスクリーン機構Ｅ１に表示される場合におけるフロントスクリーン機構Ｅ１の位置と、プロジェクタ機構Ｂ２により投影された映像が固定スクリーン機構Ｄに表示される場合における固定スクリーン機構Ｄの位置とを比較すると、固定スクリーン機構Ｄの方がフロントスクリーン機構Ｅ１よりも、スクリーン筐体Ｃ１０の後方に存在することとなる。
【０４６８】
ここで、スクリーン筐体Ｃ１０の奥側の方が、スクリーン筐体Ｃ１０の壁で光が反射することによる乱反射の影響が大きいため、フロントスクリーン機構Ｅ１よりも固定スクリーン機構Ｄの方が、所謂白ぼけが発生してしまいやすい。この点に鑑み、上述した実施形態に係る遊技機１では、フロントスクリーン機構Ｅ１の明度よりも固定スクリーン機構Ｄの明度を低くしている。その結果、固定スクリーン機構Ｄに表示される映像の白ぼけを防止することができ、映像の鮮明度を改善することが可能となる。
【０４６９】
（４−２）  映像を表示するための表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられ、前記表示ユニット（表示ユニットＡ）により表示される映像を視認可能な表示領域（上側表示窓ＵＤ１）が設けられた開閉扉（上ドア機構ＵＤ）と、を備え、
前記表示ユニット（表示ユニットＡ）は、
映像を投影することが可能なプロジェクタ（プロジェクタ機構Ｂ２）と、
前記プロジェクタ（プロジェクタ機構Ｂ２）から照射された光を後方に反射させる反射ミラー（ミラー機構Ｂ３）と、
前記反射ミラー（ミラー機構Ｂ３）により反射された光に基づいて前記プロジェクタ（プロジェクタ機構Ｂ２）により投影された映像を表示可能な一の表示面を有する第１スクリーン（フロントスクリーン機構Ｅ１）と、
前記反射ミラー（ミラー機構Ｂ３）により反射された光に基づいて前記プロジェクタ（プロジェクタ機構Ｂ２）により投影された映像を表示可能な表示面を複数有する第２スクリーン（固定スクリーン機構Ｄ）と、を備え、
前記プロジェクタ（プロジェクタ機構Ｂ２）、前記反射ミラー（ミラー機構Ｂ３）、前記第１スクリーン（フロントスクリーン機構Ｅ１）、及び、前記第２スクリーン（固定スクリーン機構Ｄ）がユニット化されることにより構成されており、
前記第１スクリーン（フロントスクリーン機構Ｅ１）は、駆動機構（フロントスクリーン駆動機構Ｅ２）により駆動されることにより、第１の位置（フロント待機位置）と第２の位置（フロント露出位置）との間で動作を行い、
前記第１スクリーン（フロントスクリーン機構Ｅ１）が前記第２の位置（フロント露出位置）にある場合、前記プロジェクタ（プロジェクタ機構Ｂ２）により投影された映像が前記第１スクリーン（フロントスクリーン機構Ｅ１）に表示される一方、前記第１スクリーン（フロントスクリーン機構Ｅ１）が前記第１の位置（フロント待機位置）にある場合、前記プロジェクタ（プロジェクタ機構Ｂ２）により投影された映像が前記第２スクリーン（固定スクリーン機構Ｄ）に表示され、
前記第１スクリーン（フロントスクリーン機構Ｅ１）と前記第２スクリーン（固定スクリーン機構Ｄ）とでは、前記第２スクリーン（固定スクリーン機構Ｄ）の方が明度が低い。
【０４７０】
上述した実施形態に係る遊技機１によれば、フロントスクリーン機構Ｅ１は、一の表示面を有しており、固定スクリーン機構Ｄは、複数の表示面を有している。固定スクリーン機構Ｄは、表示面が複数存在するため、表示面同士で光が反射することによる乱反射の影響が大きく、所謂白ぼけが発生してしまいやすいところ、上述した実施形態に係る遊技機１では、フロントスクリーン機構Ｅ１の明度よりも固定スクリーン機構Ｄの明度を低くしている。その結果、固定スクリーン機構Ｄに表示される映像の白ぼけを防止することができ、映像の鮮明度を改善することが可能となる。
【０４７１】
本発明においては、表示面が照射光の光軸に対して垂直な第１スクリーンと、表示面が照射光の光軸に対して垂直ではない第２スクリーンとを設け、第２スクリーンの明度を第１スクリーンの明度よりも低くしてもよい。この場合にも、第２スクリーンに表示される映像の白ぼけを防止することができる。
【０４７２】
（５−１）  映像を投影することが可能なプロジェクタ（プロジェクタ機構Ｂ２）と、前記プロジェクタ（プロジェクタ機構Ｂ２）により投影された映像を表示可能な表示面を有するスクリーン（フロントスクリーン機構Ｅ１）とが、ユニット化されることにより構成された表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられ、前記スクリーン（フロントスクリーン機構Ｅ１）を視認可能な表示領域（上側表示窓ＵＤ１）が設けられた開閉扉（上ドア機構ＵＤ）と、を備え、
前記スクリーン（フロントスクリーン機構Ｅ１）は、前記表示面（投影面Ｅ１１ａ）を有する第１の部材（フロントスクリーン部材Ｅ１１）と、凸部の設けられた面（第２模様面Ｅ１２ｂ）を有する第２の部材（フロントスクリーン支持台Ｅ１２）とが、前記第１の部材（フロントスクリーン部材Ｅ１１）における前記表示面（投影面Ｅ１１ａ）とは反対側の面と前記第２の部材（フロントスクリーン支持台Ｅ１２）における前記凸部の設けられた面（第２模様面Ｅ１２ｂ）とは反対側の面とを接触させるように固着されることにより形成されている。
【０４７３】
上述した実施形態に係る遊技機１によれば、フロントスクリーン機構Ｅ１は、投影面Ｅ１１ａを有するフロントスクリーン部材Ｅ１１と、第２模様面Ｅ１２ｂを有するフロントスクリーン支持台Ｅ１２とが、フロントスクリーン部材Ｅ１１における投影面Ｅ１１ａとは反対側の面とフロントスクリーン支持台Ｅ１２における第２模様面Ｅ１２ｂとは反対側の面とを接触させるように固着されることにより形成されている。このように、投影面Ｅ１１ａを有する部材と、第２模様面Ｅ１２ｂを有する部材とを、別部材で構成したため、フロントスクリーン機構Ｅ１を成形する過程において、第２模様面Ｅ１２ｂの凸部に起因して投影面Ｅ１１ａにひけが形成され、スクリーンとしての精度が低下してしまうことが防止される。従って、上述した実施形態に係る遊技機１によれば、精度の良好なスクリーンに映像を表示することが可能となる。
【０４７４】
（５−２）  前記スクリーン（フロントスクリーン機構Ｅ１）における前記凸部の設けられた面（第２模様面Ｅ１２ｂ）には、凹凸を有する装飾が施されており、
前記スクリーン（フロントスクリーン機構Ｅ１）は、駆動機構（フロントスクリーン駆動機構Ｅ２）により駆動されることにより、第１の位置（フロント待機位置）と第２の位置（フロント露出位置）との間で動作を行い、
前記スクリーン（フロント露出位置）が前記第２の位置（フロント露出位置）にある場合、前記プロジェクタ（プロジェクタ機構Ｂ２）により投影された映像が前記スクリーン（フロントスクリーン機構Ｅ１）に表示される一方、前記スクリーン（フロントスクリーン機構Ｅ１）が前記第１の位置（フロント待機位置）にある場合、前記スクリーン（フロントスクリーン機構Ｅ１）は、前記凸部の設けられた面（第２模様面Ｅ１２ｂ）に施された装飾が前記表示領域（上側表示窓ＵＤ１）を介して視認可能なように配置される。
【０４７５】
上述した実施形態に係る遊技機１によれば、フロントスクリーン機構Ｅ１がフロント待機位置にある場合、フロントスクリーン機構Ｅ１は、第２模様面Ｅ１２ｂ（投影面Ｅ１１ａと反対側の面、すなわち、スクリーンの裏面）に施された装飾が上側表示窓ＵＤ１を介して視認可能なように配置される。従って、仮に、当該装飾が施されていなければ、フロントスクリーン機構Ｅ１がフロント待機位置にある場合、フロントスクリーン機構Ｅ１の裏面が遊技者から直接視認されてしまうこととなる。これでは、遊技機の美観が著しく損なわれてしまい、望ましくない。このような観点から、上述した実施形態に係る遊技機１では、フロントスクリーン機構Ｅ１の裏面に装飾を施すこととしている。
【０４７６】
しかしながら、このような装飾の施されたフロントスクリーン機構Ｅ１を一体成形しようとすると、装飾を構成する凸部に起因してフロントスクリーン機構Ｅ１の投影面Ｅ１１ａにひけが形成され、スクリーンとしての精度が低下してしまう。この点に鑑み、上述した実施形態に係る遊技機１では、投影面Ｅ１１を有する部材と、装飾の施された面を有する部材とを、別部材で構成し、両部材を固着することにより、フロントスクリーン機構Ｅ１を成形している。これにより、装飾に起因して投影面Ｅ１１にひけが形成され、スクリーンとしての精度が低下してしまうことが防止される。従って、上述した実施形態に係る遊技機１によれば、精度の良好なスクリーンに映像を表示することが可能となる。
【０４７７】
（６−１）  映像を投影することが可能なプロジェクタ（プロジェクタ機構Ｂ２）と、前記プロジェクタ（プロジェクタ機構Ｂ２）により投影された映像を表示可能なスクリーン（固定スクリーン機構Ｄ、フロントスクリーン機構Ｅ１、リールスクリーン機構Ｆ１）と、前記スクリーン（固定スクリーン機構Ｄ、フロントスクリーン機構Ｅ１、リールスクリーン機構Ｆ１）を収容するスクリーン用筐体（スクリーン筐体Ｃ１０）とが、ユニット化されることにより構成された表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられ、前記スクリーン（固定スクリーン機構Ｄ、フロントスクリーン機構Ｅ１、リールスクリーン機構Ｆ１）を視認可能な表示領域（上側表示窓ＵＤ１）が設けられた開閉扉（上ドア機構ＵＤ）と、
複数の孔が形成された多孔板（多孔板Ｂ１５）と、を備え、
前記多孔板（多孔板Ｂ１５）は、前記プロジェクタ（プロジェクタ機構Ｂ２）が前記表示領域（上側表示窓ＵＤ１）を介して視認困難なように配置されており、前記複数の孔は、前記多孔板（多孔板Ｂ１５）を境にして、前記スクリーン用筐体（スクリーン筐体Ｃ１０）における前記スクリーン（固定スクリーン機構Ｄ、フロントスクリーン機構Ｅ１、リールスクリーン機構Ｆ１）の収容された空間と、前記プロジェクタ（プロジェクタ機構Ｂ２）の配置された空間との間で、空気が流動可能な通路を形成している。
【０４７８】
上述した実施形態に係る遊技機１によれば、多孔板Ｂ１５に形成された複数の孔によって、スクリーン筐体Ｃ１０における固定スクリーン機構Ｄ、フロントスクリーン機構Ｅ１、及び、リールスクリーン機構Ｆ１の収容された空間と、プロジェクタ機構Ｂ２の配置された空間との間で、空気が流動可能な通路が形成されている。従って、スクリーン筐体Ｃ１０におけるスクリーンの収容された空間（映像を投影するために開放している領域）を放熱に利用することができるため、プロジェクタ機構Ｂ２で発生した熱を効率よく放出することができる。また、多孔板Ｂ１５は、上ドア機構ＵＤに設けられた上側表示窓ＵＤ１を介してプロジェクタ機構Ｂ２が視認困難なように配置されているため、遊技者からプロジェクタ機構Ｂ２が見え難く、プロジェクタ機構Ｂ２が見えることによって遊技機の美観が損なわれてしまうことを防止することができる。
【０４７９】
（６−２）  前記プロジェクタ（プロジェクタ機構Ｂ２）は、前記スクリーン用筐体（スクリーン筐体Ｃ１０）に立設されたスクリーン（固定スクリーン機構Ｄ）の上方に配置される一方で、前方に光を照射することが可能であり、
前記遊技機は、さらに、
前記プロジェクタ（プロジェクタ機構Ｂ２）から照射された光を斜め下後方に反射させることが可能なように前記プロジェクタ（プロジェクタ機構Ｂ２）の前方に配置された反射ミラー（ミラー機構Ｂ３）を備え、
前記多孔板（多孔板Ｂ１５）は、前記スクリーン（固定スクリーン機構Ｄ）の上方において前記プロジェクタ（プロジェクタ機構Ｂ２）の下面を覆うように配置される。
【０４８０】
上述した実施形態に係る遊技機１によれば、スクリーン筐体Ｃ１０に固定スクリーン機構Ｄが立設されており、固定スクリーン機構Ｄの上方にプロジェクタ機構Ｂ２が配置される。そのため、プロジェクタ機構Ｂ２の下方には、比較的広い空間が広がっている。そして、多孔板Ｂ１５は、固定スクリーン機構Ｄの上方においてプロジェクタ機構Ｂ２の下面を覆うように配置される。従って、当該比較的広い空間を放熱に利用することができるため、プロジェクタ機構Ｂ２で発生した熱をより効率よく放出することができる。
【０４８１】
（７−１）  映像を表示するための表示ユニット（表示ユニットＡ）と、
前記表示ユニット（表示ユニットＡ）を収容し、前面に開口を有する本体部（キャビネットＧ）と、
前記本体部（キャビネットＧ）に対して開閉可能に取り付けられた開閉扉（上ドア機構ＵＤ）と、を備え、
前記表示ユニット（表示ユニットＡ）は、
映像を投影することが可能なプロジェクタ（プロジェクタ機構Ｂ２）と、
前記プロジェクタ（プロジェクタ機構Ｂ２）から照射された光を反射させる反射ミラー（ミラー機構Ｂ３）と、
前記反射ミラー（ミラー機構Ｂ３）により反射された光に基づいて、前記プロジェクタ（プロジェクタ機構Ｂ２）により投影された映像を表示可能なスクリーン（固定スクリーン機構Ｄ、フロントスクリーン機構Ｅ１、リールスクリーン機構Ｆ１）と、を備え、
前記プロジェクタ（プロジェクタ機構Ｂ２）、前記反射ミラー（ミラー機構Ｂ３）、及び、前記スクリーン（固定スクリーン機構Ｄ、フロントスクリーン機構Ｅ１、リールスクリーン機構Ｆ１）がユニット化されることにより構成されており、
前記反射ミラー（ミラー機構Ｂ３）は、前記開閉扉（上ドア機構ＵＤ）を開けた状態で前記表示ユニット（表示ユニットＡ）の外部から位置を調整することが可能である。
【０４８２】
上述した実施形態に係る遊技機１によれば、表示ユニットＡは、プロジェクタ機構Ｂ２、ミラー機構Ｂ３、並びに、固定スクリーン機構Ｄ、フロントスクリーン機構Ｅ１、及び、リールスクリーン機構Ｆ１がユニット化されることにより構成されているが、ミラー機構Ｂ３は、上ドア機構ＵＤを開けた状態で表示ユニットＡの外部から位置を調整することが可能である。従って、表示ユニットＡが遊技機１のキャビネットＧに設置された後であっても、ミラー機構Ｂ３の位置を調整することが可能であるため、プロジェクタ機構Ｂ２により投影される映像の位置が適切でない場合であっても、投影位置を調整することができる。
【０４８３】
（７−２）  前記プロジェクタ（プロジェクタ機構Ｂ２）及び前記スクリーン（固定スクリーン機構Ｄ、フロントスクリーン機構Ｅ１、リールスクリーン機構Ｆ１）は、前記表示ユニット（表示ユニットＡ）における所定の位置で固定されており、
前記プロジェクタ（プロジェクタ機構Ｂ２）は、前記スクリーン（固定スクリーン機構Ｄ、フロントスクリーン機構Ｅ１、リールスクリーン機構Ｆ１）の上方に配置される一方で、前方に光を照射することが可能であり、
前記反射ミラー（ミラー機構Ｂ３）は、前記プロジェクタ（プロジェクタ機構Ｂ２）から照射された光を斜め下後方に反射させることが可能なように前記プロジェクタ（プロジェクタ機構Ｂ２）の前方に配置され、前記本体部（キャビネットＧ）の開口側に向けて露出した螺子における螺合の程度を変更することにより該光の反射方向を調整することが可能である。
【０４８４】
上述した実施形態に係る遊技機１によれば、プロジェクタ機構Ｂ２、並びに、固定スクリーン機構Ｄ、フロントスクリーン機構Ｅ１、及び、リールスクリーン機構Ｆ１は、表示ユニットＡにおける所定の位置で固定されている。一方で、ミラー機構Ｂ３には、光の反射方向を調整するための螺子が設けられており、当該螺子は、キャビネットＧの開口側に向けて露出している。従って、表示ユニットＡが遊技機１のキャビネットＧに設置された後であっても、上ドア機構ＵＤを開けた状態で、螺子を緩めたり締めたりすることにより、光の反射方向（角度）を調整することができる。これにより、プロジェクタ機構Ｂ２により投影される映像の位置が適切でない場合であっても、投影位置を調整することができる。
【０４８５】
上述した実施形態では、プロジェクタ機構Ｂ２、ミラー機構Ｂ３、並びに、固定スクリーン機構Ｄ、フロントスクリーン機構Ｅ１、及び、リールスクリーン機構Ｆ１は、ユニット化されていることとして説明した。しかし、プロジェクタ機構、ミラー機構、及び、各種スクリーンは、ユニット化せずに、遊技機の本体部に直接取り付けられることとしてもよい。
【０４８６】
また、上述した実施形態では、本発明をパチスロ遊技機に適用した場合について説明したが、本発明は、他の遊技機（例えば、パチンコ遊技機やスロットマシン等）に適用することも可能である。
【０４８７】
（８−１）  映像を表示するための表示ユニット（表示ユニットＡ）を備えた遊技機であって、
前記表示ユニットは、
映像を投影するためのプロジェクタ（照射光装置Ｂ）と、
前記プロジェクタの投影対象となり得る第１及び第２のスクリーン（フロントスクリーン機構Ｅ１・リールスクリーン機構Ｆ１）であって、それぞれが、前記プロジェクタの投影範囲外であり、前記スクリーン毎に互いに異なる第１の位置（フロント待機位置・リール待機位置）と、前記プロジェクタの投影範囲内であり、前記プロジェクタの投影対象となる第２の位置（フロント露出位置・リール露出位置）との間で動作可能な第１及び第２のスクリーンと、
前記第１及び第２のスクリーンを、それぞれ独立して、前記第１の位置と前記第２の位置との間で駆動するための駆動手段（フロントスクリーン機構Ｅ１・リールスクリーン駆動機構Ｆ２及び主制御基板ＭＳ）と、
前記第１のスクリーンが前記第１の位置（フロント待機位置）に存在するか否かの検出、前記第１のスクリーンが前記第２の位置（フロント露出位置）に存在するか否かの検出、及び、前記第２のスクリーンが前記第１の位置（リール待機位置）に存在するか否かの検出を行うための検出手段（センサ機構ＣＳ）と、を備え、
前記第１及び第２のスクリーンそれぞれの前記第１の位置と前記第２の位置との間の動作範囲は、互いに重複する重複範囲を一部に含んでおり、且つ、前記第１及び第２のスクリーンそれぞれの前記第２の位置は、前記動作範囲における前記重複範囲に存在し、
前記駆動手段は、
前記第１及び第２のスクリーンそれぞれを、前記動作範囲における前記重複範囲を除く範囲に存在する原点位置に復帰させる復帰動作を実行する際において、
前記検出手段の検出結果に基づく前記第１及び第２のスクリーンそれぞれの位置に応じた前記第１及び第２のスクリーンの駆動手順に従って、前記第１及び第２のスクリーンを駆動する。
【０４８８】
従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。近年では、より演出効果を高めるため、複数の可動体を有する演出装置を搭載した遊技機が提案されている。遊技機内部のスペースは有限であるが、各可動体のサイズを制限したり、各可動体の動作範囲を重複させたりすることにより、可動体を複数設けることが可能となる。ここで、各可動体の動作範囲を重複させる場合、複数の可動体を同時に動作させると、可動体同士が接触（干渉）してしまう可能性がある。通常は、このような干渉が起こらないように、適切な制御が行われている。しかしながら、可動体の動作が正常に行われていない場合や、電源遮断中に手動で可動体が動かされてしまった場合等に、そのような異常な状況であることを考慮することなく可動体を動作させると、可動体同士が干渉し合う可能性がある。そして、可動体同士が接触した場合には、演出装置が破損してしまう虞があった。
【０４８９】
上述した実施形態に係る遊技機によれば、第１及び第２のスクリーンそれぞれの位置に応じて検出手段の検出結果が異なることになる。また、第１及び第２のスクリーンそれぞれの第１の位置は互いに異なる位置にある。このため、検出手段が一方のスクリーンが第１の位置に存在することを検出している際には、他方のスクリーンを駆動したとしても干渉しない。従って、この他方のスクリーンを先に原点位置に復帰させた後に、一方のスクリーンを原点位置に復帰させることで、スクリーン同士が干渉することなく、復帰動作を行うことができる。また、第１及び第２のスクリーンの何れか１つのスクリーンのみを第２の位置に配置させることが可能であるため、検出手段が第１のスクリーンが第２の位置に存在することを検出している際には、第２のスクリーンは第２の位置には存在しないことになる。この場合、第２のスクリーンを先に原点位置に復帰させた後に、第１のスクリーンを原点位置に復帰させることで、スクリーン同士が干渉することなく、復帰動作を行うことができる。以上のように、復帰動作において、検出手段の検出結果に基づく第１及び第２のスクリーンそれぞれの位置に応じた駆動手順に従って第１及び第２のスクリーンを駆動することで、スクリーン同士が干渉することなく、それぞれの原点位置に復帰させることが可能となる。その結果として、復帰動作以降の処理において第１及び第２のスクリーンを適切に駆動させることで、スクリーン同士が干渉することを確実に防止することができる。
【０４９０】
（８−２）  前記検出手段（センサ機構ＣＳ）は、
前記第１及び第２のスクリーン（フロントスクリーン機構Ｅ１・リールスクリーン機構Ｆ１）それぞれに対応する２つの第１センサ（センサＣＳ１・センサＣＳ３）であって、対応するスクリーンが前記第１の位置（フロント待機位置・リール待機位置）に存在するか否かを検出するための２つの第１センサと、
前記第１のスクリーン（フロントスクリーン機構Ｅ１）に対応する第２センサであって、対応する前記第１のスクリーンが前記第２の位置（フロント露出位置）に存在するか否かを検出するための第２センサと、を備え、
前記駆動手段（主制御基板ＭＳ）は、
前記第１センサが、前記第１のスクリーンが前記第１の位置に存在することを検出しており、且つ、前記第２センサが、前記第１のスクリーンが前記第２の位置に存在することを検出している場合には、異常が発生していると判断する。
【０４９１】
上記の構成によれば、第１のスクリーンが第１の位置及び第２の位置に同時に存在することはないので、第１センサが、第１のスクリーンが第１の位置に存在することを検出しており、且つ、第２センサが、第１のスクリーンが第２の位置に存在することを検出している場合には、異常が発生していると判断することが可能となる。
【０４９２】
（９−１）  映像を表示するための表示ユニット（表示ユニットＡ）を備えた遊技機であって、
前記表示ユニットは、
映像を投影するためのプロジェクタ（照射光装置Ｂ）と、
前記プロジェクタの投影対象となり得る第１及び第２のスクリーン（フロントスクリーン機構Ｅ１・リールスクリーン機構Ｆ１）であって、それぞれが、前記プロジェクタの投影範囲外であり、前記スクリーン毎に互いに異なる第１の位置（フロント待機位置・リール待機位置）と、前記プロジェクタの投影範囲内であり、前記プロジェクタの投影対象となる第２の位置（フロント露出位置・リール露出位置）との間で動作可能な第１及び第２のスクリーンと、
前記第１及び第２のスクリーンを、それぞれ独立して、前記第１の位置と前記第２の位置との間で駆動するための駆動手段（フロントスクリーン機構Ｅ１・リールスクリーン駆動機構Ｆ２及び主制御基板ＭＳ）と、
前記第１のスクリーン（フロントスクリーン機構Ｅ１）が前記第１の位置（フロント待機位置）に存在するか否かの検出、前記第１のスクリーンが前記第２の位置（フロント露出位置）に存在するか否かの検出、及び、前記第２のスクリーン（リールスクリーン機構Ｆ１）が前記第１の位置（リール露出位置）に存在するか否かの検出を行うための検出手段（センサ機構ＣＳ）と、を備え、
前記第１及び第２のスクリーンそれぞれの動作範囲は、互いに重複する重複範囲を一部に含んでおり、且つ、前記第１及び第２のスクリーンそれぞれの前記第２の位置は、前記動作範囲における前記重複範囲に存在し、
前記駆動手段は、
前記第１及び第２のスクリーンそれぞれを、前記動作範囲における前記重複範囲を除く範囲に存在する原点位置に復帰させる復帰動作を実行する際において、
前記検出手段が、前記第１のスクリーンが前記第１の位置及び前記第２の位置の何れかに存在することを検出している第１条件、及び前記検出手段が、前記第２のスクリーンが前記第１の位置に存在することを検出している第２条件の少なくとも何れかの条件を満たしている場合には、
前記検出手段の検出結果に基づく前記第１及び第２のスクリーンそれぞれの位置に応じた前記第１及び第２のスクリーンの駆動手順に従って、前記第１及び第２のスクリーンを駆動し、
前記第１条件及び前記第２条件の何れの条件も満たしていない場合には、
前記第１及び第２のスクリーンのうちの１つのスクリーンを前記原点位置に復帰するように駆動させ、その後、前記検出手段による、前記第１及び第２のスクリーンのうちのもう１つのスクリーンが前記第１の位置に存在するか否かについての検出結果に応じた駆動手順に従って、前記もう一つのスクリーンを前記原点位置に復帰するように駆動させる。
【０４９３】
従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。近年では、より演出効果を高めるため、複数の可動体を有する演出装置を搭載した遊技機が提案されている。遊技機内部のスペースは有限であるが、各可動体のサイズを制限したり、各可動体の動作範囲を重複させたりすることにより、可動体を複数設けることが可能となる。ここで、各可動体の動作範囲を重複させる場合、複数の可動体を同時に動作させると、可動体同士が接触（干渉）してしまう可能性がある。通常は、このような干渉が起こらないように、適切な制御が行われている。しかしながら、可動体の動作が正常に行われていない場合や、電源遮断中に手動で可動体が動かされてしまった場合等に、そのような異常な状況であることを考慮することなく可動体を動作させると、可動体同士が干渉し合う可能性がある。そして、可動体同士が接触した場合には、演出装置が破損してしまう虞があった。
【０４９４】
上述した実施形態に係る遊技機によれば、第１及び第２のスクリーンそれぞれの位置に応じて検出手段の検出結果が異なることになる。また、第１及び第２のスクリーンそれぞれの第１の位置は互いに異なる位置にある。このため、検出手段が一方のスクリーンが第１の位置に存在することを検出している際には、他方のスクリーンを駆動したとしても干渉しない。従って、この他方のスクリーンを先に原点位置に復帰させた後に、一方のスクリーンを原点位置に復帰させることで、スクリーン同士が干渉することなく、復帰動作を行うことができる。また、第１及び第２のスクリーンの何れか１つのスクリーンのみを第２の位置に配置させることが可能であるため、検出手段が第１のスクリーンが第２の位置に存在することを検出している際には、第２のスクリーンは第２の位置には存在しないことになる。この場合、第２のスクリーンを先に原点位置に復帰させた後に、第１のスクリーンを原点位置に復帰させることで、スクリーン同士が干渉することなく、復帰動作を行うことができる。以上のように、検出手段が、第１のスクリーンが第１の位置及び第２の位置の何れかに存在することを検出している第１条件、及び検出手段が、第２のスクリーンが第１の位置に存在することを検出している第２条件の少なくとも何れかの条件を満たす場合には、検出手段の検出結果に基づく第１及び第２のスクリーンそれぞれの位置に応じた駆動手順に従って第１及び第２のスクリーンを駆動することで、スクリーン同士が干渉することなく、それぞれの原点位置に復帰させることが可能となる。
【０４９５】
これに対して、第１の条件及び第２の条件の何れの条件も満たさない場合には、第１のスクリーンが第１の位置と第２の位置との間に位置しており、且つ第２のスクリーンが第２の位置以外に位置していることになる。また、この場合、一方のスクリーンの動作に伴って、他方のスクリーンが動作する可能性がある。そこで、（１）の発明によれば、まず、一つのスクリーンを原点位置に復帰させた後に、検出手段による、もう一つのスクリーンが第１の位置に存在するか否かの検出結果に応じた駆動手順に従って、このもう一つのスクリーンを原点位置に復帰させる。これにより、第１の条件及び第２の条件の何れの条件も満たさない場合においても、第１及び第２のスクリーンを確実に原点位置に復帰させることが可能となる。
【０４９６】
（９−２）  前記検出手段（センサ機構ＣＳ）は、
前記第１及び第２のスクリーン（フロントスクリーン機構Ｅ１・リールスクリーン機構Ｆ１）それぞれに対応する２つの第１センサ（センサＣＳ１・センサＣＳ３）であって、対応するスクリーンが前記第１の位置（フロント待機位置・リール待機位置）に存在するか否かを検出するための２つの第１センサと、
前記第１のスクリーン（フロントスクリーン機構Ｅ１）に対応する第２センサであって、対応する前記第１のスクリーンが前記第２の位置（フロント露出位置）に存在するか否かを検出するための第２センサと、を備え、
前記駆動手段（主制御基板ＭＳ）は、
前記第１センサが、前記第１のスクリーンが前記第１の位置に存在することを検出しており、且つ、前記第２センサが、前記第１のスクリーンが前記第２の位置に存在することを検出している場合には、異常が発生していると判断する。
【０４９７】
上記の構成によれば、第１のスクリーンが第１の位置及び第２の位置に同時に存在することはないので、第１センサが、第１のスクリーンが第１の位置に存在することを検出しており、且つ、第２センサが、第１のスクリーンが第２の位置に存在することを検出している場合には、異常が発生していると判断することが可能となる。
【０４９８】
（１０−１）  映像を表示するための表示ユニット（表示ユニットＡ）を備えた遊技機であって、
前記表示ユニットは、
映像を投影するためのプロジェクタ（照射光装置Ｂ）と、
前記表示ユニットの所定位置に固定され、前記プロジェクタの投影対象となり得る第１のスクリーン（固定スクリーン機構Ｄ）と、
前記プロジェクタの投影対象となり得る第２及び第３のスクリーン（フロントスクリーン機構Ｅ１・リールスクリーン機構Ｆ１）であって、それぞれが、前記プロジェクタの投影範囲外となる第１の位置（フロント待機位置・リール待機位置）と、前記第１のスクリーンよりも前方となり前記第１のスクリーンの代わりに前記プロジェクタの投影対象となる第２の位置（フロント露出位置・リール露出位置）との間で、互いに異なる回動軸（回動中心軸ＦＧ・回動中心軸ＲＧ）中心で回動動作可能な、第２及び第３のスクリーンと、
前記第２及び第３のスクリーンを、それぞれ独立して、前記第１の位置と前記第２の位置との間で駆動するための駆動機構（フロントスクリーン駆動機構Ｅ２・リールスクリーン駆動機構Ｆ２）と
を備え、
前記第２及び第３のスクリーンそれぞれにおける、前記第１の位置と前記第の２位置との間の動作範囲は、互いに一部が重複しており、
前記第２のスクリーン（フロントスクリーン機構Ｅ１）の回動軸（回動中心軸ＦＧ）は、前記第３のスクリーン（リールスクリーン機構Ｆ１）の回動軸（回動中心軸ＲＧ）よりも上方であり、
前記第２のスクリーンは、前記第１の位置（フロント待機位置）では、前記第１のスクリーンの上方であり、前記第３のスクリーンの動作範囲外となる位置に配置されており、
前記第３のスクリーンは、前記第１の位置（リール待機位置）では、前記第１のスクリーンの後方であり、前記第２のスクリーンの動作範囲外となる位置に配置される。
【０４９９】
従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。近年では、より演出効果を高めるため、複数の可動体を有する演出装置を搭載した遊技機が提案されている。遊技機内部のスペースは有限であるため、可動体を複数設けるに当たっては省スペース化が求められるが、各可動体のサイズを制限したり、各可動体の動作範囲を重複させたりすることにより、可動体を複数設けることが可能となる。ここで、各可動体の動作範囲を重複させる場合、複数の可動体を同時に動作させると、可動体同士が接触（干渉）してしまう可能性がある。そして、可動体同士が接触した場合には、演出装置が破損してしまう虞があった。
【０５００】
上述した実施形態に係る遊技機によれば、第２のスクリーン及び第３のスクリーンは、互いに異なる回動軸に回動される。これにより、第２のスクリーンの動作範囲、及び第３のスクリーンの動作範囲における互いに重複する範囲を小さくすることができる。また、第２のスクリーンの回動軸を第３のスクリーンの回動軸よりも上方に配置し、且つ、第２のスクリーンを、第１の位置では第１のスクリーンの上方に配置されるように構成することで、第２のスクリーンの第１の位置と第２の位置との間の動作範囲を小さくすることができる。加えて、第３のスクリーンを、第１の位置では、第１のスクリーンの後方に配置させることで、第３のスクリーンが第１の位置に配置されている際には、第２のスクリーンと接触する可能性をなくすことができる。以上により、３つのスクリーンが互いに接触する可能性を低減しつつ、これら３つのスクリーンを遊技機内において効率的に配置することが可能となる。
【０５０１】
（１０−２）  前記駆動機構（フロントスクリーン駆動機構Ｅ２・リールスクリーン駆動機構Ｆ２）は、
前記第２のスクリーン（フロントスクリーン機構Ｅ１）の駆動は、前記第３のスクリーン（リールスクリーン機構Ｆ１）が前記第１の位置（リール待機位置）にあることを条件に実行し、
前記第３のスクリーンの駆動は、前記第２のスクリーンが前記第１の位置（フロント待機位置）にあることを条件に実行する。
【０５０２】
上述した実施形態に係る遊技機によれば、第２のスクリーンと第３のスクリーンとが接触することを確実に防止することができる。
【０５０３】
（１０−３）  前記第１〜第３のスクリーン（固定スクリーン機構Ｄ・フロントスクリーン機構Ｅ１・リールスクリーン機構Ｆ１）それぞれは、前記プロジェクタ（照射光装置Ｂ）から照射された映像が投影される投影面の形状が互いに異なる。
【０５０４】
上述した実施形態に係る遊技機によれば、第１〜第３のスクリーンそれぞれの投影面の形状が互いに異なるため、プロジェクタから同じ映像が照射されたとしても、スクリーン毎に異なる態様で映像表現することが可能となるため、演出を多様化することができる。
【０５０５】
（１０−４）  前記第１〜第３のスクリーン（固定スクリーン機構Ｄ・フロントスクリーン機構Ｅ１・リールスクリーン機構Ｆ１）のうちの何れか１つのスクリーン（リールスクリーン機構Ｆ１）における前記投影面は、前記プロジェクタの投影対象となる際に、側面視において、前記プロジェクタ（照射光装置Ｂ）から照射される光の照射方向上流側に凸の円弧形状となる円弧面であり、
前記第１〜第３のスクリーンのうちの何れか１つのスクリーン（フロントスクリーン機構Ｅ１）における前記投影面は平坦面である。
【０５０６】
上述した実施形態に係る遊技機によれば、投影面が円弧面であるスクリーン機構と、投影面が平坦面であるスクリーン機構とで異なる態様の映像表現をすることが可能となる。
【０５０７】
（１１−１）  映像を表示するための表示ユニット（表示ユニットＡ）を備えた遊技機であって、
前記表示ユニットは、
映像を投影するためのプロジェクタ（照射光装置Ｂ）と、
前記プロジェクタの投影対象となり得る可動スクリーン（フロントスクリーン機構Ｅ１）であって、前記プロジェクタの投影範囲外となる第１の位置（フロント待機位置）と、前記プロジェクタの投影対象となる第２の位置（フロント露出位置）との間で動作可能な可動スクリーンと、
前記可動スクリーンを、前記第１の位置と前記第２の位置との間で駆動するための駆動機構（フロントスクリーン駆動機構Ｅ２）と、を備え、
前記駆動機構は、
モータ（駆動モータＥ２５）と、
前記モータが駆動されることで回動するシャフト（シャフト部材Ｅ３）と、
前記シャフトの両端部に設けられ、前記シャフトと共に回動する２つのギア（中間ギアＥ２３・Ｅ２３）と、
前記２つのギアに接続され、前記２つのギアが回動されることで、所定方向に沿った回動軸中心に回動される２つのアーム（クランク部材Ｅ２２・Ｅ２２）であって、前記可動スクリーンにおける前記所定方向の両端部に連結された２つのアームと、を備え、
前記可動スクリーンは、前記２つのアームの前記回動軸（回動中心軸ＦＧ）中心の回動に連動して、前記第１の位置と前記第２の位置との間で回動動作をする。
【０５０８】
従来、可動体を軸周りに回動させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。近年では、より演出効果を高めるため、可動体が回動する前後で、液晶表示装置等の表示手段が可動体によって遮蔽された状態と開放（露出）された状態とを切り替えるものが提案されている。これにより、可動体の動きと表示手段等の別役物の視認状態との一体感を創出することが可能となり、多様性のある演出を行うことができる。しかしながら、可動体とともに表示手段等（別役物）を設ける場合、可動体の回動軸（シャフト）が表示手段等の配置を阻害してしまうという問題点があった。この点、可動体の回動軸を別役物の上方、下方、側方等に設けることにより別役物の配置を妨げないようにすることも考えられるが、この場合には、可動体の回動軸が端の方に配置されるため、可動体の回動範囲が限られるとともに、可動体の大きさにも制約を課してしまうという問題点があった。
【０５０９】
上述した実施形態に係る遊技機によれば、シャフトを、スクリーン（２つのアーム）の回動軸として用いていない。これにより、シャフトの配置の自由度が高まるため、シャフトを別役物の配置を阻害しないように配置させることが可能となる。その結果として、スクリーンの回動範囲や大きさを所望の程度に維持しつつ、別役物の配置の自由度を高めることができる。また、２つのアームそれぞれは、シャフトの両端部に接続された２つのギアの回動に伴って回動される。従って、このシャフトにより、２つのアームそれぞれに対して、モータの駆動力を均等に伝達することができる。その結果として、一方のアームに対して、駆動負荷が集中することを防止することができる。
【０５１０】
（１１−２）  前記モータ（駆動モータＥ２５）は、前記２つのギア（中間ギアＥ２３・Ｅ２３）のうちの一方のギアと接続されており、前記一方のギアに駆動力を伝達して回動させることで、前記シャフト（シャフト部材Ｅ３）を回動させる。
【０５１１】
上述した実施形態に係る遊技機によれば、モータがシャフトの何れか一方の端部に設けられたギアに接続されており、別役物（固定スクリーン機構など）の配置を阻害しないように、モータをシャフトの端部近傍に配置させることができる。その結果として、別役物の配置の自由度を更に高めることができる。
【０５１２】
（１１−３）  前記表示ユニット（表示ユニットＡ）の所定位置に固定され、前記プロジェクタ（照射光装置Ｂ）の投影対象となり得る固定スクリーン（固定スクリーン機構Ｄ）を更に備えており、
前記可動スクリーン（フロントスクリーン機構Ｅ１）が前記第１の位置（フロント待機位置）に配置されるときには、前記固定スクリーンが前記プロジェクタの投影対象となり、
前記可動スクリーンが前記第２の位置（フロント露出位置）に配置されるときには、前記可動スクリーンは前記固定スクリーンの前方に配置されて前記固定スクリーンの代わりに前記プロジェクタの投影対象となるものであり、
前記シャフト（シャフト部材Ｅ３）は前記固定スクリーンよりも後方に配置されており、
前記２つのアーム（クランク部材Ｅ２２・Ｅ２２）の前記回動軸（回動中心軸ＦＧ）は、前記固定スクリーンの後端位置よりも前方に配置されている。
【０５１３】
上述した実施形態に係る遊技機によれば、シャフトが別役物としての固定スクリーンよりも後方に配置されるため、固定スクリーンに投影される光がシャフトにより阻害されることはない。また、２つのアームの回動軸は固定スクリーンの後端位置よりも前方に配置することができるため、固定スクリーンの後端位置よりも後方に配置されている場合と比べて、可動スクリーンと回動軸との間の長さ（アームの長さ）を短くすることができる。このため、遊技機内のスペースが限られており表示ユニットを大型化することができないときでも、可動スクリーンの大きさを所望の程度に維持することができる。
【０５１４】
（１２−１）  前面に開口を有する筐体（キャビネットＧ）と、
前記筐体内を、上部側の第１空間と下部側の第２空間とに仕切る仕切板（中間支持板Ｇ１）と、
前記仕切板に載置されて、前記筐体の前記第１空間に交換可能に収容される、表示ユニット（表示ユニットＡ）と、
前記表示ユニットと、前記第２空間に収容された機器とを接続する配線を中継するための中継基板（中継基板ＣＫ）と、を備え、
前記表示ユニット（Ａ１）は、
一対の側板（右側板Ｃ２・左側板Ｃ３）及び背板（背板Ｃ４）を有する収容部（スクリーン筐体Ｃ１０）と、
前記収容部に収容され、映像を表示するための表示手段（固定スクリーン機構Ｄ・フロントスクリーン機構Ｅ１・リールスクリーン機構Ｆ１）と、を備え、
前記収容部における前記背板は、前記一対の側壁の後方端よりも前方に配置されており、
前記筐体の背面（背面壁Ｇ３）、並びに、前記収容部における前記背板及び前記一対の側板により画定される第３空間（ＧＳ）に、前記中継基板が配置されており、
前記仕切板は、前記第３空間に面する位置に前記配線を挿通させるための開口（貫通穴Ｇ１１）が形成されている。
【０５１５】
従来、各種部品の交換を容易にするために、複数の部品をユニット化してユニット単位で交換可能にされた遊技機が知られている。例えば、特開２００８−１８３４２７号公報には、複数の識別情報を表示可能な可変表示装置、可変表示装置を制御する制御装置、及びこれらを収容するユニットケースをユニット化した可変表示ユニットが、筐体に対して着脱可能に収納された遊技機が開示されている。この公報に開示された遊技機では、可変表示ユニット載置台により筐体内を上下に区画し、筐体の上半には可変表示ユニットを取り付け、筐体の下半には電源装置等の機器を取り付けている。そして、可変表示ユニットの制御装置と、筐体の下半に取り付けられた機器とを電気的に接続する配線を中継するための中継基板が、可変表示ユニットの前面に取り付けられている。ところで、筐体内において、各種機器の前方に配線が配されていると、美観上及び各種機器の操作上、配線が邪魔となるため、各種機器の後方に配線を配することが望ましい。しかしながら、上記公報に開示された遊技機では、中継基板が可変表示ユニットの前面に取り付けられているため、この中継基板と、筐体の下半に取り付けられた機器との配線を、各種機器の後方に配するのが困難である。
【０５１６】
上述した実施形態に係る遊技機によれば、中継基板は、筐体内において表示ユニットよりも後方となる第３空間に配置される。また、中継基板と、第２空間に収容された機器とを接続する配線は、仕切板における第３空間に面する位置に形成された開口を挿通する。その結果として、筐体内の各種機器の後方に配線を配することが容易となるため、配線の取り回しの自由度を高めることができる。さらに、中継基板は、筐体の背面、並びに、収容部における背板及び一対の側板により画定される第３空間に配置されているため、表示ユニットを収容部に収容した際に、中継基板が筐体の背面と接触することを防止することができる。その結果として、中継基板が故障する可能性を低減することができる。
【０５１７】
（１２−２）  前記中継基板（中継基板ＣＫ）は、前記第３空間（空間ＧＳ）の下部に配置されている。
【０５１８】
上述した実施形態に係る遊技機によれば、中継基板が第３空間の下部に配置されているため、第２空間から仕切板に形成された開口を介して、中継基板に対して配線を接続することが容易となる。
【０５１９】
（１３−１）  表示ユニット（表示ユニットＡ）と、
前面に開口を有し、前記表示ユニットを交換可能に収容する本体筐体（キャビネットＧ）と、を備えた遊技機であって、
前記表示ユニットは、
映像を表示するための表示手段（固定スクリーン機構Ｄ、フロントスクリーン機構Ｅ１・リールスクリーン機構Ｆ１）と、
前記表示手段を収容する表示ユニット用筐体（筐体Ａ１）と
を備え、
前記表示ユニット用筐体における天板部材（プロジェクタカバーＢ１）の両側端部には、その前端から凹部（凹部Ｂ１３２）が後方に向けて連続して形成されており、前記凹部と前記本体筐体とで、前記本体筐体の上方に配される島設備（固定板部材ＯＣ）に前記本体筐体を設置固定するための作業空間（空間ＢＳ）が画定される。
【０５２０】
従来、各種部品の交換を容易にするために、複数の部品をユニット化してユニット単位で交換可能にされた遊技機が知られている。例えば、特開２００８−１８３４２７号公報には、複数の識別情報を表示可能な可変表示装置、可変表示装置を制御する制御装置、及びこれらを収容するユニットケースをユニット化した可変表示ユニットが、筐体に対して着脱可能に収納された遊技機が開示されている。ところで、一般的に、パチスロ機やパチンコ機等の遊技機は、遊技施設において島設備に設置して営業を行う。この遊技機を島設備に設置する際に、筐体の内側から天板を介して島設備に至るまで釘などを打ち込むことで、遊技機を島設備に固定している。ここで、上述したような、ユニットを交換可能な遊技機を島設備に設置する際には、ユニットを損傷してしまうことのないように、ユニットを取り外した状態で遊技機の設置作業を行うことが、作業者に求められる。しかしながら、実際には、作業者が、作業量が増えることを嫌がって、ユニットを収容した状態で遊技機の設置作業を行ってしまい、ユニットが損傷してしまう問題が生じている。ユニットが損傷してしまうと、ユニットの再利用が不可能となる虞があり、また、正常な遊技機と異なることになるため、認可を受けた遊技機ではないとされて営業を認められない虞がある。
【０５２１】
上述した実施形態に係る遊技機によれば、表示ユニット用筐体における天板部材の両側端部に凹部が形成されている。これにより、本体筐体に表示ユニットを収容した状態でも、表示ユニットと本体筐体との間には、島設備に設置固定するための作業空間が確保されることになる。その結果として、表示ユニットが損傷することを防止しつつ、表示ユニットを収容した状態で遊技機を島設備に設置することが可能となる。
【０５２２】
（１３−２）  前記本体筐体（キャビネットＧ）の天板部材（上面壁Ｇ４）には、上下方向に貫通する開口（開口Ｇ４１）が形成されており、
前記本体筐体は、前記天板部材に対して前記開口を塞ぐよう取り付けられた、前記天板部材よりも軟らかい軟質部材（板部材Ｇ４２）を備えており、
前記作業空間（空間ＢＳ）は、前記軟質部材から前記島設備（固定板部材ＯＣ）に至る釘を前記本体筐体内から打ち込むことが可能な空間である。
【０５２３】
上述した実施形態に係る遊技機によれば、表示ユニットを本体筐体に収容した状態で、表示ユニットに干渉せずに釘を打ち込むことが可能となる。これにより、表示ユニットが損傷することを防止しつつ、遊技機を島設備に確実に固定することができる。また、本体筐体の天板部材よりも軟らかい軟質部材に釘を打ち込むことで、容易に遊技機を島設備に設置することができる。
【０５２４】
（１４−１）  映像を表示するための表示ユニット（表示ユニットＡ）を備えた遊技機であって、
前記表示ユニットは、
映像を投影するプロジェクタ（照射光装置Ｂ）の投影対象となり得る第１のスクリーン（固定スクリーン機構Ｄ）と、
前記プロジェクタの投影対象となり得る第２のスクリーンであって、前記第１のスクリーンよりも前方に配置され、前記第１のスクリーンの代わりに前記プロジェクタの投影対象となる第１の位置と、前記プロジェクタの投影範囲外となる第２の位置との間で動作可能な第２のスクリーン（フロントスクリーン機構Ｅ１・リールスクリーン機構Ｆ１）と、
前記第２のスクリーンを、前記第１の位置と前記第２の位置との間で駆動するための駆動機構（フロントスクリーン駆動機構Ｅ２・リールスクリーン駆動機構Ｆ２）と、
前記第１のスクリーン、前記第２のスクリーン、及び、前記駆動機構を収容する筐体（スクリーン筐体Ｃ１０）と、
前記駆動機構と、前記表示ユニット外の機器とを接続する配線を中継するための中継基板（中継基板ＣＫ）と、を備え、
前記筐体（スクリーン筐体Ｃ１０）は、少なくとも底板（底板Ｃ１）、側板（右側板Ｃ２・左側板Ｃ３）、及び背板（背板Ｃ４）がそれぞれ別個に成型されるとともに、前記底板、前記側板、及び前記背板を組み立てることで構成されており、
前記第１のスクリーン、前記駆動機構、及び前記中継基板それぞれは、前記底板、前記側板、及び前記背板のうちの何れか１つの板に位置決め配置され、且つ、その位置決め配置される板が互いに異なる。
【０５２５】
従来、各種部品の交換を容易にするために、複数の部品をユニット化してユニット単位で交換可能にされた遊技機が知られている。例えば、特開２００８−１８３４２７号公報には、複数の識別情報を表示可能な可変表示装置、可変表示装置を制御する制御装置、及びこれらを収容するユニットケースをユニット化した可変表示ユニットが、筐体に対して着脱可能に収納された遊技機が開示されている。上記特開２００８−１８３４２７号公報に開示された遊技機では、ユニット化されている可変表示ユニットは、基本的に、遊技機の機種に依らずに共通して搭載されるユニットであり、遊技機の機種に依存して、機種間で共通化することができない演出装置等はユニット化されていない。ここで、機種に依存する演出装置を、機種毎にそれぞれ別個に製造すると、製造コストの負担が大きくなる。
【０５２６】
上述した実施形態に係る遊技機によれば、筐体（スクリーン筐体Ｃ１０）の各板に対して、異なる機能部品が位置決め配置される。従って、表示ユニット（表示ユニットＡ）全体では、機種間で共通化が図れない場合でも、筐体の板単位では、機種間で共通化を図ることができる可能性がある。その結果として、機種毎にそれぞれ表示ユニット（を製造する場合と比べて、安価に表示ユニットを製造することが可能となる。
【０５２７】
（１４−２）  前記筐体（スクリーン筐体Ｃ１０）は、前記底板（底板Ｃ１）、前記側板（右側板Ｃ２・左側板Ｃ３）、及び前記背板（背板Ｃ４）それぞれが交換可能に組み立てられている。
【０５２８】
上述した実施形態に係る遊技機によれば、筐体（スクリーン筐体Ｃ１０）の各板が交換可能に組み立てられている。このため、表示ユニット（表示ユニットＡ）の部材を板単位で交換することが可能となる。これにより、板単位で部材を交換することで、表示ユニットの交換対象外の部材を再利用しつつ、表示ユニットの仕様を変更することが可能となる。
【０５２９】
（１４−３）  前記底板（底板Ｃ１）には、前記第１のスクリーン（固定スクリーン機構Ｄ）を位置決めして載置するための凹部（中央載置部Ｃ１１）が形成されており、
前記側板（右側板Ｃ２・左側板Ｃ３）には、前記駆動機構（フロントスクリーン機構Ｅ１・リールスクリーン機構Ｆ１）が位置決め配置され、
前記背板（背板Ｃ４）には、前記中継基板（中継基板ＣＫ）が位置決め配置される。
【０５３０】
上述した実施形態に係る遊技機によれば、配線を中継する中継基板（中継基板ＣＫ）は背板（背板Ｃ４）に位置決め配置されることになるため、遊技者から配線を目視し難くすることができる。また、第１のスクリーン（固定スクリーン機構Ｄ）は底板（底板Ｃ１）に形成された凹部（中央載置部Ｃ１１）に載置することで位置決めされるため、側板（右側板Ｃ２・左側板Ｃ３）や背板（背板Ｃ４）に位置決め配置する場合と比べて、第１のスクリーンを簡易な方法で筐体に位置決めすることができる。
【０５３１】
（１４−４）  前記表示ユニット（表示ユニットＡ）は、
前記駆動機構（フロントスクリーン駆動機構Ｅ２・リールスクリーン駆動機構Ｆ２）と前記第２のスクリーン（フロントスクリーン機構Ｅ１・リールスクリーン機構Ｆ１）との間に配置される装飾部材（右可動体ベースＣ５・左可動体ベースＣ６）を更に備え、
前記底板（底板Ｃ１）には、前記装飾部材を配置するための凹部（右載置部Ｃ１２・左載置部Ｃ１３）が形成されている。
【０５３２】
上述した実施形態に係る遊技機によれば、装飾部材を駆動機構と第２のスクリーンとの間に配置することで、遊技者から駆動機構を目視し難くすることができる。その結果、遊技機の美観を向上させることができる。また、筐体の底板には装飾部材を配置するための凹部が形成されているため、装飾部材を容易に筐体に配置することが可能となる。
【０５３３】
（１５−１）  映像を表示するための表示ユニット（表示ユニットＡ）を備えた遊技機であって、
前記表示ユニットは、
映像を投影するためのプロジェクタ（照射光装置Ｂ）と、
前記プロジェクタの前方に配置され、前記プロジェクタから照射された光を斜め下後方に反射させるための反射ミラー（ミラー機構Ｂ３）と、
前記プロジェクタの投影対象となり得る第１のスクリーン（固定スクリーン機構Ｄ）と、
前記プロジェクタの投影対象となり得る第２のスクリーン（フロントスクリーン機構Ｅ１）であって、前記第１のスクリーンの上方に配置され、前記プロジェクタの投影範囲外となる第１の位置（フロント待機位置）と、前記第１のスクリーンよりも前方に配置され、前記第１のスクリーンの代わりに前記プロジェクタの投影対象となる第２の位置（フロント露出位置）との間で動作可能な第２のスクリーンと、
前記第２のスクリーンに連結された、回動軸（回動中心軸ＦＧ）を有するアーム（クランク部材Ｅ２２・Ｅ２２）と、
前記アームに対して動力源（駆動モータＥ２５）から発生した駆動力を伝達して、前記アームを前記回動軸中心に回動させることで、前記第２のスクリーンを前記第１の位置と前記第２の位置との間で動作させる駆動力伝達体（クランクギアＥ２１・Ｅ２１・中間ギアＥ２３・Ｅ２３）と、を備え、
前記アームの回動軸（回動中心軸ＦＧ）が、前記第２のスクリーン（フロントスクリーン機構Ｅ１）が前記第２の位置（フロント露出位置）にある場合の、前記第２のスクリーンの中心よりも上方に配置され、
前記アームは、前記第２のスクリーンが前記第１の位置にある場合の、前記第２のスクリーンの上部となる位置に連結されており、
前記第２のスクリーンが前記第２の位置にある場合において、前記第２のスクリーンが、前記反射ミラーに遠い後方の端部から前記反射ミラーに近い前方の端部に向けて上り傾斜となるように構成されている。
【０５３４】
従来、スクリーンにプロジェクタから投影された映像を表示する遊技機が知られている（例えば、特開２０１２−１４７８２８号公報参照）。この種の遊技機によれば、液晶ディスプレイと同程度の映像表現が可能であると共に、液晶ディスプレイと比べて、大型化した際のコストを低減させることが可能となる。また、スクリーンの形状を適宜設定することで、液晶ディスプレイでは不可能な映像表現を行うことが可能となる。ところで、映像表現の幅を広げるために、可動式のスクリーンを含む複数のスクリーンを遊技機に設けることが考えられる。このような遊技機において、可動式のスクリーンをプロジェクタの投影対象にする場合には、可動式のスクリーンを他のスクリーンよりも前方に配置する必要がある。一方で、可動式のスクリーン以外の他のスクリーンをプロジェクタの投影対象にする場合には、可動式のスクリーンを、他のスクリーンへの投影が阻害されないようにプロジェクタの投影範囲外に配置する必要がある。しかしながら、遊技機の筐体内において、表示ユニットを収容するスペースは限られているため、表示ユニットを大型化することができない。このため、可動式のスクリーンが動作可能なスペースも限られることになるため、可動式のスクリーンの大型化が困難となっている。
【０５３５】
上述した実施形態に係る遊技機によれば、アームの回動軸が、第２のスクリーンが第２の位置にある場合の第２のスクリーンの中心よりも上方に配置され、且つ、アームは、第２のスクリーンが第２の位置にある場合の、第２のスクリーンの上部となる位置に連結されている。これにより、第２のスクリーンの第１の位置と第２の位置との間を動作するときの動作範囲を小さくすることができる。このように第２のスクリーンの動作範囲を小さくすることで、第２のスクリーンを大型化することができる。加えて、第２のスクリーンが第１の位置にある場合において、第２のスクリーンが、反射ミラーに遠い後方の端部から反射ミラーに近い前方の端部に向けて上り傾斜となるように構成されている。これにより、第１のスクリーンへのプロジェクタの投影を阻害しない範囲で、第１のスクリーンと第２のスクリーンの上下方向の間隔を短くすることができる。その結果、第２のスクリーンをさらに大型化することができる。
【０５３６】
前記プロジェクタ（照射光装置Ｂ）は、前記第１のスクリーン（固定スクリーン機構Ｄ）及び前記第２のスクリーン（フロントスクリーン機構Ｅ１）の上方に配置されており、前記プロジェクタの下面は、その前部に後方から前方に向けて上方に傾斜する傾斜面を有している。
【０５３７】
上述した実施形態に係る遊技機によれば、プロジェクタの下面は、後方から前方に向けて上方に傾斜する傾斜面を有しているため、第２の位置にある第２のスクリーンとプロジェクタとの上下方向の間隔を短くすることができる。その結果、第２のスクリーンをさらに大型化することができる。
【０５３８】
従来、複数の扉を備えた遊技機が知られている（特開平１０−５２５２５号公報）。このように複数の扉を備えることにより、メダルの補給やリール機器の調整や機器の修理などの目的に合わせて、対応する扉を開ければよいため、外部に対して、不必要に遊技機の内部を晒さなくてもよい利点がある。
【０５３９】
しかしながら、複数の扉を備えた場合、それぞれに施錠するための施錠手段を設けなければならず、開錠作業が煩雑化し、部品点数が増えてしまうという問題がある。
また、遊技機の内部においては、メダルの補給などのように頻繁にアクセスする箇所もあれば、制御基板などのようにセキュリティ性が高く、滅多にアクセスしない箇所もあり、そのセキュリティ性に応じた施錠手段を採用したいというニーズもある。
【０５４０】
そこで、本発明は、上記のような問題点に鑑みてなされたものであり、開錠作業がスムーズに行えるとともに、遊技機内部に対するセキュリティ性を高めることができる遊技機を提供することを目的とする。
【０５４１】
（１６−１）  本発明の一つは、開閉可能な上ドア機構ＤＵを有する上部空間と、
開閉可能な下ドア機構ＤＤを有する下部空間と、
上ドア機構ＤＵを施錠可能な上部扉ロック機構Ｇ５２と、
上ドア機構ＤＵを施錠可能な下部扉ロック機構Ｇ５１と、
を備え、
上部扉ロック機構Ｇ５２は、
上部空間に設けられた筒Ｇ５２２２と、
爪部Ｇ５２２１ａ・Ｇ５２２１ｂが形成された、筒Ｇ５２２２の中を摺動可能な係止板Ｇ５２２１と、
上ドア機構ＤＵに設けられた、被係止部Ｇ５１１・Ｇ５２１と、
下ドア機構ＤＤは、
下ドア機構ＤＤが閉まった状態では、下ドア機構ＤＤが係止板Ｇ５２２１に干渉することにより係止板Ｇ５２２１の摺動を制止し、係止板Ｇ５２２１が筒Ｇ５２２２の中に保持され、爪部Ｇ５２２１ａ・Ｇ５２２１ｂが被係止部Ｇ５１１・Ｇ５２１に係止され、下ドア機構ＤＤが開いた状態では、下ドア機構ＤＤの係止板Ｇ５２２１に対する干渉を解除し、係止板Ｇ５２２１を摺動させることにより、係止板Ｇ５２２１の被係止部Ｇ５１１・Ｇ５２１に対する係止を解除する位置に設けられていることを特徴とする遊技機１である。
【０５４２】
上記構成によれば、下ドア機構ＤＤが閉まった状態（下ドア機構ＤＤが施錠された状態）では、下ドア機構ＤＤが係止板Ｇ５２２１に物理的に干渉することにより係止板Ｇ５２２１が摺動するのを制止する。そして、摺動が制止された係止板Ｇ５２２１が筒Ｇ５２２２の中に保持されることにより、爪部Ｇ５２２１ａ・Ｇ５２２１ｂが被係止棒Ｇ５２１ａ・Ｇ５２１ｂに係止され、上ドア機構ＤＵが上部空間に対して施錠された状態になる。
一方、下ドア機構ＤＤが開いた状態（下ドア機構ＤＤが開錠された状態）では、下ドア機構ＤＤの係止板Ｇ５２２１に対する物理的な干渉が解除されるため、係止板Ｇ５２２１が筒Ｇ５２２２の中を摺動可能となり、爪部Ｇ５２２１ａ・Ｇ５２２１ｂの係止棒Ｇ５２１ａ・Ｇ５２１ｂに対する係止が解除され、上ドア機構ＤＵの上部空間に対する施錠を解除することができる。
これにより、上ドア機構ＤＵの施錠を解除するには、先に、下部扉ロック機構Ｇ５１によって下ドア機構ＤＤの施錠を解除する手順を必要とするこができる。即ち、上ドア機構ＤＵを開けるには、下部扉ロック機構Ｇ５１の施錠解除をして、下ドア機構ＤＤを開けた後、上部扉ロック機構Ｇ５２の施錠解除の手順が必要となり上部空間に対するセキュリティを高めることができる。
これにより、上部空間に対しては、下部空間よりもセキュリティを高めることができ、下部空間に対しては、上部空間に比べて、スムーズにアクセスができる場所にすることができる。
【０５４３】
（１６−２）  本発明は、上記遊技機１において、下部扉ロック機構Ｇ５１は、鍵による施錠・開錠が可能なシリンダー錠Ｇ５１３であり、
下ドア機構ＤＤと下部空間との間には、下ドア機構ＤＤが閉まる方向に所定のトルクがかかるワンウェイヒンジＤＤ５４が設けられており、
係止部Ｇ５２２は、爪形状をしており、
被係止部Ｇ５２１は、棒形状をしており、
爪形状をした爪部Ｇ５２２１ａ・Ｇ５２２１ｂが、棒形状をした被係止棒Ｇ５２１ａ・Ｇ５２１ｂに引っ掛かることにより係止されることを特徴としている。
【０５４４】
上記構成によれば、下ドア機構ＤＤの施錠を解除するためには、鍵によってシリンダー錠Ｇ５１３を開錠する必要がある。遊技機１の管理者にとって、鍵は、コンパクトで持ち運びに適しているため、管理し易いという利点がある。
また、下ドア機構ＤＤと下部空間との間に、下ドア機構ＤＤが閉まる方向に所定のトルクがかかるワンウェイヒンジＤＤ５４を採用している。これにより、下ドア機構ＤＤを閉める際にはトルクがかかり、急激な負荷をかけずに静かに下ドア機構ＤＤを下部空間に対して閉めることができる。これにより、下ドア機構ＤＤによって物理的に干渉される係止板Ｇ５２２１に対して、急激な負荷をかけることを防止することができる。
また、係止板Ｇ５２２１の摺動により、爪形状の爪部Ｇ５２２１ａ・Ｇ５２２１ｂが、棒形状の被係止棒Ｇ５２１ａ・Ｇ５２１ｂに引っ掛かったり、引っ掛かりが解除されたりする。これにより、係止板Ｇ５２２１の摺動に連動させた、上ドア機構ＤＵの上部空間に対する施錠が可能となる。
【０５４５】
（１６−３）  上ドア機構ＤＵは、上部空間の一方の端部に回転自在に軸支されており、
上部扉ロック機構Ｇ５２は、軸支された端部とは反対側の端部に設けられていることを特徴としている。
【０５４６】
上記構成によれば、上部扉ロック機構Ｇ５２は、上ドア機構ＤＵが開閉される側に配置されるため、上部扉ロック機構Ｇ５２を開錠するために、下ドア機構ＤＤを大きく開けなくて済む。これにより、上ドア機構ＤＵを開錠するために、不必要に下部空間の内部を、外部に晒さずに済み、セキュリティ性を高めることができる。
【０５４７】
従来、特開２００４−２４４１０号公報に開示されているように、構成部品を複数のユニットに分け、これらを連結する連結部材によって構成された遊技機が知られている。このように複数のユニットに分けた構成にすることにより、仕様の変更時や修理の際には、ユニットを交換すればよいだけであり、仕様の変更や修理が容易になる利点がある。
【０５４８】
しかしながら、複数のユニットに分け、ユニット数が多くなると、組み立て・交換・分解する際に手間がかかってしまう場合がある。
【０５４９】
そこで、本発明は、上記のような問題点に鑑みてなされたものであり、遊技機の組み立て・部品交換・分解する際の作業を容易に行うことができる遊技機を提供することを目的とする。
【０５５０】
（１７−１）  本発明の一つは、開閉可能な下部扉ＤＤ１を有するキャビネットＧと、
下部扉ＤＤ１の内部側に設けられており、複数種類の図柄が配されたリールＲＬ，ＲＣ，ＲＲを複数備え、リールＲＬ，ＲＣ，ＲＲに配された図柄の変動表示及び停止表示を行うことが可能なリールユニットＲＵと、
遊技者による操作に応じて指令信号を出力するスタートレバーＤＤ６と、
リールユニットＲＵの背面側に設けられており、スタートレバーＤＤ６から出力された指令信号に基づいて、リールＲＬ，ＲＣ，ＲＲの回転を停止させることにより、リールＲＬ，ＲＣ，ＲＲに配された図柄を停止表示させる主制御基板ＭＳと、
を備えたことを特徴とする遊技機１である。
【０５５１】
上記構成によれば、下部扉ＤＤ１にはリールユニットＲＵが設けられ、更に、リールユニットＲＵには主制御基板ＭＳが設けられている。このように、下部扉ＤＤ１、リールユニットＲＵ、及び、主制御基板ＭＳを一体化することにより、遊技機１の組み立て・部品交換・分解する際の作業を容易に行うことができる。
また、主制御基板ＭＳは、遊技を制御する重要な構成であり、不正な取外しを防止する対策が必要であるが、主制御基板ＭＳは、リールユニットＲＵと一体化されているため、取外し難い構成にすることができる。
また、主制御基板ＭＳは、下部扉ＤＤ１の内部側に設けられたリールユニットＲＵの背面に設けられている。これにより、主制御基板ＭＳは、下部扉ＤＤ１及びリールユニットＲＵの厚み分だけ、下部扉ＤＤ１から遠いキャビネットＧの奥側に配置することができる。これにより、下部扉ＤＤ１と主制御基板ＭＳとの間に物理的な距離を確保することができ、下部扉ＤＤ１の隙間から不正侵入された場合であっても、主制御基板ＭＳへの到達が困難になり、セキュリティ性を向上させることができる。
【０５５２】
（１７−２）  本発明は、上記遊技機１において、下部扉ＤＤ１、リールユニットＲＵ、及び、主制御基板ＭＳは、一体形成されていることを特徴としている。
【０５５３】
上記構成によれば、下部扉ＤＤ１、リールユニットＲＵ、及び、主制御基板ＭＳは、一体形成されているため、遊技機１の仕様を変更する場合、下部扉ＤＤ１の外装の変更、リールＲＬ，ＲＣ，ＲＲの図柄の変更、及び、遊技内容の変更を、まとめて行うことができる。
【０５５４】
従来、特開２００４−６５４９３号公報に開示されているように、電源装置に設けられた操作板に対する不正操作を防止するために、操作板を覆うカバーを設け、更に、カバーを閉鎖位置へ付勢するカバー付勢手段を備えた遊技機が知られている。このような遊技機によれば、電源装置に対する不正操作を防止することができる。
【０５５５】
しかしながら、カバー付勢手段による付勢力を強めると、カバーの開放に強い力が必要になり、操作性が低下してしまう場合がある。また、カバー付勢手段による付勢力を弱めると操作板に対する十分な付勢力が付与されず、不正操作の防止効力が低下してしまう場合がある。
【０５５６】
そこで、本発明は、上記のような問題点に鑑みてなされたものであり、電源装置に対する操作性を低下させずに、電源装置に対するセキュリティ性を高めることができる遊技機を提供することを目的とする。
【０５５７】
（１８−１）  本発明の一つは、開閉可能な下ドア機構ＤＤを有するキャビネットＧと、
下部空間に設けられた電源装置ＤＥと、
下ドア機構ＤＤに設けられたスピーカＤＤ２５Ｌと、
を備え、
電源装置ＤＥは、
電力を供給するか否かを選択する電源スイッチＤＥ１と、
電源スイッチＤＥ１の操作が可能な開状態と、電源スイッチＤＥ１の操作が不可能な閉状態とに、移動することにより切り替わるスイッチカバーＤＥ２と、を有し、
スピーカＤＤ２５Ｌは、
下ドア機構ＤＤが閉められた際に、スイッチカバーＤＥ２の移動経路に割り込み、スイッチカバーＤＥ２が開状態になることを規制する凸部ＤＤ２５Ｌ１を有している
ことを特徴とする遊技機１である。
【０５５８】
上記構成によれば、下ドア機構ＤＤを閉じることにより、下ドア機構ＤＤに設けられたスピーカＤＤ２５Ｌの凸部ＤＤ２５Ｌ１が、スイッチカバーＤＥ２の移動経路に割り込み、スイッチカバーＤＥ２が開状態になることを規制することができる。一方、下ドア機構ＤＤを開けることにより、下ドア機構ＤＤに設けられたスピーカＤＤ２５Ｌの凸部ＤＤ２５Ｌ１のスイッチカバーＤＥ２に対する規制が解除されるため、スイッチカバーＤＥ２を、電源スイッチＤＥ１の操作が不可能な閉状態から、電源スイッチＤＥ１の操作が可能な開状態に切り替えることが可能になる。
これにより、下ドア機構ＤＤを開けた状態での電源スイッチＤＥ１の操作性を担保しつつ、電源装置ＤＥに対する不正操作を防止してセキュリティ性を高めることができる。
【０５５９】
（１８−２）  本発明は、遊技機１において、スイッチカバーＤＥ２は、閉状態と開状態とに、スライドすることにより切り替わり、
凸部ＤＤ２５Ｌ１は、凸形状をしており、
下ドア機構ＤＤが閉められた際に、スイッチカバーＤＥ２がスライドする移動経路に割り込み、スイッチカバーＤＥ２がスライドして開状態になることを規制することを特徴としている。
【０５６０】
上記構成によれば、スイッチカバーＤＥ２をスライドさせることにより、閉状態と開状態とに切り替えることができる。これにより、下ドア機構ＤＤを開けた状態での電源スイッチＤＥ１に対するアクセスを容易にすることができる。
また、凸部ＤＤ２５Ｌ１に設けた凸部ＤＤ２５Ｌ１が凸形状をしていることにより、スピーカＤＤ２５Ｌ自体の容積を大きくすることができ、音質の向上を同時に図ることができる。
【０５６１】
（１３−１）  本発明は、遊技機１において、スイッチカバーＤＥ２は、傾斜面ＤＥ２ａを有し、
凸部ＤＤ２５Ｌ１も、傾斜面ＤＤ２５Ｌａを有し、
スイッチカバーＤＥ２が開状態にあるときに、下ドア機構ＤＤが閉められると、凸部ＤＤ２５Ｌ１の傾斜面ＤＤ２５Ｌａが、スイッチカバーＤＥ２の傾斜面ＤＥ２ａに当接して押し込み、スイッチカバーＤＥ２をスライドさせて閉状態にすることを特徴としている。
【０５６２】
上記構成によれば、スイッチカバーＤＥ２が閉状態にあるとき、下ドア機構ＤＤが閉められると、スイッチカバーＤＥ２の傾斜面ＤＥ２ａと、凸部ＤＤ２５Ｌ１の傾斜面ＤＤ２５Ｌａが対向した位置に配置され、スイッチカバーＤＥ２のスライドを規制することができる。
一方、スイッチカバーＤＥ２が開状態にあるときに、下ドア機構ＤＤが閉められると、スイッチカバーＤＥ２が閉状態の位置からズレた位置にあるため、凸部ＤＤ２５Ｌ１の傾斜面ＤＤ２５Ｌａが、スイッチカバーＤＥ２の傾斜面ＤＥ２ａに当接して押し込むため、スイッチカバーＤＥ２がスライドして閉状態の位置に移動することになる。
これにより、例え、スイッチカバーＤＥ２を閉状態にすることを忘れて、開状態のまま、下ドア機構ＤＤを閉めたとしても、凸部ＤＤ２５Ｌ１の傾斜面ＤＤ２５Ｌａが、スイッチカバーＤＥ２の傾斜面ＤＥ２ａに当接して押し込むため、下ドア機構ＤＤを閉める動作に連動して、スイッチカバーＤＥ２をスライドさせて閉状態の位置に移動させることが可能となる。
【０５６３】
（１９−１）  背面（背面壁Ｇ３）に自動循環補給装置の補給路（メダル補給口Ｐ）を挿通可能な開口（補給用開口Ｇ３１）が形成された筐体（キャビネットＧ）と、
前記筐体内側から前記開口を遮蔽可能な平板状に形成され、前記開口を遮蔽した遮蔽状態で前記背面に対してねじ止め固定が可能にされた遮蔽部材（遮蔽部材ＭＨ１）と、
前記遮蔽部材（遮蔽部材ＭＨ１）を前記遮蔽状態から前記開口を露出した開放状態へ摺動可能にガイドするガイド部と、前記開放状態で前記遮蔽部材を保持可能な保持部（保持部ＭＨ２３ａ）とを有するガイド部材（ガイド部材ＭＨ２）と、
を備える。
【０５６４】
従来、遊技機は遊技場の設置島に設置される。このような設置島には、メダル等の遊技媒体を遊技機に対して補給する自動循環補給装置が敷設されることが知られている。
【０５６５】
自動循環補給装置から遊技媒体の補給を行うため、遊技機筐体の背面に開口が形成されることが一般的である。例えば、特開２００１−２１２２８２号公報では、切断部によってその接続が途切れている円弧状の４つの開口からなる自動循環補給装置接続開口が遊技機の背面に形成されている。自動循環補給装置が敷設された設置島に遊技機を設置する場合には、切断部を切断して内側の閉塞板を取り外すことにより筐体の背面に開口を形成し、自動循環補給装置の補給路をこの開口から挿通することができるようになっている。補給路は、例えば、パチスロ機のホッパータンクの上方に出口が配置され、適宜ホッパータンクにメダルを供給できるようになっている。
【０５６６】
ところで、設置済みの遊技機について、配置場所の変更や、異なる遊技場への移動が一般的に行われている。しかしながら、遊技機が新たに設置された設置島に自動循環補給装置が敷設されない場合、上記従来の遊技機では、一度形成した筐体の背面の開口はそのままの状態が維持されるため、その開口が不正に利用される虞があった。そのため、自動循環補給装置が敷設された設置島に適用させた遊技機を、自動循環補給装置が敷設されない設置島へ適用する場合、セキュリティ性が低下してしまうという問題があった。
【０５６７】
上記構成によれば、筐体の背面に自動循環補給装置の補給路を挿通可能な開口が形成されており、この開口は遮蔽部材によって遮蔽することが可能になっている。遮蔽部材は、ガイド部材により、遮蔽状態と開放状態との間で摺動がガイドされる。また、遮蔽部材は、遮蔽状態では筐体の背面にねじ止め固定可能にされており、開放状態ではガイド部材によって保持される。これにより、遊技機を自動循環補給装置が敷設された設置島に設置する場合には、遮蔽部材を摺動して開放状態とし、背面の開口に自動循環補給装置の補給路が挿通される。このとき、遮蔽部材は保持部によって保持されるため、遮蔽部材が無くなってしまうようなことを防止することができる。さらに遊技機を移動する場合、遮蔽部材を摺動して遮蔽状態でねじ止め固定することで開口を遮蔽することができる。その結果、自動循環補給装置の敷設された設置島に適用した後、自動循環補給装置の敷設されない設置島に遊技機を適用しても、保持しておいた遮蔽部材で開口を遮蔽することでセキュリティ性を維持することが可能となる。
【０５６８】
（１９−２）  背面（背面壁Ｇ３）に自動循環補給装置の補給路（メダル補給口Ｐ）を挿通可能な開口（補給用開口Ｇ３１）が形成された筐体（キャビネットＧ）と、
前記筐体内側から前記開口を遮蔽可能な長方形の平板状に形成され、前記開口を遮蔽した遮蔽状態で前記背面に対してねじ止め固定が可能にされ、上縁に前記背面に対して垂直に突出する突出部（突出部ＭＨ１２）が形成された遮蔽部材（遮蔽部材ＭＨ１）と、
前記遮蔽状態での前記遮蔽部材の上縁外側に沿って形成され前記遮蔽部材の垂直上方向への移動を規制する上縁部（上縁部ＭＨ２１）と、前記上縁部の両端を一方端とし当該一方端から垂直下方向へ前記遮蔽状態での前記遮蔽部材の側縁に沿って形成された２つの側縁部（側縁部ＭＨ２２・ＭＨ２２）と、前記２つの側縁部の他方端同士を接続し前記遮蔽部材が垂直方向へ摺動されるガイド溝（ガイド溝ＭＨ２３ｂ）が前記背面側に形成され前記遮蔽部材の前記突出部を上面で支持して前記遮蔽部材を保持する下縁部（下縁部２３、保持部ＭＨ２３ａ）と、を有するガイド部材（ガイド部材ＭＨ２）と、
を備える。
【０５６９】
上記構成によれば、筐体の背面に自動循環補給装置の補給路を挿通可能な開口が形成されており、この開口は遮蔽部材によって遮蔽することが可能になっている。遮蔽部材は、ガイド部材の下縁部に形成されたガイド溝により、遮蔽状態と開放状態との間で摺動がガイドされる。また、遮蔽部材の摺動は、ガイド部材の上縁部によって垂直上方向への移動が規制されると共に、２つの側縁部と下縁部とにより水平方向への移動が規制されるため、遮蔽部材の摺動時にガイド部材から外れてしまうことを防止することができる。また、遮蔽部材は、遮蔽状態では筐体の背面にねじ止め固定可能にされており、開放状態ではガイド部材によって保持される。これにより、遊技機を自動循環補給装置が敷設された設置島に設置する場合には、遮蔽部材を摺動して開放状態とし、背面の開口に自動循環補給装置の補給路が挿通される。このとき、遮蔽部材は保持部によって保持されるため、遮蔽部材が無くなってしまうようなことを防止することができる。さらに遊技機を移動する場合、遮蔽部材を摺動して遮蔽状態でねじ止め固定することで開口を遮蔽することができる。その結果、自動循環補給装置の敷設された設置島に適用した後、自動循環補給装置の敷設されない設置島に遊技機を適用しても、保持しておいた遮蔽部材で開口を遮蔽することでセキュリティ性を維持することが可能となる。
【０５７０】
（１９−３）  前記遮蔽部材の前記突出部は、前記遮蔽部材を保持する前記下縁部よりも、突出している。
【０５７１】
上記構成によれば、突出部を掴み易く、開放状態から遮蔽状態へ容易に移行することが可能となる。
【０５７２】
従来、ホッパー装置や補助収納庫からメダルが溢れ落ちるのを防止するために、ガイド部材等のメダル溢れ防止部材を設けて、セレクタからホッパー装置へと流動するメダル、及び、ホッパー装置から補助収納庫へと流動するメダルが、ホッパー装置及び補助収納庫から溢れてしまうことを防止する遊技機が知られている（特開２０１３−１８８３９７号公報）。このような遊技機によれば、溢れたメダルが遊技機内部に溜り、他の電子機器や可動部材に干渉する不具合を防止することができる。
【０５７３】
しかしながら、近年、外部からメダルを自動補給する場合など、上述したメダルの流れ以外の新たなメダルの流れがあり、これら新たなメダルの流れに対する対策が必要になっている。
【０５７４】
そこで、本発明は、上記のような問題点に鑑みてなされたものであり、外部からメダルを補給する場合でも、ホッパー装置などからメダルが溢れ落ちるのを防止することができる遊技機を提供することを目的とする。
【０５７５】
（２０−１）  本発明の一つは、キャビネットＧと、
キャビネットＧの背面壁Ｇ３に設けられ、金属製の薄いメダルをキャビネットＧの内部に受け入れるメダル補給機構ＭＨと、
メダル補給機構ＭＨから受け入れたメダルを貯留する、バケットＨＰ１を有するホッパ機構ＨＰと、
メダル補給機構ＭＨの下部に配置され、キャビネットＧの背面壁Ｇ３とホッパ機構ＨＰのバケットＨＰ１との間の隙間ＨＰＧを埋めるように、キャビネットＧの背面壁Ｇ３からバケットＨＰ１に架けて設けられたコインガードＨＰ３０と、
を備えたことを特徴とする遊技機１である。
【０５７６】
上記構成によれば、キャビネットＧの背面壁Ｇ３とホッパ機構ＨＰのバケットＨＰ１との間の隙間ＨＰＧを埋めるようにコインガードＨＰ３０が設けられているため、メダル補給機構ＭＨから受け入れたメダルが、バケットＨＰ１から溢れそうになったとしても、キャビネットＧの背面壁Ｇ３とホッパ機構ＨＰのバケットＨＰ１との間の隙間ＨＰＧに入り込むことを防止することができる。これにより、溢れたメダルがキャビネットＧの背面壁Ｇ３とホッパ機構ＨＰのバケットＨＰ１との間の隙間ＨＰＧに溜って、他の電子機器や可動部材に干渉する不具合を防止することができる。
【０５７７】
（２０−２）  本発明は、遊技機１において、キャビネットＧの背面壁Ｇ３から所定の距離を置いて設けられ、ホッパ機構ＨＰのバケットＨＰ１から溢れたメダルを収納するオーバーフローバケットＯＦを備え、
コインガードＨＰ３０は、キャビネットＧの背面壁Ｇ３からバケットＨＰ１に架けて設けられた第１ガード部ＨＰ３０１と、オーバーフローバケットＯＦからバケットＨＰ１に架けて設けられた第２ガード部ＨＰ３０２とを合わせてＬ字状に形成されており、且つ、バケットＨＰ１側に落ち込むように傾斜していることを特徴としている。
【０５７８】
上記構成によれば、オーバーフローバケットＯＦとバケットＨＰ１との間にもコインガードＨＰ３０を配置することができる。これにより、メダルがオーバーフローバケットＯＦとバケットＨＰ１との間に溢れ落ちることを防止することができる。
また、コインガードＨＰ３０にメダルが乗った場合であっても、バケットＨＰ１側に傾斜しているため、メダルが自重によりバケットＨＰ１側に滑り落ち、メダルをホッパ機構ＨＰに正常に貯留することができる。
【０５７９】
従来、特開２０１２−２０１５４号公報に示すように、複数のコインを収容可能なホッパー（コイン払出装置）を筐体の内部にスライド設置するのに伴い、ホッパーの背後に設けられたコネクタを筐体内部に設けられたコネクタに電気的に接続することができる遊技機が知られている。このような遊技機によれば、ホッパーの筐体への物理的な設置と、電気的な接続を同時に行えるため、ホッパーの設置・交換・点検の作業効率を向上させることができる。
【０５８０】
しかしながら、ホッパーを筐体の内部にスライド設置する際に、ホッパーをズレた位置でスライドさせてしまうと、ホッパーの背後に設けられたコネクタが筐体の背板に接触し、損傷してしまうおそれがある。
【０５８１】
この点、特開２０１２−２０１５４号公報では、ホッパーがスライドするのを案内するガイドレールが設けられているが、ホッパーのスライド設置を急いでいる際に、ガイド部に正しく案内されないままスライド設置してしまう場合もあり、ガイド部だけではコネクタを十分に保護することができない場合があった。
【０５８２】
そこで、本発明は、上記のような問題点に鑑みてなされたものであり、ホッパーを筐体の内部に正常にスライド設置することができる遊技機を提供することを目的とする。
【０５８３】
（２１−１）  本発明は、キャビネットＧの奥側に設けられたコネクタＧ８１に、ホッパ機構ＨＰの背面に設けられたコネクタＨＰ４１を接続する遊技機１であって、
ホッパ機構ＨＰの両側面に設けられた一対のガイド片ＨＰ２１・ＨＰ２２と、
キャビネットＧの底面板Ｇ９１に設けられ、上部位ＨＧ１２１・ＨＧ１３１と下部位ＨＧ１２３・ＨＧ１３３を有し、上部位ＨＧ１２１・ＨＧ１３１と下部位ＨＧ１２３・ＨＧ１３３との間に、一対のガイド片ＨＰ２１・ＨＰ２２を挟んで係合した状態でキャビネットＧの奥行き方向に摺動自在に、ホッパ機構ＨＰを案内可能な一対のガイドレールＨＧ１２・ＨＧ１３と、
ガイドレールＨＧ１２・ＨＧ１３の上部位ＨＧ１２１・ＨＧ１３１の上方、且つ、コネクタＨＰ４１より前方側に設けられた突出部ＨＧ１２４・ＨＧ１３４と、
を有する遊技機１である。
【０５８４】
上記構成によれば、ホッパ機構ＨＰをキャビネットＧの底面板Ｇ９１にスライド設置する際に、ホッパ機構ＨＰの両側面に設けられた一対のガイド片ＨＰ２１・ＨＰ２２が、ガイドレールＨＧ１２・ＨＧ１３の上部位ＨＧ１２１・ＨＧ１３１と下部位ＨＧ１２３・ＨＧ１３３との間に、挟まれず、誤ってガイドレールＨＧ１２・ＨＧ１３の上部位ＨＧ１２１・ＨＧ１３１の上方にズレてスライドされた場合に、ガイド片ＨＰ２１・ＨＰ２２が、ガイドレールＨＧ１２・ＨＧ１３の上部位ＨＧ１２１・ＨＧ１３１の上方に設けられた突出部ＨＧ１２４・ＨＧ１３４に接触することにより、ホッパ機構ＨＰが誤った位置でスライド設置されるのを防止することができる。即ち、ホッパ機構ＨＰをキャビネットＧの内部に正常にスライド設置することが可能となる。
これにより、ホッパ機構ＨＰが誤った位置でスライド設置され、ホッパ機構ＨＰがコネクタＧ８１に接触し、コネクタＧ８１が破損するのを防止することができる。
【０５８５】
（２１−２）  本発明は、ガイドレールＨＧ１２・ＨＧ１３の上部位ＨＧ１２１・ＨＧ１３１の、キャビネットＧの手前に配置される部分がテーパー形状になっていることを特徴とする遊技機である。
【０５８６】
上記構成によれば、ホッパ機構ＨＰをガイドレールＨＧ１２・ＨＧ１３に係合させる際に、ガイドレールＨＧ１２・ＨＧ１３の上部位ＨＧ１２１・ＨＧ１３１が、ホッパ機構ＨＰに接触するのを防止することができる。
【０５８７】
（２１−３）  本発明は、一対のガイドレールＨＧ１２・ＨＧ１３の下部位ＨＧ１２３・ＨＧ１３３、上部位ＨＧ１２１・ＨＧ１３１、及び、突出部ＨＧ１２４・ＨＧ１３４は、一枚の板を折り曲げて、一体形成したことを特徴とする遊技機である。
【０５８８】
上記構成によれば、一対のガイドレールＨＧ１２・ＨＧ１３の下部位ＨＧ１２３・ＨＧ１３３、上部位ＨＧ１２１・ＨＧ１３１、及び、突出部ＨＧ１２４・ＨＧ１３４を一枚の板により作出することできる。これにより、製造工程の簡易化を図ることができる。
【０５８９】
（２１−４）  突出部ＨＧ１２４・ＨＧ１３４は、キャビネットＧの奥側にあるため、ホッパ機構ＨＰを、ガイドレールＨＧ１２・ＨＧ１３に係合させる準備段階として、ガイドレールＨＧ１２・ＨＧ１３周辺に仮置きする際に邪魔にならないようにすることができる。
【０５９０】
（２１−５）  キャビネットＧの底面板Ｇ９１の、ガイドレールＨＧ１２・ＨＧ１３の手前に平面状のスペースＨＧ１７が設けられているため、平面状のスペースＨＧ１７に、ホッパ機構ＨＰのガイド片ＨＰ２１・ＨＰ２２をガイドレールＨＧ１２・ＨＧ１３に係合させる前の準備段階として、ホッパ機構ＨＰを仮置きすることができる。これにより、手際よく、ホッパ機構ＨＰをキャビネットＧの底部にスライド設置することができる。
【０５９１】
従来、遊技に伴う抽籤や演出に関する制御を行う制御基板が筐体の上部に配置され、メダルを取り扱うホッパー装置が筐体の下部に配置された遊技機が知られている（特開２０１３−１８８３９５号公報）。このような遊技機によれば、制御基板とホッパー装置との間に距離があるため、メダルが制御基板に物理的に接触することを防止し、メダル同士の接触による輻射（電磁場）の影響も小さくすることができる。
【０５９２】
しかしながら、近年、部品交換やリサイクルなどを簡便にするため、操作デバイスや演出装置などをユニット化し、筐体の上部に配置することが多くなってきている。そうすると、設計の都合上、制御基板を筐体の下部に配置し、制御基板とホッパー装置との間の距離が近くなる場合が生じる。
【０５９３】
その結果、制御基板とホッパー装置との間の距離が近くなるため、メダルが制御基板に物理的に接触したり、メダル同士の接触による輻射（電磁場）の影響が大きくなったりするおそれがある。
【０５９４】
そこで、本発明は、上記のような問題点に鑑みてなされたものであり、制御基板とホッパー装置との間の距離が近い場合であっても、メダルが制御基板に物理的に接触することを防止し、メダル同士の接触による輻射（電磁場）の影響も小さくすることができる遊技機を提供することを目的とする。
【０５９５】
（２２−１）  本発明の一つは、上部空間及び下部空間を有するキャビネットＧと、
上部空間に設けられた表示ユニットＡと、
下部空間の奥側に配置され、遊技に関する制御を司るサブ制御装置ＳＳと、
下部空間の、サブ制御装置ＳＳの手前側に配置され、金属製のメダルを貯留するホッパ機構ＨＰと、
サブ制御装置ＳＳとホッパ機構ＨＰとの間に設けられた板金ＢＫと、
を備え、
サブ制御装置ＳＳは、下部空間の背面壁Ｇ３と板金ＢＫによって挟みこまれていることを特徴とする遊技機１である。
【０５９６】
上記構成によれば、サブ制御装置ＳＳとホッパ機構ＨＰとの間に板金ＢＫを設けているため、例え、メダルがホッパ機構ＨＰに流入してサブ制御装置ＳＳ側へ飛び出したとしても、板金ＢＫによってメダルがサブ制御装置ＳＳに物理的に接触することを防止することができる。また、サブ制御装置ＳＳとホッパ機構ＨＰとの間に板金ＢＫを設けているため、ホッパ機構ＨＰにおける金属製のメダル同士の接触による輻射（電磁場）の影響も板金ＢＫによって防止することができる。
また、サブ制御装置ＳＳは、下部空間の奥側に設けられ、下部空間の背面壁Ｇ３と板金ＢＫによって挟みこまれているため、サブ制御装置ＳＳは、板金ＢＫを外さなければ、キャビネットＧから外すことができない。これにより、サブ制御装置ＳＳに対するセキュリティ性を高めている。
【０５９７】
（２２−２）  板金ＢＫは、遊技機１の金属フレームに接続されているため、板金ＢＫにメダルが接触することによる輻射、及び、メダルの投下による金属製のメダル同士の接触による輻射を、金属フレームを介してアースすることができる。
【０５９８】
従来、特開２０１０−１２２３９号公報に記載されているように、前扉の開口に対し、前面から取付可能なように、側面に弾性変形する係止部が設けられたボタンユニットを備え、このボタンユニットに、ボタンユニットと開口との間の隙間を埋めるために開口よりも大きいフランジ部が設けられた遊技機が知られている。このような遊技機では、ボタンユニットを、前面から係止部の弾性変形を利用して簡単に開口に嵌め込むことができる。また、フランジ部がボタンユニットと開口との間の隙間を埋めているため、隙間から針金等を差し込み係止部を弾性変形させ、ボタンユニットを取り外すといった不正行為を防止することができる。
【０５９９】
しかしながら、前扉の裏に、係止部を弾性変形させて固定するだけでは、前扉にボタンユニットを十分に固定できない場合あった。また、フランジ部が外部（前扉）に露出することにより、外観を損ねる場合がある。
【０６００】
そこで、本発明は、上記のような問題点に鑑みてなされたものであり、ボタンを筐体に強固に固定することができる遊技機を提供することを目的とする。
【０６０１】
（２３−１）  本発明の一つは、キャビネットＧと、
キャビネットＧに設けられた第２台座部ＤＤ２ｂと
第２台座部ＤＤ２ｂに形成された開口部ＤＤ２ｂａを介して取付けられる最大ＢＥＴボタンＤＤ８と、
を備え、
最大ＢＥＴボタンＤＤ８は、
開口部ＤＤ２ｂａに対してキャビネットＧの外側に配置され、且つ、連通孔ＤＤ８１６ａ・ＤＤ８１６ｂ及び螺子穴ＤＤ８１６３ａ・ＤＤ８１６３ｂを有し、開口部ＤＤ２ｂａよりも大きいフランジＤＤ８１１１を有する操作部ＤＤ８１と、
開口部ＤＤ２ｂａに対してキャビネットＧの内部側に配置され、且つ、連通孔ＤＤ８２６ａ・ＤＤ８２６ｂを有し、開口部ＤＤ２ｂａよりも大きいフランジＤＤ８２３をした係止部ＤＤ８２と、
連通孔ＤＤ８２６ａ・ＤＤ８２６ｂ、連通孔ＤＤ８１６ａ・ＤＤ８１６ｂ、及び、螺子穴ＤＤ８１６３ａ・ＤＤ８１６３ｂとを連通して螺合する螺子ＤＤ８３ａ・ＤＤ８３ｂと
を備えていることを特徴とする遊技機１である。
【０６０２】
上記構成によれば、連通孔ＤＤ８２６ａ・ＤＤ８２６ｂ、連通孔ＤＤ８１６ａ・ＤＤ８１６ｂ、及び、螺子穴ＤＤ８１６３ａ・ＤＤ８１６３ｂとを連通して螺合する螺子ＤＤ８３ａ・ＤＤ８３ｂによって、操作部ＤＤ８１と係止部ＤＤ８２とを開口部ＤＤ２ｂａを介して第２台座部ＤＤ２ｂに固定することができる。また、操作部ＤＤ８１は開口部ＤＤ２ｂａより大きい形状部分を有するため、最大ＢＥＴボタンＤＤ８が、開口部ＤＤ２ｂａの外側からキャビネットＧの内部側に落ち込んでしまうことを防止することができる。また、係止部ＤＤ８２も開口部ＤＤ２ｂａより大きいフランジＤＤ８２３を有するため、最大ＢＥＴボタンＤＤ８が、開口部ＤＤ２ｂａの内側からキャビネットＧの外部に出てしまうことを防止することができる。これにより、最大ＢＥＴボタンＤＤ８を第２台座部ＤＤ２ｂに対して固定することができる。
【０６０３】
（２３−２）  本発明は、遊技機１において、操作部ＤＤ８１は、
貫通孔ＤＤ８１１ａ・ＤＤ８１１ｂを有するボタンベースＤＤ８１１と、
押圧により貫通孔ＤＤ８１１ａ・ＤＤ８１１ｂを摺動可能な第１部材ＤＤ８１２と、
押圧により押し込まれたＤＤ８１２を初期位置に復帰させるスプリングＤＤ８１３と、
を有し、
第１部材ＤＤ８１２の底面の形状とボタンベースＤＤ８１１の上面の形状とは同じであることを特徴としている。
【０６０４】
上記構成によれば、第１部材ＤＤ８１２の底面の形状とボタンベースＤＤ８１１の上面の形状とは同じであるため、上方から第１部材ＤＤ８１２を見たときに、ボタンベースＤＤ８１１が第１部材ＤＤ８１２によって隠されて、外部に、遊技者が押圧する第１部材ＤＤ８１２のみを見せることができる。これにより、最大ＢＥＴボタンＤＤ８の外観をシンプルにすることができ、遊技機１の外観のデザイン性を高めることができる。
また、第１部材ＤＤ８１２の底面の形状とボタンベースＤＤ８１１の上面の形状とは同じであるため、第１部材ＤＤ８１２の底面の形状がボタンベースＤＤ８１１の上面の形状よりも小さいものに比べて、ボタンベースＤＤ８１１が有する貫通孔ＤＤ８１１ａ・ＤＤ８１１ｂの隙間からの不正な侵入を防止し易い構造にすることができる。
【０６０５】
（２４−１）  複数種類の図柄が配されたリール（リールＲＬ，ＲＣ，ＲＲ）を備え、前記リールに配された図柄の変動表示及び停止表示を行うことが可能な図柄表示手段（リール装置ＲＵ）と、
遊技者による操作に応じて開始指令信号を出力する開始指令手段（スタートレバーＤＤ６等）と、
前記開始指令手段から出力された前記開始指令信号を検出したことを契機として、前記リールを回転させることにより、前記リールに配された図柄の変動表示を行う変動制御手段（主制御基板ＭＳ、駆動制御基板ＲＵ１１４、モータ駆動部ＲＵ１１３等）と、
遊技者による操作に応じて停止指令信号を出力する停止指令手段（停止ボタンＤＤ７Ｌ，ＤＤ７Ｃ，ＤＤ７Ｒ等）と、
前記停止指令手段から出力された前記停止指令信号に基づいて、前記リールの回転を停止させることにより、前記リールに配された図柄を停止表示させる停止制御手段（主制御基板ＭＳ、駆動制御基板ＲＵ１１４、モータ駆動部ＲＵ１１３等）と、
回転に伴う前記リールの基準位置からの変位の程度を特定するリール位置特定手段（主制御基板ＭＳ、駆動制御基板ＲＵ１１４等）と、
前記リールの回転に伴って所定の円周（円周ＲＵＤ）に沿って回転する検知片（検知片ＲＵ１１１２）と、
前記円周上の１点（検知点ＲＵＰ）を検知位置とするセンサ（センサ部ＲＵ１１２）と、
前記センサによる前記検知片の検知に基づいて前記リールが基準位置に至ったか否かを特定する基準位置特定手段（主制御基板ＭＳ等）と、
を備え、
前記基準位置特定手段は、前記検知片が検知されていない状態から検知されている状態に変化したことを検出したときの前記リールの位置を第１基準位置とし、前記検知片が検知されている状態から検知されていない状態に変化したことを検出したときの前記リールの位置を第２基準位置とし、
前記検知片は、前記リールの位置が第１基準位置となった後第２基準位置となるまでの間、前記センサによって継続的に検知される。
【０６０６】
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するモータと、スタートスイッチおよびストップスイッチにより出力された信号に基づいて、モータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０６０７】
このような従来の遊技機として、リールの回転を駆動するためのモータとしてステッピングモータを用いた遊技機が知られている（特開２００６−２６３２８４号公報参照）。このような遊技機においては、リールの特定箇所に検知片（リールインデックス）が設けられており、リールインデックスの検出を基準として、パルスを出力した回数に基づいてリールの位置を算出することができる。このような方法を用いてリールの位置を算出することにより、図柄に応じた数の検知片を設ける必要がなく、コストを削減することができる。
【０６０８】
しかしながら、検知片が検出されない間に算出されるリールの位置は、パルスの出力された回数に基づいて求められる理論上の位置であり、リールを素手で停止させる等のイレギュラーが発生した場合等、実際のリールの位置と必ずしも一致しない可能性がある。
【０６０９】
上記構成によれば、リールの回転に伴って所定の円周に沿って回転する検知片は、円周上の１点を検知位置とするセンサによって継続的に検知される。そして、検知片が検知されていない状態から検知されている状態に変化したこと（所謂オンエッジ）が検出されることで第１基準位置が特定され、検知片が検知されている状態から検知されていない状態に変化したこと（所謂オフエッジ）が検出されることで第２基準位置が特定される。従って、リールが１回転する間に、リールの位置が第１基準位置となった時とリールの位置が第２基準位置となった時との２回、検出を行うことが可能である。このように、リールが１回転する間に２回の検出が行われるため、リールの回転速度が理論上規定速度に達した後（加速処理が完了した後）停止操作が有効となるまでの時間を短縮することができる。これにより、目押しの対象となる図柄の位置と検知片の位置との関係により一周押しを行うことができない可能性を低減することが可能となり、その結果、停止操作が有効となるタイミングのむらを少なくし、停止操作の際に遊技者が不便さを感じてしまうことを防止することができる。
【０６１０】
（２４−２）  前記第１基準位置及び前記第２基準位置が、前記リールの中心軸を通る直線上に前記中心軸を挟んで対向配置されており、
前記検知片は、前記円周経路上において、前記第１基準位置に対応する位置から前記円周経路上に沿って前記第２基準位置に対応する位置に至る領域を含み、前記第２基準位置に対応する位置から前記円周経路上に沿って前記第１基準位置に対応する位置に至る領域を含まない形状を有している。
【０６１１】
上記構成によれば、センサを１つ設けただけであっても、リールが１回転する間に２回の検出を行うことが可能であり、センサを２つ設けた場合と同様の効果が得られる。すなわち、センサの数を増加させることなく、目押しの対象となる図柄の位置と検知片の位置との関係により一周押しを行うことができない可能性を低減することができる。
【０６１２】
（２５−１）  複数種類の図柄が配されたリール（リールＲＬ，ＲＣ，ＲＲ）を複数備え、前記リールに配された図柄の変動表示及び停止表示を行うことが可能な図柄表示手段（リール装置ＲＵ）と、
遊技者による操作に応じて開始指令信号を出力する開始指令手段（スタートレバーＤＤ６等）と、
前記開始指令手段から出力された前記開始指令信号を検出したことを契機として、前記リールを回転させることにより、前記リールに配された図柄の変動表示を行う変動制御手段（主制御基板ＭＳ、駆動制御基板ＲＵ１１４、モータ駆動部ＲＵ１１３等）と、
遊技者による操作に応じて停止指令信号を出力する停止指令手段（停止ボタンＤＤ７Ｌ，ＤＤ７Ｃ，ＤＤ７Ｒ等）と、
前記停止指令手段から出力された前記停止指令信号に基づいて、前記リールの回転を停止させることにより、前記リールに配された図柄を停止表示させる停止制御手段（主制御基板ＭＳ、駆動制御基板ＲＵ１１４、モータ駆動部ＲＵ１１３等）と、
前記図柄表示手段において停止表示された図柄を背後から照明する照明手段（バックライトＲＲ４等）と、を備え、
複数の前記リールのうち隣接する２つの前記リールの間には、前記リールを支持する支持板（モータ取付板ＲＵ１１）が配置されており、
前記支持板の前方部分は、側面視略弓形形状に形成されている。
【０６１３】
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０６１４】
このような従来の遊技機として、リールの内部から図柄を照射するバックランプを備えた遊技機が知られている（特開２００９−１７８２６８号公報参照）。このような遊技機によれば、図柄の組合せが停止表示された場合に、当該図柄の組合せを構成する図柄を強調表示する等、図柄自体に対して演出効果を持たせることができる。
【０６１５】
しかしながら、一般的に、遊技機においては、複数のリールが横方向に隣接して設けられているため、隣接するリールに対して照射するバックランプの光同士が干渉し合い、良好な演出効果を期待することができないという問題があった。
【０６１６】
上記構成によれば、隣接する２つのリールの間にリールを支持する支持板が配置されており、支持板の前方部分は、側面視略弓形形状に形成されている。従って、当該支持板は、側面視矩形状の支持板等と比較して、前方に突出した形状を有しているため、仕切板としての機能を有することとなり、これにより、一のリールに対する照明光が隣接するリールに至ることを防止することができる。しかも、単純に支持板のサイズを大きくすることで仕切板としての機能を付与するわけではなく、支持板の前方部分を側面視略弓形形状に形成することによりこのような機能を付与しているため、遊技者からの見た目にも支持板が目立つわけではなく、遊技機の美観を損ねてしまうことも防止することができる。
【０６１７】
上記支持板は、側面視略弓形形状の前方部と、側面視において該弓形を規定する円弧の両端部から後方に向かって連続的に形成された形状（例えば、側面視略矩形状）の後方部とにより構成することができる。なお、弓形とは、円弧と、当該円弧の端部同士を結んだ弦とで囲まれた図形である。
【０６１８】
また、上記支持板は、リールを直接支持するものであってもよく、他の部材を介してリールを間接的に支持するものであってもよい。例えば、上記支持板は、リールを回転駆動するモータ（ステッピングモータ）を取り付けるためのモータ取付板であってもよい。
【０６１９】
（２５−２）  複数種類の図柄が配されたリール（リールＲＬ，ＲＣ，ＲＲ）を複数備え、前記リールに配された図柄の変動表示及び停止表示を行うことが可能な図柄表示手段（リール装置ＲＵ）と、
遊技者による操作に応じて開始指令信号を出力する開始指令手段（スタートレバーＤＤ６等）と、
前記開始指令手段から出力された前記開始指令信号を検出したことを契機として、前記リールを回転させることにより、前記リールに配された図柄の変動表示を行う変動制御手段（主制御基板ＭＳ、駆動制御基板ＲＵ１１４、モータ駆動部ＲＵ１１３等）と、
遊技者による操作に応じて停止指令信号を出力する停止指令手段（停止ボタンＤＤ７Ｌ，ＤＤ７Ｃ，ＤＤ７Ｒ等）と、
前記停止指令手段から出力された前記停止指令信号に基づいて、前記リールの回転を停止させることにより、前記リールに配された図柄を停止表示させる停止制御手段（主制御基板ＭＳ、駆動制御基板ＲＵ１１４、モータ駆動部ＲＵ１１３等）と、
前記図柄表示手段において停止表示された図柄を背後から照明する照明手段（バックライトＲＲ４等）と、を備え、
複数の前記リールのうち隣接する２つの前記リールの間には、前記リールを支持する支持板（モータ取付板ＲＵ１１）が配置されており、
前記支持板の前方部分は、側面視において前記リールと略同一形状に形成されている。
【０６２０】
上記構成によれば、隣接する２つのリールの間にリールを支持する支持板が配置されており、支持板の前方部分は、側面視においてリールと略同一形状に形成されている。従って、当該支持板は、側面視矩形状の支持板等と比較して、前方に突出した形状を有しているため、仕切板としての機能を有することとなり、これにより、一のリールに対する照明光が隣接するリールに至ることを防止することができる。しかも、単純に支持板のサイズを大きくすることで仕切板としての機能を付与するわけではなく、支持板の前方部分を側面視においてリールと略同一形状に形成することによりこのような機能を付与しているため、遊技者からの見た目にも支持板が目立つわけではなく、遊技機の美観を損ねてしまうことも防止することができる。
【０６２１】
側面視においてリールと略同一形状に形成された上記支持板の前方部分は、対向するリールの部分と略同一の大きさであり、両者は重なり合っていることが望ましい。すなわち、一方の側面から見たときには、支持板の前方部分がリールによって略完全に覆われており、他方の側面から見たときには、支持板の前方部分によって当該部分に対向するリールの部分が略完全に覆われていることが望ましい。これにより、支持板に対して仕切板としての機能を付与することと、遊技機の美観を維持することとを、バランスよく実現することができる。
【０６２２】
例えば、上記支持板は、側面視においてリールの前方半分と重なり合った略半円形状の前方部と、側面視において該半円を規定する円弧の両端部から後方に向かって連続的に形成された形状（例えば、側面視略矩形状）の後方部とにより構成されていてもよい。
【０６２３】
（２６−１）  複数種類の図柄が配されたリール（リールＲＬ，ＲＣ，ＲＲ）を備え、前記リールに配された図柄の変動表示及び停止表示を行うことが可能な図柄表示手段（リール装置ＲＵ）と、
遊技者による操作に応じて開始指令信号を出力する開始指令手段（スタートレバーＤＤ６等）と、
前記開始指令手段から出力された前記開始指令信号を検出したことを契機として、前記リールを回転させることにより、前記リールに配された図柄の変動表示を行う変動制御手段（主制御基板ＭＳ、駆動制御基板ＲＵ１１４、モータ駆動部ＲＵ１１３等）と、
遊技者による操作に応じて停止指令信号を出力する停止指令手段（停止ボタンＤＤ７Ｌ，ＤＤ７Ｃ，ＤＤ７Ｒ等）と、
前記停止指令手段から出力された前記停止指令信号に基づいて、前記リールの回転を停止させることにより、前記リールに配された図柄を停止表示させる停止制御手段（主制御基板ＭＳ、駆動制御基板ＲＵ１１４、モータ駆動部ＲＵ１１３等）と、
回転に伴う前記リールの基準位置からの変位の程度を特定するリール位置特定手段（主制御基板ＭＳ、駆動制御基板ＲＵ１１４等）と、
前記リールの回転に伴って所定の円周に沿って回転する検知片（検知片ＲＵ１１１２）と、
前記検知片を検出するセンサ（センサＲＵ１１２１）と、
前記センサによる前記検知片の検知に基づいて前記リールが基準位置に至ったか否かを特定する基準位置特定手段（主制御基板ＭＳ等）と、
を備え、
前記センサは、前記リールを回転駆動するモータを取り付けるためのモータ取付板（モータ取付板ＲＵ１１）に、台座部材（台座部材ＲＵ１１２２）を介して取り付けられており、
前記モータ取付板には、前記台座部材を前記モータ取付板に締結するための螺子（螺子ＲＵ１１２４ａ・ＲＵ１１２４ｂ）を挿入可能な螺子挿入部（螺子孔ＲＵ１１ｃ・螺子孔ＲＵ１１ｄ）が第１所定箇所及び第２所定箇所に設けられているとともに、前記第１所定箇所と前記第２所定箇所とを結ぶ第１の直線（直線ＲＵＤＡ）と略垂直な第２の直線（直線ＲＵＤＢ）上の２つの箇所であって前記第１の直線を境として互いに反対側に位置する第３所定箇所及び第４所定箇所に位置決め挿入部（嵌合孔ＲＵ１１ｅ・ＲＵ１１ｆ）が設けられ、
前記台座部材には、前記２つの箇所に設けられた前記位置決め挿入部に嵌挿可能な位置決め突起部（突出部ＲＵ１１２２ｊ・ＲＵ１１２２ｋ）が設けられている。
【０６２４】
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０６２５】
このような遊技機では、リールの回転制御を正確に行うべく、リールと同軸で回転するリールインデックスが設けられている（特開２００６−２６３２８４号公報参照）。リールインデックスは所定の円周に沿って回転し、この回転経路上の１点を検出位置とするセンサによってリールインデックスの通過が検出される。そして、リールインデックスが検出された位置をリールの基準位置とし、この基準位置とステッピングモータの励磁ステップ数とに基づいてリールの位置が算出される。
【０６２６】
ところで、上記従来のリールインデックス検出用のセンサは、リールのモータを取り付けるモータ取付板に、台座部材を介して配設されることが一般的である。これにより、センサは、リールインデックスの回転経路の近傍に配置される。しかしながら、台座部材のモータ取付板への正確な位置決めが行われない場合、リール停止位置に基づいて決定される遊技結果の誤判定やセンサとリールインデックスとが接触することによる遊技機の破損が発生する虞があった。
【０６２７】
上記構成によれば、モータ取付板と台座部材との取り付けに際し、モータ取付版の第３所定箇所及び第４所定箇所の位置決め挿入部に、台座部材の位置決め突起部を嵌挿させることで、モータ取付板に対する台座部材の位置決めを行うことができ、その位置決めされた状態で螺子が螺子挿入部に挿入され、モータ取付板と台座部材とが螺子止め固定される。モータ取付板に対する台座部材の位置は、２つの螺子挿入部と、２つの位置決め挿入部との４か所で規制され、さらに２つの螺子挿入部を結ぶ第１の直線と、２つの位置決め挿入部を結ぶ第２の直線とが垂直になるように設定されている。これにより、モータ取付板に対する台座部材の位置にずれが生じることを防止することができる。さらに、螺子止めは、２つの螺子挿入部の２箇所のみであるため、取り付け作業を簡易にすることができる。その結果、モータ取付板に対する台座部材の取り付けを簡易かつ正確に位置決めして行うことができ、遊技結果の誤判定や遊技機の破損を防止することが可能となる。
【０６２８】
（２６−２）  前記第３所定箇所及び前記第４所定箇所のうちの一方の箇所に設けられた位置決め挿入部は、前記第２の直線方向が長手方向となる長穴状に形成されている。
【０６２９】
上記構成によれば、第２の直線上に配置される２つの位置決め挿入部において、一方が第２の直線方向が長手方向となる長穴状に形成されている。これにより、台座部材において２つの位置決め突起部を成形する上での間隔の誤差を許容することができる。
【０６３０】
前記位置決め挿入部は、長手方向が、前記センサの検知位置における検知片の回転の接線方向と略垂直にされている。
【０６３１】
上記構成によれば、長手方向を有する嵌合孔において台座部材との位置ずれが生じたとしても、センサによるリールの基準位置の誤検知を防止することが可能となっている。
【０６３２】
（２７−１）  複数種類の図柄が配されたリール（リールＲＬ，ＲＣ，ＲＲ）を備え、前記リールに配された図柄の変動表示及び停止表示を行うことが可能な図柄表示手段（リール装置ＲＵ）と、
遊技者による操作に応じて開始指令信号を出力する開始指令手段（スタートレバーＤＤ６等）と、
前記開始指令手段から出力された前記開始指令信号を検出したことを契機として、前記リールを回転させることにより、前記リールに配された図柄の変動表示を行う変動制御手段（主制御基板ＭＳ、駆動制御基板ＲＵ１１４、モータ駆動部ＲＵ１１３等と、
遊技者による操作に応じて停止指令信号を出力する停止指令手段（停止ボタンＤＤ７Ｌ，ＤＤ７Ｃ，ＤＤ７Ｒ等）と、
前記停止指令手段から出力された前記停止指令信号に基づいて、前記リールの回転を停止させることにより、前記リールに配された図柄を停止表示させる停止制御手段（主制御基板ＭＳ、駆動制御基板ＲＵ１１４、モータ駆動部ＲＵ１１３等）と、
回転に伴う前記リールの基準位置からの変位の程度を特定するリール位置特定手段（主制御基板ＭＳ、駆動制御基板ＲＵ１１４等）と、
前記リールの回転に伴って所定の円周に沿って回転する検知片と、
前記検知片を検出するセンサ（センサＲＵ１１２１）と、
前記センサによる前記検知片の検知に基づいて前記リールが基準位置に至ったか否かを特定する基準位置特定手段（主制御基板ＭＳ等）と、
を備え、
前記リール位置特定手段は、
前記センサは、前記リールを回転駆動するモータを取り付けるためのモータ取付板（モータ取付板ＲＵ１１）に、台座部材（台座部材ＲＵ１１２２）を介して取り付けられており、
前記台座部材には、前記センサを前記台座部材に締結するための螺子（螺子ＲＵ１１２３ａ・ＲＵ１１２３ｂ）を挿入可能な螺子挿入部（螺子孔ＲＵ１１２２ｃ・螺子孔ＲＵ１１２２ｄ）が第１所定箇所及び第２所定箇所に設けられているとともに、前記第１所定箇所と前記第２所定箇所とを結ぶ第１の直線（直線ＲＵＤＣ）と略垂直な第２の直線（直線ＲＵＤＤ）上の２つの箇所であって前記第１の直線よりも前記センサが前記検知片を検出する側に位置する第３所定箇所及び第４所定箇所に位置決め突起部（突出部ＲＵ１１２２ｅ・ＲＵ１１２２ｆ）が設けられ、
前記センサには、前記２つの箇所に設けられた前記位置決め突起部を嵌挿可能な位置決め挿入部（嵌合孔ＲＵ１１２４ｅ・ＲＵ１１２４ｆ）が設けられている。
【０６３３】
従来、複数の図柄がそれぞれの表面に配された複数のリールと、遊技メダルやコイン等（「メダル等」）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部とを備え、スタートレバーが操作されたことを検出すると、乱数値に基づいて抽籤を行い、この抽籤の結果（「内部当籤役」）とストップボタンが操作されたことを検出したタイミングとに基づいてリールの回転の停止を行う、いわゆるパチスロと称される遊技機が知られている。
【０６３４】
このような遊技機では、リールの回転制御を正確に行うべく、リールと同軸で回転するリールインデックスが設けられている（特開２００６−２６３２８４号公報参照）。リールインデックスは所定の円周に沿って回転し、この回転経路上の１点を検出位置とするセンサによってリールインデックスの通過が検出される。そして、リールインデックスが検出された位置をリールの基準位置とし、この基準位置とステッピングモータの励磁ステップ数とに基づいてリールの位置が算出される。
【０６３５】
ところで、上記従来のリールインデックス検出用のセンサは、リールのモータを取り付けるモータ取付板に、台座部材を介して配設されることが一般的である。これにより、センサは、リールインデックスの回転経路の近傍に配置される。しかしながら、センサの台座部材への正確な位置決めが行われない場合、リール停止位置に基づいて決定される遊技結果の誤判定やセンサとリールインデックスとが接触することによる遊技機の破損が発生する虞があった。
【０６３６】
上記構成によれば、台座部材とセンサとの取り付けに際し、台座部材の第３所定箇所及び第４所定箇所の位置決め突起部を、センサの位置決め挿入部に嵌挿させることで、台座部材に対するセンサの位置決めを行うことができ、その位置決めされた状態で螺子が螺子挿入部に挿入され、台座部材とセンサとが螺子止め固定される。台座部材に対するセンサの位置は、２つの螺子挿入部と、２つの位置決め突起部との４か所で規制され、さらに２つの螺子挿入部を結ぶ第１の直線と、２つの位置決め挿入部を結ぶ第２の直線とが垂直になるように設定されている。これにより、台座部材に対するセンサの位置にずれが生じることを防止することができる。さらに、螺子止めは、２つの螺子挿入部の２箇所のみであるため、取り付け作業を簡易にすることができる。その結果、台座部材に対するセンサの取り付けを簡易かつ正確に位置決めして行うことができ、遊技結果の誤判定や遊技機の破損を防止することが可能となる。
【０６３７】
（２７−２）  前記第１所定箇所及び前記第２所定箇所のうちの一方の箇所に設けられた螺子挿入部は、前記第１の直線方向が長手方向となる長穴状に形成されている。
【０６３８】
上記構成によれば、第１の直線上に配置される２つの螺子挿入部において、一方が第１の直線方向が長手方向となる長穴状に形成されている。これにより、センサにおいて２つの螺子止め箇所を成形する上での間隔の誤差を許容することができる。
【０６３９】
従来、特開２０１２−２４５２７９号公報に開示されているように、ボタンユニット装着後に取付けられ、ボタンユニットの不正な取外しを防止する係止部材を備えた遊技機が知られている。このような遊技機によれば、既存のボタンユニットに係止部材を取り付けることにより、既存のボタンユニットに変更を加えることなく、ボタンユニットの不正な取外しを防止することができる。
【０６４０】
しかしながら、ボタンユニットの不正な取外しを防止するために、新たな追加部品を取り付けることは、追加部品分の収納スペースを遊技機内に確保する必要があり、適用することが容易ではない場合があった。
【０６４１】
そこで、本発明は、上記のような問題点に鑑みてなされたものであり、部品の大型化を抑えつつ、ボタンユニットの不正な取外しを防止することができる遊技機を提供することを目的とする。
【０６４２】
（２８−１）  本発明の一つは、貫通孔ＤＤ８１１ａ・ＤＤ８１１ｂを有するボタンベースＤＤ８１１と、
押圧により貫通孔ＤＤ８１１ａ・ＤＤ８１１ｂを摺動可能な第１部材ＤＤ８１２と、
押圧により押し込まれた第１部材ＤＤ８１２を初期位置に復帰させるスプリングＤＤ８１３と、
発光部ＤＤ８１４ａ及び受光部ＤＤ８１４ｂを有するフォトセンサＤＤ８１４と、
フォトセンサＤＤ８１４の発光部ＤＤ８１４ａと受光部ＤＤ８１４ｂとの間を遮断する遮光片ＤＤ８１５１を有する第２部材ＤＤ８１５と、
を有する最大ＢＥＴボタンＤＤ８を備え、
第２部材ＤＤ８１５は、
貫通孔ＤＤ８１１ａ・ＤＤ８１１ｂより大きい形状をしており、
第１部材ＤＤ８１２における、貫通孔ＤＤ８１１ａ・ＤＤ８１１ｂから延出した部分に取付けられていることを特徴とする遊技機１である。
【０６４３】
上記構成によれば、第２部材ＤＤ８１５が、ボタンベースＤＤ８１１に設けられた貫通孔ＤＤ８１１ａ・ＤＤ８１１ｂより大きい形状をしており、貫通孔ＤＤ８１１ａ・ＤＤ８１１ｂから延出した第１部材ＤＤ８１２の一部に取付けられている。これにより、第２部材ＤＤ８１５が、第１部材ＤＤ８１２が貫通孔ＤＤ８１１ａ・ＤＤ８１１ｂから抜けるのを規制し、最大ＢＥＴボタンＤＤ８の不正な取外しを防止することができる。
また、他の部材を採用していないため、部品の大型化を抑制することができる。
【０６４４】
（２８−２）  本発明は、上記遊技機１において、ボタンベースＤＤ８１１には２つの貫通孔ＤＤ８１１ａ・ＤＤ８１１ｂが形成されており、
第１部材ＤＤ８１２は、２つの貫通孔ＤＤ８１１ａ・ＤＤ８１１ｂを摺動可能な２つの摺動部ＤＤ８１２４ａ・ＤＤ８１２４ｂを有し、
第２部材ＤＤ８１５は、２つの貫通孔ＤＤ８１１ａ・ＤＤ８１１ｂから延出した２つの摺動部ＤＤ８１２４ａ・ＤＤ８１２４ｂの間を接続するように取付けられており
遮光片ＤＤ８１５１は、第２部材ＤＤ８１５の、２つの貫通孔ＤＤ８１１ａ・ＤＤ８１１ｂから延出した２つの摺動部ＤＤ８１２４ａ・ＤＤ８１２４ｂの中間部分に設けられていることを特徴としている。
【０６４５】
上記構成によれば、遮光片ＤＤ８１５１は、遊技者による第１部材ＤＤ８１２の押圧に連動して、２つの摺動部ＤＤ８１２４ａ・ＤＤ８１２４ｂがボタンベースＤＤ８１１の２つの貫通孔ＤＤ８１１ａ・ＤＤ８１１ｂを摺動し、２つの貫通孔ＤＤ８１１ａ・ＤＤ８１１ｂから延出した２つの摺動部ＤＤ８１２４ａ・ＤＤ８１２４ｂの間に取付けられた第２部材ＤＤ８１５の中間部分に設けられた遮光片ＤＤ８１５１が、発光部ＤＤ８１４ａと受光部ＤＤ８１４ｂとの間を横切り遮断することができる。
【０６４６】
（２８−３）  第１部材ＤＤ８１２が、貫通孔ＤＤ８１１ａ・ＤＤ８１１ｂよりも大きい形状をしていることにより、第１部材ＤＤ８１２が、第２部材ＤＤ８１５側に貫通孔ＤＤ８１１ａ・ＤＤ８１１ｂから抜けるのを規制し、最大ＢＥＴボタンＤＤ８の不正な取外しをより防止することができる。
【０６４７】
従来、特開２００７−４４１９９号公報に開示されているように、前扉を上扉と下扉に分離し、各々開閉可能にした遊技機が知られている。このような遊技機によれば、メダル補給時（下扉の開閉）、メカリールの調整時（上扉の開閉）など、必要な箇所のみ開閉することができ、遊技機の内部を不必要に外部に晒すことを防ぐことができる（セキュリティ性の向上）。
【０６４８】
ところで、近年、遊技機の部品やリサイクル等を簡便にするために、操作デバイスや演出装置などのユニット化が行われている。
【０６４９】
ここで、例えば、上扉に対応する筐体側のスペースにユニット化された演出装置が格納されたりする。このようにすることで、機種変更やリサイクルの際の演出装置の交換を容易にすることができる。
【０６５０】
しかしながら、ユニット化された演出装置が大型である場合、機種変更やリサイクルの際に、上扉（又は、下扉）が邪魔になる場合がある。
【０６５１】
そこで、本発明は、上記のような問題点に鑑みてなされたものであり、遊技機内部に収納された装置をスムーズに出し入れすることができる遊技機を提供することを目的とする。
【０６５２】
（２９−１）  本発明の一つは、
キャビネットＧは、軸部ＵＨ２１・ＵＨ２２と、係合凹部ＵＨ２３・ＵＨ２４と、を有し、
キャビネットＧに対して開閉可能な上ドア機構ＤＵは、
軸部ＵＨ２１・ＵＨ２２に回転可能に重合し、且つ、軸部ＵＨ２１・ＵＨ２２の軸線ＵＨ１２１Ａに対してスライド可能な軸受部ＵＨ１２１・ＵＨ１３１と、
上ドア機構ＤＵがキャビネットＧに対して所定の角度に開くまでは、係合凹部ＵＨ２３・ＵＨ２４に係合し、軸受部ＵＨ１２１・ＵＨ１３１のスライドを規制し、上ドア機構ＤＵがキャビネットＧに対して所定の角度以上に開くと、係合凹部ＵＨ２３・ＵＨ２４に対する係合が解除される係合凸部ＵＨ１５・ＵＨ１６と、
を有することを特徴とする遊技機１である。
【０６５３】
上記構成によれば、上ドア機構ＤＵがキャビネットＧに対して所定の角度に開くまでは、係合凸部ＵＨ１５・ＵＨ１６が係合凹部ＵＨ２３・ＵＨ２４に係合し、軸受部ＵＨ１２１・ＵＨ１３１が軸部ＵＨ２１・ＵＨ２２の軸線ＵＨ１２１Ａに沿ってスライドするのを規制する。これにより、軸部ＵＨ２１・ＵＨ２２と軸受部ＵＨ１２１・ＵＨ１３１との重合が解除されるのを規制し、上ドア機構ＤＵがキャビネットＧから取り外されるのをロックすることができる。
一方、上ドア機構ＤＵがキャビネットＧに対して所定の角度以上に開くと、係合凸部ＵＨ１５・ＵＨ１６の係合凹部ＵＨ２３・ＵＨ２４に対する係合が解除され、軸受部ＵＨ１２１・ＵＨ１３１が軸部ＵＨ２１・ＵＨ２２の軸線ＵＨ１２１Ａに沿ってスライド可能となる。これにより、軸部ＵＨ２１・ＵＨ２２と軸受部ＵＨ１２１・ＵＨ１３１との重合が解除され、上ドア機構ＤＵをキャビネットＧから取り外すことができるようになる。
即ち、上ドア機構ＤＵをキャビネットＧに対して所定の角度以上に開放した場合にだけ、上ドア機構ＤＵをキャビネットＧから取り外すことができる。
【０６５４】
（２９−２）  本発明は、上記遊技機１において、上ドア機構ＤＵは、キャビネットＧに対して閉まった状態を閉状態とし、キャビネットＧに対して９０°開いた状態を開放状態とした場合、所定の角度は、閉状態での上ドア機構ＤＵの角度よりも大きく、開放状態での上ドア機構ＤＵの角度である９０°よりも小さい値であることを特徴としている。
【０６５５】
上記構成によれば、上ドア機構ＤＵを開放状態（９０°の開放）まで開かなくても、上ドア機構ＤＵをキャビネットＧから取り外すことができる。
【０６５６】
（３０−１）  筐体の前面側を開閉可能な扉と、
前記扉の左端部に配置され、前記扉の左端領域に導光して発光させる左端発光機構と、
前記扉の右端部に配置され、前記扉の右端領域に導光して発光させる右端発光機構と、
前記扉の中央部に配置され、光を出射する中央発光基板と、
前記中央発光基板から出射された前記光を、前記左端領域側の左周辺領域及び前記右端領域側の右周辺領域の少なくとも一方の領域に導光する導光機構と
を有する。
【０６５７】
従来、可動体を動作させることにより演出を行うことが可能な演出装置を搭載した遊技機が知られている（特開２００９−１７８２６８号公報参照）。このような遊技機によれば、可動体の動きを通じて、液晶表示装置に表示された映像等だけでは得られ難い迫力のある演出を行うことができる。近年、このような演出装置を複数設け、演出効果をより高めることが求められている。一般的に、遊技機は、遊技場における設置島に並べて設置されるため、遊技機の大きさには制限がある。しかしながら、複数の演出装置を設けた場合、従来からあるＬＥＤによる光の演出のための反射板や透光板を含む構成のためのスペースが十分に取れない虞があった。上記構成によれば、中央発光基板から出射された光を導光機構により左周辺領域及び左周辺領域の少なくとも一方の領域に導光することによって、左端発光機構や右端発光機構では導光し難い領域においても、発光させることができる。これにより、限られたスペースの扉であっても、複数箇所の光の演出を、より高い演出効果で行うことができる。
【０６５８】
（３０−２）  前記中央発光基板は、上面及び下面に上側光源及び下側光源がそれぞれ設けられており、
前記上側光源からの光を前記中央部から離間した位置まで導光する上側導光機構と、前記下側光源からの光を前記中央部から離間した位置まで導光する下側導光機構とを有する。
【０６５９】
上記構成によれば、中央発光基板における上面の上側光源と下面の下側光源とを用いて上側導光機構及び下側導光機構により左周辺領域や右周辺領域を発光させることができるため、左周辺領域や右周辺領域をより広い範囲や場所に拡大することができる。これにより、限られたスペースの扉であっても、複数箇所の光の演出を、より高い演出効果で行うことができる。
【０６６０】
（３０−３）  筐体の前面側を開閉可能な扉（上ドア機構ＵＤ）と、
前記扉の左端部に配置され、前記扉の左端領域を面状に発光させる左端発光機構ＨＡ２と、
前記扉の右端部に配置され、前記扉の右端領域を面状に発光させる右端発光機構ＨＡ３と、
前記扉の中央部に配置された中央発光機構ＨＡ４とを有し、
前記中央発光機構は、
上面及び下面に上側光源及び下側光源がそれぞれ設けられた中央発光基板（トップレンズ中ＬＥＤ基板ＨＡ４１１）と、
前記中央発光基板の上面に設けられた前記上側光源からの光を上側導光領域に導光して面状に発光させる上側導光機構（左導光レンズＨＡ４１３、右導光レンズＨＡ４１４）と、
前記中央発光基板の下面に設けられた前記下側光源からの光を下側導光領域に導光して面状に発光させる下側導光機構（右ダウンライトレンズＨＡ４１５、左ダウンライトレンズ）と
を有する。
【０６６１】
上記構成によれば、中央発光機構の中央発光基板が上面及び下面に上側光源及び下側光源をそれぞれ有し、これらの光源が上側導光機構及び下側導光機構によりそれぞれ上側導光領域及び下側導光領域を面状に発光させる。これにより、左端発光機構による左端領域及び右端発光機構による右端領域に加えて、一箇所の中央発光機構により上側導光領域及び下側導光領域を発光させることができることから、限られたスペースの扉であっても、複数箇所の光の演出を、より高い演出効果で行うことができる。
【０６６２】
（３０−４）  前記上側導光機構及び前記下側導光機構は、前記中央発光基板を中心として左右対称に配置されている。
【０６６３】
上記構成によれば、上側導光領域と下側導光領域とが中央発光基板を中心として左右対称に存在することから、限られたスペースの扉であっても、複数箇所の光の演出を、より高い演出効果で行うことができる。
【０６６４】
（３０−５）  前記上側導光機構は、前記中央発光基板の上面及び前記上側光源を覆う上側リフレクタ（トップレンズ中リフレクタＨＡ４１２、トップレンズ中ＬＥＤ基板隠し部材ＨＡ１６）と、当該上側リフレクタと前記中央発光基板との隙間の右側及び左側にそれぞれ配置され、前記上側導光領域まで配置された上側導光レンズ（左導光レンズＨＡ４１３、右導光レンズＨＡ４１４）とを有しており、
前記下側導光機構は、前記中央発光基板の下面及び前記下側光源を覆う下側リフレクタと、当該下側リフレクタ（トップレンズ中リフレクタＨＡ４１２、トップレンズ中ＬＥＤ基板隠し部材ＨＡ１６）と前記中央発光基板との隙間の側方に配置され、前記下側導光領域まで配置された下側導光レンズ（（右ダウンライトレンズＨＡ４１５、左ダウンライトレンズ）とを有する。
【０６６５】
上記構成によれば、複数箇所の光の演出をリフレクタと導光レンズという簡単な構成により実現することができる。
【０６６６】
（３０−６）  前記上側導光機構は、前記扉の左端領域及び前記右端領域から中心側の各領域を前記上側導光領域として発光させるように配置されており、
前記下側導光機構は、扉の左側上部及び右側上部にそれぞれ配置された上部スピーカの上方の各領域を下側導光領域として発光させるように配置されている。
【０６６７】
上記構成によれば、左端発光機構及び右端発光機構によっては十分に発光させることができない領域を上側導光機構及び下側導光機構により発光させることができる。
【０６６８】
（３１−１）  筐体（筐体２）前面の中央に配置される演出装置（スクリーン機構Ｄ）と前記演出装置の側方に配置される発光ユニット（左パネル機構ＨＪ）とを有する遊技機であって、
前記発光ユニットは、
前記筐体の前面方向側と後面方向側とへ光を照射可能な光源装置（左ＬＥＤ基板ＨＪ１）と、
前記前面方向側への光を２つに区分し、一方に区分された光を前記筐体の一方の側面方向へ導光する仕切り部材（仕切り機構ＨＪ２）と、
前記筐体の一方の側面の一部を構成し、前記仕切り部材によって導光された前記一方に区分された光を透過させる側面透光部材（左上側面レンズＨＪ３）と、
前記筐体の前面の一部を構成し、前記仕切り部材によって他方に区分された光を透過させる前面透光部材（左下レンズＨＪ）と、
前記後面方向側への光を前記演出装置が配置された方向へ導光させる内側導光部材（内側導光部材ＨＪ５）と、
を有する。
【０６６９】
従来、可動体を動作させることにより演出を行うことが可能な演出装置を搭載した遊技機が知られている（特許文献１参照）。このような遊技機によれば、可動体の動きを通じて、液晶表示装置に表示された映像等だけでは得られ難い迫力のある演出を行うことができる。近年、このような演出装置を複数設け、演出効果をより高めることが求められている。
【０６７０】
一般的に、遊技機は、遊技場における設置島に並べて設置されるため、遊技機の大きさには制限がある。しかしながら、複数の演出装置や大きいスペースを占有する演出装置を設けた場合、従来からあるＬＥＤによる光の演出のための反射板や透光板を含む構成のためのスペースが十分に取れない虞があった。
【０６７１】
上記構成によれば、光源装置から筐体の前面方向側へ出射される光は２区分され、一方が仕切り部材によって筐体の一方の側面方向へ導光されて側面透光部材から透過され、他方が前面透光部材から透過される。また、光源装置から筐体の後面方向側へ出射される光は、導光部材によって演出装置側へ導光される。これにより、発光ユニットを側面側に設けるのみで、遊技機筐体の前面、側面からの演出光を実現できるだけでなく、演出装置側への光の照射が可能となる。その結果、遊技機における演出光に係る構成を省スペース化することができ、演出装置の拡大化を許容することができる。
【０６７２】
（３１−２）  前記内側導光部材は、
光を透過可能であり、前記光源装置の後面方向側への光が入射され、当該入射位置から前記演出装置の前面の周縁まで配設された透光部材（左導光板ＨＪ５１）と、
前記透光部材の背面側へ係合して配設された反射部材（左ＬＥＤ基板カバーＨＪ５２）と、
を有し、
前記透光部材は、
前記光源装置へ突出された形状を有し、前記光源装置の後面方向側への光の進行方向に配置され、前記光源装置の後面方向側への光が入射される突出部（突出部ＨＪ５１１ａ）と、
前記透光部材の前記反射部材に係合される壁面であり、前記突出部に入射された光の進行方向に配置され、反射面が前記演出装置側へ向く方向へ傾斜され突出部に入射された光を前記演出装置方向へ反射する傾斜面（傾斜面ＨＪ５１１ｃ）と、
前記傾斜面によって反射された光が進行され、当該光の進行方向に対して屈曲した形状を有する光路部（光路部ＨＪ５１２）と、
前記光路部の前記光の進行方向端部に形成され、前面視断面がジグザグ形状を有する発光部（発光部ＨＪ５１３）と、
を有している。
【０６７３】
上記構成によれば、光源装置の後面方向側への光は、突出部に入射された後に反射部によって進行方向が演出装置側へ変更されることになる。反射部は、反射部材が係合して配設されるため、光が内側導光部材内に反射されることになる。そして、反射された光は、屈曲した形状を有する光路部を通過した後、ジグザグ形状の発光部に達する。これにより、発光部では乱屈折される。これにより、発光装置の光源から進行する光が様々に外部へ出射されるため演出性を高めることができる。
【０６７４】
（３２−１）  筐体上面の前面側の角位置に配設される角部透光部材（左上パネル機構ＨＢ）と、
前記角部透光部材の後方に位置する支持部材（パネルベースＨＨ）と、
前記角部透光部材に隣接し、当該隣接箇所が係合する外壁部材（トップレンズカバーＨＡ１１）と、
を有し、
前記角部透光部材は、
後面側位置において、支持部材から前面方向へ突出するように配設された突出部（タイトねじＨＨ４）が嵌め込まれる嵌合部（嵌合部ＨＢ１１）と、
前記嵌合部よりも前面側の前記隣接箇所に配置され、前記嵌合部の嵌め込み方向と異なる方向であり当該配置箇所から前記外壁部材へ向かう方向へ突出し、前記外壁部材に形成された切欠部（切欠部ＨＡ１１１・ＨＡ１１２・ＨＡ１１３）に係合する係止片（係止片ＨＢ１２・ＨＢ１３・ＨＢ１４）と、
を有している。
【０６７５】
従来、種々の演出を行うことが可能な演出装置を搭載した遊技機が知られている。例えば、特開２０１３−０１３６８５号公報では、可動体の動きを通じて、液晶表示装置に表示された映像等だけでは得られ難い迫力のある演出を図っている。このような遊技機では、遊技機の側面や前面の一部などを透光部材で構成し、これを遊技機内部側からの光源で照射することで演出効果をより高めることが知られている。
【０６７６】
しかしながら、簡易に螺子等の固着部材によって固定した場合、透光部材は光を透過するため、固着部材が外部から視認され、遊技機の美観が著しく損ねられるという問題があった。また、外部から視認され難い箇所まで透光部材を延在させて固着部材で固定した場合、上記従来のような複数の演出装置や大きいスペースを占有する演出装置の設置が制限されるという問題があった。
【０６７７】
上記構成によれば、透光部材は外壁部材と係合した状態で隣接すると共に、透光部材の係止片が外壁部材の切欠部に係合した状態となる。そして、支持部材から前面方向に突出部が配設されることで、透光部材の嵌合部に突出部が嵌め込まれる。突出部が透光部材の嵌合部に嵌め込まれているため、透光部材の鉛直方向への移動が規制される。さらに、突出部における嵌め込み方向と、係止片の突出方向とは、異なるように配設されているため、透光部材は、支持部材と外壁部材により水平方向への移動が規制される。その結果、透光部材は、簡易に固着部材を用いず、遊技機の美観を損ねることなく遊技機に取り付けることができる。
【０６７８】
（３２−２）  前記角部透光部材を鉛直方向に支持するフレーム部材（フレーム部ＨＢ２）をさらに有し、
前記角部透光部材は、鉛直下側位置において、前記フレーム部材に沿って前記フレーム部材の後方位置まで延在し、自身の前方方向への移動を規制する規制部（規制部ＨＢ２１）を有している。
【０６７９】
上記構成によれば、透光部材はフレーム部材により鉛直方向に支持されるため、突出部や、突出部が嵌め込まれる嵌合部に対する鉛直方向への応力を軽減することができる。さらに、フレーム部材の後方位置に透光部材の規制部が配置されるため、透光部材自身の前方への移動が規制され、係止片や切欠部に対する水平方向への応力を軽減することができる。これにより、透光部材や透光部材に関連する構造の劣化を軽減することができる。
【０６８０】
（３３−１）  筐体の前面側を開閉可能な扉と、
前記扉の上部から前方に突出された装飾凸部とを有しており、
前記装飾凸部が、光を拡散させて前記装飾凸部表面から均一に放出させるシームレス構造の導光板（トップレンズ導光板ＨＡ１４）を、前記装飾凸部の前端から後端に亘って設けられた装飾ユニットＨＡ１により形成されている。
【０６８１】
従来、特開２０１２−２４５２７９号公報に開示されているように、前扉に演出装置が設けられた遊技機が知られている。このような遊技機によれば、演出装置を用いて種々の演出を行うことが可能であり、遊技の興趣を向上させることができる。前扉は遊技者に対向することから、遊技者との接触により外力を受け易い状態にあるため、耐久性を担保する必要があるが、演出装置の配置やデザイン性を重視すると、前扉の耐久性が低下するという問題点があった。特に、前面に突出する凸部を設けた場合、接触の可能性が高まるため、より耐久性が求められていた。
【０６８２】
上記構成によれば、複数の部品を接合して装飾ユニットの導光板とした場合は、部品間の導光片の繋ぎ目部分に負荷が集中することになるが、シームレス構造の導光板であれば、負荷が一部分に集中するという事態を回避することができる。これにより、シームレス構造の導光板を備えた装飾ユニットにより形成された装飾凸部は、全体として大きな剛性及び強度を有するため、遊技機の前方に位置する遊技者との接触等により外力が付与された場合でも、変形や破損を起こし難いものになり、結果として扉の耐久性を高いものにすることが可能になっている。
【０６８３】
（３３−２）  前記装飾ユニットは、
前記扉のフレームに接続されたトップレンズ導光板ベースＨＡ１５と、前記光を外部に透過させるトップレンズカバーＨＡ１１とで中空部を形成し、当該中空部に前記導光板を収容しており、
前側領域が下方に湾曲され、且つ、前記扉側から前端側にかけて左右方向の幅が減少され、前端中央部に頂点を有した形状に形成されており、
前記前側領域の裏面と前記扉のフレームとが、水平配置された装飾ユニット支持機構により連結されている。
【０６８４】
上記構成によれば、トップレンズ導光板ベースとトップレンズカバーとで形成された中空部に導光板を収容することによって、トップレンズ導光板ベースとトップレンズカバーと導光板とを単純に積層して板状にした場合よりも剛性の高い装飾凸部を形成することができる。また、扉のフレームに連結された後端部から遠ざかる前端部に近づくに従って曲げモーメントが増大するが、前端部側の左右方向の幅を減少させて重量を減少させることによって、前側領域の剛性及び強度を高めることが可能になっている。また、下方に湾曲された装飾ユニットの前側領域の裏面が、水平配置された装飾ユニット支持機構を介して扉のフレームに連結されることによって、装飾ユニットの前側領域の裏面が装飾ユニット支持機構により水平方向に支持され、前側領域が前後方向に大きな剛性及び強度を有することになる。これにより、装飾ユニットにより形成された装飾凸部に対して遊技者等から外力が付与された場合でも、変形や破損し難いものになり、結果として扉の耐久性を高いものにすることが可能になっている。
【０６８５】
（３３−３）  筐体の前面側を開閉可能な扉と、
前記扉の上部から前方に突出された装飾凸部とを有しており、
前記装飾凸部は、
前記扉のフレームに接続されたトップレンズ導光板ベースと、光を拡散させて表面から均一に放出するトップレンズ導光板ＨＡ１４と、前記光を外部に透過させるトップレンズカバーとを有し、
前記扉側から前端側にかけて左右方向の幅が減少され、前端中央部に頂点を有した形状に形成された装飾ユニットを有している。
【０６８６】
上記構成によれば、扉のフレームに連結された後端部から遠ざかる前端部に近づくに従って曲げモーメントが増大するが、前端部側の左右方向の幅を減少させて重量を減少させることによって、剛性及び強度を高めることが可能になっている。これにより、装飾凸部は、前側領域が大きな剛性及び強度を有するため、遊技機の前方に位置する遊技者との接触等により外力が付与された場合でも、変形や破損を起こし難いものになり、結果として扉の耐久性を高いものにすることが可能になっている。
【０６８７】
（３３−４）  前記装飾ユニットは、
前記トップレンズ導光板ベースと前記トップレンズカバーとで中空部を形成し、当該中空部にトップレンズ導光板を収容している。
【０６８８】
上記構成によれば、トップレンズ導光板ベースとトップレンズカバーとで形成された中空部にトップレンズ導光板を収容することによって、トップレンズ導光板ベースとトップレンズカバーとトップレンズ導光板とを単純に積層して板状にした場合よりも断面二次モーメントの大きな形態となるため、剛性の高い装飾凸部を形成することができる。
【０６８９】
（３３−５）  前記装飾ユニットは、前側領域が下方に湾曲されており、
前記装飾ユニットにおける前記前側領域の裏面と前記扉のフレームとを、水平配置された装飾ユニット支持機構により連結している。
【０６９０】
上記構成によれば、下方に湾曲された装飾ユニットの前側領域の裏面が、水平配置された装飾ユニット支持機構を介して扉のフレームに連結されることによって、装飾ユニットの前側領域の裏面が装飾ユニット支持機構により水平方向に支持された状態になる。これにより、装飾ユニット及び装飾ユニット支持機構を有した装飾凸部は、前側領域が前後方向に大きな剛性及び強度を有するため、遊技機の前方に位置する遊技者との接触等により外力が付与された場合でも、変形や破損を起こし難いものになり、結果として扉の耐久性を高いものにすることが可能になっている。
【０６９１】
（３３−６）  前記装飾凸部の後方には、照射光を斜め下後方に配置されたすスクリーン装置Ｃ方向に出射する照射光装置Ｂが配置されている。
【０６９２】
上記構成によれば、装飾凸部の後方に大きなスペースを確保することができるため、照射光装置のサイズや配置の自由度を拡大することができると共に、装飾凸部の剛性及び強度が高いため、照射光装置を十分に保護することができる。
【０６９３】
上述した第１及び第２実施形態に係る遊技機１によれば、プロジェクタ機構Ｂ２、並びに、固定スクリーン機構Ｄ、フロントスクリーン機構Ｅ１、及び、リールスクリーン機構Ｆ１は、表示ユニットＡにおける所定の位置で固定されている。一方で、ミラー機構Ｂ３には、光の反射方向を調整するための螺子が設けられており、当該螺子は、キャビネット２１の開口側に向けて露出している。従って、表示ユニットＡが遊技機１のキャビネット２１に設置された後であっても、上ドア機構ＵＤを開けた状態で、螺子を緩めたり締めたりすることにより、光の反射方向（角度）を調整することができる。これにより、プロジェクタ機構Ｂ２により投影される映像の位置が適切でない場合であっても、投影位置を調整することができる。
【０６９４】
上述した第１及び第２実施形態では、プロジェクタ機構Ｂ２、ミラー機構Ｂ３、並びに、固定スクリーン機構Ｄ、フロントスクリーン機構Ｅ１、及び、リールスクリーン機構Ｆ１は、ユニット化されていることとして説明した。しかし、プロジェクタ機構、ミラー機構、及び、各種スクリーンは、ユニット化せずに、遊技機の本体部に直接取り付けられることとしてもよい。
【０６９５】
［第３実施形態］
以上、第１実施形態及び第２実施形態について説明した。以下、第３実施形態について説明する。第３実施形態に係る遊技機１の基本的な構成は、第２実施形態に係る遊技機１と同じである。以下においては、第２実施形態に係る遊技機１の構成要素と同一の構成要素には、同一の符号を付して説明することとする。また、第２実施形態における説明が第３実施形態においても当てはまる部分については、説明を省略することとする。
【０６９６】
［パチスロの機能フロー］
はじめに、図１４５を参照して、本実施の形態における遊技機（以下、パチスロともいう）の機能フローについて説明する。図１４５は、パチスロの機能フローを示す図である。
【０６９７】
本実施形態に係るパチスロでは、遊技を行うための遊技媒体としてメダルを用いる。なお、遊技媒体としては、メダル以外にも、コイン、遊技球、遊技用のポイントデータ又はトークン等を適用することもできる。
【０６９８】
遊技者によりメダルが投入され、スタートレバーが操作されると、予め定められた数値の範囲（例えば、０〜６５５３５）の乱数から１つの値（以下、乱数値）が抽出される。
【０６９９】
内部抽籤手段は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動等といった特典が遊技者に与えられる「入賞」に係るものと、それ以外のいわゆる「ハズレ」に係るものとが設けられている。
【０７００】
続いて、複数のリール（左リール、中リール、及び、右リール）の回転が行われた後で、遊技者によりストップボタンが押されると、リール停止制御手段は、内部当籤役とストップボタンが押されたタイミングとに基づいて、該当するリールの回転を停止する制御を行う。
【０７０１】
ここで、パチスロでは、基本的に、ストップボタンが押されたときから規定時間（１９０ｍｓｅｃ）内に、該当するリールの回転を停止する制御が行われる。本実施の形態では、上記規定時間内でのリールの回転に伴って移動する図柄の数を「滑り駒数」と呼び、その最大数を図柄４個分に定める。
【０７０２】
リール停止制御手段は、入賞に係る図柄の組合せの表示を許可する内部当籤役が決定されているときでは、上記規定時間を利用して、その図柄の組合せが入賞判定ラインに沿って極力表示されるようにリールの回転を停止する。その一方で、内部当籤役によってその表示が許可されていない図柄の組合せについては、上記規定時間を利用して、入賞判定ラインに沿って表示されることがないようにリールの回転を停止する。
【０７０３】
こうして、複数のリールの回転がすべて停止されると、入賞判定手段は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロにおける１回の遊技（単位遊技）として行われる。
【０７０４】
なお、本明細書では、全てのリール（左リール、中リール、及び、右リール）が回転しているときに最初に行われるリールの停止操作（ストップボタンの操作）を第１停止操作と呼び、第１停止操作の次に行われる停止操作を第２停止操作と呼び、第２停止操作の次に行われる停止操作を第３停止操作と呼ぶこととする。
【０７０５】
また、パチスロでは、前述した一連の流れの中で、表示ユニットにより行う映像の表示、各種ＬＥＤにより行う光の出力、スピーカにより行う音の出力、或いはこれらの組合せを利用して様々な演出が行われる。
【０７０６】
遊技者によりスタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【０７０７】
演出内容が決定されると、演出実行手段は、リールの回転が開始されるとき、各リールの回転がそれぞれ停止されるとき、入賞の有無の判定が行われたとき等の各契機に連動させて演出の実行を進める。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【０７０８】
［パチスロが備える制御系］
次に、遊技機１が備える制御系について、図１４６及び図１４７を参照して説明する。
【０７０９】
第２実施形態において説明したように、遊技機１は、主制御基板ＭＳと、サブ制御装置ＳＳと備える。主制御基板ＭＳは、主制御回路１０６０を構成する。主制御回路１０６０は、内部当籤役の決定、リールＲＬ，ＲＣ，ＲＲの回転及び停止、入賞の有無の判定といった、遊技機１における遊技の主な流れを制御する回路である。サブ制御装置ＳＳは、副制御回路１０７０を構成する。副制御回路１０７０は、映像の表示等による演出の実行を制御する回路である。
【０７１０】
なお、第２実施形態では、フロントスクリーン機構Ｅ１及びリールスクリーン機構Ｆ１の駆動が主制御基板ＭＳによって制御されることとして説明した。これに対し、第３実施形態において、フロントスクリーン機構Ｅ１及びリールスクリーン機構Ｆ１の駆動は、サブ制御装置ＳＳによって制御される。
【０７１１】
以下、図１４６及び図１４７を用いて、主制御回路１０６０及び副制御回路１０７０の具体的な構成について説明する。
【０７１２】
＜主制御回路＞
まず、主制御基板ＭＳにより構成される主制御回路１０６０について、図１４６を参照して説明する。図１４６は、主制御回路の構成例を示すブロック図である。
【０７１３】
主制御回路１０６０は、主制御基板ＭＳ上に設置されたマイクロコンピュータ１０３０を主たる構成要素としている。マイクロコンピュータ１０３０は、メインＣＰＵ１０３１、メインＲＯＭ１０３２及びメインＲＡＭ１０３３により構成される。
【０７１４】
メインＲＯＭ１０３２には、メインＣＰＵ１０３１により実行される制御プログラム、内部抽籤テーブル等のデータテーブル、副制御回路１０７０に対して各種制御指令（コマンド）を送信するためのデータ等が記憶されている。メインＲＡＭ１０３３には、制御プログラムの実行により決定された内部当籤役等の各種データを格納する格納領域が設けられる。
【０７１５】
メインＣＰＵ１０３１には、クロックパルス発生回路１０３４、分周器１０３５、乱数発生器１０３６及びサンプリング回路１０３７が接続されている。クロックパルス発生回路１０３４及び分周器１０３５は、クロックパルスを発生する。メインＣＰＵ１０３１は、発生されたクロックパルスに基づいて、制御プログラムを実行する。乱数発生器１０３６は、予め定められた範囲の乱数（例えば、０〜６５５３５）を発生する。サンプリング回路１０３７は、発生された乱数の中から１つの値を抽出する。
【０７１６】
マイクロコンピュータ１０３０の入力ポートには、スイッチ等が接続されている。メインＣＰＵ１０３１は、スイッチ等の入力を受けて、ステッピングモータ１０４９Ｌ，１０４９Ｃ，１０４９Ｒ等の周辺装置の動作を制御する。ストップスイッチ１００７Ｓ（ストップスイッチ１００７ＬＳ，１００７ＣＳ，１００７ＲＳ）は、３つのストップボタンＤＤ７（ストップボタンＤＤ７Ｌ，ＤＤ７Ｃ，ＤＤ７Ｒ）のそれぞれが遊技者により押されたこと（停止操作）を検出する。また、スタートスイッチ１００６Ｓは、スタートレバーＤＤ６が遊技者により操作されたこと（開始操作）を検出する。
【０７１７】
メダルセンサ１００５Ｓは、メダル投入口ＤＤ５に受け入れられたメダルがセレクタ内を通過したことを検出する。また、Ｃ／Ｐスイッチ１０１３Ｓは、Ｃ／ＰボタンＤＤ１３が遊技者により押されたことを検出する。
【０７１８】
ＢＥＴスイッチ１００８Ｓは、ＢＥＴボタンが遊技者により押されたことを検出する。ＢＥＴボタンとしては、第２実施形態において説明した最大ＢＥＴボタンＤＤ８の他に、１−ＢＥＴボタンが設けられている。上述したように、最大ＢＥＴボタンＤＤ８が１回押下されるとメダルの投入枚数として「３」が選択される。一方、１−ＢＥＴボタンが１回押下されるとメダルの投入枚数として「１」が選択され、１−ＢＥＴボタンが２回押下されるとメダルの投入枚数として「２」が選択され、１−ＢＥＴボタンが３回押下されるとメダルの投入枚数として「３」が選択される。ＢＥＴボタン（最大ＢＥＴボタンＤＤ８又は１−ＢＥＴボタン）が押下されることにより、１回の遊技を行うのに必要な枚数（本実施形態では２枚又は３枚）のメダルが投入されると、入賞判定ラインが有効化される。
【０７１９】
マイクロコンピュータ１０３０により動作が制御される周辺装置としては、ステッピングモータ１０４９Ｌ，１０４９Ｃ，１０４９Ｒ及びホッパ機構ＨＰがある。また、マイクロコンピュータ１０３０の出力ポートには、各周辺装置の動作を制御するための回路が接続されている。
【０７２０】
駆動制御基板ＲＵ１１４は、各リール（リールＲＬ，ＲＣ，ＲＲ）に対応して設けられたステッピングモータ１０４９Ｌ，１０４９Ｃ，１０４９Ｒの駆動を制御する。リール位置検出回路１０５０は、発光部と受光部とを有する光センサ（センサ部ＲＵ１１２）により、リールＲＬ，ＲＣ，ＲＲが半周する毎に基準位置（第１基準位置及び第２基準位置）を検出する（図１１６参照）。
【０７２１】
ステッピングモータ１０４９Ｌ，１０４９Ｃ，１０４９Ｒは、運動量がパルスの出力数に比例し、回転軸を指定された角度で停止させることが可能な構成を備えている。ステッピングモータ１０４９Ｌ，１０４９Ｃ，１０４９Ｒの駆動力は、所定の減速比をもったギアを介してリールＲＬ，ＲＣ，ＲＲに伝達される。ステッピングモータ１０４９Ｌ，１０４９Ｃ，１０４９Ｒに対して１回のパルスが出力されるごとに、リールＲＬ，ＲＣ，ＲＲは一定の角度で回転する。
【０７２２】
メインＣＰＵ１０３１は、基準位置を検出してからステッピングモータ１０４９Ｌ，１０４９Ｃ，１０４９Ｒに対してパルスを出力した回数をカウントすることによって、リールＲＬ，ＲＣ，ＲＲの回転角度（主に、リールが図柄何個分だけ回転したか）を管理し、リールＲＬ，ＲＣ，ＲＲの表面に配された各図柄の位置を管理するようにしている。
【０７２３】
ホッパー駆動回路１０４１は、ホッパ機構ＨＰの動作を制御する。また、払出完了信号回路１０５１は、ホッパ機構ＨＰに設けられたメダル検出部１０４０Ｓが行うメダルの検出を管理し、ホッパ機構ＨＰから外部に排出されたメダルが払出枚数に達したか否かをチェックする。
【０７２４】
＜副制御回路＞
次に、サブ制御装置ＳＳにより構成される副制御回路１０７０について、図１４７を参照して説明する。図１４７は、副制御回路の構成例を示すブロック図である。
【０７２５】
副制御回路１０７０は、主制御回路１０６０と電気的に接続されており、主制御回路１０６０から送信されるコマンドに基づいて演出内容の決定や実行等の処理を行う。副制御回路１０７０は、基本的に、サブＣＰＵ１０７１、サブＲＯＭ１０７２、サブＲＡＭ１０７３、レンダリングプロセッサ１０７４、描画用ＲＡＭ１０７５、ドライバ１０７６、ＤＳＰ（デジタルシグナルプロセッサ）１０７７、オーディオＲＡＭ１０７８、Ａ／Ｄ変換器１０７９及びアンプ１０８０を含んで構成されている。
【０７２６】
サブＣＰＵ１０７１は、主制御回路１０６０から送信されたコマンドに応じて、サブＲＯＭ１０７２に記憶されている制御プログラムに従い、映像、音、光の出力の制御を行う。サブＲＡＭ１０７３は、決定された演出内容や演出データを登録する格納領域や、主制御回路１０６０から送信される内部当籤役等の各種データを格納する格納領域が設けられている。サブＲＯＭ１０７２は、基本的に、プログラム記憶領域とデータ記憶領域によって構成される。
【０７２７】
プログラム記憶領域には、サブＣＰＵ１０７１が実行する制御プログラムが記憶されている。例えば、制御プログラムには、主制御回路１０６０との通信を制御するための主基板通信タスクや、演出用乱数値を抽出し、演出内容（演出データ）の決定及び登録を行うための演出登録タスク、決定した演出内容に基づいて表示ユニットＡによる映像の表示を制御するプロジェクションマッピング制御タスク、ＬＥＤによる光の出力を制御するＬＥＤ制御タスク、スピーカＤＤ２５Ｌ，ＤＤ２５Ｒによる音の出力を制御する音声制御タスク等が含まれる。
【０７２８】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するＬＥＤデータを記憶する記憶領域等が含まれている。
【０７２９】
また、副制御回路１０７０には、その動作が制御される周辺装置として、プロジェクタ機構Ｂ２、フロントスクリーン駆動機構Ｅ２を構成する駆動モータＥ２５、リールスクリーン駆動機構Ｆ２を構成する駆動モータＦ２４、液晶表示装置ＤＤ２０、スピーカＤＤ２５Ｌ，ＤＤ２５Ｒ及びＬＥＤ基板が接続されている。
【０７３０】
プロジェクタ機構Ｂ２は、光源と、光の三原色である赤、緑、及び青のそれぞれに対応する３枚の液晶パネルと、液晶パネルを透過した光を拡大出射するレンズと、光源及び液晶パネルを制御する制御部とを備える透過型液晶プロジェクタである。制御部は、サブＣＰＵ１０７１からの指示に基づいて、光源の点灯及び消灯を制御するとともに、画像データに応じた駆動電圧を液晶パネルの各画素に印加するよう制御を行う。
【０７３１】
サブＣＰＵ１０７１は、プロジェクタ機構Ｂ２を制御して、映像を含む光をレンズから出射させることにより、複数のスクリーン（固定スクリーン機構Ｄ、フロントスクリーン機構Ｅ１、及び、リールスクリーン機構Ｆ１）のうちの何れかのスクリーンに映像を表示させる。
【０７３２】
第２実施形態において説明したように、フロントスクリーン機構Ｅ１及びリールスクリーン機構Ｆ１は、可動式のスクリーンであり、それぞれ、フロントスクリーン駆動機構Ｅ２及びリールスクリーン駆動機構Ｆ２により駆動される。
【０７３３】
サブＣＰＵ１０７１は、駆動モータＥ２５を制御することにより、フロントスクリーン機構Ｅ１をフロント露出位置とフロント待機位置との間で回動させる一方、駆動モータＦ２４を制御することにより、リールスクリーン機構Ｆ１をリール露出位置とリール待機位置との間で回動させる（図５３参照）。
【０７３４】
フロントスクリーン機構Ｅ１がフロント露出位置に配置されている場合には、フロントスクリーン機構Ｅ１が固定スクリーン機構Ｄを前方から覆い隠した状態となり、フロントスクリーン機構Ｅ１に映像が表示される（図５１参照）。
【０７３５】
これに対し、フロントスクリーン機構Ｅ１がフロント待機位置に配置されている場合には、リールスクリーン機構Ｆ１がリール待機位置に配置されていれば、固定スクリーン機構Ｄが露出した状態となり、固定スクリーン機構Ｄに映像が表示される（図５０参照）。一方、リールスクリーン機構Ｆ１がリール露出位置に配置されていれば、リールスクリーン機構Ｆ１が固定スクリーン機構Ｄを前方から覆い隠した状態となり、リールスクリーン機構Ｆ１に映像が表示される（図５２参照）。
【０７３６】
なお、フロントスクリーン機構Ｅ１がフロント露出位置に配置されている場合には、リールスクリーン機構Ｆ１をリール露出位置に配置させることはできない。また、リールスクリーン機構Ｆ１がリール露出位置に配置されている場合には、フロントスクリーン機構Ｅ１をフロント露出位置に配置させることはできない。
【０７３７】
サブＣＰＵ１０７１は、リールスクリーン機構Ｆ１がリール待機位置に存在することを条件として、フロントスクリーン機構Ｅ１の回動動作を実行し、フロントスクリーン機構Ｅ１がフロント待機位置に存在することを条件として、リールスクリーン機構Ｆ１の回動動作を実行する。
【０７３８】
副制御回路１０７０には、センサ機構ＣＳ（センサＣＳ１〜ＣＳ３）が接続されており、サブＣＰＵ１０７１は、第２実施形態で説明したのと同様の方法により、センサＣＳ１〜ＣＳ３から出力される信号に基づいて、フロントスクリーン機構Ｅ１及びリールスクリーン機構Ｆ１の位置を適切に管理している。これにより、スクリーン機構同士が干渉してしまうことが防止される。
【０７３９】
サブＣＰＵ１０７１、レンダリングプロセッサ１０７４、描画用ＲＡＭ１０７５（フレームバッファを含む）及びドライバ１０７６は、演出内容により指定されたアニメーションデータに従って映像を作成し、作成した映像を液晶表示装置ＤＤ２０により表示する。
【０７４０】
また、サブＣＰＵ１０７１、ＤＳＰ１０７７、オーディオＲＡＭ１０７８、Ａ／Ｄ変換器１０７９及びアンプ１０８０は、演出内容により指定されたサウンドデータに従ってＢＧＭ等の音をスピーカＤＤ２５Ｌ，ＤＤ２５Ｒにより出力する。
【０７４１】
また、サブＣＰＵ１０７１は、演出内容により指定されたＬＥＤデータに従って、ＬＥＤ基板を介してＬＥＤの点灯及び消灯を制御する。
【０７４２】
［副制御基板ケース］
以上で説明した副制御回路１０７０を構成するサブ制御装置ＳＳは、副制御基板２０７０と、副制御基板２０７０を収納する副制御基板ケース２０００とを備える。以下、図１４８〜図１６５を用いて、副制御基板ケース２０００の構成を中心に説明する。
【０７４３】
図１４８は、サブ制御装置の分解斜視図である。図１４９は、ベース部材の斜視図である。図１５０は、カバー部材を底面側から見た斜視図である。図１５１は、サブ制御装置の正面図である。図１５２Ａは、サブ制御装置の上面図である。図１５２Ｂは、サブ制御装置の底面図である。
【０７４４】
図１４８に示すように、サブ制御装置ＳＳは、副制御基板２０７０と、ベース部材２０１０と、カバー部材２０２０とを備える。ベース部材２０１０及びカバー部材２０２０によって副制御基板ケース２０００が構成される。
【０７４５】
副制御基板２０７０は、略平行にスライドして配置された２つの基板から構成されており、ＣＰＵ、ＲＯＭ、ＲＡＭ等の各種電子部品が実装されている。また、副制御基板２０７０には、副制御基板２０７０と他の制御基板や装置等とを電気的に接続するケーブルが挿入されるコネクタ２０７１が配設されている。
【０７４６】
また、副制御基板２０７０には、副制御基板２０７０をベース部材２０１０に取り付けるためのネジ孔２０７２が設けられている。さらに、副制御基板２０７０には、ベース部材２０１０とカバー部材２０２０とをネジ締結により組み付ける際にネジが挿通する貫通孔２０７３が形成されている。
【０７４７】
図１４９に示すように、ベース部材２０１０は、上面視矩形状の底板２０１１と、底板２０１１の外周を構成する各辺から上方に起立する側縁部２０１２ａ、２０１２ｂ、２０１２ｃ、２０１２ｄとを備える。側縁部２０１２ａ及び２０１２ｃがベース部材２０１０の長手方向に形成されており、側縁部２０１２ｂ及び２０１２ｄがベース部材２０１０の短手方向に形成されている。
【０７４８】
底板２０１１には、副制御基板２０７０をベース部材２０１０に取り付けるためのボス部２０１３が設けられている。また、底板２０１１には、ベース部材２０１０とカバー部材２０２０とをネジ締結により組み付けるためのネジ孔２０１４が形成されている。
【０７４９】
側縁部２０１２ａ、２０１２ｂ、２０１２ｃには、ベース部材２０１０とカバー部材２０２０とを接着するためのベース側接着部２０３０（２０３０ａ、２０３０ｂ、２０３０ｃ）が形成されている。側縁部２０１２ａに形成されたベース側接着部２０３０ａは、側縁部２０１２ａの長手方向における中央よりも側縁部２０１２ｄに近い位置に設けられている。側縁部２０１２ｂに形成されたベース側接着部２０３０ｂは、側縁部２０１２ｂの短手方向における中央に設けられている。側縁部２０１２ｃに形成されたベース側接着部２０３０ｃは、側縁部２０１２ｃの長手方向における中央よりも側縁部２０１２ｄに近い位置に設けられている。ベース側接着部２０３０については、後に詳述することとする。
【０７５０】
なお、底板２０１１には、熱通過用孔２０１５が形成されている。副制御基板２０７０には、ヒートシンク２０７４がネジ締結により取り付けられているが（図１４８参照）、熱通過用孔２０１５は、サブ制御装置ＳＳを底面側から見たときに当該ネジを臨むことが可能な位置に設けられている。これにより、熱通過用孔２０１５を通じて、サブ制御装置ＳＳの外部に熱を放出することが可能であり、放熱効果を高めることができる。
【０７５１】
ベース部材２０１０は、ＡＢＳ樹脂でできており、ベース側接着部２０３０（２０３０ａ、２０３０ｂ、２０３０ｃ）とベース側接着部２０３０以外の部分とがそれぞれ別個に成形された後それらが接着固定されることにより一体となっている。ベース部材２０１０のうちベース側接着部２０３０以外の部分をベース側基体部と呼ぶ。ベース側基体部にはメッキ加工が施されている一方、ベース側接着部２０３０にはメッキ加工が施されていない。本実施形態において、ベース部材２０１０は、ベース側基体部とベース側接着部２０３０とのうち、ベース側基体部にのみメッキ加工を施した後、ベース側基体部とベース側接着部２０３０とを固着することにより作製される。
【０７５２】
図１５０に示すように、カバー部材２０２０は、下方が開口した箱形の形状を有しており、上面視矩形状であり所定の段差を有して形成された天板２０２１（図１４８参照）と、天板２０２１の外周を構成する各辺から下方に突設された側縁部２０２２ａ、２０２２ｂ、２０２２ｃ、２０２２ｄとを備える。側縁部２０２２ａ及び２０２２ｃがカバー部材２０２０の長手方向に形成されており、側縁部２０２２ｂ及び２０２２ｄがカバー部材２０２０の短手方向に形成されている。
【０７５３】
ベース部材２０１０とカバー部材２０２０とが組み付けられた状態において、側縁部２０１２ａと側縁部２０２２ａとが連続した壁面を形成し、側縁部２０１２ｂと側縁部２０２２ｂとが連続した壁面を形成し、側縁部２０１２ｃと側縁部２０２２ｃとが連続した壁面を形成し、側縁部２０１２ｄと側縁部２０２２ｄとが連続した壁面を形成する（図１５１参照）。
【０７５４】
図１５０に示すように、カバー部材２０２０の内部には、ベース部材２０１０とカバー部材２０２０とをネジ締結により組み付けるためのボス部２０２３が形成されている。
【０７５５】
側縁部２０２２ａ、２０２２ｂ、２０２２ｃには、ベース部材２０１０とカバー部材２０２０とを接着するためのカバー側接着部２０５０（２０５０ａ、２０５０ｂ、２０５０ｃ）が形成されている。側縁部２０２２ａに形成されたカバー側接着部２０５０ａは、側縁部２０２２ａの長手方向における中央よりも側縁部２０２２ｄに近い位置に設けられており、ベース部材２０１０とカバー部材２０２０とが組み付けられた状態において、ベース側接着部２０３０ａと対応する位置に形成されている。側縁部２０２２ｂに形成されたカバー側接着部２０５０ｂは、側縁部２０２２ｂの短手方向における中央に設けられており、ベース部材２０１０とカバー部材２０２０とが組み付けられた状態において、ベース側接着部２０３０ｂと対応する位置に形成されている。側縁部２０２２ｃに形成されたカバー側接着部２０５０ｃは、側縁部２０２２ｃの長手方向における中央よりも側縁部２０２２ｄに近い位置に設けられており、ベース部材２０１０とカバー部材２０２０とが組み付けられた状態において、ベース側接着部２０３０ｃと対応する位置に形成されている。カバー側接着部２０５０については、後に詳述することとする。
【０７５６】
図１４８に示すように、側縁部２０２２ｄには、副制御基板２０７０に配設されたコネクタ２０７１を副制御基板ケース２０００の外部に露出させるための開口２０２４が形成されている。開口２０２４は、側縁部２０２２ｄの相当範囲に亘って矩形状に形成されており、カバー側接着部２０５０ａ及び２０５０ｃは、開口２０２４の近傍に形成されていることとなる。
【０７５７】
なお、天板２０２１には、副制御基板ケース２０００の内部と外部との間での空気の流通を可能にするための通気孔２０２５、２０２６が形成されている。これにより、副制御基板ケース２０００の内部で発生した熱を外部に放出する一方、冷えた空気を副制御基板ケース２０００の内部に取り込むことができる。
【０７５８】
カバー部材２０２０は、ＡＢＳ樹脂でできており、カバー側接着部２０５０（２０５０ａ、２０５０ｂ、２０５０ｃ）とカバー側接着部２０５０以外の部分とがそれぞれ別個に成形された後それらが接着固定されることにより一体となっている。カバー部材２０２０のうちカバー側接着部２０５０以外の部分をカバー側基体部と呼ぶ。カバー側基体部にはメッキ加工が施されている一方、カバー側接着部２０５０にはメッキ加工が施されていない。本実施形態において、カバー部材２０２０は、カバー側基体部とカバー側接着部２０５０とのうち、カバー側基体部にのみメッキ加工を施した後、カバー側基体部とカバー側接着部２０５０とを固着することにより作製される。
【０７５９】
以上、サブ制御装置ＳＳの構成要素としての副制御基板２０７０、ベース部材２０１０、及び、カバー部材２０２０について説明したが、サブ制御装置ＳＳの組み立ては、下記（ｉ）〜（ｉｉｉ）の工程により行われる。
【０７６０】
（ｉ）副制御基板２０７０とベース部材２０１０との螺合
まず、副制御基板２０７０に形成されたネジ孔２０７２の位置と、ベース部材２０１０の底板２０１１に設けられたボス部２０１３の位置とを合わせる。この状態で、副制御基板２０７０の上方からネジ孔２０７２にネジを挿通させ、ボス部２０１３に形成された穴にネジをねじ込む。これにより、副制御基板２０７０をベース部材２０１０に取り付けることができる。
【０７６１】
（ｉｉ）ベース部材２０１０とカバー部材２０２０との螺合
上記（ｉ）の工程の後、ベース部材２０１０の底板２０１１に形成されたネジ孔２０１４の位置と、カバー部材２０２０に形成されたボス部２０２３の位置とを合わせる（この際、副制御基板２０７０に形成された貫通孔２０７３の位置も、ネジ孔２０１４及びボス部２０２３の位置と対応することとなる）。この状態で、底板２０１１の下方からネジ孔２０１４にネジを挿通させ、ボス部２０２３に形成された穴にネジをねじ込む。これにより、ベース部材２０１０とカバー部材２０２０とを組み付けることができる。
【０７６２】
（ｉｉｉ）ベース部材２０１０とカバー部材２０２０との接着
上記（ｉｉ）の工程を完了した時点で、ベース側接着部２０３０ａとカバー側接着部２０５０ａとは対応する位置に配置されており、ベース側接着部２０３０ｂとカバー側接着部２０５０ｂとは対応する位置に配置されており、ベース側接着部２０３０ｃとカバー側接着部２０５０ｃとは対応する位置に配置されている。この状態で、ベース側接着部２０３０ａとカバー側接着部２０５０ａとを接着剤で接着し、ベース側接着部２０３０ｂとカバー側接着部２０５０ｂとを接着剤で接着し、ベース側接着部２０３０ｃとカバー側接着部２０５０ｃとを接着剤で接着する。
【０７６３】
上記（ｉ）〜（ｉｉｉ）の工程を経て、サブ制御装置ＳＳ（図１５１及び図１５２参照）が組み立てられる。
【０７６４】
なお、以上のようにして組み立てられたサブ制御装置ＳＳは、キャビネットＧに取り付けられる（図９０参照）。図１５２Ｂに示すように、ベース部材２０１０の底板２０１１の底面側には、係止部２００１が形成されている。底板２０１１の底面とキャビネットＧの背面壁Ｇ３とが対向した状態で背面壁Ｇ３に対してサブ制御装置ＳＳをスライドさせることにより、係止部２００１によってサブ制御装置ＳＳを背面壁Ｇ３に係止させることができる。この状態で、取付用孔２００２を挿通したネジによって、サブ制御装置ＳＳが背面壁Ｇ３に固定される。
【０７６５】
以下では、ベース側接着部２０３０及びカバー側接着部２０５０の構成について図面を参照しつつ、上記（ｉｉｉ）の工程について詳細に説明することとする。
【０７６６】
なお、ベース側接着部２０３０ａとベース側接着部２０３０ｂとベース側接着部２０３０ｃとは、同様の構成を有するため、以下ではこれらを区別せずに説明する。同様に、カバー側接着部２０５０ａとカバー側接着部２０５０ｂとカバー側接着部２０５０ｃとは、同様の構成を有するため、以下ではこれらを区別せずに説明する。
【０７６７】
＜ベース側接着部＞
図１５３〜図１５７を用いて、ベース側接着部２０３０について説明する。図１５３は、ベース側接着部の斜視図である。図１５４は、ベース側接着部の正面図である。図１５５は、ベース側接着部を後方から見た斜視図である。図１５６は、ベース側接着部の右側面図である。図１５７は、ベース側接着部の上面図である。
【０７６８】
ベース側接着部２０３０は、ベース部材２０１０の側縁部２０１２（２０１２ａ、２０１２ｂ、２０１２ｃ）から突出した構造を有している。
【０７６９】
具体的に、ベース側接着部２０３０は、正面視台形状の形状を有する前壁部２０３１（図１５４参照）を備える。前壁部２０３１は、一の側縁部２０１２（例えば、側縁部２０１２ａ）に対して、該側縁部２０１２と対向する側縁部２０１２（例えば、側縁部２０１２ｃ）とは反対側（これを前方と呼ぶこととする）に形成されている。
【０７７０】
また、ベース側接着部２０３０は、前壁部２０３１から連続してベース側接着部２０３０の上端を構成する上壁部２０３２と、前壁部２０３１から連続してベース側接着部２０３０の側端を構成する側壁部２０３３と、前壁部２０３１から連続してベース側接着部２０３０の下端を構成する底壁部２０３４と、上壁部２０３２から連続してベース側接着部２０３０の後端を構成する後壁部２０３５と、を備える。
【０７７１】
上壁部２０３２は、側縁部２０１２の上端面２０２８よりも上方に形成されており、底壁部２０３４は、側縁部２０１２の上端面２０２８よりも下方且つ下端面２０２９よりも上方に形成されている。
【０７７２】
後壁部２０３５は、上壁部２０３２の後端から鉛直方向に連続して形成された後壁主部２０３５ａと、後壁主部２０３５ａの下端から後方に向けて連続して形成された水平部２０３５ｂと、水平部２０３５ｂの後端から後方に向けて連続して形成された第１傾斜部２０３５ｃと、第１傾斜部２０３５ｃの後端から後方に向けて連続して形成され、第１傾斜部２０３５ｃよりも傾斜が急な第２傾斜部２０３５ｄと、第２傾斜部２０３５ｄの後端から後方に向けて連続して形成され、第１傾斜部２０３５ｃよりも傾斜が急で第２傾斜部２０３５ｄよりも傾斜が緩やかな第３傾斜部２０３５ｅと、を備える。第３傾斜部２０３５ｅの後端は、側縁部２０１２の上端面２０２８と連続している。
【０７７３】
前壁部２０３１は、側縁部２０１２に略平行な基準面２０３１ａと、中央において鉛直方向に形成されており、基準面２０３１ａに対して凹んだ形状の曲面２０３１ｂと、上方において水平方向に形成されており、基準面２０３１ａに対して凹んだ形状の溝部２０３１ｃと、を有している。
【０７７４】
基準面２０３１ａは、溝部２０３１ｃと前壁部２０３１の下端部との中央付近において僅かに屈曲した構造を有している。曲面２０３１ｂは、基準面２０３１ａを円弧状に切り抜いた形状を有しており、上壁部２０３２から底壁部２０３４まで、鉛直方向に貫通して形成されている。溝部２０３１ｃは、前壁部２０３１から連続して側壁部２０３３にも形成されており、前壁部２０３１及び側壁部２０３３の壁面をコの字状に切り抜いた形状を有している。溝部２０３１ｃの後端は、側壁部２０３３と後壁部２０３５との境界であって、後壁主部２０３５ａにおける上下方向の中央付近に位置している。
【０７７５】
＜カバー側接着部＞
図１５８〜図１６２を用いて、カバー側接着部２０５０について説明する。図１５８は、カバー側接着部の斜視図である。図１５９は、カバー側接着部の右側面図である。図１６０は、カバー側接着部を下方から見た斜視図である。図１６１は、カバー側接着部を下方から見た斜視図である。図１６２は、カバー側接着部の底面図である。
【０７７６】
カバー側接着部２０５０は、カバー部材２０２０の側縁部２０２２（２０２２ａ、２０２２ｂ、２０２２ｃ）から突出した構造を有している。
【０７７７】
具体的に、カバー側接着部２０５０は、下方が開口した箱形の形状を有しており、前壁部２０５１と上壁部２０５２と側壁部２０５３とを備える。
【０７７８】
前壁部２０５１は、一の側縁部２０２２（例えば、側縁部２０２２ａ）に対して、該側縁部２０２２と対向する側縁部２０２２（例えば、側縁部２０２２ｃ）とは反対側（これを前方と呼ぶこととする）に形成されており、正面視において矩形の下側の２つのコーナー部を切り欠いた形状を有している。これと対応して、側壁部２０５３は、矩形の前方部が下方に膨出した形状を有しており、当該膨出した部分の下端が、側縁部２０２２の下端面２０１９と略同一の高さとなっている。
【０７７９】
図１６０及び図１６１に示すように、カバー側接着部２０５０の内部は、前内壁部２０５４と上内壁部２０５５と側内壁部２０５６と後内壁部２０５７とによって囲まれている。前内壁部２０５４は、前壁部２０５１の内壁を構成し、上内壁部２０５５は、上壁部２０５２の内壁を構成し、側内壁部２０５６は、側壁部２０５３の内壁を構成し、後内壁部２０５７は、側縁部２０２２と連続し、側縁部２０２２が変形した構造を有している。
【０７８０】
前内壁部２０５４は、側縁部２０２２に略平行な基準面２０５４ａと、中央において鉛直方向に形成されており、基準面２０５４ａに対して凹んだ形状の曲面２０５４ｂと、を有している。曲面２０５４ｂは、前内壁部２０５４の下方から上方に向けて、上方に向かうにつれて径が細くなるように、基準面２０５４ａをテーパ状に切り抜いた形状を有している。上内壁部２０５５には、矩形状の突起２０５５ａが２つ形成されている。
【０７８１】
後内壁部２０５７は、前内壁部２０５４と略平行であり側縁部２０２２から膨出して形成された膨出部２０５７ａと、膨出部２０５７ａの下端から後方に向けて連続して形成された湾曲部２０５７ｂと、湾曲部２０５７ｂの後端から下方に向けて連続し前内壁部２０５４と略平行に形成された基準部２０５７ｃと、基準部２０５７ｃの下端から後方に向けて連続して形成された傾斜部２０５７ｄと、を有している（図１６５参照）。
【０７８２】
＜ベース部材とカバー部材との接着＞
図１６３〜図１６５を用いて、ベース部材２０１０とカバー部材２０２０との接着（上記（ｉｉｉ）の工程）について説明する。図１６３は、ベース部材とカバー部材との位置合わせをしている際の様子を示す図である。図１６４は、ベース部材とカバー部材とを螺合した状態におけるベース側接着部及びカバー側接着部の底面図である。図１６５は、図１５２Ａに示すサブ制御装置の矢視Ａ−Ａに沿う断面図である。
【０７８３】
上述したように、ベース部材２０１０とカバー部材２０２０とが接着されるのに先立ち、ベース部材２０１０とカバー部材２０２０とが螺合される（上記（ｉｉ）の工程）。ベース部材２０１０とカバー部材２０２０との螺合に当たって、ベース部材２０１０の底板２０１１に形成されたネジ孔２０１４の位置と、カバー部材２０２０に形成されたボス部２０２３の位置とが合わされるが、それに伴い、ベース側接着部２０３０とカバー側接着部２０５０も対応した位置となる（図１６３参照）。
【０７８４】
そして、ベース部材２０１０とカバー部材２０２０とが螺合されると、ベース部材２０１０の側縁部２０１２の上端面２０２８（図１５３参照）と、カバー部材２０２０の側縁部２０２２の下端面２０１９（図１５９参照）とが当接した状態となる。その際、ベース側接着部２０３０のうち側縁部２０１２の上端面２０２８よりも上方に形成されている部分が、カバー側接着部２０５０の開口（前内壁部２０５４と上内壁部２０５５と側内壁部２０５６と後内壁部２０５７とによって囲まれた空間）に収容された状態となる（図１６４参照）。前内壁部２０５４と上内壁部２０５５と側内壁部２０５６と後内壁部２０５７とによって囲まれた空間を、カバー側接着部２０５０の内部空間とも呼ぶ。
【０７８５】
ベース側接着部２０３０がカバー側接着部２０５０の内部空間に収容された状態において、カバー側接着部２０５０の前内壁部２０５４は、ベース側接着部２０３０の前壁部２０３１よりも前方に位置しており、前内壁部２０５４と前壁部２０３１との間に間隙が生じる。特に、前内壁部２０５４の曲面２０５４ｂと、前壁部２０３１の曲面２０３１ｂとが対向し、曲面２０５４ｂと曲面２０３１ｂとの間には、周囲と比較して大きな間隙が生じる。
【０７８６】
本実施形態では、曲面２０５４ｂと曲面２０３１ｂとの間に生じた間隙からノズルが挿入され、当該ノズルを用いて接着剤が注入される。上述したように、カバー側接着部２０５０の曲面２０５４ｂは、テーパ形状を有しているが、当該形状は、ノズルの形状に対応するものであり、接着剤を注入する際、ノズルが曲面２０５４ｂに係合される。曲面２０５４ｂと曲面２０３１ｂとの間には比較的大きな間隙が存在し、ノズルを挿入しやすい構造が形成されている。ノズルは、カバー側接着部２０５０及びベース側接着部２０３０の底面側から挿入され、接着剤が注入される際には、カバー側接着部２０５０の上内壁部２０５５が下方に位置するように、カバー側接着部２０５０及びベース側接着部２０３０の位置が保たれる。
【０７８７】
接着剤としては、紫外線硬化型接着剤が用いられる。ノズルから注入された紫外線硬化型接着剤は、カバー側接着部２０５０の内部空間のうち、ベース側接着部２０３０によって占められていない部分に充填される。
【０７８８】
具体的に、カバー側接着部２０５０の内部空間においては、前方にて、カバー側接着部２０５０の前内壁部２０５４とベース側接着部２０３０の前壁部２０３１との間に間隙が生じる他、後方にて、カバー側接着部２０５０の後内壁部２０５７とベース側接着部２０３０の後壁部２０３５との間にも間隙が生じ（図１６５参照）、これらの間隙に紫外線硬化型接着剤が充填される。
【０７８９】
ノズルから注入された紫外線硬化型接着剤は、前壁部２０３１に形成された溝部２０３１ｃに沿って後方に移動する。溝部２０３１ｃは、曲面２０３１ｂに対して左右対称に形成されている（図１５４参照）ため、曲面２０３１ｂの右側と左側とで、後方に移動する紫外線硬化型接着剤の量に偏りが生じにくく、紫外線硬化型接着剤を均一に充填させることができる。
【０７９０】
また、ベース側接着部２０３０がカバー側接着部２０５０の内部空間に収容された状態において、ベース側接着部２０３０の上壁部２０３２は、カバー側接着部２０５０の上内壁部２０５５に形成された突起２０５５ａと当接する（図１６５参照）。従って、上内壁部２０５５のうち突起２０５５ａの形成されていない部分と、上壁部２０３２との間に間隙が生じ、ノズルから注入された紫外線硬化型接着剤は、当該間隙からも後方に移動する。
【０７９１】
本実施形態では、カバー側接着部２０５０の上内壁部２０５５に突起２０５５ａが形成されているため、ベース側接着部２０３０をカバー側接着部２０５０の内部空間に収容する過程において、ベース側接着部２０３０の上壁部２０３２が突起２０５５ａに当接するまでベース側接着部２０３０をカバー側接着部２０５０の内部に押し込めば、上内壁部２０５５と上壁部２０３２との間に自動的に間隙（接着剤の移動経路）が生じることとなる。従って、位置合わせ等の手間のかかる作業を要することなく、接着剤の移動経路を効率よく確保することができる。
【０７９２】
また、ベース側接着部２０３０及びカバー側接着部２０５０の成形過程において、仮にその大きさに誤差が発生した場合（ベース側接着部２０３０の上壁部２０３２の位置が高く形成された場合や、カバー側接着部２０５０の上内壁部２０５５の位置が低く形成された場合）であっても、上内壁部２０５５と上壁部２０３２との間に、少なくとも、突起２０５５ａの高さ分の間隙を確保することができる。これにより、接着剤の移動経路が塞がってしまうことを防止することができる。
【０７９３】
このようにして、カバー側接着部２０５０の内部空間のうちベース側接着部２０３０によって占められていない部分に紫外線硬化型接着剤が充填された後、紫外線が照射され、紫外線硬化型接着剤が硬化される。これにより、硬化した接着剤を介して、カバー側接着部２０５０の内部空間を構成する壁部（前内壁部２０５４、上内壁部２０５５、側内壁部２０５６、及び、後内壁部２０５７）と、当該空間に収容されたベース側接着部２０３０とが接着される。
【０７９４】
以上、第３実施形態に係る遊技機１について説明した。第３実施形態に係る遊技機１は、以下の特徴を備えている。
【０７９５】
（３４−１）  遊技に関する制御を行うための制御基板（副制御基板２０７０）と、
前記制御基板を収納する基板ケース（副制御基板ケース２０００）と、を備える遊技機であって、
前記基板ケースは、第１部材（カバー部材２０２０）及び第２部材（ベース部材２０１０）が組み付けられることにより構成されており、
前記第１部材には、前記第１部材と前記第２部材とを接着するための第１接着部（カバー側接着部２０５０）が形成されている一方、前記第２部材には、前記第１部材と前記第２部材とを接着するための第２接着部（ベース側接着部２０３０）が形成されており、
前記第１接着部は、前記第２接着部を囲うように形成されており、
前記第１接着部と前記第２接着部とは、前記第１接着部と前記第２接着部との間に介在する接着剤により接着されている、
ことを特徴とする遊技機。
【０７９６】
第３実施形態に係る遊技機１によれば、副制御基板ケース２０００は、カバー部材２０２０及びベース部材２０１０が組み付けられることにより構成されており、カバー部材２０２０には、カバー側接着部２０５０が形成されている一方、ベース部材２０１０には、ベース側接着部２０３０が形成されている。カバー側接着部２０５０は、ベース側接着部２０３０を囲うように形成されており、カバー側接着部２０５０とベース側接着部２０３０とは、カバー側接着部２０５０とベース側接着部２０３０との間に介在する接着剤により接着されている。
【０７９７】
すなわち、カバー側接着部２０５０がベース側接着部２０３０を囲んだ状態で、カバー側接着部２０５０とベース側接着部２０３０との間に接着剤が介在しており、該接着剤によりカバー側接着部２０５０とベース側接着部２０３０とが接着されている。そのため、カバー側接着部２０５０、及び、カバー側接着部２０５０によって囲まれたベース側接着部２０３０を一体として取り除かない限り、副制御基板ケース２０００を開封することはできない。従って、副制御基板ケース２０００を開封するためには、カバー側接着部２０５０及びベース側接着部２０３０とそれらの周囲を破壊する必要があるため、副制御基板ケース２０００が容易に開封されてしまうことを防止することができる。
【０７９８】
（３４−２）  遊技に関する制御を行うための制御基板（副制御基板２０７０）と、
前記制御基板を収納する基板ケース（副制御基板ケース２０００）と、を備える遊技機であって、
前記基板ケースは、第１部材（カバー部材２０２０）及び第２部材（ベース部材２０１０）が組み付けられることにより構成されており、
前記第１部材には、前記第１部材と前記第２部材とを接着するための第１接着部（カバー側接着部２０５０）が形成されている一方、前記第２部材には、前記第１部材と前記第２部材とを接着するための第２接着部（ベース側接着部２０３０）が形成されており、
前記第１部材及び前記第２部材が組み付けられていない状態において、前記第１接着部は、硬化前の接着剤を貯留することが可能な空間を形成しており、
前記第１部材及び前記第２部材が組み付けられた状態において、前記空間は、前記第２接着部の少なくとも一部と、硬化された接着剤とを収容しており、前記第１接着部と前記第２接着部とが硬化された該接着剤により接着されている、
ことを特徴とする遊技機。
【０７９９】
第３実施形態に係る遊技機１によれば、副制御基板ケース２０００は、カバー部材２０２０及びベース部材２０１０が組み付けられることにより構成されており、カバー部材２０２０には、カバー側接着部２０５０が形成されている一方、ベース部材２０１０には、ベース側接着部２０３０が形成されている。カバー部材２０２０及びベース部材２０１０が組み付けられていない状態において、カバー側接着部２０５０は、硬化前の接着剤を貯留することが可能な空間を形成しており、カバー部材２０２０及びベース部材２０１０が組み付けられた状態において、当該空間（カバー側接着部２０５０の内部空間）は、ベース側接着部２０３０の少なくとも一部と、硬化された接着剤とを収容しており、カバー側接着部２０５０とベース側接着部２０３０とが硬化された該接着剤により接着されている。
【０８００】
すなわち、カバー側接着部２０５０によって形成された空間にベース側接着部２０３０が収容された状態で、カバー側接着部２０５０とベース側接着部２０３０との間に接着剤が硬化した状態で介在しており、該接着剤によりカバー側接着部２０５０とベース側接着部２０３０とが接着されている。そのため、カバー側接着部２０５０、及び、カバー側接着部２０５０によって形成された空間に収容されたベース側接着部２０３０を一体として取り除かない限り、副制御基板ケース２０００を開封することはできない。従って、副制御基板ケース２０００を開封するためには、カバー側接着部２０５０及びベース側接着部２０３０とそれらの周囲を破壊する必要があるため、副制御基板ケース２０００が容易に開封されてしまうことを防止することができる。
【０８０１】
また、第３実施形態に係る遊技機１によれば、カバー部材２０２０の側縁部２０２２ｄには、コネクタ２０７１を副制御基板ケース２０００の外部に露出させるための開口２０２４が形成されている。一方、カバー部材２０２０のカバー側接着部２０５０ａ及びカバー側接着部２０５０ｃは、側縁部２０２２ｄに近い位置に設けられており、ベース部材２０１０のベース側接着部２０３０ａ及びベース側接着部２０３０ｃは、側縁部２０２２ｄに対応する側縁部２０１２ｄに近い位置に設けられている。すなわち、開口２０２４の近傍において、カバー側接着部２０５０ａとベース側接着部２０３０ａとが接着され、カバー側接着部２０５０ｃとベース側接着部２０３０ｃとが接着される。従って、開口２０２４を通じて副制御基板ケース２０００が不正に開封されてしまうことを防止することができる。
【０８０２】
第３実施形態では、ベース部材２０１０に形成されたベース側接着部２０３０が、カバー部材２０２０に形成されたカバー側接着部２０５０の内部空間に収容されることとして説明した。カバー部材２０２０は、本発明における第１部材に相当し、ベース部材２０１０は、本発明における第２部材に相当する。また、カバー側接着部２０５０は、本発明における第１接着部に相当し、ベース側接着部２０３０は、本発明における第２接着部に相当する。本発明においては、第３実施形態とは逆に、ベース側接着部が内部空間を形成しており、該内部空間にカバー側接着部が収容されることとしてもよい。
【０８０３】
また、第３実施形態では、ベース部材２０１０が、ベース側接着部２０３０（２０３０ａ、２０３０ｂ、２０３０ｃ）とベース側接着部２０３０以外の部分とがそれぞれ別個に成形された後それらが接着固定されることにより一体となっていることとして説明した。また、カバー部材２０２０が、カバー側接着部２０５０（２０５０ａ、２０５０ｂ、２０５０ｃ）とカバー側接着部２０５０以外の部分とがそれぞれ別個に成形された後それらが接着固定されることにより一体となっていることとして説明した。しかし、本発明において、第１部材は、第１接着部と第１接着部以外の部分とが一体成形されていてもよく、第２部材は、第２接着部と第２接着部以外の部分とが一体成形されていてもよい。
【０８０４】
また、第３実施形態では、カバー側接着部２０５０とベース側接着部２０３０との間に介在させる接着剤として、紫外線硬化型接着剤を用いることとして説明した。紫外線硬化型接着剤としては、紫外線を照射することにより硬化するものであれば、特に限定されず、例えば、ラジカル重合型としてのアクリレート系接着剤であってもよいし、カチオン重合型としてのエポキシ系接着剤であってもよい。本発明において、第１接着部と第２接着部とを接着するための接着剤としては、特に限定されず、例えば、モノマー、オリゴマー、光重合開始剤、各種添加剤等を含む光硬化性樹脂、熱硬化型接着剤や湿気硬化型接着剤等の光硬化系以外の硬化型接着剤、その他の接着剤を適宜採用することができる。
【０８０５】
また、第３実施形態では、カバー部材２０２０及びベース部材２０１０がＡＢＳ樹脂でできていることとして説明した。本発明において、第１部材及び第２部材の材料は特に限定されず、ポリカーボネート等の透明な合成樹脂を適宜採用することができる。
【０８０６】
また、第１部材（カバー部材２０２０）と第２部材（ベース部材２０１０）との取り付け位置及び取り付け方法、並びに、基板ケース（副制御基板ケース２０００）と制御基板（副制御基板２０７０）との取り付け位置及び取り付け方法は、第３実施形態の例に限定されず、適宜変更することができる。
【０８０７】
第３実施形態では、ベース部材２０１０の底板２０１１の底面とキャビネットＧの背面壁Ｇ３とが対向するように、サブ制御装置ＳＳがキャビネットＧに取り付けられることとして説明した。しかし、サブ制御装置の取り付け位置及び取り付け方法も、この例に限定されず、適宜変更することができる。例えば、サブ制御装置は、キャビネットを開閉可能なドア側且つ液晶表示装置の裏側に取り付けられてもよい。この場合、熱通過用孔２０１５（図１４９参照）は、液晶表示装置から熱を受け、（カバー部材２０２０側にファン２０７５の設けられた）ヒートシンク２０７４（図１４８参照）に当該熱を伝達する役割を担う。
【０８０８】
（３４−３）  前記（３４−１）又は（３４−２）の遊技機であって、
前記基板ケースの表面の少なくとも一部にメッキ加工が施されている一方、前記第１接着部及び前記第２接着部の表面のうち前記接着剤と接触している部分にはメッキ加工が施されていない、
ことを特徴とする。
【０８０９】
第３実施形態に係る遊技機１によれば、副制御基板ケース２０００の表面にメッキ加工が施されている。これにより、電気的又は磁気的なノイズを遮断することが可能となり、ノイズの影響によって副制御基板２０７０が誤作動してしまうことを防止することができる。
【０８１０】
一方で、カバー部材２０２０とベース部材２０１０との接着部分にメッキ加工が施されていれば、接着過程において、接着剤がずれてしまったり剥がれてしまったりしてしまうことが懸念される。この点、第３実施形態に係る遊技機１によれば、カバー部材２０２０とベース部材２０１０との接着部分としてカバー側接着部２０５０及びベース側接着部２０３０を形成するとともに、カバー側接着部２０５０及びベース側接着部２０３０にはメッキ加工を施さないこととしている。これにより、接着過程において上記のような問題が生じることはなく、カバー部材２０２０とベース部材２０１０との接着強度を確保することができる。
【０８１１】
メッキ加工としては、特に限定されないが、例えば、下地メッキとして銅を用いて、その上にニッケルメッキ加工を施すことが挙げられる。
【０８１２】
第３実施形態では、カバー側接着部２０５０（２０５０ａ、２０５０ｂ、２０５０ｃ）とカバー側接着部２０５０以外の部分（カバー側基体部）とがそれぞれ別個に成形されることを前提として、カバー側基体部とカバー側接着部２０５０とのうち、カバー側基体部にのみメッキ加工を施した後、カバー側基体部とカバー側接着部２０５０とを固着することにより、カバー部材２０２０が作製されることとして説明した。また、ベース側接着部２０３０（２０３０ａ、２０３０ｂ、２０３０ｃ）とベース側接着部２０３０以外の部分（ベース側基体部）とがそれぞれ別個に成形されることを前提として、ベース側基体部とベース側接着部２０３０とのうち、ベース側基体部にのみメッキ加工を施した後、ベース側基体部とベース側接着部２０３０とを固着することにより、ベース部材２０１０が作製されることとして説明した。
【０８１３】
しかし、上述したように、本発明において、第１部材及び第２部材は、それぞれ第１接着部及び第２接着部を含めて一体成形されていてもよく、この場合には、部分メッキの手法を用いて、第１接着部と第２接着部との接着部分にメッキ加工が施されないようにすればよい。例えば、第３実施形態においては、カバー側接着部２０５０の内部空間を構成する壁部（前内壁部２０５４、上内壁部２０５５、側内壁部２０５６、及び、後内壁部２０５７）、並びに、ベース側接着部２０３０のうち側縁部２０１２の上端面２０２８よりも上方に形成されている部分にメッキ加工が施されないように、これらの部分にマスキングを施せばよい。
【０８１４】
また、カバー側基体部のみ成形してメッキ加工を施した後、カバー側接着部をインサート成形することにより、カバー部材を作製してもよく、ベース側基体部のみ成形してメッキ加工を施した後、ベース側接着部をインサート成形することにより、ベース部材を作製してもよい。
【０８１５】
また、第３実施形態では、カバー部材２０２０とベース部材２０１０の双方にメッキ処理が施されることとして説明したが、カバー部材２０２０にのみメッキ加工が施されることとしてもよい。第２実施形態で説明したように、サブ制御装置ＳＳは、ホッパ機構ＨＰにおける金属製のメダル同士の接触による輻射（電磁場）の影響を受ける可能性があるところ、当該電磁場の影響を避けるためには、背面壁Ｇ３に取り付けられるベース部材２０１０よりも、キャビネットＧの内部（ホッパ機構ＨＰ側）に向けて表面が露出したカバー部材２０２０にメッキ加工を施すことが望ましい（図９０参照）。
【０８１６】
（３４−４）  前記（３４−１）〜（３４−３）の何れかの遊技機であって、
前記第１接着部（カバー側接着部２０５０）は、一方に開口が形成されるとともに、前記開口とは反対側に形成された閉壁部（上壁部２０５２）、及び、前記閉壁部と連続して前記開口を構成し前記第２接着部を囲うように形成された周壁部（前壁部２０５１及び側壁部２０５３）を備え、
前記閉壁部の内側には突起（突起２０５５ａ）が形成されている一方、前記周壁部の内側には、前記開口側から前記閉壁部側にかけてテーパ状の第１の凹部（曲面２０５４ｂ）が形成されており、
前記第２接着部（ベース側接着部２０３０）には、前記第１部材及び前記第２部材が組み付けられた状態において前記第１の凹部と対向するように第２の凹部（曲面２０３１ｂ）が形成されている一方、前記第２接着部の外周に沿って溝（溝部２０３１ｃ）が形成されている、
ことを特徴とする。
【０８１７】
第３実施形態に係る遊技機１によれば、カバー側接着部２０５０の前内壁部２０５４に、開口側から上内壁部２０５５側にかけてテーパ状の曲面２０５４ｂが形成されており、ベース側接着部２０３０には、曲面２０５４ｂと対向するように曲面２０３１ｂが形成されている。従って、カバー側接着部２０５０とベース側接着部２０３０との間に接着剤が介在していない状態において、曲面２０５４ｂと曲面２０３１ｂとの間には比較的大きな間隙が存在する。そのため、当該間隙を利用して、カバー側接着部２０５０とベース側接着部２０３０との間に接着剤を効率よく注入することが可能であり、カバー側接着部２０５０とベース側接着部２０３０とを効果的に接着することができる。
【０８１８】
また、第３実施形態に係る遊技機１によれば、ベース側接着部２０３０の前壁部２０３１及び側壁部２０３３の壁面に沿って溝部２０３１ｃが形成されている。従って、曲面２０５４ｂと曲面２０３１ｂとの間から注入された接着剤を、溝部２０３１ｃに沿って、カバー側接着部２０５０によって形成された空間内の他の場所に移動させることが可能であり、当該空間全体に亘って、接着剤を充填させることができる。
【０８１９】
さらに、第３実施形態に係る遊技機１によれば、カバー側接着部２０５０の上内壁部２０５５に突起２０５５ａが形成されている。そのため、カバー側接着部２０５０によって形成された空間にベース側接着部２０３０が収容された状態において、ベース側接着部２０３０が突起２０５５ａに当接した場合、カバー側接着部２０５０の上内壁部２０５５のうち突起２０５５ａが形成されていない部分と、ベース側接着部２０３０との間に間隙が生じる。従って、当該間隙に接着剤を介在させることが可能となり、カバー側接着部２０５０とベース側接着部２０３０との接着強度を向上させることができる。
【０８２０】
図１６２に示すように、第１接着部（カバー側接着部２０５０）を開口側から見たとき、第１の凹部（曲面２０５４ｂ）は、第１接着部（カバー側接着部２０５０）の周壁部（前壁部２０５１）の内側における左右方向の略中央に形成されていることが望ましい。また、図１５４に示すように、第２接着部（ベース側接着部２０３０）を正面から見たとき、第２の凹部（曲面２０３１ｂ）は、第２接着部（ベース側接着部２０３０）における左右方向の略中央に形成されていることが望ましい。さらに、第２接着部（ベース側接着部２０３０）の外周に沿った溝（溝部２０３１ｃ）は、第２の凹部（曲面２０３１ｂ）を軸として対称となるように形成されていることが望ましい。これにより、接着剤を均一に充填させやすくなる。
【０８２１】
第１接着部（カバー側接着部２０５０）の閉壁部（上壁部２０５２）に形成された突起（突起２０５５ａ）の個数は、特に限定されず、１つであっても複数であってもよい。また、突起（突起２０５５ａ）の形状及び大きさは、特に限定されないが、突起（突起２０５５ａ）が複数設けられる場合には、複数の突起（突起２０５５ａ）の形状及び大きさを略同一とすることが望ましい。また、閉壁部（上壁部２０５２）において突起（突起２０５５ａ）の形成される位置も、特に限定されないが、突起（突起２０５５ａ）が複数設けられる場合には、複数の突起（突起２０５５ａ）が左右対称となるように配置されることが望ましい。例えば、突起（突起２０５５ａ）が２つ設けられる場合には、図１６２に示すように、第１接着部（カバー側接着部２０５０）を開口側から見たとき、右側の突起（突起２０５５ａ）と右側の内壁部（側内壁部２０５６）との距離、及び、左側の突起（突起２０５５ａ）と左側の内壁部（側内壁部２０５６）との距離が等しくなるように、２つの突起（突起２０５５ａ）が配置されることが望ましい。これにより、接着剤を均一に充填させやすくなる。
【０８２２】
［第４実施形態］
以上、第１実施形態〜第３実施形態について説明した。以下、第４実施形態について説明する。第４実施形態に係る遊技機１の基本的な構成は、第２実施形態及び第３実施形態に係る遊技機１と同じである。以下においては、第２実施形態及び第３実施形態に係る遊技機１の構成要素と同一の構成要素には、同一の符号を付して説明することとする。また、第２実施形態及び第３実施形態における説明が第４実施形態においても当てはまる部分については、説明を省略することとする。
【０８２３】
＜スクリーン装置Ｃ＞
図１６６は、表示ユニットの斜視図である。図１６７は、スクリーン装置の分解斜視図である。図１６８は、スクリーン装置の分解斜視図である。図１６９は、スクリーン装置の分解斜視図である。
【０８２４】
図１６６に示す表示ユニットＡは、映像を含む照射光を出射する照射光装置Ｂと、照射光装置Ｂからの照射光が照射されることにより映像を出現させるスクリーン装置Ｃとを有した所謂プロジェクションマッピング装置である。第２実施形態と同様に、表示ユニットＡは、キャビネットＧ内の中間支持板Ｇ１（図３３参照）上に交換可能に載置される。
【０８２５】
図１６７に示すように、スクリーン装置Ｃは、スクリーン筐体Ｃ１０を有している。具体的に、スクリーン筐体Ｃ１０は、水平配置された底板Ｃ１と、底板Ｃ１の右端部に立設された右側板Ｃ２と、底板Ｃ１の左端部に立設された左側板Ｃ３と、底板Ｃ１の後端部に立設された背板Ｃ４とを有している。これにより、底板Ｃ１に対して右側板Ｃ２と左側板Ｃ３と背板Ｃ４とがネジ締結により連結されることによって、遊技者が位置する前面側と、照射光装置Ｂが位置する上面側とが開放された箱形形状のスクリーン筐体Ｃ１０が形成されている。
【０８２６】
スクリーン筐体Ｃ１０の内部には、固定スクリーン機構Ｄとフロントスクリーン機構Ｅ１とリールスクリーン機構Ｆ１とが設けられている。固定スクリーン機構Ｄの構成は、第２実施形態で説明した通りであるため、説明を省略する。フロントスクリーン機構Ｅ１及びリールスクリーン機構Ｆ１の構成については、後に、第２実施形態と異なる部分を補足しながら詳述することとする。
【０８２７】
図１６８及び図１６９に示すように、スクリーン筐体Ｃ１０の底板Ｃ１は、上面視が長方形の平板形状に形成されている。底板Ｃ１の上面には、中央部に配置された中央載置部Ｃ１１と、中央載置部Ｃ１１を中心として左右方向に配置された右載置部Ｃ１２及び左載置部Ｃ１３とを有している。これらの載置部Ｃ１１・Ｃ１２・Ｃ１３は、凹状に形成されている。
【０８２８】
中央載置部Ｃ１１は、固定スクリーン機構Ｄの下端部が嵌合されることによって、固定スクリーン機構Ｄを位置決め可能に載置している。右載置部Ｃ１２は、右可動体ベースＣ５の下端部が嵌合されることによって、右可動体ベースＣ５を位置決め可能に載置している。左載置部Ｃ１３は、左可動体ベースＣ６の下端部が嵌合されることによって、左可動体ベースＣ６を位置決め可能に載置している。
【０８２９】
右側板Ｃ２には、モータ収容部Ｃ２２が形成されている。モータ収容部Ｃ２２により、駆動モータＦ２４が位置決め配置される。駆動モータＦ２４は、リールスクリーン機構Ｆ１を駆動するためのリールスクリーン駆動機構Ｆ２の構成要素である。リールスクリーン駆動機構Ｆ２については、後に詳述する。
【０８３０】
また、右側板Ｃ２及び左側板Ｃ３には、それぞれ、第１支持部Ｃ２３及び第２支持部Ｃ２４が形成されている。第１支持部Ｃ２３は、クランクギアＥ２１のギア軸Ｅ２１ａを回動自在に支持する。第２支持部Ｃ２４は、中間ギアＥ２３のギア軸となるシャフト部材Ｅ３を回転自在に支持する。クランクギアＥ２１及び中間ギアＥ２３は、フロントスクリーン機構Ｅ１を駆動するためのフロントスクリーン駆動機構Ｅ２の構成要素である。フロントスクリーン駆動機構Ｅ２については、後に詳述する。
【０８３１】
このように、フロントスクリーン駆動機構Ｅ２及びリールスクリーン駆動機構Ｆ２は、右側板Ｃ２及び左側板Ｃ３により位置決め配置される。なお、フロントスクリーン駆動機構Ｅ２は、右可動体ベースＣ５側に配置された右フロントスクリーン駆動機構Ｅ２Ｂと、左可動体ベースＣ６側に配置された左フロントスクリーン駆動機構Ｅ２Ａとから構成される。右フロントスクリーン駆動機構Ｅ２Ｂ及びリールスクリーン駆動機構Ｆ２は、左右方向に関して、右可動体ベースＣ５と右側板Ｃ２との間に配置される。また、左フロントスクリーン駆動機構Ｅ２Ａは、左右方向に関して、左可動体ベースＣ６と左側板Ｃ３との間に配置される。
【０８３２】
また、第２実施形態と同様に、右側板Ｃ２及び左側板Ｃ３は、操作用開口部Ｃ２１・Ｃ３１を有している。これにより、例えば、図４７を用いて説明したように、操作用開口部Ｃ２１からスクリーン装置Ｃ内に手を伸ばし、操作用開口部Ｃ２１から見えるクランクギアＥ２１を手動で回転させることによって、フロントスクリーン機構Ｅ１を回動させることができる。
【０８３３】
＜スクリーン位置関係＞
第２実施形態と同様に、本実施形態においても、プロジェクタ機構Ｂ２を制御して、映像を含む光をレンズから出射させることにより、複数のスクリーン（固定スクリーン機構Ｄ、フロントスクリーン機構Ｅ１、及び、リールスクリーン機構Ｆ１）の位置関係に応じて、これらのスクリーンのうちの何れかのスクリーンに映像が表示される。各スクリーンの位置関係は、第２実施形態と同様である。以下、概要について説明する。
【０８３４】
フロントスクリーン機構Ｅ１及びリールスクリーン機構Ｆ１は、可動式のスクリーンであり、それぞれ、フロントスクリーン駆動機構Ｅ２及びリールスクリーン駆動機構Ｆ２により駆動される。
【０８３５】
駆動モータＥ２５が制御されることにより、フロントスクリーン機構Ｅ１がフロント露出位置とフロント待機位置との間で回動する一方、駆動モータＦ２４が制御されることにより、リールスクリーン機構Ｆ１がリール露出位置とリール待機位置との間で回動する（図５３参照）。
【０８３６】
フロントスクリーン機構Ｅ１がフロント露出位置に配置されている場合には、フロントスクリーン機構Ｅ１が固定スクリーン機構Ｄを前方から覆い隠した状態となり、フロントスクリーン機構Ｅ１に映像が表示される（図５１参照）。
【０８３７】
これに対し、フロントスクリーン機構Ｅ１がフロント待機位置に配置されている場合には、リールスクリーン機構Ｆ１がリール待機位置に配置されていれば、固定スクリーン機構Ｄが露出した状態となり、固定スクリーン機構Ｄに映像が表示される（図５０参照）。一方、リールスクリーン機構Ｆ１がリール露出位置に配置されていれば、リールスクリーン機構Ｆ１が固定スクリーン機構Ｄを前方から覆い隠した状態となり、リールスクリーン機構Ｆ１に映像が表示される（図５２参照）。
【０８３８】
なお、フロントスクリーン機構Ｅ１がフロント露出位置に配置されている場合には、リールスクリーン機構Ｆ１をリール露出位置に配置させることはできない。また、リールスクリーン機構Ｆ１がリール露出位置に配置されている場合には、フロントスクリーン機構Ｅ１をフロント露出位置に配置させることはできない。この点については、後に詳述することとする。
【０８３９】
＜フロントスクリーン機構Ｅ１＞
図１７０は、フロントスクリーン機構の分解斜視図である。図１７１は、フロントスクリーン支持台の正面図である。図１７２は、図１７１に示すフロントスクリーン支持台の矢視Ｂ−Ｂに沿う断面図である。図１７３は、図１７２に示すフロントスクリーン支持台にフロントスクリーン部材を粘着させた状態を示す図である。図１７４は、図１７１に示すフロントスクリーン支持台の矢視Ｃ−Ｃに沿う断面図である。図１７５は、図１７４に示すフロントスクリーン支持台にフロントスクリーン部材を粘着させた状態を示す図である。図１７６は、フロントスクリーン支持台の背面図である。図１７７は、図１７６に示すフロントスクリーン支持台の矢視Ｄ−Ｄに沿う断面図である。図１７８は、図１７６に示すフロントスクリーン支持台の矢視Ｅ−Ｅに沿う断面図である。
【０８４０】
図１７０に示すように、フロントスクリーン機構Ｅ１は、投影面Ｅ１１ａを全面に有した長方形状のフロントスクリーン部材Ｅ１１と、第１模様面Ｅ１２ａ等の模様を両面に有したフロントスクリーン支持台Ｅ１２とを有している。
【０８４１】
フロントスクリーン部材Ｅ１１は、薄板状の平面パネルにスクリーン塗料を塗布することにより形成されている。これにより、フロントスクリーン部材Ｅ１１は、投影面Ｅ１１ａが平坦状に形成されている。
【０８４２】
一方、フロントスクリーン支持台Ｅ１２は、フロントスクリーン部材Ｅ１１を保持する保持凹部Ｅ１２１を有している。保持凹部Ｅ１２１は、フロントスクリーン部材Ｅ１１の投影面Ｅ１１ａに対して僅かに拡大した状態で相似する開口形状を有しており、フロントスクリーン部材Ｅ１１全体を収容している。また、保持凹部Ｅ１２１は、深さが深部と浅部との２段階に設定されている。
【０８４３】
浅部は、フロントスクリーン支持台Ｅ１２の長手方向に沿って形成された部分と、フロントスクリーン支持台Ｅ１２の短手方向に沿って形成された部分とによって、格子状に形成されている。具体的に、浅部は、保持凹部Ｅ１２１の外周を構成する各辺に沿って形成された外浅部Ｅ１２２（Ｅ１２２ａ、Ｅ１２２ｂ、Ｅ１２２ｃ、Ｅ１２２ｄ）と、保持凹部Ｅ１２１の内部において長手方向に沿って形成された長浅部Ｅ１２３（Ｅ１２３ａ、Ｅ１２３ｂ、Ｅ１２３ｃ）と、保持凹部Ｅ１２１の内部において短手方向に沿って形成された短浅部Ｅ１２４（Ｅ１２４ａ、Ｅ１２４ｂ、Ｅ１２４ｃ）と、を備える。
【０８４４】
外浅部Ｅ１２２のうち、外浅部Ｅ１２２ｂ及び外浅部Ｅ１２２ｄが長手方向に沿って形成されており、外浅部Ｅ１２２ａ及び外浅部Ｅ１２２ｃが短手方向に沿って形成されている。外浅部Ｅ１２２ａと外浅部Ｅ１２２ｂとは連続的に形成されており、外浅部Ｅ１２２ｂと外浅部Ｅ１２２ｃとは連続的に形成されている。一方、外浅部Ｅ１２２ｃと外浅部Ｅ１２２ｄとは連続的に形成されておらず、外浅部Ｅ１２２ｃと外浅部Ｅ１２２ｄとの間には、隙間が設けられている。同様に、外浅部Ｅ１２２ｄと外浅部Ｅ１２２ａとは連続的に形成されておらず、外浅部Ｅ１２２ｄと外浅部Ｅ１２２ａとの間には、隙間が設けられている。
【０８４５】
長浅部Ｅ１２３ｂは、短手方向における中央部分において長手方向に亘って形成されており、短浅部Ｅ１２４ｂは、長手方向における中央部分において短手方向に亘って形成されている。外浅部Ｅ１２２（Ｅ１２２ａ、Ｅ１２２ｂ、Ｅ１２２ｃ、Ｅ１２２ｄ）、長浅部Ｅ１２３ｂ、及び、短浅部Ｅ１２４ｂには、溝が形成されている。
【０８４６】
保持凹部Ｅ１２１に収容されたフロントスクリーン部材Ｅ１１は、以上のように格子状に形成された浅部に当接及び支持され、残りの深部部分から離隔された状態となっている（図１７２〜図１７５参照）。
【０８４７】
また、フロントスクリーン支持台Ｅ１２は、投影面Ｅ１１ａの周囲の一部領域に第１模様面Ｅ１２ａを有している。第１模様面Ｅ１２ａは、フロントスクリーン機構Ｅ１がフロント露出位置に配置されたときに、前方の遊技者から目視可能となる。さらに、フロントスクリーン支持台Ｅ１２は、第１模様面Ｅ１２ａとは反対側の面全体に第２模様面Ｅ１２ｂを有している（図１７６参照）。第２模様面Ｅ１２ｂは、フロントスクリーン機構Ｅ１がフロント待機位置に配置されたときに、前方の遊技者から目視可能となる。第１模様面Ｅ１２ａ及び第２模様面Ｅ１２ｂは、例えば、遊技の演出に関連した模様が凹凸により立体的に形成されている。
【０８４８】
フロントスクリーン部材Ｅ１１を構成する平面パネル、及び、フロントスクリーン支持台Ｅ１２は、それぞれ射出成形により作製される。フロントスクリーン部材Ｅ１１を構成する平面パネル、及び、フロントスクリーン支持台Ｅ１２の材料としては、熱可塑性樹脂（例えば、ＡＢＳ樹脂等）を適宜採用することができる。
【０８４９】
上記のように構成されたフロントスクリーン部材Ｅ１１とフロントスクリーン支持台Ｅ１２とは、別個に形成された後に、粘着されることにより一体化されている。フロントスクリーン部材Ｅ１１における投影面Ｅ１１ａとは反対側の面には、粘着性樹脂を含む塗料が塗布されることにより、粘着剤層が形成されている。該粘着剤層により、フロントスクリーン部材Ｅ１１とフロントスクリーン支持台Ｅ１２とが粘着される。なお、粘着剤層は、フロントスクリーン部材Ｅ１１ではなく、フロントスクリーン支持台Ｅ１２の浅部に形成することとしてもよい。
【０８５０】
粘着性樹脂としては、アクリル系、ゴム系、シリコーン系等の粘着性を有する樹脂を挙げることができ、例えば、アクリル系共重合体を用いることができる。アクリル系共重合体としては、（メタ）アクリル酸エステル系共重合体を挙げることができ、本実施形態においては、粘着剤の樹脂成分として従来慣用されている（メタ）アクリル酸エステル系共重合体のなかから、任意のものを適宣選択して使用することができる。
【０８５１】
フロントスクリーン支持台Ｅ１２には、保持凹部Ｅ１２１から第２模様面Ｅ１２ｂまで貫通する貫通孔Ｅ１３０（Ｅ１３０ａ、Ｅ１３０ｂ、Ｅ１３０ｃ、Ｅ１３０ｄ）が形成されている。貫通孔Ｅ１３０ａは、外浅部Ｅ１２２ｃと外浅部Ｅ１２２ｄとの間の隙間に形成されている。貫通孔Ｅ１３０ｂは、外浅部Ｅ１２２ｄと外浅部Ｅ１２２ａとの間の隙間に形成されている。貫通孔Ｅ１３０ｃは、外浅部Ｅ１２２ａと長浅部Ｅ１２３ｃとの接点近傍に形成されている。貫通孔Ｅ１３０ｄは、外浅部Ｅ１２２ｃと長浅部Ｅ１２３ｃとの接点近傍に形成されている。
【０８５２】
これら４つの貫通孔Ｅ１３０は、貫通孔Ｅ１３０ａと貫通孔Ｅ１３０ｂとを結ぶ線分、貫通孔Ｅ１３０ｂと貫通孔Ｅ１３０ｃとを結ぶ線分、貫通孔Ｅ１３０ｃと貫通孔Ｅ１３０ｄとを結ぶ線分、及び、貫通孔Ｅ１３０ｄと貫通孔Ｅ１３０ａとを結ぶ線分によって、略長方形が形成されるような位置関係で設けられている。
【０８５３】
貫通孔Ｅ１３０は、正面視における形状が、円形、楕円形、四角形、六角形等になるように形成されており、孔径は、表示ユニットＡの組み立てに使用されるネジの軸が入る程度の大きさ（例えば、１〜１０ｍｍ程度）となっている。これにより、フロントスクリーン部材Ｅ１１とフロントスクリーン支持台Ｅ１２とを粘着させた後であっても、貫通孔Ｅ１３０にネジや棒状の物等を挿入して、フロントスクリーン部材Ｅ１１を持ち上げることにより、フロントスクリーン部材Ｅ１１を取り外すことができる。
【０８５４】
また、フロントスクリーン支持台Ｅ１２のうち、フロントスクリーン部材Ｅ１１と粘着される箇所は、格子状に形成された浅部のみであり、フロントスクリーン部材Ｅ１１の大部分は、フロントスクリーン支持台Ｅ１２と粘着されていない。これにより、フロントスクリーン部材Ｅ１１を比較的容易に取り外すことができるようになっている。
【０８５５】
さらに、外浅部Ｅ１２２ｃと外浅部Ｅ１２２ｄとの間、及び、外浅部Ｅ１２２ｄと外浅部Ｅ１２２ａとの間には、隙間が形成されており、これらの隙間に対応する箇所においては、フロントスクリーン部材Ｅ１１とフロントスクリーン支持台Ｅ１２とが粘着されていない。当該箇所は、フロントスクリーン部材Ｅ１１のコーナー部近傍に対応しており、フロントスクリーン部材Ｅ１１とフロントスクリーン支持台Ｅ１２とは、このようなコーナー部付近で充分に粘着されていないことになる。このことに起因して、これらの隙間に形成された貫通孔Ｅ１３０ａ及び貫通孔Ｅ１３０ｂにネジや棒状の物等を挿入して、フロントスクリーン部材Ｅ１１を持ち上げようとした場合、フロントスクリーン部材Ｅ１１をフロントスクリーン支持台Ｅ１２から剥離する力が効率よく作用し、フロントスクリーン部材Ｅ１１を一層取り外しやすくなっている。
【０８５６】
上述したように、貫通孔Ｅ１３０は、保持凹部Ｅ１２１から第２模様面Ｅ１２ｂまで貫通して形成されている。図１７７は、フロントスクリーン支持台Ｅ１２を、貫通孔Ｅ１３０を通る面で切断したときの断面図であるが、図１７７にも、その様子が示されている。
【０８５７】
このように、保持凹部Ｅ１２１に設けられた貫通孔Ｅ１３０は、第２模様面Ｅ１２ｂまで貫通しているため、図１７６に示すように、フロントスクリーン機構Ｅ１を第２模様面Ｅ１２ｂ側から見たとき、貫通孔Ｅ１３０が目視可能となる。
【０８５８】
第２実施形態で説明したように、フロントスクリーン機構Ｅ１は、フロント待機位置に配置されている場合、スクリーン筐体Ｃ１０の上側において前方から後方に向かうにつれて下向きに傾斜するような姿勢となる（図５０参照）。このため、フロントスクリーン機構Ｅ１の第２模様面Ｅ１２ｂ側が、上側表示窓ＵＤ１を介して遊技者から視認可能な状態となる。ただ、第２模様面Ｅ１２ｂには、凹凸を有する立体的な模様が形成されているため、貫通孔Ｅ１３０は、当該模様に紛れて、外観上目立たなくなっている。
【０８５９】
とりわけ、貫通孔Ｅ１３０は、当該模様を構成する凹凸のうち凹んでいる部分（周囲と比較して窪んでいる位置）に設けられている。すなわち、貫通孔Ｅ１３０は、第２模様面Ｅ１２ｂにおける奥まった箇所に存在することとなる。このことと、フロント待機位置においてフロントスクリーン機構Ｅ１が傾斜姿勢となっていることとが相俟って、貫通孔Ｅ１３０は、第２模様面Ｅ１２ｂに形成された模様の凸部分の陰に隠れて、遊技者の視界に入りにくくなっている。
【０８６０】
さらに、第２模様面Ｅ１２ｂには、丸形凹部Ｅ１４０が複数形成されている。丸形凹部Ｅ１４０は、第２模様面Ｅ１２ｂに形成された模様の構成要素であり、第２模様面Ｅ１２ｂにおいて凹んだ形状を有している。ただ、貫通孔Ｅ１３０と異なり、当該凹みは、保持凹部Ｅ１２１まで貫通しているわけではない。図１７８は、フロントスクリーン支持台Ｅ１２を、丸形凹部Ｅ１４０を通る面で切断したときの断面図であるが、図１７８にも、その様子が示されている。
【０８６１】
このような丸形凹部Ｅ１４０は、正面視における形状が貫通孔Ｅ１３０と相似しており、丸形凹部Ｅ１４０の存在により、フロントスクリーン機構Ｅ１を第２模様面Ｅ１２ｂ側から見たとき、貫通孔Ｅ１３０が一層目立たなくなっている。
【０８６２】
＜フロントスクリーン駆動機構Ｅ２＞
上記のフロントスクリーン機構Ｅ１は、フロントスクリーン駆動機構Ｅ２の駆動力により回動可能にされている。図１６８及び図１６９を用いて説明したように、フロントスクリーン駆動機構Ｅ２は、フロントスクリーン機構Ｅ１の左端部下面に連結された左フロントスクリーン駆動機構Ｅ２Ａと、フロントスクリーン機構Ｅ１の右端部下面に連結された右フロントスクリーン駆動機構Ｅ２Ｂとを有している。
【０８６３】
図１７９は、スクリーン筐体の右側板及び左側板を取り外した状態を示す説明図である。図１８０は、右フロントスクリーン駆動機構の斜視図である。図１８１は、右フロントスクリーン駆動機構のクランクギアを取り外した状態を示す説明図である。図１８２は、右フロントスクリーン駆動機構のクランクギアの平面図である。図１８３は、右フロントスクリーン機構及び左フロントスクリーン駆動機構の斜視図である。
【０８６４】
図１７９及び図１８０に示すように、右フロントスクリーン駆動機構Ｅ２Ｂは、クランク部材Ｅ２２とクランクギアＥ２１と中間ギアＥ２３とモータ軸ギアＥ２４と駆動モータＥ２５とを有している。右フロントスクリーン駆動機構Ｅ２Ｂにおけるクランク部材Ｅ２２は、その一端がフロントスクリーン機構Ｅ１に連結されている。
【０８６５】
第２実施形態と同様に、クランク部材Ｅ２２は、中間位置Ｅ２２ａ（図１８１参照）において、右可動体ベースＣ５に回動自在に軸支されている。これにより、クランク部材Ｅ２２は、中間位置Ｅ２２ａを回動中心として回動することが可能となっている。中間位置Ｅ２２ａは、フロントスクリーン機構Ｅ１の回動中心軸ＦＧ（図５３参照）と一致する。
【０８６６】
図５７を用いて説明したように、クランク部材Ｅ２２は、中間位置Ｅ２２ａから上端部側（フロントスクリーン機構Ｅ１と連結されている側）の上側領域と、中間位置Ｅ２２ａから下端部側（フロントスクリーン機構Ｅ１と連結されている側とは反対側）の下側領域とを有している。クランク部材Ｅ２２の下側領域には、スライド溝Ｅ２２ｂが形成されている（図１８１参照）。
【０８６７】
スライド溝Ｅ２２ｂは、溝壁面Ｅ２２ｂ１が側面視Ｕ字形状となるように形成されている。該Ｕ字は、２つの直線部と、該２つの直線部の端部同士を結んだ曲線部とから構成されている。２つの直線部は、平行に形成されており、スライド溝Ｅ２２ｂは、溝壁面Ｅ２２ｂ１の上記直線部に相当する面が下側領域の中心線（中間位置Ｅ２２ａと、クランク部材Ｅ２２の下端辺における中点とを通過する直線）に平行に設定されている。スライド溝Ｅ２２ｂには、スライド部材Ｅ２６が移動自在に係合されている。スライド溝Ｅ２２ｂの溝幅（上記２つの直線部間の距離）は、スライド部材Ｅ２６の部材幅にほぼ一致されており、移動時において摺動するように設定されている。即ち、スライド部材Ｅ２６は、常時、スライド溝Ｅ２２ｂの溝壁面Ｅ２２ｂ１に当接状態にされている。また、スライド溝Ｅ２２ｂの上端部は、フロントスクリーン機構Ｅ１が待機姿勢又は露出姿勢である場合において、スライド部材Ｅ２６が上端面（上記曲線部に相当する面）に当接するように設定されている。一方、スライド溝Ｅ２２ｂの下端部は、スライド部材Ｅ２６の一部を露出可能に開放状態にされている。
【０８６８】
上記のスライド部材Ｅ２６は、クランクギアＥ２１の偏心位置Ｅ２１ｂ（図１８２参照）に回転自在に軸支されている。また、クランクギアＥ２１のギア軸Ｅ２１ａは、右側板Ｃ２の第１支持部Ｃ２３（図１６９参照）に支持されている。さらに、クランク部材Ｅ２２は、中間位置Ｅ２２ａ（図１８１参照）において、右可動体ベースＣ５に回動自在に軸支されている。そして、第２実施形態と同様に、クランクギアＥ２１のギア軸Ｅ２１ａは、フロントスクリーン機構Ｅ１が待機姿勢又は露出姿勢である場合において、ギア軸Ｅ２１ａと偏心位置Ｅ２１ｂとを結ぶ線分が、クランク部材Ｅ２２における中間位置Ｅ２２ａとスライド部材Ｅ２６の中心点とを結ぶ線分に対して直交する関係を有するように設定されている（図５８及び図６０参照）。
【０８６９】
これにより、フロントスクリーン機構Ｅ１が待機姿勢又は露出姿勢である場合においては、クランク部材Ｅ２２の下側領域を回動させる方向に力が働いても、この力の全成分の付与方向にギア軸Ｅ２１ａが存在し、固定端として作用するため、スライド部材Ｅ２６が移動することはない。この結果、クランク部材Ｅ２２の中間位置Ｅ２２ａとクランクギアＥ２１のギア軸Ｅ２１ａとを固定端とし、スライド部材Ｅ２６を自由端とする０自由度の三節リンクによるトラス構造が形成されるため、フロントスクリーン機構Ｅ１を手で押した場合でも、クランク部材Ｅ２２及びクランクギアＥ２１が強固なブレーキとして作用することによって、フロントスクリーン機構Ｅ１が動くことはない。
【０８７０】
上記のクランクギアＥ２１には、中間ギアＥ２３が噛合されている。中間ギアＥ２３には、モータ軸ギアＥ２４が噛合されている。モータ軸ギアＥ２４には、駆動モータＥ２５の駆動軸が接続されている。これにより、右フロントスクリーン駆動機構Ｅ２Ｂは、駆動モータＥ２５の回転駆動力をモータ軸ギアＥ２４及び中間ギアＥ２３を介してクランクギアＥ２１に伝達可能にされている。
【０８７１】
クランクギアＥ２１に回転駆動力が付与された場合は、偏心位置Ｅ２１ｂに設けられたスライド部材Ｅ２６がスライド溝Ｅ２２ｂとの摺動によりスライド溝Ｅ２２ｂに沿って移動自在にされているため、クランク部材Ｅ２２の中間位置Ｅ２２ａとクランクギアＥ２１のギア軸Ｅ２１ａとを固定端とし、スライド部材Ｅ２６を溝壁面に沿って移動自在の自由端にした１自由度の二節リンクが形成される。そして、スライド部材Ｅ２６が回動すると、スライド部材Ｅ２６が係合されたスライド溝Ｅ２２ｂを備えたクランク部材Ｅ２２が中間位置Ｅ２２ａを支点として回動し、クランク部材Ｅ２２の上側領域を回動させることになる。この結果、フロントスクリーン機構Ｅ１がフロント待機位置及びフロント露出位置間を移動することになる。
【０８７２】
図１８３に示すように、左フロントスクリーン駆動機構Ｅ２Ａは、モータ軸ギアＥ２４と駆動モータＥ２５とを除いて、右フロントスクリーン駆動機構Ｅ２Ｂと同一構成とされている。そして、左フロントスクリーン駆動機構Ｅ２Ａと右フロントスクリーン駆動機構Ｅ２Ｂとは、左右対称に配置されている。
【０８７３】
左フロントスクリーン駆動機構Ｅ２Ａの中間ギアＥ２３と右フロントスクリーン駆動機構Ｅ２Ｂの中間ギアＥ２３とは、シャフト部材Ｅ３を介して連結されている。
【０８７４】
詳細には、シャフト部材Ｅ３は、左右方向に延在しており、その両端部に、左フロントスクリーン駆動機構Ｅ２Ａ及び右フロントスクリーン駆動機構Ｅ２Ｂそれぞれの中間ギアＥ２３が連結されている。
【０８７５】
以上の構成において、駆動モータＥ２５が駆動されると、モータ軸ギアＥ２４が回動される。モータ軸ギアＥ２４の回動に伴い、左フロントスクリーン駆動機構Ｅ２Ａ及び右フロントスクリーン駆動機構Ｅ２Ｂそれぞれの中間ギアＥ２３・Ｅ２３、及びシャフト部材Ｅ３が一体となって回動する。そして、中間ギアＥ２３・Ｅ２３の回動に連動して、クランクギアＥ２１・Ｅ２１が回動されることで、フロントスクリーン機構Ｅ１が回動中心軸ＦＧ（図５３参照）を中心に回動して、フロント待機位置とフロント露出位置との間を移動することになる。
【０８７６】
＜フロントスクリーン機構Ｅ１とクランクギアＥ２１との位置関係＞
図１８４は、右フロントスクリーン駆動機構のクランクギアの右側面図である。図１８５は、右フロントスクリーン駆動機構の中間ギアの右側面図である。図１８６は、フロントスクリーン機構がフロント露出位置に配置されている場合における右フロントスクリーン駆動機構のクランクギア及び中間ギアの右側面図である。図１８７は、右側板の右側面図である。図１８８は、フロントスクリーン機構がフロント露出位置に配置されている場合におけるスクリーン装置の右側面図である。
【０８７７】
図１８４〜図１８８は、それぞれ、クランクギアＥ２１の回動軸の方向から見た図と一致する。クランクギアＥ２１の回動軸の方向と中間ギアＥ２３の回動軸の方向とは一致しており、当該方向は、クランクギアＥ２１、中間ギアＥ２３、右側板Ｃ２それぞれの面に対して垂直な方向となる。クランクギアＥ２１の面、中間ギアＥ２３の面、及び、右側板Ｃ２の面は、それぞれ、略平行に配置されている。
【０８７８】
図１８４に示すように、クランクギアＥ２１には、目印部Ｅ２１ｃ及び貫通孔Ｅ２１ｄが形成されている。目印部Ｅ２１ｃ及び貫通孔Ｅ２１ｄは、図１８４に示すクランクギアＥ２１の正面側から背面側にかけて貫通する孔として形成されている。目印部Ｅ２１ｃ及び貫通孔Ｅ２１ｄは、正面視における形状が、円形（又は、楕円形、四角形、六角形等）になるように形成されている。目印部Ｅ２１ｃ及び貫通孔Ｅ２１ｄは、クランクギアＥ２１と比較してかなり小さな大きさで形成されており、孔径は、例えば、１〜１０ｍｍ程度となっている。また、目印部Ｅ２１ｃ及び貫通孔Ｅ２１ｄは、クランクギアＥ２１の円周近傍に形成されており、クランクギアＥ２１の中心Ｏ２１から目印部Ｅ２１ｃまでの距離、及び、クランクギアＥ２１の中心Ｏ２１から貫通孔Ｅ２１ｄまでの距離は、クランクギアＥ２１の半径の７５％〜９０％程度となるように設定されている。目印部Ｅ２１ｃ及び貫通孔Ｅ２１ｄは、中心Ｏ２１と目印部Ｅ２１ｃとを結ぶ直線と、中心Ｏ２１と貫通孔Ｅ２１ｄとを結ぶ直線とのなす角度が、１６０°程度となるような位置関係で形成されている。
【０８７９】
図１８５に示すように、中間ギアＥ２３には、２つの目印部Ｅ２３ａが形成されている。目印部Ｅ２３ａは、図１８５に示す中間ギアＥ２３の正面側から背面側にかけて貫通する孔として形成されている。目印部Ｅ２３ａは、正面視における形状が、円形（又は、楕円形、四角形、六角形等）になるように形成されている。目印部Ｅ２３ａは、中間ギアＥ２３と比較してかなり小さな大きさで形成されており、孔径は、例えば、１〜１０ｍｍ程度となっている。また、目印部Ｅ２３ａは、中間ギアＥ２３の円周近傍に形成されており、中間ギアＥ２３の中心Ｏ２３から目印部Ｅ２３ａまでの距離は、中間ギアＥ２３の半径の７５％〜９０％程度となるように設定されている。２つの目印部Ｅ２３ａは、中間ギアＥ２３の中心Ｏ２３に対して対称な位置に形成されている。
【０８８０】
なお、目印部Ｅ２１ｃ及び目印部Ｅ２３ａは、目印として機能するものであれば、どのような特徴を有していてもよい。すなわち、目印部Ｅ２１ｃ及び目印部Ｅ２３ａは、貫通孔に限定されず、貫通しない穴（凹部）であってもよいし、突起（凸部）であってもよいし、凹部と凸部の組合せ（凹凸による模様）であってもよいし、ペン等で何らかの文字や記号の描かれた部分であってもよいし、周囲と異なる色が塗られた部分等であってもよい。
【０８８１】
図１８６に示すように、フロントスクリーン機構Ｅ１がフロント露出位置に配置されている場合には、クランクギアＥ２１の中心Ｏ２１と、中間ギアＥ２３の中心Ｏ２３と、クランクギアＥ２１に形成された目印部Ｅ２１ｃと、中間ギアＥ２３に形成された目印部Ｅ２３ａとが略一直線上に並ぶように、クランクギアＥ２１と中間ギアＥ２３とが配置される。
【０８８２】
図１８７に示すように、右側板Ｃ２には、第１支持部Ｃ２３と第２支持部Ｃ２４との中心付近に、目印用窓Ｃ１００が設けられている。目印用窓Ｃ１００は、右側板Ｃ２の内側を視認することが可能な開口として形成されている。
【０８８３】
目印用窓Ｃ１００は、若干縦長の長方形状に形成されており、該長方形の２つの対角線の交点（長方形の重心位置）は、第１支持部Ｃ２３と第２支持部Ｃ２４との中心（中間位置）に略重なっている。また、該対角線の長さは、クランクギアＥ２１の半径及び中間ギアＥ２３の半径の平均値と同程度か、それよりもやや短め（クランクギアＥ２１の半径及び中間ギアＥ２３の半径の平均値の８０〜１１０％程度）に設定されている。これにより、目印用窓Ｃ１００を介して、クランクギアＥ２１と中間ギアＥ２３との噛合部付近を視認することができるようになっている。
【０８８４】
また、右側板Ｃ２には、貫通孔Ｃ１０１が形成されている。貫通孔Ｃ１０１は、右側板Ｃ２を貫通する孔として形成されており、孔の大きさは、クランクギアＥ２１に形成された貫通孔Ｅ２１ｄと略同一で、目印用窓Ｃ１００と比較してかなり小さくなっている。例えば、目印用窓Ｃ１００の正面視における面積は、貫通孔Ｃ１０１の正面視における面積の３０〜３００倍程度（又は、５０〜２００倍程度）となっている。貫通孔Ｃ１０１の形状は、貫通孔Ｅ２１ｄと略同一であり、例えば、正面視略円形状となっている。貫通孔Ｃ１０１は、操作用開口部Ｃ２１の近傍に形成されている。
【０８８５】
フロントスクリーン機構Ｅ１がフロント露出位置に配置されている場合、クランクギアＥ２１に形成された目印部Ｅ２１ｃ及び中間ギアＥ２３に形成された目印部Ｅ２３ａ（図１８６参照）が、右側板Ｃ２に形成された目印用窓Ｃ１００を介して視認可能となっている（図１８８参照）。なお、図１８８において、クランクギアＥ２１の中心Ｏ２１及び中間ギアＥ２３の中心Ｏ２３は、直接視認することができない。しかし、ネジＣ２３ａ及びネジＣ２４ａがそれぞれ、クランクギアＥ２１の中心Ｏ２１及び中間ギアＥ２３の中心Ｏ２３に対応する位置に配置されているため、ネジＣ２３ａ及びネジＣ２４ａによって、クランクギアＥ２１の中心Ｏ２１及び中間ギアＥ２３の中心Ｏ２３の位置を確認することができるようになっている。これにより、クランクギアＥ２１の中心Ｏ２１と、中間ギアＥ２３の中心Ｏ２３と、クランクギアＥ２１に形成された目印部Ｅ２１ｃと、中間ギアＥ２３に形成された目印部Ｅ２３ａとが略一直線上に並んでいることを、把握することができる。
【０８８６】
また、図示しないが、右側板Ｃ２とクランクギアＥ２１とは、クランクギアＥ２１のギア軸Ｅ２１ａが右側板Ｃ２の第１支持部Ｃ２３に支持された状態で、略平行に配置されている。そして、フロントスクリーン機構Ｅ１がフロント露出位置に配置されている場合には、右側面視（又は左側面視）において、右側板Ｃ２に形成された貫通孔Ｃ１０１と、クランクギアＥ２１に形成された貫通孔Ｅ２１ｄとが、重なっている。すなわち、右側板Ｃ２に対して垂直な方向から見たとき、貫通孔Ｃ１０１の位置と貫通孔Ｅ２１ｄの位置とが略一致しており、それらの位置が重畳している。これにより、当該重畳箇所を介して、スクリーン筐体Ｃ１０の内部においてクランクギアＥ２１よりも内側に配置されている部材の一部が見える状態となっている。そして、後に説明するように、当該重畳箇所において、貫通孔Ｃ１０１と貫通孔Ｅ２１ｄとの双方に棒状の物体を挿通させることができるようになっている。
【０８８７】
＜フロントスクリーン機構Ｅ１とスライド部材Ｅ２６との位置関係＞
図１８９は、フロントスクリーン機構がフロント露出位置に配置されている場合における右フロントスクリーン駆動機構のクランクギアの左側面図である。図１８９は、クランクギアＥ２１の回動軸の方向から見た図と一致する。
【０８８８】
上述したように、クランクギアＥ２１のギア軸Ｅ２１ａは、第１支持部Ｃ２３に支持される。そのため、クランクギアＥ２１が回転しても、クランクギアＥ２１の中心Ｏ２１の位置は変化しない。
【０８８９】
一方で、クランクギアＥ２１には、スライド部材Ｅ２６が設けられている。上述したように、スライド部材Ｅ２６は、クランクギアＥ２１の偏心位置Ｅ２１ｂ（図１８２参照）に軸支されている。クランクギアＥ２１が回動すると、それに伴って、スライド部材Ｅ２６も回動する。具体的に、スライド部材Ｅ２６は、クランクギアＥ２１の回動に伴って、クランクギアＥ２１の中心Ｏ２１を中心とし、中心Ｏ２１と偏心位置Ｅ２１ｂとの距離ｒ（図１８９参照）を半径とする円の円周上を回動する。すなわち、クランクギアＥ２１が回動したときにスライド部材Ｅ２６の描く軌跡は、当該円周の一部（円弧）となる。
【０８９０】
そして、スライド部材Ｅ２６が当該円弧上を回動することにより、上述したように、スライド部材Ｅ２６がスライド溝Ｅ２２ｂの内部を摺動し、スライド部材Ｅ２６を介してクランク部材Ｅ２２に駆動力が伝達される。そのことと連動して、クランク部材Ｅ２２と連結されたフロントスクリーン機構Ｅ１がフロント露出位置とフロント待機位置との間で回動することとなる（図５７〜図６０参照）。
【０８９１】
このように、フロントスクリーン機構Ｅ１がフロント露出位置とフロント待機位置との間で回動する間、スライド部材Ｅ２６は、当該円弧上における位置を経時的に変化させながら移動する。その際、スライド部材Ｅ２６が当該円弧上のどの位置に存在するのか（偏心位置Ｅ２１ｂの当該円弧上における存在位置）は、偏心位置Ｅ２１ｂとクランクギアＥ２１の中心Ｏ２１とを結ぶ直線と、水平方向の直線（クランクギアＥ２１の回転にかかわらず位置が変化しない定点Ｘ２１と中心Ｏ２１とを結ぶ直線）とのなす角度（以下、この角度を∠ＥＯＸと表記する）によって表される（図１８９参照）。
【０８９２】
そして、このような角度∠ＥＯＸを用いて、フロントスクリーン機構Ｅ１がフロント露出位置に配置されている場合における∠ＥＯＸの値をαと表記し、フロントスクリーン機構Ｅ１がフロント待機位置に配置されている場合における∠ＥＯＸの値をβと表記する。そうすると、フロントスクリーン機構Ｅ１がフロント露出位置からフロント待機位置まで回動する場合には、∠ＥＯＸがαからβまで経時的に変化することとなる。
【０８９３】
以上で説明したように、本実施形態に係るフロントスクリーン機構Ｅ１及びフロントスクリーン駆動機構Ｅ２は、スライド部材Ｅ２６の位置を示す角度∠ＥＯＸがαからβまで経時的に変化するようにクランクギアＥ２１を回動させ、これにより、スライド部材Ｅ２６をスライド溝Ｅ２２ｂの内部を摺動させることを通じてフロントスクリーン機構Ｅ１に駆動力を伝達し、フロントスクリーン機構Ｅ１をフロント露出位置からフロント待機位置まで回動させるように設計されている。
【０８９４】
＜フロントスクリーン機構Ｅ１及びフロントスクリーン駆動機構Ｅ２の組み立て＞
図１９０は、クランクギアとクランク部材とを組み付ける前の状態におけるクランクギアを示す図である。図１９１は、クランクギアとクランク部材とを組み付ける前の状態におけるクランク部材を示す図である。なお、図１９０及び図１９１では、クランクギア及びクランク部材、並びに、それらの周囲に存在する一部の部材のみ示しており、その他の部材については、便宜上図示を省略している。
【０８９５】
以上で説明したような設計通りにフロントスクリーン機構Ｅ１を回動させるためには、フロントスクリーン機構Ｅ１及びフロントスクリーン駆動機構Ｅ２を組み立てる際に、下記（ｉ）〜（ｖ）の工程を経てクランクギアＥ２１とクランク部材Ｅ２２とを組み付ければよい。
【０８９６】
（ｉ）クランクギアＥ２１のギア軸Ｅ２１ａが右側板Ｃ２の第１支持部Ｃ２３に支持されるように、クランクギアＥ２１を右側板Ｃ２に取り付ける（図１９０参照）。
（ｉｉ）上記（ｉ）のクランクギアＥ２１を手動で回転させることにより、スライド部材Ｅ２６の位置を示す角度∠ＥＯＸを調整し、∠ＥＯＸ＝αとなるようにクランクギアＥ２１を配置する（図１９０参照）
（ｉｉｉ）∠ＥＯＸ＝αとなった状態で、クランクギアＥ２１がそれ以上回転しないように固定する。
（ｉｖ）クランク部材Ｅ２２の姿勢を、フロントスクリーン機構Ｅ１がフロント露出位置に配置されている場合における姿勢（露出姿勢）にする（図１９１参照）。
（ｖ）上記（ｉｉｉ）のクランクギアＥ２１に設けられたスライド部材Ｅ２６を、上記（ｉｖ）のクランク部材Ｅ２２に形成されたスライド溝Ｅ２２ｂに係合させる。
【０８９７】
上記（ｉ）〜（ｖ）のうち、上記（ｉ）、（ｉｖ）、及び、（ｖ）の工程は、従来公知の手段を適宜採用することにより行うことができる。以下では、上記（ｉｉ）及び（ｉｉｉ）の工程を中心に説明する。
【０８９８】
図１９２は、右側板にクランクギアを取り付けた状態を示す右側面図である。図１９３は、図１９２に示す右側板及びクランクギアに中間ギアを取り付けた状態を示す図である。
【０８９９】
上記（ｉｉ）の工程においては、まず、右側板Ｃ２に形成された目印用窓Ｃ１００を介して、クランクギアＥ２１に形成された目印部Ｅ２１ｃを視認しながら、上記（ｉ）のクランクギアＥ２１を手動で回転させる。そして、図１９２に示すように、クランクギアＥ２１に形成された目印部Ｅ２１ｃが、クランクギアＥ２１の中心Ｏ２１（右側板Ｃ２とクランクギアＥ２１のギア軸Ｅ２１ａとを締結するネジＣ２３ａ）と、第２支持部Ｃ２４として形成された孔の中心とを結ぶ直線上に配置されるように、クランクギアＥ２１の位置を調整する。
【０９００】
一方で、シャフト部材Ｅ３と予め固定された中間ギアＥ２３を、第２支持部Ｃ２４の位置に合わせて仮止めする。その際、目印用窓Ｃ１００を介して中間ギアＥ２３に形成された目印部Ｅ２３ａを視認しながら、中間ギアＥ２３を手動で回転させる。そして、図１９３に示すように、中間ギアＥ２３に形成された目印部Ｅ２３ａが、クランクギアＥ２１の中心Ｏ２１（右側板Ｃ２とクランクギアＥ２１のギア軸Ｅ２１ａとを締結するネジＣ２３ａ）と、中間ギアＥ２３の中心Ｏ２３（第２支持部Ｃ２４として形成された孔から見えるネジＣ２４ａ）とを結ぶ直線上に配置されるように、中間ギアＥ２３の位置を調整する。
【０９０１】
このように、クランクギアＥ２１に形成された目印部Ｅ２１ｃとともに、中間ギアＥ２３に形成された目印部Ｅ２３ａを目印として利用することにより、クランクギアＥ２１の位置調整を厳密に行うことができる。
【０９０２】
ここで、クランクギアＥ２１上のスライド部材Ｅ２６の位置（偏心位置Ｅ２１ｂ）は、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとが一直線上に並ぶ場合に、図１８９を用いて説明した角度∠ＥＯＸがαとなるように設計されている。
【０９０３】
従って、図１９２及び図１９３のようにして、クランクギアＥ２１の中心Ｏ２１と、中間ギアＥ２３の中心Ｏ２３と、クランクギアＥ２１に形成された目印部Ｅ２１ｃと、中間ギアＥ２３に形成された目印部Ｅ２３ａとが、一直線上に並ぶように、クランクギアＥ２１と中間ギアＥ２３とを配置することにより、∠ＥＯＸ＝αとすることができる。
【０９０４】
もっとも、このように∠ＥＯＸ（スライド部材Ｅ２６の位置）を調整したとしても、クランクギアＥ２１は、容易に回転してしまい、せっかく調整した位置がずれてしまいやすい状態にある。そこで、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとが一直線上に並んだ状態で、クランクギアＥ２１が動かないように固定する（上記（ｉｉｉ）の工程）。クランクギアＥ２１の固定は、以下のように行うことができる。
【０９０５】
図１８７を用いて説明したように、右側板Ｃ２には、貫通孔Ｃ１０１が形成されている。貫通孔Ｃ１０１の形成位置は、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとが一直線上に並ぶ場合（∠ＥＯＸ＝αとなるようにクランクギアＥ２１が配置されている場合）に、貫通孔Ｃ１０１とクランクギアＥ２１に形成された貫通孔Ｅ２１ｄとがちょうど重なるように、設計されている。
【０９０６】
上記（ｉｉｉ）の工程においては、このような貫通孔Ｃ１０１及び貫通孔Ｅ２１ｄの双方に、棒状の物体（例えば、太さが貫通孔Ｃ１０１及び貫通孔Ｅ２１ｄの大きさと略一致するような棒）を挿通させる。これにより、クランクギアＥ２１と右側板Ｃ２との相対的な位置が固定される。従って、仮に、クランクギアＥ２１を回転させる力が働いたとしても、当該棒状の物体の存在により、クランクギアＥ２１は、右側板Ｃ２に対して動くことができず、位置ずれを防止することができる。
【０９０７】
なお、クランクギアＥ２１の固定方法は、上記の方法に限定されず、例えば、右側板Ｃ２ではなく右可動体ベースＣ５等の他の部材（クランクギアＥ２１の回転に伴って動くことがなく、クランクギアＥ２１の動作にかかわらずその位置が変化しない部材）に貫通孔Ｃ１０１を形成し、上記と同様の方法により、クランクギアＥ２１を固定することとしてもよい。また、クランクギアＥ２１に形成された目印部Ｅ２１ｃ及び中間ギアＥ２３に形成された目印部Ｅ２３ａの双方に、コンセント型（Ｕ字状又はコの字状）の物体を挿通させることにより、クランクギアＥ２１を固定することとしてもよい。この場合には、右側板Ｃ２等の部材に貫通孔Ｃ１０１を形成しなくてもよい。
【０９０８】
また、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとを一直線上に並べることなく、右側板Ｃ２に形成された貫通孔Ｃ１０１とクランクギアＥ２１に形成された貫通孔Ｅ２１ｄとが重なるように、クランクギアＥ２１の位置を調整することとしてもよい。もっとも、上述したように、右側板Ｃ２に形成された貫通孔Ｃ１０１及びクランクギアＥ２１に形成された貫通孔Ｅ２１ｄは、かなり小さく、クランクギアＥ２１を闇雲に回転させても、両方の孔はなかなか重ならない可能性がある。また、これらの孔が重なっているか否かを目視で確認するのは困難である可能性もある。この点、本実施形態では、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとを一直線上に並べることにより、貫通孔Ｃ１０１と貫通孔Ｅ２１ｄとが自動的に重なり合うため、容易に位置合わせを行うことができる。
【０９０９】
以上では、右フロントスクリーン駆動機構Ｅ２ＢのクランクギアＥ２１の位置合わせについて説明したが、左フロントスクリーン駆動機構Ｅ２ＡのクランクギアＥ２１及び中間ギアＥ２３、並びに左側板Ｃ３も、それぞれ、右フロントスクリーン駆動機構Ｅ２ＢのクランクギアＥ２１及び中間ギアＥ２３、並びに右側板Ｃ２（図１８４〜図１８８参照）と同様の構成を有しており、左フロントスクリーン駆動機構Ｅ２ＡのクランクギアＥ２１の位置合わせも、上記（ｉｉ）及び（ｉｉｉ）と同様の工程を経ることにより、行うことができる。
【０９１０】
これにより、右フロントスクリーン駆動機構Ｅ２Ｂ及び左フロントスクリーン駆動機構Ｅ２Ａの双方において、∠ＥＯＸ＝αの状態で固定されたクランクギアＥ２１（上記（ｉｉ）及び（ｉｉｉ））に設けられたスライド部材Ｅ２６を、露出姿勢のクランク部材Ｅ２２（上記（ｉｖ））に形成されたスライド溝Ｅ２２ｂに係合させることができる（上記（ｖ））。その結果、スライド部材Ｅ２６は、スライド溝Ｅ２２ｂの上端面に当接することとなる（図６０参照）。
【０９１１】
この状態を初期状態として、∠ＥＯＸがαからβまで変化するようにフロントスクリーン駆動機構Ｅ２を作動させることにより、スライド部材Ｅ２６がスライド溝Ｅ２２ｂの内部を設計通りに摺動することを実現することが可能となり、クランク部材Ｅ２２と連結されたフロントスクリーン機構Ｅ１をフロント露出位置からフロント待機位置まで適切に回動させることができる。
【０９１２】
以上で説明した工程を経ることにより、フロントスクリーン機構Ｅ１がフロント露出位置に配置されている場合における状態（露出姿勢）にて、フロントスクリーン機構Ｅ１及びフロントスクリーン駆動機構Ｅ２を組み立てることができる。
【０９１３】
そして、フロントスクリーン機構Ｅ１及びフロントスクリーン駆動機構Ｅ２を他の機構と連結することにより、表示ユニットＡの完成品を得ることができる。このようにして得られた表示ユニットＡにおいては、フロントスクリーン機構Ｅ１及びフロントスクリーン駆動機構Ｅ２の状態が露出姿勢となっており、表示ユニットＡは、その状態で輸送されることになる。
【０９１４】
ここで、上述したように、フロントスクリーン機構Ｅ１がフロント露出位置に配置されている場合、クランクギアＥ２１の回転中心位置（ギア軸Ｅ２１ａ、中心Ｏ２１）と偏心位置Ｅ２１ｂとを結ぶ直線と、クランク部材Ｅ２２の回転中心位置（中間位置Ｅ２２ａ）とクランクギアＥ２１の偏心位置Ｅ２１ｂとを結ぶ直線とが、直交する（図６０、並びに、第２実施形態に係る遊技機１の特徴（２−１）及び（２−２）参照）。
【０９１５】
これにより、輸送時の揺れ等によりスライド部材Ｅ２６に対して力が加わったとしても、当該力は、クランクギアＥ２１を回動させる力に変換されず、クランク部材Ｅ２２及びクランクギアＥ２１が強固なブレーキとして作用するため、フロントスクリーン機構Ｅ１が動くことはない。その結果、輸送時にフロントスクリーン機構Ｅ１が動くことが原因で表示ユニットＡが破損してしまうことを防止することができる。
【０９１６】
もっとも、フロントスクリーン機構Ｅ１及びフロントスクリーン駆動機構Ｅ２を組み立てる際には、フロントスクリーン機構Ｅ１がフロント露出位置に配置されている場合における状態（露出姿勢）ではなく、フロントスクリーン機構Ｅ１がフロント待機位置に配置されている場合における状態（待機姿勢）にて、クランクギアＥ２１とクランク部材Ｅ２２とを組み付けることとしてもよい。
【０９１７】
この場合には、図１８９を用いて説明した角度∠ＥＯＸがβとなるようにクランクギアＥ２１が配置されているときに、クランクギアＥ２１の中心Ｏ２１と中間ギアＥ２３の中心Ｏ２３とクランクギアＥ２１に形成された目印部Ｅ２１ｃと中間ギアＥ２３に形成された目印部Ｅ２３ａとが一直線上に並ぶように、クランクギアＥ２１において目印部Ｅ２１ｃを形成する位置を変更すればよい。また、∠ＥＯＸがβとなるようにクランクギアＥ２１が配置されているときに、右側板Ｃ２に形成された貫通孔Ｃ１０１とクランクギアＥ２１に形成された貫通孔Ｅ２１ｄとが重なるように、クランクギアＥ２１において貫通孔Ｅ２１ｄを形成する位置を変更すればよい。
【０９１８】
このように、目印部Ｅ２１ｃ及び貫通孔Ｅ２１ｄの形成位置を適宜変更することにより、露出姿勢及び待機姿勢を含む任意の姿勢にて、フロントスクリーン機構Ｅ１及びフロントスクリーン駆動機構Ｅ２を組み立てることができる。
【０９１９】
＜リールスクリーン機構Ｆ１＞
図１９４は、リール待機位置に配置されている場合におけるリールスクリーン機構の斜視図である。図１９５は、リール露出位置に配置されている場合におけるリールスクリーン機構の斜視図である。
【０９２０】
図１９４及び図１９５に示すように、リールスクリーン機構Ｆ１は、回動方向に近似した形状に湾曲された側面視円弧状の形状をなしている（図５２参照）。リールスクリーン機構Ｆ１の表面は、周縁部に模様が形成されていると共に、周縁部の内周領域が投影面Ｆ１ａとされている。投影面Ｆ１ａは、リールスクリーン機構Ｆ１がリール露出位置（図５３参照）に配置されたときに、プロジェクタ機構Ｂ２からの光の照射方向上流側に凸となる円弧面である。また、リールスクリーン機構Ｆ１における回動中心側である裏面には模様が形成されている。この裏面の模様は、リールスクリーン機構Ｆ１がリール待機位置（図５３参照）に位置されたときに、前方の遊技者から目視可能にされている。
【０９２１】
＜リールスクリーン駆動機構Ｆ２＞
リールスクリーン機構Ｆ１は、リールスクリーン駆動機構Ｆ２の駆動力により、リール待機位置とリール露出位置との間で回動可能にされている。そして、リールスクリーン機構Ｆ１がリール露出位置に位置されたときに、その投影面Ｆ１ａは、照射光の照射により映像を出現することが可能になっている。
【０９２２】
図１９６は、リールスクリーン機構、リールスクリーン駆動機構、及び、可動体ベースの斜視図である。図１９７は、リールスクリーン機構及びリールスクリーン駆動機構の斜視図である。
【０９２３】
図１９６及び図１９７に示すように、リールスクリーン駆動機構Ｆ２は、２つのアーム部材Ｆ２１・Ｆ２１、円弧状ギアＦ２２、モータ軸ギアＦ２３、及び駆動モータＦ２４を有している。２つのアーム部材Ｆ２１・Ｆ２１は、その一端部がリールスクリーン機構Ｆ１の右端部背面及び左端部背面それぞれに連結されている。また、２つのアーム部材Ｆ２１・Ｆ２１の他端部の外側面には、左右方向外側に向けて突出する支持軸Ｆ２１ａ・Ｆ２１ａが形成されている。支持軸Ｆ２１ａ・Ｆ２１ａは、右可動体ベースＣ５及び左可動体ベースＣ６にそれぞれ回動自在に支持されている。これにより、２つのアーム部材Ｆ２１は、支持軸Ｆ２１ａ・Ｆ２１ａを回動中心として回動可能となる。なお、これら支持軸Ｆ２１ａ・Ｆ２１ａは、リールスクリーン機構Ｆ１の回動中心軸ＲＧ（図５３参照）と一致する。
【０９２４】
円弧状ギアＦ２２は、支持軸Ｆ２１ａの先端部に固定されている。円弧状ギアＦ２２には、モータ軸ギアＦ２３が噛合されている。モータ軸ギアＦ２３は、駆動モータＦ２４の駆動軸が接続されている。
【０９２５】
＜リール待機姿勢のアーム部材Ｆ２１と可動体ベースＣ５・Ｃ６との位置関係＞
図１９８は、リールスクリーン機構がリール待機位置に配置されている場合におけるアーム部材及び可動体ベースを示す斜視図である。
【０９２６】
リールスクリーン機構Ｆ１がリール待機位置に配置されている場合、リールスクリーン機構Ｆ１に連結されたアーム部材Ｆ２１と可動体ベースＣ５・Ｃ６とが、略当接した状態となる。図１９８では、この状態を示している。
【０９２７】
以下では、アーム部材Ｆ２１の構造と可動体ベースＣ５・Ｃ６の構造を参照しながら、アーム部材Ｆ２１と可動体ベースＣ５・Ｃ６との配置関係について詳しく説明する。なお、左可動体ベースＣ６は、右可動体ベースＣ５と同様の構造を有しているため、左可動体ベースＣ６の説明は省略する。
【０９２８】
図１９９は、リールスクリーン機構及びアーム部材の右側面図である。図２００は、リールスクリーン機構及びアーム部材の底面図である。図２０１は、リールスクリーン機構及びアーム部材を下方から見た斜視図である。
【０９２９】
図１９９に示すように、アーム部材Ｆ２１は、側面視扇形の形状を有している。該扇形の円弧に対応する部分にリールスクリーン機構Ｆ１が連結されている。また、該扇形を構成する２つの辺のうち一方の辺（下側の辺）は、辺の中央よりも若干リールスクリーン機構Ｆ１に近い箇所が膨らんだ形状を有している。
【０９３０】
図２００に示すように、図１９９における扇形の下側の辺から内側（支持軸Ｆ２１ａの形成されている側とは反対側、すなわち、左側）に向かって、アーム部材Ｆ２１の下端を構成する下端部Ｆ２００が形成されている。下端部Ｆ２００は、底面視長方形の形状を有している。該長方形を構成する４つの辺のうち外側（右側）の長辺が、図１９９における扇形の下側の辺と一致する。
【０９３１】
図２０１に示すように、下端部Ｆ２００は、平面状の下端面Ｆ２００ａと、下端部Ｆ２００の外縁の一部において下方に突出して形成された突起Ｆ２００ｂと、を有している。
【０９３２】
突起Ｆ２００ｂは、側面視三角形の形状を有しており（図１９９参照）、該三角形の頂点部分が若干丸みを帯びたカーブ状に形成されている（図２０１参照）。
【０９３３】
図２０２は、右可動体ベースの斜視図である。図２０３は、図１９８に示すアーム部材及び可動体ベースの位置を上下方向に僅かにずらした状態を示す図である。図２０４は、可動体ベースにおける基準面近傍の上面図である。図２０５は、図２０４に示す可動体ベースの矢視Ｆ−Ｆに沿う断面図である。図２０６は、緩衝部材設置部を右側から見た図である。図２０７は、図２０６に示す緩衝部材設置部に緩衝部材を設置した状態を示す図である。図２０８は、図２０４に示す可動体ベースの矢視Ｇ−Ｇに沿う断面においてアーム部材と緩衝部材とが当接している状態を示す図である。
【０９３４】
図２０２に示すように、右可動体ベースＣ５は、上側壁部Ｃ８１と下側壁部Ｃ９１とを備える。上側壁部Ｃ８１には、第３支持部Ｃ５１及び第４支持部Ｃ６１が形成されている。下側壁部Ｃ９１には、第５支持部Ｃ７１が形成されている。第３支持部Ｃ５１は、フロントスクリーン機構Ｅ１に連結されたクランク部材Ｅ２２を回動自在に支持する。第４支持部Ｃ６１は、リールスクリーン機構Ｆ１に連結されたアーム部材Ｆ２１の支持軸Ｆ２１ａを回動自在に支持する。第５支持部Ｃ７１は、フロントスクリーン駆動機構Ｅ２の中間ギアＥ２３のギア軸となるシャフト部材Ｅ３を回転自在に支持する。
【０９３５】
上側壁部Ｃ８１と下側壁部Ｃ９１とは、平面状に形成された面を有している。上側壁部Ｃ８１に形成された面と、下側壁部Ｃ９１に形成された面とは、正面視において左右方向に位置ずれするように形成されている。
【０９３６】
また、右可動体ベースＣ５は、略水平に形成された基準面Ｃ２００を有している。基準面Ｃ２００の右端は、上側壁部Ｃ８１に形成された面の下端と連続し、基準面Ｃ２００の左端は、下側壁部Ｃ９１に形成された面の上端と連続している。
【０９３７】
また、右可動体ベースＣ５は、緩衝部材設置部Ｃ２０１を有している。緩衝部材設置部Ｃ２０１は、基準面Ｃ２００と連続して形成されており、基準面Ｃ２００に対して凹んだ形状を有している。
【０９３８】
リールスクリーン機構Ｆ１がリール待機位置に配置される場合（図１９８参照）、アーム部材Ｆ２１の下端面Ｆ２００ａと基準面Ｃ２００とが略当接し、アーム部材Ｆ２１の突起Ｆ２００ｂが緩衝部材設置部Ｃ２０１として形成された凹部に収納されることになる（図２０３参照）。
【０９３９】
図２０４に示すように、右可動体ベースＣ５の基準面Ｃ２００及び緩衝部材設置部Ｃ２０１は、上面視長方形の形状を構成している。基準面Ｃ２００は、緩衝部材設置部Ｃ２０１の後端部近傍から後方にかけて形成された水平面Ｃ２００ａと、水平面２００ａの前方に形成された粗面Ｃ２００ｂと、を有している。粗面Ｃ２００ｂは、水平面２００ａと比較して若干の凹凸を有する粗い面となっている。
【０９４０】
また、図２０４における長方形（右可動体ベースＣ５の基準面Ｃ２００）の短辺（左右方向の長さ）は、図２００における長方形（アーム部材Ｆ２１の下端部Ｆ２００）の短辺（左右方向の長さ）よりも、長くなっている。これにより、アーム部材Ｆ２１と右可動体ベースＣ５とが略当接した状態となったとき（図１９８参照）、基準面Ｃ２００の左側部分が下端面Ｆ２００ａによって覆われず、露出することになる。
【０９４１】
図２０６では、図２０５に示す上側壁部Ｃ８１の裏面を示している。すなわち、図２０６は、基準面Ｃ２００の形成されている側とは反対側（右側）から上側壁部Ｃ８１を見たときの様子を、緩衝部材設置部Ｃ２０１を中心に示した図である。
【０９４２】
図２０６に示すように、上側壁部Ｃ８１の裏面には、開口が形成されている。緩衝部材設置部Ｃ２０１は、基準面Ｃ２００に対する凹みと当該開口とが連通することにより形成されており、上面と右面とが開放した箱形形状を有している。なお、下側壁部Ｃ９１にも、開口Ｃ９２（図２０２参照）が形成されているが、当該開口は、緩衝部材設置部Ｃ２０１と連通していない。
【０９４３】
緩衝部材設置部Ｃ２０１は、箱の底面を構成する底面部Ｃ２０１ａと、底面部Ｃ２０１ａの前端から鉛直方向上側に向けて連続して形成された前端部Ｃ２０１ｂと、前端部２０１ｂの左端から後方に向けて連続して形成された側壁部Ｃ２０１ｃと、側壁部Ｃ２０１ｃと連続し箱の後端を構成する後端部Ｃ２０１ｄと、によって構成される。後端部Ｃ２０１ｄは、底面部Ｃ２０１ａの後端から鉛直方向上側に向けて連続して形成された前方部分と、最後方において傾斜を有して形成された後方部分と、前方部分と後方部分とをカーブ状に接続する接続部分と、を有している。
【０９４４】
図２０７に示すように、緩衝部材設置部Ｃ２０１の底面部Ｃ２０１ａには、直方体形状の緩衝部材Ｃ２０２が載置されている。緩衝部材Ｃ２０２は、衝撃吸収力や防振性能を備えたシリコーンを主原料とするゲル状素材（シリコーンゲル）により構成されている。シリコーンゲルとしては、例えば、タイカ社のαゲル（登録商標）を用いることができる。緩衝部材Ｃ２０２の材料としては、特に限定されず、シリコーンゲルの他、シリコーングリース、シリコーンゴム、シリコーン樹脂等の可撓性を有する有機ケイ素化合物や、フッ素樹脂等の可撓性を有する有機フッ素化合物を適宜採用することができる。
【０９４５】
図２０８では、リールスクリーン機構Ｆ１がリール待機位置に配置されている場合（図１９８の状態）における緩衝部材設置部Ｃ２０１の様子を示している。図２０８に示すように、アーム部材Ｆ２１の突起Ｆ２００ｂは、緩衝部材設置部Ｃ２０１として形成された凹部に収納されている。そして、突起Ｆ２００ｂの先端が緩衝部材Ｃ２０２の表面に当接している。図には表れていないが、緩衝部材Ｃ２０２の表面は、突起Ｆ２００ｂの先端によって押圧され、窪んだ形状となっている。
【０９４６】
アーム部材Ｆ２１の下端面Ｆ２００ａは、右可動体ベースＣ５の基準面Ｃ２００（水平面Ｃ２００ａ及び粗面Ｃ２００ｂ）と略当接している。しかし、下端面Ｆ２００ａと水平面Ｃ２００ａとの間、及び、下端面Ｆ２００ａと粗面Ｃ２００ｂとの間には、それぞれ、僅かな隙間が存在しており、下端面Ｆ２００ａと基準面Ｃ２００とは、厳密には当接していない。アーム部材Ｆ２１は、緩衝部材Ｃ２０２を介して右可動体ベースＣ５に支持された状態となっている。
【０９４７】
以上より、リールスクリーン機構Ｆ１がリール露出位置から回動を開始して、リール待機位置に到達する際には、アーム部材Ｆ２１の突起Ｆ２００ｂが緩衝部材Ｃ２０２の表面に接触する。これにより、接触に伴う衝撃を緩衝部材Ｃ２０２によって吸収しながら、アーム部材Ｆ２１の回動を滑らかに停止させることができる。その結果、アーム部材Ｆ２１と可動体ベースＣ５とが大きな衝撃を伴って直接接触することがなく、アーム部材Ｆ２１や可動体ベースＣ５、リールスクリーン機構Ｆ１等が衝撃により損傷してしまうことを防止することができる。
【０９４８】
＜フロント露出姿勢のフロントスクリーン機構Ｅ１と底板Ｃ１との位置関係＞
図２０９は、フロントスクリーン機構がフロント露出位置に配置されている場合におけるフロントスクリーン機構及び底板を示す斜視図である。
【０９４９】
フロントスクリーン機構Ｅ１がフロント露出位置に配置されている場合、フロントスクリーン機構Ｅ１の構成要素であるフロントスクリーン支持台Ｅ１２（図１７１参照）とスクリーン筐体Ｃ１０の底板Ｃ１（図１６８及び図１６９参照）とが、略当接した状態となる。図２０９では、この状態を示している。
【０９５０】
以下では、フロントスクリーン支持台Ｅ１２の構造と底板Ｃ１の構造を参照しながら、フロントスクリーン支持台Ｅ１２と底板Ｃ１との配置関係について詳しく説明する。
【０９５１】
図２１０は、フロントスクリーン支持台の斜視図である。図２１１は、図２１０に示すフロントスクリーン支持台に形成された突起の部分拡大図である。
【０９５２】
図１７１を用いて説明したように、フロントスクリーン支持台Ｅ１２は、正面視長方形の形状を有している。図２１０に示すように、該長方形を構成する４つの辺のうち下側の長辺に沿って、フロントスクリーン支持台Ｅ１２の下端を構成する下端部Ｅ３００が形成されている。
【０９５３】
下端部Ｅ３００は、平面状の下端面Ｅ３００ａと、長手方向における両端近傍において下方に突出して形成された突起Ｅ３００ｂと、を有している。
【０９５４】
図２１１に示すように、突起Ｅ３００ｂは、側面視三角形の形状を有している。該三角形を構成する３つの辺は、下端面Ｅ３００ａと同一平面上の辺（前後方向の辺Ａ）と、フロントスクリーン支持台Ｅ１２の背面と連続する辺（上下方向の辺Ｂ）とこれらの辺を結ぶ斜め方向の辺とによって構成される。斜め方向の辺に対応する部分は、段階的な傾斜を経て形成されており、上下方向の辺Ｂとの接続部分は、丸みを帯びたカーブ状に形成されている。
【０９５５】
図２１２は、底板の斜視図である。図２１３は、図２０９に示すフロントスクリーン機構及び底板の位置を上下方向に僅かにずらした状態を示す図である。図２１４は、底板を斜め下方から見た図である。図２１５は、底板の上面図である。図２１６は、図２１５に示す底板の矢視Ｈ−Ｈに沿う断面における緩衝部材設置部の部分拡大図である。図２１７は、図２１４に示す底板に形成された緩衝部材設置部に緩衝部材用カバーを取り付けた状態を示す図である。図２１８は、緩衝部材用カバーの斜視図である。図２１９は、図２１８に示す緩衝部材用カバーに緩衝部材を載置した状態を示す図である。図２２０は、図２１５に示す底板の矢視Ｈ−Ｈに沿う断面においてフロントスクリーン支持台と緩衝部材とが当接している状態を示す図である。図２２１は、図２１５に示す底板の矢視Ｉ−Ｉに沿う断面において緩衝部材及び緩衝部材用カバーが設置されている状態を示す図である。
【０９５６】
図２１２に示すように、底板Ｃ１には、台形形状の中央載置部Ｃ１１の前側の２つの頂点部分のやや前方に緩衝部材設置部Ｃ３００が２つ形成されている。緩衝部材設置部Ｃ３００は、周囲の基準面Ｃ３０１に対して凹んだ形状を有している。
【０９５７】
フロントスクリーン機構Ｅ１がフロント露出位置に配置される場合（図２０９参照）、フロントスクリーン支持台Ｅ１２の下端面Ｅ３００ａと基準面Ｃ３０１とが略当接し、フロントスクリーン支持台Ｅ１２の突起Ｅ３００ｂが緩衝部材設置部Ｃ３００として形成された凹部に収納されることになる（図２１３参照）。
【０９５８】
なお、２つの突起Ｅ３００ｂの左右方向の距離は、２つの緩衝部材設置部Ｃ３００の左右方向の距離と略同一になるように設定されており、右側の突起Ｅ３００ｂは、右側の緩衝部材設置部Ｃ３００に収納され、左側の突起Ｅ３００ｂは、左側の緩衝部材設置部Ｃ３００に収納される。
【０９５９】
図２１４に示すように、緩衝部材設置部Ｃ３００として形成された凹部は、底板Ｃ１の表面に形成された開口が底板Ｃ１の裏面まで貫通することにより形成されている。分かりやすくするため、図２１４では、底板Ｃ１の表面に形成された開口を斜線で示している。
【０９６０】
図２１６に示すように、緩衝部材設置部Ｃ３００は、底板Ｃ１の表面に形成された開口の前端及び後端からそれぞれ鉛直方向下側に向けて形成された前壁部Ｃ３００ａ及び後壁部Ｃ３００ｂと、前壁部Ｃ３００ａの下端から水平方向後側に向けて連続して形成された緩衝部材用カバー載置部Ｃ３００ｃと、後壁部Ｃ３００ｂの下端から水平方向前側に向けて連続して形成された緩衝部材用カバー載置部Ｃ３００ｄと、を備えている。緩衝部材用カバー載置部Ｃ３００ｃと、緩衝部材用カバー載置部Ｃ３００ｄとは、連続しておらず、分断された形状を有している。
【０９６１】
緩衝部材用カバー載置部Ｃ３００ｃ及び緩衝部材用カバー載置部Ｃ３００ｄには、図２１８に示す緩衝部材用カバーＣ３１０の下面の一部が当接する。緩衝部材用カバーＣ３１０には、ネジ穴Ｃ３１２が設けられており、底板Ｃ１のネジ挿通孔Ｃ３０２（図２１２参照）を通したネジをネジ穴Ｃ３１２にねじ込むことにより、緩衝部材用カバーＣ３１０を底板Ｃ１に取り付けることができる（図２１７参照）。
【０９６２】
緩衝部材用カバーＣ３１０の緩衝部材載置面Ｃ３１１（図２１８参照）には、図２１９に示すように、直方体形状の緩衝部材Ｃ３２０が載置される。緩衝部材Ｃ３２０は、衝撃吸収力や防振性能を備えたシリコーンを主原料とするゲル状素材（シリコーンゲル）により構成されている。緩衝部材Ｃ３２０の材料としては、上述した緩衝部材Ｃ２０２（図２０７参照）と同じものを用いることができる。
【０９６３】
図２２０では、フロントスクリーン機構Ｅ１がフロント露出位置に配置されている場合（図２０９の状態）における緩衝部材設置部Ｃ３００の様子を示している。図２２０に示すように、フロントスクリーン支持台Ｅ１２の突起Ｅ３００ｂは、緩衝部材設置部Ｃ３００として形成された凹部に収納されている。そして、突起Ｅ３００ｂの先端が緩衝部材Ｃ３２０の表面に当接している。図には表れていないが、緩衝部材Ｃ３２０の表面は、突起Ｅ３００ｂの先端によって押圧され、窪んだ形状となっている。
【０９６４】
図示していないが、フロントスクリーン支持台Ｅ１２の下端面Ｅ３００ａは、底板Ｃ１の基準面Ｃ３０１と略当接している。しかし、下端面Ｅ３００ａと基準面Ｃ３０１との間には、僅かな隙間が存在しており、下端面Ｅ３００ａと基準面Ｃ３０１とは、厳密には当接していない。フロントスクリーン機構Ｅ１は、緩衝部材Ｃ３２０を介して底板Ｃ１に支持された状態となっている。
【０９６５】
以上より、フロントスクリーン機構Ｅ１がフロント待機位置から回動を開始して、フロント露出位置に到達する際には、フロントスクリーン支持台Ｅ１２の突起Ｅ３００ｂが緩衝部材Ｃ３２０の表面に接触する。これにより、接触に伴う衝撃を緩衝部材Ｃ３２０によって吸収しながら、フロントスクリーン機構Ｅ１の回動を滑らかに停止させることができる。その結果、フロントスクリーン支持台Ｅ１２と底板Ｃ１とが大きな衝撃を伴って直接接触することがなく、フロントスクリーン機構Ｅ１や底板Ｃ１等が衝撃により損傷してしまうことを防止することができる。
【０９６６】
なお、図２２１に示すように、底板Ｃ１の表面に形成された開口の左右方向の長さは、緩衝部材Ｃ３２０の左右方向の長さよりも、短くなっている。すなわち、緩衝部材Ｃ３２０の大きさと比較して底板Ｃ１の表面に形成された開口が小さくなっている。仮に、底板Ｃ１の表面に大きな開口を形成してしまうと、開口の内部（緩衝部材設置部）に設けられた緩衝部材やそこに収納された突起が、遊技者に視認されてしまう可能性がある。本実施形態では、底板Ｃ１の表面に形成された開口よりも大きな空洞部分に緩衝部材を設けることにより、そのような事態が発生してしまうことを防止し、遊技機の美観を維持している。
【０９６７】
以上で説明したように、フロントスクリーン機構Ｅ１がフロント露出位置に配置されている場合、フロントスクリーン支持台Ｅ１２の下端面Ｅ３００ａが底板Ｃ１の基準面Ｃ３０１と略当接し、フロントスクリーン機構Ｅ１は、緩衝部材Ｃ３２０を介して底板Ｃ１に支持される。
【０９６８】
一方、図示しないが、リールスクリーン機構Ｆ１がリール露出位置に配置されている場合、リールスクリーン機構Ｆ１は、底板Ｃ１の基準面Ｃ３０１から離間した状態となる。そのため、リールスクリーン機構Ｆ１がリール待機位置からリール露出位置まで回動する際には、リールスクリーン機構Ｆ１が底板Ｃ１と接触することがないため、接触に伴う衝撃を吸収する必要性が発生しない。従って、リールスクリーン機構Ｆ１の下端部には突起が形成されていないし、突起が当接する緩衝部材も設けられていない。
【０９６９】
＜フロントスクリーン機構Ｅ１及びリールスクリーン機構Ｆ１の回動規制＞
上述したように、フロントスクリーン機構Ｅ１がフロント露出位置に配置されている場合には、フロントスクリーン機構Ｅ１が固定スクリーン機構Ｄを前方から覆い隠した状態となり、フロントスクリーン機構Ｅ１に映像が表示される（図５１参照）。この場合、リールスクリーン機構Ｆ１はリール待機位置に配置される。一方、リールスクリーン機構Ｆ１がリール露出位置に配置されている場合には、リールスクリーン機構Ｆ１が固定スクリーン機構Ｄを前方から覆い隠した状態となり、リールスクリーン機構Ｆ１に映像が表示される（図５２参照）。この場合、フロントスクリーン機構Ｅ１はフロント待機位置に配置される。
【０９７０】
図５３を用いて説明したように、フロント露出位置は、リールスクリーン機構Ｆ１の動作範囲内に存在する。従って、フロントスクリーン機構Ｅ１がフロント露出位置に配置されている場合に、リールスクリーン機構Ｆ１をリール待機位置からリール露出位置に動かそうとすると、フロントスクリーン機構Ｅ１とリールスクリーン機構Ｆ１とが接触することになる。また、リール露出位置は、フロントスクリーン機構Ｅ１の動作範囲内に存在する。従って、リールスクリーン機構Ｆ１がリール露出位置に配置されている場合に、フロントスクリーン機構Ｅ１をフロント待機位置からフロント露出位置に動かそうとすると、フロントスクリーン機構Ｅ１とリールスクリーン機構Ｆ１とが接触することになる。
【０９７１】
そこで、本実施形態では、第３実施形態と同様に、副制御回路１０７０にセンサ機構ＣＳ（センサＣＳ１〜ＣＳ３）が接続されており（図１４７参照）、サブＣＰＵ１０７１は、センサＣＳ１〜ＣＳ３から出力される信号に基づいて、フロントスクリーン機構Ｅ１及びリールスクリーン機構Ｆ１の位置を適切に管理している。
【０９７２】
そして、サブＣＰＵ１０７１は、リールスクリーン機構Ｆ１がリール待機位置に存在することを条件として、フロントスクリーン機構Ｅ１の回動動作を実行し、フロントスクリーン機構Ｅ１がフロント待機位置に存在することを条件として、リールスクリーン機構Ｆ１の回動動作を実行する。これにより、スクリーン機構同士が干渉してしまうことを防止しようとしている。
【０９７３】
もっとも、外部からの振動や衝撃等に起因して、リールスクリーン機構Ｆ１をリール待機位置からリール露出位置に向けて動かす力や、フロントスクリーン機構Ｅ１をフロント待機位置からフロント露出位置に向けて動かす力が加わることもあると考えられる。
【０９７４】
また、図５３に示すように、フロントスクリーン機構Ｅ１がフロント待機位置に配置されている場合、フロントスクリーン機構Ｅ１の重心は、フロントスクリーン機構Ｅ１の回動中心軸ＦＧよりも上方にある。さらに、フロントスクリーン機構Ｅ１がフロント待機位置に配置されている場合、フロントスクリーン機構Ｅ１とクランク部材Ｅ２２との連結部分は、フロントスクリーン機構Ｅ１の後方に配置されており、フロントスクリーン機構Ｅ１の重心は、フロントスクリーン機構Ｅ１の回動中心軸ＦＧよりも前方に存在する。従って、フロントスクリーン機構Ｅ１の重心に作用する重力は、フロントスクリーン機構Ｅ１をフロント待機位置からフロント露出位置に向けて動かす方向に働くことになる。
【０９７５】
そこで、本実施形態では、以下で説明するように、フロントスクリーン駆動機構Ｅ２の構成要素であるクランク部材Ｅ２２（図１８３参照）及びリールスクリーン駆動機構Ｆ２の構成要素である円弧状ギアＦ２２（図１９７参照）の構造に特徴を持たせている。これにより、フロントスクリーン機構Ｅ１がフロント露出位置に配置されている場合に、リールスクリーン機構Ｆ１がリール待機位置からリール露出位置に動くことを規制するとともに、リールスクリーン機構Ｆ１がリール露出位置に配置されている場合に、フロントスクリーン機構Ｅ１がフロント待機位置からフロント露出位置に動くことを規制している。
【０９７６】
図２２２は、図１９７に示す円弧状ギアの右側面図である。図２２３は、図２２２に示す円弧状ギアの斜視図である。なお、図２２２は、円弧状ギアＦ２２の回動軸の方向から見た図と一致し、当該方向は、円弧状ギアＦ２２の面に対して垂直な方向と一致する。
【０９７７】
図２２２及び図２２３に示すように、円弧状ギアＦ２２には、リール側被規制部Ｆ４００が形成されている。リール側被規制部Ｆ４００は、円弧状ギアＦ２２の中心Ｏ２２からずれたリール側被規制位置（図２２２において点Ｆ４００ａで示す位置）に形成されている。図では、円弧状ギアＦ２２の中心Ｏ２２からリール側被規制位置Ｆ４００ａまでの距離をＲ１で表している。
【０９７８】
図２２３に示すように、リール側被規制部Ｆ４００は、リール側被規制位置Ｆ４００ａから、円弧状ギアＦ２２の面に対して垂直な方向に突出するように設けられている。リール側被規制部Ｆ４００は、側面視における形状が、円形（又は、楕円形、四角形、六角形等）になるように形成されている。側面視における大きさ（径）は、円弧状ギアＦ２２の面に対して突出している部分の長さ（円弧状ギアＦ２２の面からリール側被規制部Ｆ４００の先端までの距離）よりも短くなっている。
【０９７９】
また、円弧状ギアＦ２２には、リール側規制部Ｆ４０１が形成されている。分かりやすくするため、図２２２では、リール側規制部Ｆ４０１を斜線で示している。リール側規制部Ｆ４０１は、円弧状ギアＦ２２の中心Ｏ２２を中心とする円に対応する円弧を形成するような形状を有している。図では、当該円の半径をｒ１で表している。また、当該円弧に対する円周角は、１５０°〜１６０°程度となっている。
【０９８０】
図２２３に示すように、リール側規制部Ｆ４０１は、円弧状ギアＦ２２の面に対して垂直な方向に突出するように設けられている。円弧状ギアＦ２２は、リール側規制部Ｆ４０１以外にも、面に対して突出した構造（中心Ｏ２２を中心とする同心円上に形成された突出構造、及び、中心Ｏ２２から放射状に形成された突出構造）を有しているが、リール側規制部Ｆ４０１が円弧状ギアＦ２２の面に対して突出している部分の長さは、他の突出構造と比較して、長くなっている。
【０９８１】
図２２４は、右フロントスクリーン駆動機構のクランク部材の左側面図である。図２２５は、図２２４に示すクランク部材の斜視図である。これらの図では、クランク部材Ｅ２２について、スライド溝Ｅ２２ｂ（図１８１参照）の形成されている側とは反対側の面の様子を示している。なお、図２２４は、クランク部材Ｅ２２の回動軸の方向から見た図と一致し、当該方向は、クランク部材Ｅ２２の面に対して垂直な方向と一致する。
【０９８２】
図２２４及び図２２５に示すように、クランク部材Ｅ２２には、フロント側規制部Ｅ４００が形成されている。分かりやすくするため、図２２４では、フロント側規制部Ｅ４００を斜線で示している。フロント側規制部Ｅ４００は、クランク部材Ｅ２２の回動中心Ｅ２２ａ（図１８１に示す中間位置Ｅ２２ａ）を中心とする円に対応する円弧を形成するような形状を有している。図では、当該円の半径をｒ２で表している。また、当該円弧に対する円周角は、９０°〜１００°程度となっている。
【０９８３】
図２２５に示すように、フロント側規制部Ｅ４００は、クランク部材Ｅ２２の面に対して垂直な方向に突出するように設けられている。
【０９８４】
また、クランク部材Ｅ２２には、フロント側被規制部Ｅ４０１が形成されている。フロント側被規制部Ｅ４０１は、クランク部材Ｅ２２の回動中心Ｅ２２ａからずれたフロント側被規制位置（図２２４において点Ｅ４０１ａで示す位置）に形成されている。図では、クランク部材Ｅ２２の回動中心Ｅ２２ａからフロント側被規制位置Ｅ４０１ａまでの距離をＲ２で表している。フロント側被規制位置Ｅ４０１ａは、クランク部材Ｅ２２の反対側の面においてスライド溝Ｅ２２ｂが形成されている位置に対応している。
【０９８５】
フロント側被規制部Ｅ４０１は、側面視における形状が、円形（又は、楕円形、四角形、六角形等）になるように形成されている。フロント側被規制部Ｅ４０１の側面視における大きさ（径）は、スライド溝Ｅ２２ｂの幅よりも小さく（例えば、１／６〜１／４程度に）設定されている。
【０９８６】
また、図２２５に示すように、フロント側被規制部Ｅ４０１は、フロント側被規制位置Ｅ４０１ａから、クランク部材Ｅ２２の面に対して垂直な方向に突出するように設けられている。
【０９８７】
以上で説明したように、リール側被規制部Ｆ４００及びリール側規制部Ｆ４０１は、それぞれ、円弧状ギアＦ２２の面に対して垂直な方向に突出するように設けられている（図２２３参照）。また、フロント側規制部Ｅ４００及びフロント側被規制部Ｅ４０１は、それぞれ、クランク部材Ｅ２２の面に対して垂直な方向に突出するように設けられている（図２２５参照）。
【０９８８】
また、円弧状ギアＦ２２及びクランク部材Ｅ２２は、円弧状ギアＦ２２の面とクランク部材Ｅ２２の面とが略平行になるように配置されている（円弧状ギアＦ２２の回動軸の方向とクランク部材Ｅ２２の回動軸の方向とが一致する）。
【０９８９】
そして、リール側被規制部Ｆ４００が円弧状ギアＦ２２の面に対して突出している部分の長さ（リール側被規制部Ｆ４００の突出長）、リール側規制部Ｆ４０１が円弧状ギアＦ２２の面に対して突出している部分の長さ（リール側規制部Ｆ４０１の突出長）、フロント側規制部Ｅ４００がクランク部材Ｅ２２の面に対して突出している部分の長さ（フロント側規制部Ｅ４００の突出長）、及び、フロント側被規制部Ｅ４０１がクランク部材Ｅ２２の面に対して突出している部分の長さ（フロント側被規制部Ｅ４０１の突出長）は、それぞれ、円弧状ギアＦ２２の面とクランク部材Ｅ２２の面との距離よりも短くなっている。
【０９９０】
一方で、リール側被規制部Ｆ４００の突出長とフロント側規制部Ｅ４００の突出長との合計、及び、リール側規制部Ｆ４０１の突出長とフロント側被規制部Ｅ４０１の突出長との合計は、それぞれ、円弧状ギアＦ２２の面とクランク部材Ｅ２２の面との距離よりも長くなっている。
【０９９１】
そのため、円弧状ギアＦ２２の回動に伴って、リール側被規制部Ｆ４００が回動する場合において、回動の途上にフロント側規制部Ｅ４００が存在すれば、フロント側規制部Ｅ４００の存在が邪魔になって（フロント側規制部Ｅ４００に係止されて）、リール側被規制部Ｆ４００は、それ以上回動することができない。これにより、円弧状ギアＦ２２も回動することができず、その結果、リールスクリーン機構Ｆ１の回動が規制されることになる。
【０９９２】
同様に、クランク部材Ｅ２２の回動に伴って、フロント側被規制部Ｅ４０１が回動する場合において、回動の途上にリール側規制部Ｆ４０１が存在すれば、リール側規制部Ｆ４０１の存在が邪魔になって（リール側規制部Ｆ４０１に係止されて）、フロント側被規制部Ｅ４０１は、それ以上回動することができない。これにより、クランク部材Ｅ２２も回動することができず、その結果、フロントスクリーン機構Ｅ１の回動が規制されることになる。
【０９９３】
以下、図２２６〜図２２９を参照しながら、さらに詳細に説明する。図２２６は、フロントスクリーン機構がフロント露出位置に配置され、リールスクリーン機構がリール待機位置に配置されている場合におけるスクリーン装置の断面の斜視図である。図２２７は、フロントスクリーン機構がフロント露出位置に配置され、リールスクリーン機構がリール待機位置に配置されている場合における円弧状ギア及びクランク部材の断面の右側面図である。図２２８は、リールスクリーン機構がリール露出位置に配置され、フロントスクリーン機構がフロント待機位置に配置されている場合におけるスクリーン装置の断面の斜視図である。図２２９は、リールスクリーン機構がリール露出位置に配置され、フロントスクリーン機構がフロント待機位置に配置されている場合における円弧状ギア及びクランク部材の断面の右側面図である。
【０９９４】
具体的に、図２２６及び図２２７は、円弧状ギアＦ２２の面及びクランク部材Ｅ２２の面に平行な面であって、円弧状ギアＦ２２の面からの距離がリール側被規制部Ｆ４００の突出長よりも短く、クランク部材Ｅ２２の面からの距離がフロント側規制部Ｅ４００の突出長よりも短くなるような面で切断したときの断面図である。図２２８及び図２２９は、円弧状ギアＦ２２の面及びクランク部材Ｅ２２の面に平行な面であって、円弧状ギアＦ２２の面からの距離がリール側規制部Ｆ４０１の突出長よりも短く、クランク部材Ｅ２２の面からの距離がフロント側被規制部Ｅ４０１の突出長よりも短くなるような面で切断したときの断面図である。
【０９９５】
なお、分かりやすくするため、図２２６及び図２２７では、フロント側規制部Ｅ４００を斜線で示し、図２２８及び図２２９では、リール側規制部Ｆ４０１を斜線で示している。また、図２２６〜図２２９には、クランク部材Ｅ２２が示されているが、これは、左フロントスクリーン駆動機構Ｅ２Ａのクランク部材Ｅ２２であり、右フロントスクリーン駆動機構Ｅ２Ｂのクランク部材Ｅ２２は、（フロント側規制部Ｅ４００及びフロント側被規制部Ｅ４０１を除いて）図に表れていない。
【０９９６】
フロントスクリーン機構Ｅ１がフロント露出位置に配置され、リールスクリーン機構Ｆ１がリール待機位置に配置されている場合、リール側被規制部Ｆ４００とフロント側規制部Ｅ４００とが、図２２６及び図２２７に示すように配置される。
【０９９７】
この状態において、リールスクリーン機構Ｆ１をリール待機位置からリール露出位置に向けて動かす力が加わったと仮定する。その際、リール側被規制部Ｆ４００は、図２２６及び図２２７に示す位置から反時計回りに回動を開始しようとする。回動開始時点におけるリール側被規制部Ｆ４００の移動方向は、円弧状ギアＦ２２の中心Ｏ２２を中心とし、中心Ｏ２２とリール側被規制部Ｆ４００の存在位置（リール側被規制位置Ｆ４００ａ）との距離（図２２２のＲ１）を半径とする円のリール側被規制位置Ｆ４００ａにおける接線に沿った反時計回り方向（図２２７において矢印で示す方向）となる。ところが、図２２６及び図２２７に示すように、リール側被規制部Ｆ４００の移動方向側においてリール側被規制部Ｆ４００と近接（略当接）するように、フロント側規制部Ｅ４００が配置されている。フロント側規制部Ｅ４００は、リール側被規制部Ｆ４００の移動方向（上記接線）と交差するように（リール側被規制部Ｆ４００の進路を妨害するように）配置されており、リール側被規制部Ｆ４００が回動を続けようとしても、フロント側規制部Ｅ４００によって係止され、リール側被規制部Ｆ４００は、フロント側規制部Ｅ４００の存在位置を通過することができず、その位置で回動をストップすることになる。これにより、円弧状ギアＦ２２もそれ以上回動することができず、結果として、リールスクリーン機構Ｆ１も回動しないことになり、フロントスクリーン機構Ｅ１及びリールスクリーン機構Ｆ１の位置関係が維持されることになる。
【０９９８】
以上の内容は、以下のように言い換えることもできる。すなわち、リールスクリーン機構Ｆ１を駆動すべく円弧状ギアＦ２２が回動した場合、リール側被規制部Ｆ４００は、円弧状ギアＦ２２の中心Ｏ２２を中心とし、中心Ｏ２２とリール側被規制位置Ｆ４００ａとの距離（図２２２のＲ１）を半径とする円の円周上を回動する。リールスクリーン機構Ｆ１がリール待機位置からリール露出位置まで回動するときにリール側被規制部Ｆ４００の描く軌跡は、当該円周の一部（円弧）となる。本実施形態では、フロントスクリーン機構Ｅ１がフロント露出位置に配置されている場合に、フロント側規制部Ｅ４００が当該円弧と交差するように配置されているので、リール側被規制部Ｆ４００が当該円弧上を回動する途中にフロント側規制部Ｅ４００が存在することになる。そのため、フロント側規制部Ｅ４００がリール側被規制部Ｆ４００の進路を遮る障壁となり、リール側被規制部Ｆ４００がそれ以上回動することが阻止される（フロント側規制部Ｅ４００によって行く手を阻まれる）。これにより、リールスクリーン機構Ｆ１をリール待機位置からリール露出位置に向けて動かす力が加わったとしても、リールスクリーン機構Ｆ１がリール露出位置に移動することを防止することができる。
【０９９９】
なお、フロントスクリーン機構Ｅ１がフロント露出位置に配置され、リールスクリーン機構Ｆ１がリール待機位置に配置されている場合（図２２６及び図２２７の場合）において、リールスクリーン機構Ｆ１をリール待機位置付近にとどめるという観点からは、リール側被規制部Ｆ４００とフロント側規制部Ｅ４００とをなるべく近接させた方がよい。例えば、リール側被規制部Ｆ４００とフロント側規制部Ｅ４００との隙間が、リール側被規制部Ｆ４００の径（円の直径）の２倍以下、リール側被規制部Ｆ４００の径以下、あるいは、リール側被規制部Ｆ４００の径の２／３以下（又は、１／２以下、１／３以下、１／４以下等）となるように設計するとよい。
【１０００】
また、第２実施形態で詳しく説明したように、リールスクリーン機構Ｆ１がリール待機位置に配置されている場合、フロントスクリーン機構Ｅ１をフロント露出位置からフロント待機位置に回動させることが可能である。この点に関し、図２２４を用いて説明したように、フロント側規制部Ｅ４００は、クランク部材Ｅ２２の回動中心Ｅ２２ａを中心とする円（図２２４に示すｒ２を半径とする円）に対応する円弧を形成するような形状を有している。従って、フロントスクリーン機構Ｅ１をフロント露出位置からフロント待機位置に回動させる場合、フロント側規制部Ｅ４００は、図２２７に示す位置から、当該円周上を時計回りに回動することになる。その際、リール側被規制部Ｆ４００は、図２２７に示す位置（クランク部材Ｅ２２の回動中心Ｅ２２ａからの距離が当該円の半径ｒ２よりも短くなるような位置）にとどまっており、フロント側規制部Ｅ４００の進路を妨害することはない。そのため、フロント側規制部Ｅ４００がリール側被規制部Ｆ４００によって係止されることがなく、フロントスクリーン機構Ｅ１をフロント露出位置からフロント待機位置まで問題なく回動させることができる。
【１００１】
このように、フロントスクリーン機構Ｅ１をフロント露出位置からフロント待機位置まで回動させる際に、リール側被規制部Ｆ４００がフロント側規制部Ｅ４００の進路を妨害しないようにするという観点からすると、フロントスクリーン機構Ｅ１がフロント露出位置に配置され、リールスクリーン機構Ｆ１がリール待機位置に配置されている場合（図２２６及び図２２７の場合）において、リール側被規制部Ｆ４００とフロント側規制部Ｅ４００とを当接させず、ある程度離間させた方がよい（リール側被規制部Ｆ４００とフロント側規制部Ｅ４００とが当接していれば、フロント側規制部Ｅ４００が動く際に、フロント側規制部Ｅ４００とリール側被規制部Ｆ４００との接触により摩擦が発生し、スムーズな回動を行うことができない可能性がある）。例えば、リール側被規制部Ｆ４００とフロント側規制部Ｅ４００との隙間が、リール側被規制部Ｆ４００の径（円の直径）の１／２０以上（又は、１／１０以上、１／５以上、１／３以上、１／２以上、２／３以上等）、あるいは、リール側被規制部Ｆ４００の径以上となるように設計するとよい。
【１００２】
リールスクリーン機構Ｆ１がリール露出位置に配置され、フロントスクリーン機構Ｅ１がフロント待機位置に配置されている場合、フロント側被規制部Ｅ４０１とリール側規制部Ｆ４０１とが、図２２８及び図２２９に示すように配置される。
【１００３】
この状態において、フロントスクリーン機構Ｅ１をフロント待機位置からフロント露出位置に向けて動かす力が加わったと仮定する。その際、フロント側被規制部Ｅ４０１は、図２２８及び図２２９に示す位置から反時計回りに回動を開始しようとする。回動開始時点におけるフロント側被規制部Ｅ４０１の移動方向は、クランク部材Ｅ２２の回動中心Ｅ２２ａを中心とし、回動中心Ｅ２２ａとフロント側被規制部Ｅ４０１の存在位置（フロント側被規制位置Ｅ４０１ａ）との距離（図２２４のＲ２）を半径とする円のフロント側被規制位置Ｅ４０１ａにおける接線に沿った反時計回り方向（図２２９において矢印で示す方向）となる。ところが、図２２８及び図２２９に示すように、フロント側被規制部Ｅ４０１の移動方向側においてフロント側被規制部Ｅ４０１と近接（略当接）するように、リール側規制部Ｆ４０１が配置されている。リール側規制部Ｆ４０１は、フロント側被規制部Ｅ４０１の移動方向（上記接線）と交差するように（フロント側被規制部Ｅ４０１の進路を妨害するように）配置されており、フロント側被規制部Ｅ４０１が回動を続けようとしても、リール側規制部Ｆ４０１によって係止され、フロント側被規制部Ｅ４０１は、リール側規制部Ｆ４０１の存在位置を通過することができず、その位置で回動をストップすることになる。これにより、クランク部材Ｅ２２もそれ以上回動することができず、結果として、フロントスクリーン機構Ｅ１も回動しないことになり、フロントスクリーン機構Ｅ１及びリールスクリーン機構Ｆ１の位置関係が維持されることになる。
【１００４】
以上の内容は、以下のように言い換えることもできる。すなわち、フロントスクリーン機構Ｅ１を駆動すべくクランク部材Ｅ２２が回動した場合、フロント側被規制部Ｅ４０１は、クランク部材Ｅ２２の回動中心Ｅ２２ａを中心とし、回動中心Ｅ２２ａとフロント側被規制位置Ｅ４０１ａとの距離（図２２４のＲ２）を半径とする円の円周上を回動する。フロントスクリーン機構Ｅ１がフロント待機位置からフロント露出位置まで回動するときにフロント側被規制部Ｅ４０１の描く軌跡は、当該円周の一部（円弧）となる。本実施形態では、リールスクリーン機構Ｆ１がリール露出位置に配置されている場合に、リール側規制部Ｆ４０１が当該円弧と交差するように配置されているので、フロント側被規制部Ｅ４０１が当該円弧上を回動する途中にリール側規制部Ｆ４０１が存在することになる。そのため、リール側規制部Ｆ４０１がフロント側被規制部Ｅ４０１の進路を遮る障壁となり、フロント側被規制部Ｅ４０１がそれ以上回動することが阻止される（リール側規制部Ｆ４０１によって行く手を阻まれる）。これにより、フロントスクリーン機構Ｅ１をフロント待機位置からフロント露出位置に向けて動かす力が加わったとしても、フロントスクリーン機構Ｅ１がフロント露出位置に移動することを防止することができる。
【１００５】
なお、リールスクリーン機構Ｆ１がリール露出位置に配置され、フロントスクリーン機構Ｅ１がフロント待機位置に配置されている場合（図２２８及び図２２９の場合）において、フロントスクリーン機構Ｅ１をフロント待機位置付近にとどめるという観点からは、フロント側被規制部Ｅ４０１とリール側規制部Ｆ４０１とをなるべく近接させた方がよい。例えば、フロント側被規制部Ｅ４０１とリール側規制部Ｆ４０１との隙間が、フロント側被規制部Ｅ４０１の径（円の直径）の２倍以下、フロント側被規制部Ｅ４０１の径以下、あるいは、フロント側被規制部Ｅ４０１の径の２／３以下（又は、１／２以下、１／３以下、１／４以下等）となるように設計するとよい。
【１００６】
また、第２実施形態で詳しく説明したように、フロントスクリーン機構Ｅ１がフロント待機位置に配置されている場合、リールスクリーン機構Ｆ１をリール露出位置からリール待機位置に回動させることが可能である。この点に関し、図２２２を用いて説明したように、リール側規制部Ｆ４０１は、円弧状ギアＦ２２の中心Ｏ２２を中心とする円（図２２２に示すｒ１を半径とする円）に対応する円弧を形成するような形状を有している。従って、リールスクリーン機構Ｆ１をリール露出位置からリール待機位置に回動させる場合、リール側規制部Ｆ４０１は、図２２９に示す位置から、当該円周上を時計回りに回動することになる。その際、フロント側被規制部Ｅ４０１は、図２２９に示す位置（円弧状ギアＦ２２の中心Ｏ２２からの距離が当該円の半径ｒ１よりも短くなるような位置）にとどまっており、リール側規制部Ｆ４０１の進路を妨害することはない。そのため、リール側規制部Ｆ４０１がフロント側被規制部Ｅ４０１によって係止されることがなく、リールスクリーン機構Ｆ１をリール露出位置からリール待機位置まで問題なく回動させることができる。
【１００７】
このように、リールスクリーン機構Ｆ１をリール露出位置からリール待機位置まで回動させる際に、フロント側被規制部Ｅ４０１がリール側規制部Ｆ４０１の進路を妨害しないようにするという観点からすると、リールスクリーン機構Ｆ１がリール露出位置に配置され、フロントスクリーン機構Ｅ１がフロント待機位置に配置されている場合（図２２８及び図２２９の場合）において、フロント側被規制部Ｅ４０１とリール側規制部Ｆ４０１とを当接させず、ある程度離間させた方がよい（フロント側被規制部Ｅ４０１とリール側規制部Ｆ４０１とが当接していれば、リール側規制部Ｆ４０１が動く際に、リール側規制部Ｆ４０１とフロント側被規制部Ｅ４０１との接触により摩擦が発生し、スムーズな回動を行うことができない可能性がある）。例えば、フロント側被規制部Ｅ４０１とリール側規制部Ｆ４０１との隙間が、フロント側被規制部Ｅ４０１の径（円の直径）の１／２０以上（又は、１／１０以上、１／５以上、１／３以上、１／２以上、２／３以上等）、あるいは、フロント側被規制部Ｅ４０１の径以上となるように設計するとよい。
【１００８】
また、円弧状ギアＦ２２の中心Ｏ２２からリール側規制部Ｆ４０１までの距離（図２２２のｒ１）と、クランク部材Ｅ２２の回動中心Ｅ２２ａからフロント側規制部Ｅ４００までの距離（図２２４のｒ２）との合計は、円弧状ギアＦ２２の中心Ｏ２２からクランク部材Ｅ２２の回動中心Ｅ２２ａまでの距離（図２２７及び図２２９における中心Ｏ２２と回動中心Ｅ２２ａとの直線距離）よりも短くなっている。これにより、クランク部材Ｅ２２が回動しても、リール側規制部Ｆ４０１とフロント側規制部Ｅ４００とが接触することはなく（フロント側規制部Ｅ４００がリール側規制部Ｆ４０１によって係止されることはなく）、円弧状ギアＦ２２が回動しても、リール側規制部Ｆ４０１とフロント側規制部Ｅ４００とが接触することはない（リール側規制部Ｆ４０１がフロント側規制部Ｅ４００によって係止されることはない）。従って、リールスクリーン機構Ｆ１がリール待機位置に配置されている場合（図２２７の場合）に、フロントスクリーン機構Ｅ１をフロント露出位置からフロント待機位置まで問題なく回動させることができるとともに、フロントスクリーン機構Ｅ１がフロント待機位置に配置されている場合（図２２９の場合）に、リールスクリーン機構Ｆ１をリール露出位置からリール待機位置まで問題なく回動させることができる。
【１００９】
以上、本発明の一実施形態として、第４実施形態に係る遊技機１について説明した。
【１０１０】
従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。
【１０１１】
近年では、より演出効果を高めるため、複数の可動体を有する演出装置を搭載した遊技機が提案されている。このような演出装置を搭載した遊技機においては、遊技の状況に応じて各可動体の位置関係を適切に変化させることにより、所望の演出を行うことができるようになっている。仮に、一の可動体が本来配置されるべき場所とは異なる場所に動くようなことがあれば、意図された演出を実現することができなくなってしまう。
【１０１２】
本発明は、上記のような問題点に鑑みてなされたものであり、複数の可動体を有する演出装置を搭載した遊技機において、可動体を適切な位置に配置することを目的とする。
【１０１３】
この点、第４実施形態に係る遊技機１は、以下の特徴を備えている。
【１０１４】
（３５−１）  映像を投影することが可能なプロジェクタ（プロジェクタ機構Ｂ２）と、
前記プロジェクタにより投影された映像を表示可能な第１スクリーン（フロントスクリーン機構Ｅ１）及び第２スクリーン（リールスクリーン機構Ｆ１）と、
前記第１スクリーンを駆動するための第１駆動機構（フロントスクリーン駆動機構Ｅ２）と、
前記第２スクリーンを駆動するための第２駆動機構（リールスクリーン駆動機構Ｆ２）と、
前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記第１駆動機構（フロントスクリーン駆動機構Ｅ２）は、前記第１スクリーンに駆動力を伝達するための第１駆動力伝達部材（クランク部材Ｅ２２）を備え、前記第１スクリーンは、前記第１駆動力伝達部材の動作に伴って、第１投影位置（フロント露出位置）と第１非投影位置（フロント待機位置）との間で動作を行い、
前記第２駆動機構（リールスクリーン駆動機構Ｆ２）は、前記第２スクリーンに駆動力を伝達するための第２駆動力伝達部材（円弧状ギアＦ２２）を備え、前記第２スクリーンは、前記第２駆動力伝達部材の動作に伴って、第２投影位置（リール露出位置）と第２非投影位置（リール待機位置）との間で動作を行い、
前記第１スクリーンが前記第１投影位置（フロント露出位置）に配置される場合には、前記第２スクリーンが前記第２非投影位置（リール待機位置）に配置され、前記プロジェクタにより投影された映像が前記第１スクリーン（フロントスクリーン機構Ｅ１）に表示される一方、前記第２スクリーンが前記第２投影位置（リール露出位置）に配置される場合には、前記第１スクリーンが前記第１非投影位置（フロント待機位置）に配置され、前記プロジェクタにより投影された映像が前記第２スクリーン（リールスクリーン機構Ｆ１）に表示され、
前記第１駆動力伝達部材（クランク部材Ｅ２２）には、前記第２駆動力伝達部材の動作を阻止するための第１規制部（フロント側規制部Ｅ４００）が形成されており、
前記第２駆動力伝達部材（円弧状ギアＦ２２）には、前記第２駆動力伝達部材とともに動作を行い、前記第１規制部によって動作が阻止され得る第２被規制部（リール側被規制部Ｆ４００）が形成されており、
前記第１スクリーンが前記第１投影位置（フロント露出位置）に配置される場合において、前記第２スクリーンを前記第２非投影位置（リール待機位置）から前記第２投影位置（リール露出位置）に向けて動かす力が加わった場合、前記第２駆動力伝達部材に形成された前記第２被規制部（リール側被規制部Ｆ４００）が前記第１駆動力伝達部材に形成された前記第１規制部（フロント側規制部Ｅ４００）によって係止されることに起因して、前記第２駆動力伝達部材（円弧状ギアＦ２２）の動作が阻止される、
ことを特徴とする遊技機。
【１０１５】
第４実施形態に係る遊技機１によれば、第１スクリーン（フロントスクリーン機構Ｅ１）が第１投影位置（フロント露出位置）に配置される場合には、第２スクリーン（リールスクリーン機構Ｆ１）が第２非投影位置（リール待機位置）に配置され、プロジェクタにより投影された映像が第１スクリーン（フロントスクリーン機構Ｅ１）に表示される。一方で、第２スクリーン（リールスクリーン機構Ｆ１）が第２投影位置（リール露出位置）に配置される場合には、第１スクリーン（フロントスクリーン機構Ｅ１）が第１非投影位置（フロント待機位置）に配置され、プロジェクタにより投影された映像が第２スクリーン（リールスクリーン機構Ｆ１）に表示される。このように、第１スクリーン（フロントスクリーン機構Ｅ１）及び第２スクリーン（リールスクリーン機構Ｆ１）の位置関係を規定することにより、プロジェクタにより投影された映像が表示されるスクリーンを、第１スクリーン（フロントスクリーン機構Ｅ１）と第２スクリーン（リールスクリーン機構Ｆ１）との間で切り替えることとしている。これにより、遊技の状況に応じて所望のスクリーンを用いた演出を行うことができる。
【１０１６】
ここで、仮に、第１スクリーン（フロントスクリーン機構Ｅ１）が第１投影位置（フロント露出位置）に配置されている場合に、第２スクリーン（リールスクリーン機構Ｆ１）が第２非投影位置（リール待機位置）から第２投影位置（リール露出位置）に動くようなことがあれば、第１スクリーン（フロントスクリーン機構Ｅ１）及び第２スクリーン（リールスクリーン機構Ｆ１）の位置関係が崩れてしまい、適切な演出を行うことができなくなってしまう可能性がある。この点、第４実施形態に係る遊技機１によれば、第１スクリーン（フロントスクリーン機構Ｅ１）に駆動力を伝達するための第１駆動力伝達部材（クランク部材Ｅ２２）には、第２スクリーン（リールスクリーン機構Ｆ１）に駆動力を伝達するための第２駆動力伝達部材（円弧状ギアＦ２２）の動作を阻止するための第１規制部（フロント側規制部Ｅ４００）が形成されている。また、第２駆動力伝達部材（円弧状ギアＦ２２）には、第２駆動力伝達部材（円弧状ギアＦ２２）とともに動作を行い、第１規制部（フロント側規制部Ｅ４００）によって動作が阻止され得る第２被規制部（リール側被規制部Ｆ４００）が形成されている。そして、第１スクリーン（フロントスクリーン機構Ｅ１）が第１投影位置（フロント露出位置）に配置される場合において、第２スクリーン（リールスクリーン機構Ｆ１）を第２非投影位置（リール待機位置）から第２投影位置（リール露出位置）に向けて動かす力が加わった場合であっても、第２駆動力伝達部材（円弧状ギアＦ２２）に形成された第２被規制部（リール側被規制部Ｆ４００）が第１駆動力伝達部材（クランク部材Ｅ２２）に形成された第１規制部（フロント側規制部Ｅ４００）によって係止されることに起因して、第２駆動力伝達部材（円弧状ギアＦ２２）の動作が阻止される。これにより、第２駆動力伝達部材（円弧状ギアＦ２２）から第２スクリーン（リールスクリーン機構Ｆ１）に対して力が伝達されることが妨げられ、第２スクリーン（リールスクリーン機構Ｆ１）が第２非投影位置（リール待機位置）から第２投影位置（リール露出位置）に動いてしまうことを防止することができる。
【１０１７】
（３５−２）  映像を投影することが可能なプロジェクタ（プロジェクタ機構Ｂ２）と、
前記プロジェクタにより投影された映像を表示可能な第１スクリーン（フロントスクリーン機構Ｅ１）及び第２スクリーン（リールスクリーン機構Ｆ１）と、
前記第１スクリーンを駆動するための第１駆動機構（フロントスクリーン駆動機構Ｅ２）と、
前記第２スクリーンを駆動するための第２駆動機構（リールスクリーン駆動機構Ｆ２）と、
前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記第１駆動機構（フロントスクリーン駆動機構Ｅ２）は、前記第１スクリーンに連結されたアーム（クランク部材Ｅ２２）を備え、前記第１スクリーンは、前記アームの動作に連動して、第１投影位置（フロント露出位置）と第１非投影位置（フロント待機位置）との間で動作を行い、
前記第２駆動機構（リールスクリーン駆動機構Ｆ２）は、前記第２スクリーンに駆動力を伝達するためのギア（円弧状ギアＦ２２）を備え、前記第２スクリーンは、前記ギアの回動に伴って、第２投影位置（リール露出位置）と第２非投影位置（リール待機位置）との間で動作を行い、
前記第１スクリーンが前記第１投影位置（フロント露出位置）に配置される場合には、前記第２スクリーンが前記第２非投影位置（リール待機位置）に配置され、前記プロジェクタにより投影された映像が前記第１スクリーン（フロントスクリーン機構Ｅ１）に表示される一方、前記第２スクリーンが前記第２投影位置（リール露出位置）に配置される場合には、前記第１スクリーンが前記第１非投影位置（フロント待機位置）に配置され、前記プロジェクタにより投影された映像が前記第２スクリーン（リールスクリーン機構Ｆ１）に表示され、
前記アーム（クランク部材Ｅ２２）には、前記ギアの回動を阻止するための第１規制部（フロント側規制部Ｅ４００）が曲線状に形成されており、
前記ギア（円弧状ギアＦ２２）には、前記ギアとともに回動し、前記第１規制部によって回動が阻止され得る第２被規制部（リール側被規制部Ｆ４００）が、前記ギア上の回動中心からずれた所定位置（リール側被規制位置Ｆ４００ａ）に形成されており、
前記第２スクリーンが前記第２非投影位置（リール待機位置）から前記第２投影位置（リール露出位置）に向けて動作を開始する時点における前記第２被規制部（リール側被規制部Ｆ４００）の移動方向は、前記ギアの回動中心（円弧状ギアＦ２２の中心Ｏ２２）を中心とし前記ギアの回動中心と前記所定位置との距離を半径とする円の前記所定位置における接線に沿った一の方向（図２２７において矢印で示す方向）であり、
前記第１スクリーンが前記第１投影位置（フロント露出位置）に配置される場合、前記曲線状の第１規制部（フロント側規制部Ｅ４００）が、前記接線と交差するように前記第２被規制部の前記一の方向側に配置されて、前記第２被規制部（リール側被規制部Ｆ４００）と当接又は近接している、
ことを特徴とする遊技機。
【１０１８】
第４実施形態に係る遊技機１によれば、第１スクリーン（フロントスクリーン機構Ｅ１）が第１投影位置（フロント露出位置）に配置される場合には、第２スクリーン（リールスクリーン機構Ｆ１）が第２非投影位置（リール待機位置）に配置され、プロジェクタにより投影された映像が第１スクリーン（フロントスクリーン機構Ｅ１）に表示される。一方で、第２スクリーン（リールスクリーン機構Ｆ１）が第２投影位置（リール露出位置）に配置される場合には、第１スクリーン（フロントスクリーン機構Ｅ１）が第１非投影位置（フロント待機位置）に配置され、プロジェクタにより投影された映像が第２スクリーン（リールスクリーン機構Ｆ１）に表示される。このように、第１スクリーン（フロントスクリーン機構Ｅ１）及び第２スクリーン（リールスクリーン機構Ｆ１）の位置関係を規定することにより、プロジェクタにより投影された映像が表示されるスクリーンを、第１スクリーン（フロントスクリーン機構Ｅ１）と第２スクリーン（リールスクリーン機構Ｆ１）との間で切り替えることとしている。これにより、遊技の状況に応じて所望のスクリーンを用いた演出を行うことができる。
【１０１９】
ここで、仮に、第１スクリーン（フロントスクリーン機構Ｅ１）が第１投影位置（フロント露出位置）に配置されている場合に、第２スクリーン（リールスクリーン機構Ｆ１）が第２非投影位置（リール待機位置）から第２投影位置（リール露出位置）に動くようなことがあれば、第１スクリーン（フロントスクリーン機構Ｅ１）及び第２スクリーン（リールスクリーン機構Ｆ１）の位置関係が崩れてしまい、適切な演出を行うことができなくなってしまう可能性がある。この点、第４実施形態に係る遊技機１によれば、第１スクリーン（フロントスクリーン機構Ｅ１）に連結されたアーム（クランク部材Ｅ２２）には、第２スクリーン（リールスクリーン機構Ｆ１）に駆動力を伝達するためのギア（円弧状ギアＦ２２）の回動を阻止するための第１規制部（フロント側規制部Ｅ４００）が曲線状に形成されている。また、第２スクリーン（リールスクリーン機構Ｆ１）に駆動力を伝達するためのギア（円弧状ギアＦ２２）には、当該ギア（円弧状ギアＦ２２）とともに回動し、第１規制部（フロント側規制部Ｅ４００）によって回動が阻止され得る第２被規制部（リール側被規制部Ｆ４００）が、ギア上の回動中心（円弧状ギアＦ２２の中心Ｏ２２）からずれた所定位置（リール側被規制位置Ｆ４００ａ）に形成されている。第２スクリーン（リールスクリーン機構Ｆ１）が第２非投影位置（リール待機位置）から第２投影位置（リール露出位置）に向けて動作を開始する時点における第２被規制部（リール側被規制部Ｆ４００）の移動方向は、ギアの回動中心（円弧状ギアＦ２２の中心Ｏ２２）を中心としギアの回動中心（円弧状ギアＦ２２の中心Ｏ２２）と所定位置（リール側被規制位置Ｆ４００ａ）との距離を半径とする円の所定位置（リール側被規制位置Ｆ４００ａ）における接線に沿った一の方向（図２２７において矢印で示す方向）となる。そして、第１スクリーン（フロントスクリーン機構Ｅ１）が第１投影位置（フロント露出位置）に配置される場合、曲線状の第１規制部（フロント側規制部Ｅ４００）が、当該接線と交差するように第２被規制部（リール側被規制部Ｆ４００）の上記一の方向（第２スクリーン（リールスクリーン機構Ｆ１）が第２非投影位置（リール待機位置）から第２投影位置（リール露出位置）に向けて動作を開始する時点における第２被規制部（リール側被規制部Ｆ４００）の移動方向）側に配置されて、第２被規制部（リール側被規制部Ｆ４００）と当接又は近接している。これにより、第２スクリーン（リールスクリーン機構Ｆ１）を第２非投影位置（リール待機位置）から第２投影位置（リール露出位置）に向けて動かす力がギア（円弧状ギアＦ２２）に加わったとしても、ギア（円弧状ギアＦ２２）に形成された第２被規制部（リール側被規制部Ｆ４００）がアーム（クランク部材Ｅ２２）に形成された第１規制部（フロント側規制部Ｅ４００）によって係止されることになる。このことに起因して、ギア（円弧状ギアＦ２２）の回動が阻止されることにより、ギア（円弧状ギアＦ２２）から第２スクリーン（リールスクリーン機構Ｆ１）に対して力が伝達されることが妨げられ、第２スクリーン（リールスクリーン機構Ｆ１）が第２非投影位置（リール待機位置）から第２投影位置（リール露出位置）に動いてしまうことを防止することができる。
【１０２０】
（３６−１）  映像を投影することが可能なプロジェクタ（プロジェクタ機構Ｂ２）と、
前記プロジェクタにより投影された映像を表示可能な第１スクリーン（リールスクリーン機構Ｆ１）及び第２スクリーン（フロントスクリーン機構Ｅ１）と、
前記第１スクリーンを駆動するための第１駆動機構（リールスクリーン駆動機構Ｆ２）と、
前記第２スクリーンを駆動するための第２駆動機構（フロントスクリーン駆動機構Ｅ２）と、
前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記第１駆動機構（リールスクリーン駆動機構Ｆ２）は、前記第１スクリーンに駆動力を伝達するための第１駆動力伝達部材（円弧状ギアＦ２２）を備え、前記第１スクリーンは、前記第１駆動力伝達部材の動作に伴って、第１投影位置（リール露出位置）と第１非投影位置（リール待機位置）との間で回動し、
前記第２駆動機構（フロントスクリーン駆動機構Ｅ２）は、前記第２スクリーンに駆動力を伝達するための第２駆動力伝達部材（クランク部材Ｅ２２）を備え、前記第２スクリーンは、前記第２駆動力伝達部材の動作に伴って、第２投影位置（フロント露出位置）と第２非投影位置（フロント待機位置）との間で回動し、
前記第１スクリーンが前記第１投影位置（リール露出位置）に配置される場合には、前記第２スクリーンが前記第２非投影位置（フロント待機位置）に配置され、前記プロジェクタにより投影された映像が前記第１スクリーン（リールスクリーン機構Ｆ１）に表示される一方、前記第２スクリーンが前記第２投影位置（フロント露出位置）に配置される場合には、前記第１スクリーンが前記第１非投影位置（リール待機位置）に配置され、前記プロジェクタにより投影された映像が前記第２スクリーン（フロントスクリーン機構Ｅ１）に表示され、
前記第２スクリーンが前記第２非投影位置（フロント待機位置）から前記第２投影位置（フロント露出位置）まで回動する場合に該回動の中心から最も遠い前記第２スクリーン上の部位が描く軌跡（図５３に示すフロントスクリーン機構Ｅ１の前端部の描く軌跡）は、前記第１投影位置（リール露出位置）に配置された前記第１スクリーンの存在位置よりも前方となり、
前記第１駆動力伝達部材（円弧状ギアＦ２２）には、前記第２駆動力伝達部材の動作を阻止するための第１規制部（リール側規制部Ｆ４０１）が形成されており、
前記第２駆動力伝達部材（クランク部材Ｅ２２）には、前記第２駆動力伝達部材とともに動作を行い、前記第１規制部によって動作が阻止され得る第２被規制部（フロント側被規制部Ｅ４０１）が形成されており、
前記第１スクリーンが前記第１投影位置（リール露出位置）に配置される場合において、前記第２スクリーンを前記第２非投影位置（フロント待機位置）から前記第２投影位置（フロント露出位置）に向けて動かす力が加わった場合、前記第２駆動力伝達部材に形成された前記第２被規制部（フロント側被規制部Ｅ４０１）が前記第１駆動力伝達部材に形成された前記第１規制部（リール側規制部Ｆ４０１）によって係止されることに起因して、前記第２駆動力伝達部材（クランク部材Ｅ２２）の動作が阻止される、
ことを特徴とする遊技機。
【１０２１】
第４実施形態に係る遊技機１によれば、第１スクリーン（リールスクリーン機構Ｆ１）が第１投影位置（リール露出位置）に配置される場合には、第２スクリーン（フロントスクリーン機構Ｅ１）が第２非投影位置（フロント待機位置）に配置され、プロジェクタにより投影された映像が第１スクリーン（リールスクリーン機構Ｆ１）に表示される。一方で、第２スクリーン（フロントスクリーン機構Ｅ１）が第２投影位置（フロント露出位置）に配置される場合には、第１スクリーン（リールスクリーン機構Ｆ１）が第１非投影位置（リール待機位置）に配置され、プロジェクタにより投影された映像が第２スクリーン（フロントスクリーン機構Ｅ１）に表示される。このように、第１スクリーン（リールスクリーン機構Ｆ１）及び第２スクリーン（フロントスクリーン機構Ｅ１）の位置関係を規定することにより、プロジェクタにより投影された映像が表示されるスクリーンを、第１スクリーン（リールスクリーン機構Ｆ１）と第２スクリーン（フロントスクリーン機構Ｅ１）との間で切り替えることとしている。これにより、遊技の状況に応じて所望のスクリーンを用いた演出を行うことができる。
【１０２２】
ここで、仮に、第１スクリーン（リールスクリーン機構Ｆ１）が第１投影位置（リール露出位置）に配置されている場合に、第２スクリーン（フロントスクリーン機構Ｅ１）が第２非投影位置（フロント待機位置）から第２投影位置（フロント露出位置）に動くようなことがあれば、第１スクリーン（リールスクリーン機構Ｆ１）及び第２スクリーン（フロントスクリーン機構Ｅ１）の位置関係が崩れてしまい、適切な演出を行うことができなくなってしまう可能性がある。とりわけ、第２スクリーン（フロントスクリーン機構Ｅ１）が第２非投影位置（フロント待機位置）から第２投影位置（フロント露出位置）まで回動する場合に該回動の中心から最も遠い第２スクリーン（フロントスクリーン機構Ｅ１）上の部位が描く軌跡（図５３に示すフロントスクリーン機構Ｅ１の前端部の描く軌跡）は、第１投影位置（リール露出位置）に配置された第１スクリーン（リールスクリーン機構Ｆ１）の存在位置よりも前方となる。そのため、第１スクリーン（リールスクリーン機構Ｆ１）が第１投影位置（リール露出位置）に配置されている場合において、第２スクリーン（フロントスクリーン機構Ｅ１）が第２非投影位置（フロント待機位置）から第２投影位置（フロント露出位置）に向けて動いた場合には、第１スクリーン（リールスクリーン機構Ｆ１）の前方を覆うように第２スクリーン（フロントスクリーン機構Ｅ１）が出現することになる。例えば、遊技を行っている間に興奮した遊技者が遊技機を叩いたり揺らしたりすることもあり得るところ、それによる振動に起因して第２スクリーン（フロントスクリーン機構Ｅ１）が第２非投影位置（フロント待機位置）から第２投影位置（フロント露出位置）に向けて動いた場合には、第２スクリーン（フロントスクリーン機構Ｅ１）の出現によって、第１スクリーン（リールスクリーン機構Ｆ１）に表示されている映像が前方から覆い隠されてしまい（第１スクリーン（リールスクリーン機構Ｆ１）に表示されている映像の一部又は全部が第２スクリーン（フロントスクリーン機構Ｅ１）に表示されてしまい）、演出が非常におかしなものとなってしまうといったことも想定される。
【１０２３】
この点、第４実施形態に係る遊技機１によれば、第１スクリーン（リールスクリーン機構Ｆ１）に駆動力を伝達するための第１駆動力伝達部材（円弧状ギアＦ２２）には、第２スクリーン（フロントスクリーン機構Ｅ１）に駆動力を伝達するための第２駆動力伝達部材（クランク部材Ｅ２２）の動作を阻止するための第１規制部（リール側規制部Ｆ４０１）が形成されている。また、第２駆動力伝達部材（クランク部材Ｅ２２）には、第２駆動力伝達部材（クランク部材Ｅ２２）とともに動作を行い、第１規制部（リール側規制部Ｆ４０１）によって動作が阻止され得る第２被規制部（フロント側被規制部Ｅ４０１）が形成されている。そして、第１スクリーン（リールスクリーン機構Ｆ１）が第１投影位置（リール露出位置）に配置される場合において、第２スクリーン（フロントスクリーン機構Ｅ１）を第２非投影位置（フロント待機位置）から第２投影位置（フロント露出位置）に向けて動かす力が加わった場合であっても、第２駆動力伝達部材（クランク部材Ｅ２２）に形成された第２被規制部（フロント側被規制部Ｅ４０１）が第１駆動力伝達部材（円弧状ギアＦ２２）に形成された第１規制部（リール側規制部Ｆ４０１）によって係止されることに起因して、第２駆動力伝達部材（クランク部材Ｅ２２）の動作が阻止される。これにより、第２駆動力伝達部材（クランク部材Ｅ２２）から第２スクリーン（フロントスクリーン機構Ｅ１）に対して力が伝達されることが妨げられ、第２スクリーン（フロントスクリーン機構Ｅ１）が第２非投影位置（フロント待機位置）から第２投影位置（フロント露出位置）に動いてしまうことを防止することができる。その結果、第１スクリーン（リールスクリーン機構Ｆ１）を用いた演出が行われている場合に、第２スクリーン（フロントスクリーン機構Ｅ１）が動くことによって当該演出が乱されてしまうといった事態が発生してしまうことも抑えることができる。
【１０２４】
（３６−２）  前記（３６−１）の遊技機であって、
前記第２スクリーン（フロントスクリーン機構Ｅ１）が前記第２非投影位置（フロント待機位置）に配置される場合、前記第２スクリーンの重心が前記回動の中心よりも上方且つ前方にある、
ことを特徴とする。
【１０２５】
第４実施形態に係る遊技機１によれば、第２スクリーン（フロントスクリーン機構Ｅ１）が第２非投影位置（フロント待機位置）に配置される場合、第２スクリーン（フロントスクリーン機構Ｅ１）の重心が第２スクリーン（フロントスクリーン機構Ｅ１）の回動中心よりも上方且つ前方にあるため、重力によって、第２スクリーン（フロントスクリーン機構Ｅ１）を第２非投影位置（フロント待機位置）から第２投影位置（フロント露出位置）に向けて動かそうとする力が作用する。このような重力に加えて、上述したように、遊技中に遊技者によって衝撃が与えられる可能性もある。あるいは、遊技機の運搬時に発生する振動等（例えば、特開２０１４−０４２６９２号公報参照）に起因して、第２スクリーン（フロントスクリーン機構Ｅ１）を動かそうとする力が働く可能性もある。これにより、第２スクリーン（フロントスクリーン機構Ｅ１）が第２非投影位置（フロント待機位置）から第２投影位置（フロント露出位置）に動いてしまえば（上方に配置された第２スクリーン（フロントスクリーン機構Ｅ１）が落下してしまえば）、第２スクリーン（フロントスクリーン機構Ｅ１）と他の部材とが接触して、これらの部材が破損してしまうといったことも懸念される。しかしながら、上述したように、第４実施形態に係る遊技機１によれば、第２駆動力伝達部材（クランク部材Ｅ２２）に形成された第２被規制部（フロント側被規制部Ｅ４０１）が第１駆動力伝達部材（円弧状ギアＦ２２）に形成された第１規制部（リール側規制部Ｆ４０１）によって係止されることで、第２スクリーン（フロントスクリーン機構Ｅ１）の動きを止めることが可能であるため、このような事態が発生してしまうことを防止することができる。
【１０２６】
また、従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。
【１０２７】
このような可動体を備えた遊技機では、可動体が動くことにより、可動体と他の部材とが接触することが想定されるが、接触の際の衝撃が大きければ、可動体や他の部材が損傷してしまう可能性がある。
【１０２８】
本発明は、上記のような問題点に鑑みてなされたものであり、可動体を備えた遊技機において、可動体や他の部材が損傷してしまうことを防止することを目的とする。
【１０２９】
この点、第４実施形態に係る遊技機１は、以下の特徴を備えている。
【１０３０】
（３７−１）  映像を投影することが可能なプロジェクタ（プロジェクタ機構Ｂ２）と、
前記プロジェクタにより投影された映像を表示可能なスクリーン（リールスクリーン機構Ｆ１）と、
前記スクリーンを駆動するための駆動機構（リールスクリーン駆動機構Ｆ２）と、
前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記駆動機構（リールスクリーン駆動機構Ｆ２）は、前記スクリーンに駆動力を伝達するための駆動力伝達部材（アーム部材Ｆ２１）を備えており、
前記駆動力伝達部材は、支持部材（可動体ベースＣ５・Ｃ６）によって回動自在に支持されており、
前記スクリーンは、前記駆動機構により駆動されることにより、第１の位置（リール露出位置）から第２の位置（リール待機位置）まで回動し、
前記スクリーンが前記第２の位置（リール待機位置）にある場合、前記駆動力伝達部材に形成された突起（突起Ｆ２００ｂ）が前記支持部材に形成された凹部（緩衝部材設置部Ｃ２０１）に収納されるとともに、該突起が該凹部に設けられた緩衝部材（緩衝部材Ｃ２０２）に当接する、
ことを特徴とする遊技機。
【１０３１】
第４実施形態に係る遊技機１によれば、スクリーン（リールスクリーン機構Ｆ１）に駆動力を伝達するための駆動力伝達部材（アーム部材Ｆ２１）に突起（突起Ｆ２００ｂ）が形成されている一方、駆動力伝達部材（アーム部材Ｆ２１）を回動自在に支持する支持部材（可動体ベースＣ５・Ｃ６）に凹部（緩衝部材設置部Ｃ２０１）が形成されており、凹部（緩衝部材設置部Ｃ２０１）には、緩衝部材（緩衝部材Ｃ２０２）が設けられている。そして、スクリーン（リールスクリーン機構Ｆ１）が第２の位置（リール待機位置）にある場合、駆動力伝達部材（アーム部材Ｆ２１）に形成された突起（突起Ｆ２００ｂ）が支持部材（可動体ベースＣ５・Ｃ６）に形成された凹部（緩衝部材設置部Ｃ２０１）に収納されるとともに、該突起（突起Ｆ２００ｂ）が該凹部（緩衝部材設置部Ｃ２０１）に設けられた緩衝部材（緩衝部材Ｃ２０２）に当接する。従って、第１の位置（リール露出位置）から回動を開始したスクリーン（リールスクリーン機構Ｆ１）が、第２の位置（リール待機位置）に到達する際、駆動力伝達部材（アーム部材Ｆ２１）の突起（突起Ｆ２００ｂ）と緩衝部材（緩衝部材Ｃ２０２）とが接触することで、当該接触に伴う衝撃を緩衝部材（緩衝部材Ｃ２０２）によって吸収することができる。これにより、接触に伴って駆動力伝達部材（アーム部材Ｆ２１）や支持部材（可動体ベースＣ５・Ｃ６）、スクリーン（リールスクリーン機構Ｆ１）等に加わる力を緩和することが可能であり、これらが損傷してしまうことを防止することができる。また、駆動力伝達部材（アーム部材Ｆ２１）に形成された突起（突起Ｆ２００ｂ）が支持部材（可動体ベースＣ５・Ｃ６）に形成された凹部（緩衝部材設置部Ｃ２０１）に収納されることとしているため、緩衝部材（緩衝部材Ｃ２０２）は該凹部（緩衝部材設置部Ｃ２０１）に設ければ足り、駆動力伝達部材（アーム部材Ｆ２１）と支持部材（可動体ベースＣ５・Ｃ６）との接触箇所全体に亘って緩衝部材を設ける必要がない。そのため、緩衝部材の量を少なくすることが可能であり、緩衝部材を使用することによるコストを抑えることができる。
【１０３２】
本実施形態では、アーム部材Ｆ２１（駆動力伝達部材）に形成された突起Ｆ２００ｂが可動体ベースＣ５・Ｃ６に形成された緩衝部材設置部Ｃ２０１（凹部）に収納されることとして説明した。本発明において、凹部に収納されることとなる突起の形成される駆動力伝達部材は、アーム部材Ｆ２１に限定されず、例えば、ギア（円弧状ギア）に突起を形成し、該突起が凹部に収納されることとしてもよい。このようなギアとしては、正面視扇形（円弧と２つの半径とによって囲まれた図形）形状のギアを採用することが可能であり、この場合、突起は、２つの半径のうちの一方から突設されるように形成すればよい。
【１０３３】
一例として、中心角２７０°の扇形形状のギアを挙げる。点Ｏを中心とする円周上の２点をＡ及びＢとして、当該扇形を構成する円弧及び２つの半径をそれぞれ、円弧ＡＢ、半径ＯＡ、及び、半径ＯＢと表記する。当該扇形を構成する円弧ＡＢは、長い方の弧（優弧）であり、換言すると、当該扇形（中心角２７０°の扇形）は、短い方の弧（劣弧）と半径ＯＡと半径ＯＢとによって構成される扇形（中心角９０°の扇形）を、点Ｏを中心とする当該円から切り欠いた形状を有している。円周上の点Ａ及び点Ｂは、点Ａを円周に沿って時計回りに９０°回転させた位置に点Ｂが存在するような位置関係にある。このような形状のギアにおいて、半径ＯＡに相当する部分は、半径ＯＢに相当する部分よりもギアが分厚くなっており、当該厚みが増した部分に、時計回り方向に向けて突出するような突起が形成されている。
【１０３４】
ここで、スクリーン（リールスクリーン機構Ｆ１）が第１の位置（リール露出位置）にある場合、半径ＯＡが鉛直方向に沿って配置される一方、半径ＯＢが水平方向に沿って配置され、ギアが時計回りに９０°回動することにより、スクリーン（リールスクリーン機構Ｆ１）が第２の位置（リール待機位置）に移動することとする。スクリーン（リールスクリーン機構Ｆ１）が第２の位置（リール待機位置）にある場合には、半径ＯＡが水平方向に沿って配置されることとなる。このとき、半径ＯＡに形成された突起は、下向きに突出するように配置される。一方で、第４実施形態で説明したように、可動体ベースＣ５・Ｃ６には、水平面（基準面Ｃ２００）に対して凹んだ緩衝部材設置部Ｃ２０１（凹部）が形成されており、スクリーン（リールスクリーン機構Ｆ１）が第２の位置（リール待機位置）にある場合、半径ＯＡに形成された突起が緩衝部材設置部Ｃ２０１（凹部）に収納されるとともに、緩衝部材設置部Ｃ２０１（凹部）に設けられた緩衝部材（緩衝部材Ｃ２０２）に当接する。このような態様によっても、第４実施形態と同様の効果を奏することができる。
【１０３５】
（３７−２）  前記（３７−１）の遊技機であって、
前記スクリーン及び前記駆動機構を収容するスクリーン用筐体（スクリーン筐体Ｃ１０）をさらに備え、
前記支持部材（可動体ベースＣ５・Ｃ６）は、前記スクリーン用筐体の底板（底板Ｃ１）よりも上方において前記底板の面と略平行に形成された支持面（基準面Ｃ２００）を有し、
前記凹部（緩衝部材設置部Ｃ２０１）は、前記支持面に対して凹んだ形状を有しており、
前記スクリーンが前記第２の位置（リール待機位置）にある場合、前記駆動力伝達部材（アーム部材Ｆ２１）に形成された突起（突起Ｆ２００ｂ）の先端が前記駆動力伝達部材における下端となり、該突起の先端が前記緩衝部材に当接することにより、前記駆動力伝達部材が前記緩衝部材を介して前記凹部によって支持される、
ことを特徴とする。
【１０３６】
第４実施形態に係る遊技機１によれば、スクリーン（リールスクリーン機構Ｆ１）が第２の位置（リール待機位置）にある場合、駆動力伝達部材（アーム部材Ｆ２１）は、スクリーン用筐体（スクリーン筐体Ｃ１０）の底板（底板Ｃ１）から離間した状態となる。すなわち、駆動力伝達部材（アーム部材Ｆ２１）は、底板（底板Ｃ１）によって支持されないが、底板（底板Ｃ１）の面と略平行な支持面（基準面Ｃ２００）を支持部材（可動体ベースＣ５・Ｃ６）に形成するとともに、支持面（基準面Ｃ２００）に形成された凹部（緩衝部材設置部Ｃ２０１）に設けられた緩衝部材（緩衝部材Ｃ２０２）に駆動力伝達部材（アーム部材Ｆ２１）の突起（突起Ｆ２００ｂ）を当接させることにより、駆動力伝達部材（アーム部材Ｆ２１）は、緩衝部材（緩衝部材Ｃ２０２）を介して凹部（緩衝部材設置部Ｃ２０１）によって支持される。その結果、駆動力伝達部材（アーム部材Ｆ２１）に作用する重力が緩衝部材（緩衝部材Ｃ２０２）によって受け止められ、駆動力伝達部材（アーム部材Ｆ２１）を安定した状態に保つことができる。
【１０３７】
さらに、第４実施形態に係る遊技機１によれば、スクリーン（リールスクリーン機構Ｆ１）が第２の位置（リール待機位置）にある場合、駆動力伝達部材（アーム部材Ｆ２１）に加えてスクリーン（リールスクリーン機構Ｆ１）も、スクリーン用筐体（スクリーン筐体Ｃ１０）の底板（底板Ｃ１）から離間しており底板（底板Ｃ１）によって支持されないが、スクリーン（リールスクリーン機構Ｆ１）の重みも、緩衝部材（緩衝部材Ｃ２０２）によって支えることが可能であり、第２の位置（リール待機位置）に配置されたスクリーン（リールスクリーン機構Ｆ１）の安定化を図ることができる。
【１０３８】
（３７−Ｉ）  映像を投影することが可能なプロジェクタ（プロジェクタ機構Ｂ２）と、前記プロジェクタにより投影された映像を表示可能な第１スクリーン（リールスクリーン機構Ｆ１）と、前記第１スクリーンを駆動するための第１駆動機構（リールスクリーン駆動機構Ｆ２）とが、ユニット化されることにより構成された表示ユニット（表示ユニットＡ）と、
前記表示ユニットを収容し、前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記第１スクリーン（リールスクリーン機構Ｆ１）には、アーム（アーム部材Ｆ２１）が連結されており、
前記アームは、支持部材（可動体ベースＣ５・Ｃ６）によって回動自在に支持されており、
前記第１スクリーンは、前記第１駆動機構により駆動されることにより、前記アームの回動に連動して第１の位置（リール露出位置）から第２の位置（リール待機位置）まで回動し、
前記第１スクリーンが前記第２の位置（リール待機位置）にある場合、前記アームに形成された突起（突起Ｆ２００ｂ）が前記支持部材に形成された凹部（緩衝部材設置部Ｃ２０１）に収納されるとともに、該突起が該凹部に設けられた緩衝部材（緩衝部材Ｃ２０２）に当接する、
ことを特徴とする遊技機。
【１０３９】
（３７−ＩＩ）  前記（３７−Ｉ）の遊技機であって、
前記表示ユニットは、前記プロジェクタと前記第１スクリーンと前記第１駆動機構とともに、
前記プロジェクタにより投影された映像を表示可能な第２スクリーン（フロントスクリーン機構Ｅ１）と、
前記第２スクリーンを駆動するための第２駆動機構（フロントスクリーン駆動機構Ｅ２）と、
前記第１スクリーン、前記第１駆動機構、前記第２スクリーン、及び、前記第２駆動機構を収容するスクリーン用筐体（スクリーン筐体Ｃ１０）とが、ユニット化されることにより構成されており、
前記第２スクリーンは、前記第２駆動機構により駆動されることにより、位置Ａ（フロント待機位置）から位置Ｂ（フロント露出位置）まで回動し、
前記第２スクリーンが前記位置Ｂ（フロント露出位置）にある場合、前記第２スクリーンに形成された突起（突起Ｅ３００ｂ）が前記スクリーン用筐体の底板（底板Ｃ１）に形成された凹部（緩衝部材設置部Ｃ３００）に収納されるとともに、該突起が該凹部に設けられた緩衝部材（緩衝部材Ｃ３２０）に当接する、
ことを特徴とする。
【１０４０】
（３８−１）  映像を投影することが可能なプロジェクタ（プロジェクタ機構Ｂ２）と、
前記プロジェクタにより投影された映像を表示可能な第１スクリーン（フロントスクリーン機構Ｅ１）と、
前記第１スクリーンを駆動するための駆動機構（フロントスクリーン駆動機構Ｅ２）と、
前記第１スクリーン及び前記駆動機構を収容するスクリーン用筐体（スクリーン筐体Ｃ１０）と、
前面に開口を有する本体部（キャビネットＧ）と、
前記本体部に対して開閉可能に取り付けられ、スクリーンに表示された映像を視認可能な表示領域（上側表示窓ＵＤ１）が設けられた開閉扉（上ドア機構ＵＤ）と、を備え、
前記第１スクリーンは、前記駆動機構により駆動されることにより、第１の位置（フロント待機位置）から第２の位置（フロント露出位置）まで回動し、
前記第１スクリーンが前記第２の位置（フロント露出位置）にある場合、前記第１スクリーンに形成された突起（突起Ｅ３００ｂ）が前記スクリーン用筐体の底板（底板Ｃ１）に形成された凹部（緩衝部材設置部Ｃ３００）に収納されるとともに、該突起が該凹部に設けられた緩衝部材（緩衝部材Ｃ３２０）に当接する、
ことを特徴とする遊技機。
【１０４１】
第４実施形態に係る遊技機１によれば、第１スクリーン（フロントスクリーン機構Ｅ１）に突起（突起Ｅ３００ｂ）が形成されている一方、スクリーン用筐体（スクリーン筐体Ｃ１０）の底板（底板Ｃ１）に凹部（緩衝部材設置部Ｃ３００）が形成されており、凹部（緩衝部材設置部Ｃ３００）には、緩衝部材（緩衝部材Ｃ３２０）が設けられている。そして、第１スクリーン（フロントスクリーン機構Ｅ１）が第２の位置（フロント露出位置）にある場合、第１スクリーン（フロントスクリーン機構Ｅ１）に形成された突起（突起Ｅ３００ｂ）が底板（底板Ｃ１）に形成された凹部（緩衝部材設置部Ｃ３００）に収納されるとともに、該突起（突起Ｅ３００ｂ）が該凹部（緩衝部材設置部Ｃ３００）に設けられた緩衝部材（緩衝部材Ｃ３２０）に当接する。従って、第１の位置（フロント待機位置）から回動を開始した第１スクリーン（フロントスクリーン機構Ｅ１）が、第２の位置（フロント露出位置）に到達する際、第１スクリーン（フロントスクリーン機構Ｅ１）の突起（突起Ｅ３００ｂ）と緩衝部材（緩衝部材Ｃ３２０）とが接触することで、当該接触に伴う衝撃を緩衝部材（緩衝部材Ｃ３２０）によって吸収することができる。これにより、接触に伴って第１スクリーン（フロントスクリーン機構Ｅ１）や底板（底板Ｃ１）等に加わる力を緩和することが可能であり、これらが損傷してしまうことを防止することができる。また、第１スクリーン（フロントスクリーン機構Ｅ１）に形成された突起（突起Ｅ３００ｂ）が底板（底板Ｃ１）に形成された凹部（緩衝部材設置部Ｃ３００）に収納されることとしているため、緩衝部材（緩衝部材Ｃ３２０）は該凹部（緩衝部材設置部Ｃ３００）に設ければ足り、第１スクリーン（フロントスクリーン機構Ｅ１）と底板（底板Ｃ１）との接触箇所全体に亘って緩衝部材を設ける必要がない。そのため、緩衝部材の量を少なくすることが可能であり、緩衝部材を使用することによるコストを抑えることができる。さらに、第１スクリーン（フロントスクリーン機構Ｅ１）に形成された突起（突起Ｅ３００ｂ）を底板（底板Ｃ１）に形成された凹部（緩衝部材設置部Ｃ３００）に収納することにより、該突起（突起Ｅ３００ｂ）が遊技者から見えないようにすることが可能であり、突起（突起Ｅ３００ｂ）の存在により見栄えが悪くなってしまうことを防止することができる。
【１０４２】
なお、突起は、凹部に完全に収納される必要はなく、突起の一部が凹部に収納されつつ突起の残り部分が凹部の外部に露出していてもよい。もっとも、上記のように、突起が遊技者から見えないようにするという観点からは、突起の大部分を凹部に収納するのが望ましく、例えば、遊技機を正面視したときに、突起の８０％以上（あるいは、９０％以上、９５％以上、９８％以上）が凹部に収納されて隠れた状態となるように、突起及び凹部を構成するとよい。
【１０４３】
（３８−２）  前記（３８−１）の遊技機であって、
前記第１スクリーンとは異なる第２スクリーン（固定スクリーン機構Ｄ）をさらに備え、
前記底板（底板Ｃ１）には、前記第２スクリーンを載置するための載置部（中央載置部Ｃ１１）が凹状に形成されており、
前記第２スクリーンは、前記載置部に嵌合された状態で、前記底板に載置されている、
ことを特徴とする。
【１０４４】
第４実施形態に係る遊技機１によれば、底板（底板Ｃ１）には、第２スクリーン（固定スクリーン機構Ｄ）を載置するための載置部（中央載置部Ｃ１１）が凹状に形成されており、第２スクリーン（固定スクリーン機構Ｄ）は、載置部（中央載置部Ｃ１１）に嵌合された状態で、底板（底板Ｃ１）に載置されている。従って、第１スクリーン（フロントスクリーン機構Ｅ１）と底板（底板Ｃ１）とが接触した際に衝撃が発生すると、当該衝撃は、第２スクリーン（固定スクリーン機構Ｄ）にも伝搬しやすくなっている。しかし、上述したように、第４実施形態に係る遊技機１によれば、第１スクリーン（フロントスクリーン機構Ｅ１）の突起（突起Ｅ３００ｂ）と緩衝部材（緩衝部材Ｃ３２０）とが接触することで、当該接触に伴う衝撃を緩衝部材（緩衝部材Ｃ３２０）によって吸収することができるため、第２スクリーン（固定スクリーン機構Ｄ）に衝撃が伝搬することを抑制し、第２スクリーン（固定スクリーン機構Ｄ）が破損してしまうことを防止することができる。
【１０４５】
また、従来、可動体を動作させることにより演出を行うことが可能な演出装置を搭載した遊技機が知られている（特開２０１３−０１３６８５号公報参照）。このような遊技機によれば、可動体の動きを通じて、液晶表示装置に表示された映像等だけでは得られ難い迫力のある演出を行うことができる。
【１０４６】
このような演出装置を搭載した遊技機は、可動体を駆動するための駆動機構を備えているが、駆動機構が適切な位置に配置されていなければ、可動体に対して駆動力を正確に伝達することができず、本来意図されている可動体の動きを実現することができなくなってしまう。
【１０４７】
本発明は、上記のような問題点に鑑みてなされたものであり、駆動機構を適切な位置に配置することが可能な遊技機を提供することを目的とする。
【１０４８】
この点、第４実施形態に係る遊技機１は、以下の特徴を備えている。
【１０４９】
（３９−１）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前記スクリーン及び前記駆動機構を収容するスクリーン用筐体（スクリーン筐体Ｃ１０）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、前記スクリーンに駆動力を伝達するための第１のギア（クランクギアＥ２１）及び第２のギア（中間ギアＥ２３）を備え、
前記第１のギア上の回動中心からずれた所定位置（偏心位置Ｅ２１ｂ）と前記第１のギアの回動中心とを結ぶ直線と、前記第１のギアの回動とは無関係な所定方向の直線とのなす角度（図１８９に示す角度∠ＥＯＸ）をθと表記し、前記第１のギアの回動に伴って、θの値がαからβまで変化した場合、前記スクリーンは、第１の位置（フロント露出位置）から第２の位置（フロント待機位置）まで回動し、
前記スクリーン用筐体（スクリーン筐体Ｃ１０の右側板Ｃ２及び左側板Ｃ３）には、前記第１のギア及び前記第２のギアの少なくとも一部を外部から視認可能な位置に開口（目印用窓Ｃ１００）が設けられており、
前記第１のギアがθ＝αの状態にある場合、前記第１のギアの回動中心（クランクギアＥ２１の中心Ｏ２１）と前記第２のギアの回動中心（中間ギアＥ２３の中心Ｏ２３）と前記第１のギアに形成された第１目印部（目印部Ｅ２１ｃ）と前記第２のギアに形成された第２目印部（目印部Ｅ２３ａ）とが、略一直線上に並ぶように、前記開口を介して前記第１目印部及び前記第２目印部が視認可能となっている、
ことを特徴とする遊技機。
【１０５０】
第４実施形態に係る遊技機１によれば、第１のギア（クランクギアＥ２１）の回動に伴って、角度θ（第１のギア上の回動中心（クランクギアＥ２１の中心Ｏ２１）からずれた所定位置（偏心位置Ｅ２１ｂ）と第１のギアの回動中心（クランクギアＥ２１の中心Ｏ２１）とを結ぶ直線と、第１のギア（クランクギアＥ２１）の回動とは無関係な所定方向（水平方向）の直線とのなす角度）（図１８９に示す角度∠ＥＯＸ）がαからβまで変化することにより、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、第１のギア（クランクギアＥ２１）がθ＝αの状態に配置される必要がある。
【１０５１】
一方で、第４実施形態に係る遊技機１によれば、第１のギア（クランクギアＥ２１）がθ＝αの状態にある場合、第１のギアの回動中心（クランクギアＥ２１の中心Ｏ２１）と第２のギアの回動中心（中間ギアＥ２３の中心Ｏ２３）と第１のギア（クランクギアＥ２１）に形成された第１目印部（目印部Ｅ２１ｃ）と第２のギア（中間ギアＥ２３）に形成された第２目印部（目印部Ｅ２３ａ）とが、略一直線上に並ぶように、スクリーン用筐体（右側板Ｃ２及び左側板Ｃ３）に設けられた開口（目印用窓Ｃ１００）を介して第１目印部（目印部Ｅ２１ｃ）及び第２目印部（目印部Ｅ２３ａ）が視認可能となる。そのため、第１のギア（クランクギアＥ２１）をθ＝αの状態に配置するためには、逆に、当該開口（目印用窓Ｃ１００）を介して第１目印部（目印部Ｅ２１ｃ）及び第２目印部（目印部Ｅ２３ａ）を視認しながら、第１のギアの回動中心（クランクギアＥ２１の中心Ｏ２１）と第２のギアの回動中心（中間ギアＥ２３の中心Ｏ２３）と第１目印部（目印部Ｅ２１ｃ）と第２目印部（目印部Ｅ２３ａ）とが、略一直線上に並ぶように、第１のギア（クランクギアＥ２１）と第２のギア（中間ギアＥ２３）とを配置すればよい。これにより、第１のギア（クランクギアＥ２１）をθ＝αの状態に配置することが可能となり、スクリーン（フロントスクリーン機構Ｅ１）に所望の動作を行わせることができる。
【１０５２】
（３９−２）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前記スクリーン及び前記駆動機構を収容するスクリーン用筐体（スクリーン筐体Ｃ１０）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、
前記スクリーンに連結されたアーム（クランク部材Ｅ２２）と、
前記アームに形成されたスライド溝（スライド溝Ｅ２２ｂ）に対して、前記スライド溝の内部を摺動可能なスライド部材（スライド部材Ｅ２６）を介して、モータから発生した駆動力を伝達する第１のギア（クランクギアＥ２１）と、
前記第１のギアに噛合され、モータから発生した駆動力を前記第１のギアに伝達する第２のギア（中間ギアＥ２３）と、を備え、
前記スライド部材は、前記第１のギア上の回動中心からずれた偏心位置（偏心位置Ｅ２１ｂ）に固定されており、前記第１のギアの回動に伴って、前記第１のギアの回動中心（図１８９に示す中心Ｏ２１）を中心とし、前記第１のギアの回動中心と前記偏心位置との距離（図１８９に示す距離ｒ）を半径とする円の円周上を回動し、
前記スライド部材が前記円周上の第１の所定位置（図１８９に示す角度∠ＥＯＸがαとなる位置）から第２の所定位置（図１８９に示す角度∠ＥＯＸがβとなる位置）まで回動した場合、前記アームは、前記スライド部材の回動に伴って、前記スライド部材が前記スライド溝の内部を摺動することにより前記スライド部材を介して前記スライド溝に駆動力が伝達されることと連動して回動する一方、前記スクリーンは、前記アームの回動に連動して第１の位置（フロント露出位置）から第２の位置（フロント待機位置）まで回動し、
前記スクリーン用筐体（スクリーン筐体Ｃ１０の右側板Ｃ２及び左側板Ｃ３）には、前記第１のギア及び前記第２のギアの少なくとも一部を外部から視認可能な位置に開口（目印用窓Ｃ１００）が設けられており、
前記スライド部材が前記円周上の前記第１の所定位置（図１８９に示す角度∠ＥＯＸがαとなる位置）にある場合、前記第１のギアの回動中心（クランクギアＥ２１の中心Ｏ２１）と前記第２のギアの回動中心（中間ギアＥ２３の中心Ｏ２３）と前記第１のギアに形成された第１目印部（目印部Ｅ２１ｃ）と前記第２のギアに形成された第２目印部（目印部Ｅ２３ａ）とが、略一直線上に並ぶように、前記開口を介して前記第１目印部及び前記第２目印部が視認可能となっている、
ことを特徴とする遊技機。
【１０５３】
第４実施形態に係る遊技機１によれば、スクリーン（フロントスクリーン機構Ｅ１）にアーム（クランク部材Ｅ２２）が連結されており、アーム（クランク部材Ｅ２２）にはスライド溝（スライド溝Ｅ２２ｂ）が形成されている。そして、第１のギア（クランクギアＥ２１）に固定されたスライド部材（スライド部材Ｅ２６）が、スライド溝（スライド溝Ｅ２２ｂ）の内部を摺動することができるようになっている。具体的に、スライド部材（スライド部材Ｅ２６）は、第１のギア（クランクギアＥ２１）上の回動中心からずれた偏心位置（偏心位置Ｅ２１ｂ）に固定されており、第１のギア（クランクギアＥ２１）の回動に伴って、第１のギアの回動中心（クランクギアＥ２１の中心Ｏ２１）を中心とし、第１のギアの回動中心（クランクギアＥ２１の中心Ｏ２１）と偏心位置（偏心位置Ｅ２１ｂ）との距離を半径とする円の円周上を回動する。スライド部材（スライド部材Ｅ２６）が当該円周上の第１の所定位置（図１８９に示す角度∠ＥＯＸがαとなる位置）から第２の所定位置（図１８９に示す角度∠ＥＯＸがβとなる位置）まで回動した場合、スライド部材（スライド部材Ｅ２６）の回動に伴って、スライド部材（スライド部材Ｅ２６）がスライド溝（スライド溝Ｅ２２ｂ）の内部を摺動することによりスライド部材（スライド部材Ｅ２６）を介してスライド溝（スライド溝Ｅ２２ｂ）に駆動力が伝達されることと連動して、アーム（クランク部材Ｅ２２）が回動する。そして、アーム（クランク部材Ｅ２２）の回動に連動して、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、スライド部材（スライド部材Ｅ２６）が当該円周上の第１の所定位置（図１８９に示す角度∠ＥＯＸがαとなる位置）に配置される必要がある。
【１０５４】
一方で、第４実施形態に係る遊技機１によれば、スライド部材（スライド部材Ｅ２６）が当該円周上の第１の所定位置（図１８９に示す角度∠ＥＯＸがαとなる位置）にある場合、第１のギアの回動中心（クランクギアＥ２１の中心Ｏ２１）と第２のギアの回動中心（中間ギアＥ２３の中心Ｏ２３）と第１のギア（クランクギアＥ２１）に形成された第１目印部（目印部Ｅ２１ｃ）と第２のギア（中間ギアＥ２３）に形成された第２目印部（目印部Ｅ２３ａ）とが、略一直線上に並ぶように、スクリーン用筐体（右側板Ｃ２及び左側板Ｃ３）に設けられた開口（目印用窓Ｃ１００）を介して第１目印部（目印部Ｅ２１ｃ）及び第２目印部（目印部Ｅ２３ａ）が視認可能となる。そのため、スライド部材（スライド部材Ｅ２６）を当該円周上の第１の所定位置（図１８９に示す角度∠ＥＯＸがαとなる位置）に配置するためには、逆に、当該開口（目印用窓Ｃ１００）を介して第１目印部（目印部Ｅ２１ｃ）及び第２目印部（目印部Ｅ２３ａ）を視認しながら、第１のギアの回動中心（クランクギアＥ２１の中心Ｏ２１）と第２のギアの回動中心（中間ギアＥ２３の中心Ｏ２３）と第１目印部（目印部Ｅ２１ｃ）と第２目印部（目印部Ｅ２３ａ）とが、略一直線上に並ぶように、第１のギア（クランクギアＥ２１）と第２のギア（中間ギアＥ２３）とを配置すればよい。これにより、スライド部材（スライド部材Ｅ２６）を当該円周上の第１の所定位置（図１８９に示す角度∠ＥＯＸがαとなる位置）に配置することができるため、スライド部材（スライド部材Ｅ２６）をスライド溝（スライド溝Ｅ２２ｂ）の内部を設計通りに摺動させることによってスクリーン（フロントスクリーン機構Ｅ１）に対して駆動力を正確に伝達することが可能となり、スクリーン（フロントスクリーン機構Ｅ１）に所望の動作を行わせることができる。
【１０５５】
（３９−３）  前記（３９−１）又は（３９−２）の遊技機であって、
前記スクリーンが前記第２の位置（フロント待機位置）にある場合、前記スクリーンは、前記スクリーン用筐体の底板（底板Ｃ１）から離間しているのに対し、前記スクリーンが前記第１の位置（フロント露出位置）にある場合、前記スクリーンは、前記底板（底板Ｃ１）によって支持される、
ことを特徴とする。
【１０５６】
第４実施形態に係る遊技機１によれば、スクリーン（フロントスクリーン機構Ｅ１）が第１の位置（フロント露出位置）にある場合、スクリーン（フロントスクリーン機構Ｅ１）は、スクリーン用筐体（スクリーン筐体Ｃ１０）の底板（底板Ｃ１）によって支持され、スクリーン（フロントスクリーン機構Ｅ１）が第２の位置（フロント待機位置）にある場合と比較して、安定した状態となっている。スクリーン（フロントスクリーン機構Ｅ１）をこのような安定な状態（第１の位置（フロント露出位置））に配置するためには、上述したように、第１のギアの回動中心（クランクギアＥ２１の中心Ｏ２１）と第２のギアの回動中心（中間ギアＥ２３の中心Ｏ２３）と第１目印部（目印部Ｅ２１ｃ）と第２目印部（目印部Ｅ２３ａ）との位置関係を利用することにより、第１のギア（クランクギアＥ２１）を配置すればよい。第４実施形態に係る遊技機１によれば、このような第１のギア（クランクギアＥ２１）の配置を通じて、スクリーン（フロントスクリーン機構Ｅ１）をより安定な状態に配置することができる。
【１０５７】
（４０−１）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、前記スクリーンに駆動力を伝達するためのギア（クランクギアＥ２１）を備え、
前記ギア上の回動中心からずれた所定位置（偏心位置Ｅ２１ｂ）と前記ギアの回動中心とを結ぶ直線と、前記ギアの回動とは無関係な所定方向の直線とのなす角度（図１８９に示す角度∠ＥＯＸ）をθと表記し、前記ギアの回動に伴って、θの値がαからβまで変化した場合、前記スクリーンは、第１の位置（フロント露出位置）から第２の位置（フロント待機位置）まで回動し、
前記ギア（クランクギアＥ２１）には、前記ギアを貫通する第１貫通孔（貫通孔Ｅ２１ｄ）が形成されており、
前記ギアがθ＝αの状態にある場合、前記第１貫通孔（貫通孔Ｅ２１ｄ）、及び、前記ギアの回動にかかわらず位置が固定された固定部材（右側板Ｃ２や右可動体ベースＣ５）を貫通するように形成された第２貫通孔（貫通孔Ｃ１０１）が、双方の貫通孔に棒状の物体を挿通させることが可能な位置関係で配置されている、
ことを特徴とする遊技機。
【１０５８】
第４実施形態に係る遊技機１によれば、ギア（クランクギアＥ２１）の回動に伴って、角度θ（ギア上の回動中心（クランクギアＥ２１の中心Ｏ２１）からずれた所定位置（偏心位置Ｅ２１ｂ）とギアの回動中心（クランクギアＥ２１の中心Ｏ２１）とを結ぶ直線と、ギア（クランクギアＥ２１）の回動とは無関係な所定方向（水平方向）の直線とのなす角度）（図１８９に示す角度∠ＥＯＸ）がαからβまで変化することにより、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、ギア（クランクギアＥ２１）がθ＝αの状態に配置される必要がある。
【１０５９】
一方で、第４実施形態に係る遊技機１によれば、ギア（クランクギアＥ２１）がθ＝αの状態にある場合、ギア（クランクギアＥ２１）に形成された第１貫通孔（貫通孔Ｅ２１ｄ）、及び、ギアの回動にかかわらず位置が固定された固定部材（右側板Ｃ２や右可動体ベースＣ５）を貫通するように形成された第２貫通孔（貫通孔Ｃ１０１）の双方に、棒状の物体を挿通させることにより、θの値がαから変化しないようにギア（クランクギアＥ２１）を固定することが可能である。そのため、ギアをθ＝αの状態に配置するためには、第１貫通孔（貫通孔Ｅ２１ｄ）の位置が、第１貫通孔（貫通孔Ｅ２１ｄ）及び第２貫通孔（貫通孔Ｃ１０１）の双方に棒状の物体を挿通させることができるような位置となるように、ギア（クランクギアＥ２１）の位置を調整すればよい。その状態で第１貫通孔（貫通孔Ｅ２１ｄ）及び第２貫通孔（貫通孔Ｃ１０１）の双方に棒状の物体を挿通させてギア（クランクギアＥ２１）を固定することにより、ギアをθ＝αの状態に固定配置することができる。その結果、スクリーン（フロントスクリーン機構Ｅ１）に所望の動作を行わせることができる。
【１０６０】
（４０−２）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、
前記スクリーンに連結されたアーム（クランク部材Ｅ２２）と、
前記アームに形成されたスライド溝（スライド溝Ｅ２２ｂ）に対して、前記スライド溝の内部を摺動可能なスライド部材（スライド部材Ｅ２６）を介して、モータから発生した駆動力を伝達するギア（クランクギアＥ２１）と、を備え、
前記スライド部材は、前記ギア上の回動中心からずれた偏心位置（偏心位置Ｅ２１ｂ）に固定されており、前記ギアの回動に伴って、前記ギアの回動中心（図１８９に示す中心Ｏ２１）を中心とし、前記ギアの回動中心と前記偏心位置との距離（図１８９に示す距離ｒ）を半径とする円の円周上を回動し、
前記スライド部材が前記円周上の第１の所定位置（図１８９に示す角度∠ＥＯＸがαとなる位置）から第２の所定位置（図１８９に示す角度∠ＥＯＸがβとなる位置）まで回動した場合、前記アームは、前記スライド部材の回動に伴って、前記スライド部材が前記スライド溝の内部を摺動することにより前記スライド部材を介して前記スライド溝に駆動力が伝達されることと連動して回動する一方、前記スクリーンは、前記アームの回動に連動して第１の位置（フロント露出位置）から第２の位置（フロント待機位置）まで回動し、
前記ギア（クランクギアＥ２１）には、前記ギアを貫通する第１貫通孔（貫通孔Ｅ２１ｄ）が形成されており、
前記スライド部材が前記円周上の前記第１の所定位置（図１８９に示す角度∠ＥＯＸがαとなる位置）にある場合、前記第１貫通孔（貫通孔Ｅ２１ｄ）、及び、前記ギアの回動にかかわらず位置が固定された固定部材（右側板Ｃ２や右可動体ベースＣ５）を貫通するように形成された第２貫通孔（貫通孔Ｃ１０１）が、双方の貫通孔に棒状の物体を挿通させることが可能な位置関係で配置されている、
ことを特徴とする遊技機。
【１０６１】
第４実施形態に係る遊技機１によれば、スクリーン（フロントスクリーン機構Ｅ１）にアーム（クランク部材Ｅ２２）が連結されており、アーム（クランク部材Ｅ２２）にはスライド溝（スライド溝Ｅ２２ｂ）が形成されている。そして、ギア（クランクギアＥ２１）に固定されたスライド部材（スライド部材Ｅ２６）が、スライド溝（スライド溝Ｅ２２ｂ）の内部を摺動することができるようになっている。具体的に、スライド部材（スライド部材Ｅ２６）は、ギア（クランクギアＥ２１）上の回動中心からずれた偏心位置（偏心位置Ｅ２１ｂ）に固定されており、ギア（クランクギアＥ２１）の回動に伴って、ギアの回動中心（クランクギアＥ２１の中心Ｏ２１）を中心とし、ギアの回動中心（クランクギアＥ２１の中心Ｏ２１）と偏心位置（偏心位置Ｅ２１ｂ）との距離を半径とする円の円周上を回動する。スライド部材（スライド部材Ｅ２６）が当該円周上の第１の所定位置（図１８９に示す角度∠ＥＯＸがαとなる位置）から第２の所定位置（図１８９に示す角度∠ＥＯＸがβとなる位置）まで回動した場合、スライド部材（スライド部材Ｅ２６）の回動に伴って、スライド部材（スライド部材Ｅ２６）がスライド溝（スライド溝Ｅ２２ｂ）の内部を摺動することによりスライド部材（スライド部材Ｅ２６）を介してスライド溝（スライド溝Ｅ２２ｂ）に駆動力が伝達されることと連動して、アーム（クランク部材Ｅ２２）が回動する。そして、アーム（クランク部材Ｅ２２）の回動に連動して、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、スライド部材（スライド部材Ｅ２６）が当該円周上の第１の所定位置（図１８９に示す角度∠ＥＯＸがαとなる位置）に配置される必要がある。
【１０６２】
一方で、第４実施形態に係る遊技機１によれば、スライド部材（スライド部材Ｅ２６）が当該円周上の第１の所定位置（図１８９に示す角度∠ＥＯＸがαとなる位置）にある場合、ギア（クランクギアＥ２１）に形成された第１貫通孔（貫通孔Ｅ２１ｄ）、及び、ギアの回動にかかわらず位置が固定された固定部材（右側板Ｃ２や右可動体ベースＣ５）を貫通するように形成された第２貫通孔（貫通孔Ｃ１０１）の双方に、棒状の物体を挿通させることにより、スライド部材（スライド部材Ｅ２６）の位置が第１の所定位置（図１８９に示す角度∠ＥＯＸがαとなる位置）から動かないようにギア（クランクギアＥ２１）を固定することが可能である。そのため、スライド部材（スライド部材Ｅ２６）を当該円周上の第１の所定位置（図１８９に示す角度∠ＥＯＸがαとなる位置）に配置するためには、第１貫通孔（貫通孔Ｅ２１ｄ）の位置が、第１貫通孔（貫通孔Ｅ２１ｄ）及び第２貫通孔（貫通孔Ｃ１０１）の双方に棒状の物体を挿通させることができるような位置となるように、ギア（クランクギアＥ２１）の位置を調整すればよい。その状態で第１貫通孔（貫通孔Ｅ２１ｄ）及び第２貫通孔（貫通孔Ｃ１０１）の双方に棒状の物体を挿通させてギア（クランクギアＥ２１）を固定することにより、スライド部材（スライド部材Ｅ２６）を当該円周上の第１の所定位置（図１８９に示す角度∠ＥＯＸがαとなる位置）に固定配置することができる。その結果、スライド部材（スライド部材Ｅ２６）をスライド溝（スライド溝Ｅ２２ｂ）の内部を設計通りに摺動させることによってスクリーン（フロントスクリーン機構Ｅ１）に対して駆動力を正確に伝達することが可能となり、スクリーン（フロントスクリーン機構Ｅ１）に所望の動作を行わせることができる。
【１０６３】
（４０−３）  前記（４０−２）の遊技機であって、
前記固定部材（右側板Ｃ２）は、前記ギア（クランクギアＥ２１）の面と略平行に配置された板であり、
前記スライド部材が前記円周上の前記第１の所定位置（図１８９に示す角度∠ＥＯＸがαとなる位置）にある場合において、前記ギア及び前記板を前記ギアの面に対して垂直な方向から見たとき、前記第１貫通孔（貫通孔Ｅ２１ｄ）と前記第２貫通孔（貫通孔Ｃ１０１）とが重なっている、
ことを特徴とする。
【１０６４】
第４実施形態に係る遊技機１によれば、スライド部材（スライド部材Ｅ２６）が円周上の第１の所定位置（図１８９に示す角度∠ＥＯＸがαとなる位置）にある場合、第１貫通孔（貫通孔Ｅ２１ｄ）と第２貫通孔（貫通孔Ｃ１０１）とが重なっている。従って、スライド部材（スライド部材Ｅ２６）を当該円周上の第１の所定位置（図１８９に示す角度∠ＥＯＸがαとなる位置）に配置するためには、第１貫通孔（貫通孔Ｅ２１ｄ）と第２貫通孔（貫通孔Ｃ１０１）とが重なるように、ギア（クランクギアＥ２１）の位置を調整すればよい。その状態で第２貫通孔（貫通孔Ｃ１０１）に棒状の物体を挿通させると、当該棒状の物体は、第１貫通孔（貫通孔Ｅ２１ｄ）も挿通することとなる。これにより、ギア（クランクギアＥ２１）が固定され、スライド部材（スライド部材Ｅ２６）を当該円周上の第１の所定位置（図１８９に示す角度∠ＥＯＸがαとなる位置）に固定配置することができる。
【１０６５】
（４１−１）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前記スクリーン及び前記駆動機構を収容するスクリーン用筐体（スクリーン筐体Ｃ１０）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、前記スクリーンに駆動力を伝達するための第１のギア（クランクギアＥ２１）を備え、
前記第１のギア上の回動中心からずれた所定位置（偏心位置Ｅ２１ｂ）と前記第１のギアの回動中心とを結ぶ直線と、前記第１のギアの回動とは無関係な所定方向の直線とのなす角度（図１８９に示す角度∠ＥＯＸ）をθと表記し、前記第１のギアの回動に伴って、θの値がαからβまで変化した場合、前記スクリーンは、第１の位置（フロント露出位置）から第２の位置（フロント待機位置）まで回動し、
前記第１のギア（クランクギアＥ２１）には、前記第１のギアを貫通する第１貫通孔（貫通孔Ｅ２１ｄ）が形成されており、
前記スクリーン用筐体を構成する板（右側板Ｃ２及び左側板Ｃ３）には、該板を貫通する第２貫通孔（貫通孔Ｃ１０１）が形成されており、
前記第１のギアがθ＝αの状態にある場合において、前記第１のギア及び前記板を前記板の面に対して垂直な方向から見たとき、前記第１貫通孔と前記第２貫通孔とが重なっている、
ことを特徴とする遊技機。
【１０６６】
第４実施形態に係る遊技機１によれば、第１のギア（クランクギアＥ２１）の回動に伴って、角度θ（第１のギア上の回動中心（クランクギアＥ２１の中心Ｏ２１）からずれた所定位置（偏心位置Ｅ２１ｂ）と第１のギアの回動中心（クランクギアＥ２１の中心Ｏ２１）とを結ぶ直線と、第１のギア（クランクギアＥ２１）の回動とは無関係な所定方向（水平方向）の直線とのなす角度）（図１８９に示す角度∠ＥＯＸ）がαからβまで変化することにより、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、第１のギア（クランクギアＥ２１）がθ＝αの状態に配置される必要がある。
【１０６７】
一方で、第４実施形態に係る遊技機１によれば、第１のギア（クランクギアＥ２１）がθ＝αの状態にある場合、第１のギア（クランクギアＥ２１）に形成された第１貫通孔（貫通孔Ｅ２１ｄ）とスクリーン用筐体（スクリーン筐体Ｃ１０）を構成する板（右側板Ｃ２及び左側板Ｃ３）に形成された第２貫通孔（貫通孔Ｃ１０１）とが重なっている。従って、第１のギア（クランクギアＥ２１）をθ＝αの状態に配置するためには、逆に、第１貫通孔（貫通孔Ｅ２１ｄ）と第２貫通孔（貫通孔Ｃ１０１）とが重なるように、第１のギア（クランクギアＥ２１）の位置を調整すればよい。その状態で、例えば、第２貫通孔（貫通孔Ｃ１０１）に棒状の物体を挿通させると、当該棒状の物体は、第１貫通孔（貫通孔Ｅ２１ｄ）も挿通することとなる。これにより、第１のギア（クランクギアＥ２１）が固定され、第１のギア（クランクギアＥ２１）をθ＝αの状態に固定配置することができる。その結果、スクリーン（フロントスクリーン機構Ｅ１）に所望の動作を行わせることができる。
【１０６８】
（４１−２）  映像を投影することが可能なプロジェクタ（プロジェクタ機構Ｂ２）と、
前記プロジェクタにより投影された映像を表示可能なスクリーン（フロントスクリーン機構Ｅ１）と、
前記スクリーンを駆動するための駆動機構（フロントスクリーン駆動機構Ｅ２）と、
前記スクリーン及び前記駆動機構を収容するスクリーン用筐体（スクリーン筐体Ｃ１０）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記駆動機構（フロントスクリーン駆動機構Ｅ２）は、
前記スクリーンに連結されたアーム（クランク部材Ｅ２２）と、
前記アームに形成されたスライド溝（スライド溝Ｅ２２ｂ）に対して、前記スライド溝の内部を摺動可能なスライド部材（スライド部材Ｅ２６）を介して、モータから発生した駆動力を伝達する第１のギア（クランクギアＥ２１）と、を備え、
前記スライド部材は、前記第１のギア上の回動中心からずれた偏心位置（偏心位置Ｅ２１ｂ）に固定されており、前記第１のギアの回動に伴って、前記第１のギアの回動中心（図１８９に示す中心Ｏ２１）を中心とし、前記第１のギアの回動中心と前記偏心位置との距離（図１８９に示す距離ｒ）を半径とする円の円周上を回動し、
前記スライド部材が前記円周上の第１の所定位置（図１８９に示す角度∠ＥＯＸがαとなる位置）から第２の所定位置（図１８９に示す角度∠ＥＯＸがβとなる位置）まで回動した場合、前記アームは、前記スライド部材の回動に伴って、前記スライド部材が前記スライド溝の内部を摺動することにより前記スライド部材を介して前記スライド溝に駆動力が伝達されることと連動して回動する一方、前記スクリーンは、前記アームの回動に連動して第１の位置（フロント露出位置）から第２の位置（フロント待機位置）まで回動し、
前記第１のギア（クランクギアＥ２１）には、前記第１のギアを貫通する第１貫通孔（貫通孔Ｅ２１ｄ）が形成されており、
前記スクリーン用筐体を構成する板（右側板Ｃ２及び左側板Ｃ３）には、該板を貫通する第２貫通孔（貫通孔Ｃ１０１）が形成されており、
前記スライド部材が前記円周上の前記第１の所定位置（図１８９に示す角度∠ＥＯＸがαとなる位置）にある場合において、前記第１のギア及び前記板を前記板の面に対して垂直な方向から見たとき、前記第１貫通孔と前記第２貫通孔とが重なっている、
ことを特徴とする遊技機。
【１０６９】
第４実施形態に係る遊技機１によれば、スクリーン（フロントスクリーン機構Ｅ１）にアーム（クランク部材Ｅ２２）が連結されており、アーム（クランク部材Ｅ２２）にはスライド溝（スライド溝Ｅ２２ｂ）が形成されている。そして、第１のギア（クランクギアＥ２１）に固定されたスライド部材（スライド部材Ｅ２６）が、スライド溝（スライド溝Ｅ２２ｂ）の内部を摺動することができるようになっている。具体的に、スライド部材（スライド部材Ｅ２６）は、第１のギア（クランクギアＥ２１）上の回動中心からずれた偏心位置（偏心位置Ｅ２１ｂ）に固定されており、第１のギア（クランクギアＥ２１）の回動に伴って、第１のギアの回動中心（クランクギアＥ２１の中心Ｏ２１）を中心とし、第１のギアの回動中心（クランクギアＥ２１の中心Ｏ２１）と偏心位置（偏心位置Ｅ２１ｂ）との距離を半径とする円の円周上を回動する。スライド部材（スライド部材Ｅ２６）が当該円周上の第１の所定位置（図１８９に示す角度∠ＥＯＸがαとなる位置）から第２の所定位置（図１８９に示す角度∠ＥＯＸがβとなる位置）まで回動した場合、スライド部材（スライド部材Ｅ２６）の回動に伴って、スライド部材（スライド部材Ｅ２６）がスライド溝（スライド溝Ｅ２２ｂ）の内部を摺動することによりスライド部材（スライド部材Ｅ２６）を介してスライド溝（スライド溝Ｅ２２ｂ）に駆動力が伝達されることと連動して、アーム（クランク部材Ｅ２２）が回動する。そして、アーム（クランク部材Ｅ２２）の回動に連動して、スクリーン（フロントスクリーン機構Ｅ１）が第１の位置（フロント露出位置）から第２の位置（フロント待機位置）まで回動する。従って、スクリーン（フロントスクリーン機構Ｅ１）を第１の位置（フロント露出位置）から第２の位置（フロント待機位置）まで回動させるためには、当該回動の開始時点において、スライド部材（スライド部材Ｅ２６）が当該円周上の第１の所定位置（図１８９に示す角度∠ＥＯＸがαとなる位置）に配置される必要がある。
【１０７０】
一方で、第４実施形態に係る遊技機１によれば、スライド部材（スライド部材Ｅ２６）が当該円周上の第１の所定位置（図１８９に示す角度∠ＥＯＸがαとなる位置）にある場合、第１のギア（クランクギアＥ２１）に形成された第１貫通孔（貫通孔Ｅ２１ｄ）とスクリーン用筐体（スクリーン筐体Ｃ１０）を構成する板（右側板Ｃ２及び左側板Ｃ３）に形成された第２貫通孔（貫通孔Ｃ１０１）とが重なっている。従って、スライド部材（スライド部材Ｅ２６）を当該円周上の第１の所定位置（図１８９に示す角度∠ＥＯＸがαとなる位置）に配置するためには、逆に、第１貫通孔（貫通孔Ｅ２１ｄ）と第２貫通孔（貫通孔Ｃ１０１）とが重なるように、第１のギア（クランクギアＥ２１）の位置を調整すればよい。その状態で、例えば、第２貫通孔（貫通孔Ｃ１０１）に棒状の物体を挿通させると、当該棒状の物体は、第１貫通孔（貫通孔Ｅ２１ｄ）も挿通することとなる。これにより、第１のギア（クランクギアＥ２１）が固定され、スライド部材（スライド部材Ｅ２６）を当該円周上の第１の所定位置（図１８９に示す角度∠ＥＯＸがαとなる位置）に固定配置することができる。その結果、スライド部材（スライド部材Ｅ２６）をスライド溝（スライド溝Ｅ２２ｂ）の内部を設計通りに摺動させることによってスクリーン（フロントスクリーン機構Ｅ１）に対して駆動力を正確に伝達することが可能となり、スクリーン（フロントスクリーン機構Ｅ１）に所望の動作を行わせることができる。
【１０７１】
（４１−３）  前記（４１−２）の遊技機であって、
前記第１のギアに噛合され、モータから発生した駆動力を前記第１のギアに伝達する第２のギア（中間ギアＥ２３）を、さらに備え、
前記スクリーン用筐体（スクリーン筐体Ｃ１０の右側板Ｃ２及び左側板Ｃ３）には、前記第１のギア及び前記第２のギアの少なくとも一部を外部から視認可能な位置に開口（目印用窓Ｃ１００）が設けられており、
前記スライド部材が前記円周上の前記第１の所定位置（図１８９に示す角度∠ＥＯＸがαとなる位置）にある場合、前記第１のギアの回動中心（クランクギアＥ２１の中心Ｏ２１）と前記第２のギアの回動中心（中間ギアＥ２３の中心Ｏ２３）と前記第１のギアに形成された第１目印部（目印部Ｅ２１ｃ）と前記第２のギアに形成された第２目印部（目印部Ｅ２３ａ）とが、略一直線上に並ぶように、前記開口を介して前記第１目印部及び前記第２目印部が視認可能となっている、
ことを特徴とする。
【１０７２】
上述したように、第４実施形態に係る遊技機１によれば、第１貫通孔（貫通孔Ｅ２１ｄ）と第２貫通孔（貫通孔Ｃ１０１）とが重なるように第１のギア（クランクギアＥ２１）の位置を調整することにより、スライド部材（スライド部材Ｅ２６）を上記円周上の第１の所定位置（図１８９に示す角度∠ＥＯＸがαとなる位置）に配置することができる。もっとも、第１のギア（クランクギアＥ２１）を闇雲に回転させても、第１貫通孔（貫通孔Ｅ２１ｄ）と第２貫通孔（貫通孔Ｃ１０１）とがなかなか重ならない可能性がある。また、第１貫通孔（貫通孔Ｅ２１ｄ）と第２貫通孔（貫通孔Ｃ１０１）とが重なっているか否かを目視で確認するのは困難である可能性もある。
【１０７３】
この点、第４実施形態に係る遊技機１によれば、スライド部材（スライド部材Ｅ２６）が当該円周上の第１の所定位置（図１８９に示す角度∠ＥＯＸがαとなる位置）にある場合、第１のギアの回動中心（クランクギアＥ２１の中心Ｏ２１）と第２のギアの回動中心（中間ギアＥ２３の中心Ｏ２３）と第１のギア（クランクギアＥ２１）に形成された第１目印部（目印部Ｅ２１ｃ）と第２のギア（中間ギアＥ２３）に形成された第２目印部（目印部Ｅ２３ａ）とが、略一直線上に並ぶように、スクリーン用筐体（右側板Ｃ２及び左側板Ｃ３）に設けられた開口（目印用窓Ｃ１００）を介して第１目印部（目印部Ｅ２１ｃ）及び第２目印部（目印部Ｅ２３ａ）が視認可能となる。従って、第１のギアの回動中心（クランクギアＥ２１の中心Ｏ２１）と第２のギアの回動中心（中間ギアＥ２３の中心Ｏ２３）と第１目印部（目印部Ｅ２１ｃ）と第２目印部（目印部Ｅ２３ａ）とが、略一直線上に並んだとき、第１貫通孔（貫通孔Ｅ２１ｄ）と第２貫通孔（貫通孔Ｃ１０１）とが重なることとなる。そのため、第１貫通孔（貫通孔Ｅ２１ｄ）と第２貫通孔（貫通孔Ｃ１０１）とを重ならせるためには、当該開口（目印用窓Ｃ１００）を介して第１目印部（目印部Ｅ２１ｃ）及び第２目印部（目印部Ｅ２３ａ）を視認しながら、第１のギアの回動中心（クランクギアＥ２１の中心Ｏ２１）と第２のギアの回動中心（中間ギアＥ２３の中心Ｏ２３）と第１目印部（目印部Ｅ２１ｃ）と第２目印部（目印部Ｅ２３ａ）とが、略一直線上に並ぶように、第１のギア（クランクギアＥ２１）及び第２のギア（中間ギアＥ２３）の位置を調整すればよい。このようにすることで、比較的容易に、第１貫通孔（貫通孔Ｅ２１ｄ）と第２貫通孔（貫通孔Ｃ１０１）とが重なった状態にすることが可能であり、スライド部材（スライド部材Ｅ２６）を上記円周上の第１の所定位置（図１８９に示す角度∠ＥＯＸがαとなる位置）に配置することができる。
【１０７４】
また、従来、映像をスクリーンに投影することにより演出を行うことが可能な遊技機が知られている（特開２０１２−１４７８２８号公報参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【１０７５】
このようなスクリーンを用いて演出を行う遊技機においては、スクリーンが適切な位置に配置されることが重要である。すなわち、スクリーンが適切な位置に配置されていなければ、プロジェクタ等の投影装置により投影された映像とスクリーンの表示面との間にずれが生じることとなり、このような場合には演出内容が違和感のあるものとなってしまう。
【１０７６】
本発明は、上記のような問題点に鑑みてなされたものであり、スクリーンを用いて演出を行う遊技機において演出の精度を高めることを目的とする。
【１０７７】
この点、第４実施形態に係る遊技機１は、以下の特徴を備えている。
【１０７８】
（４２−１）  映像を投影することが可能なプロジェクタ（プロジェクタ機構Ｂ２）と、
前記プロジェクタにより投影された映像を表示可能な表示面（投影面Ｅ１１ａ）を有するスクリーン（フロントスクリーン機構Ｅ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記スクリーン（フロントスクリーン機構Ｅ１）は、前記表示面を有する第１の部材（フロントスクリーン部材Ｅ１１）と、前記第１の部材に粘着された第２の部材（フロントスクリーン支持台Ｅ１２）と、により形成されており、
前記第２の部材（フロントスクリーン支持台Ｅ１２）には、前記第１の部材と粘着されている側から他方の側まで貫通する孔（貫通孔Ｅ１３０）が形成されている、
ことを特徴とする遊技機。
【１０７９】
第４実施形態に係る遊技機１によれば、スクリーン（フロントスクリーン機構Ｅ１）は、表示面（投影面Ｅ１１ａ）を有する第１の部材（フロントスクリーン部材Ｅ１１）とは別途、第２の部材（フロントスクリーン支持台Ｅ１２）を備えており、第１の部材（フロントスクリーン部材Ｅ１１）と第２の部材（フロントスクリーン支持台Ｅ１２）とが粘着されることにより形成されている。そして、第２の部材（フロントスクリーン支持台Ｅ１２）には、第１の部材（フロントスクリーン部材Ｅ１１）と粘着されている側から他方の側まで貫通する孔（貫通孔Ｅ１３０）が形成されている。従って、第１の部材（フロントスクリーン部材Ｅ１１）と第２の部材（フロントスクリーン支持台Ｅ１２）とを粘着させた後であっても、当該孔（貫通孔Ｅ１３０）に棒状の物等を挿入して、第１の部材（フロントスクリーン部材Ｅ１１）を持ち上げることにより、第１の部材（フロントスクリーン部材Ｅ１１）を容易に取り外すことができる。そのため、第１の部材（フロントスクリーン部材Ｅ１１）（表示面（投影面Ｅ１１ａ））が適切な位置からずれた状態で第１の部材（フロントスクリーン部材Ｅ１１）と第２の部材（フロントスクリーン支持台Ｅ１２）とが粘着されている場合であっても、第１の部材（フロントスクリーン部材Ｅ１１）を第２の部材（フロントスクリーン支持台Ｅ１２）からいったん取り外して、再度第１の部材（フロントスクリーン部材Ｅ１１）と第２の部材（フロントスクリーン支持台Ｅ１２）とを粘着させることにより、第１の部材（フロントスクリーン部材Ｅ１１）（表示面（投影面Ｅ１１ａ））の位置を微調整することができる。これにより、表示面（投影面Ｅ１１ａ）を適切な位置に配置することか可能となり、スクリーン（フロントスクリーン機構Ｅ１）を用いた演出の精度を高めることができる。
【１０８０】
（４２−２）  前記（４２−１）の遊技機であって、
前記スクリーン（フロントスクリーン機構Ｅ１）は、駆動機構（フロントスクリーン駆動機構Ｅ２）により駆動されることにより、第１の位置（フロント待機位置）と第２の位置（フロント露出位置）との間で動作を行い、
前記スクリーンが前記第２の位置（フロント露出位置）にある場合、前記プロジェクタにより投影された映像が前記スクリーンに表示される一方、前記スクリーンが前記第１の位置（フロント待機位置）にある場合、前記スクリーンは、前記第２の部材における前記他方の側の面（第２模様面Ｅ１２ｂ）が前記表示領域を介して視認可能なように配置され、
前記第２の部材における前記他方の側の面（第２模様面Ｅ１２ｂ）には、凹凸を有する模様が形成されており、
前記孔は、前記模様を構成する凹凸のうち凹んでいる部分に形成されている、
ことを特徴とする。
【１０８１】
第４実施形態に係る遊技機１によれば、スクリーン（フロントスクリーン機構Ｅ１）が第１の位置（フロント待機位置）にある場合、スクリーン（フロントスクリーン機構Ｅ１）は、第２の部材（フロントスクリーン支持台Ｅ１２）における上記他方の側（第１の部材（フロントスクリーン部材Ｅ１１）と粘着されている側とは反対側）の面（スクリーンの裏面（第２模様面Ｅ１２ｂ））が表示領域（上側表示窓ＵＤ１）を介して視認可能なように配置される。ここで、上記のように、第２の部材（フロントスクリーン支持台Ｅ１２）に形成された孔（貫通孔Ｅ１３０）は、第１の部材（フロントスクリーン部材Ｅ１１）と粘着されている側から他方の側まで貫通しているため、スクリーン（フロントスクリーン機構Ｅ１）が第１の位置（フロント待機位置）にある場合、スクリーン（フロントスクリーン機構Ｅ１）の裏面（第２模様面Ｅ１２ｂ）が表示領域（上側表示窓ＵＤ１）を介して視認可能となるのに伴い、第２の部材（フロントスクリーン支持台Ｅ１２）に形成された孔（貫通孔Ｅ１３０）もまた、遊技者の視界に入ることとなる。このような孔（貫通孔Ｅ１３０）が遊技者に視認されてしまえば、遊技機の美観が損なわれ、遊技の興趣が低下してしまいかねない。この点、第４実施形態に係る遊技機１によれば、第２の部材（フロントスクリーン支持台Ｅ１２）における上記他方の側（第１の部材（フロントスクリーン部材Ｅ１１）と粘着されている側とは反対側）の面（第２模様面Ｅ１２ｂ）には、模様が形成されている。これにより、第２の部材（フロントスクリーン支持台Ｅ１２）に形成された孔（貫通孔Ｅ１３０）を模様に紛れさせて外観上目立たなくすることが可能であり、遊技機の美観を維持するとともに、遊技の興趣が低下してしまうことを防止することができる。とりわけ、当該模様は、凹凸を有しており、当該孔（貫通孔Ｅ１３０）は、模様を構成する凹凸のうち凹んでいる部分に形成されている。これにより、当該孔（貫通孔Ｅ１３０）は、第２の部材（フロントスクリーン支持台Ｅ１２）における上記他方の側（第１の部材（フロントスクリーン部材Ｅ１１）と粘着されている側とは反対側）の面（第２模様面Ｅ１２ｂ）における奥まった箇所に存在することとなるため、当該孔（貫通孔Ｅ１３０）が遊技者に視認されにくい状況を創出することができる。
【１０８２】
［第５実施形態］
以上、第１実施形態〜第４実施形態について説明した。以下、第５実施形態について説明する。第５実施形態に係る遊技機１の基本的な構成は、第２実施形態〜第４実施形態に係る遊技機１と同じである。以下においては、第２実施形態〜第４実施形態に係る遊技機１の構成要素と同一の構成要素には、同一の符号を付して説明することとする。また、第２実施形態〜第４実施形態における説明が第５実施形態においても当てはまる部分については、説明を省略することとする。
【１０８３】
＜照射光装置Ｂ＞
図２３０は、照射光装置の分解斜視図である。
【１０８４】
図２３０に示すように、照射光装置Ｂは、照射光を前方に出射するプロジェクタ機構Ｂ２と、プロジェクタ機構Ｂ２の前方に配置され、プロジェクタ機構Ｂ２からの照射光を斜め下後方に配置されたスクリーン装置Ｃ方向に反射するミラー機構Ｂ３と、プロジェクタ機構Ｂ２及びミラー機構Ｂ３を収容したプロジェクタカバーＢ１とを有している。
【１０８５】
なお、スクリーン装置Ｃの構成は、第２実施形態及び第４実施形態で説明した通りであるため、本実施形態では説明を省略する。
【１０８６】
＜プロジェクタ機構Ｂ２の電気的及び光学的構成＞
図２３１は、プロジェクタ機構の回路構成を示すブロック図である。
【１０８７】
図２３１に示すように、プロジェクタ機構Ｂ２は、電気的な構成要素として、プロジェクタ制御基板Ｂ２３、光学機構Ｂ２４、及び中継基板ＣＫを備えている。プロジェクタ機構Ｂ２には、中継基板ＣＫを介してサブ制御装置ＳＳ（図１４８参照）が接続される。サブ制御装置ＳＳは、スクリーンや役物の演出動作に応じて、プロジェクタ制御基板Ｂ２３を制御し、光学機構Ｂ２４を介して、スクリーンや役物に照射光を投影することにより、視覚的な演出として映像を表示する。また、表示ユニットＡの組み立て工程等においては、プロジェクタ機構Ｂ２の中継基板ＣＫに調整用ＰＣ（パーソナルコンピュータ）１０００が接続される。この調整用ＰＣ（パーソナルコンピュータ）１０００は、プロジェクタ機構Ｂ２により投影される照射光の位置調整やピント初期設定を行うために用いられる（詳細については後述する）。なお、本実施形態においては、プロジェクタ機構Ｂ２の調整機器として調整用ＰＣ１０００を採用しているが、プロジェクタ機構Ｂ２の調整機器としては、調整用プログラム（アプリケーションソフト）がインストールされたタブレットＰＣやいわゆるスマートフォン、あるいは専用の端末装置であってもよい。
【１０８８】
プロジェクタ制御基板Ｂ２３は、制御ＬＳＩ２３０、ＥＥＰＲＯＭ（登録商標）２３１、ＤＬＰ（登録商標）制御回路２３２、及びＬＥＤドライバ２３３を備える。光学機構Ｂ２４は、レンズユニットＢ２１（図２３２参照）の周辺に配置される構成要素として、Ｒ（赤）、Ｇ（緑）、Ｂ（青）の各色光を発するＬＥＤ光源、ＤＭＤ、レンズユニットＢ２１の投射レンズ２１０についてフォーカス調整を行うためのフォーカス機構等を備える（図示せず）。
【１０８９】
制御ＬＳＩ２３０は、サブ制御装置ＳＳの指令に基づいて、照射光を投影するようにＤＬＰ制御回路２３２を制御する。制御ＬＳＩ２３０は、サブ制御装置ＳＳの指令に基づいて、フォーカス機構を制御して投射レンズ２１０を光軸方向に移動させることにより、照射光の投影に際してフォーカス調整を行う。ＥＥＰＲＯＭ２３１には、制御ＬＳＩ２３０による制御プログラムやプロジェクタ機構Ｂ２の設定・調整に関わるデータが記憶されている。
【１０９０】
プロジェクタ機構Ｂ２のＤＬＰシステムは、主として、ＤＬＰ制御回路２３２、ＬＥＤドライバ、並びに光学機構Ｂ２４のＬＥＤ光源及びＤＭＤにより構成される。
【１０９１】
ＤＬＰ制御回路２３２の制御により、ＤＭＤで所定方向に反射した光は、レンズユニットＢ２１へと進み、投射レンズ２１０を透過することでミラー機構Ｂ３に入射し、最終的にミラー機構Ｂ３で反射することによって投影対象へと導かれる。これにより、投影対象となるスクリーンや役物に対して照射光が投影され、演出に応じた映像が形成される。
【１０９２】
本実施形態において、プロジェクタ機構Ｂ２は、いわゆるＤＬＰプロジェクタとして構成される。また、プロジェクタ機構Ｂ２は、ミラー機構Ｂ３によって照射光を折り返すことにより投影対象までの投影距離を稼ぐとともに、例えばコントラスト比を１０００：１とすることによって、照射光の投影距離をできるだけ短くするようにしている。これにより、プロジェクタ機構Ｂ２を備えた表示ユニットＡは、より安価かつ小型に構成されるとともに、遊技機１のキャビネットＧにおける限られたスペースに対して容易に搭載される。
【１０９３】
＜プロジェクタ機構Ｂ２の機械的構成＞
図２３２は、プロジェクタ機構の分解斜視図である。
【１０９４】
図２３２に示すように、プロジェクタ機構Ｂ２は、外装となる構成要素として、ケースＢ２２、レンズユニットカバーＢ２２２、アンダーカバーＢ２２３、上側台座Ｂ２２０、及び下側台座Ｂ２２１を有する。ケースＢ２２の前部開口Ｂ２２ｋには、レンズユニットカバーＢ２２２が取り付けられる。ケースＢ２２の下面には、アンダーカバーＢ２２３が覆うように配置される。アンダーカバーＢ２２３は、ステーＢ２２３ａを介して下側台座Ｂ２２１に支持されるとともに、ケースＢ２２の下面適部にも固定される。
【１０９５】
プロジェクタ機構Ｂ２は、上側台座Ｂ２２０及び下側台座Ｂ２２１を介してプロジェクタカバーＢ１（図２３０参照）に取り付けられる。プロジェクタ機構Ｂ２の取り付け調整手順については後述する。
【１０９６】
また、プロジェクタ機構Ｂ２は、内部の構成要素として、レンズユニットＢ２１、ＬＥＤ光源を搭載したＬＥＤ基板（図示せず）、ＤＭＤを搭載したＤＭＤ基板（図示せず）、複数のヒートシンク２４３Ｒ，２４３Ｇ，２４３Ｂ，２４３Ｄ、吸気用ファン２４４Ａ，２４４Ｂ、排気用ファン２４５、及びプロジェクタ制御基板Ｂ２３を有する。ケースＢ２２には、レンズユニットカバーＢ２２２でレンズユニットＢ２１の投射レンズ２１０が覆われつつレンズユニットＢ２１が収容されるとともに、ＬＥＤ基板、ＤＭＤ基板、複数のヒートシンク２４３Ｒ，２４３Ｇ，２４３Ｂ，２４３Ｄ、吸気用ファン２４４Ａ，２４４Ｂ、排気用ファン２４５が収容される。プロジェクタ制御基板Ｂ２３は、ケースＢ２２の下面に固定される。
【１０９７】
このようなプロジェクタ機構Ｂ２は、サブ制御装置ＳＳから演出等の映像に係る映像データが送信され、スクリーンや役物に映像を投影するようにサブ制御装置ＳＳによって制御される。一方、サブ制御装置ＳＳは、スクリーン駆動機構Ｅ２，Ｆ２を制御することにより、スクリーン機構Ｅ１，Ｆ１を演出内容に応じて移動させる。
【１０９８】
ここで、サブ制御装置ＳＳは、演出によるスクリーン機構Ｅ１，Ｆ１の移動に応じてプロジェクタ機構Ｂ２を制御し、移動したスクリーン機構Ｅ１，Ｆ１の投影面Ｅ１１ａ，Ｆ１ａや固定スクリーン機構Ｄの投影面に、映像が鮮明に投影されるようにフォーカス調整を行う。
【１０９９】
ヒートシンク２４３Ｒ，２４３Ｇ，２４３Ｂは、ＬＥＤ基板の背面に部分的に接触している。ヒートシンク２４３Ｄは、ＤＭＤ基板の背面に部分的に接触している。本実施形態において、ヒートシンク２４３Ｒ，２４３Ｇ，２４３Ｂ，２４３Ｄのフィン外形サイズとしては、ヒートシンク２４３Ｒ及びヒートシンク２４３Ｇが相対的に大きい一方、ヒートシンク２４３Ｂ及びヒートシンク２４３Ｄが相対的に小さくなっている。これらのヒートシンク２４３Ｒ，２４３Ｇ，２４３Ｂ，２４３Ｄは、ＬＥＤ基板及びＤＭＤ基板それぞれにおいて発生した熱を空気中に放散することにより、光学特性を大きく変化させるまで光学素子や基板の温度を上昇させないように効率よく放熱する。放熱部材であるヒートシンク２４３Ｒ，２４３Ｇ，２４３Ｂ，２４３Ｄは、放熱効果を高めるために導熱性の高いアルミニウム素材が用いられ、空気との接触面積を大きくするために複数の放熱フィンを有している。
【１１００】
吸気用ファン２４４Ａは、ケースＢ２２の右側前部の背面に近接するように配置され、ヒートシンク２４３Ｒに近接している。吸気用ファン２４４Ｂは、ケースＢ２２の左側部の背面に近接するように配置され、ヒートシンク２４３Ｄに近接している。排気用ファン２４５は、ケースＢ２２の後部の背面に近接するように配置され、ヒートシンク２４３Ｇに近接している。
【１１０１】
吸気用ファン２４４Ａが近接するケースＢ２２の右側前部には、吸気口Ｂ２２Ａが設けられており、吸気口Ｂ２２Ａに対向してヒートシンク２４３Ｒが近接するケースＢ２２の右側後部には、排気口Ｂ２２Ｅが設けられている。吸気用ファン２４４Ｂが近接するケースＢ２２の左側部の一部には、吸気口Ｂ２２Ｂが設けられており、この吸気口Ｂ２２Ｂと並ぶようにケースＢ２２の左側部の他の部分には、ケースＢ２２内の空きスペースを通じて３つのヒートシンク２４３Ｇ，２４３Ｂ，２４３Ｄまで空気が達するように吸気口Ｂ２２Ｃが設けられている。排気用ファン２４５が近接するケースＢ２２の後部には、排気口Ｂ２２Ｄが設けられている。
【１１０２】
すなわち、プロジェクタ機構Ｂ２のケースＢ２２内においては、吸気口Ｂ２２Ａから吸気用ファン２４４Ａによって強制的に吸気された後、ヒートシンク２４３Ｒから熱を奪いつつ排気口Ｂ２２Ｅから排気される空気の流れが形成される。また、ケースＢ２２内においては、吸気口Ｂ２２Ｂから吸気用ファン２４４Ｂによって強制的に吸気された後、ヒートシンク２４３Ｄ、ヒートシンク２４３Ｂ、及びヒートシンク２４３Ｇから熱を奪いつつ排気口Ｂ２２Ｄから排気用ファン２４５によって強制的に排気される空気の流れが形成される。さらに、ケースＢ２２内においては、吸気口Ｂ２２Ｃから吸気された後、主としてヒートシンク２４３Ｇやヒートシンク２４３Ｂから熱を奪いつつ排気口Ｂ２２Ｄから排気用ファン４５によって強制的に排気される空気の流れが形成される。
【１１０３】
プロジェクタ制御基板Ｂ２３は、アンダーカバーＢ２２３で覆われつつケースＢ２２の下面に取り付けられる。プロジェクタ制御基板Ｂ２３には、制御ＬＳＩ２３０、ＥＥＰＲＯＭ２３１、ＤＬＰ制御回路２３２、及びＬＥＤドライバ２３３等が搭載されている。プロジェクタ制御基板Ｂ２３は、ケースＢ２２内に配置されたＬＥＤ基板及びＤＭＤ基板、さらにフォーカス機構と電気的に接続される。
【１１０４】
＜プロジェクタ機構Ｂ２の位置・姿勢調整＞
図２３３は、プロジェクタ機構を固定するための上側台座及び下側台座の分解斜視図である。図２３４は、上側台座と下側台座とを連結した状態の平面図である。図２３５は、上側台座の位置決め方法を説明するための図である。図２３６は、図２３４に示す上側台座及び下側台座の矢視Ｊ−Ｊに沿う断面図である。図２３７は、下側台座の姿勢調整方法を説明するための図である。図２３８は、プロジェクタ機構と調整用ＰＣとの接続形態を示す図である。
【１１０５】
図２３３及び図２３４に示すように、上側台座Ｂ２２０は、中継板Ｂ３００（図２４２参照）に固定される板金部材であり、矩形状の本体部２２００、本体部２２００の左右両側を下方及び外方に折り曲げることで形成され、本体部２２００と段差を有して左右両側に延出する左端部２２０１ａ及び右端部２２０１ｂ、並びに本体部２２００の後側から後方へと部分的に延出する後端部２２０２を有する。
【１１０６】
左端部２２０１ａ及び右端部２２０１ｂのそれぞれには、中継板Ｂ３００にネジ締結によって固定するための複数の角孔２２０１ｃが設けられている。本実施形態において、角孔２２０１ｃは、左端部２２０１ａ及び右端部２２０１ｂのそれぞれに３つずつ配置され、前後方向に等間隔に設けられている。角孔２２０１ｃの縦横内径寸法は、これに挿入して締結される取付ネジＴ（図２３５参照）のネジ軸径よりも大きくなっている。
【１１０７】
図２３５は、中継板Ｂ３００に対する上側台座Ｂ２２０の取付形態を示したものである。図２３５（ａ）の上図は、上側台座Ｂ２２０の角孔２２０１ｃに対して取付ネジＴが挿入・締結された状態を示す図であり、図２３５（ａ）の下図は、図２３５（ａ）の上図に示すＢ−Ｂ’線に沿う断面図である。なお、図２３５は、上側台座Ｂ２２０の左端部２２０１ａに形成された角孔２２０１ｃの周辺を示すが、左端部２２０１ａ及び右端部２２０１ｂにおけるその余の角孔２２０１ｃの周辺も同様である。
【１１０８】
図２３５（ａ）に示すように、角孔２２０１ｃには、上方から取付ネジＴが挿入されるとともに、角孔２２０１ｃのほぼ中央に取付ネジＴが配置される。取付ネジＴは、上側台座Ｂ２２０の上面及び中継板Ｂ３００の下面に添うように配置されたワッシャーＷを介して、中継板Ｂ３００の下面側に位置するナットＮと螺結される。これにより、上側台座Ｂ２２０の左端部２２０１ａは、中継板Ｂ３００に対してネジ止めにより取り付けられる。上側台座Ｂ２２０の右端部２２０１ｂも、中継板Ｂ３００に対して同様のネジ止めにより取り付けられる。
【１１０９】
ここで、図２３５（ａ）において符号Ａで示す斜線部分は、取付ネジＴのネジ軸と角孔２２０１ｃとの間に形成される隙間である。図２３５（ａ）では、取付ネジＴのネジ軸が、角孔２２０１ｃのほぼ中央に配置され固定されている。このとき、取付ネジＴのネジ軸は、符号Ａの斜線部分の範囲（調整範囲）のなかで移動可能となる。すなわち、取付ネジＴの角孔２２０１ｃに対する相対位置を、角孔２２０１ｃの開口範囲内において微調整することにより、上側台座Ｂ２２０の左端部２２０１ａを中継板Ｂ３００に対して位置決め調整することができる。同様に、上側台座Ｂ２２０の右端部２２０１ｂも、中継板Ｂ３００に対して位置決め調整することができる。
【１１１０】
図２３５（ｂ）は、図２３５（ａ）に対して上側台座Ｂ２２０の左端部２２０１ａを矢印Ｅの方向にずらした状態を示している。図２３５（ｂ）の下図は、図２３５（ｂ）の上図に示すＤ−Ｄ’線に沿う断面図である。この図２３５（ｂ）に示す状態では、取付ネジＴのネジ軸が角孔２２０１ｃの開口範囲内において相対的に右寄りに偏位さられ、符号Ｃに示す斜線部分の範囲（調整範囲）のなかで移動可能になっている。
【１１１１】
このように、上側台座Ｂ２２０は、角孔２２０１ｃの開口範囲となる所定の調整範囲のなかで位置決め調整されつつ、中継板Ｂ３００に対して取り付けられる。すなわち、プロジェクタ機構Ｂ２は、上側台座Ｂ２２０の左端部２２０１ａ及び右端部２２０１ｂに設けられた複数の角孔２２０１ｃにより、中継板Ｂ３００に対する取り付け位置が左右方向及び前後方向に調整される。後述するように、中継板Ｂ３００はプロジェクタカバーＢ１に固定されているため、これにより、プロジェクタ機構Ｂ２から照射される光の方向は、基準方向として、左右方向に垂直で前後方向に一致するように容易に調整される。
【１１１２】
また、図２３３及び図２３４に示すように、上側台座Ｂ２２０の本体部２２００及び後端部２２０２には、下側台座Ｂ２２１を連結するための３つの連結孔２２００Ａが設けられている。これら３つの連結孔２２００Ａは、本体部２２００に沿う平面内（水平面内）において同一直線上に位置しないように配置されている。
【１１１３】
下側台座Ｂ２２１は、上側台座Ｂ２２０の本体部２２００及び後端部２２０２に概ね対応する板金部材である。下側台座Ｂ２２１には、３つの連結孔２２００Ａに対応して上向きに突出するように３つの連結ネジ部２２１０が一体形成されている。これら３つの連結ネジ部２２１０も、下側台座Ｂ２２１に沿う平面内（水平面内）において同一直線上に位置しないように配置されている。
【１１１４】
また、下側台座Ｂ２２１には、ケースＢ２２をネジ止めするための複数のネジ孔２２１４、及びステーＢ２２３ａをネジ止めするための複数のネジ孔２２１５が設けられている。下側台座Ｂ２２１は、ケースＢ２２やステーＢ２２３ａを介してアンダーカバーＢ２２３を支持した状態で上側台座Ｂ２２０の下面に連結される。
【１１１５】
上側台座Ｂ２２０と下側台座Ｂ２２１とは、３箇所の連結部Ｒ１，Ｒ２，Ｒ３のそれぞれにおいて互いの間隔を調整可能に連結される。連結部Ｒ１，Ｒ２，Ｒ３のそれぞれは、上側台座Ｂ２２０の連結孔２２００Ａ、並びに下側台座Ｂ２２１の連結ネジ部２２１０、コイルバネ２２１１、ワッシャー２２１２、及びナット２２１３により構成される（図２３７参照）。
【１１１６】
図２３７は、上側台座Ｂ２２０に対する下側台座Ｂ２２１の連結構造を示したものである。図２３７は、連結部Ｒ２において、連結孔２２００Ａ、連結ネジ部２２１０、コイルバネ２２１１、ワッシャー２２１２、及びナット２２１３により、下側台座Ｂ２２１が上側台座Ｂ２２０に連結されている状態を示す断面図である。なお、図２３７は、１箇所の連結部Ｒ２を示すが、その余の連結部Ｒ１，Ｒ３も同様である。
【１１１７】
下側台座Ｂ２２１の連結ネジ部２２１０は、上側台座Ｂ２２０の本体部２２００の下面側から連結孔２２００Ａに挿入され、本体部２２００の上面側に配置されたワッシャー２２１２を介してナット２２１３に螺結される。連結ネジ部２２１０には、コイルバネ２２１１が外嵌されており、このコイルバネ２２１１は、連結孔２２００Ａの周縁部において本体部２２００の下面と下側台座Ｂ２２１の上面との間に狭持される。このようなコイルバネ２２１１により、上側台座Ｂ２２０と下側台座Ｂ２２１との連結部Ｒ２付近の部分は、互いに離反する方向（上下方向）に付勢されるので、連結ネジ部２２１０とナット２２１３との螺合部分における緩み防止が図られる。
【１１１８】
このような連結部Ｒ２においては、ナット２２１３を締め付ける方向あるいは緩める方向に適宜回すことにより、コイルバネ２２１１で付勢されつつも上側台座Ｂ２２０と下側台座Ｂ２２１との間隔が変化させられる。具体的には、ナット２２１３を締め付ける方向に回すと、連結部Ｒ２における上側台座Ｂ２２０と下側台座Ｂ２２１との間隔が狭められることとなる。このとき、上述したように、上側台座Ｂ２２０は、中継板Ｂ３００（図２４２参照）に固定されており、また、後述するように、中継板Ｂ３００は、プロジェクタカバーＢ１に固定されている。そのため、下側台座Ｂ２２１の連結部Ｒ２付近の部分は、ナット２２１３を適宜締め付けることで上側台座Ｂ２２０に対して近づく方向に変位し、より上位へと高さ位置が調整されることとなる。一方、ナット２２１３を緩める方向に回すと、連結部Ｒ２における上側台座Ｂ２２０と下側台座Ｂ２２１との間隔が拡大されることとなる。すなわち、下側台座Ｂ２２１の連結部Ｒ２付近の部分は、ナット２２１３を適宜緩めることで上側台座Ｂ２２０に対して遠ざかる方向に変位し、より下位へと高さ位置が調整されることとなる。
【１１１９】
他の連結部Ｒ１，Ｒ３においても、上記と同様にナット２２１３の締め付け量を適宜調整することにより、下側台座Ｂ２２１の連結部Ｒ１，Ｒ３付近の高さ位置を容易に調整することができる。このような連結部Ｒ１，Ｒ２，Ｒ３は、上側台座Ｂ２２０や下側台座Ｂ２２１に沿う平面内（水平面内）において同一直線上に位置しないように、具体的には互いに結んだ線が三角形をなすように配置されている。すなわち、下側台座Ｂ２２１は、３箇所の連結部Ｒ１，Ｒ２，Ｒ３のそれぞれにおいてナット２２１３の締め付け量により高さ位置を微調整することができるので、下側台座Ｂ２２１の姿勢を、前後方向、左右方向、及び上下方向のいずれ方向に対しても３次元空間内における傾き具合を調整することができる。
【１１２０】
以上で説明したような上側台座Ｂ２２０及び下側台座Ｂ２２１を用いることにより、プロジェクタ機構Ｂ２は、プロジェクタカバーＢ１に対して位置決め調整かつ光軸調整可能に取り付けられる。
【１１２１】
なお、下側台座Ｂ２２１の姿勢調整は、下側台座Ｂ２２１に支持されたプロジェクタ機構Ｂ２からスクリーン等に対して光を照射しながら行われる。その際、スクリーン等には、照射光により映像が投影され、その映像を確認しながら下側台座Ｂ２２１の姿勢が調整される。これにより、プロジェクタ機構Ｂ２から照射される光の光軸方向は、スクリーン等の表面に適切な表示態様で映像が映し出されるように調整される。すなわち、光軸方向については、下側台座Ｂ２２１の姿勢調整により、映像の表示態様としていわゆる台形ひずみ等が生じないように前もって調整することができる。
【１１２２】
図２３８に示すように、光軸方向の調整等は、プロジェクタ機構Ｂ２に接続された調整用ＰＣ１０００を用いて行われる。上側台座Ｂ２２０及び下側台座Ｂ２２１を介してプロジェクタカバーＢ１に取り付けられたプロジェクタ機構Ｂ２は、工場での検査時等において、光軸方向の調整のほか、スクリーン等に対する表示映像のチェックが行われ、映像を投影表示するために必要な各種の調整が実施される。調整用ＰＣ１０００は、調整作業に際して一時的にプロジェクタ機構Ｂ２の中継基板ＣＫに接続される（図２３１参照）。調整用ＰＣ１０００を操作すると、調整用ＰＣ１０００から送信される所定のコマンドにより、プロジェクタ機構Ｂ２における照射光の投影位置やフォーカス調整等に関する光学パラメータが変更される。このようにして適切に調整された投影位置や光学パラメータは、水平方向及び垂直方向の調整値データとして、プロジェクタ機構Ｂ２のＥＥＰＲＯＭ２３１に記憶される（図２３１参照）。ＥＥＰＲＯＭ２３１に記憶された水平方向及び垂直方向の調整値データは、工場出荷後の搬送等のためにプロジェクタ機構Ｂ２への電源供給が行われず、遊技機１が遊技場に設置された場合でも、そのまま使用することができる。
【１１２３】
以上で説明したことから明らかなように、プロジェクタ機構Ｂ２は、中継板Ｂ３００に対する取り付け位置に応じて左右方向及び前後方向に位置決めされるとともに、下側台座Ｂ２２１の３次元空間内における姿勢に応じて光軸方向が調整される。
【１１２４】
なお、本実施形態においては、上側台座Ｂ２２０と下側台座Ｂ２２１とを互いに連結するための連結部を３箇所に設けたが、少なくとも３箇所が同一直線上にないという条件を満たせば、４箇所以上に連結部を設けるようにしてもよい。また、本実施形態では、上側台座Ｂ２２０に連結孔２２００Ａを設けるとともに、下側台座Ｂ２２１に連結ネジ部２２１０を設けているが、これらの連結孔や連結ネジ部を上下反対に設けてもよい。連結ネジ部は、本実施形態のように台座と一体に形成されたものに限らず、一方の台座に対して固定可能なものであればよい。例えば、連結ネジ部としては、下側台座を貫通して固定されるボルトでもよい。
【１１２５】
＜プロジェクタ機構Ｂ２のプロジェクタカバーＢ１への取り付け＞
プロジェクタ機構Ｂ２のプロジェクタカバーＢ１への取り付けにおいては、上側台座Ｂ２２０を上壁部Ｂ１２（図３９）等にネジ締結することにより、プロジェクタ機構Ｂ２をプロジェクタカバーＢ１に直接固定してもよいが、本実施形態では、上側台座Ｂ２２０とプロジェクタカバーＢ１との間に、中継板Ｂ３００を介在させている。
【１１２６】
上側台座Ｂ２２０と中継板Ｂ３００とは、図２３５を用いて説明した方法により固定される。以下では、中継板Ｂ３００とプロジェクタカバーＢ１との固定について説明する。
【１１２７】
図２３９は、プロジェクタカバーの上壁部を取り外した状態を示す斜視図である。図２４０は、プロジェクタカバーと中継板と上側台座とを連結した状態の平面図である。図２４１は、図２４０に示すプロジェクタカバー、中継板、及び上側台座の矢視Ｋ−Ｋに沿う断面図である。図２４２は、図２４０に示す状態からプロジェクタカバーを取り外した状態を示す斜視図である。図２４３は、中継板及び緩衝部材を示す分解斜視図である。
【１１２８】
図２３９に示すように、本実施形態に係るプロジェクタカバーＢ１は、第２実施形態に係るプロジェクタカバーＢ１（図３９参照）と若干の外観上の違いはあるが、基本的な構成については、第２実施形態で説明した通りである。以下では、第２実施形態で説明しなかったプロジェクタカバーＢ１内部の構成について説明する。
【１１２９】
なお、第２実施形態及び第４実施形態と同様に、プロジェクタカバーＢ１は、ネジ穴Ｂ１３１ｃを介して右側板Ｃ２及び左側板Ｃ３にネジがねじ込まれることにより、スクリーン筐体Ｃ１０と連結される（図１６６及び図１６７参照）。また、ミラー機構Ｂ３は、プロジェクタカバーＢ１に収容されている（図３８参照）。
【１１３０】
プロジェクタカバーＢ１は、その内部において、中継板取付部Ｂ３０１を有している。中継板取付部Ｂ３０１は、左右の側壁部Ｂ１３・Ｂ１３それぞれの内側面から内側に突出するように形成されている。中継板取付部Ｂ３０１は、略水平に形成された中継板取付面Ｂ３０１ａを有している。
【１１３１】
中継板取付面Ｂ３０１ａには、取付用孔Ｂ３０１ｂ及び位置調整用孔Ｂ３０１ｃが貫通孔として形成されている。取付用孔Ｂ３０１ｂは、中継板Ｂ３００を中継板取付部Ｂ３０１にネジ締結により取り付けるためのネジ孔である。位置調整用孔Ｂ３０１ｃは、中継板Ｂ３００を中継板取付部Ｂ３０１に取り付けた際に上側台座Ｂ２２０の角孔２２０１ｃ（図２３３参照）と対向するような位置に形成されている。
【１１３２】
図２４０〜図２４２に示すように、ワッシャーＢ３１１及び緩衝部材Ｂ３１２を介して、中継板取付面Ｂ３０１ａの取付用孔Ｂ３０１ｂにネジＢ３１０がねじ込まれることにより、中継板Ｂ３００がプロジェクタカバーＢ１に取り付けられている。
【１１３３】
また、中継板Ｂ３００と上側台座Ｂ２２０とが、キャップボルト３２０及び固定プレートＢ３２１を用いて締結されている。なお、図２３５では、固定プレートＢ３２１を示していなかったが、中継板Ｂ３００と上側台座Ｂ２２０との締結に際しては、従来周知の部材を適宜選択して用いることができる。
【１１３４】
図２４３では、左右に設けられた２つの中継板Ｂ３００のうちの１つのみを示し、４つのコーナーに設けられた緩衝部材Ｂ３１２のうちの１つのみを示している。
【１１３５】
図２４３に示すように、中継板Ｂ３００は、矩形状の板に形成されており、第１貫通孔Ｂ３００ａが３つ形成されるとともに、第１貫通孔Ｂ３００ａよりも大きな孔径を有する第２貫通孔Ｂ３００ｂが２つ形成されている。
【１１３６】
第１貫通孔Ｂ３００ａは、中継板Ｂ３００を上側台座Ｂ２２０に取り付ける際にキャップボルト３２０が挿通する孔である。第２貫通孔Ｂ３００ｂは、緩衝部材Ｂ３１２を貫入するための孔である。
【１１３７】
緩衝部材Ｂ３１２は、上側部Ｂ３１２ａと中間部Ｂ３１２ｂと下側部Ｂ３１２ｃとを備える。上側部Ｂ３１２ａと中間部Ｂ３１２ｂと下側部Ｂ３１２ｃとは、何れも、円柱から中央部分を切り抜いたドーナツ形状を有している。切り抜かれた中央部分が連通することにより、貫通孔Ｂ３１２ｄが形成されている。貫通孔Ｂ３１２ｄには、ネジＢ３１０（図２４０〜図２４２参照）が挿通される。上側部Ｂ３１２ａと下側部Ｂ３１２ｃとは、側面が若干丸みを帯びている。
【１１３８】
上面視における径は、上側部Ｂ３１２ａと下側部Ｂ３１２ｃとが略同一であり、中間部Ｂ３１２ｂの径は、上側部Ｂ３１２ａ及び下側部Ｂ３１２ｃの径よりも小さくなっている。中間部Ｂ３１２ｂの径は、中継板Ｂ３００の第２貫通孔Ｂ３００ｂの径と略同一か、あるいは、第２貫通孔Ｂ３００ｂの径よりも僅かに小さくなっている。また、中間部Ｂ３１２ｂの上下方向の長さは、中継板Ｂ３００の上下方向の厚みと略同一となっている。これにより、中間部Ｂ３１２ｂの側面を第２貫通孔Ｂ３００ｂの側面に当接させるようにして、緩衝部材Ｂ３１２を第２貫通孔Ｂ３００ｂに貫入することができる。
【１１３９】
そして、その結果として、上側部Ｂ３１２ａの下端が中継板Ｂ３００の上面と当接し、下側部Ｂ３１２ｃの上端が中継板Ｂ３００の下面と当接し、下側部Ｂ３１２ｃの下端が中継板取付面Ｂ３０１ａと当接することになる（図２４０〜図２４２参照）。
【１１４０】
なお、図２４２に示すように、上側台座Ｂ２２０の右端部２２０１ｂは、前方部分及び後方部分をカーブ状に切り欠いた形状を有している。これにより、緩衝部材Ｂ３１２を配設するスペースが確保されている。図には現れていないが、左端部２２０１ａも同様の形状を有している。
【１１４１】
緩衝部材Ｂ３１２は、衝撃吸収力や防振性能を備えたシリコーンを主原料とするゲル状素材（シリコーンゲル）により構成されている。シリコーンゲルとしては、例えば、タイカ社のαゲル（登録商標）を用いることができる。緩衝部材Ｂ３１２の材料としては、特に限定されず、シリコーンゲルの他、シリコーングリース、シリコーンゴム、シリコーン樹脂等の可撓性を有する有機ケイ素化合物や、フッ素樹脂等の可撓性を有する有機フッ素化合物を適宜採用することができる。
【１１４２】
このような緩衝部材Ｂ３１２の性質により、プロジェクタカバーＢ１やプロジェクタ機構Ｂ２に伝わる振動を緩和することが可能となり、表示ユニットＡの運搬時に発生する衝撃から、表示ユニットＡを構成する各部材や装置を保護することができる。
【１１４３】
以上、本発明の一実施形態として、第５実施形態に係る遊技機１について説明した。
【１１４４】
従来、プロジェクタにより投影された映像をスクリーンに表示することにより演出を行うことが可能な遊技機が知られている（特開２０１２−１４７８２８号公報参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【１１４５】
このようなプロジェクタを用いて演出を行う遊技機においては、プロジェクタあるいはプロジェクタを搭載した遊技機を運搬する際に発生する振動や衝撃により、仮にプロジェクタが破損してしまえば、プロジェクタが正常に機能せず、意図された演出を実現することができなくなってしまう。
【１１４６】
特に、このようなスクリーンを用いて演出を行う遊技機として、本発明者は、プロジェクタとスクリーンとがユニット化された表示ユニットを開発した。このような表示ユニットは、プロジェクタとスクリーンとが互いに連結されることにより一体となっており、表示ユニットにおける何れかの部材に発生した振動や衝撃が他の部材に伝搬しやすくなっていると考えられる。本発明者は、この点に着目し、表示ユニットあるいは表示ユニットを搭載した遊技機を運搬する際に、表示ユニットの各構成要素に対して振動や衝撃に起因する力が加わることにより、表示ユニットの一部又は全部が破損してしまう可能性があるのではないかと考えた。
【１１４７】
本発明は、上記のような問題点に鑑みてなされたものであり、プロジェクタが破損してしまうことを防止することが可能な遊技機を提供することを目的とする。
【１１４８】
この点、第５実施形態に係る遊技機１は、以下の特徴を備えている。
【１１４９】
（４３−１）  映像を投影することが可能なプロジェクタ（図２３２に示すプロジェクタ機構Ｂ２の内部構成要素（レンズユニットＢ２１等）及びそれらを収容するケースＢ２２）と、
前記プロジェクタを囲うように配置されたプロジェクタカバー（プロジェクタカバーＢ１）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記プロジェクタと前記プロジェクタカバーとの連結部分に緩衝部材（緩衝部材Ｂ３１２）が設けられている、
ことを特徴とする遊技機。
【１１５０】
プロジェクタ（プロジェクタ機構Ｂ２の内部構成要素（レンズユニットＢ２１等）及びそれらを収容するケースＢ２２）、あるいは、プロジェクタ（プロジェクタ機構Ｂ２の内部構成要素（レンズユニットＢ２１等）及びそれらを収容するケースＢ２２）を搭載した遊技機を運搬する際には、重量の大きな部材や装置に揺れが発生し、そのような部材や装置を連結している部分に、揺れに起因する負荷が大きくかかっていると考えられる。第５実施形態に係る遊技機１によれば、プロジェクタ（プロジェクタ機構Ｂ２の内部構成要素（レンズユニットＢ２１等）及びそれらを収容するケースＢ２２）とプロジェクタカバー（プロジェクタカバーＢ１）との連結部分に緩衝部材（緩衝部材Ｂ３１２）が設けられているため、そのような負荷を緩和することが可能となり、当該連結部分が破損してしまうことを防止することができる。また、当該連結部分に設けられた緩衝部材（緩衝部材Ｂ３１２）により振動を吸収することが可能となるため、プロジェクタ（プロジェクタ機構Ｂ２の内部構成要素（レンズユニットＢ２１等）及びそれらを収容するケースＢ２２）やプロジェクタカバー（プロジェクタカバーＢ１）に伝わる振動を和らげることができる。これにより、プロジェクタ（プロジェクタ機構Ｂ２の内部構成要素（レンズユニットＢ２１等）及びそれらを収容するケースＢ２２）やプロジェクタカバー（プロジェクタカバーＢ１）に加わる衝撃を低減させることが可能となり、プロジェクタ（プロジェクタ機構Ｂ２の内部構成要素（レンズユニットＢ２１等）及びそれらを収容するケースＢ２２）やプロジェクタカバー（プロジェクタカバーＢ１）が破損してしまうことも防止することができる。
【１１５１】
（４３−２）  映像を投影することが可能なプロジェクタ（図２３２に示すプロジェクタ機構Ｂ２の内部構成要素（レンズユニットＢ２１等）及びそれらを収容するケースＢ２２）と、
前記プロジェクタを囲うように配置されたプロジェクタカバー（プロジェクタカバーＢ１）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記プロジェクタカバーと前記プロジェクタとは、第１の部材（中継板Ｂ３００）及び第２の部材（上側台座Ｂ２２０）を介して連結されており、
前記第１の部材（中継板Ｂ３００）は、一方の面の側で前記第２の部材（上側台座Ｂ２２０）に取り付けられることにより前記第２の部材を介して前記プロジェクタと連結されている一方、前記一方の面とは反対側の面の側で前記プロジェクタカバー（プロジェクタカバーＢ１）に取り付けられており、
前記第１の部材（中継板Ｂ３００）の前記一方の面及び前記反対側の面の双方に当接しつつ前記第１の部材を挟むように、緩衝部材（緩衝部材Ｂ３１２）が設けられている、
ことを特徴とする遊技機。
【１１５２】
プロジェクタ（プロジェクタ機構Ｂ２の内部構成要素（レンズユニットＢ２１等）及びそれらを収容するケースＢ２２）、あるいは、プロジェクタ（プロジェクタ機構Ｂ２の内部構成要素（レンズユニットＢ２１等）及びそれらを収容するケースＢ２２）を搭載した遊技機を運搬する際には、重量の大きな部材や装置に揺れが発生し、そのような部材や装置を連結している部分に、揺れに起因する負荷が大きくかかっていると考えられる。第５実施形態に係る遊技機１によれば、プロジェクタ（プロジェクタ機構Ｂ２の内部構成要素（レンズユニットＢ２１等）及びそれらを収容するケースＢ２２）とプロジェクタカバー（プロジェクタカバーＢ１）とを連結している第１の部材（中継板Ｂ３００）に当接するように緩衝部材（緩衝部材Ｂ３１２）が設けられているため、そのような負荷を緩和することが可能となり、第１の部材（中継板Ｂ３００）が破損してしまうことを防止することができる。また、第１の部材（中継板Ｂ３００）に設けられた緩衝部材（緩衝部材Ｂ３１２）により振動を吸収することが可能となるため、プロジェクタ（プロジェクタ機構Ｂ２の内部構成要素（レンズユニットＢ２１等）及びそれらを収容するケースＢ２２）やプロジェクタカバー（プロジェクタカバーＢ１）に伝わる振動を和らげることができる。これにより、プロジェクタ（プロジェクタ機構Ｂ２の内部構成要素（レンズユニットＢ２１等）及びそれらを収容するケースＢ２２）やプロジェクタカバー（プロジェクタカバーＢ１）に加わる衝撃を低減させることが可能となり、プロジェクタ（プロジェクタ機構Ｂ２の内部構成要素（レンズユニットＢ２１等）及びそれらを収容するケースＢ２２）やプロジェクタカバー（プロジェクタカバーＢ１）が破損してしまうことも防止することができる。
【１１５３】
また、第５実施形態に係る遊技機１によれば、緩衝部材（緩衝部材Ｂ３１２）は、第１の部材（中継板Ｂ３００）の双方の面に当接して、第１の部材（中継板Ｂ３００）を挟むように設けられている。これにより、第１の部材（中継板Ｂ３００）に発生する振動を効率よく吸収することができるとともに、プロジェクタ（プロジェクタ機構Ｂ２の内部構成要素（レンズユニットＢ２１等）及びそれらを収容するケースＢ２２）やプロジェクタカバー（プロジェクタカバーＢ１）に伝わる振動をさらに和らげることが可能となる。その結果、第１の部材（中継板Ｂ３００）やプロジェクタ（プロジェクタ機構Ｂ２の内部構成要素（レンズユニットＢ２１等）及びそれらを収容するケースＢ２２）、プロジェクタカバー（プロジェクタカバーＢ１）等が破損してしまうことを効果的に防止することができる。
【１１５４】
（４３−３）  前記（４３−１）又は（４３−２）の遊技機であって、
前記スクリーンを収容するスクリーン用筐体と、
前記プロジェクタから照射された光を反射させる反射ミラーと、をさらに備え、
前記スクリーンは、前記反射ミラーにより反射された光に基づいて前記プロジェクタにより投影された映像を表示可能であり、
前記プロジェクタカバー（プロジェクタカバーＢ１）には、前記反射ミラー（ミラー機構Ｂ３）が設けられるとともに、前記スクリーン用筐体（スクリーン筐体Ｃ１０）が取り付けられている、
ことを特徴とする。
【１１５５】
第５実施形態に係る遊技機１によれば、プロジェクタ（プロジェクタ機構Ｂ２の内部構成要素（レンズユニットＢ２１等）及びそれらを収容するケースＢ２２）から照射された光が反射ミラー（ミラー機構Ｂ３）で反射されることによりスクリーン（固定スクリーン機構Ｄ、フロントスクリーン機構Ｅ１、リールスクリーン機構Ｆ１）に映像が表示される。ここで、反射ミラー（ミラー機構Ｂ３）は、プロジェクタカバー（プロジェクタカバーＢ１）に設けられているため、プロジェクタ（プロジェクタ機構Ｂ２の内部構成要素（レンズユニットＢ２１等）及びそれらを収容するケースＢ２２）とプロジェクタカバー（プロジェクタカバーＢ１）と反射ミラー（ミラー機構Ｂ３）とスクリーン（固定スクリーン機構Ｄ、フロントスクリーン機構Ｅ１、リールスクリーン機構Ｆ１）とスクリーン用筐体（スクリーン筐体Ｃ１０）とが一体となったユニット、あるいは、当該ユニットを搭載した遊技機を運搬する際に、プロジェクタカバー（プロジェクタカバーＢ１）が振動すれば、反射ミラー（ミラー機構Ｂ３）の位置や姿勢が変化してしまう可能性がある。そして、その結果として、反射ミラー（ミラー機構Ｂ３）とプロジェクタ（プロジェクタ機構Ｂ２の内部構成要素（レンズユニットＢ２１等）及びそれらを収容するケースＢ２２）との配置関係にずれが生じてしまい、高品質な映像を提供することができなくなってしまうことが懸念される。この点、第５実施形態に係る遊技機１によれば、緩衝部材（緩衝部材Ｂ３１２）により振動を吸収して、プロジェクタカバー（プロジェクタカバーＢ１）に伝わる振動を和らげることが可能であるため、プロジェクタカバー（プロジェクタカバーＢ１）に設けられた反射ミラー（ミラー機構Ｂ３）の位置や姿勢が変化してしまうことを防止することができる。
【１１５６】
また、第５実施形態に係る遊技機１によれば、プロジェクタ（プロジェクタ機構Ｂ２の内部構成要素（レンズユニットＢ２１等）及びそれらを収容するケースＢ２２）とプロジェクタカバー（プロジェクタカバーＢ１）と反射ミラー（ミラー機構Ｂ３）とスクリーン（固定スクリーン機構Ｄ、フロントスクリーン機構Ｅ１、リールスクリーン機構Ｆ１）とスクリーン用筐体（スクリーン筐体Ｃ１０）とが一体となったユニット、あるいは、当該ユニットを搭載した遊技機を運搬する際に発生する振動が緩衝部材（緩衝部材Ｂ３１２）に吸収されるため、プロジェクタカバー（プロジェクタカバーＢ１）に取り付けられたスクリーン用筐体（スクリーン筐体Ｃ１０）、及び、スクリーン用筐体（スクリーン筐体Ｃ１０）に収容されたスクリーン（固定スクリーン機構Ｄ、フロントスクリーン機構Ｅ１、リールスクリーン機構Ｆ１）に伝わる振動を和らげることができる。これにより、スクリーン用筐体（スクリーン筐体Ｃ１０）やスクリーン（固定スクリーン機構Ｄ、フロントスクリーン機構Ｅ１、リールスクリーン機構Ｆ１）が破損してしまうことを防止することができる。
【１１５７】
（４３−Ｉ）  前記（４３−２）の遊技機であって、
前記第２の部材（上側台座Ｂ２２０）は、前記プロジェクタカバーに取り付けられた前記第１の部材（中継板Ｂ３００）に対して、面内位置を調整可能に取り付けられている、
ことを特徴とする。
【１１５８】
第５実施形態に係る遊技機１によれば、第２の部材（上側台座Ｂ２２０）は、プロジェクタカバー（プロジェクタカバーＢ１）に取り付けられた第１の部材（中継板Ｂ３００）に対して、面内位置を調整可能に取り付けられている。従って、第１の部材（中継板Ｂ３００）及び第２の部材（上側台座Ｂ２２０）を介することにより、プロジェクタカバー（プロジェクタカバーＢ１）に対するプロジェクタ（プロジェクタ機構Ｂ２の内部構成要素（レンズユニットＢ２１等）及びそれらを収容するケースＢ２２）の相対的な位置を適正なものとすることができる。ところが、せっかくプロジェクタ（プロジェクタ機構Ｂ２の内部構成要素（レンズユニットＢ２１等）及びそれらを収容するケースＢ２２）が適正な位置に配置されるように調整したとしても、表示ユニット（表示ユニットＡ）あるいは表示ユニット（表示ユニットＡ）を搭載した遊技機を運搬する際の振動に起因して、位置ずれが発生してしまうことが懸念される。この点、第５実施形態に係る遊技機１によれば、第１の部材（中継板Ｂ３００）に設けられた緩衝部材（緩衝部材Ｂ３１２）により振動を吸収することが可能であるため、このような位置ずれが発生してしまうことを防止することができる。
【１１５９】
（４３−ＩＩ）  前記（４３−２）の遊技機であって、
前記第１の部材（中継板Ｂ３００）と前記プロジェクタ（図２３２に示すプロジェクタ機構Ｂ２の内部構成要素（レンズユニットＢ２１等）及びそれらを収容するケースＢ２２）とは、前記第２の部材（上側台座Ｂ２２０）及び第３の部材（下側台座Ｂ２２１）を介して連結されており、
前記第３の部材（下側台座Ｂ２２１）は、前記プロジェクタを支持しつつ、前記第２の部材（上側台座Ｂ２２０）に対して３箇所以上で間隔を調整可能に取り付けられている、
ことを特徴とする。
【１１６０】
第５実施形態に係る遊技機１によれば、第３の部材（下側台座Ｂ２２１）は、プロジェクタ（プロジェクタ機構Ｂ２の内部構成要素（レンズユニットＢ２１等）及びそれらを収容するケースＢ２２）を支持しつつ、第２の部材（上側台座Ｂ２２０）に対して３箇所以上で間隔を調整可能に取り付けられている。従って、各箇所において第２の部材（上側台座Ｂ２２０）と第３の部材（下側台座Ｂ２２１）との間隔を調整することにより、第２の部材（上側台座Ｂ２２０）に対する第３の部材（下側台座Ｂ２２１）の傾きを変化させることができる。これにより、第３の部材（下側台座Ｂ２２１）に支持されたプロジェクタ（プロジェクタ機構Ｂ２の内部構成要素（レンズユニットＢ２１等）及びそれらを収容するケースＢ２２）の姿勢を調整することができる。ところが、せっかくこのようにしてプロジェクタ（プロジェクタ機構Ｂ２の内部構成要素（レンズユニットＢ２１等）及びそれらを収容するケースＢ２２）の姿勢を調整したとしても、表示ユニット（表示ユニットＡ）あるいは表示ユニット（表示ユニットＡ）を搭載した遊技機を運搬する際の振動に起因して、第２の部材（上側台座Ｂ２２０）と第３の部材（下側台座Ｂ２２１）との間隔が変化することにより、プロジェクタ（プロジェクタ機構Ｂ２の内部構成要素（レンズユニットＢ２１等）及びそれらを収容するケースＢ２２）の姿勢が崩れてしまうことが懸念される。この点、第５実施形態に係る遊技機１によれば、第１の部材（中継板Ｂ３００）に設けられた緩衝部材（緩衝部材Ｂ３１２）により振動を吸収することが可能であるため、振動に起因して第２の部材（上側台座Ｂ２２０）と第３の部材（下側台座Ｂ２２１）との間隔が変化することを防止し、プロジェクタ（プロジェクタ機構Ｂ２の内部構成要素（レンズユニットＢ２１等）及びそれらを収容するケースＢ２２）の姿勢を維持することができる。
【１１６１】
［第６実施形態］
以上、第１実施形態〜第５実施形態について説明した。以下、第６実施形態について説明する。第６実施形態に係る遊技機１の基本的な構成は、第２実施形態〜第５実施形態に係る遊技機１と同じである。以下においては、第２実施形態〜第５実施形態に係る遊技機１の構成要素と同一の構成要素には、同一の符号を付して説明することとする。また、第２実施形態〜第５実施形態における説明が第６実施形態においても当てはまる部分については、説明を省略することとする。
【１１６２】
＜上側台座Ｂ２２０及び下側台座Ｂ２２１＞
本実施形態に係る上側台座Ｂ２２０及び下側台座Ｂ２２１は、第５実施形態に係る上側台座Ｂ２２０及び下側台座Ｂ２２１とは異なる構成を有している。
【１１６３】
図２４４は、上側台座及び下側台座の斜視図である。図２４５は、上側台座及び下側台座の平面図である。図２４６は、上側台座及び下側台座を斜め前方から見た図である。図２４７は、上側台座及び下側台座を斜め後方から見た図である。図２４８は、プロジェクタ機構の内部構成要素を収容するケースの斜視図である。図２４９は、下側台座にケースを取り付けた状態を示す斜視図である。
【１１６４】
図２４４及び図２４５に示すように、上側台座Ｂ２２０は、平面視矩形状の板金部材に矩形状の開口を設けた形状を有している。図２４５に示すように、開口は、辺Ａ、辺Ｂ、辺Ｃ、及び、辺Ｄに囲まれた略長方形の形状に形成されている。
【１１６５】
上側台座Ｂ２２０の右側部分及び左側部分には、それぞれ、角孔２２０１ｃが設けられている。角孔２２０１ｃは、上側台座Ｂ２２０を中継板Ｂ３００（図２５２参照）にネジ締結によって固定するための孔である。第５実施形態と同様に、角孔２２０１ｃの縦横内径寸法は、これに挿入して締結される取付ネジＴのネジ軸径よりも大きくなっている。なお、図には、上側台座Ｂ２２０を中継板Ｂ３００に固定する際に使用される固定プレートＢ３２１も示されている。
【１１６６】
角孔２２０１ｃを用いて上側台座Ｂ２２０を中継板Ｂ３００に取り付ける方法、及び、中継板Ｂ３００に対する上側台座Ｂ２２０の位置を調整する方法については、図２３５を用いて説明した通りであるため、ここでの説明は省略する。
【１１６７】
また、上側台座Ｂ２２０には、下側台座Ｂ２２１を連結するための３つの連結孔２２００Ａが設けられている。第５実施形態と同様に、３つの連結孔２２００Ａは、上側台座Ｂ２２０に沿う平面内（水平面内）において同一直線上に位置しないように配置されている。
【１１６８】
下側台座Ｂ２２１は、矩形状の本体部Ｂ２２１ａ、本体部Ｂ２２１ａと段差を有して前方に延出する右側部Ｂ２２１ｂ及び左側部Ｂ２２１ｃ、並びに、本体部Ｂ２２１ａと段差を有して後方に延出する後端部Ｂ２２１ｄを備える板金部材である。
【１１６９】
図２４６に示すように、右側部Ｂ２２１ｂは、本体部Ｂ２２１ａの前端右側を下方及び外方に折り曲げることで形成されている。左側部Ｂ２２１ｃは、本体部Ｂ２２１ａの前端左側を下方及び外方に折り曲げることで形成されている。図２４７に示すように、後端部Ｂ２２１ｄは、本体部Ｂ２２１ａの後端を下方に折り曲げるとともに、下方に折り曲げられた部分の一部を外方に折り曲げることで形成されている。右側部Ｂ２２１ｂと左側部Ｂ２２１ｃと後端部Ｂ２２１ｄとは、同一平面上に位置付けられるように形成されている。
【１１７０】
右側部Ｂ２２１ｂ、左側部Ｂ２２１ｃ、及び、後端部Ｂ２２１ｄには、それぞれ、上側台座Ｂ２２０の３つの連結孔２２００Ａに対応して上向きに突出するように連結ネジ部２２１０が一体形成されている。第５実施形態と同様に、３つの連結ネジ部２２１０も、右側部Ｂ２２１ｂ、左側部Ｂ２２１ｃ、及び、後端部Ｂ２２１ｄに沿う平面内（水平面内）において同一直線上に位置しないように配置されている。
【１１７１】
第５実施形態と同様に、上側台座Ｂ２２０と下側台座Ｂ２２１とは、３つの連結孔２２００Ａ及び３つの連結ネジ部２２１０に対応する３箇所の連結部のそれぞれにおいて互いの間隔を調整可能に連結される。３箇所の連結部は、それぞれ、連結孔２２００Ａ、連結ネジ部２２１０、コイルバネ２２１１、ワッシャー２２１２、及び、ナット２２１３により構成される（図２３７参照）。
【１１７２】
上側台座Ｂ２２０と下側台座Ｂ２２１とを連結する方法、及び、各連結部において上側台座Ｂ２２０と下側台座Ｂ２２１との間隔を調整する方法（上側台座Ｂ２２０に対する下側台座Ｂ２２１の姿勢を調整する方法）については、図２３７を用いて説明した通りであるため、ここでの説明は省略する。
【１１７３】
また、図２４４に示すように、下側台座Ｂ２２１には、ケースＢ２２をネジ止めするための複数のネジ孔２２１４が設けられている。ケースＢ２２としては、第５実施形態と同様の構成のものを採用することが可能であるが、本実施形態では、図２４８に示すように、直方体の箱形形状を有するケースＢ２２を採用している。
【１１７４】
第５実施形態と同様に、ケースＢ２２には、プロジェクタ機構Ｂ２の内部構成要素であるレンズユニットＢ２１（図２３２参照）、ＬＥＤ基板、ＤＭＤ基板、ヒートシンク、吸気用ファン等が収容されている。ケースＢ２２の下面には、プロジェクタ制御基板Ｂ２３（図２３２参照）が固定されている。
【１１７５】
ケースＢ２２の前面に設けられた前部開口Ｂ２２ｋには、レンズユニットカバーＢ２２２（図２３２参照）が取り付けられる。レンズユニットＢ２１は、レンズユニットカバーＢ２２２で投射レンズ２１０（図２３２参照）が覆われた状態で、ケースＢ２２に収容されている。
【１１７６】
また、図示しないが、ケースＢ２２には、左右方向における中央よりも左寄りの箇所（下側台座Ｂ２２１に取り付けた状態（図２４９参照）における左側部Ｂ２２１ｃの右端付近）に、２つの吸気用ファン２４４Ａ・２４４Ｂが前後に並ぶように配設されている。２つの吸気用ファン２４４Ａ・２４４Ｂの左側には、ヒートシンクが設けられている。
【１１７７】
また、ケースＢ２２の右側面には、吸気口Ｂ２２Ａが設けられており（図２４８参照）、ケースＢ２２の左側面には、排気口Ｂ２２Ｅが設けられている（図２４９参照）。これにより、ケースＢ２２内においては、吸気口Ｂ２２Ａから吸気用ファン２４４Ａ・２４４Ｂによって強制的に吸気された後、ヒートシンクから熱を奪いつつ排気口Ｂ２２Ｅから排気される空気の流れが形成される。
【１１７８】
図２４９に示すように、ケースＢ２２は、下側台座Ｂ２２１に対してネジ締結により取り付けられて、その上端面（図２４８に示す上壁部Ｂ２２Ｆ）が下側台座Ｂ２２１の本体部Ｂ２２１ａの内側面に当接している。また、上側台座Ｂ２２０と下側台座Ｂ２２１とが連結された状態において、下側台座Ｂ２２１の本体部Ｂ２２１ａは、上側台座Ｂ２２０よりも上方に位置している。これにより、ケースＢ２２の上壁部Ｂ２２Ｆも、上側台座Ｂ２２０よりも上方に位置付けられることになる。
【１１７９】
この点、第５実施形態では、ケースＢ２２の上端が下側台座Ｂ２２１に取り付けられており、上側台座Ｂ２２０は、それよりも上方に配置されていた。そのため、上側台座Ｂ２２０と下側台座Ｂ２２１との間に形成された空間内（図２３６において矢印Ｓで示す間隙部分）にケースＢ２２を配置することができなかった。
【１１８０】
これに対し、本実施形態では、上側台座Ｂ２２０に開口を形成し、ケースＢ２２の上端（上壁部Ｂ２２Ｆ）が当該開口を上方に挿通するようにケースＢ２２を配置することにより、ケースＢ２２の上端（上壁部Ｂ２２Ｆ）を上側台座Ｂ２２０よりも上方に位置付けることができるようになっている。これにより、図２３６において矢印Ｓで示す間隙部分を、ケースＢ２２を配置するためのスペースとして利用することが可能となっている。
【１１８１】
なお、このように、第５実施形態と比較して、上側台座Ｂ２２０に対するケースＢ２２（プロジェクタ機構Ｂ２）の相対的な位置を上方に移動させたことにより、ケースＢ２２の前面に設けられた前部開口Ｂ２２ｋ（図２４８参照）の前方に、上側台座Ｂ２２０の一部が配置されることになる（図２４９参照）。すなわち、当該上側台座Ｂ２２０の一部が、前部開口Ｂ２２ｋに対応するように設置された投射レンズ２１０（図２３２参照）の前方に配置された状態となる。これにより、投射レンズ２１０から出射された光が上側台座Ｂ２２０によって遮られるようにも思われる。
【１１８２】
しかしながら、このようにして照射光が遮られることはない。すなわち、本実施形態において、照射光は、投射レンズ２１０の光軸よりも下側の部分から出射される。換言すれば、照射光の出射に際しては、投射レンズ２１０の下半分（投射レンズ２１０の上下方向における中央部を通る水平面よりも下側の部分）だけが使用される。このような投射レンズ２１０における光の出射位置は、従来公知のプロジェクタ（例えば、特開２００８−０５８８７５号公報参照）とは異なっている。
【１１８３】
このように、本実施形態では、照射光の出射に際して、投射レンズ２１０の上半分が使用されず、照射光は、投射レンズ２１０の光軸よりも下側の部分から出射されるところ、図２４９のように投射レンズ２１０の前方に配置された上側台座Ｂ２２０は、投射レンズ２１０の光軸よりも上方に存在する。従って、投射レンズ２１０から出射された光の進路は、上側台座Ｂ２２０よりも下方となり、上側台座Ｂ２２０によって照射光が遮られることはない。
【１１８４】
また、下側台座Ｂ２２１を下方に折り曲げて、右側部Ｂ２２１ｂ、左側部Ｂ２２１ｃ、及び、後端部Ｂ２２１ｄを形成することで、右側部Ｂ２２１ｂ、左側部Ｂ２２１ｃ、及び、後端部Ｂ２２１ｄそれぞれの上方に上側台座Ｂ２２０が配置されるように、上側台座Ｂ２２０と下側台座Ｂ２２１とを連結することができる。これにより、上側台座Ｂ２２０及び下側台座Ｂ２２１の構成を第５実施形態から変更しつつも、３箇所の連結部の構成については、第５実施形態と同様の構成を採用することができる。
【１１８５】
従って、プロジェクタ機構Ｂ２から照射される光の光軸方向等の調整についても、第５実施形態と同様の方法により行うことができる（図２３８参照）。このような光軸方向等の調整には、高度なコンピュータプログラムが必要であるところ、当該プログラムの開発には、多額のコストが発生する。本実施形態では、第５実施形態と同じプログラムを用いて光軸方向等の調整を行うことができるため、新たなコストの発生を抑えることが可能である。
【１１８６】
また、本実施形態では、ケースＢ２２が上壁部Ｂ２２Ｆを有することとして説明しているが、第５実施形態のように、上側が開放されたケースＢ２２（図２３２参照）を使用することとしてもよい。また、ケースＢ２２の下側台座Ｂ２２１への取付方法としては、特に限定されず、第５実施形態のように、ステーＢ２２３ａ（図２３２参照）を用いることにより、ケースＢ２２を下側台座Ｂ２２１に取り付けることとしてもよい。
【１１８７】
以上で説明したように、本実施形態では、ケースＢ２２の一部を上側台座Ｂ２２０よりも上方に配置することにより、第５実施形態と比較してケースＢ２２を上方に移動させることが可能であり、ケースＢ２２の下方領域に新たな空間を作り出すことができる。このような効果は、上側台座Ｂ２２０の構成を第５実施形態から変更したことにより得られるものであり、プロジェクタカバーＢ１については、第５実施形態と同様の構成を採用することができる。
【１１８８】
もっとも、本実施形態では、他の効果も勘案して、第５実施形態とは異なる構成を有するプロジェクタカバーＢ１を採用している。以下、本実施形態に係るプロジェクタカバーＢ１について説明する。
【１１８９】
＜プロジェクタカバーＢ１＞
図２５０は、プロジェクタカバーの上壁部を取り外した状態を示す斜視図である。図２５１は、上壁部を取り外した状態のプロジェクタカバーの平面図である。図２５２は、図２５１に示すプロジェクタカバーの矢視Ｌ−Ｌに沿う断面図と、プロジェクタカバーに取り付けられる中継板の斜視図とを分解して示す図である。図２５３は、上壁部を取り外した状態のプロジェクタカバーを斜め上方から見た図である。図２５４は、上壁部を取り外した状態のプロジェクタカバーの正面図である。図２５５は、図２５４に示すプロジェクタカバーの矢視Ｍ−Ｍに沿う断面図である。
【１１９０】
図２５０に示すように、プロジェクタカバーＢ１は、その内部において、中継板取付部Ｂ３０１を有している。中継板取付部Ｂ３０１は、左右の側壁部Ｂ１３・Ｂ１３それぞれの内側面から内側に突出するように形成されている。中継板取付部Ｂ３０１は、段差を有するように形成されており、前方及び後方に形成された中継板取付面Ｂ３０１ａと、中継板取付面Ｂ３０１ａよりも上方に形成された位置調整面Ｂ３０１ｄと、前方及び後方それぞれの中継板取付面Ｂ３０１ａと位置調整面Ｂ３０１ｄとを接続する接続部Ｂ３０１ｅとを有している。
【１１９１】
中継板取付面Ｂ３０１ａには、取付用孔Ｂ３０１ｂが形成されている。また、位置調整面Ｂ３０１ｄには、位置調整用孔Ｂ３０１ｃが形成されている。第５実施形態と同様に、取付用孔Ｂ３０１ｂは、中継板Ｂ３００を中継板取付部Ｂ３０１にネジ締結により取り付けるためのネジ孔である。位置調整用孔Ｂ３０１ｃは、中継板Ｂ３００を中継板取付部Ｂ３０１に取り付けた際に上側台座Ｂ２２０の角孔２２０１ｃ（図２４４参照）と対向するような位置に形成されている。
【１１９２】
図２５２に示すように、中継板Ｂ３００は、本体部Ｂ３００Ａ、本体部Ｂ３００Ａと段差を有して前方に延出する前側部Ｂ３００Ｂ、及び、本体部Ｂ３００Ａと段差を有して後方に延出する後側部Ｂ３００Ｃを備える。前側部Ｂ３００Ｂは、本体部Ｂ３００Ａの前端を下方及び前方に折り曲げることで形成されている。後側部Ｂ３００Ｃは、本体部Ｂ３００Ａの後端を下方及び後方に折り曲げることで形成されている。このように、中継板Ｂ３００の形状は、プロジェクタカバーＢ１の中継板取付部Ｂ３０１に設けられた段差に対応した形状となっている。
【１１９３】
本体部Ｂ３００Ａには、第１貫通孔Ｂ３００ａが形成されている。前側部Ｂ３００Ｂ及び後側部Ｂ３００Ｃには、それぞれ、第２貫通孔Ｂ３００ｂが形成されている。第５実施形態と同様に、第１貫通孔Ｂ３００ａは、中継板Ｂ３００を上側台座Ｂ２２０に取り付ける際にキャップボルト３２０（図２４２参照）が挿通する孔である。一方、第２貫通孔Ｂ３００ｂは、中継板Ｂ３００を中継板取付部Ｂ３０１にネジ締結により取り付ける際にネジが挿通する孔であるが、第５実施形態と異なり、本実施形態では、緩衝部材Ｂ３１２（図２４２参照）は設けられていない。
【１１９４】
また、図２５０に示すように、プロジェクタカバーＢ１の前方における左右両側には、上側が開放した開口Ｂ４００が設けられている。開口Ｂ４００は、上面視における形状が辺Ｅ〜Ｊ（図２５１参照）により構成される六角形に近似する形状となっている。
【１１９５】
図２５３に示すように、辺Ｅ〜Ｊを上端として、各辺からそれぞれ下方に向けて連続する壁面（壁面Ｂ４０１ｅ、壁面Ｂ４０１ｆ、壁面Ｂ４０１ｇ、壁面Ｂ４０１ｈ、壁面Ｂ４０１ｉ、及び、壁面Ｂ４０１ｊ）が形成されている。辺Ｊから連続して形成される壁面Ｂ４０１ｊ（図２５０参照）は、その他の壁面Ｂ４０１ｅ〜Ｂ４０１ｉと比較して、上下方向の長さが短くなっている。なお、辺Ｅから連続して形成される壁面Ｂ４０１ｅは、プロジェクタカバーＢ１の内側において後方まで連続しており、プロジェクタカバーＢ１の内側面４０３（図２５５参照）の一部となっている。
【１１９６】
また、図２５２に示すように、中継板取付部Ｂ３０１の位置調整面Ｂ３０１ｄの下方には空洞Ｂ４０２が形成されている。
【１１９７】
図２５５は、接続部Ｂ３０１ｅを通る水平面（中継板取付面Ｂ３０１ａよりも上方であって、位置調整面Ｂ３０１ｄよりも下方を通る面）で切断したときの断面図である。
【１１９８】
図２５５に示すように、プロジェクタカバーＢ１の上側に向けて開放した開口Ｂ４００と、中継板取付部Ｂ３０１の位置調整面Ｂ３０１ｄの下方に形成された空洞４０２とが、プロジェクタカバーＢ１の内部において連通している。
【１１９９】
＜プロジェクタカバーＢ１及びブラインドＢ５００による空気流路の形成＞
本実施形態では、プロジェクタカバーＢ１の下側に設けられる部材として、第２実施形態における多孔板Ｂ１５に代わって、ブラインドＢ５００が採用されている。
【１２００】
図２５６は、ブラインドの斜視図である。図２５７は、プロジェクタカバーの上壁部を取り外した状態の照射光装置の平面図である。図２５８は、図２５７に示す照射光装置の矢視Ｎ−Ｎに沿う断面図である。図２５９は、図２５７に示す照射光装置の矢視Ｎ−Ｎに沿う断面の右側面図である。
【１２０１】
図２５６に示すように、ブラインドＢ５００は、左右対称となる構造を備えており、略水平に形成された水平部Ｂ５０１と、水平部Ｂ５０１と連続して傾斜を有するように形成された傾斜部Ｂ５０２と、傾斜部Ｂ５０２と左右方向の幅が同じになるように傾斜部Ｂ５０２から上方に向かって立設された後壁部Ｂ５０３と、傾斜部Ｂ５０２及び後壁部Ｂ５０３と連続してブラインドＢ５００の外壁を構成する外壁部Ｂ５０４と、傾斜部Ｂ５０２及び後壁部Ｂ５０３と連続し外壁部Ｂ５０４と対向している内壁部Ｂ５０５と、を有している。
【１２０２】
水平部Ｂ５０１には、その前端において上方に向かって僅かに立設された第１壁部Ｂ５０１ａと、第１壁部Ｂ５０１ａにおける内側部分から後方に向かって連続する第２壁部Ｂ５０１ｂと、第２壁部Ｂ５０１ｂから斜め後方に向かって連続する第３壁部Ｂ５０１ｃと、第３壁部Ｂ５０１ｃから後方に向かって連続する第４壁部Ｂ５０１ｄと、第４壁部Ｂ５０１ｄから内側に向かって連続する第５壁部Ｂ５０１ｅと、が形成されている。第５壁部Ｂ５０１ｅは、内壁部Ｂ５０５と連続している。
【１２０３】
第１壁部Ｂ５０１ａと第２壁部Ｂ５０１ｂと第３壁部Ｂ５０１ｃと第４壁部Ｂ５０１ｄと第５壁部Ｂ５０１ｅとによって囲まれた領域には、ブラインドＢ５００をプロジェクタカバーＢ１にネジ締結により取り付けるためのネジ孔５０６が形成されている。
【１２０４】
図２５８に示すように、ブラインドＢ５００がプロジェクタカバーＢ１の下側に取り付けられた状態において、ブラインドＢ５００の第１壁部Ｂ５０１ａの面は、プロジェクタカバーＢ１の壁面Ｂ４０１ｆと連続し、ブラインドＢ５００の第２壁部Ｂ５０１ｂの面は、プロジェクタカバーＢ１の壁面Ｂ４０１ｇと連続し、ブラインドＢ５００の第３壁部Ｂ５０１ｃの面は、プロジェクタカバーＢ１の壁面Ｂ４０１ｈと連続し、ブラインドＢ５００の第４壁部Ｂ５０１ｄの面は、プロジェクタカバーＢ１の壁面Ｂ４０１ｉと連続している。ブラインドＢ５００の第５壁部Ｂ５０１ｅの面は、プロジェクタカバーＢ１の空洞Ｂ４０２（図２５２参照）の前方に存在する面Ｂ４０２ａ（図２５５参照）と連続している。
【１２０５】
また、ブラインドＢ５００の後壁部Ｂ５０３の前側の面は、プロジェクタカバーＢ１の空洞Ｂ４０２の後方に存在する面Ｂ４０２ｂ（図２５５参照）と連続している。さらに、ブラインドＢ５００の外壁部Ｂ５０４の内側面は、プロジェクタカバーＢ１の内側面４０３（図２５５参照）と連続している。
【１２０６】
以上より、プロジェクタカバーＢ１とブラインドＢ５００とによって、空間Ｐ（図２５８参照）が形成される。空間Ｐは、上方がプロジェクタカバーＢ１によって覆われるとともに、下方がブラインドＢ５００によって覆われている。また、空間Ｐの側方は、ブラインドＢ５００の第１壁部Ｂ５０１ａ〜第５壁部Ｂ５０１ｅ、後壁部Ｂ５０３、及び、外壁部Ｂ５０４の面、並びに、それらと連続するプロジェクタカバーＢ１の壁面Ｂ４０１ｆ〜Ｂ４０１ｉ、空洞Ｂ４０２の前後方に存在する面Ｂ４０２ａ・Ｂ４０２ｂ、及び、内側面４０３によって囲まれている。
【１２０７】
そして、空間Ｐは、その上方の一部が開口Ｂ４００（図２５１参照）を介してプロジェクタカバーＢ１の外部空間と繋がっており、また、空洞Ｂ４０２を介してプロジェクタカバーＢ１の内部空間Ｑ（図２５５参照）と繋がっている。
【１２０８】
ここで、図示しないが、本実施形態では、表示ユニットＡをキャビネットＧに装着した際、キャビネットＧの上面壁Ｇ４に形成された開口Ｇ４１（図４０参照）が、プロジェクタカバーＢ１の開口Ｂ４００の真上に位置付けられる。
【１２０９】
また、図２５８に示すように、空洞Ｂ４０２（２つある空洞Ｂ４０２のうちの右側の空洞Ｂ４０２）に近接するように、ケースＢ２２の吸気口Ｂ２２Ａ（図２４８参照）が配置されている。図示しないが、ケースＢ２２の排気口Ｂ２２Ｅ（図２４９参照）についても、同様に、空洞Ｂ４０２（２つある空洞Ｂ４０２のうちの左側の空洞Ｂ４０２）に近接するように配置されている。また、上述したように、ケースＢ２２の内部には、２つの吸気用ファン２４４Ａ・２４４Ｂが配設されている。
【１２１０】
これにより、本実施形態では、キャビネットＧの上面壁Ｇ４に形成された開口Ｇ４１（２つある開口Ｇ４１のうちの右側の開口Ｇ４１）を介して、遊技機１の外部からキャビネットＧの内部に空気が取り入れられる。この空気は、キャビネットＧの内部を下向きに移動し、プロジェクタカバーＢ１の開口Ｂ４００（２つある開口Ｂ４００のうちの右側の開口Ｂ４００）を介して、プロジェクタカバーＢ１の内部に取り入れられる。
【１２１１】
プロジェクタカバーＢ１の内部に入った空気は、プロジェクタカバーＢ１とブラインドＢ５００とによって形成された空間Ｐ（２つある空間Ｐのうちの右側の空間Ｐ、図２５８参照）を後方に移動した後、プロジェクタカバーＢ１の内側へと向きを変え、空洞Ｂ４０２（２つある空洞Ｂ４０２のうちの右側の空洞Ｂ４０２）を通過して、吸気口Ｂ２２Ａを介してケースＢ２２の内部に入る。
【１２１２】
ケースＢ２２の内部に入った空気は、ケースＢ２２内で発生した熱を奪いながら左方向に進み、排気口Ｂ２２Ｅを介してケースＢ２２を出る。
【１２１３】
ケースＢ２２を出た空気は、空洞Ｂ４０２（２つある空洞Ｂ４０２のうちの左側の空洞Ｂ４０２）を通過した後、進路を前向きに変えて、空間Ｐ（２つある空間Ｐのうちの左側の空間Ｐ）を前方に移動する。そして、当該空気は、プロジェクタカバーＢ１の開口Ｂ４００（２つある開口Ｂ４００のうちの左側の開口Ｂ４００）を介して、プロジェクタカバーＢ１の外部に出る。
【１２１４】
プロジェクタカバーＢ１の外部に出た空気は、キャビネットＧの内部を上向きに移動した後、キャビネットＧの上面壁Ｇ４に形成された開口Ｇ４１（２つある開口Ｇ４１のうちの左側の開口Ｇ４１）を介して、遊技機１の外部に放出される。
【１２１５】
以上で説明した空気の流れのうち、プロジェクタカバーＢ１の内部における空気流路を、図２５５中に太い矢印で示している。
【１２１６】
本実施形態では、このような空気流路を形成することにより、プロジェクタ機構Ｂ２において発生した熱を遊技機１の外部に排出することができる。
【１２１７】
また、プロジェクタカバーＢ１及びブラインドＢ５００は、左右対称となる構造を有しており（図２５０及び図２５６参照）、このような空気流路を形成するプロジェクタカバーＢ１の開口Ｂ４００や、プロジェクタカバーＢ１とブラインドＢ５００とによって形成される空間Ｐ等も左右対称である。従って、空気流路の設計に当たっては、左右のうちの一方の流路を設計すれば、他方の流路については設計を省略することができる。このようにして、本実施形態では、開発段階における設計にかかるコストを削減しつつ、プロジェクタ機構Ｂ２で発生した熱を適切に外部に排出することが可能な表示ユニットＡを作ることができる。
【１２１８】
ここで、上述したように、キャビネットＧの上面壁Ｇ４に形成された開口Ｇ４１（図４０参照）は、プロジェクタカバーＢ１の開口Ｂ４００の真上に存在している。すなわち、キャビネットＧの開口Ｇ４１とプロジェクタカバーＢ１の開口Ｂ４００とを上面視したとき、少なくとも一部が重なり合っている。
【１２１９】
そのため、キャビネットＧの開口Ｇ４１から液体等の異物が遊技機１の中に入った場合、当該異物は、プロジェクタカバーＢ１の内部に侵入することになる。しかしながら、本実施形態によれば、そのような場合であっても、当該異物がケースＢ２２の内部に侵入してしまうことを防止することが可能である。以下、キャビネットＧの開口Ｇ４１から液体Ｒが投入された場合を例として説明する。
【１２２０】
キャビネットＧの開口Ｇ４１から投入された液体Ｒは、プロジェクタカバーＢ１の開口Ｂ４００を通過して、ブラインドＢ５００の水平部Ｂ５０１（図２５８参照）に落下する。そして、液体Ｒは、水平部Ｂ５０１から傾斜部Ｂ５０２の方へと流れていく。このように、液体Ｒは、水平部Ｂ５０１及び傾斜部Ｂ５０２の面上を流れる。
【１２２１】
一方で、図２５８に示す空間ＰとプロジェクタカバーＢ１の内部空間Ｑ（図２５５参照）とは、図２５９に示す開口Ｂ５１０を介して繋がっている。図２５９に示すように、開口Ｂ５１０は、側面視における形状が辺Ｋ〜Ｎにより構成される長方形に近似する形状となっている。
【１２２２】
ここで、開口Ｂ５１０の下端を構成する辺Ｋは、ブラインドＢ５００の内壁部Ｂ５０５の上端縁Ｂ５０５ａ（図２５６参照）に対応している。そして、内壁部Ｂ５０５の上端縁Ｂ５０５ａ（開口５１０の下端）は、図２５６に示すように、水平部Ｂ５０１及び傾斜部Ｂ５０２（液体Ｒの通り道）よりも上方に位置している。これにより、液体Ｒが開口Ｂ５１０を介してプロジェクタカバーＢ１の内部空間Ｑ（ケースＢ２２の内部）に侵入するということが起こりにくくなっている。
【１２２３】
さらに、傾斜部Ｂ５０２は、後方に向かうにつれて下降するような傾斜を有しているため、液体Ｒは、傾斜部Ｂ５０２を後方へと流れていき、後壁部Ｂ５０３に衝突する。そして、液体Ｒは、後壁部Ｂ５０３と外壁部Ｂ５０４と内壁部Ｂ５０５とで囲まれた領域に貯留される（図２５９参照）。
【１２２４】
傾斜部Ｂ５０２の後方部分は、内壁部Ｂ５０５の上端縁Ｂ５０５ａ（開口５１０の下端）との上下方向の距離が、前方部分よりも長くなっており、液体Ｒは、そのような傾斜部Ｂ５０２の後方部分（開口５１０の下端から離れた領域）に貯留されるため、液体Ｒが開口Ｂ５１０を介してプロジェクタカバーＢ１の内部空間Ｑ（ケースＢ２２の内部）に侵入するという事態が発生してしまうことを効果的に防止することができる。
【１２２５】
また、このような傾斜が設けられていない場合と比較して、貯留可能な液体Ｒの容量を大きくすることができるため、キャビネットＧの開口Ｇ４１から投入された液体Ｒの量がそれほど多くない場合には、液体ＲがケースＢ２２の内部に侵入してしまうことを確実に防止することができる。
【１２２６】
なお、貯留された液体等の異物を遊技機１の外部に排出することができるように、遊技機１には、ブラインドＢ５００から遊技機１の外部まで連通するチューブ等を備える排出機構が設けられていることが望ましい。
【１２２７】
また、キャビネットＧの開口Ｇ４１から遊技機１の内部に侵入する異物の量をなるべく少なくするために、キャビネットＧの開口Ｇ４１は、プロジェクタカバーＢ１の開口Ｂ４００よりも小さい方がよく、キャビネットＧの開口Ｇ４１には、異物の侵入を防止するための何らかの措置（メッシュ等）が施されていることが望ましい。
【１２２８】
以上、本発明の一実施形態として、第６実施形態に係る遊技機１について説明した。
【１２２９】
従来、プロジェクタにより投影された映像をスクリーンに表示することにより演出を行うことが可能な遊技機が知られている（特開２０１２−１４７８２８号公報参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【１２３０】
このようなプロジェクタとスクリーンとを用いて演出を行う遊技機においては、遊技機の機種に応じて、多種多様なスクリーンや他の役物をプロジェクタの下方空間に設置することが考えられる。
【１２３１】
しかしながら、例えば、大型のスクリーンを設置しようとした場合や、多くの役物を設置しようとした場合等に、設置スペースを充分に確保することができないという問題が想定された。
【１２３２】
そのような設置スペースを確保するための対応策としては、プロジェクタを覆っているカバー（プロジェクタカバー）の設計を変更することが挙げられる。例えば、プロジェクタカバーの天井を構成する部分の位置が高くなるようにプロジェクタカバーを作り直したり、プロジェクタのプロジェクタカバーへの取付位置が高くなるようにプロジェクタカバーを作り直したりすることが考えられる。そのような天井位置や取付位置が高くなれば、それに伴ってプロジェクタの配置位置を上方に移動させることが可能であり、これにより、プロジェクタの下方領域に新たな空間を作ることができる。
【１２３３】
しかしながら、プロジェクタカバーの設計を変更した場合、プロジェクタカバーの金型を再度作り直す必要があるところ、金型の作成には膨大な費用がかかってしまうという問題があった。
【１２３４】
本発明は、上記のような問題点に鑑みてなされたものであり、コストの上昇を抑えつつ、プロジェクタの下方に存在するスペースを広げることが可能な遊技機を提供することを目的とする。
【１２３５】
この点、第６実施形態に係る遊技機１は、以下の特徴を備えている。
【１２３６】
（４４−１）  映像を投影することが可能なプロジェクタ（図２３２に示すプロジェクタ機構Ｂ２の内部構成要素（レンズユニットＢ２１等）及びそれらを収容するケースＢ２２）と、
前記プロジェクタを囲うように配置されたプロジェクタカバー（プロジェクタカバーＢ１）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記プロジェクタカバーと前記プロジェクタとは、開口を有する第１部材（上側台座Ｂ２２０）を介して連結されており、
前記プロジェクタは、該プロジェクタの一部が前記第１部材の開口の下方から上方へと挿通するように配置されて、該プロジェクタ（図２３２に示すプロジェクタ機構Ｂ２の内部構成要素（レンズユニットＢ２１等）及びそれらを収容するケースＢ２２）の一部が前記第１部材（上側台座Ｂ２２０）よりも上方に存在している、
ことを特徴とする遊技機。
【１２３７】
第６実施形態に係る遊技機１によれば、プロジェクタカバー（プロジェクタカバーＢ１）とプロジェクタ（プロジェクタ機構Ｂ２の内部構成要素（レンズユニットＢ２１等）及びそれらを収容するケースＢ２２）とは、第１部材（上側台座Ｂ２２０）を介して連結されており、第１部材（上側台座Ｂ２２０）には、開口が形成されている。そして、当該開口の存在により、プロジェクタ（プロジェクタ機構Ｂ２の内部構成要素（レンズユニットＢ２１等）及びそれらを収容するケースＢ２２）の一部（上端から所定範囲に属する部分）を第１部材（上側台座Ｂ２２０）よりも上方に配置することが可能となっている。これに対し、第１部材（上側台座Ｂ２２０）に開口が形成されていない場合、プロジェクタ（プロジェクタ機構Ｂ２の内部構成要素（レンズユニットＢ２１等）及びそれらを収容するケースＢ２２）の上端は、必然的に、第１部材（上側台座Ｂ２２０）よりも下方に配置されることとなる。従って、第１部材（上側台座Ｂ２２０）に開口を形成することにより、開口が形成されていない場合と比較して、プロジェクタ（プロジェクタ機構Ｂ２の内部構成要素（レンズユニットＢ２１等）及びそれらを収容するケースＢ２２）を全体的に上方に移動させることができる。これにより、プロジェクタ（プロジェクタ機構Ｂ２の内部構成要素（レンズユニットＢ２１等）及びそれらを収容するケースＢ２２）の下方領域に新たな空間を作ることができる。そして、このような効果を得るに当たっては、第１部材（上側台座Ｂ２２０）の設計を変更すれば足りるのであって、プロジェクタカバー（プロジェクタカバーＢ１）の設計を変更する必要はない。そのため、プロジェクタ（プロジェクタ機構Ｂ２の内部構成要素（レンズユニットＢ２１等）及びそれらを収容するケースＢ２２）の下方に存在するスペースを広げるために発生するコストを安く抑えることができる。
【１２３８】
（４４−２）  前記（４４−１）の遊技機であって、
前記第１部材（上側台座Ｂ２２０）は、前記プロジェクタカバーに対する面内位置を調整可能に取り付けられており、
前記第１部材（上側台座Ｂ２２０）と前記プロジェクタ（図２３２に示すプロジェクタ機構Ｂ２の内部構成要素（レンズユニットＢ２１等）及びそれらを収容するケースＢ２２）とは、第２部材（下側台座Ｂ２２１）を介して連結されており、
前記第２部材（下側台座Ｂ２２１）は、上側部（本体部Ｂ２２１ａ）と、前記上側部に対して下方に屈曲することで形成された下側部（右側部Ｂ２２１ｂ、左側部Ｂ２２１ｃ、及び、後端部Ｂ２２１ｄ）と、を備え、
前記第２部材は、前記上側部（本体部Ｂ２２１ａ）において前記プロジェクタに取り付けられて前記プロジェクタを支持しつつ、前記第１部材よりも下方に配置された前記下側部（右側部Ｂ２２１ｂ、左側部Ｂ２２１ｃ、及び、後端部Ｂ２２１ｄ）において、前記第１部材（上側台座Ｂ２２０）に対して３箇所以上で間隔を調整可能に取り付けられている、
ことを特徴とする。
【１２３９】
本発明に先立ち、本発明者は、第２部材（下側台座Ｂ２２１）をプロジェクタ（プロジェクタ機構Ｂ２の内部構成要素（レンズユニットＢ２１等）及びそれらを収容するケースＢ２２）の上側部分に取り付けてプロジェクタ（プロジェクタ機構Ｂ２の内部構成要素（レンズユニットＢ２１等）及びそれらを収容するケースＢ２２）を支持しつつ、第２部材（下側台座Ｂ２２１）よりも上方に配置された第１部材（上側台座Ｂ２２０）に対して３箇所以上で間隔を調整可能に取り付けるような取付構造を開発した。このような取付構造によれば、各箇所において第１部材（上側台座Ｂ２２０）と第２部材（下側台座Ｂ２２１）との間隔を調整することにより、第１部材（上側台座Ｂ２２０）に対する第２部材（下側台座Ｂ２２１）の傾きを変化させることができ、これにより、第２部材（下側台座Ｂ２２１）に支持されたプロジェクタ（プロジェクタ機構Ｂ２の内部構成要素（レンズユニットＢ２１等）及びそれらを収容するケースＢ２２）の姿勢を調整することができる。
【１２４０】
ここで、上述したように、第１部材（上側台座Ｂ２２０）に開口を形成したことに基づいて、プロジェクタ（プロジェクタ機構Ｂ２の内部構成要素（レンズユニットＢ２１等）及びそれらを収容するケースＢ２２）の一部が第１部材（上側台座Ｂ２２０）よりも上方に配置されることになった。そのため、従来と同様に、第２部材（下側台座Ｂ２２１）をプロジェクタ（プロジェクタ機構Ｂ２の内部構成要素（レンズユニットＢ２１等）及びそれらを収容するケースＢ２２）の上側部分に取り付けようとした場合、第２部材（下側台座Ｂ２２１）を上方に配置する必要性が発生した。ところが、第２部材（下側台座Ｂ２２１）を上方に移動させると、第２部材（下側台座Ｂ２２１）が第１部材（上側台座Ｂ２２０）よりも上方に配置されることになり、第１部材（上側台座Ｂ２２０）と第２部材（下側台座Ｂ２２１）との上下関係が従来とは逆転してしまうことになる。上記のようなプロジェクタ（プロジェクタ機構Ｂ２の内部構成要素（レンズユニットＢ２１等）及びそれらを収容するケースＢ２２）の姿勢調整には、高度なコンピュータプログラムが必要であるが、第１部材（上側台座Ｂ２２０）と第２部材（下側台座Ｂ２２１）との相対的な位置関係が変化してしまうと、従来のプログラムを使用することができず、新たなプログラムを開発するのに多額のコストが発生してしまうという問題に直面した。
【１２４１】
このような問題について鋭意検討を重ねる中で、本発明者は、第２部材（下側台座Ｂ２２１）の設計を変更して、上側部（本体部Ｂ２２１ａ）と下側部（右側部Ｂ２２１ｂ、左側部Ｂ２２１ｃ、及び、後端部Ｂ２２１ｄ）とを備える屈曲した構造とした上で、上側部（本体部Ｂ２２１ａ）においてプロジェクタ（プロジェクタ機構Ｂ２の内部構成要素（レンズユニットＢ２１等）及びそれらを収容するケースＢ２２）を支持する一方、下側部（右側部Ｂ２２１ｂ、左側部Ｂ２２１ｃ、及び、後端部Ｂ２２１ｄ）を第１部材（上側台座Ｂ２２０）よりも下方に配置することにより、第１部材（上側台座Ｂ２２０）と第２部材（下側台座Ｂ２２１）との取付部分における相対的な位置関係を変化させることなく、従来と同様に第１部材（上側台座Ｂ２２０）に対して間隔を調整可能に取り付けることができるという着想に至った。第６実施形態に係る遊技機１によれば、プログラムの設計を変更することなく、従来と同様の方法によりプロジェクタ（プロジェクタ機構Ｂ２の内部構成要素（レンズユニットＢ２１等）及びそれらを収容するケースＢ２２）の姿勢調整を行うことができるため、新たなコストの発生を抑えることができる。
【１２４２】
また、従来、プロジェクタ等の投影装置により投影された映像をスクリーンに表示することにより演出を行うことが可能な遊技機が知られている（特開２０１２−１４７８２８号公報参照）。このような遊技機によれば、液晶表示装置と同程度の映像表現が可能であるとともに、液晶表示装置等と比較して、表示面が大型化した際のコストを低減させることができる。また、スクリーンの形状を適宜変更することにより、液晶表示装置では行うことのできない映像表現も可能となる。
【１２４３】
しかしながら、投影装置は、液晶表示装置等と比較して、発熱しやすく、高温になりやすいため、発生した熱を放出しないと正常に機能しなくなってしまうという問題があった。
【１２４４】
本発明は、上記のような問題点に鑑みてなされたものであり、映像を投影することが可能な投影装置で発生した熱を効率よく放出することが可能な遊技機を提供することを目的とする。
【１２４５】
この点、第６実施形態に係る遊技機１は、以下の特徴を備えている。
【１２４６】
（４５−１）  映像を投影することが可能なプロジェクタ（プロジェクタ機構Ｂ２）と、
前記プロジェクタを囲うように配置されたカバー部材（プロジェクタカバーＢ１及びブラインドＢ５００）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記カバー部材（プロジェクタカバーＢ１）には、上方に向けて開放した第１の開口（２つある開口Ｂ４００のうちの右側の開口Ｂ４００）及び第２の開口（２つある開口Ｂ４００のうちの左側の開口Ｂ４００）が形成されており、
前記カバー部材の内部において、前記第１の開口から連通して第１の空間（２つある空間Ｐのうちの右側の空間Ｐ）が形成される一方、前記第２の開口から連通して第２の空間（２つある空間Ｐのうちの左側の空間Ｐ）が形成されており、
前記第１の空間は、前記カバー部材の内部に形成された第３の開口（２つある開口Ｂ５１０のうちの右側の開口Ｂ５１０）により、上方とは異なる方向（左方向）に開放している一方、前記第２の空間は、前記カバー部材の内部に形成された第４の開口（２つある開口Ｂ５１０のうちの左側の開口Ｂ５１０）により、上方とは異なる方向（右方向）に開放しており、
前記第１の開口（右側の開口Ｂ４００）と前記第３の開口（右側の開口Ｂ５１０）とが連通する一方、前記第２の開口（左側の開口Ｂ４００）と前記第４の開口（左側の開口Ｂ５１０）とが連通しており、
前記プロジェクタは、前記第３の開口（右側の開口Ｂ５１０）と前記第４の開口（左側の開口Ｂ５１０）との間に配置されており、
前記カバー部材（ブラインドＢ５００）は、前記第１の空間（右側の空間Ｐ）の下端を規定する下端部（水平部Ｂ５０１及び傾斜部Ｂ５０２）を備えるとともに、前記下端部は、前記第１の開口の直下部分から離れるにつれて下降するような傾斜を有する傾斜部（傾斜部Ｂ５０２）を備えており、
前記傾斜部の少なくとも一部は、前記第３の開口の下端（内壁部Ｂ５０５の上端縁Ｂ５０５ａ）よりも下方に位置している、
ことを特徴とする遊技機。
【１２４７】
第６実施形態に係る遊技機１によれば、プロジェクタ（プロジェクタ機構Ｂ２）を囲うように配置されたカバー部材（プロジェクタカバーＢ１）には、上方に向けて開放した第１の開口（右側の開口Ｂ４００）及び第２の開口（左側の開口Ｂ４００）が形成されている。また、カバー部材（プロジェクタカバーＢ１）の内部には、上方とは異なる方向（左右方向）に開放した第３の開口（右側の開口Ｂ５１０）及び第４の開口（左側の開口Ｂ５１０）が形成されている。第１の開口（右側の開口Ｂ４００）と第３の開口（右側の開口Ｂ５１０）とは連通しており、これにより第１の空間（右側の空間Ｐ）が形成される一方、第２の開口（左側の開口Ｂ４００）と第４の開口（左側の開口Ｂ５１０）とは連通しており、これにより第２の空間（左側の空間Ｐ）が形成されている。そして、このような第３の開口（右側の開口Ｂ５１０）と第４の開口（左側の開口Ｂ５１０）との間にプロジェクタ（プロジェクタ機構Ｂ２）が配置されている。これにより、カバー部材（プロジェクタカバーＢ１）の外部から第１の開口（右側の開口Ｂ４００）を介して流入した空気は、第１の空間（右側の空間Ｐ）及び第３の開口（右側の開口Ｂ５１０）を経由して、プロジェクタ（プロジェクタ機構Ｂ２）を通過した後、第４の開口（左側の開口Ｂ５１０）及び第２の空間（左側の空間Ｐ）を経由して、第２の開口（左側の開口Ｂ４００）を介してカバー部材（プロジェクタカバーＢ１）の外部に放出される。当該空気は、プロジェクタ（プロジェクタ機構Ｂ２）を通過する際、プロジェクタ（プロジェクタ機構Ｂ２）で発生した熱を吸収することにより温められるところ、温度の高い空気は上方に向かう性質を有する。そのため、プロジェクタ（プロジェクタ機構Ｂ２）を通過した空気は、第２の空間（左側の空間Ｐ）内を上昇し、第２の空間（左側の空間Ｐ）の上方に形成された第２の開口（左側の開口Ｂ４００）からスムーズに排出されることとなる。その結果、このような空気の流れを通じて、プロジェクタ（プロジェクタ機構Ｂ２）で発生した熱を効率よく放出することが可能となり、プロジェクタ（プロジェクタ機構Ｂ２）の冷却効率を高めることができる。
【１２４８】
また、第６実施形態に係る遊技機１によれば、カバー部材（ブラインドＢ５００）は、第１の空間（右側の空間Ｐ）の下端を規定する下端部（水平部Ｂ５０１及び傾斜部Ｂ５０２）を備えるとともに、下端部（水平部Ｂ５０１及び傾斜部Ｂ５０２）は、第１の開口（右側の開口Ｂ４００）の直下部分から離れるにつれて下降するような傾斜を有する傾斜部（傾斜部Ｂ５０２）を備えている。従って、第１の開口（右側の開口Ｂ４００）を介して、遊技機の外部からカバー部材（プロジェクタカバーＢ１及びブラインドＢ５００）の内部へと液体（遊技者が注ぎ込んだ飲み物等）が入ってきた場合、当該液体は、第１の開口（右側の開口Ｂ４００）の直下部分から離れるにつれて下降するように、傾斜部（傾斜部Ｂ５０２）を流れることになる。ここで、傾斜部（傾斜部Ｂ５０２）の少なくとも一部は第３の開口（右側の開口Ｂ５１０）の下端（内壁部Ｂ５０５の上端縁Ｂ５０５ａ）よりも下方に位置しているため、当該液体が傾斜部（傾斜部Ｂ５０２）を下降しながら流れて第３の開口（右側の開口Ｂ５１０）の下端（内壁部Ｂ５０５の上端縁Ｂ５０５ａ）よりも下方に到達すると、当該液体よりも第３の開口（右側の開口Ｂ５１０）の下端（内壁部Ｂ５０５の上端縁Ｂ５０５ａ）の方が上方に存在することになるため、当該液体は、第３の開口（右側の開口Ｂ５１０）を通過しにくく、当該液体がプロジェクタ（プロジェクタ機構Ｂ２）の配置されている方へと侵入するということが起こりにくい状態となる。このようにして、第６実施形態に係る遊技機１によれば、遊技機の外部から侵入してきた液体等の異物からプロジェクタ（プロジェクタ機構Ｂ２）を保護することができる。
【１２４９】
（４５−２）  前記（４５−１）の遊技機であって、
前記本体部の上面（キャビネットＧの上面壁Ｇ４）には、前記第１の開口及び前記第２の開口のそれぞれの上方に、第５の開口（２つある開口Ｇ４１のうちの右側の開口Ｇ４１）及び第６の開口（２つある開口Ｇ４１のうちの左側の開口Ｇ４１）が形成されている、
ことを特徴とする。
【１２５０】
第６実施形態に係る遊技機１によれば、本体部（キャビネットＧ）の上面（上面壁Ｇ４）には、カバー部材（プロジェクタカバーＢ１）の第１の開口（右側の開口Ｂ４００）及び第２の開口（左側の開口Ｂ４００）のそれぞれの上方に、第５の開口（右側の開口Ｇ４１）及び第６の開口（左側の開口Ｇ４１）が形成されている。これにより、本体部（キャビネットＧ）の第５の開口（右側の開口Ｇ４１）を介して遊技機の外部上方から遊技機の内部に空気を取り入れ、カバー部材（プロジェクタカバーＢ１）の第１の開口（右側の開口Ｂ４００）を介してこの空気をカバー部材（プロジェクタカバーＢ１）の内部に流入させた後、プロジェクタ（プロジェクタ機構Ｂ２）を通過した空気を、カバー部材（プロジェクタカバーＢ１）の第２の開口（左側の開口Ｂ４００）及び本体部（キャビネットＧ）の第６の開口（左側の開口Ｇ４１）を介して遊技機の外部上方に放出することができる。このように、第６実施形態に係る遊技機１では、プロジェクタ（プロジェクタ機構Ｂ２）を通過して温められた空気の排出先が遊技機の外部上方となっているが、仮に、当該空気を遊技機の背面から排出することとすれば、遊技店に設置される島設備に熱がこもってしまい、遊技機の制御に悪影響を招来してしまうことが懸念される。また、遊技機の側面から空気を排出することとすれば、温められた空気が隣の遊技機に取り込まれることになり、隣接する遊技機間で温かい空気の悪循環が生じてしまう結果として、プロジェクタ（プロジェクタ機構Ｂ２）の冷却効率を高めることができないと考えられる。さらに、遊技機の前方に空気を排出することとすれば、遊技者の顔に熱風が吹き付けられてしまう恐れがある。この点、第６実施形態に係る遊技機１によれば、このような問題を生じさせることなく、プロジェクタ（プロジェクタ機構Ｂ２）で発生した熱を放出するための空気の流れを作り出すことができる。
【１２５１】
一方で、第６実施形態に係る遊技機１によれば、本体部の上面（キャビネットＧの上面壁Ｇ４）に形成された第５の開口（右側の開口Ｇ４１）及び第６の開口（左側の開口Ｇ４１）が、カバー部材（プロジェクタカバーＢ１）に形成された第１の開口（右側の開口Ｂ４００）及び第２の開口（左側の開口Ｂ４００）の上方に存在しているため、第５の開口（右側の開口Ｇ４１）又は第６の開口（左側の開口Ｇ４１）を介して遊技機の外部から内部に異物が入った場合、当該異物は、第１の開口（右側の開口Ｂ４００）又は第２の開口（左側の開口Ｂ４００）を介してカバー部材（プロジェクタカバーＢ１及びブラインドＢ５００）の内部に侵入しやすくなっている。そのため、カバー部材（プロジェクタカバーＢ１及びブラインドＢ５００）の内部に入った異物がプロジェクタ（プロジェクタ機構Ｂ２）にまで到達し、プロジェクタ（プロジェクタ機構Ｂ２）に悪影響を及ぼしてしまうことが懸念される。例えば、第５の開口（右側の開口Ｇ４１）から遊技者が飲み物を注入したような場合、当該飲み物が第１の空間（右側の空間Ｐ）及び第３の開口（右側の開口Ｂ５１０）を通過してプロジェクタ（プロジェクタ機構Ｂ２）の内部にまで侵入すると、プロジェクタ（プロジェクタ機構Ｂ２）が故障してしまう恐れがある。この点、第６実施形態に係る遊技機１によれば、第５の開口（右側の開口Ｇ４１）及び第１の開口（右側の開口Ｂ４００）を介して遊技機の外部からカバー部材（プロジェクタカバーＢ１及びブラインドＢ５００）の内部へと液体が入ってきた場合であっても、当該液体は、上述したように傾斜部（傾斜部Ｂ５０２）に沿って流れるため、このような事態が発生してしまうことを防止することができる。
【１２５２】
（４５−３）  前記（４５−１）又は（４５−２）の遊技機であって、
前記傾斜部（傾斜部Ｂ５０２）及び前記傾斜部と連続する壁部（後壁部Ｂ５０３、外壁部Ｂ５０４、及び、内壁部Ｂ５０５）によって下方が閉塞した空間が形成されている、
ことを特徴とする。
【１２５３】
第６実施形態に係る遊技機１によれば、傾斜部（傾斜部Ｂ５０２）及び傾斜部（傾斜部Ｂ５０２）と連続する壁部（後壁部Ｂ５０３、外壁部Ｂ５０４、及び、内壁部Ｂ５０５）によって下方が閉塞した空間が形成されているため、傾斜部（傾斜部Ｂ５０２）を下降しながら流れてきた液体を当該空間に貯留することができる。これにより、貯留された液体の液面が第３の開口（右側の開口Ｂ５１０）の下端（内壁部Ｂ５０５の上端縁Ｂ５０５ａ）よりも下方に存在する限り、第３の開口（右側の開口Ｂ５１０）を介してプロジェクタ（プロジェクタ機構Ｂ２）の配置空間へと液体が侵入してしまうことを阻止することができる。
【１２５４】
（４６−１）  映像を投影することが可能なプロジェクタ（プロジェクタ機構Ｂ２）と、
前記プロジェクタを囲うように配置されたカバー部材（プロジェクタカバーＢ１及びブラインドＢ５００）と、
前記プロジェクタにより投影された映像を表示可能なスクリーン（固定スクリーン機構Ｄ、フロントスクリーン機構Ｅ１、リールスクリーン機構Ｆ１）と、
前面に開口を有する本体部（キャビネットＧ）と、
前記本体部に対して開閉可能に取り付けられ、前記スクリーンを視認可能な表示領域（上側表示窓ＵＤ１）が設けられた開閉扉（上ドア機構ＵＤ）と、を備え、
前記カバー部材（プロジェクタカバーＢ１）には、上方に向けて開放した第１の開口（２つある開口Ｂ４００のうちの右側の開口Ｂ４００）及び第２の開口（２つある開口Ｂ４００のうちの左側の開口Ｂ４００）が形成されており、
前記カバー部材の内部において、前記第１の開口から連通して第１の空間（２つある空間Ｐのうちの右側の空間Ｐ）が形成される一方、前記第２の開口から連通して第２の空間（２つある空間Ｐのうちの左側の空間Ｐ）が形成されており、
前記第１の空間は、前記カバー部材の内部に形成された第３の開口（２つある開口Ｂ５１０のうちの右側の開口Ｂ５１０）により、上方とは異なる方向（左方向）に開放している一方、前記第２の空間は、前記カバー部材の内部に形成された第４の開口（２つある開口Ｂ５１０のうちの左側の開口Ｂ５１０）により、上方とは異なる方向（右方向）に開放しており、
前記第１の開口（右側の開口Ｂ４００）と前記第３の開口（右側の開口Ｂ５１０）とが連通する一方、前記第２の開口（左側の開口Ｂ４００）と前記第４の開口（左側の開口Ｂ５１０）とが連通しており、
前記プロジェクタは、前記第３の開口（右側の開口Ｂ５１０）と前記第４の開口（左側の開口Ｂ５１０）との間に配置されている、
ことを特徴とする遊技機。
【１２５５】
第６実施形態に係る遊技機１によれば、プロジェクタ（プロジェクタ機構Ｂ２）を囲うように配置されたカバー部材（プロジェクタカバーＢ１）には、上方に向けて開放した第１の開口（右側の開口Ｂ４００）及び第２の開口（左側の開口Ｂ４００）が形成されている。また、カバー部材（プロジェクタカバーＢ１）の内部には、上方とは異なる方向（左右方向）に開放した第３の開口（右側の開口Ｂ５１０）及び第４の開口（左側の開口Ｂ５１０）が形成されている。第１の開口（右側の開口Ｂ４００）と第３の開口（右側の開口Ｂ５１０）とは連通しており、これにより第１の空間（右側の空間Ｐ）が形成される一方、第２の開口（左側の開口Ｂ４００）と第４の開口（左側の開口Ｂ５１０）とは連通しており、これにより第２の空間（左側の空間Ｐ）が形成されている。そして、このような第３の開口（右側の開口Ｂ５１０）と第４の開口（左側の開口Ｂ５１０）との間にプロジェクタ（プロジェクタ機構Ｂ２）が配置されている。これにより、カバー部材（プロジェクタカバーＢ１）の外部から第１の開口（右側の開口Ｂ４００）を介して流入した空気は、第１の空間（右側の空間Ｐ）及び第３の開口（右側の開口Ｂ５１０）を経由して、プロジェクタ（プロジェクタ機構Ｂ２）を通過した後、第４の開口（左側の開口Ｂ５１０）及び第２の空間（左側の空間Ｐ）を経由して、第２の開口（左側の開口Ｂ４００）を介してカバー部材（プロジェクタカバーＢ１）の外部に放出される。当該空気は、プロジェクタ（プロジェクタ機構Ｂ２）を通過する際、プロジェクタ（プロジェクタ機構Ｂ２）で発生した熱を吸収することにより温められるところ、温度の高い空気は上方に向かう性質を有する。そのため、プロジェクタ（プロジェクタ機構Ｂ２）を通過した空気は、第２の空間（左側の空間Ｐ）内を上昇し、第２の空間（左側の空間Ｐ）の上方に形成された第２の開口（左側の開口Ｂ４００）からスムーズに排出されることとなる。その結果、このような空気の流れを通じて、プロジェクタ（プロジェクタ機構Ｂ２）で発生した熱を効率よく放出することが可能となり、プロジェクタ（プロジェクタ機構Ｂ２）の冷却効率を高めることができる。
【１２５６】
（４６−２）  前記（４６−１）の遊技機であって、
前記プロジェクタは、第１の通気口（吸気口Ｂ２２Ａ）及び第２の通気口（排気口Ｂ２２Ｅ）と、前記第１の通気口と前記第２の通気口との間に配置されたファン（吸気用ファン２４４Ａ・２４４Ｂ）とを備え、
前記第１の通気口（吸気口Ｂ２２Ａ）と前記第３の開口（右側の開口Ｂ５１０）とが対向する一方、前記第２の通気口（排気口Ｂ２２Ｅ）と前記第４の開口（左側の開口Ｂ５１０）とが対向するように、前記プロジェクタが配置されている、
ことを特徴とする。
【１２５７】
第６実施形態に係る遊技機１によれば、プロジェクタ（プロジェクタ機構Ｂ２）には、第１の通気口（吸気口Ｂ２２Ａ）と第２の通気口（排気口Ｂ２２Ｅ）とが設けられるとともに、第１の通気口（吸気口Ｂ２２Ａ）と第２の通気口（排気口Ｂ２２Ｅ）との間にファン（吸気用ファン２４４Ａ・２４４Ｂ）が備えられており、第１の通気口（吸気口Ｂ２２Ａ）が第３の開口（右側の開口Ｂ５１０）と対向し第２の通気口（排気口Ｂ２２Ｅ）が第４の開口（左側の開口Ｂ５１０）と対向するようにプロジェクタ（プロジェクタ機構Ｂ２）が配置されるため、ファン（吸気用ファン２４４Ａ・２４４Ｂ）によって強制的に吸気することにより、上記のような空気の流れをスムーズに作り出すことができる。
【１２５８】
なお、このような空気の流れをスムーズに作り出すために設けられるファンの配置位置は、特に限定されない。例えば、上述した実施形態では、プロジェクタ機構Ｂ２（ケースＢ２２の内部）に吸気用ファン２４４Ａ・２４４Ｂが配設された例について説明したが、プロジェクタ機構Ｂ２の外部に吸気用ファン及び／又は排気用ファンを配設することとしてもよい。
【１２５９】
このような変形例について、図２６０を用いて説明する。図２６０は、吸気用ファン及び排気用ファンの配置位置について説明するための図である。
【１２６０】
吸気用ファンは、プロジェクタカバーＢ１とブラインドＢ５００とによって形成された空間Ｐ（２つある空間Ｐのうちの右側の空間Ｐ、図２５８参照）中の所望の位置に配設することができる。
【１２６１】
図２６０では、吸気用ファンの配置位置として、Ｆ（Ｒ１）で示す点線で囲まれた領域、Ｆ（Ｒ２）で示す点線で囲まれた領域、Ｆ（Ｒ３）で示す点線で囲まれた領域、及び、Ｆ（Ｒ４）で示す点線で囲まれた領域を例示している。
【１２６２】
Ｆ（Ｒ１）で示す点線で囲まれた領域は、右側の開口Ｂ５１０（図２５９参照）近傍に位置しており、該領域に吸気用ファンが配設された場合、吸気用ファンは、ケースＢ２２の右側面に設けられた吸気口Ｂ２２Ａ（図２４８参照）に近接する。これにより、プロジェクタカバーＢ１の外部から取り入れられた空気を、ケースＢ２２の内部（プロジェクタ機構Ｂ２）へと効率的に送り込むことができる。
【１２６３】
Ｆ（Ｒ２）で示す点線で囲まれた領域は、Ｆ（Ｒ１）で示す点線で囲まれた領域の右側領域であり、プロジェクタカバーＢ１の壁面Ｂ４０１ｉを後方へ延長した箇所である。Ｆ（Ｒ２）で示す点線で囲まれた領域に吸気用ファンが配設された場合、空間Ｐを後方に移動した空気の進行方向を、スムーズに内向きへと変えることができる。
【１２６４】
Ｆ（Ｒ３）で示す点線で囲まれた領域は、Ｆ（Ｒ２）で示す点線で囲まれた領域の前方領域であり、プロジェクタカバーＢ１の壁面Ｂ４０１ｊ（図２５０参照）の下側領域である。Ｆ（Ｒ３）で示す点線で囲まれた領域に吸気用ファンが配設された場合、開口Ｂ４００を介してプロジェクタカバーＢ１の内部に取り入れられた空気を、スムーズに後方へと流すことができる。
【１２６５】
Ｆ（Ｒ４）で示す点線で囲まれた領域は、Ｆ（Ｒ３）で示す点線で囲まれた領域の前方領域であり、開口Ｂ４００の下方領域である。Ｆ（Ｒ４）で示す点線で囲まれた領域に吸気用ファンが配設された場合、プロジェクタカバーＢ１の内部への空気の取り入れをスムーズに行うことができる。
【１２６６】
また、排気用ファンは、プロジェクタカバーＢ１とブラインドＢ５００とによって形成された空間Ｐ（２つある空間Ｐのうちの左側の空間Ｐ）中の所望の位置に配設することができる。
【１２６７】
図２６０では、排気用ファンの配置位置として、Ｆ（Ｌ１）で示す点線で囲まれた領域、及び、Ｆ（Ｌ２）で示す点線で囲まれた領域を例示している。
【１２６８】
Ｆ（Ｌ１）で示す点線で囲まれた領域は、左側の開口Ｂ５１０近傍に位置しており、該領域に排気用ファンが配設された場合、排気用ファンは、ケースＢ２２の左側面に設けられた排気口Ｂ２２Ｅ（図２４９参照）に近接する。これにより、プロジェクタ機構Ｂ２で発生した熱によって温められた空気を、プロジェクタ機構Ｂ２の外部へと効率的に送り出すことができる。
【１２６９】
Ｆ（Ｌ２）で示す点線で囲まれた領域は、プロジェクタカバーＢ１の壁面Ｂ４０１ｊの下側領域である。Ｆ（Ｌ２）で示す点線で囲まれた領域に排気用ファンが配設された場合、ケースＢ２２から出た空気の進行方向を、スムーズに前向きへと変えることができる。
【１２７０】
以上、図２６０を用いて説明した吸気用ファン及び排気用ファンは、吸気用ファンと排気用ファンとの双方を配設することとしてもよいし、吸気用ファンのみを配設することとしてもよいし、排気用ファンのみを配設することとしてもよい。
【１２７１】
また、吸気用ファンは、Ｆ（Ｒ１）で示す点線で囲まれた領域、Ｆ（Ｒ２）で示す点線で囲まれた領域、Ｆ（Ｒ３）で示す点線で囲まれた領域、及び、Ｆ（Ｒ４）で示す点線で囲まれた領域のうちの何れか１つの領域のみに配設することとしてもよいし、これらの領域のうちの２つ以上の領域に配設することとしてもよい。排気用ファンは、Ｆ（Ｌ１）で示す点線で囲まれた領域とＦ（Ｌ２）で示す点線で囲まれた領域とのうち、一方の領域のみに配設することとしてもよいし、双方の領域に配設することとしてもよい。
【１２７２】
なお、上述した実施形態では、プロジェクタカバーＢ１の内部において、図２５５中に太い矢印で示したような空気流路が形成されることとして説明した。しかし、プロジェクタカバーＢ１内の空気は、必ずしも、当該経路に完全に沿って流れる必要はない。
【１２７３】
図２５５に示す空気流路以外に形成され得る空気流路について、図２６１を用いて説明する。図２６１は、プロジェクタカバーの内部において形成され得る空気流路を示す図である。
【１２７４】
図２６１の矢印Ｘ１に示すように、例えば、プロジェクタ機構Ｂ２で発生した熱によって温められた空気が、吸気口Ｂ２２Ａを介してケースＢ２２の外部に出るような流れがあってもよい。このようにして吸気口Ｂ２２Ａから流れ出た空気は、矢印Ｘ２に示すように、プロジェクタカバーＢ１の後方に移動してもよい。また、矢印Ｘ３に示すように、排気口Ｂ２２Ｅを介してケースＢ２２から出た空気が、後方へと向かうような空気の流れがあってもよい。
【１２７５】
プロジェクタカバーＢ１の後方は開放しているため、矢印Ｘ２又は矢印Ｘ３に示すように後方に移動した空気は、プロジェクタカバーＢ１の外部へと排出される。プロジェクタカバーＢ１の後方からの空気の排出がスムーズに行われるようにするため、プロジェクタカバーＢ１の後方領域に排気用ファンを配設することとしてもよい。
【１２７６】
（４６−３）  前記（４６−１）又は（４６−２）の遊技機であって、
前記本体部の上面（キャビネットＧの上面壁Ｇ４）には、前記第１の開口及び前記第２の開口のそれぞれの上方に、第５の開口（２つある開口Ｇ４１のうちの右側の開口Ｇ４１）及び第６の開口（２つある開口Ｇ４１のうちの左側の開口Ｇ４１）が形成されており、
前記プロジェクタは、前記スクリーンの上方に配置されるように、前記本体部に収容されている、
ことを特徴とする。
【１２７７】
第６実施形態に係る遊技機１によれば、本体部（キャビネットＧ）の上面（上面壁Ｇ４）には、カバー部材（プロジェクタカバーＢ１）の第１の開口（右側の開口Ｂ４００）及び第２の開口（左側の開口Ｂ４００）のそれぞれの上方に、第５の開口（右側の開口Ｇ４１）及び第６の開口（左側の開口Ｇ４１）が形成されている。これにより、本体部（キャビネットＧ）の第５の開口（右側の開口Ｇ４１）を介して遊技機の外部上方から遊技機の内部に空気を取り入れ、カバー部材（プロジェクタカバーＢ１）の第１の開口（右側の開口Ｂ４００）を介してこの空気をカバー部材（プロジェクタカバーＢ１）の内部に流入させた後、プロジェクタ（プロジェクタ機構Ｂ２）を通過した空気を、カバー部材（プロジェクタカバーＢ１）の第２の開口（左側の開口Ｂ４００）及び本体部（キャビネットＧ）の第６の開口（左側の開口Ｇ４１）を介して遊技機の外部上方に放出することができる。このように、第６実施形態に係る遊技機１では、プロジェクタ（プロジェクタ機構Ｂ２）を通過して温められた空気の排出先が遊技機の外部上方となっているが、仮に、当該空気を遊技機の背面から排出することとすれば、遊技店に設置される島設備に熱がこもってしまい、遊技機の制御に悪影響を招来してしまうことが懸念される。また、遊技機の側面から空気を排出することとすれば、温められた空気が隣の遊技機に取り込まれることになり、隣接する遊技機間で温かい空気の悪循環が生じてしまう結果として、プロジェクタ（プロジェクタ機構Ｂ２）の冷却効率を高めることができないと考えられる。さらに、遊技機の前方に空気を排出することとすれば、遊技者の顔に熱風が吹き付けられてしまう恐れがある。この点、第６実施形態に係る遊技機１によれば、このような問題を生じさせることなく、プロジェクタ（プロジェクタ機構Ｂ２）で発生した熱を放出するための空気の流れを作り出すことができる。
【１２７８】
また、第６実施形態に係る遊技機１によれば、プロジェクタ（プロジェクタ機構Ｂ２）は、スクリーン（固定スクリーン機構Ｄ、フロントスクリーン機構Ｅ１、リールスクリーン機構Ｆ１）の上方に配置されるように本体部（キャビネットＧ）に収容され、プロジェクタ（プロジェクタ機構Ｂ２）の配置位置が本体部の上面（キャビネットＧの上面壁Ｇ４）に近くなっている。従って、本体部の上面（キャビネットＧの上面壁Ｇ４）に形成された第５の開口（右側の開口Ｇ４１）及び第６の開口（左側の開口Ｇ４１）とプロジェクタ（プロジェクタ機構Ｂ２）との距離も短く、それに伴い、第５の開口（右側の開口Ｇ４１）及び第６の開口（左側の開口Ｇ４１）とプロジェクタ（プロジェクタ機構Ｂ２）との間に存在する部材や装置の数は比較的少なくなっている。そのため、第５の開口（右側の開口Ｇ４１）から取り入れた空気をプロジェクタ（プロジェクタ機構Ｂ２）を経由して第６の開口（左側の開口Ｇ４１）から排出するような流路を設計するに当たって、途中に存在する部材や装置を避けるために複雑な迂回経路を作る必要がなく、比較的容易に空気流路の設計を行うことができる。
【１２７９】
以上、第６実施形態では、本発明をパチスロ遊技機に適用した場合について説明した。以下、図２６２〜図２６６を用いて、本発明をパチンコ遊技機に適用した変形例について説明する。
【１２８０】
図２６２は、パチンコ遊技機の外観を示す斜視図である。図２６３は、パチンコ遊技機の分解斜視図である。図２６４は、パチンコ遊技機の装飾ユニット及びフレーム部材を前方から示す分解斜視図である。
【１２８１】
図２６２及び図２６３に示すように、パチンコ遊技機６１００は、ガラスドア６１１１、木枠６１１２、ベースドア６１１３、遊技盤６１１４、皿ユニット６１１５、遊技球を発射する発射装置６１２２、各種の制御基板を含む基板ユニット６１２３、遊技価値としての遊技球を付与する球払出ユニットなどから構成されている。
【１２８２】
上述したガラスドア６１１１は、ベースドア６１１３に対して開閉自在に軸着されている。また、このガラスドア６１１１の中央には、開口６１１６が形成されており、その開口６１１６には、透過性を有する保護ガラス６１２４が配設されている。また、上述した木枠６１１２は、その前方にベースドア６１１３が軸着される。
【１２８３】
上述した皿ユニット６１１５は、ガラスドア６１１１の下方に位置するように、ベースドア６１１３に配設されている。皿ユニット６１１５には、その上方に上皿６１２５が、その下方に下皿６１２６が設けられている。上皿６１２５及び下皿６１２６には、遊技球の貸し出し、遊技球の払出し（賞球）を行うための払出口６１３１Ａ、６１３１Ｂが形成されており、所定の払出条件が成立した場合には、遊技球が排出され、特に、上皿６１２５には、遊技領域６１４１に発射させるための遊技球が貯留されることとなる。
【１２８４】
上述した発射装置６１２２は、皿ユニット６１１５の側方に位置するように、ベースドア６１１３に配設されている。この発射装置６１２２には、遊技者によって操作可能な発射ハンドル６１３２が配設されており、遊技者によって発射ハンドル６１３２が操作されることによりパチンコ遊技を進めることができる。この発射ハンドル６１３２が遊技者によって握持され、かつ、時計回り方向へ回動操作されたときには、その回動角度に応じて発射モータに電力が供給され、上皿６１２５に貯留された遊技球が遊技盤に順次発射される。
【１２８５】
上述した遊技盤６１１４は、保護ガラス６１２４の後方に位置するように、ベースドア６１１３の前方に配設されている。遊技盤６１１４は、その前面に、発射された遊技球が転動可能な遊技領域６１４１を有している。この遊技領域６１４１は、ガイドレールなどに囲まれ、遊技球が転動可能な領域である。このように、発射装置６１２２によって発射された遊技球は、遊技盤上に設けられたガイドレールに案内されて遊技盤６１１４の上部に移動し、その後、遊技領域６１４１に設けられた複数の障害釘との衝突によりその進行方向を変えながら遊技盤の上方から下方に向かって流下することとなる。
【１２８６】
図２６２に示すように、ガラスドア６１１１の前面における上部領域には、装飾ユニット６２５８が設けられている。装飾ユニット６２５８は、パチンコ遊技機６１００の前方に突出するように配置されている。
【１２８７】
装飾ユニット６２５８の内部には空洞が形成されており、該空洞には、上述した実施形態で説明した照射光装置Ｂが配設されている。図２６２では、装飾ユニット６２５８の上方から装飾ユニット６２５８の内部を透視した状態を示している。
【１２８８】
図２６３に示すように、遊技盤６１１４の背面側には、スクリーン装置Ｃ（図１６６参照）が配置されている。これにより、上述した実施形態と同様に、照射光装置Ｂのプロジェクタ機構Ｂ２から出射された光をスクリーン装置Ｃのスクリーン（固定スクリーン機構Ｄ、フロントスクリーン機構Ｅ１、及び、リールスクリーン機構Ｆ１）に照射させることができるようになっている。
【１２８９】
装飾ユニット６２５８は、フレーム部材６２１１（図２６４参照）の上部に取り付けられる。図示しないが、フレーム部材６２１１は、ガラスドア６１１１の背面側に固定されている。
【１２９０】
図２６４に示すように、照射光装置Ｂは、フレーム部材６２１１の上部に取り付けられる。照射光装置Ｂがフレーム部材６２１１に取り付けられた状態でフレーム部材６２１１に対して装飾ユニット６２５８を取り付けることにより、装飾ユニット６２５８の内部空間に照射光装置Ｂが収納される。
【１２９１】
また、フレーム部材６２１１の上部には、照射光装置Ｂの左右双方において、スピーカ６１５２とスピーカホルダ６１５２Ａとが一体となって取り付けられている。一方、装飾ユニット６２５８には、右側及び左側にそれぞれ、スピーカ用孔６１５１Ａ，６１５１Ｂが設けられている。スピーカ用孔６１５１Ａ，６１５１Ｂは、メッシュ状の開口として形成されている。
【１２９２】
フレーム部材６２１１に装飾ユニット６２５８が取り付けられた状態において、スピーカ用孔６１５１Ａ，６１５１Ｂは、それぞれ、スピーカ６１５２の前方を覆っており、スピーカ用孔６１５１Ａ，６１５１Ｂを介して、スピーカ６１５２から発生した音をパチンコ遊技機６１００の外部に放出することができるようになっている。
【１２９３】
ここで、スピーカ用孔６１５１Ａは、パチンコ遊技機６１００の外部から空気を取り込むための通気口としても機能する。図２６４に示すように、照射光装置Ｂの前部右側には、吸気用ファン６２４４が配設されている。これにより、スピーカ用孔６１５１Ａを介して、パチンコ遊技機６１００の外部前方から、パチンコ遊技機６１００の内部に空気が取り入れられる。
【１２９４】
この空気は、第６実施形態と同様に、プロジェクタカバーＢ１の開口Ｂ４００Ｒ（２つある開口Ｂ４００のうちの右側の開口Ｂ４００）を介して、プロジェクタカバーＢ１の内部に取り入れられ、プロジェクタ機構Ｂ２で発生した熱を奪いながらプロジェクタカバーＢ１内を進行し、開口Ｂ４００Ｌ（２つある開口Ｂ４００のうちの左側の開口Ｂ４００）を介して、プロジェクタカバーＢ１の外部に出る。
【１２９５】
プロジェクタカバーＢ１の外部に出た空気は、フレーム部材６２１１に形成された貫通孔６２４５を通過して後方へと移動し、パチンコ遊技機６１００の背面側から外部に放出される。
【１２９６】
以上で説明した空気の流れを図２６２及び図２６４中に矢印で示している。第６実施形態では、遊技機１の外部上方から空気を取り入れ、遊技機１の外部上方へと空気を排出する場合について説明した。これに対し、本変形例では、パチンコ遊技機６１００の外部前方から空気を取り入れ、パチンコ遊技機６１００の外部後方へと空気を排出することとしている。このように、本発明において、プロジェクタを冷却するための空気を取り入れる方向及び排出する方向は、特に限定されず、プロジェクタの配置位置やプロジェクタ周辺の構造等に応じて適宜設計することができる。
【１２９７】
なお、パチンコ遊技機は、パチスロ遊技機と比較して、遊技機の前後方向における奥行きが短いため、同じ島設備において一のパチンコ遊技機の背面側に他のパチンコ遊技機が設置されている場合、これらのパチンコ遊技機の間には比較的大きなスペースが存在する。従って、プロジェクタにより温められた空気をパチンコ遊技機の背面から排出したとしても、パチンコ遊技機の島設備においては、パチスロ遊技機の島設備ほど熱がこもってしまうことはないと考えられる。
【１２９８】
以下、他の変形例として、パチンコ遊技機６１００の外部右側から空気を取り入れ、パチンコ遊技機６１００の外部左側へと空気を排出する場合について、図２６５を用いて説明する。図２６５は、パチンコ遊技機の外観を示す斜視図である。
【１２９９】
図２６５に示すように、装飾ユニット６２５８の右側面には、開口６３００Ｒが形成されている。これにより、開口６３００Ｒを介して、パチンコ遊技機６１００の外部右側から、パチンコ遊技機６１００の内部に空気が取り入れられる。
【１３００】
この空気は、上述した変形例と同様に、プロジェクタカバーＢ１の開口Ｂ４００Ｒ（２つある開口Ｂ４００のうちの右側の開口Ｂ４００）を介して、プロジェクタカバーＢ１の内部に取り入れられ、プロジェクタ機構Ｂ２で発生した熱を奪いながらプロジェクタカバーＢ１内を進行し、開口Ｂ４００Ｌ（２つある開口Ｂ４００のうちの左側の開口Ｂ４００）を介して、プロジェクタカバーＢ１の外部に出る。
【１３０１】
図には表れていないが、装飾ユニット６２５８の左側面にも、右側面と同様に、開口（開口６３００Ｌ）が形成されている。これにより、開口Ｂ４００ＬからプロジェクタカバーＢ１の外部に出た空気は、開口６３００Ｌからパチンコ遊技機６１００の外部に放出される。
【１３０２】
このような空気の流れを図２６５中に矢印で示している。本変形例では、空気の排出方向を遊技機の側方としていることに起因して、温められた空気が隣の遊技機に取り込まれてしまう可能性があると考えられる。このような事態が発生することを防止するため、空気の排出方向を遊技機の側方とする場合には、例えば、装飾ユニット６２５８の左右方向の幅をもっと短くする等して、一のパチンコ遊技機における排気口（開口６３００Ｌ）と、該パチンコ遊技機の隣に設置されたパチンコ遊技機における吸気口（開口６３００Ｒ）とが、ある程度離れるように構成されていることが望ましい。
【１３０３】
以下、図２６６を用いて、他の変形例について説明する。図２６６は、パチンコ遊技機の分解斜視図である。
【１３０４】
上述した変形例では、照射光装置Ｂがフレーム部材６２１１に取り付けられることとして説明した。これに対し、図２６６に示す例において、照射光装置Ｂは、ベースドア６１１３に取り付けられている。また、スピーカ６１５２も、ベースドア６１１３に取り付けられている。このような変形例においても、上述した例と同様の空気流路を形成することができる。
【１３０５】
図２６６では、照射光装置Ｂがベースドア６１１３の前側に取り付けられる様子を示しているが、照射光装置Ｂは、ベースドア６１１３の後側に取り付けることとしてもよい。本発明において、照射光装置Ｂは、遊技盤よりも前方に設置されてもよいし、遊技盤よりも後方に設置されてもよい。照射光装置Ｂを遊技盤よりも後方に設置する場合には、遊技盤の背面側にスペースを形成しつつ、当該スペースを利用することにより、照射光装置Ｂを配設することができる。
【１３０６】
例えば、遊技盤の中央に開口部分を備え、その開口部分に照射光装置の前部が貫通するように、ベースドア又は遊技盤、その他パチンコ遊技機の後方部材に照射光装置を配設するようにしてもよい。その場合、従来から存在する一般的なパチンコ遊技機（遊技盤の中央に開口を備え、その開口を通じて遊技盤の後方にある液晶表示装置等を視認可能とする構成のパチンコ遊技機）の遊技盤をそのまま転用することも可能となる。例えば、液晶表示装置を取り払い、スクリーン機構を配設し、さらに遊技盤等の後方部材に照射光装置を配設することにより、遊技盤の形状を従来のままにしつつ、照射光装置及びスクリーン機構を搭載した新たな遊技機とすることが可能となる。そのような構成を採用する場合、照射光装置の前方の一部は遊技盤よりも前方に突出しているため、パチンコ遊技機の後方のスペースをより大きく確保することができる。そうすることで、島設備の狭い遊技場において、島設備全体に照射光装置付きのパチンコ遊技機を設置した際に、島設備内の温度上昇を低減させることが可能となる。さらに、遊技者から視認可能となる照射光装置の前方（例えば、リフレクタ保持部Ｂ１１辺り）に、機種に応じたロゴ等の装飾部材を配置したり、補助的な装飾を行う小型サイズの液晶表示装置、電飾基板等を配置したりすることにより、照射光装置が遊技者から見えないように目隠しすることができ、さらに演出効果を高めることが可能となる。
【１３０７】
なお、スクリーン装置Ｃは、照射光装置Ｂに取り付けられた状態で設置されてもよいし、照射光装置Ｂとは分離した状態で設置されてもよい。
【１３０８】
以上で説明した変形例では、空気の排出方向を遊技機の後方又は側方としているが、第６実施形態と同様に、遊技機の上方から空気を排出することとしてもよい。空気の排出方向を上方とする場合には、例えば、装飾ユニット６２５８（ガラスドア６１１１）の上面に排気用の開口を形成すればよい。この場合において、照射光装置Ｂを遊技盤よりも後方に設置する場合には、空気の通路を確保するために、遊技盤にも適宜開口を形成すればよい。
【１３０９】
本発明においては、空気を取り入れる方向及び排出する方向、並びに、空気を流す経路に応じて、空気流路上に存在する部材に対して、適宜開口を形成することが可能である。空気流路に応じて、管状のダクトを設けることとしてもよい。
【１３１０】
また、空気の流れをスムーズにするために、吸気用ファン及び／又は排気用ファンを適宜配設することが可能である。例えば、空気を取り入れるための開口（例えば、図２６５の開口６３００Ｒ）とプロジェクタカバーＢ１の開口Ｂ４００Ｒとの間に吸気用ファン（例えば、図２６４の吸気用ファン６２４４）を配設したり、空気を排出するための開口（例えば、図２６５の開口６３００Ｌ）とプロジェクタカバーＢ１の開口Ｂ４００Ｌとの間に排気用ファンを配設したりすることが可能である。もっとも、照射光装置Ｂの内部に設けられたファンにより吸気や排気が充分に行われるのであれば、照射光装置Ｂの外部にはファンを配設しなくてもよい。
【１３１１】
なお、上述した変形例では、第６実施形態で説明したプロジェクタカバーＢ１が採用されるものとして図示しているが、プロジェクタカバーの構成は特に限定されず、プロジェクタの冷却用の空気を取り入れるための開口、及び、当該空気を排出するための開口が形成されたプロジェクタカバーを適宜採用することができる。これらの開口は、プロジェクタカバーの前方や後方、上方や下方、側方等、任意の場所に形成することが可能であり、プロジェクタの冷却効率等を勘案して、開口の形成位置を適宜決定することができる。さらに、プロジェクタは、プロジェクタカバーによって覆われずに、露出した状態で遊技機の内部に配設されていてもよく、遊技機の外部から取り入れた冷却用の空気をプロジェクタに直接（プロジェクタカバーを経由することなく）当てるように構成することも可能である。
【１３１２】
以上、第１実施形態〜第６実施形態について説明した。上述した実施形態では、本発明をパチスロ遊技機に適用した場合について説明したが、本発明は、他の遊技機（例えば、パチンコ遊技機やスロットマシン等）に適用することも可能である。
【１３１３】
以上、本発明の第１実施形態〜第６実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【１３１４】
また、上述した詳細な説明では、本発明をより容易に理解できるように、特徴的部分を中心に説明した。本発明は、上述した詳細な説明に記載する実施形態に限定されず、その他の実施形態にも適用することができ、その適用範囲は多様である。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想の範囲を逸脱しない範囲で均等な構成を含むものであるとみなされなければならない。また、要約書の目的は、特許庁及び一般的公共機関や、特許、法律用語又は専門用語に精通していない本技術分野に属する技術者等が本出願の技術的な内容及びその本質を簡易な調査で速やかに判定し得るようにするものである。従って、要約書は、請求の範囲の記載により評価されるべき発明の範囲を限定することを意図したものではない。また、本発明の目的及び本発明の特有の効果を十分に理解するために、すでに開示されている文献等を充分に参酌して解釈されることが望まれる。
【１３１５】
上述した詳細な説明は、コンピュータで実行される処理を含むものである。以上での説明及び表現は、当業者が最も効率的に理解することを目的として記載している。本明細書では、１の結果を導き出すために用いられる各処理は、自己矛盾がない処理として理解されるべきである。また、各処理では、電気的又は磁気的な信号の送受信、記録等が行われる。各処理における処理では、このような信号を、ビット、値、シンボル、文字、用語、数字等で表現しているが、これらは単に説明上便利であるために用いたものであることに留意する必要がある。また、各処理における処理は、人間の行動と共通する表現で記載される場合があるが、本明細書で説明する処理は、原則的に各種の装置により実行されるものである。また、各処理を行うために要求されるその他の構成は、以上の説明から自明になるものである。
【符号の説明】
【１３１６】
１  遊技機
２１  キャビネット
２０００  副制御基板ケース
２０１０  ベース部材
２０２０  カバー部材
２０３０  ベース側接着部
２０５０  カバー側接着部
２０７０  副制御基板
Ａ  表示ユニット
Ｂ  照射光装置
Ｃ  スクリーン装置
Ｄ  固定スクリーン機構
Ｅ１  フロントスクリーン機構
Ｆ１  リールスクリーン機構
ＵＤ  上ドア機構
ＤＤ  下ドア機構
【図１】
2018196832.tif 000003
【図２】
2018196832.tif 000004
【図３】
2018196832.tif 000005
【図４】
2018196832.tif 000006
【図５】
2018196832.tif 000007
【図６】
2018196832.tif 000008
【図７】
2018196832.tif 000009
【図８】
2018196832.tif 000010
【図９】
2018196832.tif 000011
【図１０】
2018196832.tif 000012
【図１１】
2018196832.tif 000013
【図１２】
2018196832.tif 000014
【図１３】
2018196832.tif 000015
【図１４】
2018196832.tif 000016
【図１５】
2018196832.tif 000017
【図１６】
2018196832.tif 000018
【図１７】
2018196832.tif 000019
【図１８】
2018196832.tif 000020
【図１９】
2018196832.tif 000021
【図２０】
2018196832.tif 000022
【図２１】
2018196832.tif 000023
【図２２】
2018196832.tif 000024
【図２３】
2018196832.tif 000025
【図２４】
2018196832.tif 000026
【図２５】
2018196832.tif 000027
【図２６】
2018196832.tif 000028
【図２７】
2018196832.tif 000029
【図２８】
2018196832.tif 000030
【図２９】
2018196832.tif 000031
【図３０】
2018196832.tif 000032
【図３１】
2018196832.tif 000033
【図３２】
2018196832.tif 000034
【図３３】
2018196832.tif 000035
【図３４】
2018196832.tif 000036
【図３５】
2018196832.tif 000037
【図３６】
2018196832.tif 000038
【図３７】
2018196832.tif 000039
【図３８】
2018196832.tif 000040
【図３９】
2018196832.tif 000041
【図４０】
2018196832.tif 000042
【図４１】
2018196832.tif 000043
【図４２】
2018196832.tif 000044
【図４３】
2018196832.tif 000045
【図４４】
2018196832.tif 000046
【図４５】
2018196832.tif 000047
【図４６】
2018196832.tif 000048
【図４７】
2018196832.tif 000049
【図４８】
2018196832.tif 000050
【図４９】
2018196832.tif 000051
【図５０】
2018196832.tif 000052
【図５１】
2018196832.tif 000053
【図５２】
2018196832.tif 000054
【図５３】
2018196832.tif 000055
【図５４】
2018196832.tif 000056
【図５５】
2018196832.tif 000057
【図５６】
2018196832.tif 000058
【図５７】
2018196832.tif 000059
【図５８】
2018196832.tif 000060
【図５９】
2018196832.tif 000061
【図６０】
2018196832.tif 000062
【図６１】
2018196832.tif 000063
【図６２】
2018196832.tif 000064
【図６３】
2018196832.tif 000065
【図６４】
2018196832.tif 000066
【図６５】
2018196832.tif 000067
【図６６】
2018196832.tif 000068
【図６７】
2018196832.tif 000069
【図６８】
2018196832.tif 000070
【図６９】
2018196832.tif 000071
【図７０】
2018196832.tif 000072
【図７１】
2018196832.tif 000073
【図７２】
2018196832.tif 000074
【図７３Ａ】
2018196832.tif 000075
【図７３Ｂ】
2018196832.tif 000076
【図７４】
2018196832.tif 000077
【図７５】
2018196832.tif 000078
【図７６】
2018196832.tif 000079
【図７７】
2018196832.tif 000080
【図７８】
2018196832.tif 000081
【図７９】
2018196832.tif 000082
【図８０】
2018196832.tif 000083
【図８１】
2018196832.tif 000084
【図８２】
2018196832.tif 000085
【図８３】
2018196832.tif 000086
【図８４】
2018196832.tif 000087
【図８５】
2018196832.tif 000088
【図８６】
2018196832.tif 000089
【図８７】
2018196832.tif 000090
【図８８】
2018196832.tif 000091
【図８９】
2018196832.tif 000092
【図９０】
2018196832.tif 000093
【図９１】
2018196832.tif 000094
【図９２】
2018196832.tif 000095
【図９３】
2018196832.tif 000096
【図９４】
2018196832.tif 000097
【図９５】
2018196832.tif 000098
【図９６】
2018196832.tif 000099
【図９７】
2018196832.tif 000100
【図９８】
2018196832.tif 000101
【図９９】
2018196832.tif 000102
【図１００】
2018196832.tif 000103
【図１０１】
2018196832.tif 000104
【図１０２】
2018196832.tif 000105
【図１０３】
2018196832.tif 000106
【図１０４】
2018196832.tif 000107
【図１０５】
2018196832.tif 000108
【図１０６】
2018196832.tif 000109
【図１０７】
2018196832.tif 000110
【図１０８】
2018196832.tif 000111
【図１０９】
2018196832.tif 000112
【図１１０】
2018196832.tif 000113
【図１１１】
2018196832.tif 000114
【図１１２】
2018196832.tif 000115
【図１１３】
2018196832.tif 000116
【図１１４】
2018196832.tif 000117
【図１１５】
2018196832.tif 000118
【図１１６】
2018196832.tif 000119
【図１１７】
2018196832.tif 000120
【図１１８】
2018196832.tif 000121
【図１１９】
2018196832.tif 000122
【図１２０】
2018196832.tif 000123
【図１２１】
2018196832.tif 000124
【図１２２】
2018196832.tif 000125
【図１２３】
2018196832.tif 000126
【図１２４】
2018196832.tif 000127
【図１２５】
2018196832.tif 000128
【図１２６】
2018196832.tif 000129
【図１２７】
2018196832.tif 000130
【図１２８】
2018196832.tif 000131
【図１２９】
2018196832.tif 000132
【図１３０】
2018196832.tif 000133
【図１３１】
2018196832.tif 000134
【図１３２】
2018196832.tif 000135
【図１３３】
2018196832.tif 000136
【図１３４】
2018196832.tif 000137
【図１３５】
2018196832.tif 000138
【図１３６】
2018196832.tif 000139
【図１３７】
2018196832.tif 000140
【図１３８】
2018196832.tif 000141
【図１３９】
2018196832.tif 000142
【図１４０】
2018196832.tif 000143
【図１４１】
2018196832.tif 000144
【図１４２】
2018196832.tif 000145
【図１４３】
2018196832.tif 000146
【図１４４】
2018196832.tif 000147
【図１４５】
2018196832.tif 000148
【図１４６】
2018196832.tif 000149
【図１４７】
2018196832.tif 000150
【図１４８】
2018196832.tif 000151
【図１４９】
2018196832.tif 000152
【図１５０】
2018196832.tif 000153
【図１５１】
2018196832.tif 000154
【図１５２Ａ】
2018196832.tif 000155
【図１５２Ｂ】
2018196832.tif 000156
【図１５３】
2018196832.tif 000157
【図１５４】
2018196832.tif 000158
【図１５５】
2018196832.tif 000159
【図１５６】
2018196832.tif 000160
【図１５７】
2018196832.tif 000161
【図１５８】
2018196832.tif 000162
【図１５９】
2018196832.tif 000163
【図１６０】
2018196832.tif 000164
【図１６１】
2018196832.tif 000165
【図１６２】
2018196832.tif 000166
【図１６３】
2018196832.tif 000167
【図１６４】
2018196832.tif 000168
【図１６５】
2018196832.tif 000169
【図１６６】
2018196832.tif 000170
【図１６７】
2018196832.tif 000171
【図１６８】
2018196832.tif 000172
【図１６９】
2018196832.tif 000173
【図１７０】
2018196832.tif 000174
【図１７１】
2018196832.tif 000175
【図１７２】
2018196832.tif 000176
【図１７３】
2018196832.tif 000177
【図１７４】
2018196832.tif 000178
【図１７５】
2018196832.tif 000179
【図１７６】
2018196832.tif 000180
【図１７７】
2018196832.tif 000181
【図１７８】
2018196832.tif 000182
【図１７９】
2018196832.tif 000183
【図１８０】
2018196832.tif 000184
【図１８１】
2018196832.tif 000185
【図１８２】
2018196832.tif 000186
【図１８３】
2018196832.tif 000187
【図１８４】
2018196832.tif 000188
【図１８５】
2018196832.tif 000189
【図１８６】
2018196832.tif 000190
【図１８７】
2018196832.tif 000191
【図１８８】
2018196832.tif 000192
【図１８９】
2018196832.tif 000193
【図１９０】
2018196832.tif 000194
【図１９１】
2018196832.tif 000195
【図１９２】
2018196832.tif 000196
【図１９３】
2018196832.tif 000197
【図１９４】
2018196832.tif 000198
【図１９５】
2018196832.tif 000199
【図１９６】
2018196832.tif 000200
【図１９７】
2018196832.tif 000201
【図１９８】
2018196832.tif 000202
【図１９９】
2018196832.tif 000203
【図２００】
2018196832.tif 000204
【図２０１】
2018196832.tif 000205
【図２０２】
2018196832.tif 000206
【図２０３】
2018196832.tif 000207
【図２０４】
2018196832.tif 000208
【図２０５】
2018196832.tif 000209
【図２０６】
2018196832.tif 000210
【図２０７】
2018196832.tif 000211
【図２０８】
2018196832.tif 000212
【図２０９】
2018196832.tif 000213
【図２１０】
2018196832.tif 000214
【図２１１】
2018196832.tif 000215
【図２１２】
2018196832.tif 000216
【図２１３】
2018196832.tif 000217
【図２１４】
2018196832.tif 000218
【図２１５】
2018196832.tif 000219
【図２１６】
2018196832.tif 000220
【図２１７】
2018196832.tif 000221
【図２１８】
2018196832.tif 000222
【図２１９】
2018196832.tif 000223
【図２２０】
2018196832.tif 000224
【図２２１】
2018196832.tif 000225
【図２２２】
2018196832.tif 000226
【図２２３】
2018196832.tif 000227
【図２２４】
2018196832.tif 000228
【図２２５】
2018196832.tif 000229
【図２２６】
2018196832.tif 000230
【図２２７】
2018196832.tif 000231
【図２２８】
2018196832.tif 000232
【図２２９】
2018196832.tif 000233
【図２３０】
2018196832.tif 000234
【図２３１】
2018196832.tif 000235
【図２３２】
2018196832.tif 000236
【図２３３】
2018196832.tif 000237
【図２３４】
2018196832.tif 000238
【図２３５】
2018196832.tif 000239
【図２３６】
2018196832.tif 000240
【図２３７】
2018196832.tif 000241
【図２３８】
2018196832.tif 000242
【図２３９】
2018196832.tif 000243
【図２４０】
2018196832.tif 000244
【図２４１】
2018196832.tif 000245
【図２４２】
2018196832.tif 000246
【図２４３】
2018196832.tif 000247
【図２４４】
2018196832.tif 000248
【図２４５】
2018196832.tif 000249
【図２４６】
2018196832.tif 000250
【図２４７】
2018196832.tif 000251
【図２４８】
2018196832.tif 000252
【図２４９】
2018196832.tif 000253
【図２５０】
2018196832.tif 000254
【図２５１】
2018196832.tif 000255
【図２５２】
2018196832.tif 000256
【図２５３】
2018196832.tif 000257
【図２５４】
2018196832.tif 000258
【図２５５】
2018196832.tif 000259
【図２５６】
2018196832.tif 000260
【図２５７】
2018196832.tif 000261
【図２５８】
2018196832.tif 000262
【図２５９】
2018196832.tif 000263
【図２６０】
2018196832.tif 000264
【図２６１】
2018196832.tif 000265
【図２６２】
2018196832.tif 000266
【図２６３】
2018196832.tif 000267
【図２６４】
2018196832.tif 000268
【図２６５】
2018196832.tif 000269
【図２６６】
2018196832.tif 000270